(57)【要約】【課題】対向辺どうしの間に隙間が形成されることを抑制できる遊技機を提供すること。【解決手段】装飾ユニット６７２Ｕ及び装飾ユニット６７２Ｄをそれぞれ変位可能に支持する駆動手段６８０Ｕ及び駆動手段６８０Ｄを備え、駆動手段６８０Ｕの支持態様が装飾ユニット６７２Ｕの対向辺の一側へ偏倚され、装飾ユニット６７２Ｕの対向辺の一側に当接される装飾ユニット６７２Ｄの対向辺の他側とは反対側となる装飾ユニット６７２Ｄの対向辺の一側へ駆動手段６８０Ｄの支持態様が偏倚されるので、装飾ユニット６７２Ｕ及び装飾ユニット６７２Ｄを当接させた状態では、装飾ユニット６７２Ｕ及び装飾ユニット６７２Ｄを密着させやすくできる。その結果、装飾ユニット６７２Ｕ及び装飾ユニット６７２Ｄの間に隙間が形成されることを抑制できる。【選択図】図６３
2020108861.tif 000002
【特許請求の範囲】
【請求項１】
対向配置され近接または離間する方向へそれぞれ変位可能に形成されると共に対向辺どうしを当接させた状態で同方向へ変位可能に形成された第１変位部材および第２変位部材を備えた遊技機において、
ベース部材と、
そのベース部材に前記第１変位部材および第２変位部材をそれぞれ変位可能に支持する第１支持機構および第２支持機構を備え、
前記第１支持機構の支持態様が前記第１変位部材の対向辺の一側へ偏倚され、前記第１変位部材の対向辺の一側に当接される前記第２変位部材の対向辺の他側とは反対側となる前記第２変位部材の対向辺の一側へ前記第２支持機構の支持態様が偏倚されることを特徴とする遊技機。
【請求項２】
前記第１支持機構は、駆動力を発生する第１駆動手段と、前記第１変位部材を前記ベース部材に連結する一対の第１連結部材と、それら一対の第１連結部材へ前記第１駆動手段の駆動力をそれぞれ伝達すると共に互いに異なる構成とされる第１一側伝達部材および第１他側伝達部材とを備え、
前記第２支持機構は、駆動力を発生する第２駆動手段と、前記第２変位部材を前記ベース部材に連結する一対の第２連結部材と、それら一対の第２連結部材へ前記第２駆動手段の駆動力をそれぞれ伝達すると共に互いに異なる構成とされる第２一側伝達部材および第２他側伝達部材とを備えることを特徴とする請求項１記載の遊技機。
【請求項３】
前記第１連結部材および第２連結部材は、互いに略同一の長さに形成され、一端側が前記第１変位部材または第２変位部材に連結されると共に他端側が前記ベース部材に同軸上に回転可能に軸支されることを特徴とする請求項３記載の遊技機。
【発明の詳細な説明】
【技術分野】
【０００１】
本発明は、パチンコ機などの遊技機に関するものである。
【背景技術】
【０００２】
パチンコ機等の遊技機において、対向配置され近接または離間する方向へそれぞれ変位可能に形成されると共に対向辺どうしを当接させた状態で同方向へ変位可能に形成された第１変位部材および第２変位部材を備えた遊技機が知られている（特許文献１）。
【先行技術文献】
【特許文献】
【０００３】
【特許文献１】特開２０１３−１０６８４４号公報
【発明の概要】
【発明が解決しようとする課題】
【０００４】
しかしながら、上述した遊技機では、対向辺どうしの間に隙間が形成される恐れがあるという問題点があった。
【０００５】
本発明は、上記例示した問題点を解決するためになされたものであり、対向辺どうしの間に隙間が形成されることを抑制できる遊技機を提供することを目的とする。
【課題を解決するための手段】
【０００６】
この目的を達成するために請求項１記載の遊技機は、対向配置され近接または離間する方向へそれぞれ変位可能に形成されると共に対向辺どうしを当接させた状態で同方向へ変位可能に形成された第１変位部材および第２変位部材を備えたものであり、ベース部材と、そのベース部材に前記第１変位部材および第２変位部材をそれぞれ変位可能に支持する第１支持機構および第２支持機構を備え、前記第１支持機構の支持態様が前記第１変位部材の対向辺の一側へ偏倚され、前記第１変位部材の対向辺の一側に当接される前記第２変位部材の対向辺の他側とは反対側となる前記第２変位部材の対向辺の一側へ前記第２支持機構の支持態様が偏倚される。
【０００７】
請求項２記載の遊技機は、請求項１記載の遊技機において、前記第１支持機構は、駆動力を発生する第１駆動手段と、前記第１変位部材を前記ベース部材に連結する一対の第１連結部材と、それら一対の第１連結部材へ前記第１駆動手段の駆動力をそれぞれ伝達すると共に互いに異なる構成とされる第１一側伝達部材および第１他側伝達部材とを備え、前記第２支持機構は、駆動力を発生する第２駆動手段と、前記第２変位部材を前記ベース部材に連結する一対の第２連結部材と、それら一対の第２連結部材へ前記第２駆動手段の駆動力をそれぞれ伝達すると共に互いに異なる構成とされる第２一側伝達部材および第２他側伝達部材とを備える。
【０００８】
請求項３記載の遊技機は、請求項２記載の遊技機において、前記第１連結部材および第２連結部材は、互いに略同一の長さに形成され、一端側が前記第１変位部材または第２変位部材に連結されると共に他端側が前記ベース部材に同軸上に回転可能に軸支される。
【発明の効果】
【０００９】
請求項１記載の遊技機によれば、対向辺どうしの間に隙間が形成されることを抑制できる。
【００１０】
請求項２記載の遊技機によれば、請求項１記載の遊技機の奏する効果に加え、対向辺どうしの間に隙間が形成されることを抑制できる。
【００１１】
請求項３記載の遊技機によれば、請求項２記載の遊技機の奏する効果に加え、対向辺どうしが当接された状態を維持しやすくできる。
【図面の簡単な説明】
【００１２】
【図１】第１実施形態におけるパチンコ機の正面図である。
【図２】パチンコ機の遊技盤の正面図である。
【図３】パチンコ機の背面図である。
【図４】パチンコ機の電気的構成を示すブロック図である。
【図５】遊技盤の分解斜視正面図である。
【図６】動作ユニットの斜視正面図である。
【図７】動作ユニットの分解斜視正面図である。
【図８】動作ユニットの正面図である。
【図９】動作ユニットの正面図である。
【図１０】（ａ）は、入賞口ユニットの正面図であり、（ｂ）は、入賞口ユニットの背面図である。
【図１１】入賞口ユニットの分解斜視正面図である。
【図１２】入賞口ユニットの分解斜視背面図である。
【図１３】ベース部材および第１電動役物の分解斜視図である。
【図１４】駆動ユニットの分解斜視正面図である。
【図１５】（ａ）及び（ｂ）は、駆動ユニットおよび第１電動役物の側面図である。
【図１６】（ａ）及び（ｂ）は、駆動ユニットおよび第１電動役物の正面図である。
【図１７】（ａ）及び（ｂ）は、図１０（ａ）のＸＶＩＩ−ＸＶＩＩ線における入賞口ユニット５００の断面図である。
【図１８】（ａ）及び（ｂ）は、入賞口ユニットの正面図である。
【図１９】（ａ）及び（ｂ）は、第１電動役物および駆動ユニットの側面図である。
【図２０】（ａ）は、図１８（ａ）のＸＸａ−ＸＸａ線における入賞口ユニットの断面図であり、図２０（ｂ）は、図１８（ｂ）のＸＸｂ−ＸＸｂ線における入賞口ユニットの断面図である。
【図２１】（ａ）及び（ｂ）は、第１電動役物および駆動ユニットの側面図である。
【図２２】（ａ）は、図２１（ａ）の範囲ＸＸＩＩａにおける駆動ユニットの部分拡大側面図であり、（ｂ）は、図２１（ｂ）の範囲ＸＸＩＩｂにおける駆動ユニットの部分拡大側面図である。
【図２３】（ａ）は、左羽部材の正面斜視図であり、（ｂ）は右羽部材の正面斜視図である。
【図２４】（ａ）は、入賞口ユニットの正面図であり、（ｂ）は、図２４（ａ）のＸＸＩＶｂ−ＸＸＩＶｂ線における入賞口ユニットの断面図である。
【図２５】（ａ）及び（ｂ）は、入賞口ユニットの断面図である。
【図２６】（ａ）及び（ｂ）は、入賞口ユニットの断面図である。
【図２７】（ａ）は、入賞口ユニットの上面図であり、（ｂ）は、図２７（ａ）のＸＸＶＩＩｂ−ＸＸＶＩＩｂ線における入賞口ユニットの断面図である。
【図２８】（ａ）及び（ｂ）は、図２７（ｂ）の範囲ＸＸＶＩＩＩにおける入賞口ユニットの部分拡大断面図である。
【図２９】図２の範囲ＸＸＩＸにおける遊技盤の部分拡大図である。
【図３０】（ａ）は、装飾図柄表示装置の正面図であり、（ｂ）は、図３０（ａ）のＸＸＸｂ−ＸＸＸｂ線における装飾図柄表示装置の断面図である。
【図３１】装飾図柄表示装置の分解斜視正面図である。
【図３２】装飾図柄表示装置の分解斜視背面図である。
【図３３】（ａ）は、内リールを展開した正面図であり、（ｂ）は、外リールを展開した正面図である。
【図３４】図３０（ａ）のＸＸＸＩＶ−ＸＸＸＩＶ線における装飾図柄表示装置の断面図である。
【図３５】図３４の範囲ＸＸＸＶにおける装飾図柄表示装置の部分拡大図である。
【図３６】（ａ）は、回転部材の部分拡大図であり、（ｂ）は、図３６（ａ）のＸＸＸＶＩｂ−ＸＸＸＶＩｂ線における回転部材の断面図である。
【図３７】セグメント表示装置の正面図である。
【図３８】セグメント表示装置の分解図である。
【図３９】（ａ）は、上下変位ユニットの正面図であり、（ｂ）は、上下変位ユニットの側面図である。
【図４０】上下変位ユニットの分解斜視正面図である。
【図４１】上下変位ユニットの分解斜視背面図である。
【図４２】（ａ）は、第２セグユニットの正面図であり、（ｂ）は、第２セグユニットの背面図である。
【図４３】第２セグユニットの分解斜視正面図である。
【図４４】第２セグユニットの分解斜視背面図である。
【図４５】図４２（ａ）のＸＬＶ−ＸＬＶ線における第２セグユニットの断面図である。
【図４６】基盤部材の側面図である。
【図４７】図４２（ａ）のＸＬＶＩＩ−ＸＬＶＩＩ線における第２セグユニットの断面図である。
【図４８】上下変位ユニットの正面図である。
【図４９】上下変位ユニットの分解斜視正面図である。
【図５０】上下変位ユニットの分解斜視背面図である。
【図５１】（ａ）は、変位部材の正面図であり、（ｂ）は、変位部材の側面図である。
【図５２】変位部材の分解斜視正面図である。
【図５３】図５１（ａ）のＬＩＩＩ−ＬＩＩＩ線における変位部材の断面図である。
【図５４】変位部材の正面図である。
【図５５】セグメント表示装置および装飾図柄表示装置の正面図である。
【図５６】セグメント表示装置および装飾図柄表示装置の模式図である。
【図５７】（ａ）から（ｃ）は、上下変位ユニットの正面図である。
【図５８】（ａ）は、上下変位ユニットの側面図であり、（ｂ）は、図５７（ａ）のＬＶＩＩＩｂ−ＬＶＩＩＩｂ線における上下変位ユニットの断面図である。
【図５９】（ａ）は、上下変位ユニットの側面図であり、（ｂ）は、図５７（ａ）のＬＶＩＩＩｂ−ＬＶＩＩＩｂ線における上下変位ユニットの断面図である。
【図６０】（ａ）は、上下変位ユニットの側面図であり、（ｂ）は、図５７（ａ）のＬＶＩＩＩｂ−ＬＶＩＩＩｂ線における上下変位ユニットの断面図である。
【図６１】上下変位ユニットの模式図である。
【図６２】上下変位ユニットの模式図である。
【図６３】上下変位ユニットの模式図である。
【図６４】（ａ）は、第２実施形態における回転部材の部分拡大図であり、（ｂ）は、図６４（ａ）のＬＸＩＶｂ−ＬＸＩＶｂ線における回転部材の断面図である。
【図６５】第３実施形態における装飾図柄表示装置の断面図である。
【図６６】（ａ）は、外リールユニットの部分拡大図であり、（ｂ）は、図６６（ａ）のＬＸＶＩｂ−ＬＸＶＩｂ線における外リールユニットの断面図である。
【図６７】第４実施形態における装飾図柄表示装置の断面図である。
【図６８】（ａ）は、回転部材の部分拡大図であり、（ｂ）は、図６８（ａ）のＬＸＶＩＩＩｂ−ＬＸＶＩＩＩｂ線における回転部材の断面図である。
【図６９】第５実施形態における装飾図柄表示装置の断面図である。
【図７０】（ａ）は、円環部材の部分拡大図であり、（ｂ）は、図７０（ａ）のＬＸＸｂ−ＬＸＸｂ線における円環部材の断面図である。
【図７１】第６実施形態における装飾図柄表示装置の断面図である。
【図７２】（ａ）は、回転部材の部分拡大図であり、（ｂ）は、図７２（ａ）のＬＸＸＩＩｂ−ＬＸＸＩＩｂ線における回転部材の断面図である。
【図７３】（ａ）は、外リールユニットの部分拡大図であり、（ｂ）は、図７３（ａ）のＬＸＸＩＩＩｂ−ＬＸＸＩＩＩｂ線における外リールユニットの断面図である。
【図７４】（ａ）は、第７実施形態における回転部材の正面図であり、（ｂ）は、回転部材の側面図である。
【図７５】（ａ）から（ｃ）は、駆動ユニットおよび第１電動役物の側面図である。
【図７６】（ａ）から（ｃ）は、駆動ユニットおよび第１電動役物の正面図である。
【図７７】（ａ）及び（ｂ）は、入賞口ユニットの断面図である。
【図７８】第８実施形態における駆動ユニットの分解斜視正面図である。
【図７９】（ａ）及び（ｂ）は、第１電動役物および駆動ユニットの側面図である。
【図８０】（ａ）及び（ｂ）は、第１電動役物および駆動ユニットの正面図である。
【図８１】（ａ）及び（ｂ）は、入賞口ユニットの断面図である。
【図８２】（ａ）及び（ｂ）は、入賞口ユニットの断面図である。
【図８３】第９実施形態における駆動ユニットの分解斜視正面図である。
【図８４】（ａ）及び（ｂ）は、第１電動役物および駆動ユニットの側面図である。
【図８５】（ａ）及び（ｂ）は、第１電動役物および駆動ユニットの正面図である。
【図８６】（ａ）及び（ｂ）は、入賞口ユニットの断面図である。
【図８７】（ａ）及び（ｂ）は、入賞口ユニットの断面図である。
【図８８】（ａ）は、第１０実施形態における変位部材の正面図であり、（ｂ）は、変位部材の側面図である。
【図８９】変位部材の分解斜視正面図である。
【図９０】上下変位ユニットの断面図である。
【図９１】（ａ）及び（ｂ）は、図９０の範囲ＸＣＩにおける上下変位ユニットの部分拡大図である。
【図９２】第１１実施形態における上下変位ユニットの模式図である。
【図９３】上下変位ユニットの模式図である。
【図９４】上下変位ユニットの模式図である。
【図９５】（ａ）は、第１２実施形態における入賞口ユニットの上面図であり、（ｂ）は、図９５（ａ）のＸＣＶｂ−ＸＣＶｂ線における入賞口ユニットの断面図である。
【図９６】（ａ）は、第１３実施形態における入賞口ユニットの上面図であり、（ｂ）は、図９６（ａ）のＸＣＶＩｂ−ＸＣＶＩｂ線における入賞口ユニットの断面図である。
【図９７】（ａ）は、第１４実施形態における左羽部材の斜視正面図であり、（ｂ）は、右羽部材の斜視正面図である。
【図９８】（ａ）は、入賞口ユニットの断面図であり、（ｂ）は、図９８（ａ）のＸＣＶＩＩＩｂ−ＸＣＶＩＩＩｂ線における左羽部材の断面模式図であり、（ｃ）は、図９８（ｂ）のＸＣＶＩＩＩｃ−ＸＣＶＩＩＩｃ線における右羽部材の断面模式図である。
【図９９】（ａ）は、第１５実施形態における遊技盤の部分拡大図であり（ｂ）は、図９９のＸＣＩＸｂ−ＸＣＩＸｂ線における遊技盤の断面図である。
【図１００】（ａ）は、遊技盤の部分拡大図であり、（ｂ）は、図１００（ａ）のＣｂ−Ｃｂ線における遊技盤の断面図である。
【図１０１】（ａ）は、第１６実施形態における第１電動役物および駆動ユニットの正面図であり、（ｂ）は、図１０１（ａ）ＣＩｂ−ＣＩｂ線における第１電動役物および駆動ユニット８５３０の断面図であり、（ｃ）は、図１０１（ｂ）のＣＩｃ−ＣＩｃ線における第１電動役物および駆動ユニットの断面図である。
【図１０２】（ａ）及び（ｂ）は、第１７実施形態における第１電動役物および駆動ユニットの側面図である。
【図１０３】（ａ）及び（ｂ）は、入賞口ユニットの断面図である。
【図１０４】（ａ）及び（ｂ）は、入賞口ユニットの断面図である。
【図１０５】（ａ）は、第１８実施形態における回転部材の部分拡大図であり、（ｂ）は、図１０５（ａ）のＣＶｂ−ＣＶｂ線における回転部材の断面図である。
【図１０６】（ａ）及び（ｂ）は、第１８実施形態における装飾図柄表示装置の断面図である。
【発明を実施するための形態】
【００１３】
以下、本発明の実施形態について、添付図面を参照して説明する。まず、図１から図６３を参照し、第１実施形態として、本発明をパチンコ遊技機（以下、単に「パチンコ機」という）１０に適用した場合の一実施形態について説明する。図１は、第１実施形態におけるパチンコ機１０の正面図であり、図２はパチンコ機１０の遊技盤１３の正面図であり、図３はパチンコ機１０の背面図である。
【００１４】
図１に示すように、パチンコ機１０は、略矩形状に組み合わせた木枠により外殻が形成される外枠２と、その外枠２と略同一の外形形状に形成され外枠２に対して開閉可能に支持された内枠４とを備えている。外枠２には、内枠４を支持するために正面視（図１参照）左側の上下２カ所に金属製のヒンジ１８が取り付けられ、そのヒンジ１８が設けられた側を開閉の軸として内枠４が正面手前側へ開閉可能に支持されている。
【００１５】
内枠４には、多数の釘や入賞口６３，６４等を有する遊技盤１３（図２参照）が裏面側から着脱可能に装着される。この遊技盤１３の前面を球（遊技球）が流下することにより弾球遊技が行われる。なお、内枠４には、球を遊技盤１３の前面領域に発射する球発射ユニット１１２ａ（図４参照）やその球発射ユニット１１２ａから発射された球を遊技盤１３の前面領域まで誘導する発射レール（図示せず）等が取り付けられている。
【００１６】
内枠４の前面側には、その前面上側を覆う前扉５と、その下側を覆う下皿ユニット１５とが設けられている。前扉５および下皿ユニット１５を支持するために正面視（図１参照）左側の上下２カ所に金属製のヒンジ１９が取り付けられ、そのヒンジ１９が設けられた側を開閉の軸として前扉５および下皿ユニット１５が正面手前側へ開閉可能に支持されている。なお、内枠４の施錠と前扉５の施錠とは、シリンダ錠２０の鍵穴２１に専用の鍵を差し込んで所定の操作を行うことでそれぞれ解除される。
【００１７】
前扉５は、装飾用の樹脂部品や電気部品等を組み付けたものであり、その略中央部には略楕円形状に開口形成された窓部５ｃが設けられている。前扉５の裏面側には２枚の板ガラス８を有するガラスユニット１６が配設され、そのガラスユニット１６を介して遊技盤１３の前面がパチンコ機１０の正面側に視認可能となっている。
【００１８】
前扉５には、球を貯留する上皿１７が前方へ張り出して上面を開放した略箱状に形成されており、この上皿１７に賞球や貸出球などが排出される。上皿１７の底面は正面視（図１参照）右側に下降傾斜して形成され、その傾斜により上皿１７に投入された球が球発射ユニット１１２ａ（図４参照）へと案内される。また、上皿１７の上面には、枠ボタン２２が設けられている。この枠ボタン２２は、例えば、セグメント表示装置６００及び装飾図柄表示装置８００（図２参照）で表示される演出の態様を変更したり、スーパーリーチの演出内容を変更したりする場合などに、遊技者により操作される。
【００１９】
前扉５には、その周囲（例えばコーナー部分）に各種ランプ等の発光手段が設けられている。これら発光手段は、大当たり時や所定のリーチ時等における遊技状態の変化に応じて、点灯又は点滅することにより発光態様が変更制御され、遊技中の演出効果を高める役割を果たす。窓部５ｃの周縁には、ＬＥＤ等の発光手段を内蔵した電飾部２９〜３３が設けられている。パチンコ機１０においては、これら電飾部２９〜３３が大当たりランプ等の演出ランプとして機能し、大当たり時やリーチ演出時等には内蔵するＬＥＤの点灯や点滅によって各電飾部２９〜３３が点灯または点滅して、大当たり中である旨、或いは大当たり一歩手前のリーチ中である旨が報知される。また、前扉５の正面視（図１参照）左上部には、ＬＥＤ等の発光手段が内蔵され賞球の払い出し中とエラー発生時とを表示可能な表示ランプ３４が設けられている。
【００２０】
また、右側の電飾部３２下側には、前扉５の裏面側を視認できるように裏面側より透明樹脂を取り付けて小窓３５が形成され、遊技盤１３前面の貼着スペースＫ１（図２参照）に貼付される証紙等がパチンコ機１０の前面から視認可能とされている。また、パチンコ機１０においては、より煌びやかさを醸し出すために、電飾部２９〜３３の周りの領域にクロムメッキを施したＡＢＳ樹脂製のメッキ部材３６が取り付けられている。
【００２１】
窓部５ｃの下方には、貸球操作部４０が配設されている。貸球操作部４０には、度数表示部４１と、球貸しボタン４２と、返却ボタン４３とが設けられている。パチンコ機１０の側方に配置されるカードユニット（球貸しユニット）（図示せず）に紙幣やカード等を投入した状態で貸球操作部４０が操作されると、その操作に応じて球の貸出が行われる。具体的には、度数表示部４１はカード等の残額情報が表示される領域であり、内蔵されたＬＥＤが点灯して残額情報として残額が数字で表示される。球貸しボタン４２は、カード等（記録媒体）に記録された情報に基づいて貸出球を得るために操作されるものであり、カード等に残額が存在する限りにおいて貸出球が上皿１７に供給される。返却ボタン４３は、カードユニットに挿入されたカード等の返却を求める際に操作される。なお、カードユニットを介さずに球貸し装置等から上皿１７に球が直接貸し出されるパチンコ機、いわゆる現金機では貸球操作部４０が不要となるが、この場合には、貸球操作部４０の設置部分に飾りシール等を付加して部品構成は共通のものとしても良い。カードユニットを用いたパチンコ機と現金機との共通化を図ることができる。
【００２２】
上皿１７の下側に位置する下皿ユニット１５には、その中央部に上皿１７に貯留しきれなかった球を貯留するための下皿５０が上面を開放した略箱状に形成されている。下皿５０の右側には、球を遊技盤１３の前面へ打ち込むために遊技者によって操作される操作ハンドル５１が配設される。
【００２３】
操作ハンドル５１の内部には、球発射ユニット１１２ａの駆動を許可するためのタッチセンサ５１ａと、押下操作している期間中には球の発射を停止する発射停止スイッチ５１ｂと、操作ハンドル５１の回動操作量（回動位置）を電気抵抗の変化により検出する可変抵抗器（図示せず）などが内蔵されている。操作ハンドル５１が遊技者によって右回りに回動操作されると、タッチセンサ５１ａがオンされると共に可変抵抗器の抵抗値が回動操作量に対応して変化し、その可変抵抗器の抵抗値に対応した強さ（発射強度）で球が発射され、これにより遊技者の操作に対応した飛び量で遊技盤１３の前面へ球が打ち込まれる。また、操作ハンドル５１が遊技者により操作されていない状態においては、タッチセンサ５１ａおよび発射停止スイッチ５１ｂがオフとなっている。
【００２４】
下皿５０の正面下方部には、下皿５０に貯留された球を下方へ排出する際に操作するための球抜きレバー５２が設けられている。この球抜きレバー５２は、常時、右方向に付勢されており、その付勢に抗して左方向へスライドさせることにより、下皿５０の底面に形成された底面口が開口して、その底面口から球が自然落下して排出される。この球抜きレバー５２の操作は、通常、下皿５０の下方に下皿５０から排出された球を受け取る箱（一般に「千両箱」と称される）を置いた状態で行われる。下皿５０の右方には、上述したように操作ハンドル５１が配設され、下皿５０の左方には灰皿５３が取り付けられている。
【００２５】
図２に示すように、遊技盤１３は、正面視略正方形状に切削加工したベース板６０に、球案内用の多数の釘（図示せず）や風車の他、レール７６，７７、一般入賞口６３、第１入賞口６４、第２入賞口１４０、可変入賞装置６５、第１スルーゲート６６、可変表示装置ユニット８０等を組み付けて構成され、その周縁部が内枠４（図１参照）の裏面側に取り付けられる。ベース板６０は薄い板材を張り合わせた木材からなり、その正面側からベース板６０の背面側に配設された各種構造体を遊技者に目視できないように形成される。一般入賞口６３、第１入賞口６４、第２入賞口１４０、可変入賞装置６５、可変表示装置ユニット８０は、ルータ加工によってベース板６０に形成された貫通穴に配設され、遊技盤１３の前面側からタッピングネジ等により固定されている。
【００２６】
遊技盤１３の前面中央部分は、前扉５の窓部５ｃ（図１参照）を通じて内枠４の前面側から視認することができる。以下に、主に図２を参照して、遊技盤１３の構成について説明する。
【００２７】
遊技盤１３の前面には、帯状の金属板を略円弧状に屈曲加工して形成した外レール７７が植立され、その外レール７７の内側位置には外レール７７と同様に帯状の金属板で形成した円弧状の内レール７６が植立される。この内レール７６と外レール７７とにより遊技盤１３の前面外周が囲まれ、遊技盤１３とガラスユニット１６（図１参照）とにより前後が囲まれることにより、遊技盤１３の前面には、球の挙動により遊技が行われる遊技領域が形成される。遊技領域は、遊技盤１３の前面であって２本のレール７６，７７とレール間を繋ぐ樹脂製の外縁部材７３とにより区画して形成される領域（入賞口等が配設され、発射された球が流下する領域）である。
【００２８】
２本のレール７６，７７は、球発射ユニット１１２ａ（図４参照）から発射された球を遊技盤１３上部へ案内するために設けられたものである。内レール７６の先端部分（図２の左上部）には戻り球防止部材６８が取り付けられ、一旦、遊技盤１３の上部へ案内された球が再度球案内通路内に戻ってしまうといった事態が防止される。外レール７７の先端部（図２の右上部）には、球の最大飛翔部分に対応する位置に返しゴム６９が取り付けられ、所定以上の勢いで発射された球は、返しゴム６９に当たって、勢いが減衰されつつ中央部側へ跳ね返される。
【００２９】
遊技領域の正面視左側下部（図２の左側下部）には、発光手段である複数のＬＥＤおよび７セグメント表示器を備える第１図柄表示装置３７Ａ，３７Ｂが配設されている。第１図柄表示装置３７Ａ，３７Ｂは、主制御装置１１０（図４参照）で行われる各制御に応じた表示がなされるものであり、主にパチンコ機１０の遊技状態の表示が行われる。本実施形態では、第１図柄表示装置３７Ａ，３７Ｂは、球が、第１入賞口６４へ入賞したか、第２入賞口１４０へ入賞したかに応じて使い分けられるように構成されている。具体的には、球が、第１入賞口６４へ入賞した場合には、第１図柄表示装置３７Ａが作動し、一方で、球が、第２入賞口１４０へ入賞した場合には、第１図柄表示装置３７Ｂが作動するように構成されている。
【００３０】
また、第１図柄表示装置３７Ａ，３７Ｂは、ＬＥＤにより、パチンコ機１０が確変中か時短中か通常中であるかを点灯状態により示したり、変動中であるか否かを点灯状態により示したり、停止図柄が確変大当たりに対応した図柄か普通大当たりに対応した図柄か外れ図柄であるかを点灯状態により示したり、保留球数を点灯状態により示すと共に、７セグメント表示装置により、大当たり中のラウンド数やエラー表示を行う。なお、複数のＬＥＤは、それぞれのＬＥＤの発光色（例えば、赤、緑、青）が異なるよう構成され、その発光色の組み合わせにより、少ないＬＥＤでパチンコ機１０の各種遊技状態を示唆することができる。
【００３１】
なお、本パチンコ機１０では、第１入賞口６４，第２入賞口１４０のいずれかに入賞があったことを契機として抽選が行われる。パチンコ機１０は、その抽選において、大当たりか否かの当否判定（大当たり抽選）を行うと共に、大当たりと判定した場合はその大当たり種別の判定も行う。ここで判定される大当たり種別としては、１５Ｒ確変大当たり、４Ｒ確変大当たり、１５Ｒ通常大当たりが用意されている。第１図柄表示装置３７Ａ，３７Ｂには、変動終了後の停止図柄として抽選の結果が大当たりであるか否かが示されるだけでなく、大当たりである場合はその大当たり種別に応じた図柄が示される。
【００３２】
ここで、「１５Ｒ確変大当たり」とは、最大ラウンド数が１５ラウンドの大当たりの後に高確率状態へ移行する確変大当たりのことであり、「４Ｒ確変大当たり」とは、最大ラウンド数が４ラウンドの大当たりの後に高確率状態へ移行する確変大当たりのことである。また、「１５Ｒ通常大当たり」は、最大ラウンド数が１５ラウンドの大当たりの後に、低確率状態へ移行すると共に、所定の変動回数の間（例えば、１００変動回数）は時短状態となる大当たりのことである。
【００３３】
また、「高確率状態」とは、大当たり終了後に付加価値としてその後の大当たり確率がアップした状態、いわゆる確率変動中（確変中）の時をいい、換言すれば、特別遊技状態へ移行し易い遊技の状態のことである。本実施形態における高確率状態（確変中）は、後述する第２図柄の当たり確率がアップして第２入賞口１４０へ球が入賞し易い遊技の状態を含む。「低確率状態」とは、確変中でない時をいい、大当たり確率が通常の状態、即ち、確変の時より大当たり確率が低い状態をいう。また、「低確率状態」のうちの時短状態（時短中）とは、大当たり確率が通常の状態であると共に、大当たり確率がそのままで第２図柄の当たり確率のみがアップして第２入賞口１４０へ球が入賞し易い遊技の状態のことをいう。一方、パチンコ機１０が通常中とは、確変中でも時短中でもない遊技の状態（大当たり確率も第２図柄の当たり確率もアップしていない状態）である。
【００３４】
確変中や時短中は、第２図柄の当たり確率がアップするだけではなく、第２入賞口１４０に付随する第１電動役物５２０が開放される時間も変更され、通常中と比して長い時間が設定される。第１電動役物５２０が開放された状態（開放状態）にある場合は、その第１電動役物５２０が閉鎖された状態（閉鎖状態）にある場合と比して、第２入賞口１４０へ球が入賞しやすい状態となる。よって、確変中や時短中は、第２入賞口１４０へ球が入賞し易い状態となり、大当たり抽選が行われる回数を増やすことができる。
【００３５】
なお、確変中や時短中において、第２入賞口１４０に付随する第１電動役物５２０の開放時間を変更するのではなく、または、その開放時間を変更することに加えて、１回の当たりで第１電動役物５２０が開放する回数を通常中よりも増やす変更を行うものとしてもよい。また、確変中や時短中において、第２図柄の当たり確率は変更せず、第２入賞口１４０に付随する第１電動役物５２０が開放される時間および１回の当たりで第１電動役物５２０が開放する回数の少なくとも一方を変更するものとしてもよい。また、確変中や時短中において、第２入賞口１４０に付随する第１電動役物５２０が開放される時間や、１回の当たりで第１電動役物５２０を開放する回数は変更せず、第２図柄の当たり確率だけを、通常中と比してアップするよう変更するものであってもよい。
【００３６】
遊技領域には、球が入賞することにより５個から１５個の球が賞球として払い出される複数の一般入賞口６３が配設されている。また、遊技領域の中央部分には、可変表示装置ユニット８０が配設されている。可変表示装置ユニット８０には、第１入賞口６４、第２入賞口１４０のいずれかの入賞（始動入賞）をトリガとして、第１図柄表示装置３７Ａ，３７Ｂにおける変動表示と同期させながら、第３図柄の変動表示を行うセグメント表示装置６００及び装飾図柄表示装置８００と、第１スルーゲート６６の球の通過をトリガとして第２図柄を変動表示するＬＥＤで構成される第２図柄表示装置（図示せず）とが設けられている。
【００３７】
また、可変表示装置ユニット８０には、セグメント表示装置６００及び装飾図柄表示装置８００の外周を囲むようにして、センタフレーム８６が配設されている。このセンタフレーム８６の中央に開口される開口部からセグメント表示装置６００及び装飾図柄表示装置８００が視認可能とされる。
【００３８】
本実施形態のセグメント表示装置６００及び装飾図柄表示装置８００は、主制御装置１１０（図４参照）の制御に伴った遊技状態の表示が第１図柄表示装置３７Ａ，３７Ｂで行われるのに対して、その第１図柄表示装置３７Ａ，３７Ｂの表示に応じた装飾的な表示および変位動作を行うものである。なお、セグメント表示装置６００及び装飾図柄表示装置８００に代えて、例えば液晶表示を用いて遊技状態の表示するようにしても良い。
【００３９】
第２図柄表示装置は、球が第１スルーゲート６６を通過する毎に表示図柄（第２図柄（図示せず））としての「○」の図柄と「×」の図柄とを所定時間交互に点灯させる変動表示を行うものである。パチンコ機１０では、球が第１スルーゲート６６を通過したことが検出されると、当たり抽選が行われる。その当たり抽選の結果、当たりであれば、第２図柄表示装置において、第２図柄の変動表示後に「○」の図柄が停止表示される。また、当たり抽選の結果、外れであれば、第２図柄表示装置において、第３図柄の変動表示後に「×」の図柄が停止表示される。
【００４０】
パチンコ機１０は、第２図柄表示装置における変動表示が所定図柄（本実施形態においては「○」の図柄）で停止した場合に、第２入賞口１４０に付随された第１電動役物５２０が所定時間だけ作動状態となる（開放される）よう構成されている。
【００４１】
第２図柄の変動表示にかかる時間は、遊技状態が通常中の場合よりも、確変中または時短中の方が短くなるように設定される。これにより、確変中および時短中は、第２図柄の変動表示が短い時間で行われるので、当たり抽選を通常中よりも多く行うことができる。よって、当たり抽選において当たりとなる機会が増えるので、第２入賞口１４０の第１電動役物５２０が開放状態となる機会を遊技者に多く与えることができる。よって、確変中および時短中は、第２入賞口１４０へ球が入賞しやすい状態とすることができる。
【００４２】
なお、確変中または時短中において、当たり確率を高める、１回に当たりに対する第１電動役物５２０の開放時間や開放回数を増やすなど、その他の方法によっても、確変中または時短中に第２入賞口１４０へ球が入賞しやすい状態としている場合は、第２図柄の変動表示にかかる時間を遊技状態にかかわらず一定としてもよい。一方、第２図柄の変動表示にかかる時間を、確変中または時短中において通常中よりも短く設定する場合は、当たり確率を遊技状態にかかわらず一定にしてもよいし、また、１回の当たりに対する第１電動役物５２０の開放時間や開放回数を遊技状態にかかわらず一定にしてもよい。
【００４３】
第１スルーゲート６６は、可変表示装置ユニット８０の右側の領域において遊技盤に組み付けられる。第１スルーゲート６６は、遊技盤に発射された球のうち、遊技盤を流下する球の一部が通過可能に構成されている。第１スルーゲート６６を球が通過すると、第２図柄の当たり抽選が行われる。当たり抽選の後、第２図柄表示装置にて変動表示を行い、当たり抽選の結果が当たりであれば、変動表示の停止図柄として「○」の図柄を表示し、当たり抽選の結果が外れであれば、変動表示の停止図柄として「×」の図柄を表示する。
【００４４】
球の第１スルーゲート６６の通過回数は、合計で最大４回まで保留され、その保留球数が上述した第１図柄表示装置３７Ａ，３７Ｂにより表示されると共に第２図柄保留ランプ（図示せず）においても点灯表示される。第２図柄保留ランプは、最大保留数分の４つ設けられ、セグメント表示装置６００及び装飾図柄表示装置８００の下方に左右対称に配設されている。
【００４５】
なお、第２図柄の変動表示は、本実施形態のように、第２図柄表示装置において複数のランプの点灯と非点灯を切り換えることにより行うものの他、第１図柄表示装置３７Ａ，３７Ｂ、セグメント表示装置６００及び装飾図柄表示装置８００の一部を使用して行うようにしても良い。同様に、第２図柄保留ランプの点灯をセグメント表示装置６００及び装飾図柄表示装置８００の一部で行うようにしても良い。また、第１スルーゲート６６の球の通過に対する最大保留球数は４回に限定されるものでなく、３回以下、又は、５回以上の回数（例えば、８回）に設定しても良い。また、スルーゲートの組み付け数は２つに限定されるものではなく、３つ以上の複数であっても良い。また、スルーゲートの組み付け位置は可変表示装置ユニット８０の左右両側に限定されるものではなく、例えば、可変表示装置ユニット８０の下方でも良い。また、第１図柄表示装置３７Ａ，３７Ｂにより保留球数が示されるので、第２図柄保留ランプにより点灯表示を行わないものとしてもよい。
【００４６】
可変表示装置ユニット８０の下方には、球が入賞し得る第１入賞口６４が配設されている。この第１入賞口６４へ球が入賞すると遊技盤１３の裏面側に設けられる第１入賞口スイッチ（図示せず）がオンとなり、その第１入賞口スイッチのオンに起因して主制御装置１１０（図４参照）で大当たりの抽選がなされ、その抽選結果に応じた表示が第１図柄表示装置３７Ａで示される。
【００４７】
一方、第１入賞口６４の正面視右方には、球が入賞し得る第２入賞口１４０が配設されている。第２入賞口１４０へ球が入賞すると遊技盤１３の裏面側に設けられる第２入賞口スイッチ（図示せず）がオンとなり、その第２入賞口スイッチのオンに起因して主制御装置１１０（図４参照）で大当たりの抽選がなされ、その抽選結果に応じた表示が第１図柄表示装置３７Ｂで示される。
【００４８】
また、第１入賞口６４，第２入賞口１４０は、それぞれ、球が入賞すると５個の球が賞球として払い出される入賞口の１つにもなっている。なお、本実施形態においては、第１入賞口６４へ球が入賞した場合に払い出される賞球数と第２入賞口１４０へ球が入賞した場合に払い出される賞球数とを同じに構成したが、第１入賞口６４へ球が入賞した場合に払い出される賞球数と第２入賞口１４０へ球が入賞した場合に払い出される賞球数とを異なる数、例えば、第１入賞口６４へ球が入賞した場合に払い出される賞球数を３個とし、第２入賞口１４０へ球が入賞した場合に払い出される賞球数を５個として構成してもよい。
【００４９】
第２入賞口１４０には第１電動役物５２０が付随されている。この第１電動役物５２０は開閉可能に構成されており、通常は第１電動役物５２０が閉鎖状態（縮小状態）となって、球が第２入賞口１４０へ入賞しにくい状態となっている。一方、第１スルーゲート６６への球の通過を契機として行われる第２図柄の変動表示の結果、「○」の図柄が第２図柄表示装置に表示された場合、第１電動役物５２０が開放状態（拡大状態）となり、球が第２入賞口１４０へ入賞しやすい状態となる。
【００５０】
上述した通り、確変中および時短中は、通常中と比して第２図柄の当たり確率が高く、また、第２図柄の変動表示にかかる時間も短いので、第２図柄の変動表示において「○」の図柄が表示され易くなって、第１電動役物５２０が開放状態（拡大状態）となる回数が増える。更に、確変中または時短中は、第１電動役物５２０が開放される時間も、通常中より長くなる。よって、確変中または時短中は、通常時と比して、第２入賞口１４０へ球が入賞しやすい状態を作ることができる。
【００５１】
ここで、第１入賞口６４に球が入賞した場合と第２入賞口１４０へ球が入賞した場合とで、大当たりとなる確率は、低確率状態であっても高確率状態でも同一である。しかしながら、大当たりとなった場合に選定される大当たりの種別として１５Ｒ確変大当たりとなる確率は、第２入賞口１４０へ球が入賞した場合のほうが第１入賞口６４へ球が入賞した場合よりも高く設定されている。一方、第１入賞口６４は、第２入賞口１４０にあるような第１電動役物５２０は有しておらず、球が常時入賞可能な状態となっている。
【００５２】
よって、通常中においては、第２入賞口１４０に付随する電動役物が閉鎖状態にある場合が多く、第２入賞口１４０に入賞しづらいので、電動役物のない第１入賞口６４へ向けて、可変表示装置ユニット８０の左方を球が通過するように球を発射し（所謂「左打ち」）、第１入賞口６４への入賞によって大当たり抽選の機会を多く得て、大当たりとなることを狙った方が、遊技者にとって有利となる。
【００５３】
一方、確変中や時短中は、第１スルーゲート６６に球を通過させることで、第２入賞口１４０に付随する第１電動役物５２０が開放状態となりやすく、第２入賞口１４０に入賞しやすい状態であるので、第２入賞口１４０へ向けて、可変表示装置ユニット８０の右方を球が通過するように球を発射し（所謂「右打ち」）、第１スルーゲート６６を通過させて第１電動役物５２０を開放状態にすると共に、第２入賞口１４０への入賞によって１５Ｒ確変大当たりとなることを狙った方が、遊技者にとって有利となる。
【００５４】
このように、本実施形態のパチンコ機１０は、パチンコ機１０の遊技状態（確変中であるか、時短中であるか、通常中であるか）に応じて、遊技者に対し、球の発射の仕方を「左打ち」と「右打ち」とに変えさせることができる。よって、遊技者に対して、球の打ち方に変化をもたらすことができるので、遊技を楽しませることができる。
【００５５】
第１入賞口６４の右側には可変入賞装置６５が配設されており、その略中央部分に横長矩形状の特定入賞口（大開放口）６５ａが設けられている。パチンコ機１０においては、第１入賞口６４，第２入賞口１４０のいずれかの入賞に起因して行われた大当たり抽選が大当たりとなると、所定時間（変動時間）が経過した後に、大当たりの停止図柄となるよう第１図柄表示装置３７Ａ又は第１図柄表示装置３７Ｂを点灯させると共に、その大当たりに対応した停止図柄をセグメント表示装置６００及び装飾図柄表示装置８００に表示させて、大当たりの発生が示される。その後、球が入賞し易い特別遊技状態（大当たり）に遊技状態が遷移する。この特別遊技状態として、通常時には閉鎖されている特定入賞口６５ａが、所定時間（例えば、３０秒経過するまで、或いは、球が１０個入賞するまで）開放される。
【００５６】
この特定入賞口６５ａは、所定時間が経過すると閉鎖され、その閉鎖後、再度、その特定入賞口６５ａが所定時間開放される。この特定入賞口６５ａの開閉動作は、最高で例えば１５回（１５ラウンド）繰り返し可能にされている。この開閉動作が行われている状態が、遊技者にとって有利な特別遊技状態の一形態であり、遊技者には、遊技上の価値（遊技価値）の付与として通常時より多量の賞球の払い出しが行われる。
【００５７】
可変入賞装置６５は、具体的には、特定入賞口６５ａを覆う横長矩形状の開閉板と、その開閉板の下辺を軸として前方側に開閉駆動するための大開放口ソレノイド（図示せず）とを備えている。特定入賞口６５ａは、通常時は、球が入賞できないか又は入賞し難い閉状態になっている。大当たりの際には大開放口ソレノイドを駆動して開閉板を前面下側に傾倒し、球が特定入賞口６５ａに入賞しやすい開状態を一時的に形成し、その開状態と通常時の閉状態との状態を交互に繰り返すように作動する。
【００５８】
なお、上記した形態に特別遊技状態は限定されるものではない。特定入賞口６５ａとは別に開閉される大開放口を遊技領域に設け、第１図柄表示装置３７Ａ，３７Ｂにおいて大当たりに対応したＬＥＤが点灯した場合に、特定入賞口６５ａが所定時間開放され、その特定入賞口６５ａの開放中に、球が特定入賞口６５ａ内へ入賞することを契機として特定入賞口６５ａとは別に設けられた大開放口が所定時間、所定回数開放される遊技状態を特別遊技状態として形成するようにしても良い。また、特定入賞口６５ａは１つに限るものではなく、１つ若しくは２以上の複数（例えば３つ）配置しても良く、また配置位置も第１入賞口６４の右側に限らず、例えば、可変表示装置ユニット８０の左方でも良い。
【００５９】
遊技盤１３の下側における右隅部には、証紙や識別ラベル等を貼着するための貼着スペースＫ１が設けられ、貼着スペースＫ１に貼られた証紙等は、前扉５の小窓３５（図１参照）を通じて視認することができる。
【００６０】
遊技盤１３には、第１アウト口７１が設けられている。遊技領域を流下する球であって、いずれの入賞口６３，６４，６５ａ，６４０にも入賞しなかった球は、第１アウト口７１を通って図示しない球排出路へと案内される。第１アウト口７１は、第１入賞口６４の下方に配設される。
【００６１】
遊技盤１３には、球の落下方向を適宜分散、調整等するために多数の釘が植設されているとともに、風車等の各種部材（役物）とが配設されている。
【００６２】
図３に示すように、パチンコ機１０の背面側には、制御基板ユニット９０，９１と、裏パックユニット９４とが主に備えられている。制御基板ユニット９０は、主基板（主制御装置１１０）と音声ランプ制御基板（音声ランプ制御装置１１３）と表示制御基板（表示制御装置１１４）とが搭載されてユニット化されている。制御基板ユニット９１は、払出制御基板（払出制御装置１１１）と発射制御基板（発射制御装置１１２）と電源基板（電源装置１１５）とカードユニット接続基板１１６とが搭載されてユニット化されている。
【００６３】
裏パックユニット９４は、保護カバー部を形成する裏パック９２と払出ユニット９３とがユニット化されている。また、各制御基板には、各制御を司る１チップマイコンとしてのＭＰＵ、各種機器との連絡をとるポート、各種抽選の際に用いられる乱数発生器、時間計数や同期を図る場合などに使用されるクロックパルス発生回路等が、必要に応じて搭載されている。
【００６４】
なお、主制御装置１１０、音声ランプ制御装置１１３および表示制御装置１１４、払出制御装置１１１および発射制御装置１１２、電源装置１１５、カードユニット接続基板１１６は、それぞれ基板ボックス１００〜１０４に収納されている。基板ボックス１００〜１０４は、ボックスベースと該ボックスベースの開口部を覆うボックスカバーとを備えており、そのボックスベースとボックスカバーとが互いに連結されて、各制御装置や各基板が収納される。
【００６５】
また、基板ボックス１００（主制御装置１１０）および基板ボックス１０２（払出制御装置１１１および発射制御装置１１２）は、ボックスベースとボックスカバーとを封印ユニット（図示せず）によって開封不能に連結（かしめ構造による連結）している。また、ボックスベースとボックスカバーとの連結部には、ボックスベースとボックスカバーとに亘って封印シール（図示せず）が貼着されている。この封印シールは、脆性な素材で構成されており、基板ボックス１００，１０２を開封するために封印シールを剥がそうとしたり、基板ボックス１００，１０２を無理に開封しようとすると、ボックスベース側とボックスカバー側とに切断される。よって、封印ユニット又は封印シールを確認することで、基板ボックス１００，１０２が開封されたかどうかを知ることができる。
【００６６】
払出ユニット９３は、裏パックユニット９４の最上部に位置して上方に開口したタンク１３０と、タンク１３０の下方に連結され下流側に向けて緩やかに傾斜するタンクレール１３１と、タンクレール１３１の下流側に縦向きに連結されるケースレール１３２と、ケースレール１３２の最下流部に設けられ、払出モータ２１６（図４参照）の所定の電気的構成により球の払出を行う払出装置１３３とを備えている。タンク１３０には、遊技ホールの島設備から供給される球が逐次補給され、払出装置１３３により必要個数の球の払い出しが適宜行われる。タンクレール１３１には、当該タンクレール１３１に振動を付加するためのバイブレータ１３４が取り付けられている。
【００６７】
また、払出制御装置１１１には状態復帰スイッチ１２０が設けられ、発射制御装置１１２には可変抵抗器の操作つまみ１２１が設けられ、電源装置１１５にはＲＡＭ消去スイッチ１２２が設けられている。状態復帰スイッチ１２０は、例えば、払出モータ２１６（図４参照）部の球詰まり等、払出エラーの発生時に球詰まりを解消（正常状態への復帰）するために操作される。操作つまみ１２１は、発射ソレノイドの発射力を調整するために操作される。ＲＡＭ消去スイッチ１２２は、パチンコ機１０を初期状態に戻したい場合に電源投入時に操作される。
【００６８】
次に、図４を参照して、本パチンコ機１０の電気的構成について説明する。図４は、パチンコ機１０の電気的構成を示すブロック図である。
【００６９】
主制御装置１１０には、演算装置である１チップマイコンとしてのＭＰＵ２０１が搭載されている。ＭＰＵ２０１には、該ＭＰＵ２０１により実行される各種の制御プログラムや固定値データを記憶したＲＯＭ２０２と、そのＲＯＭ２０２内に記憶される制御プログラムの実行に際して各種のデータ等を一時的に記憶するためのメモリであるＲＡＭ２０３と、そのほか、割込回路やタイマ回路、データ送受信回路などの各種回路が内蔵されている。主制御装置１１０では、ＭＰＵ２０１によって、大当たり抽選や第１図柄表示装置３７Ａ，３７Ｂ、セグメント表示装置６００及び装飾図柄表示装置８００における表示の設定、第２図柄表示装置における表示結果の抽選といったパチンコ機１０の主要な処理を実行する。
【００７０】
なお、払出制御装置１１１や音声ランプ制御装置１１３などのサブ制御装置に対して動作を指示するために、主制御装置１１０から該サブ制御装置へ各種のコマンドがデータ送受信回路によって送信されるが、かかるコマンドは、主制御装置１１０からサブ制御装置へ一方向にのみ送信される。
【００７１】
ＲＡＭ２０３は、各種エリア、カウンタ、フラグのほか、ＭＰＵ２０１の内部レジスタの内容やＭＰＵ２０１により実行される制御プログラムの戻り先番地などが記憶されるスタックエリアと、各種のフラグおよびカウンタ、Ｉ／Ｏ等の値が記憶される作業エリア（作業領域）とを有している。なお、ＲＡＭ２０３は、パチンコ機１０の電源の遮断後においても電源装置１１５からバックアップ電圧が供給されてデータを保持（バックアップ）できる構成となっており、ＲＡＭ２０３に記憶されるデータは、すべてバックアップされる。
【００７２】
停電などの発生により電源が遮断されると、その電源遮断時（停電発生時を含む。以下同様）のスタックポインタや、各レジスタの値がＲＡＭ２０３に記憶される。一方、電源投入時（停電解消による電源投入を含む。以下同様）には、ＲＡＭ２０３に記憶される情報に基づいて、パチンコ機１０の状態が電源遮断前の状態に復帰される。ＲＡＭ２０３への書き込みはメイン処理（図示せず）によって電源遮断時に実行され、ＲＡＭ２０３に書き込まれた各値の復帰は電源投入時の立ち上げ処理（図示せず）において実行される。なお、ＭＰＵ２０１のＮＭＩ端子（ノンマスカブル割込端子）には、停電等の発生による電源遮断時に、停電監視回路２５２からの停電信号ＳＧ１が入力されるように構成されており、その停電信号ＳＧ１がＭＰＵ２０１へ入力されると、停電時処理としてのＮＭＩ割込処理（図示せず）が即座に実行される。
【００７３】
主制御装置１１０のＭＰＵ２０１には、アドレスバスおよびデータバスで構成されるバスライン２０４を介して入出力ポート２０５が接続されている。入出力ポート２０５には、払出制御装置１１１、音声ランプ制御装置１１３、第１図柄表示装置３７Ａ，３７Ｂ、第２図柄表示装置、第２図柄保留ランプ、特定入賞口６５ａの開閉板の下辺を軸として前方側に開閉駆動するための大開放口ソレノイドや電動役物を駆動するためのソレノイドなどからなるソレノイド２０９が接続され、ＭＰＵ２０１は、入出力ポート２０５を介してこれらに対し各種コマンドや制御信号を送信する。
【００７４】
また、入出力ポート２０５には、図示しないスイッチ群およびスライド位置検出センサＳや回転位置検出センサＲを含むセンサ群などからなる各種スイッチ２０８、電源装置１１５に設けられた後述のＲＡＭ消去スイッチ回路２５３が接続され、ＭＰＵ２０１は各種スイッチ２０８から出力される信号や、ＲＡＭ消去スイッチ回路２５３より出力されるＲＡＭ消去信号ＳＧ２に基づいて各種処理を実行する。
【００７５】
払出制御装置１１１は、払出モータ２１６を駆動させて賞球や貸出球の払出制御を行うものである。演算装置であるＭＰＵ２１１は、そのＭＰＵ２１１により実行される制御プログラムや固定値データ等を記憶したＲＯＭ２１２と、ワークメモリ等として使用されるＲＡＭ２１３とを有している。
【００７６】
払出制御装置１１１のＲＡＭ２１３は、主制御装置１１０のＲＡＭ２０３と同様に、ＭＰＵ２１１の内部レジスタの内容やＭＰＵ２１１により実行される制御プログラムの戻り先番地などが記憶されるスタックエリアと、各種のフラグおよびカウンタ、Ｉ／Ｏ等の値が記憶される作業エリア（作業領域）とを有している。ＲＡＭ２１３は、パチンコ機１０の電源の遮断後においても電源装置１１５からバックアップ電圧が供給されてデータを保持（バックアップ）できる構成となっており、ＲＡＭ２１３に記憶されるデータは、すべてバックアップされる。なお、主制御装置１１０のＭＰＵ２０１と同様、ＭＰＵ２１１のＮＭＩ端子にも、停電等の発生による電源遮断時に停電監視回路２５２から停電信号ＳＧ１が入力されるように構成されており、その停電信号ＳＧ１がＭＰＵ２１１へ入力されると、停電時処理としてのＮＭＩ割込処理（図示せず）が即座に実行される。
【００７７】
払出制御装置１１１のＭＰＵ２１１には、アドレスバスおよびデータバスで構成されるバスライン２１４を介して入出力ポート２１５が接続されている。入出力ポート２１５には、主制御装置１１０や払出モータ２１６、発射制御装置１１２などがそれぞれ接続されている。また、図示はしないが、払出制御装置１１１には、払い出された賞球を検出するための賞球検出スイッチが接続されている。なお、該賞球検出スイッチは、払出制御装置１１１に接続されるが、主制御装置１１０には接続されていない。
【００７８】
発射制御装置１１２は、主制御装置１１０により球の発射の指示がなされた場合に、操作ハンドル５１の回動操作量に応じた球の打ち出し強さとなるよう球発射ユニット１１２ａを制御するものである。球発射ユニット１１２ａは、図示しない発射ソレノイドおよび電磁石を備えており、その発射ソレノイドおよび電磁石は、所定条件が整っている場合に駆動が許可される。具体的には、遊技者が操作ハンドル５１に触れていることをタッチセンサ５１ａにより検出し、球の発射を停止させるための発射停止スイッチ５１ｂがオフ（操作されていないこと）を条件に、操作ハンドル５１の回動操作量（回動位置）に対応して発射ソレノイドが励磁され、操作ハンドル５１の操作量に応じた強さで球が発射される。
【００７９】
音声ランプ制御装置１１３は、音声出力装置（図示しないスピーカなど）２２６における音声の出力、ランプ表示装置（電飾部２９〜３３、表示ランプ３４など）２２７における点灯および消灯の出力、変動演出（変動表示）や予告演出といった表示制御装置１１４で行われるセグメント表示装置６００及び装飾図柄表示装置８００の表示態様の設定などを制御するものである。演算装置であるＭＰＵ２２１は、そのＭＰＵ２２１により実行される制御プログラムや固定値データ等を記憶したＲＯＭ２２２と、ワークメモリ等として使用されるＲＡＭ２２３とを有している。
【００８０】
音声ランプ制御装置１１３のＭＰＵ２２１には、アドレスバスおよびデータバスで構成されるバスライン２２４を介して入出力ポート２２５が接続されている。入出力ポート２２５には、主制御装置１１０、表示制御装置１１４、音声出力装置２２６、ランプ表示装置２２７、その他装置２２８、枠ボタン２２などがそれぞれ接続されている。その他装置２２８には、駆動モータＫＭ１，ＫＭ２，ＫＭ３が含まれる。
【００８１】
音声ランプ制御装置１１３は、主制御装置１１０から受信した各種のコマンド（変動パターンコマンド、停止種別コマンド等）に基づいて、セグメント表示装置６００及び装飾図柄表示装置８００の表示態様を決定し、決定した表示態様をコマンド（表示用変動パターンコマンド、表示用停止種別コマンド等）によって表示制御装置１１４へ通知する。また、音声ランプ制御装置１１３は、枠ボタン２２からの入力を監視し、遊技者によって枠ボタン２２が操作された場合は、セグメント表示装置６００及び装飾図柄表示装置８００で表示される態様を変更したり、スーパーリーチ時の演出内容を変更したりするように、表示制御装置１１４へ指示する。表示される態様が変更される場合は、変更後の表示される態様に応じた装飾をセグメント表示装置６００及び装飾図柄表示装置８００に表示させるべく、変更後の表示される態様に関する情報を含めた背面画像変更コマンドを表示制御装置１１４へ送信する。ここで、背面画像とは、セグメント表示装置６００及び装飾図柄表示装置８００に表示させる主要な画像である第３図柄の背面側に表示される画像のことである。表示制御装置１１４は、この音声ランプ制御装置１１３から送信されるコマンドに従って、セグメント表示装置６００及び装飾図柄表示装置８００に各種の装飾を表示する。
【００８２】
また、音声ランプ制御装置１１３は、表示制御装置１１４からセグメント表示装置６００及び装飾図柄表示装置８００の表示内容を表すコマンド（表示コマンド）を受信する。音声ランプ制御装置１１３では、表示制御装置１１４から受信した表示コマンドに基づき、セグメント表示装置６００及び装飾図柄表示装置８００の表示内容に合わせて、その表示内容に対応する音声を音声出力装置２２６から出力し、また、その表示内容に対応させてランプ表示装置２２７の点灯および消灯を制御する。
【００８３】
表示制御装置１１４は、音声ランプ制御装置１１３およびセグメント表示装置６００及び装飾図柄表示装置８００が接続され、音声ランプ制御装置１１３より受信したコマンドに基づいて、セグメント表示装置６００及び装飾図柄表示装置８００における第３図柄の変動演出などの表示を制御するものである。また、表示制御装置１１４は、セグメント表示装置６００及び装飾図柄表示装置８００の表示内容を通知する表示コマンドを適宜音声ランプ制御装置１１３へ送信する。音声ランプ制御装置１１３は、この表示コマンドによって示される表示内容にあわせて音声出力装置２２６から音声を出力することで、セグメント表示装置６００及び装飾図柄表示装置８００の表示と音声出力装置２２６からの音声出力とをあわせることができる。
【００８４】
電源装置１１５は、パチンコ機１０の各部に電源を供給するための電源部２５１と、停電等による電源遮断を監視する停電監視回路２５２と、ＲＡＭ消去スイッチ１２２（図３参照）が設けられたＲＡＭ消去スイッチ回路２５３とを有している。電源部２５１は、図示しない電源経路を通じて、各制御装置１１０〜１１４等に対して各々に必要な動作電圧を供給する装置である。その概要としては、電源部２５１は、外部より供給される交流２４ボルトの電圧を取り込み、各種スイッチ２０８などの各種スイッチや、ソレノイド２０９などのソレノイド、モータ等を駆動するための１２ボルトの電圧、ロジック用の５ボルトの電圧、ＲＡＭバックアップ用のバックアップ電圧などを生成し、これら１２ボルトの電圧、５ボルトの電圧およびバックアップ電圧を各制御装置１１０〜１１４等に対して必要な電圧を供給する。
【００８５】
停電監視回路２５２は、停電等の発生による電源遮断時に、主制御装置１１０のＭＰＵ２０１および払出制御装置１１１のＭＰＵ２１１の各ＮＭＩ端子へ停電信号ＳＧ１を出力するための回路である。停電監視回路２５２は、電源部２５１から出力される最大電圧である直流安定２４ボルトの電圧を監視し、この電圧が２２ボルト未満になった場合に停電（電源断、電源遮断）の発生と判断して、停電信号ＳＧ１を主制御装置１１０および払出制御装置１１１へ出力する。停電信号ＳＧ１の出力によって、主制御装置１１０および払出制御装置１１１は、停電の発生を認識し、ＮＭＩ割込処理を実行する。なお、電源部２５１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成されている。よって、主制御装置１１０および払出制御装置１１１は、ＮＭＩ割込処理（図示せず）を正常に実行し完了することができる。
【００８６】
ＲＡＭ消去スイッチ回路２５３は、ＲＡＭ消去スイッチ１２２（図３参照）が押下された場合に、主制御装置１１０へ、バックアップデータをクリアさせるためのＲＡＭ消去信号ＳＧ２を出力するための回路である。主制御装置１１０は、パチンコ機１０の電源投入時に、ＲＡＭ消去信号ＳＧ２を入力した場合に、バックアップデータをクリアすると共に、払出制御装置１１１においてバックアップデータをクリアさせるための払出初期化コマンドを払出制御装置１１１に対して送信する。
【００８７】
次いで、図５を参照して、遊技盤１３の概略構成について説明する。図５は、遊技盤１３の分解斜視正面図である。なお、図１３では、遊技盤１３から入賞口ユニット５００が分解された状態が図示される。
【００８８】
図５に示すように、入賞口ユニット５００は、遊技盤１３の前面に植立される２本のレール７６，７７とレール間を繋ぐ樹脂製の外縁部材７３とにより区画して形成される遊技領域の下方に形成される開口１３ａに前面側から挿入して配設される。なお、入賞口ユニット５００の詳細な構成は後述する。
【００８９】
次いで、図６から図９を参照して、動作ユニット３００の概略構成について説明する。図６は、動作ユニット３００の斜視正面図である。図７は、動作ユニット３００の分解斜視正面図である。また、図８及び図９は、動作ユニット３００の正面図である。
【００９０】
なお、図８では、セグメント表示装置６００に上下一対配設される変位部材６７０が上下両側にそれぞれ退避された状態が、図９では、図８に示す態様から、セグメント表示装置６００に上下一対配設される変位部材６７０が上下中央位置に張り出された状態が、それぞれ図示される。
【００９１】
図６及び図７に示すように、動作ユニット３００は、箱状に形成される背面ケース４００を備え、その背面ケース４００の内部空間に、装飾図柄表示装置８００、セグメント表示装置６００及び装飾ユニット７００が収容される。
【００９２】
背面ケース４００は、正面視略矩形の底壁部４０１と、その底壁部４０１の４辺の外縁から正面へ向けて立設される外壁部４０２とを備え、それら各壁部４０１，４０２により一面側（正面側）が開放された箱状に形成される。底壁部４０１には、その中央に正面視矩形の開口４０１ａが開口形成され、その開口４０１ａを通じて、セグメント表示装置６００が背面ケース４００の背面側から配設される。
【００９３】
装飾図柄表示装置８００は、背面ケース４００の底壁部４０１のうちの開口４０１ａに左右方向に３つ並設して配設される。装飾図柄表示装置８００には、上下方向に回転変位する内リールユニット８１０及び外リールユニット８２０（図３１参照）が配設され、その内リールユニット８１０及び外リールユニット８２０の外周面に装飾された図柄が変動（回転）する態様を遊技者に視認可能に構成される。なお、装飾図柄表示装置８００の詳しい説明は後述する。
【００９４】
セグメント表示装置６００は、背面ケース４００の底壁部４０１に配設されると共に、装飾図柄表示装置８００を覆設する態様とされる。装飾図柄表示装置８００のベース部材６６０（図４９参照）の対向間には所定の隙間が形成されており、その隙間の間に装飾図柄表示装置８００が配設されることで、遊技者側から、装飾図柄表示装置８００を視認可能とされる。
【００９５】
また、セグメント表示装置６００には、上述したベース部材６６０の対向間の隙間の前方を変位可能とされる変位部材６７０（図４９参照）が配設され、変位部材６７０を装飾図柄表示装置８００の前方に変位させることで、遊技者側から装飾図柄表示装置８００を視認不能とする演出形態を形成できる。なお、セグメント表示装置６００の詳しい説明は後述する。
【００９６】
装飾ユニット７００は、正面視横長矩形の箱状に形成され、セグメント表示装置６００の上下に一対配設される。装飾ユニット７００は、透明な樹脂材料から形成されると共に、その形状がパチンコ機１０のロゴやタイトル等を模した形状に形成される。また、装飾ユニット７００の内部には、光を照射するＬＥＤ基盤が配設され、遊技者側に光を照射可能に形成される。
【００９７】
次いで、図１０から図２９を参照して、入賞口ユニット５００の詳細な説明する。まず、図１０から図１３を参照して、入賞口ユニット５００の構成を説明する。
【００９８】
図１０（ａ）は、入賞口ユニット５００の正面図であり、図１０（ｂ）は、入賞口ユニット５００の背面図である。図１１は、入賞口ユニット５００の分解斜視正面図であり、図１２は、入賞口ユニット５００の分解斜視背面図である。図１３は、ベース部材５１０及び第１電動役物５２０の分解斜視図である。
【００９９】
図１０から図１３に示すように、入賞口ユニット５００は、遊技盤１３の前面に配設（図５参照）に配設されるベース部材５１０と、そのベース部材５１０の内側に回転可能に軸支される第１電動役物５２０と、その第１電動役物５２０に駆動力を付与する駆動ユニット５３０とを主に備えて形成される。
【０１００】
ベース部材５１０は、正面側に配設される正面ベース５１１と、その正面ベース５１１と所定の間隔を隔てて配設される背面ベース５１２とを締結して形成される。
【０１０１】
正面ベース５１１は、正面視横長矩形の板状体から形成されると共に、透明な樹脂材料から形成される。正面ベース５１１は、左右方向中央部の上端部から背面側に突出する第１突出部５１１ａと、左右方向中央部において下端部から背面側に突出する第２突出部５１１ｂと、その第２突出部５１１ｂと左右方向に所定の隙間を隔てた位置に突出する第３突出部５１１ｃとを主に備えて形成される。
【０１０２】
また。正面ベース５１１は、その前面が遊技者側から視認可能な位置に配設され、前面側に凹凸により模様が形成される。
【０１０３】
第１突出部５１１ａは、後述する第１電動役物５２０が閉鎖状態（羽部材５２０Ｌ，５２０Ｒの先端がその回転軸（軸部材ＪＢ１）の上部に位置する状態）の際に、背面ベース５１２に形成される第２入賞口１４０に遊技球が送球されることを防止するための板部材である。
【０１０４】
即ち、第１突出部５１１ａは、閉鎖状態における一対の羽部材５２０Ｌ，５２０Ｒの対向間の上部に形成され、第１電動役物５２０と第１突出部５１１ａとの離間する距離が遊技球の直径よりも小さく設定される。
【０１０５】
また、第１突出部５１１ａは、その上面が左右方向における略中央位置から左右両端部に向かって下降傾斜して形成される。これにより、第１突出部５１１ａの上部に送球された遊技球をその上面を転動させて下方に落下（流下）させることができる。
【０１０６】
第２突出部５１１ｂは、正面ベース５１１の背面側から横長矩形状に突出して形成されると共に、その上端面の上下方向の位置が、背面ベース５１２の第２入賞口１４０の底面よりも下方に設定される。また、第２突出部５１１ｂは、背面ベース５１２の第２入賞口１４０の前方に立設される立設部５１１ｂ１と、その立設部５１１ｂ１の左右両端から突出する係合部５１１ｂ２と、底面部に凹設される凹設部５１１ｂ３とを主に備えて形成される。
【０１０７】
また、第２突出部５１１ｂには、立設部５１１ｂ１の下側に光を照射するＬＥＤを備える基盤部材５１１ｆが配設される。基盤部材５１１ｆのＬＥＤは、上方に向かって光を照射する態様で配設される。よって、ＬＥＤにより第２入賞口１４０の周囲を発光させることができる。
【０１０８】
立設部５１１ｂ１は、第２突出部５１１ｂの上端から上方に立設して形成されると共に、左右方向に２つ並設され、その立設先端同士が連結される。また、立設部５１１ｂ１は、その上面が第２入賞口１４０（背面側）に向かって下方傾斜して形成され、第２入賞口１４０側の端部の上下方向位置が、第２入賞口１４０の底面と一致する高さに設定される。よって、立設部５１１ｂ１の上部に送球された遊技球を第２入賞口１４０側に転動させることができる。従って、立設部５１１ｂ１の上部に送球された遊技球は、第２入賞口１４０に入球することができる。
【０１０９】
また、並設される立設部５１１ｂ１の連結部分は、周方向中央位置が下方に凹んだ形状に形成される。これにより、立設部５１１ｂ１の上部に送球された遊技球を立設部５１１ｂ１の左右方向中央位置に留まりやすくできる。従って、立設部５１１ｂ１の上部に送球される遊技球の転動方向を第２入賞口１４０側に早急に切り換えることができる。その結果、立設部５１１ｂ１の上部に送球された遊技球が、後から送球される遊技球と衝突して外側に押し出されることを抑制でき、第２入賞口１４０に遊技球を入球させやすくできる。
【０１１０】
係合部５１１ｂ２は、後述する左右の羽部材５２０Ｌ，５２０Ｒと係合する部分であり、立設部５１１ｂ１の基端部分の左右両側から後述する軸支部５１１ｄの中心に向かって突出形成される。
【０１１１】
凹設部５１１ｂ３は、正面ベース５１１と背面ベース５１２とを締結する際に、ドライバーを挿入するための空間を形成するための凹みである。これにより、凹設部５１１ｂ３の背面側の側面に貫通形成される貫通孔５１１ｂ４にねじを挿通させることができる。
【０１１２】
第３突出部５１１ｃは、背面ベース５１２に形成される第１アウト口７１に遊技球を転動させる板部材であり、背面ベース５１２に第２入賞口１４０を挟んで２箇所に形成される第１アウト口７１の左右方向両外側に隣接して形成される。言い変えると、第３突出部５１１ｃは、第２突出部５１１ｂと第１アウト口７１の左右方向における寸法分、左右方向に離間した位置に形成される。
【０１１３】
第３突出部５１１ｃの底面は、それぞれ隣接する第１アウト口７１側に向かって（正面ベース５１１の左右方向（図１０（ａ）左右方向）中央側に向かって）下方傾斜して形成され、最下方の位置が、第１アウト口７１の底面よりも高く設定される。よって、第３突出部５１１ｃの上部に送球された遊技球を第１アウト口７１に向かって転動させ、第１アウト口７１に入球させることができる。
【０１１４】
軸支部５１１ｄは、正面ベース５１１の背面側から円環状に突出して形成されると共に、立設部５１１ｂ１を挟んで上下方向（図１０（ａ）上下方向）同一の高さに２つ形成される。軸支部５１１ｄの内径は、後述する軸部材ＪＢ１の直径よりも大きく形成される。よって、軸支部５１１ｄの内部に軸部材ＪＢ１を挿入できる。
【０１１５】
背面ベース５１２は、正面視において正面ベース５１１よりも正面視形状の大きい横長矩形の板状体から形成される。よって、遊技者は、正面ベース５１１と前後方向に重ならない部分の背面ベース５１２の前面を直接視認することができる。
【０１１６】
また、正面ベース５１１は、透明の材料から形成されるので、前方に正面ベース５１１が重なる部分においては、正面ベース５１１を介して、背面ベース５１２を視認することができる。さらに、遊技者は、背面ベース５１２と正面ベース５１１との対向間に送球される遊技球を正面ベース５１１を介して視認できる。
【０１１７】
背面ベース５１２は、正面側の上端部に形成される第１入賞口６４と、その第１入賞口６４の下方に形成される第２入賞口１４０と、その第２入賞口１４０の両隣に形成される第１アウト口７１と、正面視右側の第１アウト口７１の上部に形成される一般入賞口６３とを主に備えて形成される。
【０１１８】
第１入賞口６４は、正面ベース５１１の左右方向（図１０（ａ）左右方向）略中央位置の上端部から下方に凹設されると共に、その凹設縁部に沿って前後両方向に突出して形成される。また、前方側の突出先端（図１０（ａ）紙面手前側）は、板部材により塞がれる。
【０１１９】
第１入賞口６４の凹設形状は、内側を遊技球が挿通可能な大きさで形成されると共に、その底面（重力方向下側の内面）が背面側に傾斜して形成される。これにより、第１入賞口６４に入球した遊技球を遊技盤１３の背面側に送球できる。
【０１２０】
第２入賞口１４０は、第１入賞口６４の重力方向下側（図１０（ａ）下側）に貫通形成される。第２入賞口１４０は、正面視において遊技球の直径よりも大きい寸法の正方形状に貫通形成される。よって、遊技球を第２入賞口１４０を介して遊技盤１３の背面側に送球できる。また、第２入賞口１４０は、左右の内側側面に凹設される凹部１４０ａを備える。
【０１２１】
凹部１４０ａは、軸孔５１２ａの軸を中心に湾曲して凹設される。これにより、後述する左右の羽部材５２０Ｌ，５２０Ｒの突起５２３Ｌ，５２３Ｒを、その内側に収容することができる。即ち、第２入賞口１４０の内側は、遊技球が通過可能にされると共に、突起５２３Ｌ，５２３Ｒが挿通した状態とされる。
【０１２２】
軸孔５１２ａは、背面ベース５１２の第２入賞口１４０の左右両側に前方から背面側に凹設される。軸孔５１２ａは、後述する軸部材ＪＢ１を内部に挿入するための溝であり、軸部材ＪＢ１の直径よりも大きい直径の円形状に形成される。
【０１２３】
第１アウト口７１は、第２入賞口１４０の左右両側に貫通形成される。第１アウト口７１は、遊技盤１３の前面に形成される遊技領域を流下した遊技球を回収する孔であり、正面視横長矩形に形成されると共に、その上下方向（短手方向）の幅寸法が遊技球の直径よりも大きく設定される。また、第１アウト口７１は、その底面（重力方向下側の内面）が、背面側に傾斜して形成される。よって、第１アウト口７１に入球した遊技球を遊技盤１３の背面側に送球できる。
【０１２４】
第１アウト口７１には、その底面と連結して正面側に突出する案内壁５１２ｂが形成される。案内壁５１２ｂは、遊技領域を流下した遊技球をその上面で受け止めて第１アウト口７１に送球するための部材であり、その上面が背面側に向かって下方傾斜して形成される。
【０１２５】
また、案内壁５１２ｂの底面（下面）には、前後方向に延設される複数のリブが並設される。これにより、案内壁５１２ｂの剛性を向上させることができる。その結果、遊技領域を流下した遊技球が案内壁５１２ｂの上面に衝突した際に、案内壁５１２ｂが破損することを抑制できる。
【０１２６】
正面ベース５１１と背面ベース５１２との締結は、上述した貫通孔５１１ｂ４と、その貫通孔５１１ｂ４と対応する位置の背面ベース５１２に貫通形成される締結孔５１２ｃにより行われる。即ち、正面ベース５１１と背面ベース５１２とを前後方向に組み合わせた状態で、正面ベース５１１の下方側から凹設部５１１ｂ３にドライバーを差し込んで、ネジを貫通孔５１１ｂ４を介して締結孔５１２ｃと締結することで行うことができる。
【０１２７】
第１電動役物５２０は、第２入賞口１４０の正面視左側に配置される左羽部材５２０Ｌと、正面視右側に配置される右羽部材５２０Ｒと、を１つのユニットとして形成される。
【０１２８】
なお、左羽部材５２０Ｌ及び右羽部材５２０Ｒは、後述する膨出部５２４Ｌ，５２４Ｒの位置が異なるのみであり、他の部材が第２入賞口１４０を挟んで左右対称に形成されるので、膨出部５２４Ｌ，５２４Ｒ以外については、左羽部材５２０Ｌを説明するのみとし、右羽部材５２０Ｒの詳しい説明は省略する。
【０１２９】
また、左羽部材５２０Ｌ及び右羽部材５２０Ｒは、後述する駆動ユニット５３０のソレノイド５３１の駆動により、貫通孔５２１Ｌから遠方側の角部を重力方向上方に位置した第１状態（閉鎖状態）と、貫通孔５２１Ｌから遠方側の角部を第２入賞口１４０の左右方向外側に離間した位置に変位した第２状態（開放状態）とで変位可能とされ、特段の指定がない限り第１状態について説明するものとする。また、第１状態において左右の羽部材５２０Ｌ，５２０Ｒの対向する側面を側面５２６Ｌ，５２６Ｒの符号を付して説明する。
【０１３０】
左羽部材５２０Ｌは、正面視略三角形に形成されると共に、前後方向に遊技球の直径よりも大きい寸法に形成される。左羽部材５２０Ｌは、重力方向下端部分に、前後方向に貫通する貫通孔５２１Ｌと、その貫通孔５２１Ｌの周囲に正面側から背面側に凹設される凹部５２２Ｌと、貫通孔５２１Ｌの近傍から背面側に突設される突起５２３Ｌと、貫通孔５２１Ｌ側の端面に貫通孔５２１Ｌの径方向に凹設される凹設部５２５Ｌと、側面５２６Ｌから突出する膨出部５２４Ｌと、貫通孔５２１Ｌの内部に挿入される軸部材ＪＢ１とを主に備えて形成される。なお、膨出部５２４Ｌの詳しい説明は後述する。
【０１３１】
軸部材ＪＢ１は、金属材料から形成される円柱状の棒部材である。軸部材ＪＢ１は、左右の羽部材５２０Ｌ，５２０Ｒをそれぞれ回転可能に保持する軸であり、貫通孔５２１Ｌの内径よりも小さい外径に形成される。
【０１３２】
また、軸部材ＪＢ１は、その軸方向の長さが、軸孔５１２ａの凹設先端面から正面ベース５１１の背面側までの離間距離と略同一またはやや短く形成される。よって、正面ベース５１１と背面ベース５１２とを組み付ける際に、軸部材ＪＢ１の一端（背面ベース５１２側の端部）を軸孔５１２ａの内側へ挿入すると共に、他側（正面ベース５１１側の端部）を軸支部５１１ｄの内側に挿入することで、軸部材ＪＢ１を正面ベース５１１と背面ベース５１２との間に保持することができる。
【０１３３】
左羽部材５２０Ｌは、前後方向における寸法が、正面ベース５１１と背面ベース５１２との対向間の距離寸法よりも小さく設定される。よって、正面ベース５１１と背面ベース５１２とを組み付ける際に、軸部材ＪＢ１を貫通孔５２１Ｌに挿通させることで、羽部材５２０Ｌを、正面ベース５１１と背面ベース５１２との対向間に回転可能に保持できる。
【０１３４】
凹部５２２Ｌは、貫通孔５２１Ｌの軸周りに正面側から凹設して形成されており、その凹設寸法が軸支部５１１ｄの突出距離よりも小さく設定される。また、凹部５２２Ｌの貫通孔５２１Ｌの軸から内周面までの距離寸法は、軸支部５１１ｄの軸から外周面の半径寸法よりも大きく設定される。
【０１３５】
よって、羽部材５２０Ｌを、正面ベース５１１及び背面ベース５１２との対向間に配置した際に、羽部材５２０Ｌの正面と正面ベース５１１の背面とが接地することを抑制できると共に、羽部材５２０Ｌと正面ベース５１１との接地部分を、凹部５２２Ｌと軸支部５１１ｄとにすることができる。従って、羽部材５２０Ｌと正面ベース５１１との接地を部分的にすることができる。その結果、羽部材５２０Ｌを後述するソレノイド５３１の駆動により回転させる際に、羽部材５２０Ｌに作用する抵抗を小さくして羽部材５２０Ｌを回転させやすくできる。
【０１３６】
また、軸支部５１１ｄを凹部５２２Ｌの内側に収めることができるので、正面ベース５１１と背面ベース５１２との対向間の距離寸法を小さくできる。その結果、入賞口ユニット５００の前後方向の距離寸法を小さくできる。
【０１３７】
ここで、従来より、羽部材５２０Ｌの貫通孔５２１Ｌに軸部材ＪＢ１を内嵌する遊技機があった。
【０１３８】
しかしながら、従来の遊技機では、軸部材ＪＢ１を貫通孔５２１Ｌに内嵌するために、羽部材５２０Ｌが破損した際には、部品交換の際に羽部材５２０Ｌと軸部材ＪＢ１とを交換する必要がある。その為、部品コストが高くなるという問題点があった。
【０１３９】
これに対し、本実施形態では、軸部材ＪＢ１が、羽部材５２０Ｌに形成される貫通孔５２１Ｌの内部に挿入されるのみであり、羽部材５２０Ｌ及び軸部材ＪＢ１を別体として入賞口ユニット５００に配設することができる。従って、羽部材５２０Ｌが破損した際の交換部品を羽部材５２０Ｌのみとすることができる。その結果、部品コストが高くなることを抑制できる。
【０１４０】
また、上述したように、背面ベース５１２への正面ベース５１１の締結は、正面ベース５１１の前方側から行うことができる。従って、羽部材５２０Ｌが破損した際には、遊技盤１３に入賞口ユニット５００が取着された状態で、背面ベース５１２から正面ベース５１１を取り外すことができる。その結果、羽部材５２０Ｌの部品交換を簡易に行うことができる。
【０１４１】
即ち、正面ベース５１１を背面ベース５１２の背面側から取り外す場合では、遊技盤１３から入賞口ユニット５００を取り外してから正面ベース５１１を背面ベース５１２から取り外す必要があるところ、かかる正面ベース５１１は、正面側から取り外し可能に形成されるので、正面ベース５１１の取り外しを簡易に行うことができる。その結果、羽部材５２０Ｌの部品交換を簡易に行うことができる。
【０１４２】
ここで、正面ベース５１１を背面ベース５１２の正面側から取り外し可能にすると、正面ベース５１１と背面ベース５１２とを締結するネジ等の頭が遊技者側（正面側）から視認可能となり、遊技者が、正面ベース５１１と背面ベース５１２とを締結するネジの頭を視認することで、遊技者の興趣が損なわれる恐れがある。
【０１４３】
これに対し、本実施形態では、正面ベース５１１と背面ベース５１２との締結が、正面ベース５１１に形成される凹設部５１１ｂ３の空間を使って行われる。即ち、正面ベース５１１の下方側から、凹設部５１１ｂ３に斜めにドライバ−を差し込むことで、貫通孔５１１ｂ４を介して締結孔５１２ｃにねじを締結することができる。よって、貫通孔５１１ｂ４の正面側に正面ベース５１１が位置する状態においても、凹設部５１１ｂ３に斜めにドライバーを差し込むことで、正面ベース５１１と背面ベース５１２とを締結できる。従って、正面ベース５１１と背面ベース５１２とを締結するネジ等の頭が遊技者側（正面側）から視認しにくくできる。その結果、遊技者が、正面ベース５１１と背面ベース５１２とを締結するネジの頭を視認することで、遊技者の興趣が損なわれることを抑制できる。
【０１４４】
また通常は、遊技盤１３の中央部に形成される開口を介して視認できる装飾図柄表示装置８００及びセグメント表示装置６００が遊技者の目線の高さに設定される。従って、入賞口ユニット５００は、遊技者の目線高さよりも下方に配置される。その結果、遊技者側から正面ベース５１１と背面ベース５１２とを締結するネジの頭を視認しにくくでき、遊技者が正面ベース５１１と背面ベース５１２とを締結するネジの頭を視認することで興趣が損なわれることを抑制できる。
【０１４５】
なお、正面ベース５１１は、透明な樹脂材料から形成されるので、正面ベース５１１を介して、ネジの頭を視認することができるが、上述したように正面ベース５１１には、正面側に凹凸も模様が形成されるので、板の厚みの違いにより光を他方向に出射できる。これにより、正面ベース５１１を介して視認できるねじの頭をぼやかすことができる。その結果、遊技者の興趣が損なわれることを抑制できる。
【０１４６】
次いで、図１４から図１６を参照して、駆動ユニット５３０の詳細な説明をする。図１４は、駆動ユニット５３０の分解斜視正面図である。図１５（ａ）及び図１５（ｂ）は、駆動ユニット５３０及び第１電動役物５２０の側面図である。図１６（ａ）及び図１６（ｂ）は、駆動ユニット５３０及び第１電動役物５２０の正面図である。
【０１４７】
なお、図１５（ａ）及び図１６（ａ）は、第１電動役物５２０が、第１状態に位置する状態が図示され、図１５（ｂ）及び図１６（ｂ）は、第１電動役物５２０が、第２状態に位置する状態が図示される。
【０１４８】
図１４に示すように、駆動ユニット５３０は、ソレノイド５３１と、そのソレノイド５３１に連結される摺動部材５３２と、その摺動部材５３２に連結される回転部材５３３と、その回転部材５３３及び摺動部材５３２を内部に変位可能な状態で配設する第１ケース部材５３４と、その第１ケース部材５３４の背面側に取着される第２ケース部材５３６とを主に備えて形成される。
【０１４９】
ソレノイド５３１は、内部に電線を備え、電線に電力が流されることで電磁力を発生する本体部５３１ａと、その本体部の内側に摺動可能に配設される可動体５３１ｂと、その可動体の先端部に取着される係合部５３１ｃとを主に備えて形成される。
【０１５０】
本体部５３１ａは、前後方向に長く形成される角柱状に形成されると共に、内部に電線が配設される。本体部５３１ａの正面側には、背面側に凹設される凹部が形成されており、その凹部の内側に円柱状に形成される可動体５３１ｂが配設される。
【０１５１】
可動体５３１ｂは、金属材料から形成されており、本体部５３１ａの電線に電力が付与され電磁力を発生させることで背面側（本体部５３１ａの内側）に摺動することができる。
【０１５２】
係合部５３１ｃは、可動体５３１ｂの本体部５３１ａと反対側の端部に取着される。係合部５３１ｃは、可動体５３１ｂの外径よりも大きい外径の円盤状に形成されており、その軸が可動体５３１ｂの軸と略同一線状に位置して配置される。
【０１５３】
係合部５３１ｃは、後述する摺動部材５３２の係合溝５３２ａ２に挿入される。これにより、可動体５３１ｂの変位に伴って、摺動部材５３２を前後方向（図１５（ａ）左右方向）に変位させることができる。
【０１５４】
摺動部材５３２は、上面視略Ｅ字状に形成されており、左右方向に延設される連結部５３２ａと、その連結部５３２ａの左右両端から正面側に突設される２本の第１突起５３２ｂと、その２本の第１突起５３２ｂの中間に位置すると共に、正面側に突設される第２突起５３２ｃとを主に備えて形成される。
【０１５５】
摺動部材５３２は、連結部５３２ａの左右方向における寸法が、後述する第１ケース部材５３４の内周面における左右方向の対向間寸法よりも小さく形成される。これにより、摺動部材５３２を第１ケース部材５３４の内側に収容配置することができる。
【０１５６】
連結部５３２ａは、背面側に凹設される凹部５３２ａ１と、その凹部５３２ａ１の正面側に連結して上面側から凹設される係合溝５３２ａ２と、第２突起５３２ｃの基端左右両側に形成される切込部５３２ａ３とを主に備えて形成される。
【０１５７】
凹部５３２ａ１は、上述したように、係合溝５３２ａ２にソレノイド５３１の係合部５３１ｃが挿入された際に、ソレノイド５３１の可動体５３１ｂが連結部５３２ａに当接することを抑制する凹みである。即ち、凹部５３２ａ１は、その凹設面が可動体５３１ｂの外径よりも大きい円弧状に形成される。これにより、ソレノイド５３１の可動体５３１ｂが連結部５３２ａに当接することを抑制できる。
【０１５８】
係合溝５３２ａ２は、凹部５３２ａ１の正面側に連結して形成されており、上面側から重力方向への凹設深さが、係合部５３１ｃの直径よりも大きく設定される。また、係合溝５３２ａ２は、左右方向の幅寸法が係合部５３１ｃの直径よりも大きく設定されると共に、前後方向の幅寸法が係合部５３１ｃの前後方向における厚み寸法と略同一または係合部５３１ｃの前後方向における厚み寸法よりも大きく形成される。よって、係合溝５３２ａ２の内側に、係合部５３１ｃを挿入できる。
【０１５９】
切込部５３２ａ３は、後述する第１突起５３２ｂを回転部材５３３に連結する際に、摺動部材５３２を弾性変形しやすくするための切れ目であり、上述したように第２突起５３２ｃの基端左右両側に形成されると共に、背面側に向かって切込み形成される。
【０１６０】
第１突起５３２ｂは、左右方向に貫通形成される係合孔５３２ｄを備える。係合孔５３２ｄは、前後方向に長い長穴状に形成されると共に、正面側の端部から重力方向下側に凹設される第１開口５３２ｄ１と背面側の端部から重力方向下側に凹設される第２開口５３２ｄ２とを主に備えて形成される。なお、第１開口５３２ｄ１及び第２開口５３２ｄ２の詳しい説明は後述する。
【０１６１】
係合孔５３２ｄは、前後方向中央部（第１開口５３２ｄ１及び第２開口５３２ｄ２以外の部分）における上下方向の幅寸法が、後述する回転部材５３３の突起５３３ｂの上下方向における幅寸法よりも大きく設定される。これにより、係合孔５３２ｄの内側に突起５３３ｂを配置できる。
【０１６２】
第２突起５３２ｃは、上述したように２つの第１突起５３２ｂの間に形成されると共に、正面側に突設して形成される。また、第２突起５３２ｃは、連結部５３２ａと反対側の先端側に下方に向かって立設される立設壁５３２ｃ１を備える。なお、立設壁５３２ｃ１の詳しい説明は後述する。
【０１６３】
回転部材５３３は、側面視略Ｌ字に形成される板状体を左右方向に所定の幅を隔てて２つ並設されると共に、一端側の対向間が連結部５３３ａにより連結して形成される。回転部材５３３の２つの板状体の対向間における隙間は、遊技球の直径よりも大きく設定される。これにより、回転部材５３３の内側（２つの板状体の対向間）に遊技球を通過させることができる。
【０１６４】
また、回転部材５３３の左右方向における幅寸法（２つの板状体の外側面の対向間寸法）は、摺動部材５３２の２つの第１突起５３２ｂの内側の対向間寸法よりも、小さく設定される。これにより、回転部材５３３を、摺動部材５３２の第１突起５３２ｂの対向間に配置できる。
【０１６５】
回転部材５３３は、側面視略Ｌ字の屈曲部分から左右方向両側に突出する回転軸５３３ｃと、側面視略Ｌ字の一端側の端部から左右方向両側に突出する突起５３３ｂと、側面視略Ｌ字の他端側の先端に凹設して形成される駆動部５３３ｄとを主に備えて形成される。
【０１６６】
回転軸５３３ｃは、回転部材５３３の左右両外側に突出形成されており、その突出先端面同士の離間した距離寸法が、第１ケース部材５３４の左右方向における幅寸法と略同一に設定される。また、回転軸５３３ｃの突出寸法は、第１ケース部材５３４の左右方向における厚み寸法よりも大きく設定される。よって、後述する第１ケース部材５３４の凹部５３４ａの内側に回転軸５３３ｃを受け入れると共に、第２ケース部材５３５を第１ケース部材５３４に組み付けることで、回転部材５３３を、第１ケース部材５３４及び第２ケース部材５３５に対して回転可能な状態で保持できる。
【０１６７】
突起５３３ｂは、回転部材５３３の左右両外側に突出形成されており、その突出先端面同士の離間した距離寸法が、摺動部材５３２の２つの第１突起５３２ｂの左右の外側側面の離間した距離寸法と略同一に設定される。また、突起５３３ｂの突出寸法は、第１突起５３２ｂの左右方向における幅寸法よりも大きく設定される。よって、突起５３３ｂを第１突起５３２ｂの係合孔５３２ｄに挿入することで、摺動部材５３２と回転部材５３３とを連結できる。
【０１６８】
なお、摺動部材５３２と回転部材５３３との連結は、摺動部材５３２の２つの第１突起５３２ｂを左右に弾性変形させて、２つの第１突起５３２ｂの対向間を広げることで行うことができる。この場合、上述したように、摺動部材５３２には、切込部５３２ａ３が形成されるので、２つの第１突起５３２ｂの対向間を広げやすくするできる。その結果、回転部材５３３と摺動部材５３２との連結をさせやすくできる。
【０１６９】
さらに、第１ケース部材５３４の左右方向における内側面の対向間の距離寸法が、第１突起５３２ｂの外側面同士の対向間における距離寸法と略同一もしくは、第１突起５３２ｂの外側面同士の対向間における距離寸法よりもやや大きく設定される。これにより、回転部材５３３及び摺動部材５３２を第１ケース部材５３４の内側に配置した状態では、第１突起５３２ｂが、左右方向外側に弾性変形することを抑制できる。その結果、回転部材５３３と摺動部材５３２との連結が外れることを抑制できる。
【０１７０】
駆動部５３３ｄは、正面側から背面側に向かって凹設して形成される。駆動部５３３ｄは、内側に羽部材５２０Ｌの突起５２３Ｌ，５２３Ｒを収容できる。即ち、駆動部５３３ｄは、突起５２３Ｌ，５２３Ｒよりも上下方向に大きい寸法に設定される。駆動部５３３ｄに突起５２３Ｌ，５２３Ｒを収容することで、駆動部５３３ｄの変位に伴って第１電動役物５２０を第１状態と第２状態とで変位させることができる。なお、第１電動役物５２０の変位についての詳しい説明は後述する。
【０１７１】
第１ケース部材５３４は、内部が開口した正面視略正方形に形成されると共に、前後方向に延設して形成される。第１ケース部材５３４は、背面側の下側が切り欠き形成されており、その切り欠き部分に、第２ケース部材５３５を配設できる。
【０１７２】
第１ケース部材５３４は、背面側の切り欠き部分に正面側に凹設される凹部５３４ａと、内周側の底面に立設される立設部５３４ｂとを主に備えて形成される。
【０１７３】
凹部５３４ａは、上述したように、内側に回転部材５３３の回転軸５３３ｃを収容する凹みであり、回転軸５３３ｃの直径よりも大きい形状に凹設される。よって、回転軸５３３ｃを内部に収容した状態で、第１ケース部材５３４に第２ケース部材５３５を組み付けることで、回転部材５３３を第１ケース部材５３４の内側に配設できる。
【０１７４】
立設部５３４ｂは、背面ベース５１２の第２入賞口１４０の下側内周面とその立設先端面が同一高さに設定されると共に、背面側に延設されると共に下方傾斜して形成される。これにより、駆動ユニット５３０を背面ベース５１２の背面に配置した状態では、第２入賞口１４０に入球したした遊技球を立設部５３４ｂの上面を転動させて第２ケース部材５３５に送球できる。
【０１７５】
第２ケース部材５３５は、正面視横長矩形に形成されると共に、背面側に所定の厚みを備えて形成される。第２ケース部材５３５は、上下方向に貫通形成される貫通孔５３５ａを備える。
【０１７６】
貫通孔５３５ａは、内径が遊技球の直径よりも大きく形成されており、上述したように立設部５３４ｂの上部と転動させて第２ケース部材５３５に送球された遊技球を貫通孔５３５ａを介して下方に送球することができる。これにより、遊技領域を流下して第２入賞口１４０に入球された遊技球を回収できる。
【０１７７】
次いで、図１５及び図１６を参照して、第１電動役物５２０の変位について説明する。
【０１７８】
図１５（ａ）及び図１６（ａ）に示すように、第１電動役物５２０が第１状態に位置される状態では、ソレノイド５３１の可動体５３１ｂが、可動体５３１ｂの周囲に配設されると共に、本体部５３１ａ及び連結部５３２ａの間に介設される付勢ばね（図示せず）の付勢力により正面側（図１５（ａ）左側）に張り出される。
【０１７９】
この場合、回転部材５３３の突起５３３ｂは、係合孔５３２ｄの背面側（第２開口５３２ｄ２側）に位置される。また、回転部材５３３は、側面視における重心の位置が駆動部５３３ｄ及び回転軸５３３ｃの間に位置される。即ち、回転部材５３３には、回転軸５３３ｃの軸周りに、駆動部５３３ｄを下方に押し下げる方向への回転力が常に作用された状態とされる。
【０１８０】
よって、回転部材５３３の突起５３３ｂは、係合孔５３２ｄの背面側（第２開口５３３ｄ２側）に位置された状態においても、第２開口５３３ｄ２の内側（係合孔５３２ｄの下方（図１５（ａ）下側））に案内されることなく、その上部で停滞することができる。
【０１８１】
また、駆動部５３３ｄが下方に押し下げられるので、駆動部５３３ｄの内側に収容される左右の羽部材５２０Ｌ，５２０Ｒの各突起５２３Ｌ，５２３Ｒが下方に押し下げられる。これにより、左右の羽部材５２０Ｌ，５２０Ｒは、貫通孔５２１Ｌ，５２１Ｒから遠方側の角部を貫通孔５２１Ｌ，５２１Ｒの上方に位置した状態（第１状態（図１６（ａ）参照））とされる。
【０１８２】
図１５（ｂ）及び図１６（ｂ）に示すように、ソレノイド５３１の本体部５３１ａに電力が付与されると、本体部５３１ａに発生する電磁力により可動体５３１ｂが本体部５３１ａの内部に引き込まれる。
【０１８３】
よって、可動体５３１ｂの変位に伴って、可動体５３１ｂの先端側に連結する摺動部材５３２が後方側（図１５（ｂ）右側）にスライド変位される。上述したように、回転部材５３３は、回転軸５３３ｃの軸周りに、駆動部５３３ｄを下方に押し下げる方向への回転力が常に作用された状態とされるので、摺動部材５３２の係合孔５３２ｄの内側に収容される突起５３３ｂは、第２開口５３３ｄ２の基端部分に引っ掛ることなくその内部を摺動される。
【０１８４】
第２開口５３３ｄ２の内部を摺動する突起５３３ｂは、可動体５３１ｂの変位終端位置では、係合孔５３２ｄの正面側（第１開口５３２ｄ１側）の端部と当接して、背面側（図１５（ｂ）右側）に変位される。この場合、突起５３３ｂは、回転軸５３３ｃの軸を中心に回転変位するので、突起５３３ｂを第１開口５３２ｄ１の内側に収容することができる。即ち、第１開口５３２ｄ１は、突起５３３ｂの変位と対応する形状に形成される。
【０１８５】
また、回転部材５３３が回転軸５３３ｃの軸周りに回転するので、駆動部５３３ｄを上方（図１５（ｂ）上側）に変位できる。その結果、羽部材５２０Ｌは、貫通孔５２１Ｌ，５２１Ｒの軸を中心に回転されて、貫通孔５２１Ｌ，５２１Ｒから遠方側の角部を左右外側に変位させた状態（第２状態（図１６（ｂ）参照））とされる。
【０１８６】
一方、第２状態から第１状態への変位は、ソレノイド５３１の本体部５３１ａへの電力の供給を遮断することで行われる。これにより、本体部５３１ａに発生する電磁力が消えるので、可動体５３１ｂの周囲に配設されると共に、本体部５３１ａ及び連結部５３２ａの間に介設される付勢ばね（図示せず）の付勢力により、可動体５３１ｂが正面側（図１５（ａ）左側）に張り出される。その結果、第１電動役物５２０を第１状態の位置に変位させることができる。
【０１８７】
上述したように、第１開口５３２ｄ１は、突起５３３ｂの変位に対応する形状に形成されるので、第１開口５３２ｄ１の重力方向下側（図１５（ｂ）下側）への凹設深さが背面側（図１５（ｂ）右側）に向かって深く形成される。
【０１８８】
その結果、第１電動役物５２０を第２状態から第１状態に変位させる際には、第１開口５３２ｄ１の基端部分を回転部材５３３の突起５３３ｂにと衝突させて、突起５３３ｂを重力方向に変位させやすくできる。
【０１８９】
次いで、図１７を参照して、第２突起５３２ｃの動作について説明する。図１７（ａ）及び図１７（ｂ）は、図１０（ａ）のＸＶＩＩ−ＸＶＩＩ線における入賞口ユニット５００の断面図である。なお、図１７（ａ）では、第１電動役物５２０が第１状態に位置され、図１７（ｂ）では、第１電動役物５２０が第２状態に位置される状態がそれぞれ図示される。
【０１９０】
図１７（ａ）に示すように、第１電動役物５２０が第１状態にされると、左右の羽部材５２０Ｌ，５２０Ｒの貫通孔５２１Ｌ，５２１Ｒの遠方の角部が第１突出部５１１ａの近傍に配置される。これにより、第１電動役物５２０が第１状態において、左右の羽部材５２０Ｌ，５２０Ｒの対向間に遊技球が流下されることを抑制できる。
【０１９１】
また、上述したように、ソレノイド５３１は、本体部５３１ａの内側から可動体５３１ｂが張り出した状態とされる。よって、可動体５３１ｂ（係合部５３１ｃ）に連結される摺動部材５３２が正面側（図１７（ａ）左側）に位置した状態とされる。即ち、第２突起５３２ｃの立設壁５３２ｃ１が第２入賞口１４０の近傍に配置される。
【０１９２】
この場合、立設壁５３２ｃ１の立設先端（重力方向下側（図１７（ａ）下側）の端部）から第１ケース部材５３４に形成される立設部５３４ｂの上端面までの距離寸法Ｌ１は、遊技球の直径よりも小さく設定される。
【０１９３】
これにより、第１電動役物５２０が破損して、ソレノイド５３１の可動体５３１ｂが前方に張り出した状態であっても、左右の羽部材５２０Ｌ，５２０Ｒの対向間に遊技球を流入可能とされた場合に、遊技球が第２入賞口１４０の内部に入球されて転動することを抑制できる。即ち、第１ケース部材５３４の立設部５３４ｂを転動する遊技球を摺動部材５３２の立設壁５３２ｃ１に衝突させて、遊技球の転動を停止させることができる。その結果、第１電動役物５２０が破損した際に、遊技者が遊技を継続して行ったとしても店舗側が不利となる状況を抑制できる。
【０１９４】
なお、本実施形態では、第２入賞口１４０に遊技球が入球されたことを検知するセンサ装置ＳＥ１が第２ケース部材５３５の遊技球の流下経路に配設される。よって、第２入賞口１４０の内部を遊技球が通過したことを検知するには、第２ケース部材５３５まで遊技球を転動させる必要がある。そのため、第１ケース部材５３４の内部で遊技球の転動を停止させることで、第２入賞口１４０に遊技球が入球されたことをパチンコ機１０が検知することを抑制できる。
【０１９５】
一方、図１７（ｂ）に示すように、第１電動役物５２０が第２状態にされると、左右の羽部材５２０Ｌ，５２０Ｒの貫通孔５２１Ｌ，５２１Ｒの遠方の角部が第１状態よりも第１突出部５１１ａから離間され、その離間した距離が遊技球の直径よりも大きくされる。これにより、遊技領域を流下する遊技球を、左右の羽部材５２０Ｌ，５２０Ｒの側面５２６Ｌ，５２６Ｒで受け止めて、第２入賞口１４０に転動させることができる。即ち、第１電動役物５２０が第２状態にされると、第２入賞口１４０に遊技球を入球させやすくできる。
【０１９６】
また、上述したように、ソレノイド５３１は、本体部５３１ａの内側に可動体５３１ｂが引き込まれた状態とされる。よって、可動体５３１ｂ（係合部５３１ｃ）に連結される摺動部材５３２が背面側（図１７（ｂ）右側）に位置した状態とされる。即ち、第２突起５３２ｃの立設壁５３２ｃ１が第１状態よりも第２入賞口１４０から離間する位置に配置される。
【０１９７】
この場合、立設壁５３２ｃ１の立設先端（重力方向下側（図１７（ｂ）下側）の端部）から第１ケース部材５３４に形成される立設部５３４ｂの上端面までの距離寸法Ｌ２は、遊技球の直径よりも大きく設定される。
【０１９８】
これにより、第１電動役物５２０が第２状態とされる際には、左右の羽部材５２０Ｌ，５２０Ｒを変位させて、遊技領域を流下する遊技球を第２入賞口１４０に入球しやすくできると共に、第２入賞口１４０に入球された遊技球を第１ケース部材５３４に形成される立設部５３４ｂを転動させて第２ケース部材５３５に送球できる。
【０１９９】
さらに、立設壁５３２ｃ１の変位方向は、第２入賞口１４０に入球される遊技球の転動方向と略一致する方向に立設壁５３２ｃ１をスライド変位させることができるので、羽部材５２０Ｌ，５２０Ｒが破損して（又は、不正行為により）開放された際に、立設壁５３２ｃ１に衝突させて停止させた遊技球が、立設壁５３２ｃ１の変位により転動方向と反対側に押し出されることを抑制できる。これにより、第１電動役物５２０をソレノイド５３１の駆動により開放して、第２入賞口１４０に遊技球を入球可能とされる際に、遊技球が第２入賞口１４０で詰まることを抑制できる。その結果、第１電動役物５２０を開放状態とした際に、遊技球を第２入賞口の内側にスムーズに案内することができる。
【０２００】
次いで、図１８及び図１９を参照して第１電動役物５２０が遊技者の不正行為により、第１状態から第２状態に変位された場合の説明をする。図１８（ａ）及び図１８（ｂ）は、入賞口ユニット５００の正面図である。図１９（ａ）及び図１９（ｂ）は、第１電動役物５２０及び駆動ユニット５３０の側面図である。
【０２０１】
なお、図１８（ａ）及び図１８（ｂ）では、理解を容易とするために、正面ベース５１１が透明視されて図示される。また、図１９（ａ）では、第１状態における第１電動役物５２０及び駆動ユニット５３０が図示され、図１９（ｂ）では、第１状態から第１電動役物５２０のみが変位された場合の状態が図示される。
【０２０２】
図１８及び図１９に示すように、第１状態の第１電動役物５２０が、遊技者の不正行為（ゴト行為）により、第１電動役物５２０のみ強引に第２状態に変位された際には、左右の羽部材５２０Ｌ，５２０Ｒの突起５２３Ｌ，５２３Ｒが係合孔５３２ｄの第２開口５３２ｄ２の内側に変位される。即ち、突起５２３Ｌ，５２３Ｒが変位できるスペースが形成されるので、第１電動役物５２０が無理に変位された際に第１電動役物５２０が破損することを抑制できる。
【０２０３】
次いで、図２０（ａ）及び図１１（ｂ）を参照して、遊技者の不正行為により第１電動役物５２０が変位された場合の立設部５２３ｃ１の変位について説明する。図２０（ａ）は、図１８（ａ）のＸＸａ−ＸＸａ線における入賞口ユニット５００の断面図であり、図２０（ｂ）は、図１８（ｂ）のＸＸｂ−ＸＸｂ線における入賞口ユニット５００の断面図である。
【０２０４】
図２０（ａ）及び図２０（ｂ）に示すように、第１状態の第１電動役物５２０が、遊技者の付勢行為により、無理に回転された際には、駆動ユニット５３０のソレノイド５３１及び摺動部材５３２の位置は変位させず、第１電動役物５２０及び回転部材５３３のみが回転変位される。
【０２０５】
上述したように、第１電動役物５２０が第１状態に位置する場合には、立設壁５３２ｃ１の立設先端（重力方向下側（図２０（ａ）下側）の端部）から第１ケース部材５３４に形成される立設部５３４ｂの上端面までの距離寸法Ｌ１は、遊技球の直径よりも小さく設定される。
【０２０６】
ここで、従来より、遊技球が入球可能に形成される第２入賞口１４０と、その第２入賞口１４０を挟んで配設される一対の羽部材５２０Ｌ，５２０Ｒと、それら一対の羽部材５２０Ｌ，５２０Ｒに駆動力を付与して開放または閉鎖させる駆動手段（ソレノイド５３１）と、その駆動手段（ソレノイド５３１）の駆動力により一対の羽部材５２０Ｌ，５２０Ｒが開放されると第２入賞口１４０への遊技球の入球を許容する許容位置に配置されると共に駆動手段（ソレノイド５３１）の駆動力により一対の羽部材５２０Ｌ，５２０Ｒが閉鎖されると第２入賞口１４０への遊技球の入球を規制する規制位置に配置される規制手段とを備えた遊技機が知られている。
【０２０７】
しかしながら、上述した従来の遊技機では、規制手段の変位が規制されていないため、例えば、一対の羽部材５２０Ｌ，５２０Ｒを外部から強制開放した上で、規制手段を規制位置から許容位置へ変位させることができるため、遊技球が第２入賞口１４０へ不正に入球されることを規制する効果が不十分であるという問題点があった。
【０２０８】
これに対し、本実施形態によれば、一対の羽部材５２０Ｌ，５２０Ｒが閉鎖された状態または一対の羽部材５２０Ｌ，５２０Ｒが外部から開放された状態において立設壁５３２ｃ１の配置が規制位置に維持可能に形成されるので、立設壁５３２ｃ１が許容位置へ変位されることを抑制できる。よって、遊技球が第２入賞口１４０へ不正に入球されることを規制しやすくできる。
【０２０９】
即ち、一対の羽部材５２０Ｌ，５２０Ｒが閉鎖された状態または一対の羽部材５２０Ｌ，５２０Ｒが外部から開放された状態では、摺動部材５３２を操作して、立設壁５３２ｃ１の立設先端（重力方向下側（図２０（ｂ）下側）の端部）から第１ケース部材５３４に形成される立設部５３４ｂの上端面までの距離寸法Ｌ３は、遊技球の直径よりも小さく設定される。従って、第１電動役物５２０が遊技者の不正行為によって、第２入賞口１４０に遊技球を送球可能とされても、遊技球が第２入賞口１４０の内部に入球されて転動することを抑制できる。よって、第１ケース部材５３４の立設部５３４ｂを転動する遊技球を摺動部材５３２の立設壁５３２ｃ１に衝突させて、遊技球の転動を停止させることができる。その結果、第１電動役物５２０が遊技者の不正行為によって、第２状態（第２入賞口１４０に遊技球を送球可能）にされた際に、遊技球が第２入賞口１４０へ不正に入球されることを規制しやすくできる。
【０２１０】
また、この場合、遊技球を第２入賞口１４０へ入球不能にする立設壁５３２ｃ１を一対の羽部材５２０Ｌ，５２０Ｒを変位させる摺動部材５３２に連なって形成することができるので、第２入賞口１４０へ不正に入球されることを規制する部材を別途必要としない。よって、その分、部品点数を削減することができるので、製造コストが増加することを抑制できる。
【０２１１】
次いで、図２１及び図２２を参照して、遊技者の不正行為により第１電動役物５２０が第２状態とされた際に、さらに第２突起５３２ｃが背面側に押し込まれた場合を説明する。図２１（ａ）及び図２１（ｂ）は、第１電動役物５２０及び駆動ユニット５３０の側面図である。図２２（ａ）は、図２１（ａ）の範囲ＸＸＩＩａにおける駆動ユニット５３０の部分拡大側面図であり、図２２（ｂ）は、図２１（ｂ）の範囲ＸＸＩＩｂにおける駆動ユニット５３０の部分拡大側面図である。
【０２１２】
図２１及び図２２に示すように、第２開口５３２ｄ２の内側には、正面側（図２２（ａ）左側）の内面から突出する突起５３２ｄ３が形成される。また、回転部材５３３の突起５３３ｂには、側面視における外周面が切り込まれて形成される切欠部５３３ｂ１が形成される。
【０２１３】
突起５３２ｄ３及び切欠部５３３ｂ１は、その外径が対応する形状に形成される。即ち、側面視における突起５３２ｄ３の突出形状と、切欠部５３３ｂ１の切込み形状とが略同一とされる。
【０２１４】
よって、図２１（ａ）及び図２２（ａ）に示す、第１電動役物５２０のみを不正行為により第２状態とした状態から、立設壁５３２ｃ１（摺動部材５３２）を背面側に押し込むと、切欠部５３３ｂ１の内側に突起５３２ｄ３が収容され、立設壁５３２ｃ１（摺動部材５３２）の背面側へ変位が規制される。その結果、第１電動役物５２０が遊技者の不正行為により第２状態とされた際に、遊技球が、第２入賞口１４０に入球されて、第１ケース部材５３４の立設部５３４ｂを転動して送球されることを抑制できる。
【０２１５】
また、本実施形態では、突起５３２ｄ３の側面のうちの一面が、上方に向かって背面側に傾斜して形成される（図２２（ａ）参照）。これにより、突起５３２ｄ３が、切欠部５３３ｂ１の内側に挿入された際に、突起５３２ｄ３が切欠部５３３ｂ１から抜け出にくくすることができる。
【０２１６】
即ち、突起５３２ｄ３の側面が、上方に向かって背面側に傾斜して形成されるので、突起５３２ｄ３が切欠部５３２ｂ１に挿入された状態で、さらに立設壁５３２ｃ１（摺動部材５３２）を背面側に押し込む力が作用した際に、突起５３２ｄ３と切欠部５３２ｂ１との当接面に作用する力の方向を、突起５３２ｄ３が切欠部５３２ｂ１の内側に入り込む方向とすることができる。従って、突起５３２ｄ３が、切欠部５３３ｂ１の内側に挿入された際に、突起５３２ｄ３が切欠部５３３ｂ１から抜け出にくくすることができる。その結果、第１電動役物５２０が遊技者の不正行為により第２状態とされた際に、遊技球が第２入賞口１４０に入球して、第１ケース部材５３４の立設部５３４ｂを転動して送球されることを確実に抑制できる。
【０２１７】
言い変えると、駆動手段（ソレノイド５３１）の駆動力を一対の羽部材５２０Ｌ，５２０Ｒへ伝達する伝達機構を備え、伝達機構は、駆動手段（ソレノイド５３１）の駆動力により開放スライド位置（図１７（ｂ）に示す位置）と閉鎖スライド位置（図１７（ａ）に示す位置）との間でスライド変位される摺動部材５３２と、その摺動部材５３２の開放スライド位置へのスライド変位により開放回転位置へ回転されて一対の羽部材５２０Ｌ，５２０Ｒを開放させると共に摺動部材５３２の閉鎖スライド位置へのスライド変位により閉鎖回転位置へ回転されて一対の羽部材５２０Ｌ，５２０Ｒを閉鎖させる回転部材５３３とを備え、立設壁５３２ｃ１が摺動部材５３２に配設され、摺動部材５３２が開放スライド位置へスライド変位されると立設壁５３２ｃ１が許容位置に配置されると共に、摺動部材５３２が閉鎖スライド位置へスライド変位されると立設壁５３２ｃ１が規制位置に配置され、摺動部材５３２が閉鎖スライド位置に配置された状態で、回転部材５３３が開放回転位置に配置されると、回転部材５３３と摺動部材５３２とが係合されることで、摺動部材５３２の開放スライド位置へのスライド変位が規制されるので、遊技球が第２入賞口１４０へ不正に入球されることを規制しやすくできる。
【０２１８】
即ち、閉鎖されている一対の羽部材５２０Ｌ，５２０Ｒが外部から不正に強制開放される場合には、摺動部材５３２が閉鎖スライド位置に配置された状態で、回転部材５３３が開放回転位置へ回転される。かかる状態では、回転部材５３３と摺動部材５３２とが係合されることで、摺動部材５３２の開放スライド位置へのスライド変位が規制されるので、規制手段を規制位置に維持できる（規制手段が許容位置へ外部から不正に強制変位されることを抑制できる）。その結果、一対の羽部材５２０Ｌ，５２０Ｒを外部から強制開放した上で、それら一対の羽部材５２０Ｌ，５２０Ｒの間から遊技球を通過させたとしても、かかる遊技球が第２入賞口１４０へ入球することを規制手段によって規制できる。
【０２１９】
さらに、摺動部材５３２および回転部材５３３の一方に係合孔５３２ｄが延設されると共に他方から突起５３３ｂが突設され、突起５３３ｂが係合孔５３２ｄに沿って摺動されることで摺動部材５３２のスライド変位が伝達されて回転部材５３３が回転されると共に、係合孔５３２ｄの内壁面に突起５３３ｂが係合されることで、摺動部材５３２の開放スライド位置へのスライド変位が規制されるので、小型化を図りつつ規制を解除され難くできる。
【０２２０】
即ち、摺動部材５３２のスライド変位を回転部材５３３へ伝達して回転させるための係合孔５３２ｄおよび突起５３３ｂを利用して、摺動部材５３２の開放スライド位置へのスライド変位を規制する手段を形成でき、かかる手段を別の箇所に別途設けることを不要とできるので、その分、小型化を図ることができる。また、係合孔５３２ｄの内壁面に突起５３３ｂを係合させる構造とすることで、かかる係合部分への外部からの不正なアクセスを困難とでき、その分、規制（係合）を解除され難くできる。
【０２２１】
次いで、図２３及び図２４を参照して、左右の羽部材５２０Ｌ，５２０Ｒの膨出部５２４Ｌ，５２４Ｒについて詳しく説明する。図２３（ａ）は、左羽部材５２０Ｌの正面斜視図であり、図２３（ｂ）は右羽部材５２０Ｒの正面斜視図である。図２４（ａ）は、入賞口ユニット５００の正面図であり、図２４（ｂ）は、図２４（ａ）のＸＸＩＶｂ−ＸＸＩＶｂ線における入賞口ユニット５００の断面図である。
【０２２２】
なお、図２３（ａ）及び図２３（ｂ）では、斜視した際の左右方向が図２３（ａ）と図２３（ｂ）とで逆転される。また、図２４（ａ）では、正面ベース５１１が透明視されて図示される。さらに、図２４（ｂ）では、図２４（ａ）において透明視された正面ベース５１１が不透明とされて図示される。また、図２４（ｂ）では、側面５２６Ｌ，５２６Ｒを転動する遊技球の転動方向が仮想線ＫＳ１の符号と共に、２点鎖線で図示される。更に、仮想線ＫＳ１の正面方向が矢印Ｆで図示され、背面方向が矢印Ｂで図示される。
【０２２３】
図２３及び図２４に示すように、左羽部材５２０Ｌの側面５２６Ｌに形成される膨出部５２４Ｌは、貫通孔５２１Ｌ側の端部に形成されると共に、正面側（図２４（ｂ）矢印Ｆ側）の端面に連なって形成される。一方、右羽部材５２０Ｒの側面５２６Ｒに形成される膨出部５２４Ｒは、貫通孔５２１Ｒ側の端部に形成されると共に、背面側（図２４（ｂ）矢印Ｂ側）の端面に連なって形成される。
【０２２４】
即ち、左羽部材５２０Ｌの膨出部５２４Ｌと右羽部材５２０Ｒの膨出部５２４Ｒとでは、前後方向に異なる位置に形成される（図２４（ｂ）参照）。
【０２２５】
さらに、側面５２６Ｌ，５２６Ｒには、羽部材５２０Ｌ，５２０Ｒの先端側から基端側まで連続する第１領域が形成され、第１領域を案内される遊技球には非当接となる大きさで膨出部５２４Ｌ，５２４Ｒが形成されると共に、一対の羽部材５２０Ｌ，５２０Ｒのうちの一方の羽部材（羽部材５２０Ｌ，５２０Ｒのうちの一方）における側面５２６Ｌ，５２６Ｒの第１領域と他方の羽部材（羽部材５２０Ｌ，５２０Ｒのうちの他方）における側面５２６Ｌ，５２６Ｒの第１領域とが、側面５２６Ｌ，５２６Ｒに沿って遊技球が案内される方向と直交する方向に位置を異ならせて配置される。
【０２２６】
また、膨出部５２４Ｌは、貫通孔５２１Ｌから遠方側の端部が、正面側（図２４（ｂ）下側）から背面側（図２４（ｂ）上側）に向かって貫通孔５２１Ｌ側に傾斜して形成される。一方、膨出部５２４Ｒは、貫通孔５２１Ｒから遠方側の端部が、背面側から正面側に向かって貫通孔５２１Ｒ側に傾斜して形成される。
【０２２７】
次いで、図２５及び図２６を参照して、左右の羽部材５２０Ｌ，５２０Ｒの側面５２６Ｌ，５２６Ｒに遊技球が送球された場合の説明をする。図２５（ａ）及び図２５（ｂ）は、入賞口ユニット５００の断面図である。図２６（ａ）及び図２６（ｂ）は、入賞口ユニット５００の断面図である。
【０２２８】
なお、図２５（ａ）、図２５（ｂ）、図２６（ａ）及び図２６（ｂ）は、図２４（ｂ）における入賞口ユニット５００の断面図と対応する。また、図２５（ａ）及び図２５（ｂ）では、第１電動役物５２０の両側から遊技球が送球された場合の遊技球の遷移状態が順に図示される。図２６（ａ）及び図２６（ｂ）では、左羽部材５２０Ｌのみに遊技球が送球された場合の遊技球の遷移状態が順に図示される。
【０２２９】
図２５（ａ）及び図２５（ｂ）に示すように、第１電動役物５２０の両側に遊技球が送球された場合には、左右の羽部材５２０Ｌ，５２０Ｒの側面５２６Ｌ，５２６Ｒを転動する遊技球を、膨出部５２４Ｌ，５２４Ｒにより前後方向に異なる位置に転動させることができる。
【０２３０】
詳しく説明すると、上述したように、左羽部材５２０Ｌの膨出部５２４Ｌは、正面側の端面に連結して形成される。よって、左羽部材５２０Ｌの側面５２６Ｌを転動する遊技球は、膨出部５２４Ｌに接触しながら側面５２６Ｌを転動することで、背面側に転動される。
【０２３１】
この場合、膨出部５２４Ｌは、貫通孔５２１Ｌから遠方側の端部が、正面側（図２５（ｂ）下側）から背面側（図２５（ｂ）上側）に向かって貫通孔５２１Ｌ側に傾斜して形成されるので、側面５２６Ｌを転動する遊技球が膨出部５２４Ｌと接触した際、転動方向への抵抗が大きくなって遊技球の転動が停止されることを抑制できる。
【０２３２】
一方、右羽部材５２０Ｒの膨出部５２４Ｒは、背面側の端面に連結して形成される。よって、右羽部材５２０Ｒの側面５２６Ｒを転動する遊技球は、膨出部５２４Ｒに接触しながら側面５２６Ｒを転動することで、正面側に転動される。
【０２３３】
この場合、膨出部５２４Ｒは、貫通孔５２１Ｒから遠方側の端部が、背面側（図２５（ｂ）上側）から正面側（図２５（ｂ）下側）に向かって貫通孔５２１Ｒ側に傾斜して形成されるので、側面５２６Ｒを転動する遊技球が膨出部５２４Ｒと接触した際、転動方向への抵抗が大きくなって遊技球の転動が停止されることを抑制できる。
【０２３４】
よって、左羽部材５２０Ｌ側を転動する遊技球を背面側に寄せることができる一方、右羽部材５２０Ｒ側を転動する遊技球を正面側に寄せることができる。その結果、左右両側から遊技球が送球された際に、左右から送球される遊技球が正面衝突することを抑制できる。
【０２３５】
ここで、従来より、遊技球が入球可能に形成される入球口（第２入賞口１４０）と、その入球口に遊技球を案内する案内面（側面５２６Ｌ，５２６Ｒ）を有すると共に変位可能に形成された案内部材（第１電動役物５２０）とを備えた遊技機が知られている。案内部材としては、例えば、入球口へ遊技球を案内する案内面を有すると共に入球口を挟んで配設され基端側が回転可能に軸支される一対の羽部材（羽部材５２０Ｌ，５２０Ｒ）が例示される。
【０２３６】
また、一方の羽部材（羽部材５２０Ｌ，５２０Ｒのどちらか一方）における案内面（側面５２６Ｌ，５２６Ｒ）の全面に第１の溝を設けると共に、他方の羽部材における案内面（側面５２６Ｌ，５２６Ｒ）の全面に第２の溝をそれぞれ設ける技術が開示される。かかる技術によれば、第１の溝と第２の溝とが互いに異なる方向へ傾斜されるため、一方の羽部材（羽部材５２０Ｌ，５２０Ｒのどちらか一方）における案内面（側面５２６Ｌ，５２６Ｒ）および一方の羽部材（羽部材５２０Ｌ，５２０Ｒのどちらか他方）における案内面（側面５２６Ｌ，５２６Ｒ）をそれぞれ遊技球が同時に案内（転動）される場合でも、それら各遊技球を互いに異なる方向（一方はガラス板側であって他方は遊技盤側）へ偏倚させることできる。よって、これら各遊技球を第２入賞口１４０へスムーズに入球させることができる。
【０２３７】
しかしながら、上述した従来の技術では、遊技球を十分に偏倚させることができないという問題点があった。また、案内部材の一側（羽部材５２０Ｌ，５２０Ｒのどちらか一方）から進入した遊技球が案内面（側面５２６Ｌ，５２６Ｒ）を通過して案内部材の他側（羽部材５２０Ｌ，５２０Ｒのどちらか他方）から通り抜けることがあり、この場合には、遊技球が入球口（第２入賞口１４０）へ入球されないため、遊技者の興趣が損なわれるという問題点があった。
【０２３８】
これに対し、本実施形態によれば、第１電動役物５２０は、側面５２６Ｌ，５２６Ｒから突設され側面５２６Ｌ，５２６Ｒを転動する遊技球に当接可能に形成される一対の膨出部５２４Ｌ，５２４Ｒを備え、それら一対の膨出部５２４Ｌ，５２４Ｒが、側面５２６Ｌ，５２６Ｒに沿って遊技球が案内される方向と直交する方向に位置を異ならせて配置されるので、側面５２６Ｌ，５２６Ｒを案内（転動）される遊技球を膨出部５２４Ｌ，５２４Ｒに当接させることで、かかる遊技球を確実に偏倚させることができる。その結果、入球口へスムーズに入球させることができる。
【０２３９】
また、一対の膨出部５２４Ｌ，５２４Ｒが、側面５２６Ｌ，５２６Ｒに沿って遊技球が案内される方向と直交する方向に位置を異ならせて配置されることで、一対の羽部材５２０Ｌ，５２０Ｒの一側から進入した遊技球を膨出部５２４Ｌ，５２４Ｒに当接させることができる。よって、一対の羽部材５２０Ｌ，５２０Ｒの一側（羽部材５２０Ｌ，５２０Ｒのどちらか一方）から進入した遊技球が一対の羽部材５２０Ｌ，５２０Ｒを（羽部材５２０Ｌ，５２０Ｒのどちらか他方に）通り抜けることを抑制できる。その結果、遊技球を入球口へ入球させて、遊技者の興趣を向上できる。
【０２４０】
さらに、第１電動役物５２０は、第２入賞口１４０を挟んで配設され基端側が回転可能に軸支される一対の羽部材５２０Ｌ，５２０Ｒとして形成され、一対の膨出部５２４Ｌ，５２４Ｒは、一対の羽部材５２０Ｌ，５２０Ｒのそれぞれの側面５２６Ｌ，５２６Ｒから突設され、一対の羽部材５２０Ｌ，５２０Ｒのうちの一方の羽部材５２０Ｌ，５２０Ｒにおける膨出部５２４Ｌ，５２４Ｒと他方の羽部材５２０Ｌ，５２０Ｒにおける膨出部５２４Ｌ，５２４Ｒとが、側面５２６Ｌ，５２６Ｒに沿って遊技球が案内される方向と直交する方向に位置を異ならせて配置されるので、側面５２６Ｌ，５２６Ｒを案内（転動）される遊技球を膨出部５２４Ｌ，５２４Ｒに当接させることで、かかる遊技球を確実に偏倚させることができる。その結果、第２入賞口１４０へスムーズに入球させることができると共に、球詰まりを抑制できる。
【０２４１】
また、一方の羽部材５２０Ｌ，５２０Ｒにおける膨出部５２４Ｌ，５２４Ｒと他方の羽部材５２０Ｌ，５２０Ｒにおける膨出部５２４Ｌ，５２４Ｒとが、側面５２６Ｌ，５２６Ｒに沿って遊技球が案内される方向（羽部材５２０Ｌ，５２０Ｒの先端側から基端側へ向かう方向）と直交する方向に位置を異ならせて配置されることで、一方の羽部材５２０Ｌ，５２０Ｒにおける側面５２６Ｌ，５２６Ｒへ進入した遊技球が他方の羽部材５２０Ｌ，５２０Ｒにおける側面５．２６Ｌ，５２６Ｒへ到達した場合には、かかる遊技球を他方の羽部材５２０Ｌ，５２０Ｒにおける膨出部５２４Ｌ，５２４Ｒに当接させることができる。よって、一方の羽部材５２０Ｌ，５２０Ｒにおける側面５２６Ｌ，５２６Ｒへ進入した遊技球が他方の羽部材における側面５２６Ｌ，５２６Ｒを通り抜けることを抑制できる。その結果、遊技球を第２入賞口１４０へ入球させて、遊技者の興趣を向上できる。
【０２４２】
言い変えると、左右の羽部材５２０Ｌ，５２０Ｒにぞれぞれ前後方向に異なる位置に膨出部５２４Ｌ，５２４Ｒが形成されるので、左右から転動される遊技球を前後方向に異なる位置に転動させることができる。よって、左右両側から遊技球が送球された際に、左右から送球される遊技球が正面衝突することを抑制できる。その結果、第２入賞口１４０への遊技球の入球に時間がかかることを抑制できる。
【０２４３】
即ち、遊技球の衝突する位置を左右で前後方向に異なる位置とすることで、図２５（ｂ）に示すように、背面側に寄せられた左側の遊技球は、その衝突により背面側（図２５（ｂ）上側）に跳ね返りやすくなる。一方、正面側に寄せられた右側の遊技球は、その衝突により正面側（図２５（ｂ）下側）に跳ね返りやすくなる。
【０２４４】
よって、一方の（本実施形態では、左羽部材５２０Ｌを転動する）遊技球を第２入賞口１４０に入球させやすくできると共に、他方の遊技球を正面側に跳ね返らせることで、衝突した際に、遊技球が第２入賞口１４０から離間しすぎることを抑制できる。従って、あとから第２入賞口１４０に入球する第２の遊技球の第２入賞口１４０への入球を早くすることができる。その結果、第１電動役物５２０左右両側に遊技球が送球された際に、両側の遊技球が第２入賞口１４０に入球されるまでにかかる時間を短くでき、遊技の進行をスムーズに進めることができる。
【０２４５】
また、膨出部５２４Ｌ，５２４Ｒは、羽部材５２０Ｌ，５２０Ｒの先端側よりも基端側（貫通孔５２１側）に近い位置において側面５２６Ｌ，５２６Ｒから突設されるので、側面５２６Ｌ，５２６Ｒに案内される遊技球が膨出部５２４Ｌ，５２４Ｒに当接するまでに転動可能な領域を確保できる。よって、その分、遊技球の転動速度の低下を抑制して、第２入賞口１４０へスムーズに入球させることができる。
【０２４６】
さらに、膨出部５２４Ｌ，５２４Ｒが羽部材５２０Ｌ，５２０Ｒの先端側よりも基端側に近い位置において側面５２６Ｌ，５２６Ｒから突設されることで、膨出部５２４Ｌ，５２４Ｒに当接して偏倚された遊技球の進路が、入球口の手前（案内面の終端）に到達するまでの間に偏倚前の進路に戻ることを抑制できる。即ち、偏倚された状態のままで遊技球を側面５２６Ｌ，５２６Ｒから入球口へ送球しやすくできる。
【０２４７】
また、上述したように、側面５２６Ｌ，５２６Ｒには、羽部材５２０Ｌ，５２０Ｒの先端側から基端側まで連続する第１領域が形成され、第１領域を案内される遊技球には非当接となる大きさで膨出部５２４Ｌ，５２４Ｒが形成されるので、側面５２６Ｌ，５２６Ｒに進入した遊技球が第１領域を転動する場合には、その遊技球の転動速度が低下することを回避でき、第２入賞口１４０へスムーズに入球させることができる。
【０２４８】
この場合、一対の羽部材５２０Ｌ，５２０Ｒのうちの一方の羽部材（羽部材５２０Ｌ，５２０Ｒのどちらか一方）における側面５２６Ｌ，５２６Ｒの第１領域と他方の羽部材（羽部材５２０Ｌ，５２０Ｒのどちらか他方）における側面５２６Ｌ，５２６Ｒの第１領域とが、側面５２６Ｌ，５２６Ｒに沿って遊技球が案内される方向と直交する方向に位置を異ならせて配置されるので、一方の羽部材（羽部材５２０Ｌ，５２０Ｒのどちらか一方）における側面５２６Ｌ，５２６Ｒの第１領域および他方の羽部材（羽部材５２０Ｌ，５２０Ｒのどちらか他方）における側面５２６Ｌ，５２６Ｒの第１領域をそれぞれ遊技球が同時に案内（転動）される場合でも、それら各遊技球を、互いに異なる方向へ偏倚させておくことができ、第２入賞口１４０へスムーズに入球させることができる。
【０２４９】
次に、図２６（ａ）及び図２６（ｂ）に示すように、左右の羽部材５２０Ｌ，５２０Ｒのどちらか一方に遊技球が送球された場合には、他方の左右の羽部材５２０Ｌ，５２０Ｒの膨出部５２４Ｌまたは膨出部５２４Ｒに遊技球を当接させることで、遊技球が他方の左右の羽部材５２０Ｌ，５２０Ｒの側面５２６Ｌ，５２６Ｒを転動してその先端から落下することを抑制できる。
【０２５０】
詳しく説明すると、上述したように、左羽部材５２０Ｌの膨出部５２４Ｌは、正面側の端面に連結して形成される。よって、左羽部材５２０Ｌの側面５２６Ｌを転動する遊技球は、膨出部５２４Ｌに接触しながら側面５２６Ｌを転動することで、背面側に転動される。これにより、左羽部材５２０Ｌの側面５２６Ｌを転動する遊技球を右羽部材５２０Ｒに形成される膨出部５２４Ｒ側に寄せることができる。
【０２５１】
言い変えると、左右の羽部材５２０Ｌ，５２０Ｒに形成される膨出部５２４Ｌ，５２４Ｒは、前後方向に異なる位置に形成されるので、左羽部材５２０Ｌまたは右羽部材５２０Ｒのどちらか一方を第２入賞口側に転動する遊技球を左羽部材５２０Ｌまたは右羽部材５２０Ｒのどちらか他方に形成される膨出部５２４Ｌ，５２４Ｒと前後方向に一致する位置に転動させる（寄せる）ことができる。
【０２５２】
よって、左羽部材５２０Ｌの側面５２６Ｌを遊技球が転動する場合は、遊技球を背面側に転動させて（寄せて）、右羽部材５２０Ｒの膨出部５２４Ｒと前後方向に略一致する位置とさせることができる。一方、右羽部材５２０Ｒの側面５２６Ｒを遊技球が転動する場合は、遊技球を正面側に転動させて（寄せて）、左羽部材５２０Ｌの膨出部５２４Ｌと前後方向に略一致する位置とさせることができる。
【０２５３】
これにより、側面５２６Ｌまたは側面５２６Ｒのどちらか一方を転動する遊技球の転動速度が速い場合に、遊技球が他方の左羽部材５２０Ｌまたは右羽部材５２０Ｒの側面５２６Ｌ，５２６Ｒに乗り上げることを抑制できる。
【０２５４】
ここで、従来の入賞口ユニット５００は、第１電動役物５２０の側面５２６Ｌ，５２６Ｒが平滑な面に形成されるので、第１電動役物５２０のうち一方から送球された遊技球が他方の羽部材５２０Ｌ，５２０Ｒに乗り上げて、他方の羽部材５２０Ｌ，５２０Ｒの先端から流下領域に送球されてしまうという問題点があった。
【０２５５】
これに対し、本実施形態では、第１電動役物５２０にぞれぞれ前後方向に異なる位置に膨出部５２４Ｌ，５２４Ｒが形成されるので、一方の羽部材から転動される遊技球を他方の羽部材に形成される膨出部５２４Ｌ，５２４Ｒと前後方向に略一致する位置に転動させることができる。よって、一方の羽部材５２０Ｌ，５２０Ｒを転動する遊技球を他方の羽部材５２０Ｌ，５２０Ｒの膨出部５２４Ｌ，５２４Ｒに衝突させることで、遊技球が他方の羽部材５２０Ｌ，５２０Ｒの側面５２６Ｌ，５２６Ｒに乗り上げて羽部材５２０Ｌ，５２０Ｒの先端から遊技領域に送球されることを抑制できる。
【０２５６】
次いで、図２７及び図２８を参照して、凹設部５２５Ｌ及び係合部５１１ｂ２について説明する。図２７（ａ）は、入賞口ユニット５００の上面図であり、図２７（ｂ）は、図２７（ａ）のＸＸＶＩＩｂ−ＸＸＶＩＩｂ線における入賞口ユニット５００の断面図である。図２８（ａ）及び図２８（ｂ）は、図２７（ｂ）の範囲ＸＸＶＩＩＩにおける入賞口ユニット５００の部分拡大断面図である。なお、図２８（ａ）では、第１電動役物５２０が第１状態とされ、図２８（ｂ）では、第１電動役物５２０が第２状態とされた状態がそれぞれ図示される。
【０２５７】
図２７及び図２８に示すように、正面ベース５１１の第２突出部５１１ｂに形成される係合部５１１ｂ２は、それぞれ左右の羽部材５２０Ｌ，５２０Ｒの凹設部５２５Ｌ，５２５Ｒの内側に配置される。
【０２５８】
また、第１状態では、係合部５１１ｂ２と凹設部５２５Ｌ，５２５Ｒの膨出部５２４Ｌ，５２４Ｒ（側面５２６Ｌ，５２６Ｒ）側の端部とが当接された状態（図２８（ａ）参照）とされ、第２状態では、係合部５１１ｂ２と凹設部５２５Ｌ，５２５Ｒの膨出部５２４Ｌ，５２４Ｒ（側面５２６Ｌ，５２６Ｒ）側と反対側の端部とが当接された状態とされる。
【０２５９】
即ち、第１電動役物５２０が第１状態から第２状態または、第２状態から第１状態に変位する際に、係合部５１１ｂ２が、凹設部５２５Ｌ，５２５Ｒの端部と当接されることで、その変位量を規制できる。
【０２６０】
さらに、第１状態では、貫通孔５２１Ｌ，５２１Ｒの軸周りに作用する回転力が、その自重により、羽部材５２０Ｌ，５２０Ｒの貫通孔５２１Ｌ，５２１Ｒから遠方の角部が第２入賞口１４０側に回転する方向とされる。よって、係合部５１１ｂ２と凹設部５２５Ｌ，５２５Ｒの膨出部５２４Ｌ，５２４Ｒ（側面５２６Ｌ，５２６Ｒ）側の端部とが当接されることで、羽部材５２０Ｌ，５２０Ｒが自重で回転することを抑制できると共に、羽部材５２０Ｌ，５２０Ｒを第１状態で保持できる。
【０２６１】
また、第１状態では、係合部５１１ｂ２に凹設部５２５Ｌ，５２５Ｒの膨出部５２４Ｌ，５２４Ｒ（側面５２６Ｌ，５２６Ｒ）側の端部を当接させるので、羽部材５２０Ｌ，５２０Ｒの膨出部５２４Ｌ，５２４Ｒの側面を係合部５１１ｂ２に当接させることができる。よって、膨出部５２４Ｌ，５２４Ｒが形成される分、当接部分の剛性を高くすることができるので、羽部材５２０Ｌ，５２０Ｒが、係合部５１１ｂ２と当接することで破損することを抑制できる。
【０２６２】
即ち、本実施形態では、羽部材５２０Ｌ、５２０Ｒを回転可能に軸支するベース部材５１０を備え、そのベース部材５１０は、羽部材５２０Ｌ、５２０Ｒに当接することでその羽部材５２０Ｌ、５２０Ｒの回転を規制する係合部５１１ｂ２を備え、そのベース部材５１０の係合部５１１ｂ２に羽部材５２０Ｌ、５２０Ｒの膨出部５２４Ｌ，５２４Ｒが当接されるので、羽部材５２０Ｌ、５２０Ｒの破損を抑制できる。即ち、膨出部５２４Ｌ，５２４Ｒは、羽部材５２０Ｌ、５２０Ｒ（側面５２６Ｌ，５２６Ｒ）から突設される部位であるので、羽部材５２０Ｌ、５２０Ｒの比較的剛性が高くされる部分を、ベース部材５１０の係合部５１１ｂ２に当接させるストッパとして利用できるので、その分、羽部材５２０Ｌ、５２０Ｒの破損を抑制できる。
【０２６３】
さらに、膨出部５２４Ｌ，５２４Ｒは、その側面が羽部材５２０Ｌ，５２０Ｒの基端側の側面に略面一に形成され、閉鎖状態において、羽部材５２０Ｌ，５２０Ｒの基端側の側面に略面一に形成される膨出部５２４Ｌ，５２４Ｒの側面が少なくともベース部材５１０の係合部５１１ｂ２に当接されるので、回転軸（貫通孔５２１Ｌ，５２１Ｒ）からの距離が遠い部位（膨出部５２４Ｌ，５２４Ｒの側面）をベース部材５１０の係合部５１１ｂ２に当接させることができる分、係合部５１１ｂ２から羽部材５２０Ｌ，５２０Ｒへ入力される反力を小さくできえる。よって、羽部材５２０Ｌ，５２０Ｒの破損を抑制できる。また、例えば、膨出部５２４Ｌ，５２４Ｒの突設先端面をベース部材５１０の係合部５１１ｂ２に当接させる場合と比較して、ベース部材５１０の係合部５１１ｂ２を第２入賞口１４０から離間させることができ、第２入賞口１４０への流路となるスペースを確保できる。なお、ベース部材５１０の係合部５１１ｂ２に、膨出部５２４Ｌ，５２４Ｒの側面に加え、羽部材５２０Ｌ，５２０Ｒの基端側の側面も当接されるものであっても良い。この場合には、面圧を低減して、羽部材５２０Ｌ，５２０Ｒの破損をより抑制できる。
【０２６４】
羽部材５２０Ｌ，５２０Ｒが閉鎖した状態では、膨出部５２４Ｌ，５２４Ｒが正面ベース５１１に形成される立設部５１１ｂ１よりも下方（図２８（ａ）下方）に配置される。言い変えると、立設部５１１ｂ１は、膨出部５２４Ｌ，５２４Ｒの対向間に配置される。
【０２６５】
ここで、一対の羽部材５２０Ｌ，５２０Ｒは、遊技球を挟み込まないように、閉鎖状態における側面５２６Ｌ，５２６Ｒの対向間隔が遊技球の直径よりも大きな対向間隔となる位置に配置される。この場合、側面５２６Ｌ，５２６Ｒから膨出部５２４Ｌ，５２４Ｒを突設すると、膨出部５２４Ｌ，５２４Ｒの間に遊技球を挟み込まないように、膨出部５２４Ｌ，５２４Ｒの突設高さの分だけ一対の羽部材５２０Ｌ，５２０Ｒを更に離間させて配置する必要が生じ、一対の羽部材５２０Ｌ，５２０Ｒの配設に必要なスペースが嵩む。
【０２６６】
これに対し、本実施形態では、閉鎖状態において膨出部５２４Ｌ，５２４Ｒの対向間に位置する立設部５１１ｂ１を備え、一対の羽部材５２０Ｌ，５２０Ｒは、回転軸方向視において、膨出部５２４Ｌ，５２４Ｒが非形成とされる領域での側面５２６Ｌ，５２６Ｒの対向間隔が遊技球の直径よりも大きくされと共に、膨出部５２４Ｌ，５２４Ｒの対向間隔が遊技球の直径よりも小さくされるので、一対の羽部材５２０Ｌ，５２０Ｒの配設に必要なスペースを抑制できる。
【０２６７】
即ち、遊技球が側面５２６Ｌ，５２６Ｒを案内（転動）されている状態で、一対の羽部材５２０Ｌ，５２０Ｒが閉じ始めても（閉鎖状態への移行を開始しても）、膨出部５２４Ｌ，５２４Ｒの対向間に立設部５１１ｂ１が位置することで、遊技球を膨出部５２４Ｌ，５２４Ｒの対向間から排出して、膨出部５２４Ｌ，５２４Ｒの間に遊技球が挟み込まれることを回避できる。立設部５１１ｂ１により膨出部５２４Ｌ，５２４Ｒの対向間から排出された遊技球は、膨出部５２４Ｌ，５２４Ｒが非形成とされる領域での側面５２６Ｌ，５２６Ｒの対向間に位置されるところ、かかる位置での対向間隔は、遊技球の直径よりも大きくされるので、遊技球が挟み込まれることはない（図２７（ａ）参照）。その結果、膨出部５２４Ｌ，５２４Ｒの対向間隔を遊技球の直径よりも小さくできる。これにより、一対の羽部材５２０Ｌ，５２０Ｒの配設に必要なスペースを抑制できる。言い換えると、側面５２６Ｌ，５２６Ｒに膨出部５２４Ｌ，５２４Ｒを突設しない従来品の配設に必要なスペースと同等のスペースに一対の羽部材５２０Ｌ，５２０Ｒを配設できる。
【０２６８】
一方、第２状態では、貫通孔５２１Ｌ５２１Ｒの軸周りに作用する回転力が、その自重により、羽部材５２０Ｌ，５２０Ｒの貫通孔５２１Ｌ，５２１Ｒから遠方の角部が重力方向下側に回転する方向とされる。よって、係合部５１１ｂ２と凹設部５２５Ｌ，５２５Ｒの膨出部５２４Ｌ，５２４Ｒ（側面５２６Ｌ，５２６Ｒ）側と反対側の端部とが当接されることで、羽部材５２０Ｌ，５２０Ｒが自重で回転することを抑制できると共に、羽部材５２０Ｌ，５２０Ｒを第２状態で保持できる。
【０２６９】
よって、羽部材５２０Ｌ，５２０Ｒの変位の規制を上述した駆動部５３３ｄ及び突起５２３Ｌ，５２３Ｒ以外の箇所で行うことができるので、駆動部５３３ｄ及び突起５２３Ｌ，５２３Ｒが破損することを抑制できる。よって、回転部材５３３の剛性を高くするために部品を大きく形成する必要がない分、回転部材５３３を小型化することができる。その結果、駆動ユニット５３０を小型化することができる。
【０２７０】
また、開放状態においては、立設部５１１ｂ１の上面が、側面５２６Ｌ，５２６Ｒの下端よりも重力方向下方に位置すると共に第２入賞口１４０の下端よりも重力方向上方に位置するので、側面５２６Ｌ，５２６Ｒに案内された遊技球を、立設部５１１ｂ１の上面に送球できると共に、立設部５１１ｂ１の上面を転動させることで、第２入賞口１４０へ入球させることができる（図２８（ｂ）参照）。
【０２７１】
さらに、上述したように第２突出部５１１ｂには、羽部材５２０Ｌ，５２０Ｒ側（第２入賞口１４０側）に光を照射するＬＥＤを備える基盤部材５１１ｆが配置される。図２８（ａ）に示すように、第１状態では、凹設部５２５Ｌ，５２５Ｒが重力方向下側に位置される。よって、基盤部材５１１ｆのＬＥＤから照射された光を羽部材５２０Ｌ，５２０Ｒの内部に入射させやすくできる。
【０２７２】
即ち、凹設部５２５Ｌ，５２５Ｒの凹設部分にＬＥＤの光を照射することで、羽部材５２０Ｌ，５２０Ｒの外面にＬＥＤの光が反射されることを抑制できる。その結果、羽部材５２０Ｌ，５２０Ｒの内部に光を入射させやすくできる。よって、羽部材５２０Ｌ，５２０Ｒの内部から遊技者側に出射される光の量を増やすことができる。その結果、透明材量から形成される正面ベース５１１を介した状態においても、羽部材５２０Ｌ，５２０Ｒを遊技者に視認させやすくできる。
【０２７３】
また、羽部材５２０Ｌ，５２０Ｒが、図２８（ｂ）に示す第２状態とされる際には、凹設部５２５Ｌ，５２５Ｒが、貫通孔５２１Ｌ，５２１Ｒの上下方向において略同一の位置とされる。よって、第２入賞口１４０の正面側に送球された遊技球を基盤部材５１１ｆのＬＥＤにより照射させやすくできる。
【０２７４】
即ち、凹設部５２５Ｌ，５２５Ｒの凹設部分が、貫通孔５２１Ｌ，５２１Ｒの上下方向において略同一の位置とされることで、第１電動役物５２０の対向間における隙間を大きくすることができる。よって、第２入賞口の正面側に送球された遊技球を基盤部材５１１ｆのＬＥＤにより照射させやすくできる。その結果、透明材料から形成される正面ベース５１１を介した状態であっても、第２入賞口１４０に入球される遊技球を遊技者が視認しやすくできる。
【０２７５】
次いで、図２９を参照して、入賞口ユニット５００の遊技盤１３への配設態様について説明する。図２９は、図２の範囲ＸＸＩＸにおける遊技盤１３の部分拡大図である。
【０２７６】
図２９に示すように、入賞口ユニット５００は、内レール７６の内縁と所定の隙間を隔てて配設される。
【０２７７】
内レール７６の下端部分の内側には、従来遊技領域を流下する遊技球を回収する第１アウト口７１が形成される。そのため、内レール７６の下端部分は、遊技球を集まり易くするために、内レール７６の全体における曲率よりも大きい曲率で湾曲形成される湾曲部７６ａが形成される。
【０２７８】
よって、入賞口ユニット５００と内レール７６とは、内リールの下端部分（湾曲部７６ａが形成される部分）において隙間が大きくされる。上述したように、入賞口ユニット５００の正面ベース５１１と背面ベース５１２との締結は、正面ベース５１１の下方から凹設部５１１ｂ３に斜めにドライバー等を差し込むことで行われる。
【０２７９】
貫通孔５１１ｂ４は、正面ベース５１１の左右方向略中央位置に形成される第２突出部５１１ｂに形成される。よって、貫通孔５１１ｂ４を湾曲部７６ａの上方（図２９上方）に位置させることができる。従って、正面ベース５１１の下方から凹設部５１１ｂ３に斜めにドライバー等を差し込む際に、湾曲部７６ａにより形成される入賞口ユニット５００との隙間を利用できるので、遊技盤１３の正面側から正面ベース５１１を背面ベース５１２から着脱しやすくできる。
【０２８０】
また、凹設部５１１ｂ３の内部を内レール７６により遊技者から視認しにくくできるので、遊技者が正面ベース５１１と背面ベース５１２とを締結するねじ等を視認することで、遊技者の興趣が低下することを抑制できる。
【０２８１】
次いで図３０から図３６を参照して、装飾図柄表示装置８００について説明する。
【０２８２】
初めに、図３０から図３３を参照して、装飾図柄表示装置８００の構成について説明する。図３０（ａ）は、装飾図柄表示装置８００の正面図であり、図３０（ｂ）は、図３０（ａ）のＸＸＸｂ−ＸＸＸｂ線における装飾図柄表示装置８００の断面図である。図３１は、装飾図柄表示装置８００の分解斜視正面図であり、図３２は、装飾図柄表示装置８００の分解斜視背面図である。図３３（ａ）は、内リール８１１を展開した正面図であり、図３３（ｂ）は、外リール８２１を展開した正面図である。
【０２８３】
図３０から図３３に示すように、装飾図柄表示装置８００は、回転可能に構成される内リールユニット８１０と、その内リールユニット８１０の一部を収容する外リールユニット８２０と、内リールユニット８１０及び外リールユニット８２０を内部に収容する収容ユニット８８０と、その収容ユニット８８０に取着され、内リールユニット８１０を回転駆動させる駆動モータＫＭ１と、収容ユニット８８０に取着され、外リールユニット８２０を回転駆動させる駆動モータＫＭ２と、内リールユニット８１０の内側に配設されるバックライトユニット８３０とを主に備えて形成される。
【０２８４】
内リールユニット８１０は、左右に貫通する略円筒状の内リール８１１と、その内リール８１１の開口の一端側（図３０（ａ）左側）に配設される回転部材８１２と、内リール８１１の開口の他端側（図３０（ａ）右側）に配設される円環部材８１３とを備えて形成される。
【０２８５】
内リール８１１は、透明な樹脂から形成される帯状のシートを周方向に沿って巻くことで形成される。内リール８１１は、図３３（ａ）に示すように、長手方向を縦向きとして、装飾図柄が等間隔に配列される。なお、３つ並設される装飾図柄表示装置８００のそれぞれの内リール８１１は、それぞれ装飾図柄の配置が異なる態様とされる。
【０２８６】
回転部材８１２は、略円盤状に形成されるハブ８１２ａと、そのハブ８１２ａよりも大径の略円環状に形成されるリム８１２ｂと、ハブ８１２ａの外周面とリム８１２ｂの内周面とを連結するスポーク８１２ｃとを主に備えて形成される。
【０２８７】
ハブ８１２ａとリム８１２ｂは、それぞれの軸が同一の直線状に形成されると共に、軸方向に異なる位置に配置される。よって、スポーク８１２ｃは、ハブ８１２ａの径方向外側に向けて軸方向に傾斜して形成される。
【０２８８】
リム８１２ｂは、その外周面に、内リール８１１の一端側が貼付される部位であり、内リール８１１の内径と略同一の外径に形成される。言い変えると、リム８１２ｂの外周部分における周方向の距離寸法は、展開した内リール８１１の長手方向の寸法と略同一に設定される。よって、内リール８１１をリム８１２ｂの外周面に隙間なく配設（貼付）できる。
【０２８９】
ハブ８１２ａは、内リール８１１の内側に配置される。即ち、ハブ８１２ａとリム８１２ｂとを連結するスポーク８１２ｃは、径方向内側に向かうに従って、内リール８１１の開口の他端（後述する円環部材８１３）側に向かって傾斜して形成される。これにより、ハブ８１２ａを内リール８１１の内側に配置することができる。また、スポーク８１２ｃは、リム８１２ｂからハブ８１２ａに延設される複数の棒状体から形成されており、周方向に隣り合うスポーク８１２ｃとの間に開口する内側開口部８１２ｃ１を備える。
【０２９０】
ハブ８１２ａは、軸方向における位置が、内リール８１１の左右方向中央位置と略同一の位置とされる。これにより、ハブ８１２ａよりも円環部材８１３側のスペースを確保できる。ハブ８１２ａには、内リールユニット８１０に回転の駆動力を付与する駆動モータＫＭ１が連結される。
【０２９１】
駆動モータＫＭ１は、内リール８１１の軸方向における厚み寸法が、内リール８１１の軸方向寸法の略半分とされる。上述したように、ハブ８１２ａは、軸方向における位置が、内リール８１１の左右方向中央位置と略同一の位置とされ、内リール８１１の開口の他端（円環部材８１３）側の内側部分にスペースが形成されるので、駆動モータＫＭ１のほとんどを内リール８１１の内側に配設する事ができる。その結果、内リールユニット８１０及び駆動モータＫＭ１の左右方向（内リール８１１の軸方向）における寸法を小さくすることができる。
【０２９２】
また、駆動モータＫＭ１は、ハブ８１２ａの軸と同軸の直線状に回転軸が配設される。即ち、駆動モータＫＭ１の回転軸に、ハブ８１２ａの軸が連結される。上述したように、ハブ８１２ａの軸とリム８１２ｂの軸とは同一の直線上に配置されるので、駆動モータＫＭ１の回転により、内リール８１１を内リール８１１の軸を中心として回転できる。これにより、内リール８１１に装飾した図柄を、遊技者に上下方向に変位する態様として視認させることができる。
【０２９３】
円環部材８１３は、リム８１２ｂの外径と略同一の外径の円環状に形成される。円環部材８１３は、内リール８１１の開口の他端側（図３０（ａ）右側）の内周面がその外周面に添付される。
【０２９４】
ここで、内リール８１１は、上述したように透明な樹脂のシートから形成されるので、比較的剛性が低い。その為、内リールユニット８１０が回転変位されると、その回転の遠心力や風圧等により変形し、遊技者にその周囲に装飾した図柄を正確に認識させることができなくなる恐れがあった。
【０２９５】
これに対し、本実施形態では、内リール８１１は、一端側に回転部材８１２のリム８１２ｂが連結されると共に、他端側に円環部材８１３が連結されるので、内リールユニット８１０が回転した際に、その遠心力や風圧により変位しにくくなる。その結果、内リールユニット８１０が回転変位した際に、内リール８１１の周囲に装飾した図柄を正確に遊技者に認識させることができる。
【０２９６】
また、内リール８１１をシートから形成することができるので、その分、内リール８１１の荷重を小さくすることができる。従って、内リールユニット８１０を回転駆動させる際に駆動モータＫＭ１にかかる負荷を小さくすることができる。その結果、内リールユニット８１０の回転始動をスムーズにすることができる。
【０２９７】
外リールユニット８２０は、円筒状に形成される外リール８２１と、その外リール８２１よりも、小さい直径の円盤状に形成されるハブ８２３と、外リール８２１の開口の一端側（図３０（ａ）左側）の内周面および外リール８２１の外周面を連結するスポーク８２２とを主に備えて形成される。
【０２９８】
外リール８２１は、内径が内リール８１１の外形よりも大きく形成されると共に、軸方向における幅寸法が内リール８１１の軸方向寸法よりも大きく形成される。また、内リール８１１は、透明な樹脂材料から形成され径方向に所定の厚みを備えて形成される。なお、内リール８１１の外周面には、図柄が装飾されており、その装飾態様についての説明は後述する。
【０２９９】
ハブ８２３は、その軸が外リール８２１と同軸上に配置されると共に、外リール８２１の軸方向略中央位置に配置される。また、ハブ８２３には、外リールユニット８２０に回転の駆動力を付与する駆動モータＫＭ２が連結される。
【０３００】
スポーク８２２は、ハブ８２３の径方向外側に向けて外リール８２１の軸方向に傾斜して形成されており、これにより、スポーク８２２と外リール８２１の開口の一端側（図３０（ａ）左側）との間に空間を形成することができる。また、スポーク８２２は、ハブ８２３から縁部８２４に延設される複数の棒状体から形成されており、周方向に隣り合うスポーク８２２との間に開口する開口部８２２ａを備える。
【０３０１】
駆動モータＫＭ２は、外リール８２１の軸方向における厚み寸法が、外リール８２１の軸方向寸法の略半分とされる。上述したように、ハブ８２３は、軸方向における位置が、外リール８２１の左右方向中央と略同一に位置とされ、外リール８２１の開口の一端（図３０（ａ）左右方向左）側に空間が形成されるので、駆動モータＫＭ２のほとんどを外リール８２１の内側に配設することができる。その結果、外リールユニット８２０及び駆動モータＫＭ２の左右方向（外リール８２１の軸方向）における寸法を小さくできる。
【０３０２】
収容ユニット８８０は、正面側が開口する箱状体に形成されており、その内部に内リールユニット８１０及び外リールユニット８２０を収容できる。収容ユニット８８０は、左右一対の側壁部８８１と、その一対の側壁部８８１の対向間の縁部に配設される上壁部８８２，下壁部８８３及び背面壁部８８４とを主に備えて形成される。
【０３０３】
側壁部８８１は、側面視略矩形の板状体から形成され、上下方向（図３０（ａ）上下方向）において外ドラムの外径よりも大きく形成されると共に、前後方向（図３０（ｂ）左右方向）において外ドラムの外径よりも小さく形成される。
【０３０４】
側壁部８８１には、正面視左側（図３０（ａ）左側）の側壁部８８１の右面（内面）に外リールユニット８２０を駆動する駆動モータＫＭ２が配設され、正面視右側（図３０（ａ）右側）の側壁部８８１の左面（内面）に内リールユニット８１０を駆動する駆動モータＫＭ１が配設される。即ち、内リールユニット８１０及び外リールユニット８２０は、側壁部８８１に対して回転変位される。
【０３０５】
また、側壁部８８１は、正面側の側面に内リール８１１の外周面と対応する湾曲状に膨出する膨出部８８１ａを備える。これにより、後述するバックライトユニット８３０から照射される光がその内リール８１１の左右外側から抜け出ることを抑制できる。
【０３０６】
また、側壁部８８１は、金属材料から形成される。これにより、収容ユニット８８０の剛性を高くすることができる。また、一般的に樹脂材料よりも熱伝導性が高い金属材料から形成されることで、収容ユニット８８０の内部に発生する熱を収容ユニット８８０の外側に排出することができる。その結果、収容ユニット８８０の内部に熱が溜まることで、部品が壊れることを抑制できる。
【０３０７】
上壁部８８２及び下壁部８８３は、収容ユニット８８０の上下の側面を形成する板部材であり、側壁部８８１の上部（図３０（ｂ）上部）の縁部と下部（図３０（ｂ）下部）の縁部とにそれぞれ沿って配設される。
【０３０８】
上壁部８８２及び下壁部の左右方向（図３０（ａ）左右方向）における幅寸法は、外リール８２１の左右方向（軸方向）の幅寸法よりも小さく形成される。これにより、側壁部８８１の対向間における距離寸法を確保でき、その対向間に内リールユニット８１０及び外リールユニット８２０を配置することができる。
【０３０９】
また、上壁部８８２及び下壁部８８３には、外リール８２１の軸に対して径方向に貫通する貫通孔が複数形成される。これにより、収容ユニット８８０の内部と外部との空気の流動性を高めることができる。その結果、収容ユニット８８０の内部に熱が溜まることを抑制でき、収容ユニット８８０の熱で部品が壊れることを抑制できる。
【０３１０】
背面壁部８８４は、収容ユニット８８０の背面側の側面を形成する板部材であり、側壁部８８１の背面側（図３０（ｂ）右側）の縁部沿って配設される。
【０３１１】
背面壁部８８４は、外リール８２１の軸と水平方向（図３０（ｂ）左右方向）に交わる位置に前後方向に貫通する開口８８４ａが形成されると共に、その開口８８４ａが形成される左右両端部に正面側に屈曲して立設される立設部８８４ｂとを備えて形成される。
【０３１２】
開口８８４ａは、左右方向（図３０（ａ）左右方向）の幅寸法が外リール８２１の軸方向の幅寸法よりも大きく形成される。これにより、外リール８２１が、回転動作の慣性力や振動等により前後方向に動作した（揺れ動いた）際に、背面壁部８８４と衝突することを抑制できる。
【０３１３】
即ち、外リール８２１が、回転動作の慣性力や振動等により前後方向に動作下（揺れ動いた）際には、外リール８２１の後方側（図３０（ｂ）右側）の一部を、開口８８４ａの内側に挿入することができる。その結果、外リール８２１が、背面壁部８８４と衝突することを抑制できる。
【０３１４】
また、開口８８４ａにより、収容ユニット８８０の内部と外部とを空気の流動性を高めることができる。その結果、収容ユニット８８０の内部に熱が留まることを抑制でき、収容ユニット８８０の熱で部品が壊れることを抑制できる。
【０３１５】
ここで、背面壁部８８４に外リール８２１の軸方向における幅よりも大きい開口８８４ａを形成すると、その開口８８４ａの左右両隣の背面壁部８８４の剛性が低くなる。そのために、背面壁部８８４が曲がる恐れがあった。
【０３１６】
また、この場合に、側壁部８８１の対向間を大きくすることで、開口８８４ａの左右両隣の背面壁部８８４の剛性を高くすることも考えられるが、対向間を大きくすることで、装飾図柄表示装置８００のユニットそのものが大きくなるという問題点があった。
【０３１７】
これに対し、本実施形態では、開口８８４ａが形成される位置の背面壁部８８４の左右両隣に立設部８８４ｂが形成される。これにより、背面壁部８８４の剛性を高くすることができる。その結果、背面壁部８８４が曲がることを抑制できる。
【０３１８】
また、本実施形態では、背面壁部８８４は、金属材料から形成され、開口８８４ａの左右両端部から背面壁部８８４の左右両端部までの距離寸法が十分に小さくされる。よって、背面壁部８８４の左右両端を形成する際の塑性変形の変形率を大きくできる。その結果、剛性を高くすることができる。
【０３１９】
バックライトユニット８３０は、内リール８１１の図柄を遊技者に認識させ易くするために、内リール８１１の内側から光を発光するユニットであり、内リール８１１の正面内側に配置される。
【０３２０】
バックライトユニット８３０は、側面視円弧状に形成され、その円弧の軸が内リール８１１の軸と同軸上に配置される。また、バックライトユニット８３０の軸方向における幅寸法は、内リール８１１の軸方向の幅寸法と略同一に設定される。
【０３２１】
また、内リール８１１側のバックライトユニット８３０の周方向の長さ寸法Ｌ４は、後述する内リール８１１に装飾される図柄の３つ分の長さに形成される。
【０３２２】
さらに、バックライトユニット８３０は、外周面に径方向内側に凹設される凹部８３１が周方向に３つ並設される。よって、各凹部８３１の間には、それぞれバックライトユニット８３０の径方向外側に立設される仕切板８３２が形成される。
【０３２３】
各凹部８３１の径方向内側の側面には、光を照射するＬＥＤを備える基盤部材８３３が配設され、そのＬＥＤによりバックライトユニット８３０の径方向外側に向かって光を照射することができる。
【０３２４】
各基盤部材８３３には、それぞれ独立して電力を供給可能とされ、内リール８１１を部分的に発光可能とされる。この場合、各基盤部材８３３は、それぞれ４方が囲まれた領域（凹部８３１）に配設されるので、基盤部材８３３のＬＥＤから照射した光が、他の基盤部材８３３の前面の領域に入射することを抑制できる。よって、内リール８１１を部分的に発光させやすくできる。
【０３２５】
次いで、図３３を参照して、内リール８１１及び外リール８２１に装飾される図柄について説明する。図３３（ａ）は、内リール８１１を展開した正面図であり、図３３（ｂ）は、外リール８２１を展開した正面図である。
【０３２６】
図３３（ａ）に示すように、内リール８１１には、周方向（図３３では上下方向）に複数の図柄が等間隔で描かれる。なお、１の図柄の周方向における寸法Ｌ５は、上述したように、バックライトユニット８３０の周方向の長さ寸法Ｌ４の３分の１の長さに設定される（Ｌ５×３＝Ｌ４）。
【０３２７】
また、内リール８１１は、全体的に光を透過することのできる素材で形成される。特に、図柄の部分（例えば「７」の表示）は、その周りの余白部分よりも光の透過率が高くされる。よって、内リール８１１の内側に配置されるバックライトユニット８３０のＬＥＤから光を照射することで、ＬＥＤの光が内リール８１１を透過して、図柄の部分を浮かび上がらせることができる。従って、バックライトユニット８３０のＬＥＤを発光状態としておけば、外側の光（店舗内の光やパチンコ機１０に配置する他のＬＥＤの光）が内リール８１１に照射されなくても内リール８１１の図柄を遊技者に視認させることができる。
【０３２８】
なお、本実施形態では、周方向に５種類１０個の図柄が連続して描かれており、後述するセグメント表示装置６００により、遊技者側から最多で３つの図柄を視認可能とされる。上述したように、各装飾図柄表示装置８００には、それぞれ異なる配列の図柄が装飾されており、遊技者に最多で９つの図柄を視認させることができる。
【０３２９】
また、パチンコ機１０は、内リール８１１により３×３個の図柄を表示することで、水平方向へ平行に３本、斜め方向へたすき掛けに２本、計５本の大当たりの有効ラインが設定される。そのいずれかの有効ライン上に「７」図柄が３つ揃うように内リール８１１を停止させることにより、大当たり状態の発生を遊技者に教示することができる。
【０３３０】
図３３（ｂ）に示すように、外リール８２１は、装飾が施されない非装飾面８２１ａと、光を透過させない装飾が施される非透過面８２１ｂとを備える。
【０３３１】
非装飾面８２１ａは、装飾が施されないことで、光を透過可能とされる。即ち、外リール８２１を、透明な材料（本実施形態では、透明な樹脂材料）から形成することで、光を透過可能とする非装飾面８２１ａが形成される。なお、非装飾面８２１ａは、光を透過可能に形成されていれば良く、例えば、光を透過可能な半透明の装飾が施されるものであっても良い。
【０３３２】
装飾図柄表示装置８００は、外リールユニット８２０を回転させて、非装飾面８２１ａを遊技者側に向けることで、外リール８２１の内側に配置した内リール８１１の図柄を遊技者に視認させることができる。即ち、遊技者は、外リール８２１の非装飾面８２１ａを介して内リール８１１の図柄を視認できる。
【０３３３】
非透過面８２１ｂは、外リール８２１の外周面（図３３（ｂ）では紙面手前側）に、黒色の装飾が施されることで、光を非透過とされる。また、非透過面８２１ｂは、その周方向における長さ（図３３（ｂ）では上下方向の長さ）が、内リール８１１に装飾される図柄３つ分以上に形成される。
【０３３４】
上述したように、本実施形態では、遊技者側に内リール８１１の図柄３つ分を表示可能とされる。よって、非透過面８２１ｂの周方向における長さが、内リール８１１に装飾される図柄３つ分以上とされることで、外リールユニット８２０を回転させて外リール８２１の非透過面を遊技者側に配置することで、遊技者側から内リール８１１を視認不能とすることができる。
【０３３５】
なお、非透過面８２１ｂの周方向における長さは、内リール８１１に装飾される図柄３つ分以上に限定されるものではなく、遊技者側から内リール８１１の装飾が視認不能とできる周方向長さが形成されれば良い。即ち、遊技者側から視認可能な内リール８１１の周方向長さ分、非透過面８２１ｂが形成されていれば良い。
【０３３６】
また、非透過面８２１ｂは、部分的に光を透過可能な透過領域８２１ｂ１と、図柄が装飾された図柄８２１ｂ２とを備える。
【０３３７】
透過領域８２１ｂ１は、正面視において左右方向（図３３左右方向）に長い矩形状に形成される。透過領域８２１ｂ１は、後述するセグメント表示装置６００と組み合わされることで、７セグメント表示をする部分であり、内リール８１１を透過する光を部分的に遊技者側に透過できる。これにより、後述する７セグメント表示の一部を形成することができる。
【０３３８】
図柄８２１ｂ２は、内リール８１１に装飾される図柄の３つ分の周方向長さで形成されており、各装飾図柄表示装置８００の各図柄８２１ｂ２を水平方向へ平行に３つ揃うように外リール８２１を停止させることにより、大当たり状態の発生を遊技者に教示することができる。
【０３３９】
また、上述したように、図柄８２１ｂ２の周囲は非透過とされるので、遊技者から内リール８１１を視認不能とできる。よって、図柄８２１ｂ２の図柄が３つ揃う演出をしつつ、内リール８１１の図柄を有効ライン上に停止させることができる。従って、外リール８２１の回転演出により、遊技者に外リール８２１を注視させた後に、外リール８２１の演出が終わるととほぼ同時に内リール８１１を注視させることができる。その結果、遊技者の興趣が損なわれることを抑制できる。
【０３４０】
次いで、図３４から図３６を参照して、内リールユニット８１０と外リールユニット８２０とについて説明する。図３４は、図３０（ａ）のＸＸＸＩＶ−ＸＸＸＩＶ線における装飾図柄表示装置８００の断面図である。図３５は、図３４の範囲ＸＸＸＶにおける装飾図柄表示装置８００の部分拡大図である。図３６（ａ）は、回転部材８１２の部分拡大図であり、図３６（ｂ）は、図３６（ａ）のＸＸＸＶＩｂ−ＸＸＸＶＩｂ線における回転部材８１２の断面図である。
【０３４１】
図３４から図３６に示すように、内リールユニット８１０の内リール８１１と外リールユニット８２０の外リール８２１との対向間には、所定の隙間が形成される。また、内リールユニット８１０のハブ８１２ａと外リールユニット８２０の外リール８２１の開口の一端側（図３４左側）に径方向に向かって突設される縁部８２４との対向間には、所定の隙間が形成される。
【０３４２】
回転部材８１２のハブ８１２ａには、外リールユニット８２０の縁部８２４側に突出する突起８１２ａ１が形成される。突起８１２ａ１は、ハブ８１２ａの周方向に所定の間隔で形成される（本実施形態では、スポーク８１２ｃの延長線上に形成される（図３６参照））。突起８１２ａ１は、ハブ８１２ａの周方向に両側が傾斜する山形に形成される。よって、内リールユニット８１０を回転させることで、突起８１２ａ１により風を発生させることができる。
【０３４３】
ここで、従来より、回転可能に形成される第１リール（外リールユニット８２０）と、その第１リール（外リールユニット８２０）の内側に略同心に配設されると共に回転可能に形成される第２リール（内リールユニット８１０）とを備えた（即ち、二重リール構造を備えた）遊技機が知られている。また、リールの外周面（表示面）に回転ブラシを当接させ、かかる回転部材をリールの回転に従動させることで、リールの表示面に付着する埃を除去して掃除する技術も知られている。
【０３４４】
しかしながら、二重リール構造では、掃除が困難であるという問題点があった。即ち、二重リール構造では、外側のリール（第１リール（外リールユニット８２０））と内側のリール（第２リール（内リールユニット８１０））との間に上述した回転ブラシを配設するスペースが確保できないため、外側のリールの内周面および内側のリール（第２リール）の外周面を掃除することができない。
【０３４５】
即ち、内リール８１１の外周面と外リール８２１の内周面との対向間は、狭く形成されるので、その対向間に侵入して張り付いた埃（ゴミ）を取り除くには、装飾図柄表示装置８００を分解する必要があるため、清掃することが難しい。
【０３４６】
これに対し、本実施形態では、突起８１２ａ１により、内リールユニット８１０を回転させた際に、空気を押し出して風を発生させることができる。押し出された空気（風）は、対向する外リール８２１の縁部８２４に衝突することで、内リール８１１の外周面と外リール８２１の内周面との対向間に流入される。
【０３４７】
この場合、内リール８１１の外周面と外リール８２１の内周面との対向間の空間の方が、縁部８２４及びハブ８１２ａの内周側の空間よりも狭くされるので、空気が縁部８２４及びハブ８１２ａの内周側の空間から内リール８１１の外周面と外リール８２１の内周面との対向間の空間に流れるようにできる。これにより、内リール８１１の外周面または外リール８２１の内周面に張り付いた埃（ゴミ）及び張り付こうとする埃を吹き飛ばすことができる。その結果、内リール８１１の外周面または外リール８２１の内周面に埃が張り付くことを抑制できる。
【０３４８】
即ち、本実施形態では、外リールユニット８２０が、円筒状に形成される外リール８２１と、その外リール８２１の軸方向一側から径方向内側へ張り出す縁部８２４とを備え、内リールユニット８１０が、円筒状に形成されると共にその外面が外リール８２１の内面に所定間隔を隔てて対面される内リール８１１と、その内リール８１１の軸方向一側から径方向内側へ張り出すと共にその外面が縁部８２４の内面に所定間隔を隔てて対面されるハブ８１２ａとを備え、ハブ８１２ａの外面から縁部８２４の内面へ向けて突起８１２ａ１が立設されるので、縁部８２４の内面とハブ８１２ａの外面との間を突起８１２ａ１が周方向へ変位されることで風圧を発生させ、かかる風圧を利用して、外リール８２１の内面と内リール８１１の外面との間の空気を流動させることができる。これにより、空気の流動により埃を除去することができ、外リール８２１の内面および第２外周面の外面を掃除することができる。
【０３４９】
ここで、縁部８２４またはハブ８１２ａの少なくとも一方に開口が形成されている場合や周方向の一部が部分的に分断されていると、縁部８２４の内面とハブ８１２ａの外面との間を突起８１２ａ１が周方向へ変位されることで発生した風圧が、開口部分や分断部分から逃げるため、風圧が弱まり、その分、外リール８２１の内面と内リール８１１の外面との間の空気を流動させ難くなる。
【０３５０】
これに対し、本実施形態では、縁部８２４およびハブ８１２ａが軸方向視円環状に形成され周方向に連続する面を有して形成されるので、縁部８２４の内面とハブ８１２ａの外面との間を突起８１２ａ１が周方向へ変位されることで発生する風圧を高めることができる。よって、その分、外リール８２１の内面と内リール８１１の外面との間の空気を流動させやすくできる。その結果、縁部８２４の内面とハブ８１２ａの外面との間を突起８１２ａ１が周方向へ変位されることで発生する風圧を利用して、外リール８２１の内面と内リール８１１の外面との間の空気を流動させやすくできる。
【０３５１】
また、突起８１２ａ１により、内リールユニット８１０のハブ８１２ａと外リールユニット８２０の縁部８２４との対向間は、内リール８１１の周方向において部分的に対向間が狭くされる。従って、突起８１２ａ１により内リールユニット８１０のハブ８１２ａと外リールユニット８２０の縁部８２４との対向間における大気圧を変化させやすくできる。よって、大気圧の変化を利用して風を発生させやすくすることができ、その風を内リール８１１の外周面と外リール８２１の内周面との対向間に流入させて、内リール８１１の外周面または外リール８２１の内周面に張り付いた埃（ゴミ）及び張り付こうとする埃を吹き飛ばすことができる。その結果、内リール８１１の外周面または外リール８２１の内周面に埃が張り付くことを抑制できる。
【０３５２】
詳しく説明すると、空気は高い気圧から低い気圧側に流れる性質があり、突起８１２ａ１の突出先端と外リールユニット８２０の縁部８２４との対向間が狭くされることで、部分的に気圧を高くすることができる。従って、気圧の変化が発生しにくい内リール８１１の外周面および外リール８２１の内周面の対向間の空間の気圧が、突起８１２ａ１の突出先端と外リールユニット８２０の縁部８２４との対向間の気圧よりも低くされる。その結果、内リール８１１の外周面および外リール８２１の内周面の対向間の空間に空気を送りやすくでき、内リール８１１の外周面または外リール８２１の内周面に埃が張り付くことを抑制できる。
【０３５３】
さらに、突起８１２ａ１の突出先端と縁部８２４との対向間の大気圧を高めることができるので、突起８１２ａ１が縁部８２４側に又は、縁部８２４が突起８１２ａ１側に変位する（ぐらつく）ことを抑制できる。
【０３５４】
また、縁部８２４を支持するスポーク８２２及びハブ８１２ａを支持するスポーク８１２ｃに外側開口部８２５及び内側開口部８１２ｃ１が開口形成されるので、その外側開口部８２５及び内側開口部８１２ｃ１を介して、縁部８２４の内面とハブ８１２ａの外面との間の空気を外部へ排気する（又は、縁部８２４の内面とハブ８１２ａの外面との間へ外部から空気を吸気する）ことができる。即ち、空気の流動抵抗を低減して、その分、縁部８２４の内面とハブ８１２ａの外面との間の空気を流動（流出または流入）させやすくできる。その結果、縁部８２４の内面とハブ８１２ａの外面との間を立設部が周方向へ変位されることで発生する風圧を利用して、外リール８２１の内面と内リール８１１の外面との間の空気を流動させやすくできる。
【０３５５】
さらに、内リールユニット８１０（又は外リールユニット８２０）のハブ８１２ａ（股は縁部８２４）に突起８１２ａ１が立設され、外リールユニット８２０（又は内リールユニット８１０）のスポーク８２２（又はスポーク８１２ｃ）に外側開口部８２５（又は内側開口部８１２ｃ１）が少なくとも形成されるので、外側開口部８２５を介して空気を吸気（又は排気）することによる流動抵抗の低減効果を発揮しやすくできる。即ち、外リールユニット８２０及び内リールユニット８１０のうちの突起８１２ａ１が立設される一方を回転させる際に、外側開口部８２５又は内側開口部８１２ｃ１が開口形成される他方を停止させておくことで、外側開口部８２５又は内側開口部８１２ｃ１を介した空気の流動（排気または吸気）の抵抗を低減できる。
【０３５６】
外リール８２１は、スポーク８２２が連結される縁部８２４（一端）側から他端側に向かって、少し径方向外側に傾斜して（拡径して）形成される。よって、内リール８１１の外周面および外リール８２１の内周面の対向間に一端側から流入した空気を他端側に送りやすくできる。その結果、内リール８１１の外周面および外リール８２１の内周面の対向間を流れる空気の流れが停止されることを抑制でき、内リール８１１の外周面または外リール８２１の内周面に埃が張り付くことを抑制できる。
【０３５７】
さらに、スポーク８１２ｃの内リール８１１の軸から径方向外側への傾斜角θ１は、スポーク８２２の外リール８２１の軸から径方向外側への傾斜角θ２よりも大きくされる（θ１＞θ２）。よって、スポーク８１２ｃとスポーク８２２とは、軸方向（図３４左右方向）に重なる位置（例えば、図３４に示す位置）に回転変位した際に、径方向（図３４上下方向）外側に向かって対向間における寸法が大きくされる。
【０３５８】
従って、内リールユニット８１０及び外リールユニット８２０のうちどちらか一方または両方を回転変位させることで、スポーク８１２ｃとスポーク８２２との対向間の距離の差により、内リール８１１の外周面と外リール８２１の内周面との対向間に向かう風を発生させやすくできる。
【０３５９】
詳しく説明すると、内リール８１１及び外リール８２１の径方向外側に向かって、スポーク８１２ｃとスポーク８２２との対向間における離間距離が大きくされる。よって、スポーク８１２ｃとスポーク８２２とが軸方向に重なる位置に回転変位した際には、内リール８１１及び外リール８２１の径方向内側部分のスポーク８１２ｃとスポーク８２２との対向間の方が大気圧が高くされる。
【０３６０】
上述したように、空気は高い気圧から低い気圧側に流れる性質がある。従って、径方向内側部分から、径方向外側部分に向かう空気の流れを形成することができる。即ち、内リール８１１及び外リール８２１の軸側からハブ８１２ａと縁部８２４との対向間側に向かう空気の流れを形成できる。従って、内リール８１１の外周面と外リール８２１の内周面との対向間の空間に空気を送りやくすできる。その結果、内リール８１１の外周面または外リール８２１の内周面に埃が張り付くことを抑制できる。
【０３６１】
また、外リールユニット８２０の外リール８２１の少なくとも一部が光透過性を有して形成されると共に、内リールユニット８１０の内リール８１１に複数の図柄が周方向に沿って配列されるので、外リールユニット８２０を介して内リールユニット８１０の回転に伴う図柄の変動を遊技者に視認させることができる。この場合、内リールユニット８１０のハブ８１２ａに突起８１２ａ１が立設される、即ち、外リールユニット８２０よりも回転回数が多くされる内リールユニット８１０のハブ８１２ａに突起８１２ａ１が立設されるので、外リールユニット８２０又は内リールユニット８１０の回転による演出において、外リール８２１の内面および内リール８１１の外面を掃除する機会を増加させることができる。即ち、２重リール構造において、掃除をしやすくできる。
【０３６２】
なお、内リールユニット８１０を回転させることで、内リール８１１の外周面および外リール８２１の内周面を清掃するタイミングとしては、遊技者の操作がなく（遊技球が遊技領域に打出されず）、パチンコ機１０が待機状態とされる際に行うことが好ましい。この場合、風を発生させるために、内リールユニット８１０を高速で回転されるので、内リール８１１の図柄の切り替わりにより遊技者の興趣を引き付けることができる。
【０３６３】
また、外リール８２１の非透過面８２１ｂを遊技者側に回転変位させる演出を行っている間に内リール８１１の外周面および外リール８２１の内周面を清掃してもよい。この場合、遊技者から内リール８１１が不可視とされるので、清掃状態を遊技者に視認させず清掃を行うことができる。その結果、遊技者の興趣が低下することを抑制できる。また、遊技状態の際に行うことができるので、遊技が所定時間継続して行われる場合にも、内リール８１１の外周面および外リール８２１の内周面を清掃をすることができる。従って、遊技中に内リール８１１の外周面および外リール８２１の内周面に埃等のゴミが溜まることを抑制できる。
【０３６４】
次いで、図３７から図６３を参照して、セグメント表示装置６００について説明する。初めに、図３７及び図３８を参照して、セグメント表示装置６００の構成について説明する。図３７は、セグメント表示装置６００の正面図であり、図３８は、セグメント表示装置６００の分解図である。
【０３６５】
図３７及び図３８に示すように、セグメント表示装置６００は、正面視左側に配設される上下変位ユニット６００Ｌと、正面視右側に配設される上下変位ユニット６００Ｒと、左右の上下変位ユニット６００Ｌ，６００Ｒの間に配置される上下変位ユニット６００Ｃとを水平方向に並設して、背面側から連結部材６０１を締結固定することで形成される。
【０３６６】
なお、各上下変位ユニット６００Ｌ，６００Ｃ，６００Ｒは構成がほぼ同一であるため、以下では、正面視左側に配設される上下変位ユニット６００Ｌのみについて説明することで、上下変位ユニット６００Ｃ，６００Ｒについての詳しい説明は省略する。
【０３６７】
次いで、図３９から図４１を参照して、上下変位ユニット６００Ｌについて説明する。図３９（ａ）は、上下変位ユニット６００Ｌの正面図であり、図３９（ｂ）は、上下変位ユニット６００Ｃの側面図である。図４０は、上下変位ユニット６００Ｌの分解斜視正面図であり、図４１は、上下変位ユニット６００Ｌの分解斜視背面図である。
【０３６８】
なお、図４０及び図４１では、第１セグユニット６１０及び第２セグユニット６２０と変位ユニット６５０とが分解された態様が図示される。
【０３６９】
図３９から図４１に示すように、上下変位ユニット６００Ｌは、変位可能に構成される変位ユニット６５０と、その変位ユニット６５０の左右に配設される第１セグユニット６１０及び第２セグユニット６２０とを備えて配設される。
【０３７０】
なお、第１セグユニット６１０は、左右方向に１本分のセグを表示可能とされるユニットであり、第２セグユニット６２０は、左右方向に２本分のセグを表示可能とされるユニットである。また、第１セグユニット６１０は、第２セグユニット６２０を左右方向に半分にして形成されるのみであるので、以下では、第２セグユニット６２０のみを説明し、第２セグユニット６２０の構成における符号を第１セグユニット６１０に同様に付与する。
【０３７１】
各上下変位ユニット６００Ｌ，６００Ｃ，６００Ｒは、第１セグユニット６１０及び第２セグユニット６２０の配置がそれぞれ異なって形成されており、上下変位ユニット６１０Ｃは、正面視右側のみに第２セグユニット６２０が配設され、上下変位ユニット６１０Ｒは、正面視右側の視に第２セグユニット６２０が配設される。
【０３７２】
よって、上下変位ユニット６００Ｌは、正面視左側に１本分のセグ表示を、正面視右側に２本分のセグ表示をそれぞれすることができる。また、上下変位ユニット６００Ｃは、正面視右側のみに２本分のセグ表示をすることができる。更に、上下変位ユニット６００Ｌは、正面視右側のみに１本分のセグ表示をすることができる。即ち、各上下変位ユニット６００Ｌ，６００Ｃ，６００Ｒの左右両側に１本分のセグが形成される態様とすることができる。
【０３７３】
次いで、図４２から図４４を参照して、第２セグユニット６２０に説明する。図４２（ａ）は、第２セグユニット６２０の正面図であり、図４２（ｂ）は、第２セグユニット６２０の背面図である。図４３は、第２セグユニット６２０の分解斜視正面図であり、図４４は、第２セグユニット６２０の分解斜視背面図である。
【０３７４】
図４２から図４４に示すように、第２セグユニット６２０は、正面側に配設される光透過部材６２１と、その光透過部材６２１の背面に配設される仕切部材６２２と、仕切部材６２２の背面に配設される複数の拡散部材６２３と、複数の拡散部材６２３の間に配設される基盤部材６２４と、その基盤部材６２４の両隣に配設される反射部材６２５とを主に備えて形成される。
【０３７５】
光透過部材６２１は、光が内部を通過可能な半透明の光透過性の樹脂材料から形成される。光透過部材６２１は、正面側に凸となる円弧の板状に形成される光透過部６２１ａと、その光透過部６２１ａの上下に連なって形成される平面部６２１ｂとを主に備えて形成される。
【０３７６】
光透過部６２１ａは、左右の端部から背面側に立設される立設壁６２１ａ１と、上下の端部から背面側に円環状に突出する締結部６２１ａ２と、正面側左右中央位置に上下方向に連続して背面側に凹設される装飾部６２１ａ３とを主に備えて形成される。
【０３７７】
立設壁６２１ａ１は、光透過部６２１ａの左右の端部から背面側に立設して形成される。立設壁６２１ａ１同士の対向間寸法は、後述する仕切部材６２２の左右方向における幅寸法と略同一に設定される。よって、光透過部６２１ａの背面側に仕切部材６２２を配設した際に、仕切部材６２２が、左右に動くことを規制できる。
【０３７８】
締結部６２１ａ２は、後述する反射部材６２５をねじで締結する孔を形成する突起であり、光透過部６２１ａの背面側から円環状に突出形成される。よって、締結部６２１ａ２の内縁部にねじの先端を螺合することで反射部材６２５を締結できる。
【０３７９】
装飾部６２１ａ３は、上述したように光透過部６２１ａの左右中央位置に上下方向に連続して凹設される。これにより、正面視左側を透過する光が装飾部６２１ａ３内部を反射して正面視右側から出射されることを抑制できる。なお、装飾部６２１ａ３を透過する光についての詳しい説明は後述する。
【０３８０】
平面部６２１ｂは、後述する変位ユニット６５０のベース部材６６０と締結するための板部材である。平面部６２１ｂは、ベース部材６６０と略同一の正面視形状の板状体に形成されており、平面部６２１ｂを介してねじを締結することで、変位ユニット６５０と第２セグユニット６２０とを締結することができる。
【０３８１】
また、平面部６２１ｂには、対向する側に突出する弾性片６２１ｂ１が突出形成される。弾性片６２１ｂ１は、上下一対に形成される平面部６２１ｂの対向する側面から突出形成されると共に、正面側に凸となる湾曲状に突出する。また、弾性片６２１ｂ１は、光透過部６２１ａよりも小さい半径の湾曲状に形成され、その突出先端が、変位ユニット６５０の内側に配設される装飾図柄表示装置８００の上壁部８８２又は下壁部８８３に当接する態様とされる。これにより、装飾図柄表示装置８００の内リールユニット８１０及び外リールユニット８２０が回転駆動された際に、装飾図柄表示装置８００が振動することを抑制できる。
【０３８２】
仕切部材６２２は、光を透過しにくい樹脂材料から形成されると共に、側面視において湾曲した板状態に形成される。仕切部材６２２は、湾曲した外周面の半径が、光透過部６２１ａの内周面の半径と略同一に設定され、上下方向（図４２上下方向）の幅が光透過部６２１ａの上下方向の幅よりも小さく設定される。よって、光透過部６２１ａの内周面に仕切部材６２２の外周面を接地した状態で配置することができる。
【０３８３】
また、仕切部材６２２は正面視において、左右（図４２左右）の両端面から中央に向かって凹設される第１凹設部６２２ａと、上下（図４２上下）の端面から中央に向かって凹設される第２凹設部６２２ｂと、背面側の左右中央位置から突出する突設部６２２ｃとを主に備えて形成される。
【０３８４】
第１凹設部６２２ａは、左右の両側に上下方向に２つ並んで形成される。即ち、第１凹設部６２２ａは、仕切部材６２２に４箇所形成される。
【０３８５】
第２凹設部６２２ｂは、上下の両端から凹設して形成される。第２凹設部６２２ｂの凹設先端における対向間の寸法は、光透過部材６２１に形成される締結部６２１ａ２の上下方向の離間距離と略同一に設定される。よって、仕切部材６２２を光透過部材６２１の背面側に配設した際に、第２凹設部６２２ｂの内側に締結部６２１ａ２を挿入することで、仕切部材６２２が上下方向に動くことを抑制できる。
【０３８６】
突設部６２２ｃは、仕切部材６２２の左右中央位置に、上下方向に延設して形成される。また、突設部６２２ｃは、その突設先端面に凹設される凹部６２２ｃ１を備える。凹部６２２ｃ１は、左右方向における幅寸法が、後述する基盤部材６２４の厚み寸法よりも大きく形成される。よって、基盤部材６２４を仕切部材６２２に配設する際には、凹部６２２ｃ１の内側に基盤部材６２４の先端側を挿入できる。その結果、基盤部材６２４を配置する際に、基盤部材６２４を位置決めできると共に、基盤部材６２４が、左右方向に動くことを抑制できる。
【０３８７】
拡散部材６２３は、白濁色の樹脂材料から形成され、内部に侵入する光を拡散することができる。拡散部材６２３は、側面視において湾曲した板状に形成され、その外周部分（正面側）の半径が、仕切部材６２２の内周部分（背面側）の半径と略同一に設定される。よって、拡散部材６２３を仕切部材６２２の背面側に接地した状態で配置できる。
【０３８８】
また、拡散部材６２３は、上下に２つ並んで並設されると共に、左右に所定の距離を離間して２つ配設される。即ち、拡散部材６２３は、仕切部材６２２の背面側に４つ配設される。
【０３８９】
拡散部材６２３の左右方向における幅寸法は、光透過部材６２１の立設壁６２１ａ１と仕切部材６２２の突設部６２２ｃとの対向間寸法と略同一に設定される。これにより、拡散部材６２３を仕切部材６２２の背面側に配設した際に、拡散部材６２３が左右に動くことを抑制できる。
【０３９０】
また、拡散部材６２３は、正面側に突出する突出部６２３ａと、その突出部６２３ａの背面側に凹設される凹設部６２３ｂとを備えて形成される。
【０３９１】
突出部６２３ａは、拡散部材６２３の正面側に配設される仕切部材６２２の第１凹設部６２２ａと対応する位置に突出形成され、第１凹設部６２２ａの内側に挿入された状態で配設される。これにより、拡散部材６２３を仕切部材６２２の背面側に配設した際に、仕切部材６２２が左右および上下方向にずれることを抑制できる。
【０３９２】
また、突出部６２３ａの突出距離は、仕切部材６２２の厚み寸法よりも小さく設定される。即ち、突出部６２３ａの突出先端面と光透過部材６２１の背面との間に所定の隙間を形成した状態で配設される（図４５参照）。
【０３９３】
凹設部６２３ｂは、突出部６２３ａと反対側（拡散部材６２３の背面側）に突出部６２３ａの正面視形状よりもやや小さい形状に凹設して形成される。が形成される。これにより、拡散部材６２３の板の厚みを略一定とすることができ、拡散部材６２３を型成形した際の歪みを抑制できる。また、凹設部６２３ｂは、突出部６２３ａよりもやや小さい形状に形成されることで、突出部６２３ａの端部の背面側の面積を大きくできる。従って、後述するＬＥＤ６２４ａから拡散部材６２３に入射される光を、突出部６２３ａの端部で多くすることができる。その結果、拡散部材６２３を介して遊技者に視認させる光の態様をはっきり（くっきり）させることができ、遊技者の興趣が低下することを抑制できる。
【０３９４】
基盤部材６２４は、正面側が湾曲する三日月形状の板状体から形成され、側面に光を照射するＬＥＤ６２４ａを備える。基盤部材６２４の円弧の半径は、仕切部材６２２に形成される凹部６２２ｃ１の凹設先端面の半径と略同一に設定される。よって、基盤部材６２４を仕切部材６２２の背面へ配設する際には、基盤部材６２４を仕切部材６２２の凹部６２２ｃ１の内側に挿入することで、基盤部材６２４が左右方向に位置ずれすることを抑制できる。
【０３９５】
ＬＥＤ６２４ａは、基盤部材６２４の左右両側面に複数個配設され、その照射方向が、基盤部材６２４の側面に対して垂直とされる。即ち、ＬＥＤ６２４ａの光の照射方向は、左右方向とされる。なお、ＬＥＤ６２４ａの光の照射について詳しい説明は後述する。
【０３９６】
反射部材６２５は、その基盤部材６２４の左右両側に１つずつ配設される。反射部材６２５は、白色の樹脂材料から形成され、正面側に凸の円弧形状に形成される。また、反射部材６２５の円弧の半径は、拡散部材６２３の内周面の半径と略同一に設定される。これにより、反射部材６２５を拡散部材６２３の背面側に配設した際に、反射部材６２５と拡散部材６２３とを接地した状態とできる。
【０３９７】
反射部材６２５は、背面側から正面側に向かって、基盤部材６２４と左右方向に離間する板状体に形成され、その背面側から正面側に向かって傾斜した傾斜部６２５ａと、その傾斜部６２５ａの正面側に上下方向に並んで複数個凹設形成される凹部６２５ｂと、その凹部６２５ｂの上端部，下端部および中間部に正面側に向かって突出形成される壁部６２５ｃとを主に備えて形成される。
【０３９８】
傾斜部６２５ａの正面側は、基盤部材６２４のＬＥＤ６２４ａの光を正面側に反射する反射面６２５ａ１であり、基盤部材６２４の側面に対して略６０度傾斜して形成される。上述したように、ＬＥＤ６２４ａの光の照射方向は、基盤部材６２４の側面に対して垂直とされるので、反射面６２５ａ１が、基盤部材６２４の側面に対して傾斜して形成されることで、ＬＥＤ６２４ａから照射される光を正面側に反射させることができる。なお、ＬＥＤ６２４ａの光の進む態様は後述する。
【０３９９】
凹部６２５ｂは、背面側に凸の湾曲形状に凹設して形成される。また、凹部６２５ｂは、基盤部材６２４のＬＥＤ６２４ａと対応する位置に形成されており、これにより、拡散部材６２３を介して遊技者に視認させるＬＥＤ６２４ａの光の量を均一にできる。その結果、遊技者の興趣が低下することを抑制できる。
【０４００】
次いで、図４５を参照して、第２セグユニット６２０のＬＥＤ６２４ａから照射される光の進行について詳しく説明する。図４５は、図４２（ａ）のＸＬＶ−ＸＬＶ線における第２セグユニット６２０の断面図である。なお、図４５では、ＬＥＤ６２４ａから照射される光の態様が一部が２点鎖線で図示される。また、第２セグユニット６２０の左右の背面側に配設される装飾図柄表示装置８００の外形が２点鎖線で図示される。
【０４０１】
図４５に示すように、反射面６２５ａ１は、基盤部材６２４の側面に対して鈍角に傾斜して形成される（即ち、ＬＥＤ６２４ａから照射された光と反射面６２５ａ１とが鋭角に交わる）ので、光の反射方向を外側にできる。この場合、反射部材６２５は、厚みが略一定の板部材から形成されるので、反射面６２５ａ１の反対側（反射部材６２５の背面側）のスペースを大きくできる。これにより、第２セグユニット６２０の背面側に装飾図柄表示装置８００の端部を配置することができる。
【０４０２】
ここで、回転可能に形成されると共に複数が所定間隔を隔てて並設される回動（装飾図柄表示装置８００）と、それら複数の回胴どうしの間に沿って配設されると共に少なくとも一部が光透過性を有する装飾部材（光透過部材６２１）と、装飾部材の背面側に配設されると共に複数の発光手段（ＬＥＤ６２４ａ）が搭載される基板（基盤部材６２４）とを備え、発光手段が搭載される面を装飾部材の背面に略直交させた姿勢で基板が配設される遊技機が知られている。この遊技機によれば、回胴どうしの間の空間を装飾部材により遊技者から遮蔽できるだけでなく、装飾部材を透過した発光手段の光により装飾部材の表面に図柄を形成（表示）して、かかる装飾部材の図柄を、回胴の外周面に表示される図柄と一体的に遊技者に視認させる演出を行うことができる。
【０４０３】
しかしながら、上述した従来の遊技機では、発光手段が搭載される面を装飾部材の背面に直交させた姿勢で基板が配設されるので、発光手段から発光された光を装飾部材の背面に十分に照射することができず、発光手段の光により形成（表示）される図柄を十分に大きくすることができない。そのため、演出効果が不十分であるという問題点があった。一方、発光手段の光により形成（表示）される図柄は小さいまま、装飾部材（図柄を除く領域）を大きくしたのでは、装飾部材と回胴との一体感が阻害される。
【０４０４】
これに対し、本実施形態によれば、ＬＥＤ６２４ａから発光された光を光透過部材６２１の背面へ反射させる反射部材６２５を備えるので、ＬＥＤ６２４ａが搭載される面を光透過部材６２１の背面に直交させた姿勢が基盤部材６２４が配設される場合であっても、ＬＥＤ６２４ａから発光された光による光透過部材６２１の背面への照射範囲を広くすることができる。よって、その分、ＬＥＤ６２４ａの光により形成（表示）される図柄を大きくでき、演出効果を高めることができる。また、ＬＥＤ６２４ａの光により形成（表示）される図柄を大きくできる分、図柄を除く領域を小さくできるので、光透過部材６２１と装飾図柄表示装置８００との一体感を形成できる。
【０４０５】
また、光透過部材６２１は、図４５に示すように、装飾図柄表示装置８００の外周面よりも正面側に位置すると共に、正面視において、装飾図柄表示装置８００の外周面に重なる位置まで外縁を延出させて形成されるので、装飾図柄表示装置８００の軸方向端面を遊技者から遮蔽しやすく（視認させ難く）できる。また、ＬＥＤ６２４ａから発光された光により形成（表示）される光透過部材６２１の図柄と、装飾図柄表示装置８００の外周面に表示される図柄とをより近接させることができるので、光透過部材６２１と装飾図柄表示装置８００との一体感を形成しやすくできる。
【０４０６】
さらに、反射部材６２５は、基盤部材６２４におけるＬＥＤ６２４ａが搭載される面と光透過部材６２１の背面とを連結することで、基盤部材６２４におけるＬＥＤ６２４ａが搭載される領域と光透過部材６２１における図柄が形成される領域とを取り囲み、反射部材６２５の背面が、光透過部材６２１から基盤部材６２４へ向かうに従って装飾図柄表示装置８００の軸方向端面から離間する方向へ傾斜されるので、ＬＥＤ６２４ａから発光された光により形成（表示）される図柄の大きさを確保しつつ、光透過部材６２１の背面を装飾図柄表示装置８００の外周面に近接させ、且つ、装飾図柄表示装置８００を光透過部材６２１の背面の奥側へ入り込ませる（装飾図柄表示装置８００を基盤部材６２４へ近接させる）ことができる。その結果、装飾図柄表示装置８００の軸方向端面を遊技者から遮蔽しやすく（視認させ難く）できると共に、光透過部材６２１と装飾図柄表示装置８００との一体感を形成しやすくできる。
【０４０７】
また、基盤部材６２４の一側の面および他側の面の両面に前記ＬＥＤ６２４ａが搭載されるので、一側の面に搭載されるＬＥＤ６２４ａから発光される光と、他側の面に搭載されるＬＥＤ６２４ａから発光される光とのそれぞれによって異なる図柄を光透過部材６２１に独立して形成（表示）することができる。
【０４０８】
この場合、並設される装飾図柄表示装置８００どうしの間に配設される基盤部材６２４の枚数を１枚とできる。よって、基盤部材６２４の配設に必要なスペースを抑制できるので、その分、装飾図柄表示装置８００を光透過部材６２１の背面の奥側へ入り込ませる（装飾図柄表示装置８００を基盤部材６２４へ近接させる）ことができる。その結果、装飾図柄表示装置８００の軸方向端面を遊技者から遮蔽しやすく（視認させ難く）できると共に、光透過部材６２１と装飾図柄表示装置８００との一体感を形成しやすくできる。
【０４０９】
さらに、上述したように、反射面６２５ａ１は、基盤部材６２４の側面に対して鈍角に傾斜して形成される（即ち、ＬＥＤ６２４ａから照射された光と反射面６２５ａ１とが鋭角に交わる）ので、光の反射方向を外側にできる。これにより、（反射面６２５ａ１を、基盤部材６２４の側面に対して鋭角に傾斜させた場合よりも）反射部材６２５を小さくすることができる。よって、その分、第２セグユニット６２０の背面側のスペースを確保することができる。その結果、第２セグユニット６２０と装飾図柄表示装置８００とを近くに配置することができるので、その分、光透過部材６２１と装飾図柄表示装置８００との一体感を形成しやすくできる。
【０４１０】
次いで、図４６及び図４７を参照して、ＬＥＤ６２４ａと凹部６２５ｂとの関係について説明する。図４６は、基盤部材６２４の側面図である。図４７は、図４２（ａ）のＸＬＶＩＩ−ＸＬＶＩＩ線における第２セグユニット６２０の断面図である。
【０４１１】
図４６に示すように、ＬＥＤ６２４ａは、側面視四角状に形成され、四角の全域から光を照射可能とされる。ＬＥＤ６２４ａは、基盤部材６２４の正面側の湾曲軸と略同一の軸を中心に周方向に傾斜角θ１の間隔で離間されて配置される。これにより、ＬＥＤ６２４ａの照射による基盤部材６２４に蓄熱される熱を分散することができる。その結果、基盤部材６２４が部分的に熱が高くなりＬＥＤ６２４ａが破損することを抑制できる。
【０４１２】
なお、本実施形態では、ＬＥＤ６２４ａは、周方向に８個分散配置される。また、ＬＥＤ６２４ａは、正方形に形成された発光面の一辺を基盤部材６２４の湾曲形状における接線方向に沿わせる向きで配設される。
【０４１３】
ここで、従来より複数の発光手段（ＬＥＤ６２４ａ）が搭載される基板（基盤部材６２４）と、発光手段から発光された光を透過させる透過部材（光透過部材６２１）とを備え、透過部材（光透過部材６２１の光透過部６２１ａ）が湾曲して形成されると共に、複数の発光手段が透過部材の湾曲に沿って配列される遊技機が知られている。この場合、複数の発光手段は、透過部材の正面視において等間隔となるように配列される。即ち、複数の発光手段がなす湾曲線（弧）の両端を結ぶ線分（弦）の方向に沿って等間隔とされる。しかしながら、上述した遊技機では、複数の発光手段のうちの一部で隣接する発光手段との間隔が狭くされるため、発光手段が発する熱の分布に偏りが生じるという問題点があった。そのため、一部の発光手段に熱が集中して、寿命の低下を招きやすい。
【０４１４】
これに対し、本実施形態によれば、ＬＥＤ６２４ａが周方向略等間隔に配列されるので、各ＬＥＤ６２４ａにおいて隣接するＬＥＤ６２４ａとの間隔を一定とでき、ＬＥＤ６２４ａが発する熱の分布を均一化できる。その結果、一部のＬＥＤ６２４ａに熱が集中することを抑制して、各ＬＥＤ６２４ａの寿命の向上を図ることができる。
【０４１５】
図４７に示すように、凹部６２５ｂは、各ＬＥＤ６２４ａの背面側（図４７の右側）にひとつずつ形成される。また、１の凹部６２５ｂの上下方向の一端側（下側端部）から他端側（上側端部）までの離間距離Ｘ１は、それぞれ同一に設定される。
【０４１６】
ここで、上述したように、ＬＥＤ６２４ａは、周方向に傾斜角θ１の角度で等間隔に配設される。その為、各ＬＥＤ６２４ａの上下方向間隔は、上下方向（図４６上下方向）中央側が、上下方向外側に比べて狭くされる。従って、反射部材６２５により反射されて遊技者側に照射される光の量が、上下方向中央側に多くなってしまい（上下方向中央側が濃くなってしまい）、光を遊技者に均一に視認させることができないという問題点があった。
【０４１７】
言い変えると、光透過部６２１ａの湾曲に沿って等間隔（即ち、周方向等間隔）に複数のＬＥＤ６２４ａが配列されると、それら複数のＬＥＤ６２４ａは、光透過部６２１ａの正面視において不等間隔に配列されることとなる。即ち、光透過部６２１ａの正面視において、ＬＥＤ６２４ａどうしの間隔が狭い領域と広い領域とが形成される。そのため、複数のＬＥＤ６２４ａの配列方向に沿って光量の分布が不均一になる。
【０４１８】
これに対し、本実施形態では、ＬＥＤ６２４ａから発光された光を光透過部６２１ａへ向けて反射させる反射部材６２５を備え、反射部材６２５は、複数のＬＥＤ６２４ａに対応して区画される複数の凹部６２５ｂを備え、それら複数の凹部６２５ｂの光透過部６２１ａの正面視における区画幅が略同一に設定されるので、光透過部６２１ａの正面視において視認される各凹部６２５ｂの光量を略同一とできる。その結果、複数のＬＥＤ６２４ａの配列方向に沿う光量の分布を均一化できる。
【０４１９】
即ち、１の凹部６２５ｂの上下方向の一端側（下側端部）から他端側（上側端部）までの離間距離Ｘ１は、それぞれ同一に設定されるので、１のＬＥＤ６２４ａの照射により遊技者側に出射する光の領域を上下方向に略同一とすることができる。従って、遊技者側に照射される光の量が、上下方向中央側に多くなることを抑制できる。その結果、光を遊技者に均一に視認させることができる。
【０４２０】
また、ＬＥＤ６２４ａの発光面が正面視矩形状（正方形）に形成されるので、例えば、発光面が円形状とされる場合と比較して、光の拡散性を確保できる（光をより広角に発光できる）ので、１の凹部６２５ｂにおいて光量の分布を均一化できる。
【０４２１】
なお、発光面とは、ＬＥＤチップを封入する封入樹脂の正面を意味する。よって、発光面が正面視矩形状とは、封入樹脂の正面視形状（封入樹脂を取り囲むリフレクターの内部空間の正面視形状）が矩形状であることを意味する。
【０４２２】
さらに、複数のＬＥＤ６２４ａの少なくとも一部は、発光面の一辺を光透過部６２１ａの湾曲形状における接線方向に沿わせる向きで配設されるので、そのＬＥＤ６２４ａから発光された光を、光透過部６２１ａの湾曲に沿って均一に拡散させやすくできる。その結果、光透過部６２１ａを透過して視認される光量の分布を均一化できる。
【０４２３】
また、凹部６２５ｂが光透過部６２１ａの背面に対面されると共に光透過部６２１ａの背面から離間する側に凹む湾曲面として形成され、ＬＥＤ６２４ａの発光面が光透過部６２１ａと凹部６２５ｂとの対向間を臨むので、光透過部６２１ａに対して基盤部材６２４を直交する姿勢で配設できる。即ち、光透過部６２１ａ、基盤部材６２４および反射部材６２５からなるユニットの配設の自由度を高めることができる。この場合、ＬＥＤ６２４ａの発光面から発光された光の周囲をその光の進行方向と直交する方向から取り囲む態様で凹部６２５ｂが配置されるので、凹部６２５ｂに反射された光を光透過部６２１ａの背面へ均一に入射させることができる。その結果、光透過部６２１ａを透過して視認される光量の分布を均一化できる。
【０４２４】
次いで、図４８を参照して、ＬＥＤ６２４ａにより照射される光の態様について説明する。図４８は、上下変位ユニット６００Ｌの正面図である。なお、図４８では、ＬＥＤ６２４ａにより照射された光が、２点鎖線で図示されると共に、照射領域ＳＲ１の符号を付して図示される。
【０４２５】
図４８に示すように、ＬＥＤ６２４ａから光を出射することで、第１セグユニット６１０には、上下方向（図４８上下方向）に並んだ２つの照射領域ＳＲ１から光が照射される。また、第２セグユニット６２０には、上下左右に２×２で並んだ照射領域ＳＲ１から光が照射される。なお、第２セグユニット６２０の照射領域ＳＲ１は、光透過部材６２１の装飾部６２１ａ３を挟んだ左右に形成される。
【０４２６】
よって、第１セグユニット６１０の照射領域ＳＲ１と第２セグユニット６２０の照射領域ＳＲ１の左側とにより、７セグメント表示による数字の左右両側を表示することができる。なお、７セグメント表示による数字の上下及び中央については、後述する。
【０４２７】
次いで、図４９及び図５０を参照して、変位ユニット６５０の構成について説明する。図４９は、上下変位ユニット６００Ｌの分解斜視正面図であり、図５０は、上下変位ユニット６００Ｌの分解斜視背面図である。なお、図４９及び図５０では、上下変位ユニット６００Ｌの変位ユニット６５０を分解した状態が図示される。
【０４２８】
図４９及び図５０に示すように、変位ユニット６５０は、左右一対に配設されるベース部材６６０と、そのベース部材６６０に軸支されて回転変位する変位部材６７０と、ベース部材６６０に配設される駆動モータＫＭ３の回転駆動を変位部材６７０に伝達する駆動手段６８０とを主に備えて形成される。
【０４２９】
ベース部材６６０は、中央に上述した装飾図柄表示装置８００よりも大きい空間を備える形状の左右で一対の板部材から形成される。また、正面視左側のベース部材６６０には、正面側に第１セグユニット６１０が配設され、正面視右側のベース部材６６０には、正面側に第２セグユニット６２０が配設される。なお、ベース部材６６０は、左右で上下左右反対に配置されており、本実施形態では、正面視左側のベース部材６６０のみを説明して、正面視左側のベース部材６６０についての説明を省略する。
【０４３０】
ベース部材６６０は、側面視上下方向に長い矩形状に形成されると共に、その正面側の側面から正面側に凸状に湾曲して突出する突出部６６１を備える。また、ベース部材６６０は、上下方向の一端（上側端部）に配設される駆動モータＫＭ３の軸を挿通する貫通孔６６２と、上下方向の両端（下側端部）に配設される連結棒６８１を挿通する挿通孔６６３と、後述する変位部材６７０が軸支される凹部６６４と、その凹部６６４の軸を中心とする円弧状に開口形成される摺動溝６６５と、凹部６６４の上下に会場に突出する係合部６６６とを主に備えて形成される。
【０４３１】
突出部６６１は、その突出先端の半径が上述した反射部材６２５の内周面における半径よりも小さく設定されると共に、その湾曲軸が反射部材６２５の湾曲軸と略同一直線上に設定される。よって、ベース部材６６０に、第１セグユニット６１０及び第２セグユニット６２０を配設した際に、突出部６６１と反射部材６２５とが当接することを抑制できると共に、基盤部材６２４の熱が、対向するベース部材６６０の対向間に侵入することを抑制できる。その結果、対向するベース部材６６０の内側に配設される装飾図柄表示装置８００の温度が上がり、内リールユニット８１０及び外リールユニット８２０を回転駆動させる駆動モータＫＭ１，ＫＭ２が壊れることを抑制できる。
【０４３２】
貫通孔６６２は、駆動モータＫＭ３の軸およびその軸に連結されるギヤ６８２を挿通する孔であり、その内径が、ギヤ６８２の外形よりも大きく形成されると共に、駆動モータＫＭ３の本体よりも小さく設定される。よって、駆動モータＫＭ３にギヤ６８２を連結した状態で、駆動モータＫＭ３をベース部材６６０に配設できる。なお、駆動モータＫＭ３は、対向配置されるベース部材６６０の対向間側からベース部材６６０に取着される。
【０４３３】
貫通孔６６２は、後述する駆動手段６８０のの連結棒６８１を挿入する孔であり、連結棒６８１の外形よりも大きく形成されると共に、ベース部材６６０の上下両端に形成される。
【０４３４】
凹部６６４は、ベース部材６６０の対向間側から外側に向かって円形状に凹設して形成される。凹部６６４は、後述する変位部材６７０の連結突起６７１ｂの外径よりもやや大きく形成される。これにより、連結突起６７１ｂを凹部６６４の内側に挿入して配設できる。
【０４３５】
摺動溝６６５は、変位部材６７０の連結突起６７１ｂを挿入することで、変位部材６７０と一対のベース部材６６０の外側に配設される駆動手段６８０とを連結できる。また、摺動溝６６５に連結突起６７１ｂが挿入された状態とされることで、変位部材６７０の変位を案内できる。よって、変位部材６７０の変位をスムーズに行うことができる。
【０４３６】
係合部６６６は、ベース部材６６０の対向側に、その先端がベース部材６６０の対向する側面と後述するねじりバネＳＰ１の一端の直径よりも大きい隙間を備えて形成される。これにより、ねじりバネＳＰ１の一端を係合部６６６と係合させることができる。
【０４３７】
変位部材６７０は、上下一対に反対向きで配設される。変位部材６７０は、一端がベース部材６６０に軸支される延設部材６７１と、その延設部材６７１の他端側に連結される装飾ユニット６７２とから形成される。
【０４３８】
延設部材６７１は、略Ｌ字状の板状に形成されると共に、左右反対向きで一対配設される。延設部材６７１は、長手側の一端に左右方向に貫通する軸支孔６７１ａと、長手側の長方向略中央位置に左右外側に突出する連結突起６７１ｂと、長手側の側面から軸支孔６７１ａの周方向に突出する突起６７１ｄと、弾性材料からなり延設部材６７１の側面に配設される弾性部材６７１ｆとを主に備えて形成される。
【０４３９】
軸支孔６７１ａは、内側にカラーＣを挿入する孔であり、その内径がカラーＣの外径よりも大きく形成される。よって、軸支孔６７１ａにカラーＣを挿入すると共に、カラーＣをベース部材６６０の凹部６６４の内側にねじで締結固定することで、変位部材６７０をベース部材６６０に対して回転可能な状態で連結できる。
【０４４０】
また、一対の変位部材６７０の軸支孔６７１ａを同軸上に配設して、カラーＣを一対の変位部材６７０の軸支孔６７１ａに挿通してベース部材６６０に締結固定することで、上下の変位部材６７０が同軸上を回転可能に配置される。
【０４４１】
さらに、左右の延設部材６７１は、一方の軸支孔６７１ａの周囲に左右方向外側に膨出する膨出部６７１ａ１が形成される。膨出部６７１ａ１は、その外径がベース部材６６０の凹部６６４の内径よりもやや小さく形成される。また、膨出部６７１ａ１は、一対の変位部材６７０の左右外側に配置される。
【０４４２】
即ち、本実施形態では、上側に配置される変位部材６７０の右側の軸支孔６７１ａに膨出部６７１ａ１が形成されるので、下側に配置される変位部材６７０の右側の軸支孔６７１ａが、膨出部６７１ａ１の内側に配置された状態とされる。一方、左側の軸支孔６７１ａは、下側に配置される変位部材６７０の左側の軸支孔６７１ａに膨出部６７１ａ１が形成されるので、上側に配置される変位部材６７０の左側の軸支孔６７１ａが、膨出部６７１ａ１の内側に配置された状態とされる（図４９参照）。
【０４４３】
これにより、カラーＣにより、変位部材６７０をベース部材６６０に配設する際に、凹部６６４の内部に膨出部６７１ａ１を挿入できる。その結果、変位部材６７０の軸支孔６７１ａの軸の径方向に力が作用した際に、膨出部６７１ａ１の外周面と凹部６６４の内周面とが当接することで、軸支孔６７１ａ又はカラーＣが破損することを抑制できる。
【０４４４】
即ち、本実施形態では、一対に配設される変位部材６７０は、ベース部材６６０に同軸上に配設されるので、その分、カラーＣの軸方向長さが長くされる。よって、変位部材６７０の回転軸に対して径方向に力が作用した際に、回転軸に力が大きく作用しやすくなる。その為、軸支孔６７１ａ又は、カラーＣが破損しやすくなるところ、かかる膨出部６７１ａ１と凹部６６４とが当接することにより、変位部材６７０の回転軸に対して径方向に作用する力を保持することができる。その結果、軸支孔６７１ａ又はカラーＣが破損することを抑制できる。
【０４４５】
突起６７１ｄには、延設部材６７１の長手側の長手方向に貫通する貫通孔６７１ｄ１が形成される。貫通孔６７１ｄ１は、後述するねじりバネＳＰ１，ＳＰ２を内部に挿通させる孔であり、ねじりバネＳＰ１，ＳＰ２の外径よりも大きく形成される。
【０４４６】
弾性部材６７１ｆは、後述する上下一対に配設される変位部材６７０の互いに近づく方向側の延設部材６７１の側面に配設される。また、上下の延設部材６７１が互いに近接する位置に配設された際に、互いの弾性部材６７１ｆの側面が当接する大きさに設定される。これにより、上下一対の変位部材６７０が近接する位置に変位された際の衝撃を吸収することができる。
【０４４７】
駆動手段６８０は、駆動モータＫＭ３の動力を変位部材６７０に伝達する手段である。駆動手段６８０は、駆動モータＫＭ３の軸に連結されるギヤ６８２と、そのギヤ６８２に歯合する大径ギヤ６８３と、棒状体に形成され一端が大径ギヤ６８３の側面に連結され、他端が変位部材６７０に連結される第１リンク部材６８４と、ベース部材６６０を間に介して反対側に動力を伝達する連結棒６８１と、その連結棒６８１に連結されて回転するカム部材６８５と、棒状体に形成され一端がカム部材６８５に回転可能に連結され、他端が変位部材６７０に連結される第２リンク部材６８６とを主に備えて形成される。
【０４４８】
ギヤ６８２は、上述したように駆動モータＫＭ３の軸に連結され、駆動モータＫＭ３の回転により回転される。
【０４４９】
大径ギヤ６８３は、側面視円形状に形成されると共に、ギヤ６８２と歯合する歯面に形成されるギヤ面６８３ａと、その回転軸方向の側面に円環状に突出する突起６８３ｂとを備えて形成される。大径ギヤ６８３は、ギヤ面６８３ａがギヤ６８２と歯合されるので、ギヤ６８２が回転されることで回転される。即ち、駆動モータＫＭ３が回転駆動されることで回転される。
【０４５０】
突起６８３ｂは、円環状に突出形成され、その軸が、大径ギヤ６８３の回転軸と異なる位置に配置される。よって、突起６８３ｂは、大径ギヤ６８３が回転変位されると、その回転軸を中心とする円上を回転変位する。
【０４５１】
第１リンク部材６８４は、棒状体に形成されると共に、その両端に左右方向に貫通形成される挿通孔６８４ａ，６８４ｂが形成される。
【０４５２】
挿通孔６８４ａは、大径ギヤ６８３の突起６８３ｂが挿入される孔であり、突起６８３ｂの外径よりも大きい内径に形成される。挿通孔６８４ａに突起６８３ｂが挿入され、突起６８３ｂの先端が挿通孔６８４ａの内径よりも頭の外径が大きいねじで締結されることで、第１リンク部材６８４を大径ギヤ６８３に回転可能な状態で連結できる。
【０４５３】
挿通孔６８４ｂは、変位部材６７０の連結突起６７１ｂが挿入される孔であり、連結突起６７１ｂの外径よりも大きい内径に形成される。挿通孔６８４ｂに連結突起６７１ｂが挿入され、連結突起６７１ｂの先端が挿通孔６８４ｂの内径よりも頭の外径が大きいねじで締結されることで、第１リンク部材６８４を変位部材６７０に回転可能な状態で連結できる。
【０４５４】
よって、ギヤ６８２を介して大径ギヤ６８３が回転されると、その大径ギヤ６８３の回転変位に伴って、突起６８３ｂが大径ギヤ６８３の回転軸を中心に回転変位され、その突起６８３ｂに一端が連結される第１リンク部材６８４が変位して、第１リンク部材６８４の他端に連結される変位部材６７０が変位される。
【０４５５】
連結棒６８１は、一端が正面視左側に配設されるベース部材６６０の挿通孔６６３に挿通されると共に、大径ギヤ６８３の回転軸部分に内嵌される。一方、連結棒６８１の他端は、カム部材６８５に連結される。よって、駆動モータＫＭ３の回転駆動により、連結棒６８１が回転してカム部材６８５が回転される。
【０４５６】
カム部材６８５は、側面視円形状に形成され、その軸部分に連結棒６８１が内嵌される。また、カム部材６８５は、その軸方向の側面から外側に円環状に突出する突起６８５ａを備える。突起６８５ａは、円環状に突出形成され、その軸が、カム部材６８５の回転軸と異なる位置に配置される。よって、突起６８５ａは、カム部材６８５が回転変位されると、その回転軸を中心とする円上を回転変位する。
【０４５７】
第２リンク部材６８６は、第１リンク部材６８４と左右反転した形状と同形状に形成される。第２リンク部材６８６は、その長手方向の両端に挿通孔６８６ａ，６８６ｂを備える。
【０４５８】
挿通孔６８６ａは、カム部材６８５の突起６８５ａが挿入される孔であり、突起６８５ａの外径よりも大きい内径に形成される。挿通孔６８６ａに突起６８５ａが挿入され、突起６８５ａの先端が挿通孔６８６ａの内径よりも頭の外径が大きいねじで締結されることで、第２リンク部材６８６をカム部材６８５に回転可能な状態で連結できる。
【０４５９】
挿通孔６８６ｂは、変位部材６７０の連結突起６７１ｂが挿入される孔であり、連結突起６７１ｂの外径よりも大きい内径に形成される。挿通孔６８６ｂに連結突起６７１ｂが挿入され、連結突起６７１ｂの先端が挿通孔６８４ｂの内径よりも頭の外径が大きいねじで締結されることで、第２リンク部材６８６を変位部材６７０に回転可能な状態で連結できる。
【０４６０】
よって、連結棒６８１を介してカム部材６８５が回転されると、そのカム部材６８５の回転変位に伴って、突起６８５ａがカム部材６８５の回転軸を中心に回転変位され、その突起６８５ａに一端が連結される第２リンク部材６８６が変位して、第２リンク部材６８６の他端に連結される変位部材６７０が変位される。
【０４６１】
即ち、変位部材６７０、第１リンク部材６８４及び第２リンク部材６８６が変位することにより行われる。ここで、第１リンク部材６８４の動作と第２リンク部材６８６の動作とは、連結棒６８１を介して同期されるので、変位部材６７０が変位する際に傾くことを抑制できる。その結果、変位部材６７０をスムーズに変位させることができる。
【０４６２】
次いで、図５１から図５３を参照して、変位部材６７０の詳細な説明をする。図５１（ａ）は、変位部材６７０の正面図であり、図５１（ｂ）は、変位部材６７０の側面図である。図５２は、変位部材６７０の分解斜視正面図である。図５３は、５１（ａ）のＬＩＩＩ−ＬＩＩＩ線における変位部材６７０の断面図である。
【０４６３】
変位部材６７０は、上述したように、ベース部材６６０に回転可能に軸支される延設部材６７１と、その延設部材６７１に連結される装飾ユニット６７２とを備えて形成される。
【０４６４】
図５１から図５３に示すように、延設部材６７１は、短手側（装飾ユニット６７２の連結側）に板状に形成される連結部６７１ｃを備える。左右一対に配設される延設部材６７１の互いの連結部６７１ｃが対向する面には、部分的に階段状に突出する段部６７１ｃ１が形成される。段部６７１ｃ１は、左右で互い違いに形成され、互いの段部６７１ｃ１が所定の隙間を隔てて噛み合った状態とされる。これにより、延設部材６７１を型成形した際に寸法誤差を吸収できる。
【０４６５】
装飾ユニット６７２は、内部に光を照射するＬＥＤを備え、遊技者側に光を照射するユニットである。装飾ユニット６７２は、背面側に配設される背面カバー６７３と、その背面カバー６７３を覆設して背面カバー６７３の正面側に配設される正面カバー６７６と、背面カバー６７３と正面カバー６７６との対向間に配設される基盤部材６７４と、基盤部材６７４と正面カバー６７６との間に配設される拡散部材６７５及びレンズ部材６７７とを主に備えて形成される。
【０４６６】
背面カバー６７３は、正面視横長矩形の板状体に形成され、背面側に延設部材６７１の連結部６７１ｃが締結される。これにより、装飾ユニット６７２と延設部材６７１とを締結できる。
【０４６７】
また、背面カバー６７３は、光を透過しにくい（不透過の）樹脂材料から形成される。背面カバー６７３は、後述する拡散部材６７５と対向する位置に背面側に凹設して形成される反射部６７３ａを備える。
【０４６８】
反射部６７３ａは、背面カバー６７３の下縁部に左右方向に亘って形成され、その内面には、光の反射率の高い白色の塗装が施される。これにより、反射部６７３ａの内側に照射された光を反射部６７３ａの内部で反射させて拡散部材６７５側に照射することができる。
【０４６９】
正面カバー６７６は、正面視形状が背面カバー６７３の形状と略同一に形成され、背面カバー６７３の正面側を覆う態様で配設される。また、正面カバー６７６は、光を透過可能な樹脂材料から形成され、後述する第１ＬＥＤ６７４ａ及び第２ＬＥＤから出射される光を正面側（遊技者側）に出射できる。
【０４７０】
基盤部材６７４は、正面視において背面カバー６７３よりも小さい横長矩形の板状体に形成される。基盤部材６７４の正面側には、下縁部に左右方向並んで配設され、拡散部材６７５側に光を照射する第１ＬＥＤ６７４ａと、その第１ＬＥＤ６７４ａよりも上方に配設され、レンズ部材６７７に光を照射する第２ＬＥＤ６７４ｂとを主に備えて形成される。
【０４７１】
第１ＬＥＤ６７４ａは、拡散部材６７５の上端部と対向する位置に配設されると共に、基盤部材６７４の下方向に光を照射可能に配設される。これにより、第１ＬＥＤ６７４ａから照射される光が、後述するレンズ部材６７７に入射することを抑制できる。その結果、遊技者が拡散部材６７５を介して正面側に出射される光と、レンズ部材６７７を介して正面側に出射される光とを区別しやすくなり、遊技者の興趣が損なわれることを抑制できる。
【０４７２】
第２ＬＥＤ６７４ｂは、第１ＬＥＤ６７４ａの上部に配設される。よって、拡散部材６７５の上部に配設されるレンズ部材６７７に第２ＬＥＤ６７４ｂの光を入射させることができる。
【０４７３】
拡散部材６７５は、正面視横長矩形の板状体から形成され、正面カバー６７６の背面側下端部に配設される。拡散部材６７５は、内部に入射された光を拡散可能な白濁色の樹脂材料で形成される。これにより、第１ＬＥＤ６７４ａから出射され、拡散部材６７５に入射された光を拡散して全体に光を均一化して正面側（遊技者側）に出射できる。
【０４７４】
レンズ部材６７７は、正面視横長矩形の板状体から形成され、正面カバー６７６の背面側上端部に配設される。レンズ部材６７７は、透明の樹脂材料から形成されると共に、背面側に複数の突起が形成される（図示せず）。これにより、第２ＬＥＤ６７４ｂから出射される光を背面側の突起により内部に入射させやすくできる。その結果、第２ＬＥＤ６７４ｂから出射される光の量を少なくしても、レンズ部材６７７に光を入射させることができ、正面カバー６７６の正面側（遊技者側）に光を出射させることができる。
【０４７５】
次いで、図５４を参照して、第１ＬＥＤ６７４ａにより正面カバー６７６の正面側（遊技者側）に出射される光の態様について説明する。図５４は、変位部材６７０の正面図である。なお、図５４では、第１ＬＥＤ６７４ａにより遊技者側に出射される光の領域が２点鎖線で図示されると共に、照射領域ＳＲ２の符号を付して図示される。
【０４７６】
図５４に示すように、第１ＬＥＤ６７４ａにより、遊技者側に出射される光の領域は、装飾ユニット６７２（正面カバー６７６）の下端部に左右方向に長い矩形状とされる。変位部材６７０は、上下変位ユニット６００Ｌの上下両端に配設されるので、変位部材６７０により、上下方向に所定の距離離間する位置に照射領域ＳＲ２が形成される。よって、上下一対の変位部材６７０の照射領域ＳＲ２により、７セグメント表示による数字の上下の表示をすることができる。
【０４７７】
次いで、図５５及び図５６を参照して、セグメント表示装置６００及び装飾図柄表示装置８００により表示される７セグメント表示について説明する。図５５は、セグメント表示装置６００及び装飾図柄表示装置８００の正面図である。図５６は、セグメント表示装置６００及び装飾図柄表示装置８００の模式図である。なお、図５５及び図５６では、外リール８２１の透過領域８２１ｂ１を遊技者側に回転させた状状態が図示されると共に、照射領域ＳＲ１、照射領域ＳＲ２及び透過領域８２１ｂ１が２点鎖線で図示される。
【０４７８】
図５５に示すように、セグメント表示装置６００の第１セグユニット６１０及び第２セグユニット６２０により形成される照射領域ＳＲ１は、上下方向に２つ並んで形成されると共に、左右方向に６本並んだ状態とされる。
【０４７９】
照射領域ＳＲ１は、装飾図柄表示装置８００を間に挟む態様の４本で１組として形成されされ、その組が左右方向に３組並設される。１組の照射領域ＳＲ１の間には、上下に照射領域ＳＲ２が配置され、上下中間位置に透過領域８２１ｂ１が配置される。よって、７本の照射領域ＳＲ１，ＳＲ２及び透過領域８２１ｂ１により、７セグメント表示による数字を表示できる。
【０４８０】
上述したように、照射領域ＳＲ１の４本１組は、左右方向に３組並設されるので、それぞれの組で７セグメント表示が形成される。即ち、７セグメント表示は、左右方向に３つ並設された状態とされる。
【０４８１】
よって、左右方向に並設される７セグメント表示を、パチンコ機１０の大当たりの抽選の有効ラインとして、数字を表示させることができる（例えば、全ての７セグメント表示に「７」のセグメント表示をさせる。）これにより、上述した装飾図柄表示装置８００による大当たり表示だけでなく、７セグメント表示による大当たりの表示をすることができる。その結果、遊技者に複数の表示形態を視認させることができるので、遊技者の興趣を向上することができる。
【０４８２】
ここで、セグメント表示装置６００の第１セグユニット６１０及び第２セグユニット６２０の光透過部６２１ａは、正面側に凸形状に湾曲して形成されるので、遊技者に７セグメントの表示を視認させた際に、遊技者に近い上下方向中央部の表示が大きくなり、遊技者から遠い上下方向両端部の表示が小さくなる。その為、７セグメントによる数字の表示を綺麗に遊技者に視認させることができないという問題点があった。
【０４８３】
これに対し、本実施形態では、図５６に示すように、７セグメント表示を上下中央位置から上下の端部に向かうに従って、その左右方向の幅寸法が順次大きく形成される。これにより、上下の端部と上下中央位置での７セグメントによる表示を、全体で均一化することができる。その結果、７セグメントによる数字の表示を綺麗に遊技者に視認させることができる。
【０４８４】
さらに、左右両側に形成される７セグメントの表示は、上下方向中央部分が左右方向中央側に傾斜して形成される。これにより、左右両側に形成される７セグメントの表示を遊技者に綺麗に視認させることができる。
【０４８５】
即ち、遊技者の視点は、通常パチンコ機１０の左右方向中央位置に位置される。また、セグメント表示装置６００は、パチンコ機１０の左右方向中央位置に配置される。その為、遊技者の視点は、中央に表示される７セグメントの正面に位置される。従って、遊技者の視点から左右に離間するほど、第１セグユニット６１０及び第２セグユニット６２０の光透過部６２１ａの湾曲形状により、７セグメント表示が湾曲する態様で遊技者に視認されるところ、７セグメント表示の上下方向中央部分が左右方向中央側に傾斜して形成されるので、遊技者の視点から７セグメント表示が湾曲する態様で視認されにくい。その結果、遊技者に７セグメントの表示を綺麗に視認させることができる。
【０４８６】
次いで、図５７から図６０を参照して、変位部材６７０の変位態様について説明する。図５７（ａ）からＧ０１（ｃ）は、上下変位ユニット６００Ｌの正面図である。図５８（ａ）、図５９（ａ）及び図６０（ａ）は、上下変位ユニット６００Ｌの側面図であり、図５８（ｂ）、図５９（ａ）及び図６０（ｂ）は、図５７（ａ）のＬＶＩＩＩｂ−ＬＶＩＩＩｂ線における上下変位ユニット６００Ｌの断面図である。
【０４８７】
なお、図５７（ａ）、図５８（ａ）、図５８（ｂ）では、変位部材６７０が退避状態に配置された状態が図示され、図５７（ｂ）、図５９（ａ）、図５９（ｂ）では、変位部材６７０が中間状態に配置された状態が図示され、図５７（ｃ）、図６０（ａ）、図６０（ｂ）では、変位部材６７０が張出状態に配置された状態が図示される。
【０４８８】
また、変位部材６７０の退避状態とは、上下一対に配設される変位部材６７０が互いに上下外側に離間した状態であり、変位部材６７０の張出状態とは、上下一対に配設される変位部材６７０が上下中間位置で当接した状態であり、変位部材６７０の中間状態とは、退避状態と張出状態との間に変位部材６７０が配置された状態である。
【０４８９】
図５７（ａ）及び図５８に示すように、変位部材６７０が退避状態とされる位置では、上下一対に配置されるうちの上方（図５７上方）に配置される変位部材６７０は、第１リンク部材６８４及び第２リンク部材６８６が上方に位置されることで、軸支孔６７１ａを回転軸として装飾ユニット６７２を上方に位置させた状態とされる。
【０４９０】
また、上方に配置される変位部材６７０の貫通孔６７１ｄ１に挿入されるねじりバネＳＰ１は、貫通孔６７１ｄ１との係合位置が、他端側（貫通孔６７１ｄ１に挿入される側）の基端部分とされる。よって、ねじりバネＳＰ１により作用される付勢力を大きくできる。その結果、変位部材６７０に装飾ユニット６７２を重力方向上側に配置した状態を維持させやすくできる。
【０４９１】
一方、上下一対に配置されるうちの下方（図５７下方）に配置される変位部材６７０は、第１リンク部材６８４及び第２リンク部材６８６が下方に位置されることで、軸支孔６７１ａを回転軸として装飾ユニット６７２を下方に位置させた状態とされる。
【０４９２】
また、下方に配置される変位部材６７０の貫通孔６７１ｄ１に挿入されるねじりバネＳＰ２は、貫通孔６７１ｄ１との係合位置が、他端側（貫通孔６７１ｄ１に挿入される側）の基端部分とされる。よって、ねじりバネＳＰ２により作用される付勢力を大きくできる。その結果、変位部材６７０に装飾ユニット６７２を重力方向上側に変位させやすくできる。
【０４９３】
退避状態では、上下一対の変位部材６７０の装飾ユニット７６２の対向間に開口が形成され、上下変位ユニット６００Ｌの内側に配置される装飾図柄表示装置８００を視認させることができる。なお、この場合、上述したように、装飾図柄表示装置８００の内リール８１１に装飾される図柄を上下方向に３つ遊技者側に表示させることができる。
【０４９４】
図５７（ａ）及び図５８に示す状態から、駆動モータＫＭ３に回転の駆動力が付与されると、大径ギヤ６８３及びカム部材６８５が回転される。これにより、第１リンク部材６８４及び第２リンク部材６８６が上下変位ユニット６００Ｌの上下方向略中央位置に変位される。従って、第１リンク部材６８４及び第２リンク部材６８６の挿通孔６８４ｂ，６８６ｂに連結される変位部材６７０が、軸支孔６７１ａを軸に回転変位され、図５７（ｂ）及び図５９に示す状態を介して、図５７（ｃ）及び図６０に示す状態まで変位される。
【０４９５】
図５７（ｂ）及び図５９に示すように、変位部材６７０を中間状態の位置に変位させた際には、上方に配置される変位部材６７０の貫通孔６７１ｄ１に挿入されるねじりバネＳＰ１の貫通孔６７１ｄ１との係合位置が、他端側（貫通孔６７１ｄ１に挿入される側）の中間位置とされる。よって、ねじりバネＳＰ１を変形させる分、ねじりバネＳＰ１の付勢力を増やすことができると共に、係合位置を変える分、ねじりバネＳＰ１の付勢力を退避状態の係合位置よりも小さくできる。
【０４９６】
また、下側に配置される変位部材６７０の貫通孔６７１ｄ１に挿入されるねじりバネＳＰ２ねじりバネＳＰ１と同様に、貫通孔６７１ｄ１との係合位置が、他端側（貫通孔６７１ｄ１に挿入される側）の中間位置とされる。よって、ねじりバネＳＰ２を変形させる分、ねじりバネＳＰ２の付勢力を小さくすることができると共に、係合位置を変える分、ねじりバネＳＰ１の付勢力を退避状態の係合位置よりも小さくできる。
【０４９７】
中間状態では、上下一対の変位部材６７０の装飾ユニット７６２の対向間に、退避状態よりも小さい開口が形成され、上下変位ユニット６００Ｌの内側に配置される装飾図柄表示装置８００を視認させることができる。なお、この場合、装飾図柄表示装置８００の内リール８１１に装飾される図柄を１つ遊技者側に表示させることができる。
【０４９８】
よって、内リール８１１に装飾される図柄を上下方向に３つ表示させる退避状態から、内リール８１１に装飾される図側を上下方向に１つ表示させる中間状態に変位部材６７０を変位させることで、その演出態様を複数形成でき遊技者の興趣を向上させることができる。また、内リール８１１に装飾される図側を上下方向に１つ表示させる態様とすることで、１つの図柄を遊技者に注目させることができる。よって、注目させたい部分を明確にすることができるので、遊技者に演出を視認させやすくできる。その結果、遊技者の興趣が低下することを抑制できる。
【０４９９】
図５７（ｃ）及び図６０に示すように、変位部材６７０を退避状態の位置に変位させた際には、上方に配置される変位部材６７０の貫通孔６７１ｄ１に挿入されるねじりバネＳＰ１の貫通孔６７１ｄ１との係合位置が、他端側（貫通孔６７１ｄ１に挿入される側）の先端位置とされる。よって、ねじりバネＳＰ１を変形させる分、ねじりバネＳＰ１の付勢力を増やすことができると共に、係合位置を変える分、ねじりバネＳＰ１の付勢を中間状態の係合位置よりも小さくできる。
【０５００】
また、下側に配置される変位部材６７０の貫通孔６７１ｄ１に挿入されるねじりバネＳＰ２もねじりバネＳＰ１と同様に、貫通孔６７１ｄ１との係合位置が、他端側（貫通孔６７１ｄ１に挿入される側）の先端位置とされる。よって、ねじりバネＳＰ２を変形させる分、ねじりバネＳＰ２の付勢力を増やすことができると共に、係合位置を変える分、ねじりバネＳＰ１の付勢力を中間状態の係合位置よりも小さくできる。
【０５０１】
即ち、ねじりバネＳＰ１，ＳＰ２の付勢力を変位部材６７０の変位に伴った非線形とできる。これにより、変位部材６７０の変位位置により、必要な付勢力をねじりバネＳＰ１，ＳＰ２から付与されやすくできる。その結果、駆動モータＫＭ３の駆動にかかるエネルギーを最小にすることができる。
【０５０２】
張出状態では、上下一対の変位部材６７０の装飾ユニット６７２が、上下変位ユニット６００Ｌの上下方向中間位置で当接される。この場合、装飾ユニット６７２は、装飾図柄表示装置８００の正面側に配置されており、遊技者側（正面側）から装飾図柄表示装置８００の表示を視認不能とできる。
【０５０３】
よって、変位部材６７０を張出状態として、内リールユニット８１０及び外リールユニット８２０を回転変位させ、その後に、変位部材６７０を中間状態または退避状態に変位させることで、遊技者に図柄が揃う（大当たりの抽選がされた）期待感を持たせやすくできる。その結果、遊技者の興趣を高めることができる。
【０５０４】
なお、上記実施形態では、上下一対に配置される変位部材６７０が、同じ量変位する場合を説明したが、これに限られるものではなく、２つ配設される駆動モータＫＭ３の一方を回転駆動させて、上下一対に配置される変位部材６７０を片側のみ、中間状態または張出状態の位置に変位させることもできる。
【０５０５】
また、上下一対に配設される変位部材６７０の最大変位量は、中間位置に設定されるものではなく、図６０に示す位置をこえて変位することができる。即ち、一対の変位部材６７０を当接した状態で上下に変位可能とされる。
【０５０６】
次いで、図６１から図６３を参照して、上下変位ユニット６００Ｌの動作について説明する。図６１から図６３は、上下変位ユニット６００Ｌの模式図である。なお、図６１から図６３では、変位部材６７０の遷移状態が順に図示される。
【０５０７】
なお、図６１から図６３では、上下変位ユニット６００Ｌの上側に配設される変位部材６７０及びその変位部材６７０を駆動する駆動手段の符号の末尾にＵを付与すると共に、上下変位ユニット６００Ｌの下側に配設され変位部材６７０及びその変位部材６７０を駆動する駆動手段の符号の末尾にＤの符号を付与して説明する。
【０５０８】
図６１に示すように、上下変位ユニット６００Ｌは、変位部材６７０の延設部材６７１が左右両側に配設される。一対の延設部材６７１は、駆動モータＫＭ３の駆動力が連結棒６８１を介して伝達される従動側と、駆動モータＫＭ３の駆動力が大径ギヤ６８３の突起６８３ｂにより伝達される駆動側とのどちらかにそれぞれ連結される。
【０５０９】
図６２に示すように、上下に配置される変位部材６７０が変位されると、互いの装飾ユニット６７２の側面を上下変位ユニット６００Ｌの上下中央位置で当接させた状態とされる。
【０５１０】
図６３に示すように、図６２に示す状態から変位部材６７０の両者を同方向に変位させることで、互いの装飾ユニット６７２の側面を当接させた状態で、上下方向に変位させることができる。
【０５１１】
ここで、対向配置され近接または離間する方向へそれぞれ変位可能に形成されると共に対向辺どうしを当接させた状態で同方向へ変位可能に形成された第１変位部材（装飾ユニット６７２Ｕ）および第２変位部材（装飾ユニット６７２Ｄ）を備えた遊技機が知られている。かかる遊技機によれば、第１変位部材および第２変位部材を対向辺どうしが当接する位置まで近接させることで、それら第１変位部材および第２変位部材の背面側に位置する対象物（例えば、液晶表示装置や演出部材）を遮蔽すると共に、第１変位部材および第２変位部材を互いに離間する方向へ変位させることで、その変位に伴って遮蔽を解除して、対象物を視認可能とする演出を行うことができる。また、対向辺どうしを当接させた状態で第１変位部材および第２変位部材を同方向へ変位（例えば、一方向および他方向へ往復変位）させることで、対象物の遮蔽を維持しつつ、その遮蔽の解除を行う前の演出（遮蔽の解除動作に着目させる演出）を行うこともできる。
【０５１２】
しかしながら、上述した従来の遊技機では、構成部材の寸法公差や組立公差に起因して、第１変位部材および第２変位部材の対向辺どうしを密着させることが困難であり、対向辺どうしの間に隙間が形成される恐れがあるという問題点があった。対向辺どうしの間に隙間が形成されると、その隙間を通して背面側の対象物を遊技者が視認可能となり、演出効果が阻害される。
【０５１３】
これに対し、本実施形態によれば、ベース部材６６０と、そのベース部材６６０に装飾ユニット６７２Ｕおよび装飾ユニット６７２Ｄをそれぞれ変位可能に支持する駆動手段６８０Ｕおよび駆動手段６８０Ｄを備え、駆動手段６８０Ｕの支持態様が装飾ユニット６７２Ｕの対向辺の一側へ偏倚され、装飾ユニット６７２Ｕの対向辺の一側に当接される装飾ユニット６７２Ｄの対向辺の他側とは反対側となる装飾ユニット６７２Ｄの対向辺の一側へ駆動手段６８０Ｄの支持態様が偏倚されるので、装飾ユニット６７２Ｕおよび装飾ユニット６７２Ｄの対向辺どうしを当接させた状態では、駆動手段６８０Ｕの支持態様と駆動手段６８０Ｄの支持態様とを互いに反対側（対向辺の一側および他側の中央を回転中心として１８０°回転させた側）へ偏倚させることができる。これにより、装飾ユニット６７２Ｕ及び装飾ユニット６７２Ｄの対向辺どうしを密着させやすくでき、対向辺どうしの間に隙間が形成されることを抑制できる（図６３参照）。
【０５１４】
本実施形態では、一側と他側（左右方向の両側）で、構成部材の配設数が異なるので、装飾ユニット６７２の左右に伝達される駆動力が異なり、駆動手段６８０Ｕ及び駆動手段６８０Ｄは、自分の剛性の高い側（低い側）を相手の剛性の低い側（高い側）に向か合せることができる。よって、装飾ユニット６７２Ｕおよび装飾ユニット６７２Ｄの対向辺どうしを当接させた状態では、駆動手段６８０Ｕおよび駆動手段６８０Ｄのそれぞれが、剛性の高い側では相手を押し込む（前進する）と共に、剛性の低い側では相手を受け入れる（後退する）状態を形成できる。その結果、装飾ユニット６７２Ｕおよび装飾ユニット６７２Ｄの対向辺どうしを密着させやすくでき、対向辺どうしの間に隙間が形成されることを抑制できる。
【０５１５】
駆動手段６８０Ｕは、駆動力を発生する駆動モータＫＭ３Ｕと、装飾ユニット６７２Ｕをベース部材に連結する一対の延設部材６７１Ｕと、それら一対の延設部材６７１Ｕへ駆動モータＫＭ３Ｕの駆動力をそれぞれ伝達すると共に互いに異なる構成とされる第１リンク部材６８４Ｕおよび第２リンク部材６８６Ｕとを備え、駆動手段６８０Ｄは、駆動力を発生する駆動モータＫＭ３Ｄと、装飾ユニット６７２Ｄをベース部材６６０に連結する一対の延設部材６７１Ｕと、それら一対の延設部材６７１Ｕへ駆動モータＫＭ３Ｕの駆動力をそれぞれ伝達すると共に互いに異なる構成とされる第２リンク部材６８６Ｄおよび第１リンク部材６８４Ｄとを備えるので、装飾ユニット６７２Ｕおよび装飾ユニット６７２Ｄの対向辺どうしを密着させやすくでき、対向辺どうしの間に隙間が形成されることを抑制できる。
【０５１６】
即ち、装飾ユニット６７２Ｕおよび装飾ユニット６７２Ｄの対向辺どうしを当接させた状態では、駆動手段６８０Ｕおよび駆動手段６８０Ｄのそれぞれが、例えば、駆動力の大きい側や駆動力の伝達タイミングが先の側では相手を押し込む（前進する）と共に、駆動力の小さい側や駆動力の伝達タイミングが後の側では相手を受け入れる（後退する）状態を形成できる。その結果、装飾ユニット６７２Ｕおよび装飾ユニット６７２Ｄの対向辺どうしを密着させやすくでき、対向辺どうしの間に隙間が形成されることを抑制できる。
【０５１７】
また、延設部材６７１Ｕおよび延設部材６７１Ｄは、互いに略同一の長さに形成されると共に、一端側が装飾ユニット６７２Ｕまたは装飾ユニット６７２Ｄに連結されると共に他端側がベース部材６６０に同軸上に回転可能に軸支されるので、装飾ユニット６７２Ｕおよび装飾ユニット６７２Ｄをそれらの対向辺どうしを当接させつつ同方向へ往復動作させる際に、支持態様の偏倚を利用する場合でも、対向辺どうしが当接された状態を維持しやすくできる。
【０５１８】
さらに、延設部材６７１Ｕまたは延設部材６７１Ｄには、ゴム状弾性材料から形成される弾性部材６７１ｆが配設され、装飾ユニット６７２Ｕおよび装飾ユニット６７２Ｄが対向辺どうしを当接させた状態では、弾性体が延設部材６７１Ｕおよび延設部材６７１Ｄの間に弾性的に圧縮された状態で介在されるので、装飾ユニット６７２Ｕおよび装飾ユニット６７２Ｄをそれらの対向辺どうしを当接させつつ同方向へ往復動作させる際に、支持態様の偏倚を利用する場合でも、対向辺どうしが当接された状態を維持しやすくできる。
【０５１９】
また、上述したように、駆動手段６８０Ｕは、駆動力を発生する駆動モータＫＭ３Ｕと、その駆動モータＫＭ３Ｕにより駆動されると共に装飾ユニット６７２Ｕをベース部材６６０に連結する一対の延設部材６７１Ｕと、それら一対の延設部材６７１Ｕへそれぞれ異なる付勢力を付与する２つのねじりバネＳＰ１とを備え、駆動手段６８０Ｄは、駆動力を発生する駆動モータＫＭ３Ｄと、その駆動モータＫＭ３Ｄにより駆動されると共に装飾ユニット６７２Ｄを前記ベース部材６６０に連結する一対の延設部材６７１Ｄと、それら一対の延設部材６７１Ｄへそれぞれ異なる付勢力を付与する２つのねじりバネＳＰ２とを備えるので、装飾ユニット６７２Ｕおよび装飾ユニット６７２Ｄの対向辺どうしを密着させやすくでき、対向辺どうしの間に隙間が形成されることを抑制できる。
【０５２０】
即ち、装飾ユニット６７２Ｕおよび装飾ユニット６７２Ｄの対向辺どうしを当接させた状態では、駆動手段６８０Ｕおよび駆動手段６８０Ｄのそれぞれが、例えば、付勢力の大きい側では相手を押し込む（前進する）と共に、付勢力の小さい側では相手を受け入れる（後退する）状態を形成できる。その結果、装飾ユニット６７２Ｕおよび装飾ユニット６７２Ｄの対向辺どうしを密着させやすくでき、対向辺どうしの間に隙間が形成されることを抑制できる。
【０５２１】
なお、２つのねじりバネＳＰ１とは、互いに同一の構成であっても良い。即ち、付勢力を作用させる位置が互いに異なる、或いは、弾性変形量が互いに異なることで、一対の延設部材６７１Ｕへそれぞれ付与する付勢力を異ならせるものであっても良い。２つのねじりバネＳＰ２とについても同様である。
【０５２２】
さらに、駆動手段６８０Ｕは、駆動力を発生する駆動モータＫＭ３Ｕと、その駆動モータＫＭ３Ｕにより駆動されると共に装飾ユニット６７２Ｕをベース部材６６０に連結する一対の延設部材６７１Ｕと、それら一対の延設部材６７１Ｕのうちの一方へ付勢力を付与する第１付勢部材とを備え、駆動手段６８０Ｄは、駆動力を発生する駆動モータＫＭ３Ｄと、その駆動モータＫＭ３Ｄにより駆動されると共に装飾ユニット６７２Ｄをベース部材６６０に連結する一対の延設部材６７１Ｄと、それら一対の延設部材６７１Ｄのうちの一方へ付勢力を付与する第２付勢部材とを備えるので、装飾ユニット６７２Ｕおよび装飾ユニット６７２Ｄの対向辺どうしを密着させやすくでき、対向辺どうしの間に隙間が形成されることを抑制できる。
【０５２３】
即ち、装飾ユニット６７２Ｕおよび装飾ユニット６７２Ｄの対向辺どうしを当接させた状態では、駆動手段６８０Ｕおよび駆動手段６８０Ｄのそれぞれが、例えば、付勢力が作用される側では相手を押し込む（前進する）と共に、付勢力が作用されない側では相手を受け入れる（後退する）状態を形成できる。その結果、装飾ユニット６７２Ｕおよび装飾ユニット６７２Ｄの対向辺どうしを密着させやすくでき、対向辺どうしの間に隙間が形成されることを抑制できる。
【０５２４】
上述したように、ねじりばねとして形成され一方の脚が延設部材６７１Ｕに連結されると共に他方の脚がベース部材６６０に連結され、装飾ユニット６７２Ｕを装飾ユニット６７２Ｄへ近接させる方向への付勢力を付与するねじりバネＳＰ１を備えるので、装飾ユニット６７２Ｕを装飾ユニット６７２Ｄへ近接する方向へ変位させる際には、延設部材６７１Ｕを回転させるのに必要な駆動モータＫＭ３Ｕの駆動力を、ねじりバネＳＰ１の付勢力によって補助することができる。よって、例えば、装飾ユニット６７２Ｕを、装飾ユニット６７２Ｄから離間する退避位置から装飾ユニット６７２Ｄと当接する当接位置へ停止状態から変位させる際には、その変位の開始をスムーズに行うことができる。
【０５２５】
この場合、装飾ユニット６７２Ｕを装飾ユニット６７２Ｄへ近接させる方向へ延設部材６７１Ｕが回転されるに従って、ねじりバネＳＰ１の一方の脚と延設部材６７１Ｕとの連結位置またはねじりバネＳＰ１の他方の脚とベース部材６６０との連結位置の少なくとも一方が巻回部から離間されるので、巻回部から力の作用位置までの距離が長くなる分、装飾ユニット６７２Ｕを装飾ユニット６７２Ｄへ近接させる方向への付勢力を弱めることができる。よって、例えば、装飾ユニット６７２Ｄへ近接させた装飾ユニット６７２Ｕを停止させる際には、その変位の停止を確実に行うことができるので、衝突に伴う破損を抑制できる。また、対向辺どうしを当接させた状態で装飾ユニット６７２Ｕおよび装飾ユニット６７２Ｄを同方向へ往復変位させる際には、その往復変位に必要な駆動力を抑制できるので、往復変位の変位速度を高めることができ、演出効果を向上できる。
【０５２６】
一方で、ねじりばねとして形成され一方の脚が延設部材６７１Ｄに連結されると共に他方の脚がベース部材に連結され、装飾ユニット６７２Ｄを装飾ユニット６７２Ｕへ近接させる方向への付勢力を付与するねじりバネＳＰ２を備え、装飾ユニット６７２Ｄを装飾ユニット６７２Ｕへ近接させる方向へ延設部材６７１Ｄが回転されるに従って、ねじりバネＳＰ２の一方の脚と延設部材６７１Ｄとの連結位置またはねじりバネＳＰ２の他方の脚とベース部材との連結位置の少なくとも一方が巻回部から離間されるので、ねじりバネＳＰ１と同様の効果をねじりバネＳＰ２が奏する。特に、対向辺どうしを当接させた状態で装飾ユニット６７２Ｕおよび装飾ユニット６７２Ｄを同方向へ往復変位させる際には、両者においてその往復変位に必要な駆動力を抑制できるので、特に有効となる。また、装飾ユニット６７２Ｕおよび装飾ユニット６７２Ｄが互いに同じ高さ（重力方向位置に配置される）され、両者の当接する位置が重力方向で最も高い位置（又は最も低い位置）となり且つ両者の離間する位置（退避位置）が重力方向で最も低い位置（又は最も高い位置）となる場合に、ねじりバネＳＰ１及びねじりバネＳＰ２の構成が特に有効となる。
【０５２７】
装飾ユニット６７２Ｕが重力方向上方への変位により装飾ユニット６７２Ｄへ近接されるものであるので、装飾ユニット６７２Ｕが重力方向下方に位置するほど装飾ユニット６７２Ｕを重力方向上方へ変位させる方向への付勢力を強くできる（即ち、装飾ユニット６７２Ｕが重力方向上方に位置するほど装飾ユニット６７２Ｕを重力方向上方へ変位させる方向への付勢力を弱くできる）。
【０５２８】
よって、重力方向上方へ向けて装飾ユニット６７２Ｕを停止状態から変位（上昇）させる際には、その変位（上昇）の開始をスムーズに行うことができると共に、上昇した装飾ユニット６７２Ｕを停止させる際には、その変位の停止を、重力の作用だけでなく、付勢力が弱まることで、確実に行うことができる。その結果、装飾ユニット６７２Ｄへの衝突に伴う破損を抑制できる。一方、重力方向下方へ向けて変位（下降）された装飾ユニット６７２Ｕを停止させる際には、付勢力が強まることで、かかる付勢力を、下降を継続させようとする重力の作用に対抗させることができる。その結果、装飾ユニット６７２Ｕの停止を確実に行わせることができる。
【０５２９】
ねじりばねとして形成され一方の脚が延設部材６７１Ｄに連結されると共に他方の脚がベース部材６６０に連結され、装飾ユニット６７２Ｄを装飾ユニット６７２Ｕから離間させる方向への付勢力を付与するねじりバネＳＰ２を備え、装飾ユニット６７２Ｄが重力方向上方への変位により装飾ユニット６７２Ｕから離間されるものであるので、装飾ユニット６７２Ｄを装飾ユニット６７２Ｕから離間する方向へ変位させる際、即ち、装飾ユニット６７２Ｄを重力方向に逆らって変位（上昇）させることが必要な際に、延設部材６７１Ｕを回転させるのに必要な駆動モータＫＭ３Ｄの駆動力を、ねじりバネＳＰ２の付勢力によって補助することができる。よって、その変位をスムーズに行うことができる。
【０５３０】
この場合、装飾ユニット６７２Ｄを装飾ユニット６７２Ｕへ近接させる方向へ延設部材６７１Ｄが回転されるに従って、ねじりバネＳＰ２の一方の脚と延設部材６７１Ｄとの連結位置またはねじりバネＳＰ２の他方の脚とベース部材６６０との連結位置の少なくとも一方が巻回部から離間されるので、巻回部から力の作用位置までの距離が長くなる分、装飾ユニット６７２Ｄを装飾ユニット６７２Ｕから離間させる方向（重力方向上方へ上昇させる方向）への付勢力を弱めることができる。よって、例えば、対向辺どうしを当接させた状態で装飾ユニット６７２Ｕおよび装飾ユニット６７２Ｄを同方向へ往復変位させる際には、その往復変位に必要な駆動力を抑制できるので、往復変位の変位速度を高めることができ、演出効果を向上できる。
【０５３１】
次いで、図６４を参照して、第２実施形態の回転部材２８１２について説明する。上記第１実施形態では、回転部材８１２に形成される突起８１２ａ１が、ハブ８１２ａの周方向に沿って両側に傾斜する山形に形成される場合を説明したが、第２実施形態の回転部材２８１２に形成される突起２８１２ａは、湾曲した半球状に形成される。なお、上述した第１実施形態と同一の部分には同一の符号を付して、その説明は省略する。
【０５３２】
図６４（ａ）は、第２実施形態における回転部材２８１２の部分拡大図であり、図６４（ｂ）は、図６４（ａ）のＬＸＩＶｂ−ＬＸＩＶｂ線における回転部材２８１２の断面図である。なお、図６４（ａ）は、図３６（ａ）と対応する。
【０５３３】
図６４に示すように、回転部材２８１２のハブ８１２ａには、外リールユニット８２０の縁部８２４側に突出する突起２８１２ａ１が形成される。突起２８１２ａ１は、ハブ８１２ａの周方向に所定の間隔で形成される。
【０５３４】
突起２８１２ａ１は、お椀型に湾曲して形成される。これにより、内リールユニット８１０を回転させた際に、空気を押し出して風を発生させることができる。また、押し出された空気（風）は、対向する外リール８２１の縁部８２４に衝突することでで、内リール８１１の外周面と外リールとの対向間に流入される。これにより、内リール８１１の外周面または外リール８２１の内周面に張り付いた埃（ゴミ）及び張り付こうとする埃を吹き飛ばすことができる。その結果、内リール８１１の外周面または外リール８２１の内周面に埃が張り付くことを抑制できる。
【０５３５】
また、第２実施形態の突起２８１２ａ１は、お椀型に湾曲して形成されるので、第１実施形態の突起８１２ａ１よりもその剛性を高くできる。その結果、内リールユニット８１０又は外リールユニット８２０が回転駆動された際にぐらついて突起２８１２ａ１の先端が外リールユニット８２０のスポーク８２２と当接した場合に、突起２８１２ａが破損することを抑制できる。
【０５３６】
次いで、図６５及び図６６を参照して、第３実施形態の外リールユニット８２０について説明する。上記第１実施形態では、回転部材８１２に突起８１２ａ１が形成される場合を説明したが、第２実施形態では、突起３８２４ａが、縁部８２４に形成される。なお、上述した各実施形態と同一の部分には同一の符号を付して、その説明は省略する。
【０５３７】
図６５は、第３実施形態における装飾図柄表示装置８００の断面図であり、図６６（ａ）は、外リールユニット８２０の部分拡大図であり、図６６（ｂ）は、図６６（ａ）のＬＸＶＩｂ−ＬＸＶＩｂ線における外リールユニット８２０の断面図である。
【０５３８】
図６５及び図６６に示すように、外リールユニット８２０のスポーク３８２２の延長線上の縁部８２４には、内リールユニット８１０の回転部材８１２側に突出する突起３８２４ａが形成される。突起３８２４ａは、各スポーク３８２２の外側（外リール８２１側）端部に形成される。
【０５３９】
突起３８２４ａは、外リール８２１の周方向に沿って両側が傾斜する形に形成される。よって、外リールユニット８２０を回転させることで、空気を押し出して風を発生させることができる。また、押し出された空気（風）は、対向する内リールユニット８１０のハブ８１２ａに衝突することで、内リール８１１の外周面と外リールとの対向間に流入される。これにより、内リール８１１の外周面または外リール８２１の内周面に張り付いた埃（ゴミ）及び張り付こうとする埃を吹き飛ばすことができる。その結果、内リール８１１の外周面または外リール８２１の内周面に埃が張り付くことを抑制できる。
【０５４０】
次いで、図６７及び図６８を参照して、第４実施形態の回転部材４８１２について説明する。上記第１実施形態では、回転部材８１２に形成される突起８１２ａ１が、ハブ８１２ａの周方向に沿って両側が傾斜する山型に形成される場合を説明したが、第４実施形態の回転部材４８１２に形成される突起４８１２ａは、ハブ８１２ａの径方向に対して傾斜して形成される。なお、上述した各実施形態と同一の部分には同一の符号を付して、その説明は省略する。
【０５４１】
図６７は、第４実施形態における装飾図柄表示装置８００の断面図であり、図６８（ａ）は、回転部材４８１２の部分拡大図であり、図６８（ｂ）は、図６８（ａ）のＬＸＶＩＩＩｂ−ＬＸＶＩＩＩｂ線における回転部材４８１２の断面図である。
【０５４２】
図６７及び図６８に示すように、回転部材４８１２のハブ８１２ａには、外リールユニットの縁部８２４側に突出する突起４８１２ａ１が形成される。突起４８１２ａ１は、ハブ８１２ａの周方向に所定の間隔で形成される。
【０５４３】
突起４８１２ａ１は、側面視において矩形状に形成され、その長手方向とハブ８１２ａの径方向とが交わる態様に形成される。即ち、突起４８１２ａ１は、ハブ８１２ａの径方向外側端部から径方向内側端部に向かうに従って、周方向に傾斜して形成される。また、その傾斜方向は、内リールユニット８１０の通常の回転方向側に傾斜して形成される。
【０５４４】
よって、内リールユニット８１０を回転させた際に、空気を押し出して風を発生させることができる。また、押し出された空気（風）は、対向する外リール８２１の縁部８２４に衝突することで、内リール８１１の外周面と外リール８２１との対向間に流入される。これにより、内リール８１１の外周面または外リール８２１の内周面に張り付いた埃（ゴミ）及び張り付こうとする埃を吹き飛ばすことができる。その結果、内リール８１１の外周面または外リール８２１の内周面に埃が張り付くことを抑制できる。
【０５４５】
また、第４実施形態の突起４８１２ａ１は、ハブ８１２ａの径方向外側端部から径方向内側端部に向かうに従って周方向に傾斜して形成され、その傾斜方向が、内リールユニット８１０の通常の回転方向側とされるので、内リールユニット８１０の回転で風を発生させやすくできる。その結果、内リール８１１の外周面または外リール８２１の内周面に埃が張り付くことを抑制できる。
【０５４６】
即ち、外リールユニット８２０の外リール８２１の少なくとも一部が光透過性を有して形成されると共に、内リールユニット８１０の内リール８１１に複数の図柄が周方向に沿って配列されるので、外リールユニット８２０を介して内リールユニット８１０の回転に伴う図柄の変動を遊技者に視認させることができる。この場合、内リールユニット８１０のハブ８１２ａに突起４８１２ａ１が立設される、即ち、外リールユニット８２０よりも回転回数が多くされる内リールユニット８１０のハブ８１２ａに突起４８１２ａ１が立設されるので、外リールユニット８２０又は内リールユニット８１０の回転による演出において、外リール８２１の内面および内リール８１１の外面を掃除する機会を増加させることができる。
【０５４７】
次いで、図６９及び図７０を参照して、第５実施形態の内リールユニット５８１０について説明する。上記第１実施形態では、内リールユニット８１０のスポーク８１２ｃが、径方向外側に向かうに従って、外リールユニット８２０の縁部８２４側に傾斜する態様に形成される場合を説明したが、第５実施形態では、内リールユニット５８１０のスポーク５８１２ｃが、径方向外側に向かうに従って、外リールユニット８２０の縁部８２４と反対側に傾斜する態様に形成される。なお、上述した各実施形態と同一の部分には同一の符号を付して、その説明は省略する。
【０５４８】
図６９は、第５実施形態における装飾図柄表示装置８００の断面図である。図７０（ａ）は、円環部材８１３の部分拡大図であり、図７０（ｂ）は、図７０（ａ）のＬＸＸｂ−ＬＸＸｂ線における円環部材８１３の断面図である。なお、第５実施形態における装飾図柄表示装置８００では、バックライトユニット８３０が取り外される。
【０５４９】
図６９及び図７０に示すように、第５実施形態における内リールユニット５８１０は、回転部材５８１２のスポーク８１２ｃが、径方向外側に向かうに従って、外リールユニット８２０の縁部８２４と反対側に傾斜して形成される。よって、外リールユニット８２０のスポーク８２２の傾斜方向と内リールユニット８１０のスポーク８１２ｃの傾斜方向とが、左右対称とされる。
【０５５０】
また、内リールユニット５８１０の円環部材８１３の外リールユニット８２０の縁部８２４と対向する面には、突起５８１３ａが突出形成される（図７０参照）。突起５８１３ａは、円環部材８１３の周方向に一定の間隔で複数個形成される。
【０５５１】
突起５８１３ａは、円環部材８１３の周方向に沿って両側に傾斜する山形に形成される。これにより、内リールユニット８１０を回転させた際に、空気を押し出して風を発生させることができる。また、押し出された空気（風）は、対向する外リール８２１の縁部８２４に衝突することでで、内リール８１１の外周面と外リールの内周面との対向間に流入される。これにより、内リール８１１の外周面または外リール８２１の内周面に張り付いた埃（ゴミ）及び張り付こうとする埃を吹き飛ばすことができる。その結果、内リール８１１の外周面または外リール８２１の内周面に埃が張り付くことを抑制できる。
【０５５２】
ここで、外リールユニット８２０のスポーク８２２と内リールユニット８１０のスポーク８１２ｃとが、装飾図柄表示装置８００の左右両側に配置されると、その対向間（内リールユニット８１０と外リールユニット８２０との間のスペース）に空気を十分に送れなくなるために、内リールユニット８１０と外リールユニット８２０とを駆動させる駆動モータＫＭ１，ＫＭ２を十分に冷却することができなくなり、駆動モータＫＭ１，ＫＭ２が故障する恐れがあった。
【０５５３】
これに対し、第５実施形態では、突起５８１３ａにより、内リール８１１の外周面と外リールの内周面との対向間に流入される空気の流れを発生させることができるので、この空気の流れにより、装飾図柄表示装置８００の左右両側からの吸気をさせやすくできる。従って、内リールユニット８１０と外リールユニット８２０との間のスペースに空気を送ることができる。その結果、駆動モータＫＭ１，ＫＭ２を冷却することができるので、駆動モータＫＭ１，ＫＭ２が故障することを抑制できる。
【０５５４】
次いで、図７１から図７３を参照して、第６実施形態の内リールユニット８１０及び外リールユニット８２０について説明する。上記第１実施形態では、突起８１２ａ１が内リールユニット８１０のみに形成される場合を説明したが、第６実施形態では、突起６８１２ａ１，６８２４ａが、内リールユニット８１０及び外リールユニット８２０に形成される。なお、上述した各実施形態と同一の部分には同一の符号を付して、その説明は省略する。
【０５５５】
図７１は、第６実施形態における装飾図柄表示装置８００の断面図である。図７２（ａ）は、回転部材６８１２の部分拡大図であり、図７２（ｂ）は、図７２（ａ）のＬＸＸＩＩｂ−ＬＸＸＩＩｂ線における回転部材６８１２の断面図である。図７３（ａ）は、外リールユニット８２０の部分拡大図であり、図７３（ｂ）は、図７３（ａ）のＬＸＸＩＩＩｂ−ＬＸＸＩＩＩｂ線における外リールユニット８２０の断面図である。
【０５５６】
図７１から図７３に示すように、回転部材６８１２のハブ８１２ａには、外リールユニット８２０の縁部８２４側に突出する突起６８１２ａ１が形成される。突起２８１２ａ１は、ハブ８１２ａの周方向に所定の間隔で形成される。また、突起６８１２ａ１は、ハブ８１２ａの周方向に沿って両側が傾斜した山形に形成される。
【０５５７】
外リールユニット８２０の縁部８２４には、回転部材６８１２のハブ８１２ａ側に突出する突起６８２４ａが形成される。突起６８２４ａは、外リール８２１の周方向に一定の間隔で形成される。また、突起６８２４ａは、外リール８２１の周方向に沿って両側が傾斜した山形に形成される。
【０５５８】
突起６８１２ａ１は、突起６８２４ａよりも回転部材６８１２の径方向内側に形成される。これにより、内リールユニット８１０又は外リールユニット８２０が回転された際に、突起６８１２ａ１が、突起６８２４ａと衝突することを抑制できる。
【０５５９】
よって、内リールユニット８１０又は外リールユニット８２０が回転された際に突起６８１２ａ１及び突起６８２４ａにより風を発生させることができる。即ち、内リールユニット８１０又は外リールユニット８２０のうちどちらか一方が回転されることで風を発生させることができる。
【０５６０】
また、この場合、突起６８１２ａ１又は突起６８２４ａのどちらか一方に押し出された空気を、突起６８１２ａ１又は突起６８２４ａのどちらか他方に衝突させることができるので、空気の流れをより規制することができる。よって、内リール８１１の外周面と外リールの内周面との対向間に流入される空気の流れを早くすることができる。これにより、内リール８１１の外周面または外リール８２１の内周面に張り付いた埃（ゴミ）及び張り付こうとする埃を吹き飛ばすことができる。その結果、内リール８１１の外周面または外リール８２１の内周面に埃が張り付くことを抑制できる。
【０５６１】
即ち、第６実施形態では、縁部８２４の内面とハブ８１２ａの外面とのそれぞれに径方向に位置を違えて突起８６２４ａ及び突起６８１２ａが立設されるので、外リールユニット８２０又は内リールユニット８１０のいずれが回転される場合であっても、縁部８２４の内面とハブ８１２ａの外面との間で突起８６２４ａ及び突起６８１２ａを周方向へ変位させて風圧を発生させることができる。よって、外リールユニット８２０又は内リールユニット８１０の回転による演出において、外リール８２１の内面および内リール８１１の外面を掃除する機会を増加させることができる。
【０５６２】
突起６８１２ａ１と突起６８２４ａとが径方向に対向する互いの面には、傾斜した面が形成される。これにより、径方向に空気が流れる際の空気抵抗を小さくすることができる。その結果、内リール８１１の外周面または外リール８２１の内周面に張り付いた埃（ゴミ）及び張り付こうとする埃を吹き飛ばしやすくできる。
【０５６３】
さらに、突起６８１２ａ１の周方向への配置間隔と突起６８２４ａの周方向への配置間隔とは、異なる間隔で形成される。これにより、突起６８１２ａ１と突起６８２４ａとが、径方向に重なる位置をずらすことができる。従って、突起６８１２ａ１と突起６８２４ａとが、径方向に重なることで空気が圧縮される位置を複数にばらけさせることができる。その結果、突起６８１２ａ１と突起６８２４ａとが径方向に重なって空気が圧縮されることで、内リールユニット８１０及び外リールユニット８２０の回転速度が遅くされることを抑制できる。
【０５６４】
次いで、図７４から図７７を参照して、第７実施形態の回転部材７５３３について説明する。上記第１実施形態では、第１電動役物５２０が左右対称に同じ態様で駆動される場合を説明したが、第７実施形態では、第１電動役物５２０の駆動が左右で異なって駆動される。なお、上述した各実施形態と同一の部分には同一の符号を付して、その説明は省略する。
【０５６５】
初めに、図７４を参照して、第７実施形態における回転部材７５３３の詳しい説明をする。図７４（ａ）は、第７実施形態における回転部材７５３３の正面図であり、図７４（ｂ）は、回転部材７５３３の側面図である。
【０５６６】
図７４に示すように、回転部材７５３３は、側面視略Ｌ字に形成される板状体を左右方向に所定の幅を隔てて２つ並設すると共に、一端側の対向間が連結部５３３ａにより連結されて形成される。また、左右両端に配設される板状体は、その側面視形状における略Ｌ字に屈曲した屈曲角度が左右でそれぞれ異なって配設される。第７実施形態では、正面視左側に形成される板状体のＬ字の屈曲角度は、正面視右側に形成される板状体のＬ字の屈曲角度よりも大きく設定される。
【０５６７】
よって、回転部材７５３３の他端側（図７４（ｂ）左側）に凹設して形成される駆動部７５３３ｄは、左右で上下方向に異なる位置に形成される。また、駆動部７５３３ｄは、その凹設幅（図７４（ｂ）左側の上下方向幅）が、第１電動役物５２０に形成される突起５２３の外形よりも大きく形成され、駆動部７５３３ｄの内部を突起５２３が摺動可能に形成される。
【０５６８】
また、回転部材７５３３の正面視左右方向における幅寸法（２つの板状体の外側面の対向間寸法）は、摺動部材５３２の２つの第１突起５３２ｂの内側の対向間寸法よりも、小さく設定される。これにより、回転部材５３３を、摺動部材５３２の第１突起５３２ｂの対向間に配置できる。
【０５６９】
また、正面視において回転部材７５３３は、左右の板部材の対向間の寸法が、遊技球の直径よりも大きく設定される。これにより、回転部材７５３３の内側（２つの板部材の対向間）に遊技球を通過させることができる。
【０５７０】
回転部材７５３３は、側面視略Ｌ字の屈曲部分から左右方向両側に突出する回転軸５３３ｃと、側面視略Ｌ字の一端側の端部から左右方向両側に突出する突起５３３ｂと、側面視略Ｌ字の他端側の先端に凹設して形成される駆動部７５３３ｄとを主に備えて形成される。
【０５７１】
次いで、図７５から図７６を参照して、第７実施形態の第１電動役物５２０の駆動態様について説明する。図７５（ａ）から図７５（ｃ）は、駆動ユニット５３０及び第１電動役物５２０の側面図である。図７６（ａ）から図７６（ｃ）は、駆動ユニット５３０及び第１電動役物５２０の正面図である。
【０５７２】
なお、図７５（ａ）及び図７６（ａ）は第１電動役物５２０の第１状態が、図７５（ｃ）及び図７６（ｃ）は第１電動役物５２０の第２状態が、図７５（ｂ）及び図７６（ｂ）は第１電動役物５２０が第１状態と第２状態との間に位置する状態が、それぞれ図示される。また、図７５及び図７６では、第１ケース部材５３４及び第２ケース部材５３５が透明視された状態が図示される。
【０５７３】
図７５（ａ）及び図７６（ａ）に示すように、ソレノイド５３１の可動体５３１ｂが、本体部５３１ａの内部から張り出した状態では、回転部材５３３の突起５３３ｂが正面側（図７５（ａ）左側）に押されて、駆動部７５３３ｄを下方に位置させた状態とされる。これにより、第１電動役物５２０は、突起５２３が下方に押し下げられて、第１状態とされる。
【０５７４】
なお、この場合、右側の駆動部７５３３ｄの内側と右羽部材５２０Ｒの突起５２３Ｒの上側（図７５（ａ）上側）との間に隙間ができる。これは、突起５２３Ｒを駆動部７５３３ｄにより一定位置まで押し下げて右羽部材５２０Ｒを第１状態とする途中で、右羽部材５２０Ｒの重心が回転軸（貫通孔５２１Ｒ）よりも正面視左側に切り替えて、右羽部材５２０Ｒを自重により第１状態まで回転させることで形成される。
【０５７５】
また、左側の駆動部７５３３ｄの内側と左羽部材５２０Ｌの突起５２３Ｌの下側（図７５（ａ）下側）との間に隙間が形成される。
【０５７６】
次いで、図７５（ｂ）及び図７６（ｂ）に示すように、ソレノイド５３１の可動体５３１ｂを本体部５３１ａの内部に引き込む際には、回転部材５３３の突起５３３ｂが背面側（図７５（ｂ）右側）に引き込まれて、駆動部７５３３ｄが上方へ持ち上げられる。これにより、第１電動役物５２０は、突起５２３を上方に押し上げられて回転される。
【０５７７】
この場合、上述したように、第１状態では、左側の駆動部７５３３ｄの内側と左羽部材５２０Ｌの突起５２３Ｌの下側（図７５（ａ）下側）との間に隙間が形成されるので、回転部材５３３が回転された（駆動部５３３ｄが持ち上げられた）際に、その隙間の分、左側の駆動部７５３３ｄと突起５２３Ｌの係合が遅くされる。よって、右側の羽部材５２０Ｒの第２状態への変位の始動の方が早くされる。
【０５７８】
次いで、図７５（ｂ）及び図７６（ｂ）に示す状態を経て、ソレノイド５３１の可動体５３１ｂが更に本体部５３１ａの内部に引き込まれると、回転部材５３３が回転終端位置まで回転される。よって、回転部材５３３の駆動部７５３３ｄが上方へ持ち上げられて、第１電動役物５２０が、図７６（ｃ）及び図７６（ｃ）に示す第２状態とされる。
【０５７９】
なお、この場合、左側の駆動部７５３３ｄの内側と右羽部材５２０Ｒの突起５２３Ｒの下側（図７５（ｃ）下側）との間に隙間が形成される。これは、突起５２３Ｌを駆動部７５３３ｄにより一定位置まで押し上げて左羽部材５２０Ｌを第２状態とする途中で、左羽部材５２０Ｌの重心が回転軸（貫通孔５２１Ｌ）よりも正面視左側に切り替えて、左羽部材５２０Ｌを自重により第１状態まで回転させることで形成される。
【０５８０】
また、右側の駆動部７５３３ｄの内側と右羽部材５２０Ｒの突起５２３Ｒの下側（図７５（ａ）下側）との間に隙間が形成される。
【０５８１】
よって、第１状態から第２状態へ第１電動役物５２０を変位させる際には、右羽部材５２０Ｒの始動を先にすることができると共に、左羽部材５２０Ｌの第２状態への変位を右羽部材５２０Ｒよりも後にすることができる。
【０５８２】
図７５（ｃ）及び図７６（ｃ）に示す第２状態から図７５（ａ）及び図７６（ｃ）に示す第１状態への変位は、上述した第１状態から第２状態への変位と反対となるのみであるのでその詳しい説明は省略する。
【０５８３】
よって、第２状態から第１状態へ第１電動役物５２０を変位させる際には、左羽部材５２０Ｌの始動を先にすることができると共に、右羽部材５２０Ｒの第１状態への変位を左羽部材５２０Ｌよりも先にすることができる。
【０５８４】
次いで、図７７を参照して、第７実施形態の入賞口ユニット５００に遊技球が入球する場合の説明をする。図７７（ａ）及び図７７（ｂ）は、入賞口ユニット５００の断面図である。
【０５８５】
なお、図７７（ａ）及び図７７（ｂ）は、図２４（ｂ）の入賞口ユニット５００の断面図と対応する。また、図７７（ａ）及び図７７（ｂ）では、第１電動役物５２０が第２状態から第１状態へ変位される途中の状態が図示される。
【０５８６】
図７７（ａ）及び図７７（ｂ）に示すように、第１電動役物５２０が第２状態から第１状態へ変位される際には、左羽部材５２０Ｌの始動が先に行われると共に、右羽部材５２０Ｒの第１状態への変位が左羽部材５２０Ｌよりも遅くされる。
【０５８７】
即ち、第１電動役物５２０の右羽部材５２０Ｒのみが開放された状態を瞬間的に形成できる。この際に、右羽部材５２０Ｒ側から遊技球が入球されると、右羽部材５２０Ｒの側面５２６Ｒを転動する遊技球は、膨出部５２４Ｒにより正面側（図７７（ａ）下側）に案内される。よって、左羽部材５２０Ｌの膨出部５２４Ｌに遊技球を衝突させやすくできる。
【０５８８】
左羽部材５２０Ｌの膨出部５２４Ｌは、正面側の端部に形成されるので、膨出部５２４Ｌに衝突させた遊技球を背面側に跳ね返らせやすい。従って、右羽部材５２０Ｒから入球される遊技球を第２入賞口１４０に入球させやすくできる。
【０５８９】
即ち、第７実施形態では、第１電動役物５２０を第１状態へ変位させる際に、膨出部５２４Ｌが正面側に形成される側の左羽部材５２０Ｌと反対側の右羽部材５２０Ｒの変位を、左羽部材５２０Ｌよりも後にすることで、第１状態への変位途中に入球される遊技球をスムーズに第２入賞口１４０に送球させることができる。
【０５９０】
また、第７実施形態では、一対の羽部材５２０Ｌ，５２０Ｒのうちの一方の羽部材（羽部材５２０Ｌ，５２０Ｒのうちの一方）が閉鎖状態を形成する位置に配置されるタイミングと他方の羽部材（羽部材５２０Ｌ，５２０Ｒのうちの他方）が閉鎖状態を形成する位置に配置されるタイミングとが異なるので、一対の羽部材５２０Ｌ，５２０Ｒ（側面５２６Ｌ，５２６Ｒ）の間に遊技球を挟み込み難くでき、その分、一対の羽部材５２０Ｌ，５２０Ｒの対向間隔を狭くできる。よって、一対の羽部材５２０Ｌ，５２０Ｒの配設に必要なスペースを抑制できる。
【０５９１】
次いで、図７８から図８２を参照して、第８実施形態の回転部材８５３３について説明する。上記第１実施形態では、摺動部材５３２に遊技球の入球を規制する第２突起５３２ｃが形成される場合を説明したが、第８実施形態では、回転部材８５３３に遊技球の入球を規制する第２突起８５３３ｅが形成される。なお、上述した各実施形態と同一の部分には同一の符号を付して、その説明は省略する。
【０５９２】
初めに、図７８を参照して、第８実施形態における駆動ユニット８５３０の構成について説明する。図７８は、第８実施形態における駆動ユニット８５３０の分解斜視正面図である。
【０５９３】
図７８に示すように、第８実施形態の駆動ユニット８５３０は、ソレノイド５３１と、そのソレノイド５３１に連結される摺動部材８５３２と、その摺動部材８５３２に連結される回転部材８５３３と、その回転部材８５３３及び摺動部材８５３２を内部に変位可能な状態で配設する第１ケース部材５３４と、その第１ケース部材５３４の背面側に取着される第２ケース部材５３６とを主に備えて形成される。
【０５９４】
摺動部材８５３２は、上面視略Ｅ字状に形成されており、左右方向に延設される連結部５３２ａと、その連結部５３２ａの左右両端から正面側に突設される２本の第１突起５３２ｂと、その２本の第１突起５３２ｂの中間に位置すると共に正面側に突設される第３突起５３２ｅとを主に備えて形成される。
【０５９５】
摺動部材８５３２は、連結部５３２ａの左右方向における寸法が、第１ケース部材５３４の内周面における左右方向の対向間寸法よりも小さく形成される。これにより、摺動部材８５３２を第１ケース部材５３４の内側に収容配置することができる。
【０５９６】
第３突起８５３２ｅは、後述する回転部材８５３３の連結部５３３ａの上部に位置されることで、第１電動役物５２０を第２状態へ変位させる際の回転部材８５３３の回転変位を規制できる。即ち、第３突起８５３２ｅは、その下端面が第１電動役物５２０が第１状態とされる場合の連結部５３３ａよりも上部に形成される。
【０５９７】
回転部材８５３３は、側面視略Ｌ字に形成される板状体を左右方向に所定の幅を隔てて２つ並設されると共に、一端側の対向間が連結部５３３ａにより連結して形成される。回転部材８５３３の２つの板状体の対向間における隙間は、遊技球の直径よりも大きく設定される。これにより、回転部材８５３３の内側（２つの板状体の対向間）に遊技球を通過させることができる。
【０５９８】
また、回転部材８５３３の左右方向における幅寸法（２つの板状体の外側面の対向間寸法）は、摺動部材８５３２の２つの第１突起５３２ｂの内側の対向間寸法よりも、小さく設定される。これにより、回転部材８５３３を、摺動部材８５３２の第１突起５３２ｂの対向間に配置できる。
【０５９９】
回転部材８５３３は、側面視略Ｌ字の屈曲部分から左右方向両側に突出する回転軸５３３ｃと、側面視略Ｌ字の一端側の端部から左右方向両側に突出する突起５３３ｂと、側面視略Ｌ字の他端側の先端に凹設して形成される駆動部５３３ｄと、連結部５３３ａの左右方向中央位置から正面側に突設される第２突起８５３３ｅとを主に備えて形成される。
【０６００】
第２突起８５３３ｅは、正面側に延設される棒状に形成されると共に、その突設先端部に下方に屈曲して立設される立設壁８５３３ｅ１を備える。立設壁８５３３ｅ１は、側面視において正面側に凸形状に湾曲して形成され、その湾曲軸が回転部材８５３３の軸と同軸上に設定される。
【０６０１】
次いで、図７９から図８１を参照して、駆動ユニット５３０の動作について説明する。図７９（ａ）及び図７９（ｂ）は、第１電動役物５２０及び駆動ユニット５３０の側面図である。図８０（ａ）及び図８０（ｂ）は、第１電動役物５２０及び駆動ユニット５３０の正面図である。図８１（ａ）及び図８１（ｂ）は、入賞口ユニット５００の断面図である。
【０６０２】
なお、図７９及び図８０では、第１ケース部材５３４及び第２ケース部材５３５が透明視された状態が図示される。また、図７９（ａ）、図８０（ａ）及び図８１（ａ）では第１電動役物５２０が第１状態とされた状態が、図７９（ｂ）、図８０（ｂ）及び図８１（ｂ）では第１電動役物５２０が第２状態とされた状態がそれぞれ図示される。更に、図８１（ａ）及び図８１（ｂ）は、図１７の断面図と対応する。
【０６０３】
図７９から図８１に示すように、ソレノイド５３１の可動体５３１ｂが、本体部５３１ａから張り出された状態では、回転部材８５３３の突起５３３ｂが正面側（図７９（ａ）左側）に押されて、駆動部５３３ｄを下方に位置させた状態とされる。これにより、第１電動役物５２０は、突起５２３が下方に押し下げられて第１状態とされる。
【０６０４】
また、ソレノイド５３１の可動体５３１ｂが、本体部５３１ａから張り出された状態では、第２突起８５３３ｅの立設壁８５３３ｅ１の先端が下方に位置される。この場合、立設壁８５３３ｅ１の先端から第１ケース部材５３４の立設部５３４ｂの上端面までの距離寸法Ｌ６（図８２（ａ）参照）は、遊技球の直径よりも小さくされる。よって、立設壁８５３３ｅ１により、遊技球が立設部５３４ｂの上端面を転動して第２ケース部材５３５に送球されることを抑制できる。
【０６０５】
さらに、ソレノイド５３１の可動体５３１ｂが、本体部５３１ａから張り出された状態では、摺動部材８５３２の第３突起８５３２ｅが回転部材８５３３の連結部５３３ａの上部に位置される。よって、第１電動役物５２０を操作して第２状態に変位させようとした際に、回転部材８５３３の回転が第３突起８５３２ｅにより規制される。
【０６０６】
言い変えると、駆動手段（ソレノイド５３１）の駆動力を一対の羽部材５２０Ｌ，５２０Ｒへ伝達する伝達機構を備え、伝達機構は、駆動手段（ソレノイド５３１）の駆動力により開放スライド位置（図７９（ｂ）に示す位置）と閉鎖スライド位置（図７９（ａ）に示す位置）との間でスライド変位される摺動部材８５３２と、その摺動部材８５３２の開放スライド位置へのスライド変位により開放回転位置へ回転されて一対の羽部材５２０Ｌ，５２０Ｒを開放させると共に摺動部材８５３２の閉鎖スライド位置へのスライド変位により閉鎖回転位置へ回転されて一対の羽部材５２０Ｌ，５２０Ｒを少なくとも閉鎖可能とする回転部材８５３３とを備え、立設壁８５３３ｅ１が回転部材８５３３に配設され、回転部材８５３３が開放回転位置へ回転されると立設壁８５３３ｅ１が許容位置に配置されると共に、回転部材８５３３が閉鎖回転位置へ回転されると立設壁８５３３ｅ１が規制位置に配置され、摺動部材８５３２が閉鎖スライド位置に配置されると共に回転部材８５３３が閉鎖回転位置に配置された状態では、回転部材８５３３と摺動部材８５３２とが係合されることで、回転部材８５３３の開放回転位置への回転が規制されるので、遊技球が第２入賞口へ不正に入球されることを規制しやすくできる。
【０６０７】
即ち、一対の羽部材５２０Ｌ，５２０Ｒが閉鎖されている状態から、例えば、一対の羽部材５２０Ｌ，５２０Ｒを外部から不正に強制開放する、又は、回転部材８５３３を直接操作することで、かかる回転部材８５３３を開放位置へ回転させようとしても、回転部材８５３３と摺動部材８５３２とが係合されることで、回転部材８５３３の開放回転位置への回転が規制されるので、立設壁８５３３ｅ１を規制位置に維持できる（即ち、立設壁８５３３ｅ１が許容位置へ外部から不正に強制変位されることを抑制できる）。その結果、遊技球が入球口へ不正に入球されることを立設壁８５３３ｅ１によって規制できる。
【０６０８】
また、摺動部材８５３２（または回転部材８５３３）から突出される第３突起８５３２ｅと、その第３突起８５３２ｅと係合可能に摺動部材８５３２（または回転部材８５３３）に形成される連結部５３３ａとを備え、第３突起８５３２ｅが摺動部材８５３２のスライド変位の方向に沿って突出されるので、摺動部材８５３２のスライド変位を利用して、第３突起８５３２ｅおよび連結部５３３ａにおける係合とその係合の解除とを切り替えることができ、構造の簡素化を図ることができる。
【０６０９】
なお、係合する部分は、第３突起８５３２ｅが当接可能な面（摺動部材８５３２または回転部材８５３３の他方の外面）であっても良く、第３突起８５３２ｅが挿入可能な孔または凹部（摺動部材８５３２または回転部材８５３３の一方に穿設される孔または凹設される凹部）であっても良い。即ち、第３突起８５３２ｅが連結部５３３ａに当接することで、回転部材８５３３の開放回転位置への回転を規制できるものであれば良い。この場合、連結部５３３ａを孔または凹部とすることが好ましい。第３突起８５３２ｅが連結部５３３ａに挿入される分、第３突起８５３２ｅの配設に必要なスペースを抑制して、小型化を図ることができると共に、連結部５３３ａに挿通されていることで、第３突起８５３２ｅを外部から遮蔽でき、かかる第３突起８５３２ｅへの外部からの不正なアクセスを困難とできるからである。
【０６１０】
一方、ソレノイド５３１の可動体５３１ｂが、本体部５３１ａの内部に引き込まれた状態では、回転部材８５３３の突起５３３ｂが背面側（図７９（ｂ）右側）に引き込まれて、駆動部５３３ｄが上方に変位される。これにより、第１電動役物５２０は、突起５３３ｂが上方に押し上げられた第２状態とされる。
【０６１１】
また、ソレノイド５３１の可動体５３１ｂが、本体部５３１ａの内部に引き込まれた状態では、摺動部材８５３２の第３突起８５３２ｅが回転部材８５３３の連結部５３３ａの背面側に位置される。よって、回転部材８５３３の回転の規制が解除される。その結果、回転部材８５３３を回転させて、第１電動役物５２０を変位させることができる。
【０６１２】
よって、回転部材８５３３の駆動部５３３ｄは、開放回転位置へ向けて回転される際に一対の羽部材５２０Ｌ，５２０Ｒに当接して開放させる開放側当接部８５３３ｄ１と、閉鎖回転位置へ向けて回転される際に一対の羽部材５２０Ｌ，５２０Ｒに当接して閉鎖させる閉鎖側当接部８５３３ｄ２とを備えるので、一対の羽部材５２０Ｌ，５２０Ｒが外部から不正に強制開放されることを抑制でき、回転部材８５３３または摺動部材８５３２への外部からの不正なアクセスを困難とできる。
【０６１３】
即ち、一対の羽部材５２０Ｌ，５２０Ｒを強制開放の方向へ外部から変位させると、回転部材８５３３の閉鎖側当接部８５３３ｄ２が羽部材５２０Ｌ，５２０Ｒにより押圧されて、回転部材８５３３を開放回転位置へ向けて回転させようとする。この場合、本発明によれば、回転部材８５３３と摺動部材８５３２との係合により、回転部材８５３３の開放回転位置への回転を規制できるので、羽部材の変位を回転部材８５３３の閉鎖側当接部８５３３ｄ２により規制できる。即ち、羽部材が強制開放の方向へ外部から変位されることを規制できる。その結果、一対の羽部材５２０Ｌ，５２０Ｒが外部から不正に強制開放されることを抑制でき、回転部材８５３３または摺動部材８５３２への外部からの不正なアクセスを困難とできる。
【０６１４】
ソレノイド５３１の可動体５３１ｂが、本体部５３１ａの内部に引き込まれた状態では、回転部材８５３３が回転されることで、立設壁８５３３ｅ１の先端から第１ケース部材５３４の立設部５３４ｂの上端面までの距離寸法Ｌ７（図８２（ｂ）参照）が遊技球の直径よりも大きくされる。その結果、第２入賞口１４０に入球された遊技球を立設部５３４ｂの上端面を転動させて第２ケース部材５３５に送球することができる。
【０６１５】
次いで、図８２を参照して、第１電動役物５２０が破損した場合の説明をする。図８２（ａ）及び図８２（ｂ）は、入賞口ユニット５００の断面図である。なお、図８２（ａ）及び図８２（ｂ）は、図１７の断面図と対応する。また、図１４（ａ）では第１電動役物５２０が第１状態とされた状態が、図１４（ｂ）では第１電動役物５２０が第２状態とされた状態が、それぞれ図示される。
【０６１６】
図８２（ａ）及び図８２（ｂ）に示すように、不正行為や経年劣化等により第１電動役物５２０の突起５３４Ｌ，５３４Ｒが基端から折れて、第１電動役物５２０が第１状態から第２状態とされた際には、ソレノイド５３１の可動体５３１ｂが、本体部５３１ａから張り出された状態とされるので、第２突起８５３３ｅの立設壁８５３３ｅ１の先端が下方に位置される。よって、立設壁８５３３ｅ１により、遊技球が立設部５３４ｂの上端面を転動して第２ケース部材５３５に送球されることを抑制できる。
【０６１７】
よって、一対の羽部材５２０Ｌ，５２０Ｒが閉鎖された状態または一対の羽部材５２０Ｌ，５２０Ｒが外部から開放された状態において立設壁８５３３ｅ１の配置が規制位置に維持可能に形成されるので、立設壁８５３３ｅ１が許容位置へ変位されることを抑制できる。よって、遊技球が第２入賞口１４０へ不正に入球されることを規制しやすくできる。
【０６１８】
即ち、一対の羽部材５２０Ｌ，５２０Ｒが閉鎖された状態または一対の羽部材５２０Ｌ，５２０Ｒが外部から開放された状態では、摺動部材８５３２を操作して、立設壁８５３３ｅ１の立設先端（重力方向下側（図２０（ｂ）下側）の端部）から第１ケース部材５３４に形成される立設部５３４ｂの上端面までの距離寸法Ｌ６は、遊技球の直径よりも小さく設定される。従って、第１電動役物５２０が遊技者の不正行為によって、第２入賞口１４０に遊技球を送球可能とされても、遊技球が第２入賞口１４０の内部に入球されて転動することを抑制できる。よって、第１ケース部材５３４の立設部５３４ｂを転動する遊技球を摺動部材８５３２の立設壁８５３３ｅ１に衝突させて、遊技球の転動を停止させることができる。その結果、第１電動役物５２０が遊技者の不正行為によって、第２状態（第２入賞口１４０に遊技球を送球可能）にされた際に、遊技球が第２入賞口１４０へ不正に入球されることを規制しやすくできる。
【０６１９】
また、この場合、遊技球を第２入賞口１４０へ入球不能にする立設壁８５３３ｅ１を一対の羽部材５２０Ｌ，５２０Ｒを変位させる摺動部材８５３２に連なって形成することができるので、第２入賞口１４０へ不正に入球されることを規制する部材を別途必要としない。よって、その分、部品点数を削減することができるので、製造コストが増加することを抑制できる。
【０６２０】
さらに、第８実施形態では、遊技球の入球を規制する第２突起８５３３ｅ及びその第２突起が変位されることを抑制する第３突起８５３２ｅが、回転部材８５３３及び摺動部材８５３２に一体に形成されるので、駆動ユニット８５３０の部品点数を少なくすることができる。その結果、駆動ユニット８５３０の製造コストを低下することができる。
【０６２１】
次いで、図８３から図８７を参照して、第９実施形態の駆動ユニット９５３０について説明する。上記第８実施形態では、ソレノイド５３１の可動体５３１ｂが、本体部５３１ａから張り出された状態時に第１電動役物５２０の可動が規制される場合を説明したが、第９実施形態では、ソレノイド５３１の可動体５３１ｂが、本体部５３１ａから張り出された状態時に第１電動役物５２０が可動可能とされる。なお、上述した各実施形態と同一の部分には同一の符号を付して、その説明は省略する。
【０６２２】
初めに、図８３を参照して、第９実施形態における駆動ユニット９５３０の構成について説明する。図８３は、第９実施形態における駆動ユニット９５３０の分解斜視正面図である。
【０６２３】
図８３に示すように、第９実施形態の駆動ユニット８５３０は、ソレノイド５３１と、そのソレノイド５３１に連結される摺動部材８５３２と、その摺動部材８５３２に連結される回転部材９５３３と、その回転部材９５３３及び摺動部材８５３２を内部に変位可能な状態で配設する第１ケース部材５３４と、その第１ケース部材５３４の背面側に取着される第２ケース部材５３６とを主に備えて形成される。
【０６２４】
回転部材９５３３は、側面視略Ｌ字に形成される板状体を左右方向に所定の幅を隔てて２つ並設されると共に、一端側の対向間が連結部５３３ａにより連結して形成される。回転部材９５３３の２つの板状体の対向間における隙間は、遊技球の直径よりも大きく設定される。これにより、回転部材９５３３の内側（２つの板状体の対向間）に遊技球を通過させることができる。
【０６２５】
また、回転部材９５３３の左右方向における幅寸法（２つの板状体の外側面の対向間寸法）は、摺動部材８５３２の２つの第１突起５３２ｂの内側の対向間寸法よりも、小さく設定される。これにより、回転部材９５３３を、摺動部材８５３２の第１突起５３２ｂの対向間に配置できる。
【０６２６】
回転部材９５３３は、側面視略Ｌ字の屈曲部分から左右方向両側に突出する回転軸５３３ｃと、側面視略Ｌ字の一端側の端部から左右方向両側に突出する突起５３３ｂと、側面視略Ｌ字の他端側の先端に正面側に突出する突設部９５３３ｄと、連結部５３３ａの左右方向中央位置から正面側に突設される第２突起８５３３ｅとを主に備えて形成される。
【０６２７】
突設部９５３３ｄは、正面側の端部から突設して形成されており、その上部（図８４（ａ）上部）側面に、羽部材５２０Ｌ，５２０Ｒの突起５２３Ｌ，５２３Ｒが当接可能な長さに設定される。
【０６２８】
次いで、図８４から図８６を参照して、駆動ユニット５３０の動作について説明する。図８４（ａ）及び図８４（ｂ）は、第１電動役物５２０及び駆動ユニット５３０の側面図である。図８５（ａ）及び図８５（ｂ）は、第１電動役物５２０及び駆動ユニット５３０の正面図である。図８６（ａ）及び図８６（ｂ）は、入賞口ユニット５００の断面図である。
【０６２９】
なお、図８４及び図８５では、第１ケース部材５３４及び第２ケース部材５３５が透明視された状態が図示される。また、図８４（ａ）、図８５（ａ）及び図８６（ａ）では第１電動役物５２０が第１状態とされた状態が、図８４（ｂ）、図８５（ｂ）及び図８６（ｂ）では第１電動役物５２０が第２状態とされた状態がそれぞれ図示される。更に、図８６（ａ）及び図８６（ｂ）は、図１７の断面図と対応する。
【０６３０】
図８４から図８６に示すように、ソレノイド５３１の可動体５３１ｂが、本体部５３１ａから張り出された状態では、回転部材８５３３の突起５３３ｂが正面側（図８４（ａ）左側）に押されて、突設部９５３３ｆを下方に位置させた状態とされる。これにより、第１電動役物５２０は、突起５２３が下方に押し下げられて第１状態とされる。
【０６３１】
なお、第９実施形態では、第１電動役物５２０の回転軸に図示しない付勢ばねが配設されており、その付勢ばねの付勢力により第１電動役物５２０に第１状態側へ回転変位する付勢力が常時作用される。これにより、第１電動役物５２０が、ソレノイド５３１の駆動以外の力（例えば、パチンコ機の揺れ）によって第２状態に変位された際に、第２状態に留まることを抑制できる。
【０６３２】
一方、ソレノイド５３１の可動体５３１ｂが、本体部５３１ａの内部に引き込まれた状態では、回転部材８５３３の突起５３３ｂが背面側（図７９（ｂ）右側）に引き込まれて、突設部９５３３ｆが上方に変位される。これにより、第１電動役物５２０は、突起５３３ｂが上方に押し上げられた第２状態とされる。
【０６３３】
この場合、突設部９５３３ｆと第１電動役物５２０の突起５２３Ｌ，５２３Ｒとが常に当接することで、第１電動役物５２０を第２状態に維持することができる。
【０６３４】
また、第２状態からソレノイド５３１の可動体５３１ｂを本体部５３１ａから張り出して、突設部９５３３ｆを下方に変位させることにより、第１電動役物５２０は付勢ばねの付勢力で回転されて第１状態へ変位される。
【０６３５】
次いで、図８７を参照して、第１電動役物５２０が不正に操作された場合の説明をする。図８７（ａ）及び図８７（ｂ）は、入賞口ユニット５００の断面図である。なお、図８７（ａ）及び図８７（ｂ）は、図１７の断面図と対応する。また、図８７（ａ）では第１電動役物５２０が第１状態とされた状態が、図８７（ｂ）では第１電動役物５２０が第２状態とされた状態が、それぞれ図示される。
【０６３６】
図８７（ａ）及び図８７（ｂ）に示すように、ソレノイド５３１の可動体５３１ｂが本体部５３１ａから張り出された状態で、遊技者の不正行為により第１電動役物５２０が操作されて第１状態から第２状態とされた際には、第１電動役物５２０のみが回転変位される。
【０６３７】
従って、第２突起８５３３ｅの立設壁８５３３ｅ１の先端が下方に位置された状態とされるので、立設壁８５３３ｅ１により、遊技球が立設部５３４ｂの上端面を転動して第２ケース部材５３５に送球されることを抑制できる。
【０６３８】
この（ソレノイド５３１の可動体５３１ｂが本体部５３１ａから張り出された状態の）場合、上述したように、摺動部材８５３２の第３突起８５３２ｅが回転部材８５３３の連結部５３３ａの上部に位置される。よって、回転部材８５３３の回転変位を規制することができる。従って、遊技者側から立設壁８５３３ｅ１を操作することを抑制できる。その結果、遊技者の不正行為により店舗側に不利益となることを抑制できる。
【０６３９】
また、第９実施形態では、遊技球の入球を規制する第２突起８５３３ｅ及びその第２突起が変位されることを抑制する第３突起８５３２ｅが、回転部材９５３３及び摺動部材８５３２に一体に形成されるので、駆動ユニット９５３０の部品点数を少なくすることができる。その結果、駆動ユニット９５３０の製造コストを低下することができる。
【０６４０】
さらに、第９実施形態では、遊技者の不正行為により第１電動役物５２０が壊されることを抑制できる。その結果、遊技者の不正行為による店舗側の損失を抑えることができる。
【０６４１】
即ち、第９実施形態では、一対の羽部材５２０Ｌ，５２０Ｒを閉鎖方向へ付勢する付勢ばねを備え、回転部材９５３３は、開放回転位置へ向けて回転される際に一対の羽部材５２０Ｌ，５２０Ｒに当接して開放させる突設部９５３３ｆを備え、回転部材９５３３が閉鎖回転位置へ向けて回転されると一対の羽部材５２０Ｌ，５２０Ｒが付勢ばねの付勢力により閉鎖されるので、一対の羽部材５２０Ｌ，５２０Ｒが外部から不正に強制開放された際に、一対の羽部材５２０Ｌ，５２０Ｒが回転部材９５３３に当接されず、かかる強制開放による外力が回転部材９５３３に作用されることを回避できる。その結果、一対の羽部材５２０Ｌ，５２０Ｒ、回転部材９５３３または摺動部材８５３２が破損されることを抑制できる。
【０６４２】
なお、第１電動役物５２０に第１状態側へ回転変位する付勢力を常時作用させる付勢手段としては、一対の羽部材５２０Ｌ，５２０Ｒを弾性回復力により閉鎖方向へ付勢するばね（ねじりばねやコイルスプリング）だけでなく、一対の羽部材５２０Ｌ，５２０Ｒを吸着力により閉鎖方向へ付勢する磁石などが例示される。
【０６４３】
次いで、図８８から図９１を参照して、第１０実施形態の変位部材１０６７０について説明する。上記第１実施形態では、変位部材６７０の変位に伴って、ねじりバネＳＰ２の付勢力を非線形状に小さく（又は大きく）変位させる場合を説明したが、第１０実施形態では、回転部材１０６７８を変位させることでねじりバネＳＰ２の付勢力を変化させる。なお、上述した各実施形態と同一の部分には同一の符号を付して、その説明は省略する。
【０６４４】
初めに、図８８及び図８９を参照して、第１０実施形態における変位部材１０６７０の構成について説明する。図８８（ａ）は、第１０実施形態における変位部材１０６７０の正面図であり、図８８（ｂ）は、変位部材１０６７０の側面図である。図８９は、変位部材１０６７０の分解斜視正面図である。
【０６４５】
図８８及び図８９に示すように、第１０実施形態の変位部材１０６７０は、延設部材６７１と、その延設部材６７１と対向して配設される延設部材１０６７１と、その延設部材１０６７１及び延設部材６７１に連結される装飾ユニット６７２と、延設部材に回転可能な状態で配設される回転部材１０６７８とを主に備えて形成される。
【０６４６】
延設部材１０６７１は、正面視略Ｌ字状に形成されており、長手側の端部に正面視左右方向に貫通する軸支孔６７１ａと、長手側の長手方向略中央位置に左右外側に突出する連結突起６７１ｂと、その連結突起６７１ｂよりも軸支孔６７１ａ側に円柱状に突出形成される回転軸１０６７１ｅとを主に備えて形成される。
【０６４７】
回転部材１０６７８は、側面視略矩形に形成されると共に、側面視においてその長手方向を延設部材１０６７１の長手側の長手方向と略直角に交わる状態で延設部材１０６７１に配設される。
【０６４８】
回転部材１０６７８は、左右方向に貫通する軸支孔１０６７８ａと、長手方向の一端側に延設部材１０６７１の軸支孔１０６７１ａの周方向に貫通形成される貫通孔１０６７８ｂと、長手方向の他端側の側面に切り欠いて形成される傾斜面１０６７８ｃとを主に備えて形成される。
【０６４９】
軸支孔１０６７８ａは、延設部材１０６７１の回転軸１０６７１ｅが挿入される孔であり、回転軸１０６７１ｅの外径よりも内径が大きく形成される。よって、回転軸１０６７１ｅを軸支孔１０６７７ａに挿入して、回転軸１０６７１ｅにねじ止めすることで、回転部材１０６７８を延設部材１０６７１に回転可能な状態で配設できる。
【０６５０】
貫通孔１０６７８ｂは、ねじりバネＳＰ２が挿入される孔であり、ねじりバネＳＰ２の外径よりも大きく形成される。
【０６５１】
次いで、図９０及び図９１を参照して、回転部材１０６７８の動作について説明する。図９０は、上下変位ユニット６００Ｌの断面図である。図９１（ａ）及び図９１（ｂ）は、図９０の範囲ＸＣＩにおける上下変位ユニット６００Ｌの部分拡大図である。
【０６５２】
なお、図９０は、図５８（ｂ）の断面図と対応する。また、図９１（ａ）及び図９１（ｂ）では、変位部材６７０，１０６７０が変位された際の状態が図示され、図９１（ｂ）では、互いの装飾ユニット６７２の側面が当接した状態の断面が図示される。
【０６５３】
図９０に示すように、第１０実施形態における上下変位ユニット６００Ｌには、上方側に変位部材６７０が配設されると共に、下方側に変位部材１０６７０が配設され、変位部材６７０，１０６７０の軸支孔６７１ａの軸が同軸上に配置される。即ち、第１実施形態では、上下反対向きに一対配置され変位部材６７０のうち、下側の変位部材６７０を変位部材１０６７０に変更した状態とされる。なお、変位部材１０６７０の駆動手段については、第１実施形態の変位部材６７０を駆動させる手段と同様であるため、その詳しい説明は省略する。
【０６５４】
次いで、図９１に示すように、上下に配設される変位部材６７０，１０６７０の装飾ユニット６７２が互いに近づく方向に変位されると、互いの延設部材６７１，１０６７１が近づけられる。
【０６５５】
図９１（ｂ）に示す、装飾ユニット６７２の側面同士が当接された状態では、回転部材１０６７８の傾斜面１０６７８ｃが、延設部材６７１の側面と当接される。これにより、傾斜面１０６７８ｃが、延設部材６７１の側面と略平行となる状態に、回転部材１０６７８が軸支孔１０６７８ａを軸に回転される（図９１（ｂ）では、回転部材１０６７８が軸支孔１０６７８ａを軸に反時計回りに回転される）。
【０６５６】
従って、傾斜面１０６７８ｃと軸支孔１０６７８ａを挟んだ反対側に形成される貫通孔１０６７８ｂも同様に回転される。貫通孔１０６７８ｂの位置が変位されることで、貫通孔１０６７８ｂがねじりバネＳＰ２と係合する位置が変化される。
【０６５７】
第９実施形態では、貫通孔１０６７８ｂの位置がねじりバネＳＰ２の端部側から基端側に変位される。よって、ねじりバネＳＰ２から変位部材１０６７０に作用する付勢力を大きくすることができる。
【０６５８】
従って、装飾ユニット６７２の側面同士が当接された状態とされる場合に、上下変位ユニット６００Ｌの下方に配設される変位部材１０６７０に作用するねじりバネＳＰ２の付勢力を大きくできる。その結果、装飾ユニット６７２の側面同士を当接させた状態で、変位部材６７０，１０６７０を変位させる際に、装飾ユニット６７２の側面同士の当接が離れることを抑制できる。
【０６５９】
また、回転部材１０６７８が配設される延設部材１０６７１は、変位部材１０６７０を駆動させる駆動手段６８０の従動側（連結棒６８１を介して動作される側）であるので、駆動モータＫＭ３からの駆動力の伝達が駆動側（大径ギヤ６８３の突起６８３ｂに連結される側）に比べて駆動力が小さくされるところ、かかる回転部材１０６７８の変位によりねじりバネＳＰ２の付勢力を大きくして、駆動力の不足分を補うことができる。その結果、装飾ユニット６７２の側面同士の当接が離れることを抑制できる。
【０６６０】
次いで、図９２から図９４を参照して、第１１実施形態の上下変位ユニット１１６００Ｌについて説明する。上記第１実施形態では、変位部材６７０が左右両側から駆動力が伝達される場合を説明したが、第１１実施形態では、変位部材１１６７０が一方側のみから駆動力が伝達される。なお、上述した各実施形態と同一の部分には同一の符号を付して、その説明は省略する。
【０６６１】
また、図９２から図９４では、図６１から図６３と同様に、上下変位ユニット６００Ｌの上側に配設される変位部材６７０及びその変位部材６７０を駆動する駆動手段の符号の末尾にＵを付与すると共に、上下変位ユニット６００Ｌの下側に配設され変位部材６７０及びその変位部材６７０を駆動する駆動手段の符号の末尾にＤの符号を付与して説明する。
【０６６２】
図９２から図９４を参照して、上下変位ユニット１１６００Ｌの動作について説明する。図９２から図９４は、第１１実施形態における上下変位ユニット１１６００Ｌの模式図である。なお、図９２から図９４では、変位部材１１６７０の遷移状態が順に図示される。
【０６６３】
図９２に示すように、第１１実施形態における上下変位ユニット１１６００Ｌは、変位部材１１６７０の延設部材６７１が片側のみに配設される。即ち、上記第１実施形態では、変位部材６７０に左右対称に一対配設される延設部材６７１が、第１１実施形態では、延設部材６７１がどちらか一方にのみ配設された状態とされる。
【０６６４】
また、第１１実施形態では、駆動手段６８０が駆動側（大径ギヤ６８３の突起６８３ｂに連結される側）のみ形成され、延設部材６７１は、駆動側の駆動手段に連結される。よって、上下変位ユニット１１６００Ｌに上下一対に配設される変位部材１１６７０の延設部材６７１は、上下で左右反対に配設される。
【０６６５】
図９３に示すように、上下に配置される変位部材１１６７０が変位されると、互いの装飾ユニット６７２の側面を上下変位ユニット１１６００Ｌの上下中央位置で当接させた状態とされる。
【０６６６】
図９４に示すように、図９３の状態から両者を同方向に変位させることで、互いの装飾ユニット６７２の側面を当接させた状態で、上下方向に変位させることができる。
【０６６７】
第１１実施形態の場合、変位部材１１６７０の延設部材６７１が片側に配置されるので、駆動側と反対側の装飾ユニット６７２の駆動が遅くなり、２つの装飾ユニット６７２の間に隙間ができる恐れがあるところ、かかる延設部材６７１は上下で左右反対側に配設されるので、一方の装飾ユニット６７２の駆動側と反対側の端部を他方の装飾ユニット６７２の駆動側の端部で押すことができる。その結果、２つの装飾ユニット６７２の間に隙間ができることを抑制できる。
【０６６８】
この場合、装飾ユニット６７２の変位方向側の変位部材１１６７０の駆動のタイミングを遅らせることが好ましい。装飾ユニット６７２の変位方向側の変位部材１１６７０の駆動のタイミングを遅らせることで、２つの装飾ユニット６７２の間に隙間ができることを抑制できる。
【０６６９】
詳しく説明すると、装飾ユニット６７２の変位方向側と反対側の変位部材１１６７０の駆動のタイミングが早くされることで、先に駆動された装飾ユニット６７２の駆動側の端部が後に駆動される装飾ユニット６７２の駆動側と反対側の端部を押し出すことができる。一方、先に駆動された装飾ユニット６７２の駆動側と反対側の端部は、後に駆動される装飾ユニット６７２の駆動側の端部とより強い力で当接される。その結果、２つの変位部材１１６７０を装飾ユニット６７２の側面を当接させた状態で変位させる際に、２つの装飾ユニット６７２の間に隙間ができることを抑制できる。
【０６７０】
また、第１１実施形態の場合、変位部材１１６７０の延設部材６７１が片側とされることで、変位部材１１６７０（延設部材６７１）を変形させやすくできる。従って、装飾ユニット６７２の変位方向側と反対側の変位部材１１６７０の駆動のタイミングが早くされることで、互いの変位部材１１６７０（延設部材６７１）を変形させて、変位が戻る際の弾性力を利用して、２つの装飾ユニット６７２の間に隙間ができることを抑制できる。
【０６７１】
次いで、図９５を参照して、第１２実施形態の入賞口ユニット５００について説明する。上記第１実施形態では、入賞口ユニット５００の正面ベース５１１及び背面ベース５１２の厚みが略一定に形成される場合を説明したが、第１１実施形態では、正面ベース５１１及び背面ベース５１２の厚みが部分的に変更される。なお、上述した各実施形態と同一の部分には同一の符号を付して、その説明は省略する。
【０６７２】
図９５（ａ）は、第１２実施形態における入賞口ユニット５００の上面図であり、図９５（ｂ）は、図９５（ａ）のＸＣＶｂ−ＸＣＶｂ線における入賞口ユニット５００の断面図である。なお、図９５（ａ）では、正面ベース５１１が透明視されて図示されると共に、図９５（ｂ）では、正面ベース５１１が不透明視されて図示される。また、図９５（ｂ）では、図２４（ｂ）と同様に側面５２６Ｌ，５２６Ｒを転動する遊技球の転動方向が仮想線ＫＳ１の符号と共に、２点鎖線で図示される。更に、仮想線ＫＳ１の正面方向が矢印Ｆで図示され、背面方向が矢印Ｂで図示される。
【０６７３】
図９５に示すように、正面ベース５１１は、第２入賞口１４０を間に介した左右において前後方向（図９５（ｂ）上下方向）の厚みが部分的に異なって形成される。即ち、第２入賞口１４０の右側上部において背面側に膨出する正面側膨出部１２５１１ｆを備える。
【０６７４】
また、背面ベース５１２は、第２入賞口１４０を間に介した左右において前後方向（図９５（ｂ）上下方向）の厚みが部分的に異なって形成される。即ち、第２入賞口１４０の左側上部において背面側に膨出する背面側膨出部１２５１２ｄを備える。
【０６７５】
正面側膨出部１２５１１ｆ及び背面側膨出部１２５１２ｄは、一対の羽部材５２０Ｌ，５２０Ｒの変位領域の外側に形成される。これにより、一対の羽部材５２０Ｌ，５２０Ｒと正面側膨出部１２５１１ｆ及び背面側膨出部１２５１２ｄとが衝突することが抑制される。
【０６７６】
また、正面側膨出部１２５１１ｆ及び背面側膨出部１２５１２ｄは、その端部が一対の羽部材５２０Ｌ，５２０Ｒの開放状態における側面５２６Ｌ，５２６Ｒの上面よりも、左右方向（図９５（ｂ）左右方向）外側に位置される。これにより、第１電動役物５２０の上流側から流下され、側面５２６Ｌ，５２６Ｒに送球される可能性がある遊技球を確実に正面側膨出部１２５１１ｆ及び背面側膨出部１２５１２ｄに衝突させることができる。
【０６７７】
正面側膨出部１２５１１ｆは、右羽部材５２０Ｒの膨出部５２４Ｒの前後方向の形成位置と対向する側面に形成される。言い変えると、膨出部５２４Ｒの前後方向の形成位置と反対側の前後方向に位置する側面に正面側膨出部１２５１１ｆが形成される。
【０６７８】
一方、背面側膨出部１２５１２ｄは、左羽部材５２０Ｌの膨出部５２４Ｌの前後方向の形成位置と対向する側面に形成される。言い変えると、膨出部５２４Ｌの前後方向の形成位置と反対側の前後方向に位置する側面に背面側膨出部１２５１２ｄが形成される。
【０６７９】
これにより、第１電動役物５２０の右側上方を流下する遊技球を正面側膨出部１２５１１ｆに衝突させて背面側に案内することができる。従って、第１電動役物５２０の右側上方を流下する遊技球が右羽部材５２０Ｒの側面５２６Ｒに送球された際に背面側に寄せておくことができる。その結果、側面５２６Ｒを転動する遊技球を膨出部５２４Ｒに衝突させやすくできる。
【０６８０】
一方、第１電動役物５２０の左側上方を流下する遊技球を背面側膨出部１２５１２ｄに衝突させて、正面側に案内することができる。従って、第１電動役物５２０の左側上方を流下する遊技球が左羽部材５２０Ｌの側面５２６Ｌに送球された際に正面側に寄せておくことができる。その結果、側面５２６Ｌを転動する遊技球を膨出部５２４Ｌに衝突させやすくできる。
【０６８１】
よって、案内面（側面５２６Ｌ，５２６Ｒ）を案内（転動）される遊技球を膨出部５２４Ｌ，５２４Ｒに当接させることで、かかる遊技球を確実に偏倚させることができる。その結果、第２入賞口１４０へスムーズに入球させることができると共に、球詰まりを抑制できる。
【０６８２】
また、一方の羽部材（羽部材５２０Ｌ，５２０Ｒのどちらか一方）における案内面へ進入した遊技球が一方の羽部材（羽部材５２０Ｌ，５２０Ｒのどちらか他方）における案内面へ到達した場合には、かかる遊技球を他方の羽部材における突設部に当接させることができる。よって、一方の羽部材（羽部材５２０Ｌ，５２０Ｒのどちらか一方）における案内面へ進入した遊技球が他方の羽部材における案内面を通り抜けることを抑制できる。その結果、遊技球を入球口へ入球させて、遊技者の興趣を向上できる。
【０６８３】
さらに、第１２実施形態では、羽部材５２０Ｌ，５２０Ｒに送球される遊技球を正面側膨出部１２５１１ｆ及び背面側膨出部１２５１２ｄに衝突させることで、送球速度を遅くすることができる。従って、羽部材５２０Ｌ，５２０Ｒの側面５２６Ｌ，５２６Ｒを転動する遊技球の転動速度を遅くすることができる。その結果、膨出部５２４Ｌ，５２４Ｒに衝突した際の衝撃を小さくすることができ、羽部材５２０Ｌ，５２０Ｒが破損することを抑制できる。
【０６８４】
次いで、図９６を参照して、第１３実施形態の入賞口ユニット５００について説明する。上記第１３実施形態の入賞口ユニット５００は、第１実施形態の正面ベース５１１及び背面ベース５１２の対向間に突出する突起を備えて形成される。なお、上述した各実施形態と同一の部分には同一の符号を付して、その説明は省略する。
【０６８５】
図９６（ａ）は、第１３実施形態における入賞口ユニット５００の上面図であり、図９６（ｂ）は、図９６（ａ）のＸＣＶＩｂ−ＸＣＶＩｂ線における入賞口ユニット５００の断面図である。なお、図９６（ａ）では、正面ベース５１１が透明視されて図示されると共に、図９６（ｂ）では、正面ベース５１１が不透明視されて図示される。また、図９６（ｂ）では、図２４（ｂ）と同様に側面５２６Ｌ，５２６Ｒを転動する遊技球の転動方向が仮想線ＫＳ１の符号と共に、２点鎖線で図示される。更に、仮想線ＫＳ１の正面方向が矢印Ｆで図示され、背面方向が矢印Ｂで図示される。
【０６８６】
図９６に示すように、正面ベース５１１は、第２入賞口１４０の左側に背面ベース５１２側に突出する突起１３５１１ｇが形成される。また、背面ベース５１２は、第２入賞口１４０の右側に正面ベース５１１側に突出する突起１３５１２ｅが形成される。
【０６８７】
突起１３５１１ｇ及び突起１３５１２ｅは、一対の羽部材５２０Ｌ，５２０Ｒの変位領域の外側に形成される。これにより、一対の羽部材５２０Ｌ，５２０Ｒと突起１３５１１ｇ及び突起１３５１２ｅとが衝突することが抑制される。
【０６８８】
突起１３５１１ｇは、右羽部材５２０Ｒの膨出部５２４Ｒの前後方向の形成位置と同じ側の側面に形成される。一方、突起１３５１２ｅは、左羽部材５２０Ｌの膨出部５２４Ｌの前後方向の形成位置と対向する側面に形成される。
【０６８９】
これにより、第１電動役物５２０の右側上方を流下する遊技球を突起１３５１１ｇに衝突させて、正面側に案内することができる。従って、第１電動役物５２０の右側上方を流下する遊技球が右羽部材５２０Ｒの側面５２６Ｒに送球された際には、その遊技球を正面側に寄せておくことができる。その結果、第１電動役物５２０の右側上方を流下する遊技球が側面５２６Ｒに送球された際に膨出部５２４Ｒに衝突しにくくできる。その結果、羽部材５２０Ｒが破損することを抑制できる。
【０６９０】
また、第１電動役物５２０の右側から羽部材５２０Ｒの側面５２６Ｒに送球される遊技球は、羽部材５２０Ｒの上方に形成される突起１３５１１ｇに衝突することなく側面５２６Ｒに送球されることとなる。この場合の遊技球は、側面５２６Ｒを転動させる際に膨出部５２４Ｒに衝突させることで、背面側に案内することができる。
【０６９１】
一方、第１電動役物５２０の左側上方を流下する遊技球は、突起１３５１２ｅに衝突させて、背面側に案内することができる。従って、第１電動役物５２０の左側上方を流下する遊技球が左羽部材５２０Ｌの側面５２６Ｌに送球された際には、その遊技球を背面側に寄せておくことができる。その結果、第１電動役物５２０の左側上方を流下する遊技球が側面５２６Ｌに送球された際に膨出部５２４Ｌに衝突しにくくできる。その結果、羽部材５２０Ｌが破損することを抑制できる。
【０６９２】
また、第１電動役物５２０の左側から羽部材５２０Ｌの側面５２６Ｌに送球される遊技球は、羽部材５２０Ｌの上方に形成される突起１３５１２ｅに衝突することなく側面５２６Ｌに送球されることとなる。この場合の遊技球は、側面５２６Ｌを転動させる際に、膨出部５２４Ｌに衝突させることで、正面側に案内することができる。
【０６９３】
よって、案内面（側面５２６Ｌ，５２６Ｒ）を案内（転動）される遊技球を膨出部５２４Ｌ，５２４Ｒに当接させることで、かかる遊技球を確実に偏倚させることができる。その結果、第２入賞口１４０へスムーズに入球させることができると共に、球詰まりを抑制できる。
【０６９４】
また、一方の羽部材（羽部材５２０Ｌ，５２０Ｒのどちらか一方）における案内面へ進入した遊技球が一方の羽部材（羽部材５２０Ｌ，５２０Ｒのどちらか他方）における案内面へ到達した場合には、かかる遊技球を他方の羽部材における突設部に当接させることができる。よって、一方の羽部材（羽部材５２０Ｌ，５２０Ｒのどちらか一方）における案内面へ進入した遊技球が他方の羽部材における案内面を通り抜けることを抑制できる。その結果、遊技球を入球口へ入球させて、遊技者の興趣を向上できる。
【０６９５】
さらに、突起１３５１１ｇ及び突起１３５１２ｅにより羽部材５２０Ｌ，５２０Ｒの膨出部５２４Ｌ，５２４Ｒに衝突する遊技球を少なくすることができるので、羽部材５２０Ｌ，５２０Ｒの耐久性を向上することができる。
【０６９６】
次いで、図９７及び図９８を参照して、第１４実施形態の羽部材１４５２０Ｌ，１４５２０Ｒ（第１可変装置１４５２０）について説明する。第１４実施形態の羽部材１４５２０Ｌ，１４５２０Ｒは、上記第１実施形態と膨出部５２４Ｌ，５２４Ｒの前後方向の幅寸法が異なって形成される。なお、上述した各実施形態と同一の部分には同一の符号を付して、その説明は省略する。
【０６９７】
図９７（ａ）は、第１４実施形態における左羽部材５２０Ｌの斜視正面図であり、図９７（ｂ）は、右羽部材５２０Ｒの斜視正面図である。図９８（ａ）は、入賞口ユニット５００の断面図であり、図９８（ｂ）は、図９８（ａ）のＸＣＶＩＩＩｂ−ＸＣＶＩＩＩｂ線における左羽部材５２０Ｌの断面模式図であり、図９８（ｃ）は、図９８（ｂ）のＸＣＶＩＩＩｃ−ＸＣＶＩＩＩｃ線における右羽部材５２０Ｒの断面模式図である。
【０６９８】
なお、図９７（ａ）及び図９７（ｂ）では、その左右方向における斜視方向が左右反対視されて図示される。また、図９８（ｂ）の断面図は、図２４（ｂ）の断面図と対応する。図９８（ａ）では、図２４（ｂ）と同様に側面１４５２６Ｌ，１４５２６Ｒを転動する遊技球の転動方向が仮想線ＫＳ１の符号と共に、２点鎖線で図示される。更に、仮想線ＫＳ１の正面方向が矢印Ｆで図示され、背面方向が矢印Ｂで図示される。
【０６９９】
図９７及び図９８に示すように、左羽部材１４５２０Ｌは、正面視略三角形に形成されると共に、前後方向に遊技球の直径よりも大きい寸法に形成される。左羽部材１４５２０Ｌは、重力方向下端部分に、前後方向に貫通する貫通孔５２１Ｌと、その貫通孔５２１Ｌの周囲に正面側から背面側に凹設される凹部５２２Ｌと、貫通孔５２１Ｌの近傍から背面側に突設される突起５２３Ｌと、貫通孔５２１Ｌ側の端面に貫通孔５２１Ｌの径方向に凹設される凹設部５２５Ｌと、閉鎖状態において一対の羽部材１４５２０Ｌ，１４５２０Ｒの対向する面の側面１４５２６Ｌと、その側面１４５２６Ｌに突出形成される膨出部１４５２４Ｌと、を主に備えて形成される。
【０７００】
側面１４５２６Ｌは、前後方向略中央位置から背面側に向かって上方傾斜して形成される傾斜面１４５２６Ｌ１と、前後方向略中央位置から正面側に形成される平滑面１４５２６Ｌ２とを備える。
【０７０１】
傾斜面１４５２６Ｌ１は、背面側（図９８（ｂ）左側）から平滑面１４５２６Ｌ２側に向かって下方傾斜して形成される。これにより、側面１４２５６Ｌに送球される遊技球のうち、傾斜面１４５２６Ｌ１に送球される遊技球を、その下方傾斜により、平滑面１４５２Ｌ２側に案内することができる。
【０７０２】
また、膨出部１４５２４Ｌは、傾斜面１４５２６Ｌ１の基端側（図９８（ｂ）紙面奥側）に形成される。膨出部１４５２４Ｌは、その前後方向における幅寸法が羽部材１４５２０Ｌの前後方向幅の半分よりも小さく形成される。即ち、膨出部１４５２４Ｌの前後方向幅よりも、膨出部１５２５４Ｌの前後方向幅の方が小さくされる。
【０７０３】
上述したように、左羽部材１４５２０Ｌの側面１４５２６Ｌを転動する遊技球のうちの傾斜面１４５２６Ｌ１を転動する遊技球は、平滑面１４５２６Ｌ２側に転動されるので、側面１４５２６Ｌを転動する遊技球が膨出部１４５２４Ｌに衝突する確率を小さくすることができる。
【０７０４】
一方、右羽部材１４５２０Ｒは、正面視略三角形に形成されると共に、前後方向に遊技球の直径よりも大きい寸法に形成される。右羽部材１４５２０Ｒは、重力方向下端部分に前後方向に貫通する貫通孔５２１Ｒと、その貫通孔５２１Ｒの周囲に正面側から背面側に凹設される凹部５２２Ｌと、貫通孔５２１Ｒの近傍から背面側に突設される突起５２３Ｒと、貫通孔５２１Ｒ側の端面に貫通孔５２１Ｒの軸方向に凹設される凹設部５２５Ｒと、閉鎖状態において一対の羽部材１４５２０Ｌ，１４５２０Ｒの対向する面の側面１４５２６Ｒと、その側面１４５２６Ｒに突出形成される膨出部１４５２４Ｒと、を主に備えて形成される。
【０７０５】
側面１４５２６Ｒは、前後方向略中央位置から背面側に向かって上方傾斜して形成される傾斜面１４５２６Ｒ１と、前後方向略中央位置から正面側に形成される平滑面１４５２６Ｒ２とを備える。
【０７０６】
傾斜面１４５２６Ｒ１は、背面側（図９８（ｃ）右側）から平滑面１４５２６Ｒ２側に向かって下方傾斜して形成される。これにより、側面１４２５６Ｒに送球される遊技球のうち、傾斜面１４５２６Ｒ１に送球される遊技球を、その下方傾斜により、平滑面１４５２Ｒ２側に案内することができる。
【０７０７】
また、膨出部１４５２４Ｒは、傾斜面１４５２６Ｒ１の基端側（図９８（ｂ）紙面奥側）に形成される。膨出部１４５２４Ｌは、その前後方向における幅寸法が羽部材１４５２０Ｌの前後方向幅の半分よりも大きく形成される。即ち、膨出部１４５２４Ｌの前後方向幅よりも、傾斜面１４５２６Ｒ１の前後方向幅の方が大きくされる。よって、左羽部材１４５２０Ｌの膨出部１４５２４Ｌの前後方向幅よりも、右羽部材１４５２０Ｒの膨出部１４５２４Ｒの前後方向幅の方が大きく形成される。
【０７０８】
上述したように、右羽部材１４５２０Ｒの側面１４５２６Ｒを転動する遊技球のうちの傾斜面１４５２６Ｒ１を転動する遊技球は、平滑面１４５２６Ｒ２側に転動されるので、側面１４５２６Ｒを転動する遊技球が膨出部１４５２４Ｒに衝突する確率を小さくすることができる。
【０７０９】
また、第１４実施形態のパチンコ機１０は、第１電動役物５２０の左側から遊技球が流下して、開放状状態の羽部材５２０Ｌ，５２０Ｒの側面５２６Ｌ，５２６Ｒに送球されやすい形態に形成される。詳しく説明すると、パチンコ機１０は、一対の羽部材５２０Ｌ，５２０Ｒを開放状態とする第１スルーゲート６６が、センタフレーム８６の左側に配置され、時短中や確変中に遊技球をセンタフレーム８６の左側に向けて打出しされるように構成される。これにより、遊技盤１３を流下する遊技球は、全体的に遊技盤１３の左側を流下して、第１可変装置１４５２０（一対の羽部材１４５２０Ｌ，１４５２０Ｒ）の左側から側面１４５２６Ｌ，１４５２６Ｒに送球されやすくなる。
【０７１０】
そのため、右羽部材１４５２０Ｒに比べて、左羽部材１４５２０Ｌの側面１４５２６Ｌに多く遊技球が送球され、左羽部材１４５２０Ｌの膨出部１４５２４Ｌの摩耗が早くなり、左羽部材１４５２０Ｌが壊れやすくなるという問題点があった。
【０７１１】
これに対し、第１４実施形態では、側面１４５２６Ｌ，１４５２６Ｒに傾斜面１４５２６Ｌ１，１４５２６Ｒ１を形成すると共に、その傾斜面１４５２６Ｌ１，１４５２６Ｒ１に膨出部１４５２４Ｌ，１４５２４Ｒを形成し、遊技球が多く送球される側の膨出部１４５２４Ｌ，１４５２４Ｒを前後方向に小さく形成するので、多く送球される側の羽部材１４５２０Ｌの膨出部１４５２４Ｌに遊技球が衝突する確率を小さくすることで、膨出部１４５２４Ｌの摩耗が早くされることを抑制することができる。その結果、遊技球が多く送球される側の羽部材１４５２０Ｌ，１４５２０Ｒが壊れやすくなることを抑制できる。
【０７１２】
次いで、図９９及び図１００を参照して、第１５実施形態における可変入賞装置１５０６５について説明する。上記第１実施形態では、一対の羽部材５２０Ｌ，５２０Ｒに膨出部５２４Ｌ，５２４Ｒが形成される場合を説明したが、第１５実施形態では、可変入賞装置６５に膨出部１５０６５ｂ，１５０６５ｃが形成される。なお、上述した各実施形態と同一の部分には同一の符号を付して、その説明は省略する。
【０７１３】
図９９（ａ）は、第１５実施形態における遊技盤１３の部分拡大図であり、図９９（ｂ）は、図９９のＸＣＩＸｂ−ＸＣＩＸｂ線における遊技盤１３の断面図である。図１００（ａ）は、遊技盤１３の部分拡大図であり、図１００（ｂ）は、図１００（ａ）におけるＣｂ−Ｃｂ線における遊技盤１３の断面図である。
【０７１４】
なお、図９９（ａ）及び図１００（ａ）は、図２９の部分拡大図と対応する。また、図９９では、可変入賞装置１５０６５の閉鎖状態が図示され、図１００では、可変入賞装置１５０６５の開放状態が図示される。また、図１００（ｂ）では、図２４（ｂ）と同様に側面１５０６５ａを転動する遊技球の転動方向が仮想線ＫＳ１の符号と共に、２点鎖線で図示される。更に、仮想線ＫＳ１の正面方向が矢印Ｆで図示され、背面方向が矢印Ｂで図示される。
【０７１５】
また、可変入賞装置１５０６５の閉鎖状態とは、板状態に形成される可変入賞装置１５０６５の平面が遊技盤１３の正面側の平面と略平行に位置され、遊技領域を流下する遊技球が特定入賞口（大開放口）６５ａに入球不能とされる状態である。一方、可変入賞装置１５０６５の開放状態とは、可変入賞装置１５０６５の平面が、遊技盤１３の正面側の平面と略直交に位置され、遊技領域を流下する遊技球が特定入賞口（大開放口）６５ａに入球可能とされる状態である。
【０７１６】
図９９及び図１００に示すように、可変入賞装置１５０６５は、左右に長い板状体に形成されると共に、背面側の一端を軸に遊技盤１３に対して回転可能に配設される。また、可変入賞装置１５０６５は、背面側に図示しない駆動装置に連結されており、駆動装置に駆動力が付与されることで、可変入賞装置１５０６５が閉鎖状態の位置と開放状態の位置とで変位可能とされる。
【０７１７】
また、可変入賞装置１５０６５は、開放状態において上面側の側面１５０６５ａに２つの膨出部１５０６５ｂ，１５０６５ｃが突出形成される。さらに、可変入賞装置１５０６５の側面１５０６５ａは、左右両側から中央側に向かって下降傾斜して形成される。これにより、側面１５０６５ａに送球された遊技球を特定入賞口（大開放口）６５ａ側に向かって転動させ、特定入賞口（大開放口）６５ａに入球することができる。
【０７１８】
膨出部１５０６５ｂは、特定入賞口（大開放口）６５ａの正面視左側に位置すると共に、開放状態（図１００（ｂ）の状態）において、正面側の端面に連結して形成される。膨出部１５０６５ｃは、特定入賞口（大開放口）６５ａの正面視右側に位置すると共に、肺胞状態（図１００（ｂ）の状態）において、背面側の端面に連結して形成される。
【０７１９】
即ち、膨出部１５０６５ｂ及び膨出部１５０６５ｃは、特定入賞口（大開放口）６５ａを間に挟んで左右両側に形成されると共に、前後方向に異なる位置に形成される。これにより、開放状態の可変入賞装置１５０６５の左右両側に遊技球が送球された際に、遊技球が、特定入賞口（大開放口）６５ａの前方で衝突して左右両側に跳ね返ることを抑制できる。
【０７２０】
詳しく説明すると、側面１５０６５ａの正面視左側に送球される遊技球は、特定入賞口（大開放口）６５ａ側に転動される際に、膨出部１５０６５ｂと衝突して、背面側に案内される。一方、側面１５０６５ａの正面視右側に送球される遊技球は、特定入賞口（大開放口）６５ａ側に転動される際に、膨出部１５０６５ｃと衝突して、正面側に案内される。
【０７２１】
よって、側面１５０６５ａの左右両側から送球される遊技球の前後方向位置を膨出部１５０６５ｂ及び膨出部１５０６５ｃにより、変位させることができる。従って、側面１５０６５ａの左右両側に遊技球が送球されて、特定入賞口（大開放口）６５ａの前方で左右の遊技球が衝突する際に、その跳ね返り（反発）方向を前後方向にすることができる。その結果、遊技球の特定入賞口（大開放口）６５ａへの入球をスムーズにできる。
【０７２２】
また、側面１５０６５ａの左右一方から遊技球が送球される際には、膨出部１５０６５ｂ又は膨出部１５０６５ｃの一方に遊技球を衝突させて前後方向位置を変位させることで、遊技球が側面１５０６５ａの正面側を左右方向に転動した際に、遊技球を膨出部１５０６５ｂ又は膨出部１５０６５ｃの他方に衝突させることができる。その結果、側面１５０６５ａの一方側から送球された遊技球が、特定入賞口（大開放口）６５ａの前方を転動して側面１５０６５ａの他方側に抜け出ることを抑制できる。
【０７２３】
可変入賞装置１５０６５の側面１５０６５ａは、特定入賞口（大開放口）６５ａの幅と同等または特定入賞口（大開放口）６５ａの幅よりも大きな幅を有して形成され、一対の膨出部１５０６５ｂ，１５０６５ｃは、正面視において入球口を挟んだ位置に配設されると共に、幅方向（側面１５０６５ａに沿って遊技球が案内される方向）と直交する方向に位置を異ならせて配置されるので、側面１５０６５ａを案内（転動）される遊技球を膨出部１５０６５ｂ，１５０６５ｃに当接させることで、かかる遊技球を確実に偏倚させることができる。その結果、特定入賞口（大開放口）６５ａへスムーズに入球させることができる。
【０７２４】
また、一方の膨出部１５０６５ｂ，１５０６５ｃと他方の膨出部１５０６５ｂ，１５０６５ｃとが、可変入賞装置１５０６５の幅方向（側面１５０６５ａに沿って遊技球が案内される方向）と直交する方向に位置を異ならせて配置されることで、可変入賞装置１５０６５の側面１５０６５ａへ幅方向一側（又は他側）から遊技球が進入した場合には、かかる遊技球を一対の膨出部１５０６５ｂ，１５０６５ｃのいずれか一方に当接させることができる。よって、可変入賞装置１５０６５の側面１５０６５ａへ幅方向一側（又は他側）から進入した遊技球が、可変入賞装置１５０６５の側面１５０６５ａを通り抜けて可変入賞装置１５０６５の側面１５０６５ａの幅方向他側から流出することを抑制できる。その結果、遊技球を特定入賞口（大開放口）６５ａへ入球させて、遊技者の興趣を向上できる。
【０７２５】
次いで、図１０１を参照して、第１６実施形態における、摺動部材８５３２と回転部材８５３３の係合について説明する。上記第８実施形態では、回転部材８５３３と摺動部材８５３２との係合は、連結部５３３ａの上面と第３突起８５３２ｅとが当接することにより可能とされたが、第１６実施形態では、連結部５３３ａの凹みに第３突起１６５３２ｅが挿入されることで行われる。なお、上述した各実施形態と同一の部分には同一の符号を付して、その説明は省略する。
【０７２６】
図１０１（ａ）は、第１６実施形態における第１電動役物５２０及び駆動ユニット８５３０の正面図であり、図１０１（ｂ）は、図１０１（ａ）ＣＩｂ−ＣＩｂ線における第１電動役物５２０及び駆動ユニット８５３０の断面図であり、図１０１（ｃ）は、図１０１（ｂ）のＣＩｃ−ＣＩｃ線における第１電動役物５２０及び駆動ユニット８５３０の断面図である。
【０７２７】
図１０１に示すように、第１６実施形態の回転部材８５３３の連結部５３３ａには、その左右方向略中央位置に背面側から正面側に向かって凹設される凹設部１６５３３ａ１が形成される。凹設部１６５３３ａ１は、背面視横長矩形に形成される。
【０７２８】
また、摺動部材８５３２の第３突起１６５３２ｅは、上述した凹設部１６５３３ａ１と前後方向に対向する位置に突出形成される。第３突起１６５３２ｅの正面視形状は、凹設部１６５３３ａ１よりもやや小さい横長矩形に形成され、先端が先細りの形状に形成される。
【０７２９】
これにより、一対の羽部材５２０Ｌ，５２０Ｒが閉鎖状態とされる際には、凹設部１６５３３ａ１の内側に第３突起１６５３２ｅを収容することができる。その結果、回転部材８５３３と摺動部材８５３２とを係合することができる。
【０７３０】
また、この場合、係合部が凹設部１６５３３ａ１とされるので、第３突起１６５３２ｅが凹設部１６５３３ａ１に挿入される分、第３突起１６５３２ｅの配設に必要なスペースを抑制して、小型化を図ることができると共に、凹設部１６５３３ａ１に挿通されていることで、第３突起１６５３２ｅを外部から遮蔽でき、かかる第３突起１６５３２ｅへの外部からの不正なアクセスを困難とできる。
【０７３１】
次いで、図１０２から図１０４を参照して、第１７実施形態における摺動部材１５７３２について説明する。上記第１実施形態では、立設壁５３２ｃ１が、第２入賞口１４０に入球した遊技球の流下経路上に配設されるセンサ装置ＳＥ１よりも上流側に位置される場合を説明したが、第１７実施形態では、立設壁１７５３２ｃ１が、センサ装置ＳＥ１よりも下流側に配置される場合を説明する。なお、上述した各実施形態と同一の部分には同一の符号を付して、その説明は省略する。
【０７３２】
初めに、図１０２及び図１０３を参照して、摺動部材１７５３２の構成を説明する。図１０２（ａ）及び図１０２（ｂ）は、第１７実施形態における第１電動役物５２０及び駆動ユニット１７５３０の側面図である。図１０３（ａ）及び図１０３（ｂ）は、入賞口ユニット５００の断面図である。
【０７３３】
なお、図１０２では、第１ケース部材５３４及び第２ケース部材５３５が透明視されて図示される。また、図１０２（ａ）及び図１０３（ａ）は、第１電動役物５２０が閉鎖状態とされ、図１０２（ｂ）及び図１０２（ｂ）では、第１電動役物５２０が開放状態とされた状態がそれぞれ図示される。また、図１０２（ａ）及び図１０２（ｂ）は、図１７（ａ）及び図１７（ｂ）の断面とそれぞれ対応する。
【０７３４】
図１０２及び図１０３に示すように、第１７実施形態における摺動部材１７５３２は、連結部５３２ａの下側（図１０２（ａ）下側）から立設壁１７５３２ｃ１が突出形成される。立設壁１７５３２ｃ１は、その先端が第２ケース部材５３５の下端面を超える位置に設定される共に、先端が正面側に屈曲して形成される立設壁１７５３２ｃ１を備える。
【０７３５】
立設壁１７５３２ｃ１の正面側への立設長さは、第１電動役物５２０が閉鎖状態とされる際に、上下の側面が第２ケース部材５３５に配設されるセンサ装置ＳＥ１の下方に位置する長さに設定される。
【０７３６】
また、第２ケース部材５３５には、上下方向に貫通成形される開口１７５３５ｂが形成される（図１０３（ａ）参照）。第２突起１７５３２ｃは、開口１７５３５ｂの内側に挿通された状態で配設される。
【０７３７】
さらに、開口１７５３５ｂの前後方向における開口幅が、前後方向にスライド変位する摺動部材１７５３２のスライド幅（ソレノイド５３１の駆動幅）よりも、大きく設定される。これにより、開口１７５３５ｂの内側に第２突起１７５３２ｃを挿通した状態で、摺動部材１７５３２を前後方向に摺動させることができる。
【０７３８】
よって、図１０３（ａ）及び図１０３（ｂ）に示すように、第１電動役物５２０が閉鎖状態とされる際には、立設壁１７５３２ｃ１がセンサ装置ＳＥ１の下流側に位置して遊技球の挿通を規制できる。一方、第１電動役物５２０が開放状態とされる際には、立設壁１７５３２ｃ１が、センサ装置ＳＥ１の開口（遊技球の通過を検知する孔）よりも背面側に配置される。これにより、第１電動役物５２０が開放状態とされる際には、遊技球を挿通可能とできる。
【０７３９】
次いで、図１０４を参照して、遊技者の不正により第１電動役物が無理やりに第２状態とされた場合を説明する。図１０４（ａ）及び図１０４（ｂ）は、入賞口ユニット５００の断面図である。なお、図１０４（ａ）及び図１０４（ｂ）は、図２０（ａ）及び図２０（ｂ）の断面とそれぞれ対応する。また、図１０４（ａ）は、第１電動役物５２０が閉鎖状態とされ、図１０４（ｂ）では、第１電動役物５２０が開放状態とされた状態がそれぞれ図示される。
【０７４０】
図１０４（ａ）及び図１０４（ｂ）に示すように、第１電動役物５２０が、閉鎖状態とされる際に、遊技者の不正行為により一対の羽部材５２０Ｌ，５２０Ｒが無理やり開放されて、第１電動役物５２０が開放状態とされた際には、上記第１実施形態と同様に、摺動部材１７５３２の前後方向位置が閉鎖状態と同じ位置とされる。
【０７４１】
よって、第１電動役物５２０を無理やり開放状態とした場合には、センサ装置ＳＥ１の下流側に立設壁１７５３２ｃ１が配置される。従って、第２入賞口１４０から遊技球が入球された遊技球は、立設壁１７５３２ｃ１の上面で停滞される。
【０７４２】
この場合、センサ装置ＳＥ１から立設壁１７５３２ｃ１の上面までの離間距離は、遊技球の半径と略一致する寸法に設定される。これにより、立設壁１７５３２ｃ１の上面に留めた遊技球は、センサ装置ＳＥ１により常時検出される状態とされる。従って、センサ装置ＳＥ１が所定時間遊技球を検知することで、不正により第１電動役物５２０が不正により開放されたことをパチンコ機１０が検知できる。その結果、遊技者の不正行為を防止すると共に、店舗運営者へ遊技者の不正行為を通知することができる。
【０７４３】
即ち、第１７実施形態におけるパチンコ機１０は、第２入賞口１４０に入球された遊技球を検出するセンサ装置ＳＥ１を備え、立設壁１７５３２ｃ１は、規制位置がセンサ装置ＳＥ１よりも下流とされると共に、センサ装置ＳＥ１による検出が可能な位置で遊技球を規制するので、例えば、羽部材５２０Ｌ，５２０Ｒが強制開放され、遊技球が入球口から不正に流入された場合には、センサ装置ＳＥ１が遊技球を検出した状態を継続させることができる。よって、センサ装置ＳＥ１による検出が所定時間を越えて継続されたかを判断することで、不正に遊技球が流入されたことを検出することができる。
【０７４４】
次いで、図１０５を参照して、第１８実施形態の回転部材１８８１２について説明する。上記第２実施形態では、回転部材２８１２に形成される突起２８１２ａ１がハブ８１２ａの軸から径方向に一定の離間距離で形成される場合を説明したが、第１８実施形態では、突起１８８１２ａ１が、ハブ８１２ａの軸から径方向に異なる離間距離で形成される。なお、上述した各実施形態と同一の部分には同一の符号を付して、その説明は省略する。
【０７４５】
図１０５（ａ）は、第１８実施形態における回転部材１８８１２の部分拡大図であり、図１０５（ｂ）は、図１０５（ａ）のＣＶｂ−ＣＶｂ線における回転部材１８８１２の断面図である。
【０７４６】
図１０５に示すように、第１８実施形態における回転部材１８８１２のハブ８１２ａには、対向して配置される外リールユニット８２０の縁部８２４側（図３５参照）へ半球状に突出する突起１８８１２ａ１を複数個備える。
【０７４７】
突起１８８１２ａ１は、隣合う突起１８８１２ａとハブ８１２ａの軸からの径方向距離がそれぞれ異なって形成される。これにより、内リールユニット８１０が回転された際に、第１（回転側に位置する先）の突起１８８１２ａ１により発生する気流を、第２（先の突起１８８１２ａ１よりも回転後方側）の突起１８８１２ａ１に衝突させやすくできる。従って、内リールユニット８１０を回転させた際に、気流を発生させやすくできる。その結果、内リール８１１と外リール８２１の対向間に空気を送って内リール８１１の外周面および外リール８２１の内周面を清掃することができる。
【０７４８】
次いで、図１０６を参照して、第１９実施形態における収容ユニット８８０と内リールユニット８１０と外リールユニット８２０との関係を説明する。上記第１実施形態では、収容ユニット８８０の側壁部８８１は板状体に形成される場合を説明したが、第１９実施形態における側壁部８８１は開口が複数個形成される。なお、上述した各実施形態と同一の部分には同一の符号を付して、その説明は省略する。
【０７４９】
図１０６（ａ）及び図１２（ｂ）は、第１９実施形態における装飾図柄表示装置８００の断面図である。なお、図１０６（ａ）及び図１０６（ｂ）では、外リールユニット８２０が遷移（回転変位）された状態がそれぞれ図示される。また、図１０６（ｂ）では、側壁部８８１に形成される開口１９８８１ｄが鎖線で図示される。
【０７５０】
図１０６（ａ）に示すように、装飾図柄表示装置８００の正面視左側に配置される側壁部８８１（図３０（ａ）参照）には、左右方向に貫通形成される開口１９８８１ｄが複数個形成される。
【０７５１】
開口１９８８１ｄは、内リールユニット８１０及び外リールユニット８２０の回転軸を中心に周方向に所定の間隔を隔てて形成される。隣合う開口１９８８１ｄの形成角度は、内リールユニット８１０のスポーク８１２ｃ及び外リールユニット８２０のスポーク８２２の形成角度と略同一に設定される。また、開口１９８８１ｄの周方向における開口寸法は、スポーク８１２ｃ及びスポーク８２２の周方向における幅寸法よりも小さく設定される。これにより、図１０６（ａ）に示すように、外リールユニット８２０（又は内リールユニット８１０）を所定位置に回転させることで、スポーク８２２（又はスポーク８１２ｃ）を開口１９８８１ｄの隣に配置することができる。即ち、開口１９８８１ｄをスポーク８２２（又はスポーク８１２ｃ）により側面視において覆うことができる。
【０７５２】
これにより、内リールユニット８１０（又は外リールユニット８２０）が回転される際に開口１９８１２ｃから空気が流入することを抑制することができる。
【０７５３】
一方、図１０６（ｂ）に示すように、外リールユニット８２０（又は内リールユニット８１０）を所定位置に回転させることで、スポーク８２２（又はスポーク８１２ｃ）を開口１９８８１ｄと異なる周方向位置に配置することができる。
【０７５４】
これにより、内リールユニット８１０（又は外リールユニット８２０）が回転される際に開口１９８１２ｃから空気が流入することを許容することができる。即ち、空気の流入経路を最短として、空気抵抗を減らすことで、空気を装飾図柄表示装置８００（収容ユニット８８０）の内側に流入しやすくできる。
【０７５５】
従って、内リールユニット８１０を回転させて、内リール８１１の外周面に装飾され他図柄を遊技者に視認させる演出を行う際には、開口１９８８１ｄからの空気の流入を規制して内リール８１１の表示を遊技者に視認させやすくできる。一方、内リール８１１の外周面および外リール８２１の内周面を清掃する際には、開口１９８８１ｄからの吸気の流入を許容して内リール８１１の外周面および外リール８２１の内周面を清掃しやすくできる。
【０７５６】
以上、上記各実施形態に基づき本発明を説明したが、本発明は上記各実施形態に何ら限定されるものではなく、本発明の趣旨を逸脱しない範囲内で種々の変形改良が可能であることは容易に推察できるものである。
【０７５７】
上記各実施形態において、１の実施形態の一部または全部を他の１又は複数の実施形態の一部または全部と入れ替えて又は組み合わせて、遊技機を構成しても良い。
【０７５８】
上記第１実施形態では、左右一対の羽部材５２０Ｌ，５２０Ｒの膨出部５２４Ｌ，５２４Ｒ以外を左右対称に形成する場合を説明したが、必ずしもこれに限られるものではない。例えば、羽部材５２０Ｌ，５２０Ｒの突起５２３Ｌ，５２３Ｒを回転部材５３３側に形成して、羽部材５２０Ｌ，５２０Ｒを同一形状としても良い。この場合、羽部材５２０Ｌ，５２０Ｒを同一の部品で形成できるので、部品を共通化することで、羽部材５２０Ｌ，５２０Ｒの製造コストを低減できる。
【０７５９】
上記第１実施形態では、反射部材６２５の傾斜部６２５ａが平滑な面に形成される場合を説明したが、必ずしもこれに限られるものではない。例えば、傾斜部６２５ａを、光透過部６２１ａ側に凸状態に湾曲形成してもよい。この場合、傾斜部６２５ａに反射された光を分散しやすくでき、光透過部６２１ａの背面へ均一に入射させることができる。その結果、光透過部６２１ａを透過して視認される光量の分布を均一化できる。
【０７６０】
上記第１及び第１１実施では、装飾部材７５２の支持状態が一側に偏倚される態様として、構成部品の配設数が異なる場合を説明したが、必ずしもこれに限られるものではない。例えば、一側と他側（装飾部材の両側）とで、構成される剛性（構成部材の寸法、材質など）が異なるもの、一側と他側とで、伝達される駆動力（大きさ、伝達時間、伝達タイミングなど）が異なるもの、一側と他側とで構成部材どうしの連結状態（例えば、連結部分の数、連結部分のがたつき量など）が異なるもの、一側と他側とで相手への変位のしやすさ（付勢手段から受ける付勢力、重力、変位（スライドや回転）の際の抵抗など）が異なるもの、これらを組み合わせたものなどであってもよい。
【０７６１】
これにより、支持状態を構成部材の剛性により一側へ偏倚させる場合には、駆動手段６８０Ｕ及び駆動手段６８０Ｄは、自分の剛性の高い側（低い側）を相手の剛性の低い側（高い側）に向か合せることができる。よって、装飾ユニット６７２Ｕおよび装飾ユニット６７２Ｄの対向辺どうしを当接させた状態では、駆動手段６８０Ｕおよび駆動手段６８０Ｄのそれぞれが、剛性の高い側では相手を押し込む（前進する）と共に、剛性の低い側では相手を受け入れる（後退する）状態を形成できる。その結果、装飾ユニット６７２Ｕおよび装飾ユニット６７２Ｄの対向辺どうしを密着させやすくでき、対向辺どうしの間に隙間が形成されることを抑制できる。
【０７６２】
上記第９実施形態では、付勢ばねにより第１電動役物５２０が閉鎖状態へ変位される場合を説明したが、必ずしもこれに限られるものではない。例えば、第１電動役物５２０の内側に磁性体を配設すると共に、正面ベース５１１又は背面ベース５１２に磁石を配置することで、その磁石の磁力により第１電動役物５２０を閉鎖状態へ変位させるものであっても良い。
【０７６３】
上記第１及び第１１実施形態では、装飾部材７５２の支持状態が一側に偏倚される態様として、構成部品の配設数が異なる場合を説明したが、必ずしもこれに限られるものではない。例えば、第１リンク部材６８４Ｕおよび第２リンク部材６８６Ｕ（第２リンク部材６８６Ｄおよび第１リンク部材６８４Ｄ）が互いに異なる構成とされる態様としては、構成部材の剛性（構成部材の寸法、配設数、材質など）が異なるもの、構成部材どうしの連結状態（例えば、連結部分の数、連結部分のがたつき量など）が異なるもの、これらを組み合わせたものなどであってもよい。これら構成の相異により、伝達する駆動力の大きさや伝達タイミングが異なることとなり、駆動手段６８０Ｕおよび駆動手段６８０Ｄの支持態様がそれぞれ一側に偏倚される。
【０７６４】
上記第１実施形態では、立設壁５３２ｃ１が、第１ケース部材５３４の内側をスライド可能に形成される場合を説明したが、必ずしもこれに限られるものではない。例えば、ソレノイド５３１の可動体５３１ｂが本体部５３１ａの内側から張り出された状態では、立設壁５３２ｃ１が第２入賞口１４０の内側から正面側に突出されていてもよい。この場合、遊技球が第２入賞口１４０の内側に入球されることを抑制できるので、不正により羽部材５２０Ｌ，５２０Ｒを開放した場合であっても、第２入賞口１４０の内側（立設壁５３２ｃ１の前方）に遊技球が停滞されることを抑制できる。その結果、遊技者の不正を防止できる。
【０７６５】
上記第１２及び１３実施形態では、正面ベース５１１及び背面ベース５１２の対向間における側面形状を変更することで、遊技球を前後方向に案内させる場合を説明したが、必ずしもこれに限られるものではない。
【０７６６】
例えば、正面ベース５１１及び背面ベース５１２の内側に磁石を配設し、その磁石の吸着力により遊技球を前後方向に案内してもよい。これにより、正面ベース５１１及び背面ベース５１２の対向間を狭くする必要がなくなるので、遊技球が、正面ベース５１１及び背面ベース５１２の対向間に挟持されることを抑制できる。なお、この場合、磁石の吸着力は、磁石の吸着面に遊技球を保持できない程度の吸着力にすることが好ましい。これにより、遊技球が正面ベース５１１及び背面ベース５１２の側面に吸着された状態とされることを抑制できる。
【０７６７】
上記第２及び第１８実施形態では、回転部材１８８１２のハブ８１２ａに複数の突起２８１２ａ１，１８８１２ａ１が形成される場合を説明したが、必ずしもこれに限られるものではない。例えば、ハブ８１２ａの縁部８２４と対向する側面に、凹設される溝が複数個形成されるものであってもよい。この場合も、第２及び第１８実施形態と同様に溝の凹凸形状により気流を発生させることができる。その結果、内リール８１１と外リール８２１の対向間に空気を送って内リール８１１の外周面および外リール８２１の内周面を清掃することができる。
【０７６８】
上記第１５実施形態では、可変入賞装置１５０６５が遊技盤１３に対して回転変位可能に配設される場合を説明したが、必ずしもこれに限られるものではない。例えば、可変入賞装置１５０６５を遊技盤１３に対して前後方向にスライド変位可能に配設して、閉鎖状態では、可変入賞装置１５０６５を遊技盤１３に没入された状態とし特定入賞口６５ａに遊技球を入球不能とし、開放状態では、可変入賞装置１５０６５を遊技盤１３の正面側に張り出して特定入賞口６５ａに遊技球を入球可能とする構成であっても良い。
【０７６９】
本発明を上記各実施形態とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される）として実施してもよい。また、大当たり図柄が表示された後に、所定の領域に球を入賞させることを必要条件として遊技者に所定の遊技価値を付与する特別遊技を発生させるパチンコ機として実施してもよい。また、Ｖゾーン等の特別領域を有する入賞装置を有し、その特別領域に球を入賞させることを必要条件として特別遊技状態となるパチンコ機に実施してもよい。更に、パチンコ機以外にも、アレパチ、雀球、スロットマシン、いわゆるパチンコ機とスロットマシンとが融合した遊技機などの各種遊技機として実施するようにしても良い。
【０７７０】
なお、スロットマシンは、例えばコインを投入して図柄有効ラインを決定させた状態で操作レバーを操作することにより図柄が変動され、ストップボタンを操作することにより図柄が停止されて確定される周知のものである。従って、スロットマシンの基本概念としては、「複数の識別情報からなる識別情報列を変動表示した後に識別情報を確定表示する表示装置を備え、始動用操作手段（例えば操作レバー）の操作に起因して識別情報の変動表示が開始され、停止用操作手段（例えばストップボタン）の操作に起因して、或いは、所定時間経過することにより、識別情報の変動表示が停止して確定表示され、その停止時の識別情報の組合せが特定のものであることを必要条件として、遊技者に所定の遊技価値を付与する特別遊技を発生させるスロットマシン」となり、この場合、遊技媒体はコイン、メダル等が代表例として挙げられる。
【０７７１】
また、パチンコ機とスロットマシンとが融合した遊技機の具体例としては、複数の図柄からなる図柄列を変動表示した後に図柄を確定表示する表示装置を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、或いは、所定時間経過することにより、図柄の変動が停止され、その停止時の確定図柄がいわゆる大当たり図柄であることを必要条件として遊技者に所定の遊技価値を付与する特別遊技が発生させられ、遊技者には、下部の受皿に多量の球が払い出されるものである。かかる遊技機をスロットマシンに代えて使用すれば、遊技ホールでは球のみを遊技価値として取り扱うことができるため、パチンコ機とスロットマシンとが混在している現在の遊技ホールにおいてみられる、遊技価値たるメダルと球との別個の取扱による設備上の負担や遊技機設置個所の制約といった問題を解消し得る。
【０７７２】
以下に、本発明の遊技機に加えて上述した実施形態に含まれる各種発明の概念を示す。
【０７７３】
＜入賞口ユニット５００を一例とする発明の概念について＞
遊技球が入球可能に形成される入球口と、その入球口に遊技球を案内する案内面を有すると共に変位可能に形成された案内部材とを備えた遊技機において、前記案内部材は、前記案内面から突設され前記案内面を転動する遊技球に当接可能に形成される一対の突設部を備え、それら一対の突設部が、前記案内面に沿って遊技球が案内される方向と直交する方向に位置を異ならせて配置されることを特徴とする遊技機Ａ１。
【０７７４】
ここで、遊技球が入球可能に形成される入球口と、その入球口に遊技球を案内する案内面を有すると共に変位可能に形成された案内部材とを備えた遊技機が知られている。案内部材としては、例えば、入球口へ遊技球を案内する案内面を有すると共に入球口を挟んで配設され基端側が回転可能に軸支される一対の羽部材が例示される。この場合、特開２００３−１６４５９８号公報には、一方の羽部材における案内面の全面に第１の溝を設けると共に、他方の羽部材における案内面の全面に第２の溝をそれぞれ設ける技術が開示される。かかる技術によれば、第１の溝と第２の溝とが互いに異なる方向へ傾斜されるため、一方の羽部材における案内面および他方の羽部材における案内面をそれぞれ遊技球が同時に案内（転動）される場合でも、それら各遊技球を互いに異なる方向（一方はガラス板側であって他方は遊技盤側）へ偏倚させることできる。よって、これら各遊技球を入球口へスムーズに入球させることができる。しかしながら、上述した従来の技術では、遊技球を十分に偏倚させることができないという問題点があった。また、案内部材の一側から進入した遊技球が案内面を通過して案内部材の他側から通り抜けることがあり、この場合には、遊技球が入球口へ入球されないため、遊技者の興趣が損なわれるという問題点があった。
【０７７５】
これに対し、遊技機Ａ１によれば、案内部材は、前記案内面から突設され案内面を転動する遊技球に当接可能に形成される一対の突設部を備え、それら一対の突設部が、案内面に沿って遊技球が案内される方向と直交する方向に位置を異ならせて配置されるので、案内面を案内（転動）される遊技球を突設部に当接させることで、かかる遊技球を確実に偏倚させることができる。その結果、入球口へスムーズに入球させることができる。
【０７７６】
また、一対の突設部が、案内面に沿って遊技球が案内される方向と直交する方向に位置を異ならせて配置されることで、案内部材の一側から進入した遊技球を突設部に当接させることができる。よって、案内部材の一側から進入した遊技球が案内部材を通り抜けることを抑制できる。その結果、遊技球を入球口へ入球させて、遊技者の興趣を向上できる。
【０７７７】
遊技機Ａ１において、前記案内部材は、前記入球口を挟んで配設され基端側が回転可能に軸支される一対の羽部材として形成され、前記一対の羽部材が先端側を近接または離間させる方向へ回転されることで、遊技球が通過不能な閉鎖状態または遊技球が通過可能な開放状態が形成され、前記一対の突設部は、前記一対の羽部材のそれぞれの案内面から突設され、前記一対の羽部材のうちの一方の羽部材における前記突設部と他方の羽部材における前記突設部とが、前記案内面に沿って遊技球が案内される方向と直交する方向に位置を異ならせて配置されることを特徴とする遊技機Ａ２。
【０７７８】
遊技機Ａ２によれば、遊技機Ａ１の奏する効果に加え、案内部材は、入球口を挟んで配設され基端側が回転可能に軸支される一対の羽部材として形成され、一対の突設部は、一対の羽部材のそれぞれの案内面から突設され、一対の羽部材のうちの一方の羽部材における突設部と他方の羽部材における突設部とが、案内面に沿って遊技球が案内される方向と直交する方向に位置を異ならせて配置されるので、案内面を案内（転動）される遊技球を突設部に当接させることで、かかる遊技球を確実に偏倚させることができる。その結果、入球口へスムーズに入球させることができると共に、球詰まりを抑制できる。
【０７７９】
また、一方の羽部材における突設部と他方の羽部材における突設部とが、案内面に沿って遊技球が案内される方向（羽部材の先端側から基端側へ向かう方向）と直交する方向に位置を異ならせて配置されることで、一方の羽部材における案内面へ進入した遊技球が他方の羽部材における案内面へ到達した場合には、かかる遊技球を他方の羽部材における突設部に当接させることができる。よって、一方の羽部材における案内面へ進入した遊技球が他方の羽部材における案内面を通り抜けることを抑制できる。その結果、遊技球を入球口へ入球させて、遊技者の興趣を向上できる。
【０７８０】
遊技機Ａ２において、前記突設部は、前記羽部材の先端側よりも基端側に近い位置において前記案内面から突設されることを特徴とする遊技機Ａ３。
【０７８１】
遊技機Ａ３によれば、遊技機Ａ２の奏する効果に加え、突設部は、羽部材の先端側よりも基端側に近い位置において案内面から突設されるので、案内面に案内される遊技球が突設部に当接するまでに転動可能な領域を確保できる。よって、その分、遊技球の転動速度の低下を抑制して、入球口へスムーズに入球させることができる。
【０７８２】
また、突設部が羽部材の先端側よりも基端側に近い位置において突設面から突設されることで、突設部に当接して偏倚された遊技球の進路が、入球口の手前（案内面の終端）に到達するまでの間に偏倚前の進路に戻ることを抑制できる。即ち、偏倚された状態のままで遊技球を案内面から入球口へ送球しやすくできる。
【０７８３】
遊技機Ａ２又はＡ３において、前記案内面には、前記羽部材の先端側から基端側まで連続する第１領域が形成され、前記第１領域を案内される遊技球には非当接となる大きさで前記突設部が形成されると共に、前記一対の羽部材のうちの一方の羽部材における前記案内面の第１領域と他方の羽部材における前記案内面の第１領域とが、前記案内面に沿って遊技球が案内される方向と直交する方向に位置を異ならせて配置されることを特徴とする遊技機Ａ４。
【０７８４】
遊技機Ａ４によれば、遊技機Ａ２又はＡ３において、案内面には、羽部材の先端側から基端側まで連続する第１領域が形成され、第１領域を案内される遊技球には非当接となる大きさで突設部が形成されるので、案内面に進入した遊技球が第１領域を転動する場合には、その遊技球の転動速度が低下することを回避でき、入球口へスムーズに入球させることができる。
【０７８５】
この場合、一対の羽部材のうちの一方の羽部材における案内面の第１領域と他方の羽部材における案内面の第１領域とが、案内面に沿って遊技球が案内される方向と直交する方向に位置を異ならせて配置されるので、一方の羽部材における案内面の第１領域および他方の羽部材における案内面の第１領域をそれぞれ遊技球が同時に案内（転動）される場合でも、それら各遊技球を、互いに異なる方向へ偏倚させておくことができ、入球口へスムーズに入球させることができる。
【０７８６】
遊技機Ａ２からＡ４のいずれかにおいて、前記羽部材を回転可能に軸支するベース部材を備え、前記ベース部材は、前記羽部材に当接してその羽部材の回転を規制する規制部を備え、そのベース部材の規制部に前記羽部材の突設部が当接されることを特徴とする遊技機Ａ５。
【０７８７】
遊技機Ａ５によれば、遊技機Ａ２からＡ４のいずれかにおいて、羽部材を回転可能に軸支するベース部材を備え、ベース部材は、羽部材に当接することでその羽部材の回転を規制する規制部を備え、そのベース部材の規制部に羽部材の突設部が当接されるので、羽部材の破損を抑制できる。即ち、突設部は、羽部材（案内面）から突設される部位であるので、羽部材の比較的剛性が高くされる部分を、ベース部材の規制部に当接させるストッパとして利用できるので、その分、羽部材の破損を抑制できる。
【０７８８】
遊技機Ａ５において、前記突設部は、その側面が前記羽部材の基端側の側面に略面一に形成され、前記閉鎖状態において、前記羽部材の基端側の側面に略面一に形成される前記突設部の側面が少なくとも前記ベース部材の規制部に当接されることを特徴とする遊技機Ａ６。
【０７８９】
遊技機Ａ６によれば、遊技機Ａ５の奏する効果に加え、突設部は、その側面が羽部材の基端側の側面に略面一に形成され、閉鎖状態において、羽部材の基端側の側面に略面一に形成される突設部の側面が少なくともベース部材の規制部に当接されるので、回転軸からの距離が遠い部位（突設部の側面）をベース部材の規制部に当接させることができる分、規制部から羽部材へ入力される反力を小さくできえる。よって、羽部材の破損を抑制できる。また、例えば、突設部の突設先端面をベース部材の規制部に当接させる場合と比較して、ベース部材の規制部を入球口から離間させることができ、入球口への流路となるスペースを確保できる。なお、ベース部材の規制部に、突設部の側面に加え、羽部材の基端側の側面も当接されるものであっても良い。この場合には、面圧を低減して、羽部材の破損をより抑制できる。
【０７９０】
遊技機Ａ２からＡ６のいずれかにおいて、前記閉鎖状態において前記突設部の対向間に位置する介在壁を備え、前記一対の羽部材は、回転軸方向視において、前記突設部が非形成とされる領域での前記案内面の対向間隔が遊技球の直径よりも大きくされと共に、前記突設部の対向間隔が遊技球の直径よりも小さくされることを特徴とする遊技機Ａ７。
【０７９１】
ここで、一対の羽部材は、遊技球を挟み込まないように、閉鎖状態における案内面の対向間隔が遊技球の直径よりも大きな対向間隔となる位置に配置される。この場合、案内面から突設部を突設すると、突設部の間に遊技球を挟み込まないように、突設部の突設高さの分だけ一対の羽部材を更に離間させて配置する必要が生じ、一対の羽部材の配設に必要なスペースが嵩む。
【０７９２】
これに対し、遊技機Ａ７によれば、遊技機Ａ２からＡ６のいずれかの奏する効果に加え、閉鎖状態において突設部の対向間に位置する介在壁を備え、一対の羽部材は、回転軸方向視において、突設部が非形成とされる領域での案内面の対向間隔が遊技球の直径よりも大きくされと共に、突設部の対向間隔が遊技球の直径よりも小さくされるので、一対の羽部材の配設に必要なスペースを抑制できる。
【０７９３】
即ち、遊技球が案内面を案内（転動）されている状態で、一対の羽部材が閉じ始めても（閉鎖状態への移行を開始しても）、突設部の対向間に介在壁が位置することで、遊技球を突設部の対向間から排出して、突設部の間に遊技球が挟み込まれることを回避できる。介在壁により突設部の対向間から排出された遊技球は、突設部が非形成とされる領域での案内面の対向間に位置されるところ、かかる位置での対向間隔は、遊技球の直径よりも大きくされるので、遊技球が挟み込まれることはない。その結果、突設部の対向間隔を遊技球の直径よりも小さくできる。これにより、一対の羽部材の配設に必要なスペースを抑制できる。言い換えると、案内面に突設部を突設しない従来品の配設に必要なスペースと同等のスペースに一対の羽部材を配設できる。
【０７９４】
遊技機Ａ７において、前記開放状態において、前記介在壁の上面が、前記案内面の下端よりも重力方向下方に位置すると共に前記入球口の下端よりも重力方向上方に位置することを特徴とする遊技機Ａ８。
【０７９５】
遊技機Ａ８によれば、遊技機Ａ７の奏する効果に加え、開放状態において、介在壁の上面が、案内面の下端よりも重力方向下方に位置すると共に入球口の下端よりも重力方向上方に位置するので、案内面に案内された遊技球を、介在壁の上面に送球できると共に、介在壁の上面を転動させることで、入球口へ入球させることができる。
【０７９６】
遊技機Ａ２からＡ８のいずれかにおいて、前記一対の羽部材のうちの一方の羽部材が前記閉鎖状態を形成する位置に配置されるタイミングと他方の羽部材が前記閉鎖状態を形成する位置に配置されるタイミングとが異なることを特徴とする遊技機Ａ９。
【０７９７】
遊技機Ａ９によれば、遊技機Ａ２からＡ８のいずれかの奏する効果に加え、一対の羽部材のうちの一方の羽部材が閉鎖状態を形成する位置に配置されるタイミングと他方の羽部材が閉鎖状態を形成する位置に配置されるタイミングとが異なるので、一対の羽部材（案内面）の間に遊技球を挟み込み難くでき、その分、一対の羽部材の対向間隔を狭くできる。よって、一対の羽部材の配設に必要なスペースを抑制できる。
【０７９８】
遊技機Ａ１において、前記案内部材は、前記案内面を前記入球口へ対面させる姿勢となり遊技球の入球口への入球を不能とする閉鎖位置と、前記案内面を上面とする姿勢で前記入球口の正面側へ張り出し前記案内面を転動する遊技球の入球口への入球を可能とする開放位置との間で回転可能に形成され、前記案内部材の案内面は、前記入球口の幅と同等または前記入球口の幅よりも大きな幅を有して形成され、前記一対の突設部は、正面視において前記入球口を挟んだ位置に配設されると共に、幅方向（前記案内面に沿って遊技球が案内される方向）と直交する方向に位置を異ならせて配置されることを特徴とする遊技機Ａ１０。
【０７９９】
遊技機Ａ１において、前記案内部材は、前記入球口の下方に没入する姿勢となり遊技球の入球口への入球を不能とする閉鎖位置と、前記案内面を上面とする姿勢で前記入球口の正面側へ張り出し前記案内面を転動する遊技球の入球口への入球を可能とする開放位置との間でスライド変位可能に形成され、前記案内部材の案内面は、前記入球口の幅と同等または前記入球口の幅よりも大きな幅を有して形成され、前記一対の突設部は、正面視において前記入球口を挟んだ位置に配設されると共に、幅方向（前記案内面に沿って遊技球が案内される方向）と直交する方向に位置を異ならせて配置されることを特徴とする遊技機Ａ１１。
【０８００】
遊技機Ａ１０又はＡ１１によれば、遊技機Ａ１の奏する効果に加え、案内部材は、案内部材の案内面は、入球口の幅と同等または入球口の幅よりも大きな幅を有して形成され、一対の突設部は、正面視において入球口を挟んだ位置に配設されると共に、幅方向（案内面に沿って遊技球が案内される方向）と直交する方向に位置を異ならせて配置されるので、案内面を案内（転動）される遊技球を突設部に当接させることで、かかる遊技球を確実に偏倚させることができる。その結果、入球口へスムーズに入球させることができる。
【０８０１】
また、一方の突設部と他方の突設部とが、案内部材の幅方向（案内面に沿って遊技球が案内される方向）と直交する方向に位置を異ならせて配置されることで、案内部材の案内面へ幅方向一側（又は他側）から遊技球が進入した場合には、かかる遊技球を一対の突設部のいずれか一方に当接させることができる。よって、案内部材の案内面へ幅方向一側（又は他側）から進入した遊技球が、案内部材の案内面を通り抜けて案内部材の案内面の幅方向他側から流出することを抑制できる。その結果、遊技球を入球口へ入球させて、遊技者の興趣を向上できる。
【０８０２】
＜入賞口ユニット５００を一例とする発明の概念について＞
遊技球が入球可能に形成される入球口と、その入球口を挟んで配設される一対の羽部材と、それら一対の羽部材に駆動力を付与して開放または閉鎖させる駆動手段と、その駆動手段の駆動力により前記一対の羽部材が開放されると前記入球口への遊技球の入球を許容する許容位置に配置されると共に前記駆動手段の駆動力により前記一対の羽部材が閉鎖されると前記入球口への遊技球の入球を規制する規制位置に配置される規制手段とを備えた遊技機において、前記一対の羽部材が閉鎖された状態または前記一対の羽部材が外部から開放された状態において前記規制手段が前記規制位置に維持可能に形成されることを特徴とする遊技機Ｂ１。
【０８０３】
ここで、遊技球が入球可能に形成される入球口と、その入球口を挟んで配設される一対の羽部材と、それら一対の羽部材に駆動力を付与して開放または閉鎖させる駆動手段と、その駆動手段の駆動力により一対の羽部材が開放されると入球口への遊技球の入球を許容する許容位置に配置されると共に駆動手段の駆動力により一対の羽部材が閉鎖されると入球口への遊技球の入球を規制する規制位置に配置される規制手段とを備えた遊技機が知られている（例えば、特開２０１１−１７２８３３号公報）。
【０８０４】
この遊技機によれば、駆動手段の駆動力により一対の羽部材が開放されると、規制手段が許容位置に配置されることで、一対の羽部材の間を通過した遊技球を入球口へ入球させることができる。一方、駆動手段の駆動力により一対の羽部材が閉鎖されると、規制手段が規制位置に配置されるので、一対の羽部材が外部から強制開放された場合に、遊技球が入球口へ入球されることを規制できる。
【０８０５】
しかしながら、上述した従来の遊技機では、規制手段の変位が規制されていないため、例えば、一対の羽部材を外部から強制開放した上で、規制手段を規制位置から許容位置へ変位させることができるため、遊技球が入球口へ不正に入球されることを規制する効果が不十分であるという問題点があった。
【０８０６】
これに対し、遊技機Ｂ１によれば、一対の羽部材が閉鎖された状態または一対の羽部材が外部から開放された状態において規制手段の配置が規制位置に維持可能に形成されるので、規制手段が許容位置へ変位されることを抑制できる。よって、遊技球が入球口へ不正に入球されることを規制しやすくできる。
【０８０７】
なお、入球口への遊技球の入球を規制する規制位置とは、遊技球を所定位置で停止させられれば足りる趣旨である。即ち、入球口と、その入球口に連なり入球口から流入した遊技球が通過する通路とを備える場合、規制手段による規制位置（遊技球を停止させる位置）は、入球口よりも上流であっても良く、入球口よりも下流（即ち、入球口から流入し通路を通過する経路の途中）であっても良い。後者の場合、規制手段による規制位置は、遊技球の通過を検出するために通路の途中に配設される検出手段（検出センサ）に対し、検出手段よりも上流であっても良く、検出手段よりも下流であっても良い。
【０８０８】
遊技機Ｂ１において、前記駆動手段の駆動力を前記一対の羽部材へ伝達する伝達機構を備え、前記伝達機構は、前記駆動手段の駆動力により開放スライド位置と閉鎖スライド位置との間でスライド変位されるスライド伝達部材と、そのスライド伝達部材の開放スライド位置へのスライド変位により開放回転位置へ回転されて前記一対の羽部材を開放させると共に前記スライド伝達部材の閉鎖スライド位置へのスライド変位により閉鎖回転位置へ回転されて前記一対の羽部材を閉鎖させる回転伝達部材とを備え、前記規制手段が前記スライド伝達部材に配設され、前記スライド伝達部材が開放スライド位置へスライド変位されると前記規制手段が許容位置に配置されると共に、前記スライド伝達部材が閉鎖スライド位置へスライド変位されると前記規制手段が規制位置に配置され、前記スライド伝達部材が閉鎖スライド位置に配置された状態で、前記回転伝達部材が開放回転位置に配置されると、前記回転伝達部材と前記スライド伝達部材とが係合されることで、前記スライド伝達部材の開放スライド位置へのスライド変位が規制されることを特徴とする遊技機Ｂ２。
【０８０９】
遊技機Ｂ２によれば、遊技機Ｂ１の奏する効果に加え、スライド伝達部材が閉鎖スライド位置に配置された状態で、回転伝達部材が開放回転位置に配置されると、回転伝達部材とスライド伝達部材とが係合されることで、スライド伝達部材の開放スライド位置へのスライド変位が規制されるので、遊技球が入球口へ不正に入球されることを規制しやすくできる。
【０８１０】
即ち、閉鎖されている一対の羽部材が外部から不正に強制開放される場合には、スライド伝達部材が閉鎖スライド位置に配置された状態で、回転伝達部材が開放回転位置へ回転される。かかる状態では、回転伝達部材とスライド伝達部材とが係合されることで、スライド伝達部材の開放スライド位置へのスライド変位が規制されるので、規制手段を規制位置に維持できる（規制手段が許容位置へ外部から不正に強制変位されることを抑制できる）。その結果、一対の羽部材を外部から強制開放した上で、それら一対の羽部材の間から遊技球を通過させたとしても、かかる遊技球が入球口へ入球することを規制手段によって規制できる。
【０８１１】
遊技機Ｂ２において、前記スライド伝達部材および回転伝達部材の一方に摺動溝が延設されると共に他方から摺動突起が突設され、前記摺動突起が前記摺動溝に沿って摺動されることで前記スライド伝達部材のスライド変位が伝達されて前記回転伝達部材が回転されると共に、前記摺動溝の内壁面に前記摺動突起が係合されることで、前記スライド伝達部材の開放スライド位置へのスライド変位が規制されることを特徴とする遊技機Ｂ３。
【０８１２】
遊技機Ｂ３によれば、遊技機Ｂ２の奏する効果に加え、スライド伝達部材および回転伝達部材の一方に摺動溝が延設されると共に他方から摺動突起が突設され、摺動突起が摺動溝に沿って摺動されることでスライド伝達部材のスライド変位が伝達されて回転伝達部材が回転されると共に、摺動溝の内壁面に摺動突起が係合されることで、スライド伝達部材の開放スライド位置へのスライド変位が規制されるので、小型化を図りつつ規制を解除され難くできる。
【０８１３】
即ち、スライド伝達部材のスライド変位を回転伝達部材へ伝達して回転させるための摺動溝および摺動突起を利用して、スライド伝達部材の開放スライド位置へのスライド変位を規制する手段を形成でき、かかる手段を別の箇所に別途設けることを不要とできるので、その分、小型化を図ることができる。また、摺動溝の内壁面に摺動突起を係合させる構造とすることで、かかる係合部分への外部からの不正なアクセスを困難とでき、その分、規制（係合）を解除され難くできる。
【０８１４】
遊技機Ｂ１において、前記駆動手段の駆動力を前記一対の羽部材へ伝達する伝達機構を備え、前記伝達機構は、前記駆動手段の駆動力により開放スライド位置と閉鎖スライド位置との間でスライド変位されるスライド伝達部材と、そのスライド伝達部材の開放スライド位置へのスライド変位により開放回転位置へ回転されて前記一対の羽部材を開放させると共に前記スライド伝達部材の閉鎖スライド位置へのスライド変位により閉鎖回転位置へ回転されて前記一対の羽部材を少なくとも閉鎖可能とする回転伝達部材とを備え、前記規制手段が前記回転伝達部材に配設され、前記回転伝達部材が開放回転位置へ回転されると前記規制手段が許容位置に配置されると共に、前記回転伝達部材が閉鎖回転位置へ回転されると前記規制手段が規制位置に配置され、前記スライド伝達部材が閉鎖スライド位置に配置されると共に前記回転伝達部材が閉鎖回転位置に配置された状態では、前記回転伝達部材と前記スライド伝達部材とが係合されることで、前記回転伝達部材の開放回転位置への回転が規制されることを特徴とする遊技機Ｂ４。
【０８１５】
遊技機Ｂ４によれば、遊技機Ｂ１の奏する効果に加え、スライド伝達部材が閉鎖スライド位置に配置されると共に回転伝達部材が閉鎖回転位置に配置された状態では、回転伝達部材とスライド伝達部材とが係合されることで、回転伝達部材の開放回転位置への回転が規制されるので、遊技球が入球口へ不正に入球されることを規制しやすくできる。
【０８１６】
即ち、一対の羽部材が閉鎖されている状態から、例えば、一対の羽部材を外部から不正に強制開放する、又は、回転伝達部材を直接操作することで、かかる回転伝達部材を開放位置へ回転させようとしても、回転伝達部材とスライド伝達部材とが係合されることで、回転伝達部材の開放回転位置への回転が規制されるので、規制手段を規制位置に維持できる（即ち、規制手段が許容位置へ外部から不正に強制変位されることを抑制できる）。その結果、遊技球が入球口へ不正に入球されることを規制手段によって規制できる。
【０８１７】
遊技機Ｂ４において、前記スライド伝達部材または回転伝達部材の一方から突出される突出部と、その突出部と係合可能に前記スライド伝達部材または回転伝達部材の他方に形成される係合部とを備え、前記突出部が前記スライド伝達部材のスライド変位の方向に沿って突出されることを特徴とする遊技機Ｂ５。
【０８１８】
遊技機Ｂ５によれば、遊技機Ｂ４の奏する効果に加え、スライド伝達部材または回転伝達部材の一方から突出される突出部と、その突出部と係合可能にスライド伝達部材または回転伝達部材の他方に形成される係合部とを備え、突出部がスライド伝達部材のスライド変位の方向に沿って突出されるので、スライド伝達部材のスライド変位を利用して、突出部および係合部における係合とその係合の解除とを切り替えることができ、構造の簡素化を図ることができる。
【０８１９】
なお、係合部は、突出部が当接可能な面（スライド伝達部材または回転伝達部材の他方の外面）であっても良く、突出部が挿入可能な孔または凹部（スライド伝達部材または回転伝達部材の一方に穿設される孔または凹設される凹部）であっても良い。即ち、突出部が係合部に当接することで、回転伝達部材の開放回転位置への回転を規制できるものであれば良い。この場合、係合部を孔または凹部とすることが好ましい。突出部が係合部に挿入される分、突出部の配設に必要なスペースを抑制して、小型化を図ることができると共に、係合部に挿通されていることで、突出部を外部から遮蔽でき、かかる突出部への外部からの不正なアクセスを困難とできるからである。
【０８２０】
遊技機Ｂ４又はＢ５において、前記回転伝達部材は、開放回転位置へ向けて回転される際に前記一対の羽部材に当接して開放させる開放側当接部と、閉鎖回転位置へ向けて回転される際に前記一対の羽部材に当接して閉鎖させる閉鎖側当接部とを備えることを特徴とする遊技機Ｂ６。
【０８２１】
遊技機Ｂ６によれば、遊技機Ｂ４又はＢ５の奏する効果に加え、回転伝達部材は、開放回転位置へ向けて回転される際に一対の羽部材に当接して開放させる開放側当接部と、閉鎖回転位置へ向けて回転される際に一対の羽部材に当接して閉鎖させる閉鎖側当接部とを備えるので、一対の羽部材が外部から不正に強制開放されることを抑制でき、回転伝達部材またはスライド伝達部材への外部からの不正なアクセスを困難とできる。
【０８２２】
即ち、羽部材を強制開放の方向へ外部から変位させると、回転伝達部材の閉鎖側当接部が羽部材により押圧されて、回転伝達部材を開放回転位置へ向けて回転させようとする。この場合、本発明によれば、回転伝達部材とスライド伝達部材との係合により、回転伝達部材の開放回転位置への回転を規制できるので、羽部材の変位を回転伝達部材の閉鎖側当接部により規制できる。即ち、羽部材が強制開放の方向へ外部から変位されることを規制できる。その結果、一対の羽部材が外部から不正に強制開放されることを抑制でき、回転伝達部材またはスライド伝達部材への外部からの不正なアクセスを困難とできる。
【０８２３】
遊技機Ｂ４又はＢ５において、前記一対の羽部材を閉鎖方向へ付勢する付勢手段を備え、前記回転伝達部材は、開放回転位置へ向けて回転される際に前記一対の羽部材に当接して開放させる開放側当接部を備え、前記回転伝達部材が閉鎖回転位置へ向けて回転されると前記一対の羽部材が前記付勢手段の付勢力により閉鎖されることを特徴とする遊技機Ｂ７。
【０８２４】
遊技機Ｂ７によれば、遊技機Ｂ４又はＢ５の奏する効果に加え、一対の羽部材を閉鎖方向へ付勢する付勢手段を備え、回転伝達部材は、開放回転位置へ向けて回転される際に一対の羽部材に当接して開放させる開放側当接部を備え、回転伝達部材が閉鎖回転位置へ向けて回転されると一対の羽部材が付勢手段の付勢力により閉鎖されるので、一対の羽部材が外部から不正に強制開放された際に、一対の羽部材が回転伝達部材に当接されず、かかる強制開放による外力が回転伝達部材に作用されることを回避できる。その結果、一対の羽部材、回転伝達部材またはスライド伝達部材が破損されることを抑制できる。
【０８２５】
なお、付勢手段としては、一対の羽部材を弾性回復力により閉鎖方向へ付勢するばね（ねじりばねやコイルスプリング）、一対の羽部材を吸着力により閉鎖方向へ付勢する磁石などが例示される。
【０８２６】
遊技機Ｂ１からＢ７のいずれかにおいて、前記入球口に入球された遊技球を検出する検出手段を備え、前記規制手段は、前記規制位置が前記検出手段よりも下流とされると共に、前記検出手段による検出が可能な位置で遊技球を規制することを特徴とする遊技機Ｂ８。
【０８２７】
遊技機Ｂ８によれば、遊技機Ｂ１からＢ７のいずれかにおいて、入球口に入球された遊技球を検出する検出手段を備え、規制手段は、規制位置が検出手段よりも下流とされると共に、検出手段による検出が可能な位置で遊技球を規制するので、例えば、羽部材が強制開放され、遊技球が入球口から不正に流入された場合には、検出手段が遊技球を検出した状態を継続させることができる。よって、検出手段による検出が所定時間を越えて継続されたかを判断することで、不正に遊技球が流入されたことを検出することができる。
【０８２８】
＜装飾図柄表示装置８００を一例とする発明の概念について＞
回転可能に形成される第１リールと、その第１リールの内側に略同心に配設されると共に回転可能に形成される第２リールとを備えた遊技機において、前記第１リールは、円筒状に形成される第１外周壁と、その第１外周壁の軸方向一側から径方向内側へ張り出す第１側壁とを備え、前記第２リールは、円筒状に形成されると共にその外面が前記第１外周壁の内面に所定間隔を隔てて対面される第２外周壁と、その第２外周壁の軸方向一側から径方向内側へ張り出すと共にその外面が前記第１側壁の内面に所定間隔を隔てて対面される第２側壁とを備え、前記第１側壁の内面または第２側壁の外面の少なくとも一方から他方へ向けて立設部が立設されることを特徴とする遊技機Ｃ１。
【０８２９】
ここで、回転可能に形成される第１リールと、その第１リールの内側に略同心に配設されると共に回転可能に形成される第２リールとを備えた（即ち、二重リール構造を備えた）遊技機が知られている（例えば、特開２００３−２３０６９３号公報）。また、リールの外周面（表示面）に回転ブラシを当接させ、かかる回転部材をリールの回転に従動させることで、リールの表示面に付着する埃を除去して掃除する技術も知られている（例えば、特開２００９−２８２４１号公報）。
【０８３０】
しかしながら、二重リール構造では、掃除が困難であるという問題点があった。即ち、二重リール構造では、外側のリール（第１リール）と内側のリール（第２リール）との間に上述した回転ブラシを配設するスペースが確保できないため、外側のリールの内周面および内側のリール（第２リール）の外周面を掃除することができない。
【０８３１】
これに対し、遊技機Ｃ１によれば、第１リールが、円筒状に形成される第１外周壁と、その第１外周壁の軸方向一側から径方向内側へ張り出す第１側壁とを備え、第２リールが、円筒状に形成されると共にその外面が第１外周壁の内面に所定間隔を隔てて対面される第２外周壁と、その第２外周壁の軸方向一側から径方向内側へ張り出すと共にその外面が第１側壁の内面に所定間隔を隔てて対面される第２側壁とを備え、第１側壁の内面または第２側壁の外面の少なくとも一方から他方へ向けて立設部が立設されるので、第１側壁の内面と第２側壁の外面との間を立設部が周方向へ変位されることで風圧を発生させ、かかる風圧を利用して、第１外周壁の内面と第２外周壁の外面との間の空気を流動させることができる。これにより、空気の流動により埃を除去することができ、第１外周壁の内面および第２外周壁の外面を掃除することができる。即ち、二重リール構造において、掃除をしやすくできる。
【０８３２】
遊技機Ｃ１において、前記第１側壁および第２側壁が軸方向視円環状に形成され周方向に連続する面を有して形成されることを特徴とする遊技機Ｃ２。
【０８３３】
ここで、第１側壁または第２側壁の少なくとも一方に開口が形成されている場合や周方向の一部が部分的に分断されていると、第１側壁の内面と第２側壁の外面との間を立設部が周方向へ変位されることで発生した風圧が、開口部分や分断部分から逃げるため、風圧が弱まり、その分、第１外周壁の内面と第２外周壁の外面との間の空気を流動させ難くなる。
【０８３４】
これに対し、遊技機Ｃ２によれば、遊技機Ｃ１の奏する効果に加え、第１側壁および第２側壁が軸方向視円環状に形成され周方向に連続する面を有して形成されるので、第１側壁の内面と第２側壁の外面との間を立設部が周方向へ変位されることで発生する風圧を高めることができる。よって、その分、第１外周壁の内面と第２外周壁の外面との間の空気を流動させやすくできる。その結果、第１側壁の内面と第２側壁の外面との間を立設部が周方向へ変位されることで発生する風圧を利用して、第１外周壁の内面と第２外周壁の外面との間の空気を流動させやすくできる。
【０８３５】
遊技機Ｃ１又はＣ２において、前記第１リールは、中央が回転可能に軸支されると共に前記第１側壁を支持する第１支持壁を備えると共に、前記第２リールは、中央が回転可能に軸支されると共に前記第２側壁を支持する第２支持壁を備え、前記第１支持壁または第２支持壁の少なくとも一方に開口部が開口形成されることを特徴とする遊技機Ｃ３。
【０８３６】
遊技機Ｃ３によれば、遊技機Ｃ１又はＣ２の奏する効果に加え、第１側壁を支持する支持壁または第２側壁を支持する第２支持壁の少なくとも一方に開口部が開口形成されるので、その開口部を介して、第１側壁の内面と第２側壁の外面との間の空気を外部へ排気する、又は、第１側壁の内面と第２側壁の外面との間へ外部から空気を吸気することができる。即ち、空気の流動抵抗を低減して、その分、第１側壁の内面と第２側壁の外面との間の空気を流動（流出または流入）させやすくできる。その結果、第１側壁の内面と第２側壁の外面との間を立設部が周方向へ変位されることで発生する風圧を利用して、第１外周壁の内面と第２外周壁の外面との間の空気を流動させやすくできる。
【０８３７】
遊技機Ｃ３において、前記第１リール又は第２リールのうちの一方の前記第１側壁または第２側壁に前記立設部が立設される場合、前記第１リール又は第２リールのうちの他方の前記第１支持壁または第２支持壁に前記開口部が少なくとも形成されることを特徴とする遊技機Ｃ４。
【０８３８】
遊技機Ｃ４によれば、遊技機Ｃ３の奏する効果に加え、第１リール又は第２リールのうちの一方の第１側壁または第２側壁に立設部が立設される場合、第１リール又は第２リールのうちの他方の第１支持壁または第２支持壁に開口部が少なくとも形成されるので、開口部を介して空気を排気または吸気することによる流動抵抗の低減効果を発揮しやすくできる。即ち、第１リール及び第２リールのうちの立設部が立設される一方を回転させる際に、開口部が開口形成される他方を停止させておくことで、開口部を介した空気の流動（排気または吸気）の抵抗を低減できる。
【０８３９】
遊技機Ｃ１からＣ４のいずれかにおいて、前記第１側壁の内面と前記第２側壁の外面とのそれぞれに径方向に位置を違えて前記立設部が立設されることを特徴とする遊技機Ｃ５。
【０８４０】
遊技機Ｃ５において、遊技機Ｃ１からＣ４のいずれかにおいて、第１側壁の内面と第２側壁の外面とのそれぞれに径方向に位置を違えて立設部が立設されるので、第１リール又は第２リールのいずれが回転される場合であっても、第１側壁の内面と第２側壁の外面との間で立設部を周方向へ変位させて風圧を発生させることができる。よって、第１リール又は第２リールの回転による演出において、第１外周壁の内面および第２外周壁の外面を掃除する機会を増加させることができる。
【０８４１】
遊技機Ｃ１からＣ５のいずれかにおいて、前記第１リールの第１外周壁の少なくとも一部が光透過性を有して形成されると共に、前記第２リールの第２外周壁に複数の図柄が周方向に沿って配列され、前記第２リールの第２側壁に前記立設部が立設されることを特徴とする遊技機Ｃ６。
【０８４２】
遊技機Ｃ６によれば、遊技機Ｃ１からＣ５のいずれかにおいて、第１リールの第１外周壁の少なくとも一部が光透過性を有して形成されると共に、第２リールの第２外周壁に複数の図柄が周方向に沿って配列されるので、第１リールを介して第２リールの回転に伴う図柄の変動を遊技者に視認させることができる。この場合、第２リールの第２側壁に立設部が立設される、即ち、第１リールよりも回転回数が多くされる第２リールの第２側壁に立設部が立設されるので、第１リール又は第２リールの回転による演出において、第１外周壁の内面および第２外周壁の外面を掃除する機会を増加させることができる。
【０８４３】
＜セグメント表示装置６００を一例とする発明の概念について＞
複数の発光手段が搭載される基板と、前記発光手段から発光された光を透過させる透過部材とを備え、前記透過部材が湾曲して形成されると共に、前記複数の発光手段が前記透過部材の湾曲に沿って配列される遊技機において、前記複数の発光手段が周方向略等間隔に配列されることを特徴とする遊技機Ｄ１。
【０８４４】
ここで、複数の発光手段が搭載される基板と、発光手段から発光された光を透過させる透過部材とを備え、透過部材が湾曲して形成されると共に、複数の発光手段が透過部材の湾曲に沿って配列される遊技機が知られている（例えば、特開２０１３−１０６６７２号公報）。この場合、複数の発光手段は、透過部材の正面視において等間隔となるように配列される。即ち、複数の発光手段がなす湾曲線（弧）の両端を結ぶ線分（弦）の方向に沿って等間隔とされる。しかしながら、上述した遊技機では、複数の発光手段のうちの一部で隣接する発光手段との間隔が狭くされるため、発光手段が発する熱の分布に偏りが生じるという問題点があった。そのため、一部の発光手段に熱が集中して、寿命の低下を招きやすい。
【０８４５】
これに対し、遊技機Ｄ１によれば、複数の発光手段が周方向略等間隔に配列されるので、各発光手段において隣接する発光手段との間隔を一定とでき、発光手段が発する熱の分布を均一化できる。その結果、一部の発光手段に熱が集中することを抑制して、各発光手段の寿命の向上を図ることができる。
【０８４６】
遊技機Ｄ１において、前記発光手段から発光された光を前記透過部材へ向けて反射させる反射部材を備え、前記反射部材は、前記複数の発光手段に対応して区画される複数の区画面を備え、それら複数の区画面の前記透過部材の正面視における区画幅が略同一に設定されることを特徴とする遊技機Ｄ２。
【０８４７】
ここで、透過部材の湾曲に沿って等間隔（即ち、周方向等間隔）に複数の発光手段が配列されると、それら複数の発光手段は、透過部材の正面視において不等間隔に配列されることとなる。即ち、透過部材の正面視において、発光手段どうしの間隔が狭い領域と広い領域とが形成される。そのため、複数の発光手段の配列方向に沿って光量の分布が不均一になる。
【０８４８】
これに対し、遊技機Ｄ２によれば、遊技機Ｄ１の奏する効果に加え、発光手段から発光された光を透過部材へ向けて反射させる反射部材を備え、反射部材は、複数の発光手段に対応して区画される複数の区画面を備え、それら複数の区画面の透過部材の正面視における区画幅が略同一に設定されるので、透過部材の正面視において視認される各区画面の光量を略同一とできる。その結果、複数の発光手段の配列方向に沿う光量の分布を均一化できる。
【０８４９】
遊技機Ｄ２において、前記発光手段の発光面が正面視矩形状に形成されることを特徴とする遊技機Ｄ３。
【０８５０】
遊技機Ｄ３によれば、遊技機Ｄ２の奏する効果に加え、発光手段の発光面が正面視矩形状に形成されるので、例えば、発光面が円形状とされる場合と比較して、光の拡散性を確保できる（光をより広角に発光できる）ので、１の区画面において光量の分布を均一化できる。
【０８５１】
なお、発光面とは、ＬＥＤチップを封入する封入樹脂の正面を意味する。よって、発光面が正面視矩形状とは、封入樹脂の正面視形状（封入樹脂を取り囲むリフレクターの内部空間の正面視形状）が矩形状であることを意味する。
【０８５２】
遊技機Ｄ３において、前記複数の発光手段の少なくとも一部は、前記発光面の一辺を前記透過部材の湾曲形状における接線方向に沿わせる向きで配設されることを特徴とする遊技機Ｄ４。
【０８５３】
遊技機Ｄ４によれば、遊技機Ｄ３の奏する効果に加え、複数の発光手段の少なくとも一部は、発光面の一辺を透過部材の湾曲形状における接線方向に沿わせる向きで配設されるので、その発光手段から発光された光を、透過部材の湾曲に沿って均一に拡散させやすくできる。その結果、透過部材を透過して視認される光量の分布を均一化できる。
【０８５４】
遊技機Ｄ２からＤ４のいずれかにおいて、前記区画面が前記透過部材の背面に対面されると共に前記透過部材の背面から離間する側に凹む湾曲面として形成され、前記発光手段の発光面が前記透過部材と前記区画面との対向間を臨むことを特徴とする遊技機Ｄ５。
【０８５５】
遊技機Ｄ５によれば、遊技機Ｄ２からＤ４のいずれかにおいて、区画面が透過部材の背面に対面されると共に透過部材の背面から離間する側に凹む湾曲面として形成され、発光手段の発光面が透過部材と区画面との対向間を臨むので、透過部材に対して基板を直交する姿勢で配設できる。即ち、透過部材、基板および反射部材からなるユニットの配設の自由度を高めることができる。この場合、発光手段の発光面から発光された光の周囲をその光の進行方向と直交する方向から取り囲む態様で区画面が配置されるので、区画面に反射された光を透過部材の背面へ均一に入射させることができる。その結果、透過部材を透過して視認される光量の分布を均一化できる。
【０８５６】
遊技機Ｄ５において、前記反射部材は、前記区画面に連設されると共に前記発光手段の発光面に対面される連設面を備え、その連設面が前記発光手段の発光面へ向けて凸となる湾曲面として形成されることを特徴とする遊技機Ｄ６。
【０８５７】
遊技機Ｄ６によれば、遊技機Ｄ５の奏する効果に加え、反射部材は、区画面に連設されると共に発光手段の発光面に対面される連設面を備え、その連設面が発光手段の発光面へ向けて凸となる湾曲面として形成されるので、連設面に反射された光を透過部材の背面へ均一に入射させることができる。その結果、透過部材を透過して視認される光量の分布を均一化できる。
【０８５８】
＜セグメント表示装置６００を一例とする発明の概念について＞
回転可能に形成されると共に複数が所定間隔を隔てて並設される回胴と、それら複数の回胴どうしの間に沿って配設されると共に少なくとも一部が光透過性を有する装飾部材と、装飾部材の背面側に配設されると共に複数の発光手段が搭載される基板とを備え、前記発光手段が搭載される面を前記装飾部材の背面に略直交させた姿勢で前記基板が配設される遊技機において、前記発光手段から発光された光を前記装飾部材の背面へ反射させる反射部材を備えることを特徴とする遊技機Ｅ１。
【０８５９】
ここで、回転可能に形成されると共に複数が所定間隔を隔てて並設される回胴と、それら複数の回胴どうしの間に沿って配設されると共に少なくとも一部が光透過性を有する装飾部材と、装飾部材の背面側に配設されると共に複数の発光手段が搭載される基板とを備え、発光手段が搭載される面を装飾部材の背面に略直交させた姿勢で基板が配設される遊技機が知られている（例えば、特開２０１３−５９２７号公報）。この遊技機によれば、回胴どうしの間の空間を装飾部材により遊技者から遮蔽できるだけでなく、装飾部材を透過した発光手段の光により装飾部材の表面に図柄を形成（表示）して、かかる装飾部材の図柄を、回胴の外周面に表示される図柄と一体的に遊技者に視認させる演出を行うことができる。
【０８６０】
しかしながら、上述した従来の遊技機では、発光手段が搭載される面を装飾部材の背面に直交させた姿勢で基板が配設されるので、発光手段から発光された光を装飾部材の背面に十分に照射することができず、発光手段の光により形成（表示）される図柄を十分に大きくすることができない。そのため、演出効果が不十分であるという問題点があった。一方、発光手段の光により形成（表示）される図柄は小さいまま、装飾部材（図柄を除く領域）を大きくしたのでは、装飾部材と回胴との一体感が阻害される。
【０８６１】
これに対し、遊技機Ｅ１によれば、発光手段から発光された光を装飾部材の背面へ反射させる反射部材を備えるので、発光手段が搭載される面を装飾部材の背面に直交させた姿勢が基板が配設される場合であっても、発光手段から発光された光による装飾部材の背面への照射範囲を広くすることができる。よって、その分、発光手段の光により形成（表示）される図柄を大きくでき、演出効果を高めることができる。また、発光手段の光により形成（表示）される図柄を大きくできる分、図柄を除く領域を小さくできるので、装飾部材と回胴との一体感を形成できる。
【０８６２】
遊技機Ｅ１において、前記装飾部材は、前記回胴の外周面よりも正面側に位置すると共に、正面視において、前記回胴の外周面に重なる位置まで外縁を延出させて形成されることを特徴とする遊技機Ｅ２。
【０８６３】
遊技機Ｅ２によれば、遊技機Ｅ１の奏する効果に加え、装飾部材は、回胴の外周面よりも正面側に位置すると共に、正面視において、回胴の外周面に重なる位置まで外縁を延出させて形成されるので、回胴の軸方向端面を遊技者から遮蔽しやすく（視認させ難く）できる。また、発光手段から発光された光により形成（表示）される装飾部材の図柄と、回胴の外周面に表示される図柄とをより近接させることができるので、装飾部材と回胴との一体感を形成しやすくできる。
【０８６４】
遊技機Ｅ２において、前記反射部材は、前記基板における発光手段が搭載される面と前記装飾部材の背面とを連結することで、前記基板における発光手段が搭載される領域と前記装飾部材における図柄が形成される領域とを取り囲み、前記反射部材の背面が、前記装飾部材から前記基板へ向かうに従って前記回胴の軸方向端面から離間する方向へ傾斜されることを特徴とする遊技機Ｅ３。
【０８６５】
遊技機Ｅ３によれば、遊技機Ｅ２の奏する効果に加え、反射部材は、基板における発光手段が搭載される面と装飾部材の背面とを連結することで、基板における発光手段が搭載される領域と装飾部材における図柄が形成される領域とを取り囲み、反射部材の背面が、装飾部材から基板へ向かうに従って回胴の軸方向端面から離間する方向へ傾斜されるので、発光手段から発光された光により形成（表示）される図柄の大きさを確保しつつ、装飾部材の背面を回胴の外周面に近接させ、且つ、回胴を装飾部材の背面の奥側へ入り込ませる（回胴を基板へ近接させる）ことができる。その結果、回胴の軸方向端面を遊技者から遮蔽しやすく（視認させ難く）できると共に、装飾部材と回胴との一体感を形成しやすくできる。
【０８６６】
遊技機Ｅ２又はＥ３において、前記基板の一側の面および他側の面の両面に前記発光手段が搭載されることを特徴とする遊技機Ｅ４。
【０８６７】
遊技機Ｅ４によれば、遊技機Ｅ２又はＥ３の奏する効果に加え、基板の一側の面および他側の面の両面に前記発光手段が搭載されるので、一側の面に搭載される発光手段から発光される光と、他側の面に搭載される発光手段から発光される光とのそれぞれによって異なる図柄を装飾部材に独立して形成（表示）することができる。
【０８６８】
この場合、並設される回胴どうしの間に配設される基板の枚数を１枚とできる。よって、基板の配設に必要なスペースを抑制できるので、その分、回胴を装飾部材の背面の奥側へ入り込ませる（回胴を基板へ近接させる）ことができる。その結果、回胴の軸方向端面を遊技者から遮蔽しやすく（視認させ難く）できると共に、装飾部材と回胴との一体感を形成しやすくできる。
【０８６９】
＜セグメント表示装置６００を一例とする発明の概念について＞
対向配置され近接または離間する方向へそれぞれ変位可能に形成されると共に対向辺どうしを当接させた状態で同方向へ変位可能に形成された第１変位部材および第２変位部材を備えた遊技機において、ベース部材と、そのベース部材に前記第１変位部材および第２変位部材をそれぞれ変位可能に支持する第１支持機構および第２支持機構を備え、前記第１支持機構の支持態様が前記第１変位部材の対向辺の一側へ偏倚され、前記第１変位部材の対向辺の一側に当接される前記第２変位部材の対向辺の他側とは反対側となる前記第２変位部材の対向辺の一側へ前記第２支持機構の支持態様が偏倚されることを特徴とする遊技機Ｆ１。
【０８７０】
ここで、対向配置され近接または離間する方向へそれぞれ変位可能に形成されると共に対向辺どうしを当接させた状態で同方向へ変位可能に形成された第１変位部材および第２変位部材を備えた遊技機が知られている（例えば、特開２０１３−１０６８４４号公報）。かかる遊技機によれば、第１変位部材および第２変位部材を対向辺どうしが当接する位置まで近接させることで、それら第１変位部材および第２変位部材の背面側に位置する対象物（例えば、液晶表示装置や演出部材）を遮蔽すると共に、第１変位部材および第２変位部材を互いに離間する方向へ変位させることで、その変位に伴って遮蔽を解除して、対象物を視認可能とする演出を行うことができる。また、対向辺どうしを当接させた状態で第１変位部材および第２変位部材を同方向へ変位（例えば、一方向および他方向へ往復変位）させることで、対象物の遮蔽を維持しつつ、その遮蔽の解除を行う前の演出（遮蔽の解除動作に着目させる演出）を行うこともできる。
【０８７１】
しかしながら、上述した従来の遊技機では、構成部材の寸法公差や組立公差に起因して、第１変位部材および第２変位部材の対向辺どうしを密着させることが困難であり、対向辺どうしの間に隙間が形成される恐れがあるという問題点があった。対向辺どうしの間に隙間が形成されると、その隙間を通して背面側の対象物を遊技者が視認可能となり、演出効果が阻害される。
【０８７２】
これに対し、遊技機Ｆ１によれば、ベース部材と、そのベース部材に第１変位部材および第２変位部材をそれぞれ変位可能に支持する第１支持機構および第２支持機構を備え、第１支持機構の支持態様が第１変位部材の対向辺の一側へ偏倚され、第１変位部材の対向辺の一側に当接される第２変位部材の対向辺の他側とは反対側となる第２変位部材の対向辺の一側へ第２支持機構の支持態様が偏倚されるので、第１変位部材および第２変位部材の対向辺どうしを当接させた状態では、第１支持機構の支持態様と第２支持機構の支持態様とを互いに反対側（対向辺の一側および他側の中央を回転中心として１８０°回転させた側）へ偏倚させることができる。これにより、第１変位部材および第２変位部材の対向辺どうしを密着させやすくでき、対向辺どうしの間に隙間が形成されることを抑制できる。
【０８７３】
ここで、支持状態が一側へ偏倚される態様としては、例えば、一側と他側とで構成部材の剛性（構成部材の寸法、配設数、材質など）が異なるもの、一側と他側とで伝達される駆動力（例えば、大きさ、伝達時間、伝達タイミングなど）が異なるもの、一側と他側とで構成部材どうしの連結状態（例えば、連結部分の数、連結部分のがたつき量など）が異なるもの、一側と他側とで相手への変位のしやすさ（付勢手段から受ける付勢力、重力、変位（スライドや回転）の際の抵抗など）が異なるもの、これらを組み合わせたものなどが例示される。
【０８７４】
よって、支持状態を構成部材の剛性により一側へ偏倚させる場合には、第１支持機構及び第２支持機構は、自分の剛性の高い側（低い側）を相手の剛性の低い側（高い側）に向か合せることができる。よって、第１変位部材および第２変位部材の対向辺どうしを当接させた状態では、第１支持機構および第２支持機構のそれぞれが、剛性の高い側では相手を押し込む（前進する）と共に、剛性の低い側では相手を受け入れる（後退する）状態を形成できる。その結果、第１変位部材および第２変位部材の対向辺どうしを密着させやすくでき、対向辺どうしの間に隙間が形成されることを抑制できる。
【０８７５】
遊技機Ｆ１において、前記第１支持機構は、駆動力を発生する第１駆動手段と、前記第１変位部材を前記ベース部材に連結する一対の第１連結部材と、それら一対の第１連結部材へ前記第１駆動手段の駆動力をそれぞれ伝達すると共に互いに異なる構成とされる第１一側伝達部材および第１他側伝達部材とを備え、前記第２支持機構は、駆動力を発生する第２駆動手段と、前記第２変位部材を前記ベース部材に連結する一対の第２連結部材と、それら一対の第２連結部材へ前記第２駆動手段の駆動力をそれぞれ伝達すると共に互いに異なる構成とされる第２一側伝達部材および第２他側伝達部材とを備えることを特徴とする遊技機Ｆ２。
【０８７６】
遊技機Ｆ２によれば、遊技機Ｆ１の奏する効果に加え、第１支持機構は、駆動力を発生する第１駆動手段と、第１変位部材をベース部材に連結する一対の第１連結部材と、それら一対の第１連結部材へ第１駆動手段の駆動力をそれぞれ伝達すると共に互いに異なる構成とされる第１一側伝達部材および第１他側伝達部材とを備え、第２支持機構は、駆動力を発生する第２駆動手段と、第２変位部材をベース部材に連結する一対の第２連結部材と、それら一対の第２連結部材へ第２駆動手段の駆動力をそれぞれ伝達すると共に互いに異なる構成とされる第２一側伝達部材および第２他側伝達部材とを備えるので、第１変位部材および第２変位部材の対向辺どうしを密着させやすくでき、対向辺どうしの間に隙間が形成されることを抑制できる。
【０８７７】
即ち、第１変位部材および第２変位部材の対向辺どうしを当接させた状態では、第１支持機構および第２支持機構のそれぞれが、例えば、駆動力の大きい側や駆動力の伝達タイミングが先の側では相手を押し込む（前進する）と共に、駆動力の小さい側や駆動力の伝達タイミングが後の側では相手を受け入れる（後退する）状態を形成できる。その結果、第１変位部材および第２変位部材の対向辺どうしを密着させやすくでき、対向辺どうしの間に隙間が形成されることを抑制できる。
【０８７８】
ここで、第１一側伝達部材および第１他側伝達手段（第２一側伝達部材および第２他側伝達手段）が互いに異なる構成とされる態様としては、例えば、構成部材の剛性（構成部材の寸法、配設数、材質など）が異なるもの、構成部材どうしの連結状態（例えば、連結部分の数、連結部分のがたつき量など）が異なるもの、これらを組み合わせたものなどが例示される。即ち、これら構成の相異により、伝達する駆動力の大きさや伝達タイミングが異なることとなり、第１支持機構および第２支持機構の支持態様がそれぞれ一側に偏倚される。
【０８７９】
遊技機Ｆ２において、前記第１連結部材および第２連結部材は、互いに略同一の長さに形成され、一端側が前記第１変位部材または第２変位部材に連結されると共に他端側が前記ベース部材に同軸上に回転可能に軸支されることを特徴とする遊技機Ｆ３。
【０８８０】
遊技機Ｆ３によれば、遊技機Ｆ２の奏する効果に加え、第１連結部材および第２連結部材は、互いに略同一の長さに形成されると共に、一端側が前記第１変位部材または第２変位部材に連結されると共に他端側がベース部材に同軸上に回転可能に軸支されるので、第１変位部材および第２変位部材をそれらの対向辺どうしを当接させつつ同方向へ往復動作させる際に、支持態様の偏倚を利用する場合でも、対向辺どうしが当接された状態を維持しやすくできる。
【０８８１】
遊技機Ｆ３において、前記第１連結部材または第２連結部材の少なくとも一方には、ゴム状弾性材料から形成される弾性体が配設され、前記第１変位部材および第２変位部材が対向辺どうしを当接させた状態では、前記弾性体が前記第１連結部材および第２連結部材の間に弾性的に圧縮された状態で介在されることを特徴とする遊技機Ｆ４。
【０８８２】
遊技機Ｆ４によれば、遊技機Ｆ３の奏する効果に加え、第１連結部材または第２連結部材の少なくとも一方には、ゴム状弾性材料から形成される弾性体が配設され、第１変位部材および第２変位部材が対向辺どうしを当接させた状態では、弾性体が第１連結部材および第２連結部材の間に弾性的に圧縮された状態で介在されるので、第１変位部材および第２変位部材をそれらの対向辺どうしを当接させつつ同方向へ往復動作させる際に、支持態様の偏倚を利用する場合でも、対向辺どうしが当接された状態を維持しやすくできる。
【０８８３】
遊技機Ｆ１からＦ４のいずれかにおいて、前記第１支持機構は、駆動力を発生する第１駆動手段と、その第１駆動手段により駆動されると共に前記第１変位部材を前記ベース部材に連結する一対の第１連結部材と、それら一対の第１連結部材へそれぞれ異なる付勢力を付与する第１一側付勢部材および第１他側付勢部材とを備え、前記第２支持機構は、駆動力を発生する第２駆動手段と、その第２駆動手段により駆動されると共に前記第２変位部材を前記ベース部材に連結する一対の第２連結部材と、それら一対の第２連結部材へそれぞれ異なる付勢力を付与する第２一側付勢部材および第２他側付勢部材とを備えることを特徴とする遊技機Ｆ５。
【０８８４】
遊技機Ｆ５によれば、遊技機Ｆ１からＦ４のいずれかの奏する効果に加え、第１支持機構は、駆動力を発生する第１駆動手段と、その第１駆動手段により駆動されると共に第１変位部材をベース部材に連結する一対の第１連結部材と、それら一対の第１連結部材へそれぞれ異なる付勢力を付与する第１一側付勢部材および第１他側付勢部材とを備え、第２支持機構は、駆動力を発生する第２駆動手段と、その第２駆動手段により駆動されると共に第２変位部材を前記ベース部材に連結する一対の第２連結部材と、それら一対の第２連結部材へそれぞれ異なる付勢力を付与する第２一側付勢部材および第２他側付勢部材とを備えるので、第１変位部材および第２変位部材の対向辺どうしを密着させやすくでき、対向辺どうしの間に隙間が形成されることを抑制できる。
【０８８５】
即ち、第１変位部材および第２変位部材の対向辺どうしを当接させた状態では、第１支持機構および第２支持機構のそれぞれが、例えば、付勢力の大きい側では相手を押し込む（前進する）と共に、付勢力の小さい側では相手を受け入れる（後退する）状態を形成できる。その結果、第１変位部材および第２変位部材の対向辺どうしを密着させやすくでき、対向辺どうしの間に隙間が形成されることを抑制できる。
【０８８６】
なお、第１一側付勢部材と第１他側付勢部材とは、互いに同一の構成であっても良い。即ち、付勢力を作用させる位置が互いに異なる、或いは、弾性変形量が互いに異なることで、一対の第１連結部材へそれぞれ付与する付勢力を異ならせるものであっても良い。第２一側付勢部材と第２他側付勢部材とについても同様である。
【０８８７】
遊技機Ｆ１からＦ４のいずれかにおいて、前記第１支持機構は、駆動力を発生する第１駆動手段と、その第１駆動手段により駆動されると共に前記第１変位部材を前記ベース部材に連結する一対の第１連結部材と、それら一対の第１連結部材のうちの一方へ付勢力を付与する第１付勢部材とを備え、前記第２支持機構は、駆動力を発生する第２駆動手段と、その第２駆動手段により駆動されると共に前記第２変位部材を前記ベース部材に連結する一対の第２連結部材と、それら一対の第２連結部材のうちの一方へ付勢力を付与する第２付勢部材とを備えることを特徴とする遊技機Ｆ６。
【０８８８】
遊技機Ｆ６によれば、遊技機Ｆ１からＦ４のいずれかの奏する効果に加え、第１支持機構は、駆動力を発生する第１駆動手段と、その第１駆動手段により駆動されると共に第１変位部材をベース部材に連結する一対の第１連結部材と、それら一対の第１連結部材のうちの一方へ付勢力を付与する第１付勢部材とを備え、第２支持機構は、駆動力を発生する第２駆動手段と、その第２駆動手段により駆動されると共に第２変位部材をベース部材に連結する一対の第２連結部材と、それら一対の第２連結部材のうちの一方へ付勢力を付与する第２付勢部材とを備えるので、第１変位部材および第２変位部材の対向辺どうしを密着させやすくでき、対向辺どうしの間に隙間が形成されることを抑制できる。
【０８８９】
即ち、第１変位部材および第２変位部材の対向辺どうしを当接させた状態では、第１支持機構および第２支持機構のそれぞれが、例えば、付勢力が作用される側では相手を押し込む（前進する）と共に、付勢力が作用されない側では相手を受け入れる（後退する）状態を形成できる。その結果、第１変位部材および第２変位部材の対向辺どうしを密着させやすくでき、対向辺どうしの間に隙間が形成されることを抑制できる。
【０８９０】
遊技機Ｆ３又はＦ４において、ねじりばねとして形成され一方の脚が前記第１連結部材に連結されると共に他方の脚が前記ベース部材に連結され、前記第１変位部材を前記第２変位部材へ近接させる方向への付勢力を付与する第１ねじりばねを備え、前記第１変位部材を前記第２変位部材へ近接させる方向へ前記第１連結部材が回転されるに従って、前記第１ねじりばねの一方の脚と前記第１連結部材との連結位置または前記第１ねじりばねの他方の脚と前記ベース部材との連結位置の少なくとも一方が巻回部から離間されることを特徴とする遊技機Ｆ７。
【０８９１】
遊技機Ｆ７によれば、遊技機Ｆ３又はＦ４の奏する効果に加え、ねじりばねとして形成され一方の脚が第１連結部材に連結されると共に他方の脚がベース部材に連結され、第１変位部材を第２変位部材へ近接させる方向への付勢力を付与する第１ねじりばねを備えるので、第１変位部材を第２変位部材へ近接する方向へ変位させる際には、第１連結部材を回転させるのに必要な第１駆動手段の駆動力を、第１ねじりばねの付勢力によって補助することができる。よって、例えば、第１変位部材を、第２変位部材から離間する退避位置から第２変位部材と当接する当接位置へ停止状態から変位させる際には、その変位の開始をスムーズに行うことができる。
【０８９２】
この場合、第１変位部材を第２変位部材へ近接させる方向へ第１連結部材が回転されるに従って、第１ねじりばねの一方の脚と第１連結部材との連結位置または第１ねじりばねの他方の脚とベース部材との連結位置の少なくとも一方が巻回部から離間されるので、巻回部から力の作用位置までの距離が長くなる分、第１変位部材を第２変位部材へ近接させる方向への付勢力を弱めることができる。よって、例えば、第２変位部材へ近接させた第１変位部材を停止させる際には、その変位の停止を確実に行うことができるので、衝突に伴う破損を抑制できる。また、対向辺どうしを当接させた状態で第１変位部材および第２変位部材を同方向へ往復変位させる際には、その往復変位に必要な駆動力を抑制できるので、往復変位の変位速度を高めることができ、演出効果を向上できる。
【０８９３】
遊技機Ｆ７において、ねじりばねとして形成され一方の脚が前記第２連結部材に連結されると共に他方の脚が前記ベース部材に連結され、前記第２変位部材を前記第１変位部材へ近接させる方向への付勢力を付与する第２ねじりばねを備え、前記第２変位部材を前記第１変位部材へ近接させる方向へ前記第２連結部材が回転されるに従って、前記第２ねじりばねの一方の脚と前記第２連結部材との連結位置または前記第２ねじりばねの他方の脚と前記ベース部材との連結位置の少なくとも一方が巻回部から離間されることを特徴とする遊技機Ｆ８。
【０８９４】
遊技機Ｆ８によれば、遊技機Ｆ７における第１ねじりばねと同様の効果を第２ねじりばねが奏する。特に、対向辺どうしを当接させた状態で第１変位部材および第２変位部材を同方向へ往復変位させる際には、両者においてその往復変位に必要な駆動力を抑制できるので、特に有効となる。また、第１変位部材および第２変位部材が互いに同じ高さ（重力方向位置に配置される）され、両者の当接する位置が重力方向で最も高い位置（又は最も低い位置）となり且つ両者の離間する位置（退避位置）が重力方向で最も低い位置（又は最も高い位置）となる場合に、遊技機Ｆ８の構成が特に有効となる。
【０８９５】
遊技機Ｆ７において、前記第１変位部材が重力方向上方への変位により前記第２変位部材へ近接されるものであることを特徴とする遊技機Ｆ９。
【０８９６】
遊技機Ｆ９によれば、遊技機Ｆ７の奏する効果に加え、第１変位部材が重力方向上方への変位により第２変位部材へ近接されるものであるので、第１変位部材が重力方向下方に位置するほど第１変位部材を重力方向上方へ変位させる方向への付勢力を強くできる（即ち、第１変位部材が重力方向上方に位置するほど第１変位部材を重力方向上方へ変位させる方向への付勢力を弱くできる）。
【０８９７】
よって、重力方向上方へ向けて第１変位部材を停止状態から変位（上昇）させる際には、その変位（上昇）の開始をスムーズに行うことができると共に、上昇した第１変位部材を停止させる際には、その変位の停止を、重力の作用だけでなく、付勢力が弱まることで、確実に行うことができる。その結果、第２変位部材への衝突に伴う破損を抑制できる。一方、重力方向下方へ向けて変位（下降）された第１変位部材を停止させる際には、付勢力が強まることで、かかる付勢力を、下降を継続させようとする重力の作用に対抗させることができる。その結果、第１変位部材の停止を確実に行わせることができる。
【０８９８】
遊技機Ｆ９において、ねじりばねとして形成され一方の脚が前記第２連結部材に連結されると共に他方の脚が前記ベース部材に連結され、前記第２変位部材を前記第１変位部材から離間させる方向への付勢力を付与する第２ねじりばねを備え、前記第２変位部材が重力方向上方への変位により第１変位部材から離間されるものであり、前記第２変位部材を前記第１変位部材へ近接させる方向へ前記第２連結部材が回転されるに従って、前記第２ねじりばねの一方の脚と前記第２連結部材との連結位置または前記第２ねじりばねの他方の脚と前記ベース部材との連結位置の少なくとも一方が巻回部から離間されることを特徴とする遊技機Ｆ１０。
【０８９９】
遊技機Ｆ１０によれば、遊技機Ｆ９の奏する効果に加え、ねじりばねとして形成され一方の脚が第２連結部材に連結されると共に他方の脚がベース部材に連結され、第２変位部材を第１変位部材から離間させる方向への付勢力を付与する第２ねじりばねを備え、第２変位部材が重力方向上方への変位により第１変位部材から離間されるものであるので、第２変位部材を第１変位部材から離間する方向へ変位させる際、即ち、第２変位部材を重力方向に逆らって変位（上昇）させることが必要な際に、第１連結部材を回転させるのに必要な第２駆動手段の駆動力を、第２ねじりばねの付勢力によって補助することができる。よって、その変位をスムーズに行うことができる。
【０９００】
この場合、第２変位部材を第１変位部材へ近接させる方向へ第２連結部材が回転されるに従って、第２ねじりばねの一方の脚と第２連結部材との連結位置または第２ねじりばねの他方の脚とベース部材との連結位置の少なくとも一方が巻回部から離間されるので、巻回部から力の作用位置までの距離が長くなる分、第２変位部材を第１変位部材から離間させる方向（重力方向上方へ上昇させる方向）への付勢力を弱めることができる。よって、例えば、対向辺どうしを当接させた状態で第１変位部材および第２変位部材を同方向へ往復変位させる際には、その往復変位に必要な駆動力を抑制できるので、往復変位の変位速度を高めることができ、演出効果を向上できる。
【０９０１】
遊技機Ａ１からＡ１０，Ｂ１からＢ８，Ｃ１からＣ６，Ｄ１からＤ６，Ｅ１からＥ４及びＦ１からＦ１０のいずれかにおいて、前記遊技機はスロットマシンであることを特徴とする遊技機Ｋ１。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０９０２】
遊技機Ａ１からＡ１０，Ｂ１からＢ８，Ｃ１からＣ６，Ｄ１からＤ６，Ｅ１からＥ４及びＦ１からＦ１０のいずれかにおいて、前記遊技機はパチンコ遊技機であることを特徴とする遊技機Ｋ２。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示手段において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
遊技機Ａ１からＡ１０，Ｂ１からＢ８，Ｃ１からＣ６，Ｄ１からＤ６，Ｅ１からＥ４及びＦ１からＦ１０のいずれかにおいて、前記遊技機はパチンコ遊技機とスロットマシンとを融合させたものであることを特徴とする遊技機Ｋ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
【符号の説明】
【０９０３】
１０                          パチンコ機（遊技機）
１３                          遊技盤
１４０                        第２入賞口（入球口）
１５０６５                    可変入賞装置（案内部材）
１５０６５ａ                  側面（案内面）
１５０６５ｂ                  膨出部（突設部）
１５０６５ｃ                  膨出部（突設部）
６５ａ                        特定入賞口
５１０                        ベース部材
５１１ｂ２                    係合部（規制部）
５１１ｂ１                    立設部（介在壁）
５２０                        第１電動役物（案内部材）
５２０Ｌ                      羽部材
５２０Ｒ                      羽部材
５２４Ｌ                      膨出部（突設部）
５２４Ｒ                      膨出部（突設部）
５２６Ｌ                      側面（案内面）
５２６Ｒ                      側面（案内面）
５３１                        ソレノイド（駆動手段）
５３２                        第２突起（規制手段）
５３２，８５３２              摺動部材（スライド伝達部材）
５３２ｄ                      係合溝（摺動溝）
８５３２ｅ                    第３突起（突出部）
５３３，７５３３，８５３３，９５３３  回転部材（回転伝達部材）
５３３ａ                      連結部（係合部）
５３３ｂ                      突起（摺動突起）
８５３３ｅ                    第２突起（規制手段）
６２１                        光透過部材（透過部材、装飾部材）
６２４                        基盤部材（基盤）
６２４ａ                      ＬＥＤ（発光手段）
６２５                        反射部材
６２５ａ１                    反射面（連設面）
６２５ｂ                      凹部（区画面）
６６０                        ベース部材
６７２Ｕ                      変位部材（第１変位部材）
６７２Ｄ                      変位部材（第２変位部材）
６８０Ｕ                      駆動手段（第１支持機構）
６８０Ｄ                      駆動手段（第２支持機構）
６８４Ｕ                      第１リンク部材（第１一側伝達部材）
６８４Ｄ                      第１リンク部材（第２一側伝達部材）
６８６Ｕ                      第２リンク部材（第１他側伝達部材）
６８６Ｕ                      第２リンク部材（第２他側伝達部材）
８００                        装飾図柄表示装置（回動）
８１０                        内リールユニット（第２リール）
８１１                        内リール（第２外周壁）
８１２                        ハブ（第２側壁）
８１２ａ１                    突起（立設部）
８１２ｃ                      スポーク（第２支持壁）
８１２ｃ１                    内側開口部（開口部）
５８１３ａ                    突起（立設部）
８２０                        外リールユニット（第１リール）
８２１                        外リール（第１外周壁）
８２２                        スポーク（第１支持壁）
８２４                        縁部（第１側壁）
３８２４ａ                    突起（立設部）
８２５                        外側開口部（開口部）
ＳＰ１                        ねじりバネ（付勢部材、第１ねじりばね）
ＳＰ２                        ねじりバネ（付勢部材、第２ねじりばね）
【図１】
2020108861.tif 000003
【図２】
2020108861.tif 000004
【図３】
2020108861.tif 000005
【図４】
2020108861.tif 000006
【図５】
2020108861.tif 000007
【図６】
2020108861.tif 000008
【図７】
2020108861.tif 000009
【図８】
2020108861.tif 000010
【図９】
2020108861.tif 000011
【図１０】
2020108861.tif 000012
【図１１】
2020108861.tif 000013
【図１２】
2020108861.tif 000014
【図１３】
2020108861.tif 000015
【図１４】
2020108861.tif 000016
【図１５】
2020108861.tif 000017
【図１６】
2020108861.tif 000018
【図１７】
2020108861.tif 000019
【図１８】
2020108861.tif 000020
【図１９】
2020108861.tif 000021
【図２０】
2020108861.tif 000022
【図２１】
2020108861.tif 000023
【図２２】
2020108861.tif 000024
【図２３】
2020108861.tif 000025
【図２４】
2020108861.tif 000026
【図２５】
2020108861.tif 000027
【図２６】
2020108861.tif 000028
【図２７】
2020108861.tif 000029
【図２８】
2020108861.tif 000030
【図２９】
2020108861.tif 000031
【図３０】
2020108861.tif 000032
【図３１】
2020108861.tif 000033
【図３２】
2020108861.tif 000034
【図３３】
2020108861.tif 000035
【図３４】
2020108861.tif 000036
【図３５】
2020108861.tif 000037
【図３６】
2020108861.tif 000038
【図３７】
2020108861.tif 000039
【図３８】
2020108861.tif 000040
【図３９】
2020108861.tif 000041
【図４０】
2020108861.tif 000042
【図４１】
2020108861.tif 000043
【図４２】
2020108861.tif 000044
【図４３】
2020108861.tif 000045
【図４４】
2020108861.tif 000046
【図４５】
2020108861.tif 000047
【図４６】
2020108861.tif 000048
【図４７】
2020108861.tif 000049
【図４８】
2020108861.tif 000050
【図４９】
2020108861.tif 000051
【図５０】
2020108861.tif 000052
【図５１】
2020108861.tif 000053
【図５２】
2020108861.tif 000054
【図５３】
2020108861.tif 000055
【図５４】
2020108861.tif 000056
【図５５】
2020108861.tif 000057
【図５６】
2020108861.tif 000058
【図５７】
2020108861.tif 000059
【図５８】
2020108861.tif 000060
【図５９】
2020108861.tif 000061
【図６０】
2020108861.tif 000062
【図６１】
2020108861.tif 000063
【図６２】
2020108861.tif 000064
【図６３】
2020108861.tif 000065
【図６４】
2020108861.tif 000066
【図６５】
2020108861.tif 000067
【図６６】
2020108861.tif 000068
【図６７】
2020108861.tif 000069
【図６８】
2020108861.tif 000070
【図６９】
2020108861.tif 000071
【図７０】
2020108861.tif 000072
【図７１】
2020108861.tif 000073
【図７２】
2020108861.tif 000074
【図７３】
2020108861.tif 000075
【図７４】
2020108861.tif 000076
【図７５】
2020108861.tif 000077
【図７６】
2020108861.tif 000078
【図７７】
2020108861.tif 000079
【図７８】
2020108861.tif 000080
【図７９】
2020108861.tif 000081
【図８０】
2020108861.tif 000082
【図８１】
2020108861.tif 000083
【図８２】
2020108861.tif 000084
【図８３】
2020108861.tif 000085
【図８４】
2020108861.tif 000086
【図８５】
2020108861.tif 000087
【図８６】
2020108861.tif 000088
【図８７】
2020108861.tif 000089
【図８８】
2020108861.tif 000090
【図８９】
2020108861.tif 000091
【図９０】
2020108861.tif 000092
【図９１】
2020108861.tif 000093
【図９２】
2020108861.tif 000094
【図９３】
2020108861.tif 000095
【図９４】
2020108861.tif 000096
【図９５】
2020108861.tif 000097
【図９６】
2020108861.tif 000098
【図９７】
2020108861.tif 000099
【図９８】
2020108861.tif 000100
【図９９】
2020108861.tif 000101
【図１００】
2020108861.tif 000102
【図１０１】
2020108861.tif 000103
【図１０２】
2020108861.tif 000104
【図１０３】
2020108861.tif 000105
【図１０４】
2020108861.tif 000106
【図１０５】
2020108861.tif 000107
【図１０６】
2020108861.tif 000108
【手続補正書】
【提出日】令和2年4月17日(2020.4.17)
【手続補正１】
【補正対象書類名】特許請求の範囲
【補正対象項目名】全文
【補正方法】変更
【補正の内容】
【特許請求の範囲】
【請求項１】
対向配置され近接または離間する方向へそれぞれ変位可能に形成され対向辺どうしを当接させた状態で同方向へ変位可能に形成された第１変位部材および第２変位部材を備えた遊技機において、
ベース部材と、そのベース部材に前記第１変位部材および第２変位部材をそれぞれ変位可能に支持する第１支持機構および第２支持機構とを備え、
前記第１支持機構は、駆動力を発生する第１駆動手段と、前記第１変位部材を前記ベース部材に連結する一対の第１連結部材と、それら一対の第１連結部材へ前記第１駆動手段の駆動力をそれぞれ伝達すると共に互いに異なる構成とされる第１一側伝達部材および第１他側伝達部材とを備え、
前記第２支持機構は、駆動力を発生する第２駆動手段と、前記第２変位部材を前記ベース部材に連結する一対の第２連結部材と、それら一対の第２連結部材へ前記第２駆動手段の駆動力をそれぞれ伝達すると共に互いに異なる構成とされる第２一側伝達部材および第２他側伝達部材とを備え、
前記第１支持機構の支持態様が前記第１変位部材の対向辺の一側へ偏倚され、前記第１変位部材の対向辺の一側に当接される前記第２変位部材の対向辺の他側とは反対側となる前記第２変位部材の対向辺の一側へ前記第２支持機構の支持態様が偏倚され、
前記遊技機は、前記第１変位部材および第２変位部材の対向辺どうしを当接させた状態で前記第１変位部材および第２変位部材を離間させる方向への付勢力を前記第１変位部材および第２変位部材に作用させる弾性体を備えることを特徴とする遊技機。
【手続補正２】
【補正対象書類名】明細書
【補正対象項目名】全文
【補正方法】変更
【補正の内容】
【発明の詳細な説明】
【技術分野】
【０００１】
本発明は、パチンコ機などの遊技機に関するものである。
【背景技術】
【０００２】
パチンコ機等の遊技機において、対向配置され近接または離間する方向へそれぞれ変位可能に形成されると共に対向辺どうしを当接させた状態で同方向へ変位可能に形成された第１変位部材および第２変位部材を備えた遊技機が知られている（特許文献１）。
【先行技術文献】
【特許文献】
【０００３】
【特許文献１】特開２０１３−１０６８４４号公報
【発明の概要】
【発明が解決しようとする課題】
【０００４】
しかしながら、上述した遊技機では、対向辺どうしの間に隙間が形成される恐れがあるという問題点があった。
【０００５】
本発明は、上記例示した問題点を解決するためになされたものであり、対向辺どうしの間に隙間が形成されることを抑制できる遊技機を提供することを目的とする。
【課題を解決するための手段】
【０００６】
この目的を達成するために請求項１記載の遊技機は、対向配置され近接または離間する方向へそれぞれ変位可能に形成されると共に対向辺どうしを当接させた状態で同方向へ変位可能に形成された第１変位部材および第２変位部材を備えたものであり、ベース部材と、そのベース部材に前記第１変位部材および第２変位部材をそれぞれ変位可能に支持する第１支持機構および第２支持機構とを備え、前記第１支持機構は、駆動力を発生する第１駆動手段と、前記第１変位部材を前記ベース部材に連結する一対の第１連結部材と、それら一対の第１連結部材へ前記第１駆動手段の駆動力をそれぞれ伝達すると共に互いに異なる構成とされる第１一側伝達部材および第１他側伝達部材とを備え、前記第２支持機構は、駆動力を発生する第２駆動手段と、前記第２変位部材を前記ベース部材に連結する一対の第２連結部材と、それら一対の第２連結部材へ前記第２駆動手段の駆動力をそれぞれ伝達すると共に互いに異なる構成とされる第２一側伝達部材および第２他側伝達部材とを備え、前記第１支持機構の支持態様が前記第１変位部材の対向辺の一側へ偏倚され、前記第１変位部材の対向辺の一側に当接される前記第２変位部材の対向辺の他側とは反対側となる前記第２変位部材の対向辺の一側へ前記第２支持機構の支持態様が偏倚され、前記遊技機は、前記第１変位部材および第２変位部材の対向辺どうしを当接させた状態で前記第１変位部材および第２変位部材を離間させる方向への付勢力を前記第１変位部材および第２変位部材に作用させる弾性体を備える。
【０００７】
【０００８】
【発明の効果】
【０００９】
請求項１記載の遊技機によれば、対向辺どうしの間に隙間が形成されることを抑制できる。
【００１０】
【００１１】
【図面の簡単な説明】
【００１２】
【図１】第１実施形態におけるパチンコ機の正面図である。
【図２】パチンコ機の遊技盤の正面図である。
【図３】パチンコ機の背面図である。
【図４】パチンコ機の電気的構成を示すブロック図である。
【図５】遊技盤の分解斜視正面図である。
【図６】動作ユニットの斜視正面図である。
【図７】動作ユニットの分解斜視正面図である。
【図８】動作ユニットの正面図である。
【図９】動作ユニットの正面図である。
【図１０】（ａ）は、入賞口ユニットの正面図であり、（ｂ）は、入賞口ユニットの背面図である。
【図１１】入賞口ユニットの分解斜視正面図である。
【図１２】入賞口ユニットの分解斜視背面図である。
【図１３】ベース部材および第１電動役物の分解斜視図である。
【図１４】駆動ユニットの分解斜視正面図である。
【図１５】（ａ）及び（ｂ）は、駆動ユニットおよび第１電動役物の側面図である。
【図１６】（ａ）及び（ｂ）は、駆動ユニットおよび第１電動役物の正面図である。
【図１７】（ａ）及び（ｂ）は、図１０（ａ）のＸＶＩＩ−ＸＶＩＩ線における入賞口ユニット５００の断面図である。
【図１８】（ａ）及び（ｂ）は、入賞口ユニットの正面図である。
【図１９】（ａ）及び（ｂ）は、第１電動役物および駆動ユニットの側面図である。
【図２０】（ａ）は、図１８（ａ）のＸＸａ−ＸＸａ線における入賞口ユニットの断面図であり、図２０（ｂ）は、図１８（ｂ）のＸＸｂ−ＸＸｂ線における入賞口ユニットの断面図である。
【図２１】（ａ）及び（ｂ）は、第１電動役物および駆動ユニットの側面図である。
【図２２】（ａ）は、図２１（ａ）の範囲ＸＸＩＩａにおける駆動ユニットの部分拡大側面図であり、（ｂ）は、図２１（ｂ）の範囲ＸＸＩＩｂにおける駆動ユニットの部分拡大側面図である。
【図２３】（ａ）は、左羽部材の正面斜視図であり、（ｂ）は右羽部材の正面斜視図である。
【図２４】（ａ）は、入賞口ユニットの正面図であり、（ｂ）は、図２４（ａ）のＸＸＩＶｂ−ＸＸＩＶｂ線における入賞口ユニットの断面図である。
【図２５】（ａ）及び（ｂ）は、入賞口ユニットの断面図である。
【図２６】（ａ）及び（ｂ）は、入賞口ユニットの断面図である。
【図２７】（ａ）は、入賞口ユニットの上面図であり、（ｂ）は、図２７（ａ）のＸＸＶＩＩｂ−ＸＸＶＩＩｂ線における入賞口ユニットの断面図である。
【図２８】（ａ）及び（ｂ）は、図２７（ｂ）の範囲ＸＸＶＩＩＩにおける入賞口ユニットの部分拡大断面図である。
【図２９】図２の範囲ＸＸＩＸにおける遊技盤の部分拡大図である。
【図３０】（ａ）は、装飾図柄表示装置の正面図であり、（ｂ）は、図３０（ａ）のＸＸＸｂ−ＸＸＸｂ線における装飾図柄表示装置の断面図である。
【図３１】装飾図柄表示装置の分解斜視正面図である。
【図３２】装飾図柄表示装置の分解斜視背面図である。
【図３３】（ａ）は、内リールを展開した正面図であり、（ｂ）は、外リールを展開した正面図である。
【図３４】図３０（ａ）のＸＸＸＩＶ−ＸＸＸＩＶ線における装飾図柄表示装置の断面図である。
【図３５】図３４の範囲ＸＸＸＶにおける装飾図柄表示装置の部分拡大図である。
【図３６】（ａ）は、回転部材の部分拡大図であり、（ｂ）は、図３６（ａ）のＸＸＸＶＩｂ−ＸＸＸＶＩｂ線における回転部材の断面図である。
【図３７】セグメント表示装置の正面図である。
【図３８】セグメント表示装置の分解図である。
【図３９】（ａ）は、上下変位ユニットの正面図であり、（ｂ）は、上下変位ユニットの側面図である。
【図４０】上下変位ユニットの分解斜視正面図である。
【図４１】上下変位ユニットの分解斜視背面図である。
【図４２】（ａ）は、第２セグユニットの正面図であり、（ｂ）は、第２セグユニットの背面図である。
【図４３】第２セグユニットの分解斜視正面図である。
【図４４】第２セグユニットの分解斜視背面図である。
【図４５】図４２（ａ）のＸＬＶ−ＸＬＶ線における第２セグユニットの断面図である。
【図４６】基盤部材の側面図である。
【図４７】図４２（ａ）のＸＬＶＩＩ−ＸＬＶＩＩ線における第２セグユニットの断面図である。
【図４８】上下変位ユニットの正面図である。
【図４９】上下変位ユニットの分解斜視正面図である。
【図５０】上下変位ユニットの分解斜視背面図である。
【図５１】（ａ）は、変位部材の正面図であり、（ｂ）は、変位部材の側面図である。
【図５２】変位部材の分解斜視正面図である。
【図５３】図５１（ａ）のＬＩＩＩ−ＬＩＩＩ線における変位部材の断面図である。
【図５４】変位部材の正面図である。
【図５５】セグメント表示装置および装飾図柄表示装置の正面図である。
【図５６】セグメント表示装置および装飾図柄表示装置の模式図である。
【図５７】（ａ）から（ｃ）は、上下変位ユニットの正面図である。
【図５８】（ａ）は、上下変位ユニットの側面図であり、（ｂ）は、図５７（ａ）のＬＶＩＩＩｂ−ＬＶＩＩＩｂ線における上下変位ユニットの断面図である。
【図５９】（ａ）は、上下変位ユニットの側面図であり、（ｂ）は、図５７（ａ）のＬＶＩＩＩｂ−ＬＶＩＩＩｂ線における上下変位ユニットの断面図である。
【図６０】（ａ）は、上下変位ユニットの側面図であり、（ｂ）は、図５７（ａ）のＬＶＩＩＩｂ−ＬＶＩＩＩｂ線における上下変位ユニットの断面図である。
【図６１】上下変位ユニットの模式図である。
【図６２】上下変位ユニットの模式図である。
【図６３】上下変位ユニットの模式図である。
【図６４】（ａ）は、第２実施形態における回転部材の部分拡大図であり、（ｂ）は、図６４（ａ）のＬＸＩＶｂ−ＬＸＩＶｂ線における回転部材の断面図である。
【図６５】第３実施形態における装飾図柄表示装置の断面図である。
【図６６】（ａ）は、外リールユニットの部分拡大図であり、（ｂ）は、図６６（ａ）のＬＸＶＩｂ−ＬＸＶＩｂ線における外リールユニットの断面図である。
【図６７】第４実施形態における装飾図柄表示装置の断面図である。
【図６８】（ａ）は、回転部材の部分拡大図であり、（ｂ）は、図６８（ａ）のＬＸＶＩＩＩｂ−ＬＸＶＩＩＩｂ線における回転部材の断面図である。
【図６９】第５実施形態における装飾図柄表示装置の断面図である。
【図７０】（ａ）は、円環部材の部分拡大図であり、（ｂ）は、図７０（ａ）のＬＸＸｂ−ＬＸＸｂ線における円環部材の断面図である。
【図７１】第６実施形態における装飾図柄表示装置の断面図である。
【図７２】（ａ）は、回転部材の部分拡大図であり、（ｂ）は、図７２（ａ）のＬＸＸＩＩｂ−ＬＸＸＩＩｂ線における回転部材の断面図である。
【図７３】（ａ）は、外リールユニットの部分拡大図であり、（ｂ）は、図７３（ａ）のＬＸＸＩＩＩｂ−ＬＸＸＩＩＩｂ線における外リールユニットの断面図である。
【図７４】（ａ）は、第７実施形態における回転部材の正面図であり、（ｂ）は、回転部材の側面図である。
【図７５】（ａ）から（ｃ）は、駆動ユニットおよび第１電動役物の側面図である。
【図７６】（ａ）から（ｃ）は、駆動ユニットおよび第１電動役物の正面図である。
【図７７】（ａ）及び（ｂ）は、入賞口ユニットの断面図である。
【図７８】第８実施形態における駆動ユニットの分解斜視正面図である。
【図７９】（ａ）及び（ｂ）は、第１電動役物および駆動ユニットの側面図である。
【図８０】（ａ）及び（ｂ）は、第１電動役物および駆動ユニットの正面図である。
【図８１】（ａ）及び（ｂ）は、入賞口ユニットの断面図である。
【図８２】（ａ）及び（ｂ）は、入賞口ユニットの断面図である。
【図８３】第９実施形態における駆動ユニットの分解斜視正面図である。
【図８４】（ａ）及び（ｂ）は、第１電動役物および駆動ユニットの側面図である。
【図８５】（ａ）及び（ｂ）は、第１電動役物および駆動ユニットの正面図である。
【図８６】（ａ）及び（ｂ）は、入賞口ユニットの断面図である。
【図８７】（ａ）及び（ｂ）は、入賞口ユニットの断面図である。
【図８８】（ａ）は、第１０実施形態における変位部材の正面図であり、（ｂ）は、変位部材の側面図である。
【図８９】変位部材の分解斜視正面図である。
【図９０】上下変位ユニットの断面図である。
【図９１】（ａ）及び（ｂ）は、図９０の範囲ＸＣＩにおける上下変位ユニットの部分拡大図である。
【図９２】第１１実施形態における上下変位ユニットの模式図である。
【図９３】上下変位ユニットの模式図である。
【図９４】上下変位ユニットの模式図である。
【図９５】（ａ）は、第１２実施形態における入賞口ユニットの上面図であり、（ｂ）は、図９５（ａ）のＸＣＶｂ−ＸＣＶｂ線における入賞口ユニットの断面図である。
【図９６】（ａ）は、第１３実施形態における入賞口ユニットの上面図であり、（ｂ）は、図９６（ａ）のＸＣＶＩｂ−ＸＣＶＩｂ線における入賞口ユニットの断面図である。
【図９７】（ａ）は、第１４実施形態における左羽部材の斜視正面図であり、（ｂ）は、右羽部材の斜視正面図である。
【図９８】（ａ）は、入賞口ユニットの断面図であり、（ｂ）は、図９８（ａ）のＸＣＶＩＩＩｂ−ＸＣＶＩＩＩｂ線における左羽部材の断面模式図であり、（ｃ）は、図９８（ｂ）のＸＣＶＩＩＩｃ−ＸＣＶＩＩＩｃ線における右羽部材の断面模式図である。
【図９９】（ａ）は、第１５実施形態における遊技盤の部分拡大図であり（ｂ）は、図９９のＸＣＩＸｂ−ＸＣＩＸｂ線における遊技盤の断面図である。
【図１００】（ａ）は、遊技盤の部分拡大図であり、（ｂ）は、図１００（ａ）のＣｂ−Ｃｂ線における遊技盤の断面図である。
【図１０１】（ａ）は、第１６実施形態における第１電動役物および駆動ユニットの正面図であり、（ｂ）は、図１０１（ａ）ＣＩｂ−ＣＩｂ線における第１電動役物および駆動ユニット８５３０の断面図であり、（ｃ）は、図１０１（ｂ）のＣＩｃ−ＣＩｃ線における第１電動役物および駆動ユニットの断面図である。
【図１０２】（ａ）及び（ｂ）は、第１７実施形態における第１電動役物および駆動ユニットの側面図である。
【図１０３】（ａ）及び（ｂ）は、入賞口ユニットの断面図である。
【図１０４】（ａ）及び（ｂ）は、入賞口ユニットの断面図である。
【図１０５】（ａ）は、第１８実施形態における回転部材の部分拡大図であり、（ｂ）は、図１０５（ａ）のＣＶｂ−ＣＶｂ線における回転部材の断面図である。
【図１０６】（ａ）及び（ｂ）は、第１８実施形態における装飾図柄表示装置の断面図である。
【発明を実施するための形態】
【００１３】
以下、本発明の実施形態について、添付図面を参照して説明する。まず、図１から図６３を参照し、第１実施形態として、本発明をパチンコ遊技機（以下、単に「パチンコ機」という）１０に適用した場合の一実施形態について説明する。図１は、第１実施形態におけるパチンコ機１０の正面図であり、図２はパチンコ機１０の遊技盤１３の正面図であり、図３はパチンコ機１０の背面図である。
【００１４】
図１に示すように、パチンコ機１０は、略矩形状に組み合わせた木枠により外殻が形成される外枠２と、その外枠２と略同一の外形形状に形成され外枠２に対して開閉可能に支持された内枠４とを備えている。外枠２には、内枠４を支持するために正面視（図１参照）左側の上下２カ所に金属製のヒンジ１８が取り付けられ、そのヒンジ１８が設けられた側を開閉の軸として内枠４が正面手前側へ開閉可能に支持されている。
【００１５】
内枠４には、多数の釘や入賞口６３，６４等を有する遊技盤１３（図２参照）が裏面側から着脱可能に装着される。この遊技盤１３の前面を球（遊技球）が流下することにより弾球遊技が行われる。なお、内枠４には、球を遊技盤１３の前面領域に発射する球発射ユニット１１２ａ（図４参照）やその球発射ユニット１１２ａから発射された球を遊技盤１３の前面領域まで誘導する発射レール（図示せず）等が取り付けられている。
【００１６】
内枠４の前面側には、その前面上側を覆う前扉５と、その下側を覆う下皿ユニット１５とが設けられている。前扉５および下皿ユニット１５を支持するために正面視（図１参照）左側の上下２カ所に金属製のヒンジ１９が取り付けられ、そのヒンジ１９が設けられた側を開閉の軸として前扉５および下皿ユニット１５が正面手前側へ開閉可能に支持されている。なお、内枠４の施錠と前扉５の施錠とは、シリンダ錠２０の鍵穴２１に専用の鍵を差し込んで所定の操作を行うことでそれぞれ解除される。
【００１７】
前扉５は、装飾用の樹脂部品や電気部品等を組み付けたものであり、その略中央部には略楕円形状に開口形成された窓部５ｃが設けられている。前扉５の裏面側には２枚の板ガラス８を有するガラスユニット１６が配設され、そのガラスユニット１６を介して遊技盤１３の前面がパチンコ機１０の正面側に視認可能となっている。
【００１８】
前扉５には、球を貯留する上皿１７が前方へ張り出して上面を開放した略箱状に形成されており、この上皿１７に賞球や貸出球などが排出される。上皿１７の底面は正面視（図１参照）右側に下降傾斜して形成され、その傾斜により上皿１７に投入された球が球発射ユニット１１２ａ（図４参照）へと案内される。また、上皿１７の上面には、枠ボタン２２が設けられている。この枠ボタン２２は、例えば、セグメント表示装置６００及び装飾図柄表示装置８００（図２参照）で表示される演出の態様を変更したり、スーパーリーチの演出内容を変更したりする場合などに、遊技者により操作される。
【００１９】
前扉５には、その周囲（例えばコーナー部分）に各種ランプ等の発光手段が設けられている。これら発光手段は、大当たり時や所定のリーチ時等における遊技状態の変化に応じて、点灯又は点滅することにより発光態様が変更制御され、遊技中の演出効果を高める役割を果たす。窓部５ｃの周縁には、ＬＥＤ等の発光手段を内蔵した電飾部２９〜３３が設けられている。パチンコ機１０においては、これら電飾部２９〜３３が大当たりランプ等の演出ランプとして機能し、大当たり時やリーチ演出時等には内蔵するＬＥＤの点灯や点滅によって各電飾部２９〜３３が点灯または点滅して、大当たり中である旨、或いは大当たり一歩手前のリーチ中である旨が報知される。また、前扉５の正面視（図１参照）左上部には、ＬＥＤ等の発光手段が内蔵され賞球の払い出し中とエラー発生時とを表示可能な表示ランプ３４が設けられている。
【００２０】
また、右側の電飾部３２下側には、前扉５の裏面側を視認できるように裏面側より透明樹脂を取り付けて小窓３５が形成され、遊技盤１３前面の貼着スペースＫ１（図２参照）に貼付される証紙等がパチンコ機１０の前面から視認可能とされている。また、パチンコ機１０においては、より煌びやかさを醸し出すために、電飾部２９〜３３の周りの領域にクロムメッキを施したＡＢＳ樹脂製のメッキ部材３６が取り付けられている。
【００２１】
窓部５ｃの下方には、貸球操作部４０が配設されている。貸球操作部４０には、度数表示部４１と、球貸しボタン４２と、返却ボタン４３とが設けられている。パチンコ機１０の側方に配置されるカードユニット（球貸しユニット）（図示せず）に紙幣やカード等を投入した状態で貸球操作部４０が操作されると、その操作に応じて球の貸出が行われる。具体的には、度数表示部４１はカード等の残額情報が表示される領域であり、内蔵されたＬＥＤが点灯して残額情報として残額が数字で表示される。球貸しボタン４２は、カード等（記録媒体）に記録された情報に基づいて貸出球を得るために操作されるものであり、カード等に残額が存在する限りにおいて貸出球が上皿１７に供給される。返却ボタン４３は、カードユニットに挿入されたカード等の返却を求める際に操作される。なお、カードユニットを介さずに球貸し装置等から上皿１７に球が直接貸し出されるパチンコ機、いわゆる現金機では貸球操作部４０が不要となるが、この場合には、貸球操作部４０の設置部分に飾りシール等を付加して部品構成は共通のものとしても良い。カードユニットを用いたパチンコ機と現金機との共通化を図ることができる。
【００２２】
上皿１７の下側に位置する下皿ユニット１５には、その中央部に上皿１７に貯留しきれなかった球を貯留するための下皿５０が上面を開放した略箱状に形成されている。下皿５０の右側には、球を遊技盤１３の前面へ打ち込むために遊技者によって操作される操作ハンドル５１が配設される。
【００２３】
操作ハンドル５１の内部には、球発射ユニット１１２ａの駆動を許可するためのタッチセンサ５１ａと、押下操作している期間中には球の発射を停止する発射停止スイッチ５１ｂと、操作ハンドル５１の回動操作量（回動位置）を電気抵抗の変化により検出する可変抵抗器（図示せず）などが内蔵されている。操作ハンドル５１が遊技者によって右回りに回動操作されると、タッチセンサ５１ａがオンされると共に可変抵抗器の抵抗値が回動操作量に対応して変化し、その可変抵抗器の抵抗値に対応した強さ（発射強度）で球が発射され、これにより遊技者の操作に対応した飛び量で遊技盤１３の前面へ球が打ち込まれる。また、操作ハンドル５１が遊技者により操作されていない状態においては、タッチセンサ５１ａおよび発射停止スイッチ５１ｂがオフとなっている。
【００２４】
下皿５０の正面下方部には、下皿５０に貯留された球を下方へ排出する際に操作するための球抜きレバー５２が設けられている。この球抜きレバー５２は、常時、右方向に付勢されており、その付勢に抗して左方向へスライドさせることにより、下皿５０の底面に形成された底面口が開口して、その底面口から球が自然落下して排出される。この球抜きレバー５２の操作は、通常、下皿５０の下方に下皿５０から排出された球を受け取る箱（一般に「千両箱」と称される）を置いた状態で行われる。下皿５０の右方には、上述したように操作ハンドル５１が配設され、下皿５０の左方には灰皿５３が取り付けられている。
【００２５】
図２に示すように、遊技盤１３は、正面視略正方形状に切削加工したベース板６０に、球案内用の多数の釘（図示せず）や風車の他、レール７６，７７、一般入賞口６３、第１入賞口６４、第２入賞口１４０、可変入賞装置６５、第１スルーゲート６６、可変表示装置ユニット８０等を組み付けて構成され、その周縁部が内枠４（図１参照）の裏面側に取り付けられる。ベース板６０は薄い板材を張り合わせた木材からなり、その正面側からベース板６０の背面側に配設された各種構造体を遊技者に目視できないように形成される。一般入賞口６３、第１入賞口６４、第２入賞口１４０、可変入賞装置６５、可変表示装置ユニット８０は、ルータ加工によってベース板６０に形成された貫通穴に配設され、遊技盤１３の前面側からタッピングネジ等により固定されている。
【００２６】
遊技盤１３の前面中央部分は、前扉５の窓部５ｃ（図１参照）を通じて内枠４の前面側から視認することができる。以下に、主に図２を参照して、遊技盤１３の構成について説明する。
【００２７】
遊技盤１３の前面には、帯状の金属板を略円弧状に屈曲加工して形成した外レール７７が植立され、その外レール７７の内側位置には外レール７７と同様に帯状の金属板で形成した円弧状の内レール７６が植立される。この内レール７６と外レール７７とにより遊技盤１３の前面外周が囲まれ、遊技盤１３とガラスユニット１６（図１参照）とにより前後が囲まれることにより、遊技盤１３の前面には、球の挙動により遊技が行われる遊技領域が形成される。遊技領域は、遊技盤１３の前面であって２本のレール７６，７７とレール間を繋ぐ樹脂製の外縁部材７３とにより区画して形成される領域（入賞口等が配設され、発射された球が流下する領域）である。
【００２８】
２本のレール７６，７７は、球発射ユニット１１２ａ（図４参照）から発射された球を遊技盤１３上部へ案内するために設けられたものである。内レール７６の先端部分（図２の左上部）には戻り球防止部材６８が取り付けられ、一旦、遊技盤１３の上部へ案内された球が再度球案内通路内に戻ってしまうといった事態が防止される。外レール７７の先端部（図２の右上部）には、球の最大飛翔部分に対応する位置に返しゴム６９が取り付けられ、所定以上の勢いで発射された球は、返しゴム６９に当たって、勢いが減衰されつつ中央部側へ跳ね返される。
【００２９】
遊技領域の正面視左側下部（図２の左側下部）には、発光手段である複数のＬＥＤおよび７セグメント表示器を備える第１図柄表示装置３７Ａ，３７Ｂが配設されている。第１図柄表示装置３７Ａ，３７Ｂは、主制御装置１１０（図４参照）で行われる各制御に応じた表示がなされるものであり、主にパチンコ機１０の遊技状態の表示が行われる。本実施形態では、第１図柄表示装置３７Ａ，３７Ｂは、球が、第１入賞口６４へ入賞したか、第２入賞口１４０へ入賞したかに応じて使い分けられるように構成されている。具体的には、球が、第１入賞口６４へ入賞した場合には、第１図柄表示装置３７Ａが作動し、一方で、球が、第２入賞口１４０へ入賞した場合には、第１図柄表示装置３７Ｂが作動するように構成されている。
【００３０】
また、第１図柄表示装置３７Ａ，３７Ｂは、ＬＥＤにより、パチンコ機１０が確変中か時短中か通常中であるかを点灯状態により示したり、変動中であるか否かを点灯状態により示したり、停止図柄が確変大当たりに対応した図柄か普通大当たりに対応した図柄か外れ図柄であるかを点灯状態により示したり、保留球数を点灯状態により示すと共に、７セグメント表示装置により、大当たり中のラウンド数やエラー表示を行う。なお、複数のＬＥＤは、それぞれのＬＥＤの発光色（例えば、赤、緑、青）が異なるよう構成され、その発光色の組み合わせにより、少ないＬＥＤでパチンコ機１０の各種遊技状態を示唆することができる。
【００３１】
なお、本パチンコ機１０では、第１入賞口６４，第２入賞口１４０のいずれかに入賞があったことを契機として抽選が行われる。パチンコ機１０は、その抽選において、大当たりか否かの当否判定（大当たり抽選）を行うと共に、大当たりと判定した場合はその大当たり種別の判定も行う。ここで判定される大当たり種別としては、１５Ｒ確変大当たり、４Ｒ確変大当たり、１５Ｒ通常大当たりが用意されている。第１図柄表示装置３７Ａ，３７Ｂには、変動終了後の停止図柄として抽選の結果が大当たりであるか否かが示されるだけでなく、大当たりである場合はその大当たり種別に応じた図柄が示される。
【００３２】
ここで、「１５Ｒ確変大当たり」とは、最大ラウンド数が１５ラウンドの大当たりの後に高確率状態へ移行する確変大当たりのことであり、「４Ｒ確変大当たり」とは、最大ラウンド数が４ラウンドの大当たりの後に高確率状態へ移行する確変大当たりのことである。また、「１５Ｒ通常大当たり」は、最大ラウンド数が１５ラウンドの大当たりの後に、低確率状態へ移行すると共に、所定の変動回数の間（例えば、１００変動回数）は時短状態となる大当たりのことである。
【００３３】
また、「高確率状態」とは、大当たり終了後に付加価値としてその後の大当たり確率がアップした状態、いわゆる確率変動中（確変中）の時をいい、換言すれば、特別遊技状態へ移行し易い遊技の状態のことである。本実施形態における高確率状態（確変中）は、後述する第２図柄の当たり確率がアップして第２入賞口１４０へ球が入賞し易い遊技の状態を含む。「低確率状態」とは、確変中でない時をいい、大当たり確率が通常の状態、即ち、確変の時より大当たり確率が低い状態をいう。また、「低確率状態」のうちの時短状態（時短中）とは、大当たり確率が通常の状態であると共に、大当たり確率がそのままで第２図柄の当たり確率のみがアップして第２入賞口１４０へ球が入賞し易い遊技の状態のことをいう。一方、パチンコ機１０が通常中とは、確変中でも時短中でもない遊技の状態（大当たり確率も第２図柄の当たり確率もアップしていない状態）である。
【００３４】
確変中や時短中は、第２図柄の当たり確率がアップするだけではなく、第２入賞口１４０に付随する第１電動役物５２０が開放される時間も変更され、通常中と比して長い時間が設定される。第１電動役物５２０が開放された状態（開放状態）にある場合は、その第１電動役物５２０が閉鎖された状態（閉鎖状態）にある場合と比して、第２入賞口１４０へ球が入賞しやすい状態となる。よって、確変中や時短中は、第２入賞口１４０へ球が入賞し易い状態となり、大当たり抽選が行われる回数を増やすことができる。
【００３５】
なお、確変中や時短中において、第２入賞口１４０に付随する第１電動役物５２０の開放時間を変更するのではなく、または、その開放時間を変更することに加えて、１回の当たりで第１電動役物５２０が開放する回数を通常中よりも増やす変更を行うものとしてもよい。また、確変中や時短中において、第２図柄の当たり確率は変更せず、第２入賞口１４０に付随する第１電動役物５２０が開放される時間および１回の当たりで第１電動役物５２０が開放する回数の少なくとも一方を変更するものとしてもよい。また、確変中や時短中において、第２入賞口１４０に付随する第１電動役物５２０が開放される時間や、１回の当たりで第１電動役物５２０を開放する回数は変更せず、第２図柄の当たり確率だけを、通常中と比してアップするよう変更するものであってもよい。
【００３６】
遊技領域には、球が入賞することにより５個から１５個の球が賞球として払い出される複数の一般入賞口６３が配設されている。また、遊技領域の中央部分には、可変表示装置ユニット８０が配設されている。可変表示装置ユニット８０には、第１入賞口６４、第２入賞口１４０のいずれかの入賞（始動入賞）をトリガとして、第１図柄表示装置３７Ａ，３７Ｂにおける変動表示と同期させながら、第３図柄の変動表示を行うセグメント表示装置６００及び装飾図柄表示装置８００と、第１スルーゲート６６の球の通過をトリガとして第２図柄を変動表示するＬＥＤで構成される第２図柄表示装置（図示せず）とが設けられている。
【００３７】
また、可変表示装置ユニット８０には、セグメント表示装置６００及び装飾図柄表示装置８００の外周を囲むようにして、センタフレーム８６が配設されている。このセンタフレーム８６の中央に開口される開口部からセグメント表示装置６００及び装飾図柄表示装置８００が視認可能とされる。
【００３８】
本実施形態のセグメント表示装置６００及び装飾図柄表示装置８００は、主制御装置１１０（図４参照）の制御に伴った遊技状態の表示が第１図柄表示装置３７Ａ，３７Ｂで行われるのに対して、その第１図柄表示装置３７Ａ，３７Ｂの表示に応じた装飾的な表示および変位動作を行うものである。なお、セグメント表示装置６００及び装飾図柄表示装置８００に代えて、例えば液晶表示を用いて遊技状態の表示するようにしても良い。
【００３９】
第２図柄表示装置は、球が第１スルーゲート６６を通過する毎に表示図柄（第２図柄（図示せず））としての「○」の図柄と「×」の図柄とを所定時間交互に点灯させる変動表示を行うものである。パチンコ機１０では、球が第１スルーゲート６６を通過したことが検出されると、当たり抽選が行われる。その当たり抽選の結果、当たりであれば、第２図柄表示装置において、第２図柄の変動表示後に「○」の図柄が停止表示される。また、当たり抽選の結果、外れであれば、第２図柄表示装置において、第３図柄の変動表示後に「×」の図柄が停止表示される。
【００４０】
パチンコ機１０は、第２図柄表示装置における変動表示が所定図柄（本実施形態においては「○」の図柄）で停止した場合に、第２入賞口１４０に付随された第１電動役物５２０が所定時間だけ作動状態となる（開放される）よう構成されている。
【００４１】
第２図柄の変動表示にかかる時間は、遊技状態が通常中の場合よりも、確変中または時短中の方が短くなるように設定される。これにより、確変中および時短中は、第２図柄の変動表示が短い時間で行われるので、当たり抽選を通常中よりも多く行うことができる。よって、当たり抽選において当たりとなる機会が増えるので、第２入賞口１４０の第１電動役物５２０が開放状態となる機会を遊技者に多く与えることができる。よって、確変中および時短中は、第２入賞口１４０へ球が入賞しやすい状態とすることができる。
【００４２】
なお、確変中または時短中において、当たり確率を高める、１回に当たりに対する第１電動役物５２０の開放時間や開放回数を増やすなど、その他の方法によっても、確変中または時短中に第２入賞口１４０へ球が入賞しやすい状態としている場合は、第２図柄の変動表示にかかる時間を遊技状態にかかわらず一定としてもよい。一方、第２図柄の変動表示にかかる時間を、確変中または時短中において通常中よりも短く設定する場合は、当たり確率を遊技状態にかかわらず一定にしてもよいし、また、１回の当たりに対する第１電動役物５２０の開放時間や開放回数を遊技状態にかかわらず一定にしてもよい。
【００４３】
第１スルーゲート６６は、可変表示装置ユニット８０の右側の領域において遊技盤に組み付けられる。第１スルーゲート６６は、遊技盤に発射された球のうち、遊技盤を流下する球の一部が通過可能に構成されている。第１スルーゲート６６を球が通過すると、第２図柄の当たり抽選が行われる。当たり抽選の後、第２図柄表示装置にて変動表示を行い、当たり抽選の結果が当たりであれば、変動表示の停止図柄として「○」の図柄を表示し、当たり抽選の結果が外れであれば、変動表示の停止図柄として「×」の図柄を表示する。
【００４４】
球の第１スルーゲート６６の通過回数は、合計で最大４回まで保留され、その保留球数が上述した第１図柄表示装置３７Ａ，３７Ｂにより表示されると共に第２図柄保留ランプ（図示せず）においても点灯表示される。第２図柄保留ランプは、最大保留数分の４つ設けられ、セグメント表示装置６００及び装飾図柄表示装置８００の下方に左右対称に配設されている。
【００４５】
なお、第２図柄の変動表示は、本実施形態のように、第２図柄表示装置において複数のランプの点灯と非点灯を切り換えることにより行うものの他、第１図柄表示装置３７Ａ，３７Ｂ、セグメント表示装置６００及び装飾図柄表示装置８００の一部を使用して行うようにしても良い。同様に、第２図柄保留ランプの点灯をセグメント表示装置６００及び装飾図柄表示装置８００の一部で行うようにしても良い。また、第１スルーゲート６６の球の通過に対する最大保留球数は４回に限定されるものでなく、３回以下、又は、５回以上の回数（例えば、８回）に設定しても良い。また、スルーゲートの組み付け数は２つに限定されるものではなく、３つ以上の複数であっても良い。また、スルーゲートの組み付け位置は可変表示装置ユニット８０の左右両側に限定されるものではなく、例えば、可変表示装置ユニット８０の下方でも良い。また、第１図柄表示装置３７Ａ，３７Ｂにより保留球数が示されるので、第２図柄保留ランプにより点灯表示を行わないものとしてもよい。
【００４６】
可変表示装置ユニット８０の下方には、球が入賞し得る第１入賞口６４が配設されている。この第１入賞口６４へ球が入賞すると遊技盤１３の裏面側に設けられる第１入賞口スイッチ（図示せず）がオンとなり、その第１入賞口スイッチのオンに起因して主制御装置１１０（図４参照）で大当たりの抽選がなされ、その抽選結果に応じた表示が第１図柄表示装置３７Ａで示される。
【００４７】
一方、第１入賞口６４の正面視右方には、球が入賞し得る第２入賞口１４０が配設されている。第２入賞口１４０へ球が入賞すると遊技盤１３の裏面側に設けられる第２入賞口スイッチ（図示せず）がオンとなり、その第２入賞口スイッチのオンに起因して主制御装置１１０（図４参照）で大当たりの抽選がなされ、その抽選結果に応じた表示が第１図柄表示装置３７Ｂで示される。
【００４８】
また、第１入賞口６４，第２入賞口１４０は、それぞれ、球が入賞すると５個の球が賞球として払い出される入賞口の１つにもなっている。なお、本実施形態においては、第１入賞口６４へ球が入賞した場合に払い出される賞球数と第２入賞口１４０へ球が入賞した場合に払い出される賞球数とを同じに構成したが、第１入賞口６４へ球が入賞した場合に払い出される賞球数と第２入賞口１４０へ球が入賞した場合に払い出される賞球数とを異なる数、例えば、第１入賞口６４へ球が入賞した場合に払い出される賞球数を３個とし、第２入賞口１４０へ球が入賞した場合に払い出される賞球数を５個として構成してもよい。
【００４９】
第２入賞口１４０には第１電動役物５２０が付随されている。この第１電動役物５２０は開閉可能に構成されており、通常は第１電動役物５２０が閉鎖状態（縮小状態）となって、球が第２入賞口１４０へ入賞しにくい状態となっている。一方、第１スルーゲート６６への球の通過を契機として行われる第２図柄の変動表示の結果、「○」の図柄が第２図柄表示装置に表示された場合、第１電動役物５２０が開放状態（拡大状態）となり、球が第２入賞口１４０へ入賞しやすい状態となる。
【００５０】
上述した通り、確変中および時短中は、通常中と比して第２図柄の当たり確率が高く、また、第２図柄の変動表示にかかる時間も短いので、第２図柄の変動表示において「○」の図柄が表示され易くなって、第１電動役物５２０が開放状態（拡大状態）となる回数が増える。更に、確変中または時短中は、第１電動役物５２０が開放される時間も、通常中より長くなる。よって、確変中または時短中は、通常時と比して、第２入賞口１４０へ球が入賞しやすい状態を作ることができる。
【００５１】
ここで、第１入賞口６４に球が入賞した場合と第２入賞口１４０へ球が入賞した場合とで、大当たりとなる確率は、低確率状態であっても高確率状態でも同一である。しかしながら、大当たりとなった場合に選定される大当たりの種別として１５Ｒ確変大当たりとなる確率は、第２入賞口１４０へ球が入賞した場合のほうが第１入賞口６４へ球が入賞した場合よりも高く設定されている。一方、第１入賞口６４は、第２入賞口１４０にあるような第１電動役物５２０は有しておらず、球が常時入賞可能な状態となっている。
【００５２】
よって、通常中においては、第２入賞口１４０に付随する電動役物が閉鎖状態にある場合が多く、第２入賞口１４０に入賞しづらいので、電動役物のない第１入賞口６４へ向けて、可変表示装置ユニット８０の左方を球が通過するように球を発射し（所謂「左打ち」）、第１入賞口６４への入賞によって大当たり抽選の機会を多く得て、大当たりとなることを狙った方が、遊技者にとって有利となる。
【００５３】
一方、確変中や時短中は、第１スルーゲート６６に球を通過させることで、第２入賞口１４０に付随する第１電動役物５２０が開放状態となりやすく、第２入賞口１４０に入賞しやすい状態であるので、第２入賞口１４０へ向けて、可変表示装置ユニット８０の右方を球が通過するように球を発射し（所謂「右打ち」）、第１スルーゲート６６を通過させて第１電動役物５２０を開放状態にすると共に、第２入賞口１４０への入賞によって１５Ｒ確変大当たりとなることを狙った方が、遊技者にとって有利となる。
【００５４】
このように、本実施形態のパチンコ機１０は、パチンコ機１０の遊技状態（確変中であるか、時短中であるか、通常中であるか）に応じて、遊技者に対し、球の発射の仕方を「左打ち」と「右打ち」とに変えさせることができる。よって、遊技者に対して、球の打ち方に変化をもたらすことができるので、遊技を楽しませることができる。
【００５５】
第１入賞口６４の右側には可変入賞装置６５が配設されており、その略中央部分に横長矩形状の特定入賞口（大開放口）６５ａが設けられている。パチンコ機１０においては、第１入賞口６４，第２入賞口１４０のいずれかの入賞に起因して行われた大当たり抽選が大当たりとなると、所定時間（変動時間）が経過した後に、大当たりの停止図柄となるよう第１図柄表示装置３７Ａ又は第１図柄表示装置３７Ｂを点灯させると共に、その大当たりに対応した停止図柄をセグメント表示装置６００及び装飾図柄表示装置８００に表示させて、大当たりの発生が示される。その後、球が入賞し易い特別遊技状態（大当たり）に遊技状態が遷移する。この特別遊技状態として、通常時には閉鎖されている特定入賞口６５ａが、所定時間（例えば、３０秒経過するまで、或いは、球が１０個入賞するまで）開放される。
【００５６】
この特定入賞口６５ａは、所定時間が経過すると閉鎖され、その閉鎖後、再度、その特定入賞口６５ａが所定時間開放される。この特定入賞口６５ａの開閉動作は、最高で例えば１５回（１５ラウンド）繰り返し可能にされている。この開閉動作が行われている状態が、遊技者にとって有利な特別遊技状態の一形態であり、遊技者には、遊技上の価値（遊技価値）の付与として通常時より多量の賞球の払い出しが行われる。
【００５７】
可変入賞装置６５は、具体的には、特定入賞口６５ａを覆う横長矩形状の開閉板と、その開閉板の下辺を軸として前方側に開閉駆動するための大開放口ソレノイド（図示せず）とを備えている。特定入賞口６５ａは、通常時は、球が入賞できないか又は入賞し難い閉状態になっている。大当たりの際には大開放口ソレノイドを駆動して開閉板を前面下側に傾倒し、球が特定入賞口６５ａに入賞しやすい開状態を一時的に形成し、その開状態と通常時の閉状態との状態を交互に繰り返すように作動する。
【００５８】
なお、上記した形態に特別遊技状態は限定されるものではない。特定入賞口６５ａとは別に開閉される大開放口を遊技領域に設け、第１図柄表示装置３７Ａ，３７Ｂにおいて大当たりに対応したＬＥＤが点灯した場合に、特定入賞口６５ａが所定時間開放され、その特定入賞口６５ａの開放中に、球が特定入賞口６５ａ内へ入賞することを契機として特定入賞口６５ａとは別に設けられた大開放口が所定時間、所定回数開放される遊技状態を特別遊技状態として形成するようにしても良い。また、特定入賞口６５ａは１つに限るものではなく、１つ若しくは２以上の複数（例えば３つ）配置しても良く、また配置位置も第１入賞口６４の右側に限らず、例えば、可変表示装置ユニット８０の左方でも良い。
【００５９】
遊技盤１３の下側における右隅部には、証紙や識別ラベル等を貼着するための貼着スペースＫ１が設けられ、貼着スペースＫ１に貼られた証紙等は、前扉５の小窓３５（図１参照）を通じて視認することができる。
【００６０】
遊技盤１３には、第１アウト口７１が設けられている。遊技領域を流下する球であって、いずれの入賞口６３，６４，６５ａ，６４０にも入賞しなかった球は、第１アウト口７１を通って図示しない球排出路へと案内される。第１アウト口７１は、第１入賞口６４の下方に配設される。
【００６１】
遊技盤１３には、球の落下方向を適宜分散、調整等するために多数の釘が植設されているとともに、風車等の各種部材（役物）とが配設されている。
【００６２】
図３に示すように、パチンコ機１０の背面側には、制御基板ユニット９０，９１と、裏パックユニット９４とが主に備えられている。制御基板ユニット９０は、主基板（主制御装置１１０）と音声ランプ制御基板（音声ランプ制御装置１１３）と表示制御基板（表示制御装置１１４）とが搭載されてユニット化されている。制御基板ユニット９１は、払出制御基板（払出制御装置１１１）と発射制御基板（発射制御装置１１２）と電源基板（電源装置１１５）とカードユニット接続基板１１６とが搭載されてユニット化されている。
【００６３】
裏パックユニット９４は、保護カバー部を形成する裏パック９２と払出ユニット９３とがユニット化されている。また、各制御基板には、各制御を司る１チップマイコンとしてのＭＰＵ、各種機器との連絡をとるポート、各種抽選の際に用いられる乱数発生器、時間計数や同期を図る場合などに使用されるクロックパルス発生回路等が、必要に応じて搭載されている。
【００６４】
なお、主制御装置１１０、音声ランプ制御装置１１３および表示制御装置１１４、払出制御装置１１１および発射制御装置１１２、電源装置１１５、カードユニット接続基板１１６は、それぞれ基板ボックス１００〜１０４に収納されている。基板ボックス１００〜１０４は、ボックスベースと該ボックスベースの開口部を覆うボックスカバーとを備えており、そのボックスベースとボックスカバーとが互いに連結されて、各制御装置や各基板が収納される。
【００６５】
また、基板ボックス１００（主制御装置１１０）および基板ボックス１０２（払出制御装置１１１および発射制御装置１１２）は、ボックスベースとボックスカバーとを封印ユニット（図示せず）によって開封不能に連結（かしめ構造による連結）している。また、ボックスベースとボックスカバーとの連結部には、ボックスベースとボックスカバーとに亘って封印シール（図示せず）が貼着されている。この封印シールは、脆性な素材で構成されており、基板ボックス１００，１０２を開封するために封印シールを剥がそうとしたり、基板ボックス１００，１０２を無理に開封しようとすると、ボックスベース側とボックスカバー側とに切断される。よって、封印ユニット又は封印シールを確認することで、基板ボックス１００，１０２が開封されたかどうかを知ることができる。
【００６６】
払出ユニット９３は、裏パックユニット９４の最上部に位置して上方に開口したタンク１３０と、タンク１３０の下方に連結され下流側に向けて緩やかに傾斜するタンクレール１３１と、タンクレール１３１の下流側に縦向きに連結されるケースレール１３２と、ケースレール１３２の最下流部に設けられ、払出モータ２１６（図４参照）の所定の電気的構成により球の払出を行う払出装置１３３とを備えている。タンク１３０には、遊技ホールの島設備から供給される球が逐次補給され、払出装置１３３により必要個数の球の払い出しが適宜行われる。タンクレール１３１には、当該タンクレール１３１に振動を付加するためのバイブレータ１３４が取り付けられている。
【００６７】
また、払出制御装置１１１には状態復帰スイッチ１２０が設けられ、発射制御装置１１２には可変抵抗器の操作つまみ１２１が設けられ、電源装置１１５にはＲＡＭ消去スイッチ１２２が設けられている。状態復帰スイッチ１２０は、例えば、払出モータ２１６（図４参照）部の球詰まり等、払出エラーの発生時に球詰まりを解消（正常状態への復帰）するために操作される。操作つまみ１２１は、発射ソレノイドの発射力を調整するために操作される。ＲＡＭ消去スイッチ１２２は、パチンコ機１０を初期状態に戻したい場合に電源投入時に操作される。
【００６８】
次に、図４を参照して、本パチンコ機１０の電気的構成について説明する。図４は、パチンコ機１０の電気的構成を示すブロック図である。
【００６９】
主制御装置１１０には、演算装置である１チップマイコンとしてのＭＰＵ２０１が搭載されている。ＭＰＵ２０１には、該ＭＰＵ２０１により実行される各種の制御プログラムや固定値データを記憶したＲＯＭ２０２と、そのＲＯＭ２０２内に記憶される制御プログラムの実行に際して各種のデータ等を一時的に記憶するためのメモリであるＲＡＭ２０３と、そのほか、割込回路やタイマ回路、データ送受信回路などの各種回路が内蔵されている。主制御装置１１０では、ＭＰＵ２０１によって、大当たり抽選や第１図柄表示装置３７Ａ，３７Ｂ、セグメント表示装置６００及び装飾図柄表示装置８００における表示の設定、第２図柄表示装置における表示結果の抽選といったパチンコ機１０の主要な処理を実行する。
【００７０】
なお、払出制御装置１１１や音声ランプ制御装置１１３などのサブ制御装置に対して動作を指示するために、主制御装置１１０から該サブ制御装置へ各種のコマンドがデータ送受信回路によって送信されるが、かかるコマンドは、主制御装置１１０からサブ制御装置へ一方向にのみ送信される。
【００７１】
ＲＡＭ２０３は、各種エリア、カウンタ、フラグのほか、ＭＰＵ２０１の内部レジスタの内容やＭＰＵ２０１により実行される制御プログラムの戻り先番地などが記憶されるスタックエリアと、各種のフラグおよびカウンタ、Ｉ／Ｏ等の値が記憶される作業エリア（作業領域）とを有している。なお、ＲＡＭ２０３は、パチンコ機１０の電源の遮断後においても電源装置１１５からバックアップ電圧が供給されてデータを保持（バックアップ）できる構成となっており、ＲＡＭ２０３に記憶されるデータは、すべてバックアップされる。
【００７２】
停電などの発生により電源が遮断されると、その電源遮断時（停電発生時を含む。以下同様）のスタックポインタや、各レジスタの値がＲＡＭ２０３に記憶される。一方、電源投入時（停電解消による電源投入を含む。以下同様）には、ＲＡＭ２０３に記憶される情報に基づいて、パチンコ機１０の状態が電源遮断前の状態に復帰される。ＲＡＭ２０３への書き込みはメイン処理（図示せず）によって電源遮断時に実行され、ＲＡＭ２０３に書き込まれた各値の復帰は電源投入時の立ち上げ処理（図示せず）において実行される。なお、ＭＰＵ２０１のＮＭＩ端子（ノンマスカブル割込端子）には、停電等の発生による電源遮断時に、停電監視回路２５２からの停電信号ＳＧ１が入力されるように構成されており、その停電信号ＳＧ１がＭＰＵ２０１へ入力されると、停電時処理としてのＮＭＩ割込処理（図示せず）が即座に実行される。
【００７３】
主制御装置１１０のＭＰＵ２０１には、アドレスバスおよびデータバスで構成されるバスライン２０４を介して入出力ポート２０５が接続されている。入出力ポート２０５には、払出制御装置１１１、音声ランプ制御装置１１３、第１図柄表示装置３７Ａ，３７Ｂ、第２図柄表示装置、第２図柄保留ランプ、特定入賞口６５ａの開閉板の下辺を軸として前方側に開閉駆動するための大開放口ソレノイドや電動役物を駆動するためのソレノイドなどからなるソレノイド２０９が接続され、ＭＰＵ２０１は、入出力ポート２０５を介してこれらに対し各種コマンドや制御信号を送信する。
【００７４】
また、入出力ポート２０５には、図示しないスイッチ群およびスライド位置検出センサＳや回転位置検出センサＲを含むセンサ群などからなる各種スイッチ２０８、電源装置１１５に設けられた後述のＲＡＭ消去スイッチ回路２５３が接続され、ＭＰＵ２０１は各種スイッチ２０８から出力される信号や、ＲＡＭ消去スイッチ回路２５３より出力されるＲＡＭ消去信号ＳＧ２に基づいて各種処理を実行する。
【００７５】
払出制御装置１１１は、払出モータ２１６を駆動させて賞球や貸出球の払出制御を行うものである。演算装置であるＭＰＵ２１１は、そのＭＰＵ２１１により実行される制御プログラムや固定値データ等を記憶したＲＯＭ２１２と、ワークメモリ等として使用されるＲＡＭ２１３とを有している。
【００７６】
払出制御装置１１１のＲＡＭ２１３は、主制御装置１１０のＲＡＭ２０３と同様に、ＭＰＵ２１１の内部レジスタの内容やＭＰＵ２１１により実行される制御プログラムの戻り先番地などが記憶されるスタックエリアと、各種のフラグおよびカウンタ、Ｉ／Ｏ等の値が記憶される作業エリア（作業領域）とを有している。ＲＡＭ２１３は、パチンコ機１０の電源の遮断後においても電源装置１１５からバックアップ電圧が供給されてデータを保持（バックアップ）できる構成となっており、ＲＡＭ２１３に記憶されるデータは、すべてバックアップされる。なお、主制御装置１１０のＭＰＵ２０１と同様、ＭＰＵ２１１のＮＭＩ端子にも、停電等の発生による電源遮断時に停電監視回路２５２から停電信号ＳＧ１が入力されるように構成されており、その停電信号ＳＧ１がＭＰＵ２１１へ入力されると、停電時処理としてのＮＭＩ割込処理（図示せず）が即座に実行される。
【００７７】
払出制御装置１１１のＭＰＵ２１１には、アドレスバスおよびデータバスで構成されるバスライン２１４を介して入出力ポート２１５が接続されている。入出力ポート２１５には、主制御装置１１０や払出モータ２１６、発射制御装置１１２などがそれぞれ接続されている。また、図示はしないが、払出制御装置１１１には、払い出された賞球を検出するための賞球検出スイッチが接続されている。なお、該賞球検出スイッチは、払出制御装置１１１に接続されるが、主制御装置１１０には接続されていない。
【００７８】
発射制御装置１１２は、主制御装置１１０により球の発射の指示がなされた場合に、操作ハンドル５１の回動操作量に応じた球の打ち出し強さとなるよう球発射ユニット１１２ａを制御するものである。球発射ユニット１１２ａは、図示しない発射ソレノイドおよび電磁石を備えており、その発射ソレノイドおよび電磁石は、所定条件が整っている場合に駆動が許可される。具体的には、遊技者が操作ハンドル５１に触れていることをタッチセンサ５１ａにより検出し、球の発射を停止させるための発射停止スイッチ５１ｂがオフ（操作されていないこと）を条件に、操作ハンドル５１の回動操作量（回動位置）に対応して発射ソレノイドが励磁され、操作ハンドル５１の操作量に応じた強さで球が発射される。
【００７９】
音声ランプ制御装置１１３は、音声出力装置（図示しないスピーカなど）２２６における音声の出力、ランプ表示装置（電飾部２９〜３３、表示ランプ３４など）２２７における点灯および消灯の出力、変動演出（変動表示）や予告演出といった表示制御装置１１４で行われるセグメント表示装置６００及び装飾図柄表示装置８００の表示態様の設定などを制御するものである。演算装置であるＭＰＵ２２１は、そのＭＰＵ２２１により実行される制御プログラムや固定値データ等を記憶したＲＯＭ２２２と、ワークメモリ等として使用されるＲＡＭ２２３とを有している。
【００８０】
音声ランプ制御装置１１３のＭＰＵ２２１には、アドレスバスおよびデータバスで構成されるバスライン２２４を介して入出力ポート２２５が接続されている。入出力ポート２２５には、主制御装置１１０、表示制御装置１１４、音声出力装置２２６、ランプ表示装置２２７、その他装置２２８、枠ボタン２２などがそれぞれ接続されている。その他装置２２８には、駆動モータＫＭ１，ＫＭ２，ＫＭ３が含まれる。
【００８１】
音声ランプ制御装置１１３は、主制御装置１１０から受信した各種のコマンド（変動パターンコマンド、停止種別コマンド等）に基づいて、セグメント表示装置６００及び装飾図柄表示装置８００の表示態様を決定し、決定した表示態様をコマンド（表示用変動パターンコマンド、表示用停止種別コマンド等）によって表示制御装置１１４へ通知する。また、音声ランプ制御装置１１３は、枠ボタン２２からの入力を監視し、遊技者によって枠ボタン２２が操作された場合は、セグメント表示装置６００及び装飾図柄表示装置８００で表示される態様を変更したり、スーパーリーチ時の演出内容を変更したりするように、表示制御装置１１４へ指示する。表示される態様が変更される場合は、変更後の表示される態様に応じた装飾をセグメント表示装置６００及び装飾図柄表示装置８００に表示させるべく、変更後の表示される態様に関する情報を含めた背面画像変更コマンドを表示制御装置１１４へ送信する。ここで、背面画像とは、セグメント表示装置６００及び装飾図柄表示装置８００に表示させる主要な画像である第３図柄の背面側に表示される画像のことである。表示制御装置１１４は、この音声ランプ制御装置１１３から送信されるコマンドに従って、セグメント表示装置６００及び装飾図柄表示装置８００に各種の装飾を表示する。
【００８２】
また、音声ランプ制御装置１１３は、表示制御装置１１４からセグメント表示装置６００及び装飾図柄表示装置８００の表示内容を表すコマンド（表示コマンド）を受信する。音声ランプ制御装置１１３では、表示制御装置１１４から受信した表示コマンドに基づき、セグメント表示装置６００及び装飾図柄表示装置８００の表示内容に合わせて、その表示内容に対応する音声を音声出力装置２２６から出力し、また、その表示内容に対応させてランプ表示装置２２７の点灯および消灯を制御する。
【００８３】
表示制御装置１１４は、音声ランプ制御装置１１３およびセグメント表示装置６００及び装飾図柄表示装置８００が接続され、音声ランプ制御装置１１３より受信したコマンドに基づいて、セグメント表示装置６００及び装飾図柄表示装置８００における第３図柄の変動演出などの表示を制御するものである。また、表示制御装置１１４は、セグメント表示装置６００及び装飾図柄表示装置８００の表示内容を通知する表示コマンドを適宜音声ランプ制御装置１１３へ送信する。音声ランプ制御装置１１３は、この表示コマンドによって示される表示内容にあわせて音声出力装置２２６から音声を出力することで、セグメント表示装置６００及び装飾図柄表示装置８００の表示と音声出力装置２２６からの音声出力とをあわせることができる。
【００８４】
電源装置１１５は、パチンコ機１０の各部に電源を供給するための電源部２５１と、停電等による電源遮断を監視する停電監視回路２５２と、ＲＡＭ消去スイッチ１２２（図３参照）が設けられたＲＡＭ消去スイッチ回路２５３とを有している。電源部２５１は、図示しない電源経路を通じて、各制御装置１１０〜１１４等に対して各々に必要な動作電圧を供給する装置である。その概要としては、電源部２５１は、外部より供給される交流２４ボルトの電圧を取り込み、各種スイッチ２０８などの各種スイッチや、ソレノイド２０９などのソレノイド、モータ等を駆動するための１２ボルトの電圧、ロジック用の５ボルトの電圧、ＲＡＭバックアップ用のバックアップ電圧などを生成し、これら１２ボルトの電圧、５ボルトの電圧およびバックアップ電圧を各制御装置１１０〜１１４等に対して必要な電圧を供給する。
【００８５】
停電監視回路２５２は、停電等の発生による電源遮断時に、主制御装置１１０のＭＰＵ２０１および払出制御装置１１１のＭＰＵ２１１の各ＮＭＩ端子へ停電信号ＳＧ１を出力するための回路である。停電監視回路２５２は、電源部２５１から出力される最大電圧である直流安定２４ボルトの電圧を監視し、この電圧が２２ボルト未満になった場合に停電（電源断、電源遮断）の発生と判断して、停電信号ＳＧ１を主制御装置１１０および払出制御装置１１１へ出力する。停電信号ＳＧ１の出力によって、主制御装置１１０および払出制御装置１１１は、停電の発生を認識し、ＮＭＩ割込処理を実行する。なお、電源部２５１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成されている。よって、主制御装置１１０および払出制御装置１１１は、ＮＭＩ割込処理（図示せず）を正常に実行し完了することができる。
【００８６】
ＲＡＭ消去スイッチ回路２５３は、ＲＡＭ消去スイッチ１２２（図３参照）が押下された場合に、主制御装置１１０へ、バックアップデータをクリアさせるためのＲＡＭ消去信号ＳＧ２を出力するための回路である。主制御装置１１０は、パチンコ機１０の電源投入時に、ＲＡＭ消去信号ＳＧ２を入力した場合に、バックアップデータをクリアすると共に、払出制御装置１１１においてバックアップデータをクリアさせるための払出初期化コマンドを払出制御装置１１１に対して送信する。
【００８７】
次いで、図５を参照して、遊技盤１３の概略構成について説明する。図５は、遊技盤１３の分解斜視正面図である。なお、図１３では、遊技盤１３から入賞口ユニット５００が分解された状態が図示される。
【００８８】
図５に示すように、入賞口ユニット５００は、遊技盤１３の前面に植立される２本のレール７６，７７とレール間を繋ぐ樹脂製の外縁部材７３とにより区画して形成される遊技領域の下方に形成される開口１３ａに前面側から挿入して配設される。なお、入賞口ユニット５００の詳細な構成は後述する。
【００８９】
次いで、図６から図９を参照して、動作ユニット３００の概略構成について説明する。図６は、動作ユニット３００の斜視正面図である。図７は、動作ユニット３００の分解斜視正面図である。また、図８及び図９は、動作ユニット３００の正面図である。
【００９０】
なお、図８では、セグメント表示装置６００に上下一対配設される変位部材６７０が上下両側にそれぞれ退避された状態が、図９では、図８に示す態様から、セグメント表示装置６００に上下一対配設される変位部材６７０が上下中央位置に張り出された状態が、それぞれ図示される。
【００９１】
図６及び図７に示すように、動作ユニット３００は、箱状に形成される背面ケース４００を備え、その背面ケース４００の内部空間に、装飾図柄表示装置８００、セグメント表示装置６００及び装飾ユニット７００が収容される。
【００９２】
背面ケース４００は、正面視略矩形の底壁部４０１と、その底壁部４０１の４辺の外縁から正面へ向けて立設される外壁部４０２とを備え、それら各壁部４０１，４０２により一面側（正面側）が開放された箱状に形成される。底壁部４０１には、その中央に正面視矩形の開口４０１ａが開口形成され、その開口４０１ａを通じて、セグメント表示装置６００が背面ケース４００の背面側から配設される。
【００９３】
装飾図柄表示装置８００は、背面ケース４００の底壁部４０１のうちの開口４０１ａに左右方向に３つ並設して配設される。装飾図柄表示装置８００には、上下方向に回転変位する内リールユニット８１０及び外リールユニット８２０（図３１参照）が配設され、その内リールユニット８１０及び外リールユニット８２０の外周面に装飾された図柄が変動（回転）する態様を遊技者に視認可能に構成される。なお、装飾図柄表示装置８００の詳しい説明は後述する。
【００９４】
セグメント表示装置６００は、背面ケース４００の底壁部４０１に配設されると共に、装飾図柄表示装置８００を覆設する態様とされる。装飾図柄表示装置８００のベース部材６６０（図４９参照）の対向間には所定の隙間が形成されており、その隙間の間に装飾図柄表示装置８００が配設されることで、遊技者側から、装飾図柄表示装置８００を視認可能とされる。
【００９５】
また、セグメント表示装置６００には、上述したベース部材６６０の対向間の隙間の前方を変位可能とされる変位部材６７０（図４９参照）が配設され、変位部材６７０を装飾図柄表示装置８００の前方に変位させることで、遊技者側から装飾図柄表示装置８００を視認不能とする演出形態を形成できる。なお、セグメント表示装置６００の詳しい説明は後述する。
【００９６】
装飾ユニット７００は、正面視横長矩形の箱状に形成され、セグメント表示装置６００の上下に一対配設される。装飾ユニット７００は、透明な樹脂材料から形成されると共に、その形状がパチンコ機１０のロゴやタイトル等を模した形状に形成される。また、装飾ユニット７００の内部には、光を照射するＬＥＤ基盤が配設され、遊技者側に光を照射可能に形成される。
【００９７】
次いで、図１０から図２９を参照して、入賞口ユニット５００の詳細な説明する。まず、図１０から図１３を参照して、入賞口ユニット５００の構成を説明する。
【００９８】
図１０（ａ）は、入賞口ユニット５００の正面図であり、図１０（ｂ）は、入賞口ユニット５００の背面図である。図１１は、入賞口ユニット５００の分解斜視正面図であり、図１２は、入賞口ユニット５００の分解斜視背面図である。図１３は、ベース部材５１０及び第１電動役物５２０の分解斜視図である。
【００９９】
図１０から図１３に示すように、入賞口ユニット５００は、遊技盤１３の前面に配設（図５参照）に配設されるベース部材５１０と、そのベース部材５１０の内側に回転可能に軸支される第１電動役物５２０と、その第１電動役物５２０に駆動力を付与する駆動ユニット５３０とを主に備えて形成される。
【０１００】
ベース部材５１０は、正面側に配設される正面ベース５１１と、その正面ベース５１１と所定の間隔を隔てて配設される背面ベース５１２とを締結して形成される。
【０１０１】
正面ベース５１１は、正面視横長矩形の板状体から形成されると共に、透明な樹脂材料から形成される。正面ベース５１１は、左右方向中央部の上端部から背面側に突出する第１突出部５１１ａと、左右方向中央部において下端部から背面側に突出する第２突出部５１１ｂと、その第２突出部５１１ｂと左右方向に所定の隙間を隔てた位置に突出する第３突出部５１１ｃとを主に備えて形成される。
【０１０２】
また。正面ベース５１１は、その前面が遊技者側から視認可能な位置に配設され、前面側に凹凸により模様が形成される。
【０１０３】
第１突出部５１１ａは、後述する第１電動役物５２０が閉鎖状態（羽部材５２０Ｌ，５２０Ｒの先端がその回転軸（軸部材ＪＢ１）の上部に位置する状態）の際に、背面ベース５１２に形成される第２入賞口１４０に遊技球が送球されることを防止するための板部材である。
【０１０４】
即ち、第１突出部５１１ａは、閉鎖状態における一対の羽部材５２０Ｌ，５２０Ｒの対向間の上部に形成され、第１電動役物５２０と第１突出部５１１ａとの離間する距離が遊技球の直径よりも小さく設定される。
【０１０５】
また、第１突出部５１１ａは、その上面が左右方向における略中央位置から左右両端部に向かって下降傾斜して形成される。これにより、第１突出部５１１ａの上部に送球された遊技球をその上面を転動させて下方に落下（流下）させることができる。
【０１０６】
第２突出部５１１ｂは、正面ベース５１１の背面側から横長矩形状に突出して形成されると共に、その上端面の上下方向の位置が、背面ベース５１２の第２入賞口１４０の底面よりも下方に設定される。また、第２突出部５１１ｂは、背面ベース５１２の第２入賞口１４０の前方に立設される立設部５１１ｂ１と、その立設部５１１ｂ１の左右両端から突出する係合部５１１ｂ２と、底面部に凹設される凹設部５１１ｂ３とを主に備えて形成される。
【０１０７】
また、第２突出部５１１ｂには、立設部５１１ｂ１の下側に光を照射するＬＥＤを備える基盤部材５１１ｆが配設される。基盤部材５１１ｆのＬＥＤは、上方に向かって光を照射する態様で配設される。よって、ＬＥＤにより第２入賞口１４０の周囲を発光させることができる。
【０１０８】
立設部５１１ｂ１は、第２突出部５１１ｂの上端から上方に立設して形成されると共に、左右方向に２つ並設され、その立設先端同士が連結される。また、立設部５１１ｂ１は、その上面が第２入賞口１４０（背面側）に向かって下方傾斜して形成され、第２入賞口１４０側の端部の上下方向位置が、第２入賞口１４０の底面と一致する高さに設定される。よって、立設部５１１ｂ１の上部に送球された遊技球を第２入賞口１４０側に転動させることができる。従って、立設部５１１ｂ１の上部に送球された遊技球は、第２入賞口１４０に入球することができる。
【０１０９】
また、並設される立設部５１１ｂ１の連結部分は、周方向中央位置が下方に凹んだ形状に形成される。これにより、立設部５１１ｂ１の上部に送球された遊技球を立設部５１１ｂ１の左右方向中央位置に留まりやすくできる。従って、立設部５１１ｂ１の上部に送球される遊技球の転動方向を第２入賞口１４０側に早急に切り換えることができる。その結果、立設部５１１ｂ１の上部に送球された遊技球が、後から送球される遊技球と衝突して外側に押し出されることを抑制でき、第２入賞口１４０に遊技球を入球させやすくできる。
【０１１０】
係合部５１１ｂ２は、後述する左右の羽部材５２０Ｌ，５２０Ｒと係合する部分であり、立設部５１１ｂ１の基端部分の左右両側から後述する軸支部５１１ｄの中心に向かって突出形成される。
【０１１１】
凹設部５１１ｂ３は、正面ベース５１１と背面ベース５１２とを締結する際に、ドライバーを挿入するための空間を形成するための凹みである。これにより、凹設部５１１ｂ３の背面側の側面に貫通形成される貫通孔５１１ｂ４にねじを挿通させることができる。
【０１１２】
第３突出部５１１ｃは、背面ベース５１２に形成される第１アウト口７１に遊技球を転動させる板部材であり、背面ベース５１２に第２入賞口１４０を挟んで２箇所に形成される第１アウト口７１の左右方向両外側に隣接して形成される。言い変えると、第３突出部５１１ｃは、第２突出部５１１ｂと第１アウト口７１の左右方向における寸法分、左右方向に離間した位置に形成される。
【０１１３】
第３突出部５１１ｃの底面は、それぞれ隣接する第１アウト口７１側に向かって（正面ベース５１１の左右方向（図１０（ａ）左右方向）中央側に向かって）下方傾斜して形成され、最下方の位置が、第１アウト口７１の底面よりも高く設定される。よって、第３突出部５１１ｃの上部に送球された遊技球を第１アウト口７１に向かって転動させ、第１アウト口７１に入球させることができる。
【０１１４】
軸支部５１１ｄは、正面ベース５１１の背面側から円環状に突出して形成されると共に、立設部５１１ｂ１を挟んで上下方向（図１０（ａ）上下方向）同一の高さに２つ形成される。軸支部５１１ｄの内径は、後述する軸部材ＪＢ１の直径よりも大きく形成される。よって、軸支部５１１ｄの内部に軸部材ＪＢ１を挿入できる。
【０１１５】
背面ベース５１２は、正面視において正面ベース５１１よりも正面視形状の大きい横長矩形の板状体から形成される。よって、遊技者は、正面ベース５１１と前後方向に重ならない部分の背面ベース５１２の前面を直接視認することができる。
【０１１６】
また、正面ベース５１１は、透明の材料から形成されるので、前方に正面ベース５１１が重なる部分においては、正面ベース５１１を介して、背面ベース５１２を視認することができる。さらに、遊技者は、背面ベース５１２と正面ベース５１１との対向間に送球される遊技球を正面ベース５１１を介して視認できる。
【０１１７】
背面ベース５１２は、正面側の上端部に形成される第１入賞口６４と、その第１入賞口６４の下方に形成される第２入賞口１４０と、その第２入賞口１４０の両隣に形成される第１アウト口７１と、正面視右側の第１アウト口７１の上部に形成される一般入賞口６３とを主に備えて形成される。
【０１１８】
第１入賞口６４は、正面ベース５１１の左右方向（図１０（ａ）左右方向）略中央位置の上端部から下方に凹設されると共に、その凹設縁部に沿って前後両方向に突出して形成される。また、前方側の突出先端（図１０（ａ）紙面手前側）は、板部材により塞がれる。
【０１１９】
第１入賞口６４の凹設形状は、内側を遊技球が挿通可能な大きさで形成されると共に、その底面（重力方向下側の内面）が背面側に傾斜して形成される。これにより、第１入賞口６４に入球した遊技球を遊技盤１３の背面側に送球できる。
【０１２０】
第２入賞口１４０は、第１入賞口６４の重力方向下側（図１０（ａ）下側）に貫通形成される。第２入賞口１４０は、正面視において遊技球の直径よりも大きい寸法の正方形状に貫通形成される。よって、遊技球を第２入賞口１４０を介して遊技盤１３の背面側に送球できる。また、第２入賞口１４０は、左右の内側側面に凹設される凹部１４０ａを備える。
【０１２１】
凹部１４０ａは、軸孔５１２ａの軸を中心に湾曲して凹設される。これにより、後述する左右の羽部材５２０Ｌ，５２０Ｒの突起５２３Ｌ，５２３Ｒを、その内側に収容することができる。即ち、第２入賞口１４０の内側は、遊技球が通過可能にされると共に、突起５２３Ｌ，５２３Ｒが挿通した状態とされる。
【０１２２】
軸孔５１２ａは、背面ベース５１２の第２入賞口１４０の左右両側に前方から背面側に凹設される。軸孔５１２ａは、後述する軸部材ＪＢ１を内部に挿入するための溝であり、軸部材ＪＢ１の直径よりも大きい直径の円形状に形成される。
【０１２３】
第１アウト口７１は、第２入賞口１４０の左右両側に貫通形成される。第１アウト口７１は、遊技盤１３の前面に形成される遊技領域を流下した遊技球を回収する孔であり、正面視横長矩形に形成されると共に、その上下方向（短手方向）の幅寸法が遊技球の直径よりも大きく設定される。また、第１アウト口７１は、その底面（重力方向下側の内面）が、背面側に傾斜して形成される。よって、第１アウト口７１に入球した遊技球を遊技盤１３の背面側に送球できる。
【０１２４】
第１アウト口７１には、その底面と連結して正面側に突出する案内壁５１２ｂが形成される。案内壁５１２ｂは、遊技領域を流下した遊技球をその上面で受け止めて第１アウト口７１に送球するための部材であり、その上面が背面側に向かって下方傾斜して形成される。
【０１２５】
また、案内壁５１２ｂの底面（下面）には、前後方向に延設される複数のリブが並設される。これにより、案内壁５１２ｂの剛性を向上させることができる。その結果、遊技領域を流下した遊技球が案内壁５１２ｂの上面に衝突した際に、案内壁５１２ｂが破損することを抑制できる。
【０１２６】
正面ベース５１１と背面ベース５１２との締結は、上述した貫通孔５１１ｂ４と、その貫通孔５１１ｂ４と対応する位置の背面ベース５１２に貫通形成される締結孔５１２ｃにより行われる。即ち、正面ベース５１１と背面ベース５１２とを前後方向に組み合わせた状態で、正面ベース５１１の下方側から凹設部５１１ｂ３にドライバーを差し込んで、ネジを貫通孔５１１ｂ４を介して締結孔５１２ｃと締結することで行うことができる。
【０１２７】
第１電動役物５２０は、第２入賞口１４０の正面視左側に配置される左羽部材５２０Ｌと、正面視右側に配置される右羽部材５２０Ｒと、を１つのユニットとして形成される。
【０１２８】
なお、左羽部材５２０Ｌ及び右羽部材５２０Ｒは、後述する膨出部５２４Ｌ，５２４Ｒの位置が異なるのみであり、他の部材が第２入賞口１４０を挟んで左右対称に形成されるので、膨出部５２４Ｌ，５２４Ｒ以外については、左羽部材５２０Ｌを説明するのみとし、右羽部材５２０Ｒの詳しい説明は省略する。
【０１２９】
また、左羽部材５２０Ｌ及び右羽部材５２０Ｒは、後述する駆動ユニット５３０のソレノイド５３１の駆動により、貫通孔５２１Ｌから遠方側の角部を重力方向上方に位置した第１状態（閉鎖状態）と、貫通孔５２１Ｌから遠方側の角部を第２入賞口１４０の左右方向外側に離間した位置に変位した第２状態（開放状態）とで変位可能とされ、特段の指定がない限り第１状態について説明するものとする。また、第１状態において左右の羽部材５２０Ｌ，５２０Ｒの対向する側面を側面５２６Ｌ，５２６Ｒの符号を付して説明する。
【０１３０】
左羽部材５２０Ｌは、正面視略三角形に形成されると共に、前後方向に遊技球の直径よりも大きい寸法に形成される。左羽部材５２０Ｌは、重力方向下端部分に、前後方向に貫通する貫通孔５２１Ｌと、その貫通孔５２１Ｌの周囲に正面側から背面側に凹設される凹部５２２Ｌと、貫通孔５２１Ｌの近傍から背面側に突設される突起５２３Ｌと、貫通孔５２１Ｌ側の端面に貫通孔５２１Ｌの径方向に凹設される凹設部５２５Ｌと、側面５２６Ｌから突出する膨出部５２４Ｌと、貫通孔５２１Ｌの内部に挿入される軸部材ＪＢ１とを主に備えて形成される。なお、膨出部５２４Ｌの詳しい説明は後述する。
【０１３１】
軸部材ＪＢ１は、金属材料から形成される円柱状の棒部材である。軸部材ＪＢ１は、左右の羽部材５２０Ｌ，５２０Ｒをそれぞれ回転可能に保持する軸であり、貫通孔５２１Ｌの内径よりも小さい外径に形成される。
【０１３２】
また、軸部材ＪＢ１は、その軸方向の長さが、軸孔５１２ａの凹設先端面から正面ベース５１１の背面側までの離間距離と略同一またはやや短く形成される。よって、正面ベース５１１と背面ベース５１２とを組み付ける際に、軸部材ＪＢ１の一端（背面ベース５１２側の端部）を軸孔５１２ａの内側へ挿入すると共に、他側（正面ベース５１１側の端部）を軸支部５１１ｄの内側に挿入することで、軸部材ＪＢ１を正面ベース５１１と背面ベース５１２との間に保持することができる。
【０１３３】
左羽部材５２０Ｌは、前後方向における寸法が、正面ベース５１１と背面ベース５１２との対向間の距離寸法よりも小さく設定される。よって、正面ベース５１１と背面ベース５１２とを組み付ける際に、軸部材ＪＢ１を貫通孔５２１Ｌに挿通させることで、羽部材５２０Ｌを、正面ベース５１１と背面ベース５１２との対向間に回転可能に保持できる。
【０１３４】
凹部５２２Ｌは、貫通孔５２１Ｌの軸周りに正面側から凹設して形成されており、その凹設寸法が軸支部５１１ｄの突出距離よりも小さく設定される。また、凹部５２２Ｌの貫通孔５２１Ｌの軸から内周面までの距離寸法は、軸支部５１１ｄの軸から外周面の半径寸法よりも大きく設定される。
【０１３５】
よって、羽部材５２０Ｌを、正面ベース５１１及び背面ベース５１２との対向間に配置した際に、羽部材５２０Ｌの正面と正面ベース５１１の背面とが接地することを抑制できると共に、羽部材５２０Ｌと正面ベース５１１との接地部分を、凹部５２２Ｌと軸支部５１１ｄとにすることができる。従って、羽部材５２０Ｌと正面ベース５１１との接地を部分的にすることができる。その結果、羽部材５２０Ｌを後述するソレノイド５３１の駆動により回転させる際に、羽部材５２０Ｌに作用する抵抗を小さくして羽部材５２０Ｌを回転させやすくできる。
【０１３６】
また、軸支部５１１ｄを凹部５２２Ｌの内側に収めることができるので、正面ベース５１１と背面ベース５１２との対向間の距離寸法を小さくできる。その結果、入賞口ユニット５００の前後方向の距離寸法を小さくできる。
【０１３７】
ここで、従来より、羽部材５２０Ｌの貫通孔５２１Ｌに軸部材ＪＢ１を内嵌する遊技機があった。
【０１３８】
しかしながら、従来の遊技機では、軸部材ＪＢ１を貫通孔５２１Ｌに内嵌するために、羽部材５２０Ｌが破損した際には、部品交換の際に羽部材５２０Ｌと軸部材ＪＢ１とを交換する必要がある。その為、部品コストが高くなるという問題点があった。
【０１３９】
これに対し、本実施形態では、軸部材ＪＢ１が、羽部材５２０Ｌに形成される貫通孔５２１Ｌの内部に挿入されるのみであり、羽部材５２０Ｌ及び軸部材ＪＢ１を別体として入賞口ユニット５００に配設することができる。従って、羽部材５２０Ｌが破損した際の交換部品を羽部材５２０Ｌのみとすることができる。その結果、部品コストが高くなることを抑制できる。
【０１４０】
また、上述したように、背面ベース５１２への正面ベース５１１の締結は、正面ベース５１１の前方側から行うことができる。従って、羽部材５２０Ｌが破損した際には、遊技盤１３に入賞口ユニット５００が取着された状態で、背面ベース５１２から正面ベース５１１を取り外すことができる。その結果、羽部材５２０Ｌの部品交換を簡易に行うことができる。
【０１４１】
即ち、正面ベース５１１を背面ベース５１２の背面側から取り外す場合では、遊技盤１３から入賞口ユニット５００を取り外してから正面ベース５１１を背面ベース５１２から取り外す必要があるところ、かかる正面ベース５１１は、正面側から取り外し可能に形成されるので、正面ベース５１１の取り外しを簡易に行うことができる。その結果、羽部材５２０Ｌの部品交換を簡易に行うことができる。
【０１４２】
ここで、正面ベース５１１を背面ベース５１２の正面側から取り外し可能にすると、正面ベース５１１と背面ベース５１２とを締結するネジ等の頭が遊技者側（正面側）から視認可能となり、遊技者が、正面ベース５１１と背面ベース５１２とを締結するネジの頭を視認することで、遊技者の興趣が損なわれる恐れがある。
【０１４３】
これに対し、本実施形態では、正面ベース５１１と背面ベース５１２との締結が、正面ベース５１１に形成される凹設部５１１ｂ３の空間を使って行われる。即ち、正面ベース５１１の下方側から、凹設部５１１ｂ３に斜めにドライバ−を差し込むことで、貫通孔５１１ｂ４を介して締結孔５１２ｃにねじを締結することができる。よって、貫通孔５１１ｂ４の正面側に正面ベース５１１が位置する状態においても、凹設部５１１ｂ３に斜めにドライバーを差し込むことで、正面ベース５１１と背面ベース５１２とを締結できる。従って、正面ベース５１１と背面ベース５１２とを締結するネジ等の頭が遊技者側（正面側）から視認しにくくできる。その結果、遊技者が、正面ベース５１１と背面ベース５１２とを締結するネジの頭を視認することで、遊技者の興趣が損なわれることを抑制できる。
【０１４４】
また通常は、遊技盤１３の中央部に形成される開口を介して視認できる装飾図柄表示装置８００及びセグメント表示装置６００が遊技者の目線の高さに設定される。従って、入賞口ユニット５００は、遊技者の目線高さよりも下方に配置される。その結果、遊技者側から正面ベース５１１と背面ベース５１２とを締結するネジの頭を視認しにくくでき、遊技者が正面ベース５１１と背面ベース５１２とを締結するネジの頭を視認することで興趣が損なわれることを抑制できる。
【０１４５】
なお、正面ベース５１１は、透明な樹脂材料から形成されるので、正面ベース５１１を介して、ネジの頭を視認することができるが、上述したように正面ベース５１１には、正面側に凹凸も模様が形成されるので、板の厚みの違いにより光を他方向に出射できる。これにより、正面ベース５１１を介して視認できるねじの頭をぼやかすことができる。その結果、遊技者の興趣が損なわれることを抑制できる。
【０１４６】
次いで、図１４から図１６を参照して、駆動ユニット５３０の詳細な説明をする。図１４は、駆動ユニット５３０の分解斜視正面図である。図１５（ａ）及び図１５（ｂ）は、駆動ユニット５３０及び第１電動役物５２０の側面図である。図１６（ａ）及び図１６（ｂ）は、駆動ユニット５３０及び第１電動役物５２０の正面図である。
【０１４７】
なお、図１５（ａ）及び図１６（ａ）は、第１電動役物５２０が、第１状態に位置する状態が図示され、図１５（ｂ）及び図１６（ｂ）は、第１電動役物５２０が、第２状態に位置する状態が図示される。
【０１４８】
図１４に示すように、駆動ユニット５３０は、ソレノイド５３１と、そのソレノイド５３１に連結される摺動部材５３２と、その摺動部材５３２に連結される回転部材５３３と、その回転部材５３３及び摺動部材５３２を内部に変位可能な状態で配設する第１ケース部材５３４と、その第１ケース部材５３４の背面側に取着される第２ケース部材５３６とを主に備えて形成される。
【０１４９】
ソレノイド５３１は、内部に電線を備え、電線に電力が流されることで電磁力を発生する本体部５３１ａと、その本体部の内側に摺動可能に配設される可動体５３１ｂと、その可動体の先端部に取着される係合部５３１ｃとを主に備えて形成される。
【０１５０】
本体部５３１ａは、前後方向に長く形成される角柱状に形成されると共に、内部に電線が配設される。本体部５３１ａの正面側には、背面側に凹設される凹部が形成されており、その凹部の内側に円柱状に形成される可動体５３１ｂが配設される。
【０１５１】
可動体５３１ｂは、金属材料から形成されており、本体部５３１ａの電線に電力が付与され電磁力を発生させることで背面側（本体部５３１ａの内側）に摺動することができる。
【０１５２】
係合部５３１ｃは、可動体５３１ｂの本体部５３１ａと反対側の端部に取着される。係合部５３１ｃは、可動体５３１ｂの外径よりも大きい外径の円盤状に形成されており、その軸が可動体５３１ｂの軸と略同一線状に位置して配置される。
【０１５３】
係合部５３１ｃは、後述する摺動部材５３２の係合溝５３２ａ２に挿入される。これにより、可動体５３１ｂの変位に伴って、摺動部材５３２を前後方向（図１５（ａ）左右方向）に変位させることができる。
【０１５４】
摺動部材５３２は、上面視略Ｅ字状に形成されており、左右方向に延設される連結部５３２ａと、その連結部５３２ａの左右両端から正面側に突設される２本の第１突起５３２ｂと、その２本の第１突起５３２ｂの中間に位置すると共に、正面側に突設される第２突起５３２ｃとを主に備えて形成される。
【０１５５】
摺動部材５３２は、連結部５３２ａの左右方向における寸法が、後述する第１ケース部材５３４の内周面における左右方向の対向間寸法よりも小さく形成される。これにより、摺動部材５３２を第１ケース部材５３４の内側に収容配置することができる。
【０１５６】
連結部５３２ａは、背面側に凹設される凹部５３２ａ１と、その凹部５３２ａ１の正面側に連結して上面側から凹設される係合溝５３２ａ２と、第２突起５３２ｃの基端左右両側に形成される切込部５３２ａ３とを主に備えて形成される。
【０１５７】
凹部５３２ａ１は、上述したように、係合溝５３２ａ２にソレノイド５３１の係合部５３１ｃが挿入された際に、ソレノイド５３１の可動体５３１ｂが連結部５３２ａに当接することを抑制する凹みである。即ち、凹部５３２ａ１は、その凹設面が可動体５３１ｂの外径よりも大きい円弧状に形成される。これにより、ソレノイド５３１の可動体５３１ｂが連結部５３２ａに当接することを抑制できる。
【０１５８】
係合溝５３２ａ２は、凹部５３２ａ１の正面側に連結して形成されており、上面側から重力方向への凹設深さが、係合部５３１ｃの直径よりも大きく設定される。また、係合溝５３２ａ２は、左右方向の幅寸法が係合部５３１ｃの直径よりも大きく設定されると共に、前後方向の幅寸法が係合部５３１ｃの前後方向における厚み寸法と略同一または係合部５３１ｃの前後方向における厚み寸法よりも大きく形成される。よって、係合溝５３２ａ２の内側に、係合部５３１ｃを挿入できる。
【０１５９】
切込部５３２ａ３は、後述する第１突起５３２ｂを回転部材５３３に連結する際に、摺動部材５３２を弾性変形しやすくするための切れ目であり、上述したように第２突起５３２ｃの基端左右両側に形成されると共に、背面側に向かって切込み形成される。
【０１６０】
第１突起５３２ｂは、左右方向に貫通形成される係合孔５３２ｄを備える。係合孔５３２ｄは、前後方向に長い長穴状に形成されると共に、正面側の端部から重力方向下側に凹設される第１開口５３２ｄ１と背面側の端部から重力方向下側に凹設される第２開口５３２ｄ２とを主に備えて形成される。なお、第１開口５３２ｄ１及び第２開口５３２ｄ２の詳しい説明は後述する。
【０１６１】
係合孔５３２ｄは、前後方向中央部（第１開口５３２ｄ１及び第２開口５３２ｄ２以外の部分）における上下方向の幅寸法が、後述する回転部材５３３の突起５３３ｂの上下方向における幅寸法よりも大きく設定される。これにより、係合孔５３２ｄの内側に突起５３３ｂを配置できる。
【０１６２】
第２突起５３２ｃは、上述したように２つの第１突起５３２ｂの間に形成されると共に、正面側に突設して形成される。また、第２突起５３２ｃは、連結部５３２ａと反対側の先端側に下方に向かって立設される立設壁５３２ｃ１を備える。なお、立設壁５３２ｃ１の詳しい説明は後述する。
【０１６３】
回転部材５３３は、側面視略Ｌ字に形成される板状体を左右方向に所定の幅を隔てて２つ並設されると共に、一端側の対向間が連結部５３３ａにより連結して形成される。回転部材５３３の２つの板状体の対向間における隙間は、遊技球の直径よりも大きく設定される。これにより、回転部材５３３の内側（２つの板状体の対向間）に遊技球を通過させることができる。
【０１６４】
また、回転部材５３３の左右方向における幅寸法（２つの板状体の外側面の対向間寸法）は、摺動部材５３２の２つの第１突起５３２ｂの内側の対向間寸法よりも、小さく設定される。これにより、回転部材５３３を、摺動部材５３２の第１突起５３２ｂの対向間に配置できる。
【０１６５】
回転部材５３３は、側面視略Ｌ字の屈曲部分から左右方向両側に突出する回転軸５３３ｃと、側面視略Ｌ字の一端側の端部から左右方向両側に突出する突起５３３ｂと、側面視略Ｌ字の他端側の先端に凹設して形成される駆動部５３３ｄとを主に備えて形成される。
【０１６６】
回転軸５３３ｃは、回転部材５３３の左右両外側に突出形成されており、その突出先端面同士の離間した距離寸法が、第１ケース部材５３４の左右方向における幅寸法と略同一に設定される。また、回転軸５３３ｃの突出寸法は、第１ケース部材５３４の左右方向における厚み寸法よりも大きく設定される。よって、後述する第１ケース部材５３４の凹部５３４ａの内側に回転軸５３３ｃを受け入れると共に、第２ケース部材５３５を第１ケース部材５３４に組み付けることで、回転部材５３３を、第１ケース部材５３４及び第２ケース部材５３５に対して回転可能な状態で保持できる。
【０１６７】
突起５３３ｂは、回転部材５３３の左右両外側に突出形成されており、その突出先端面同士の離間した距離寸法が、摺動部材５３２の２つの第１突起５３２ｂの左右の外側側面の離間した距離寸法と略同一に設定される。また、突起５３３ｂの突出寸法は、第１突起５３２ｂの左右方向における幅寸法よりも大きく設定される。よって、突起５３３ｂを第１突起５３２ｂの係合孔５３２ｄに挿入することで、摺動部材５３２と回転部材５３３とを連結できる。
【０１６８】
なお、摺動部材５３２と回転部材５３３との連結は、摺動部材５３２の２つの第１突起５３２ｂを左右に弾性変形させて、２つの第１突起５３２ｂの対向間を広げることで行うことができる。この場合、上述したように、摺動部材５３２には、切込部５３２ａ３が形成されるので、２つの第１突起５３２ｂの対向間を広げやすくするできる。その結果、回転部材５３３と摺動部材５３２との連結をさせやすくできる。
【０１６９】
さらに、第１ケース部材５３４の左右方向における内側面の対向間の距離寸法が、第１突起５３２ｂの外側面同士の対向間における距離寸法と略同一もしくは、第１突起５３２ｂの外側面同士の対向間における距離寸法よりもやや大きく設定される。これにより、回転部材５３３及び摺動部材５３２を第１ケース部材５３４の内側に配置した状態では、第１突起５３２ｂが、左右方向外側に弾性変形することを抑制できる。その結果、回転部材５３３と摺動部材５３２との連結が外れることを抑制できる。
【０１７０】
駆動部５３３ｄは、正面側から背面側に向かって凹設して形成される。駆動部５３３ｄは、内側に羽部材５２０Ｌの突起５２３Ｌ，５２３Ｒを収容できる。即ち、駆動部５３３ｄは、突起５２３Ｌ，５２３Ｒよりも上下方向に大きい寸法に設定される。駆動部５３３ｄに突起５２３Ｌ，５２３Ｒを収容することで、駆動部５３３ｄの変位に伴って第１電動役物５２０を第１状態と第２状態とで変位させることができる。なお、第１電動役物５２０の変位についての詳しい説明は後述する。
【０１７１】
第１ケース部材５３４は、内部が開口した正面視略正方形に形成されると共に、前後方向に延設して形成される。第１ケース部材５３４は、背面側の下側が切り欠き形成されており、その切り欠き部分に、第２ケース部材５３５を配設できる。
【０１７２】
第１ケース部材５３４は、背面側の切り欠き部分に正面側に凹設される凹部５３４ａと、内周側の底面に立設される立設部５３４ｂとを主に備えて形成される。
【０１７３】
凹部５３４ａは、上述したように、内側に回転部材５３３の回転軸５３３ｃを収容する凹みであり、回転軸５３３ｃの直径よりも大きい形状に凹設される。よって、回転軸５３３ｃを内部に収容した状態で、第１ケース部材５３４に第２ケース部材５３５を組み付けることで、回転部材５３３を第１ケース部材５３４の内側に配設できる。
【０１７４】
立設部５３４ｂは、背面ベース５１２の第２入賞口１４０の下側内周面とその立設先端面が同一高さに設定されると共に、背面側に延設されると共に下方傾斜して形成される。これにより、駆動ユニット５３０を背面ベース５１２の背面に配置した状態では、第２入賞口１４０に入球したした遊技球を立設部５３４ｂの上面を転動させて第２ケース部材５３５に送球できる。
【０１７５】
第２ケース部材５３５は、正面視横長矩形に形成されると共に、背面側に所定の厚みを備えて形成される。第２ケース部材５３５は、上下方向に貫通形成される貫通孔５３５ａを備える。
【０１７６】
貫通孔５３５ａは、内径が遊技球の直径よりも大きく形成されており、上述したように立設部５３４ｂの上部と転動させて第２ケース部材５３５に送球された遊技球を貫通孔５３５ａを介して下方に送球することができる。これにより、遊技領域を流下して第２入賞口１４０に入球された遊技球を回収できる。
【０１７７】
次いで、図１５及び図１６を参照して、第１電動役物５２０の変位について説明する。
【０１７８】
図１５（ａ）及び図１６（ａ）に示すように、第１電動役物５２０が第１状態に位置される状態では、ソレノイド５３１の可動体５３１ｂが、可動体５３１ｂの周囲に配設されると共に、本体部５３１ａ及び連結部５３２ａの間に介設される付勢ばね（図示せず）の付勢力により正面側（図１５（ａ）左側）に張り出される。
【０１７９】
この場合、回転部材５３３の突起５３３ｂは、係合孔５３２ｄの背面側（第２開口５３２ｄ２側）に位置される。また、回転部材５３３は、側面視における重心の位置が駆動部５３３ｄ及び回転軸５３３ｃの間に位置される。即ち、回転部材５３３には、回転軸５３３ｃの軸周りに、駆動部５３３ｄを下方に押し下げる方向への回転力が常に作用された状態とされる。
【０１８０】
よって、回転部材５３３の突起５３３ｂは、係合孔５３２ｄの背面側（第２開口５３３ｄ２側）に位置された状態においても、第２開口５３３ｄ２の内側（係合孔５３２ｄの下方（図１５（ａ）下側））に案内されることなく、その上部で停滞することができる。
【０１８１】
また、駆動部５３３ｄが下方に押し下げられるので、駆動部５３３ｄの内側に収容される左右の羽部材５２０Ｌ，５２０Ｒの各突起５２３Ｌ，５２３Ｒが下方に押し下げられる。これにより、左右の羽部材５２０Ｌ，５２０Ｒは、貫通孔５２１Ｌ，５２１Ｒから遠方側の角部を貫通孔５２１Ｌ，５２１Ｒの上方に位置した状態（第１状態（図１６（ａ）参照））とされる。
【０１８２】
図１５（ｂ）及び図１６（ｂ）に示すように、ソレノイド５３１の本体部５３１ａに電力が付与されると、本体部５３１ａに発生する電磁力により可動体５３１ｂが本体部５３１ａの内部に引き込まれる。
【０１８３】
よって、可動体５３１ｂの変位に伴って、可動体５３１ｂの先端側に連結する摺動部材５３２が後方側（図１５（ｂ）右側）にスライド変位される。上述したように、回転部材５３３は、回転軸５３３ｃの軸周りに、駆動部５３３ｄを下方に押し下げる方向への回転力が常に作用された状態とされるので、摺動部材５３２の係合孔５３２ｄの内側に収容される突起５３３ｂは、第２開口５３３ｄ２の基端部分に引っ掛ることなくその内部を摺動される。
【０１８４】
第２開口５３３ｄ２の内部を摺動する突起５３３ｂは、可動体５３１ｂの変位終端位置では、係合孔５３２ｄの正面側（第１開口５３２ｄ１側）の端部と当接して、背面側（図１５（ｂ）右側）に変位される。この場合、突起５３３ｂは、回転軸５３３ｃの軸を中心に回転変位するので、突起５３３ｂを第１開口５３２ｄ１の内側に収容することができる。即ち、第１開口５３２ｄ１は、突起５３３ｂの変位と対応する形状に形成される。
【０１８５】
また、回転部材５３３が回転軸５３３ｃの軸周りに回転するので、駆動部５３３ｄを上方（図１５（ｂ）上側）に変位できる。その結果、羽部材５２０Ｌは、貫通孔５２１Ｌ，５２１Ｒの軸を中心に回転されて、貫通孔５２１Ｌ，５２１Ｒから遠方側の角部を左右外側に変位させた状態（第２状態（図１６（ｂ）参照））とされる。
【０１８６】
一方、第２状態から第１状態への変位は、ソレノイド５３１の本体部５３１ａへの電力の供給を遮断することで行われる。これにより、本体部５３１ａに発生する電磁力が消えるので、可動体５３１ｂの周囲に配設されると共に、本体部５３１ａ及び連結部５３２ａの間に介設される付勢ばね（図示せず）の付勢力により、可動体５３１ｂが正面側（図１５（ａ）左側）に張り出される。その結果、第１電動役物５２０を第１状態の位置に変位させることができる。
【０１８７】
上述したように、第１開口５３２ｄ１は、突起５３３ｂの変位に対応する形状に形成されるので、第１開口５３２ｄ１の重力方向下側（図１５（ｂ）下側）への凹設深さが背面側（図１５（ｂ）右側）に向かって深く形成される。
【０１８８】
その結果、第１電動役物５２０を第２状態から第１状態に変位させる際には、第１開口５３２ｄ１の基端部分を回転部材５３３の突起５３３ｂにと衝突させて、突起５３３ｂを重力方向に変位させやすくできる。
【０１８９】
次いで、図１７を参照して、第２突起５３２ｃの動作について説明する。図１７（ａ）及び図１７（ｂ）は、図１０（ａ）のＸＶＩＩ−ＸＶＩＩ線における入賞口ユニット５００の断面図である。なお、図１７（ａ）では、第１電動役物５２０が第１状態に位置され、図１７（ｂ）では、第１電動役物５２０が第２状態に位置される状態がそれぞれ図示される。
【０１９０】
図１７（ａ）に示すように、第１電動役物５２０が第１状態にされると、左右の羽部材５２０Ｌ，５２０Ｒの貫通孔５２１Ｌ，５２１Ｒの遠方の角部が第１突出部５１１ａの近傍に配置される。これにより、第１電動役物５２０が第１状態において、左右の羽部材５２０Ｌ，５２０Ｒの対向間に遊技球が流下されることを抑制できる。
【０１９１】
また、上述したように、ソレノイド５３１は、本体部５３１ａの内側から可動体５３１ｂが張り出した状態とされる。よって、可動体５３１ｂ（係合部５３１ｃ）に連結される摺動部材５３２が正面側（図１７（ａ）左側）に位置した状態とされる。即ち、第２突起５３２ｃの立設壁５３２ｃ１が第２入賞口１４０の近傍に配置される。
【０１９２】
この場合、立設壁５３２ｃ１の立設先端（重力方向下側（図１７（ａ）下側）の端部）から第１ケース部材５３４に形成される立設部５３４ｂの上端面までの距離寸法Ｌ１は、遊技球の直径よりも小さく設定される。
【０１９３】
これにより、第１電動役物５２０が破損して、ソレノイド５３１の可動体５３１ｂが前方に張り出した状態であっても、左右の羽部材５２０Ｌ，５２０Ｒの対向間に遊技球を流入可能とされた場合に、遊技球が第２入賞口１４０の内部に入球されて転動することを抑制できる。即ち、第１ケース部材５３４の立設部５３４ｂを転動する遊技球を摺動部材５３２の立設壁５３２ｃ１に衝突させて、遊技球の転動を停止させることができる。その結果、第１電動役物５２０が破損した際に、遊技者が遊技を継続して行ったとしても店舗側が不利となる状況を抑制できる。
【０１９４】
なお、本実施形態では、第２入賞口１４０に遊技球が入球されたことを検知するセンサ装置ＳＥ１が第２ケース部材５３５の遊技球の流下経路に配設される。よって、第２入賞口１４０の内部を遊技球が通過したことを検知するには、第２ケース部材５３５まで遊技球を転動させる必要がある。そのため、第１ケース部材５３４の内部で遊技球の転動を停止させることで、第２入賞口１４０に遊技球が入球されたことをパチンコ機１０が検知することを抑制できる。
【０１９５】
一方、図１７（ｂ）に示すように、第１電動役物５２０が第２状態にされると、左右の羽部材５２０Ｌ，５２０Ｒの貫通孔５２１Ｌ，５２１Ｒの遠方の角部が第１状態よりも第１突出部５１１ａから離間され、その離間した距離が遊技球の直径よりも大きくされる。これにより、遊技領域を流下する遊技球を、左右の羽部材５２０Ｌ，５２０Ｒの側面５２６Ｌ，５２６Ｒで受け止めて、第２入賞口１４０に転動させることができる。即ち、第１電動役物５２０が第２状態にされると、第２入賞口１４０に遊技球を入球させやすくできる。
【０１９６】
また、上述したように、ソレノイド５３１は、本体部５３１ａの内側に可動体５３１ｂが引き込まれた状態とされる。よって、可動体５３１ｂ（係合部５３１ｃ）に連結される摺動部材５３２が背面側（図１７（ｂ）右側）に位置した状態とされる。即ち、第２突起５３２ｃの立設壁５３２ｃ１が第１状態よりも第２入賞口１４０から離間する位置に配置される。
【０１９７】
この場合、立設壁５３２ｃ１の立設先端（重力方向下側（図１７（ｂ）下側）の端部）から第１ケース部材５３４に形成される立設部５３４ｂの上端面までの距離寸法Ｌ２は、遊技球の直径よりも大きく設定される。
【０１９８】
これにより、第１電動役物５２０が第２状態とされる際には、左右の羽部材５２０Ｌ，５２０Ｒを変位させて、遊技領域を流下する遊技球を第２入賞口１４０に入球しやすくできると共に、第２入賞口１４０に入球された遊技球を第１ケース部材５３４に形成される立設部５３４ｂを転動させて第２ケース部材５３５に送球できる。
【０１９９】
さらに、立設壁５３２ｃ１の変位方向は、第２入賞口１４０に入球される遊技球の転動方向と略一致する方向に立設壁５３２ｃ１をスライド変位させることができるので、羽部材５２０Ｌ，５２０Ｒが破損して（又は、不正行為により）開放された際に、立設壁５３２ｃ１に衝突させて停止させた遊技球が、立設壁５３２ｃ１の変位により転動方向と反対側に押し出されることを抑制できる。これにより、第１電動役物５２０をソレノイド５３１の駆動により開放して、第２入賞口１４０に遊技球を入球可能とされる際に、遊技球が第２入賞口１４０で詰まることを抑制できる。その結果、第１電動役物５２０を開放状態とした際に、遊技球を第２入賞口の内側にスムーズに案内することができる。
【０２００】
次いで、図１８及び図１９を参照して第１電動役物５２０が遊技者の不正行為により、第１状態から第２状態に変位された場合の説明をする。図１８（ａ）及び図１８（ｂ）は、入賞口ユニット５００の正面図である。図１９（ａ）及び図１９（ｂ）は、第１電動役物５２０及び駆動ユニット５３０の側面図である。
【０２０１】
なお、図１８（ａ）及び図１８（ｂ）では、理解を容易とするために、正面ベース５１１が透明視されて図示される。また、図１９（ａ）では、第１状態における第１電動役物５２０及び駆動ユニット５３０が図示され、図１９（ｂ）では、第１状態から第１電動役物５２０のみが変位された場合の状態が図示される。
【０２０２】
図１８及び図１９に示すように、第１状態の第１電動役物５２０が、遊技者の不正行為（ゴト行為）により、第１電動役物５２０のみ強引に第２状態に変位された際には、左右の羽部材５２０Ｌ，５２０Ｒの突起５２３Ｌ，５２３Ｒが係合孔５３２ｄの第２開口５３２ｄ２の内側に変位される。即ち、突起５２３Ｌ，５２３Ｒが変位できるスペースが形成されるので、第１電動役物５２０が無理に変位された際に第１電動役物５２０が破損することを抑制できる。
【０２０３】
次いで、図２０（ａ）及び図１１（ｂ）を参照して、遊技者の不正行為により第１電動役物５２０が変位された場合の立設部５２３ｃ１の変位について説明する。図２０（ａ）は、図１８（ａ）のＸＸａ−ＸＸａ線における入賞口ユニット５００の断面図であり、図２０（ｂ）は、図１８（ｂ）のＸＸｂ−ＸＸｂ線における入賞口ユニット５００の断面図である。
【０２０４】
図２０（ａ）及び図２０（ｂ）に示すように、第１状態の第１電動役物５２０が、遊技者の付勢行為により、無理に回転された際には、駆動ユニット５３０のソレノイド５３１及び摺動部材５３２の位置は変位させず、第１電動役物５２０及び回転部材５３３のみが回転変位される。
【０２０５】
上述したように、第１電動役物５２０が第１状態に位置する場合には、立設壁５３２ｃ１の立設先端（重力方向下側（図２０（ａ）下側）の端部）から第１ケース部材５３４に形成される立設部５３４ｂの上端面までの距離寸法Ｌ１は、遊技球の直径よりも小さく設定される。
【０２０６】
ここで、従来より、遊技球が入球可能に形成される第２入賞口１４０と、その第２入賞口１４０を挟んで配設される一対の羽部材５２０Ｌ，５２０Ｒと、それら一対の羽部材５２０Ｌ，５２０Ｒに駆動力を付与して開放または閉鎖させる駆動手段（ソレノイド５３１）と、その駆動手段（ソレノイド５３１）の駆動力により一対の羽部材５２０Ｌ，５２０Ｒが開放されると第２入賞口１４０への遊技球の入球を許容する許容位置に配置されると共に駆動手段（ソレノイド５３１）の駆動力により一対の羽部材５２０Ｌ，５２０Ｒが閉鎖されると第２入賞口１４０への遊技球の入球を規制する規制位置に配置される規制手段とを備えた遊技機が知られている。
【０２０７】
しかしながら、上述した従来の遊技機では、規制手段の変位が規制されていないため、例えば、一対の羽部材５２０Ｌ，５２０Ｒを外部から強制開放した上で、規制手段を規制位置から許容位置へ変位させることができるため、遊技球が第２入賞口１４０へ不正に入球されることを規制する効果が不十分であるという問題点があった。
【０２０８】
これに対し、本実施形態によれば、一対の羽部材５２０Ｌ，５２０Ｒが閉鎖された状態または一対の羽部材５２０Ｌ，５２０Ｒが外部から開放された状態において立設壁５３２ｃ１の配置が規制位置に維持可能に形成されるので、立設壁５３２ｃ１が許容位置へ変位されることを抑制できる。よって、遊技球が第２入賞口１４０へ不正に入球されることを規制しやすくできる。
【０２０９】
即ち、一対の羽部材５２０Ｌ，５２０Ｒが閉鎖された状態または一対の羽部材５２０Ｌ，５２０Ｒが外部から開放された状態では、摺動部材５３２を操作して、立設壁５３２ｃ１の立設先端（重力方向下側（図２０（ｂ）下側）の端部）から第１ケース部材５３４に形成される立設部５３４ｂの上端面までの距離寸法Ｌ３は、遊技球の直径よりも小さく設定される。従って、第１電動役物５２０が遊技者の不正行為によって、第２入賞口１４０に遊技球を送球可能とされても、遊技球が第２入賞口１４０の内部に入球されて転動することを抑制できる。よって、第１ケース部材５３４の立設部５３４ｂを転動する遊技球を摺動部材５３２の立設壁５３２ｃ１に衝突させて、遊技球の転動を停止させることができる。その結果、第１電動役物５２０が遊技者の不正行為によって、第２状態（第２入賞口１４０に遊技球を送球可能）にされた際に、遊技球が第２入賞口１４０へ不正に入球されることを規制しやすくできる。
【０２１０】
また、この場合、遊技球を第２入賞口１４０へ入球不能にする立設壁５３２ｃ１を一対の羽部材５２０Ｌ，５２０Ｒを変位させる摺動部材５３２に連なって形成することができるので、第２入賞口１４０へ不正に入球されることを規制する部材を別途必要としない。よって、その分、部品点数を削減することができるので、製造コストが増加することを抑制できる。
【０２１１】
次いで、図２１及び図２２を参照して、遊技者の不正行為により第１電動役物５２０が第２状態とされた際に、さらに第２突起５３２ｃが背面側に押し込まれた場合を説明する。図２１（ａ）及び図２１（ｂ）は、第１電動役物５２０及び駆動ユニット５３０の側面図である。図２２（ａ）は、図２１（ａ）の範囲ＸＸＩＩａにおける駆動ユニット５３０の部分拡大側面図であり、図２２（ｂ）は、図２１（ｂ）の範囲ＸＸＩＩｂにおける駆動ユニット５３０の部分拡大側面図である。
【０２１２】
図２１及び図２２に示すように、第２開口５３２ｄ２の内側には、正面側（図２２（ａ）左側）の内面から突出する突起５３２ｄ３が形成される。また、回転部材５３３の突起５３３ｂには、側面視における外周面が切り込まれて形成される切欠部５３３ｂ１が形成される。
【０２１３】
突起５３２ｄ３及び切欠部５３３ｂ１は、その外径が対応する形状に形成される。即ち、側面視における突起５３２ｄ３の突出形状と、切欠部５３３ｂ１の切込み形状とが略同一とされる。
【０２１４】
よって、図２１（ａ）及び図２２（ａ）に示す、第１電動役物５２０のみを不正行為により第２状態とした状態から、立設壁５３２ｃ１（摺動部材５３２）を背面側に押し込むと、切欠部５３３ｂ１の内側に突起５３２ｄ３が収容され、立設壁５３２ｃ１（摺動部材５３２）の背面側へ変位が規制される。その結果、第１電動役物５２０が遊技者の不正行為により第２状態とされた際に、遊技球が、第２入賞口１４０に入球されて、第１ケース部材５３４の立設部５３４ｂを転動して送球されることを抑制できる。
【０２１５】
また、本実施形態では、突起５３２ｄ３の側面のうちの一面が、上方に向かって背面側に傾斜して形成される（図２２（ａ）参照）。これにより、突起５３２ｄ３が、切欠部５３３ｂ１の内側に挿入された際に、突起５３２ｄ３が切欠部５３３ｂ１から抜け出にくくすることができる。
【０２１６】
即ち、突起５３２ｄ３の側面が、上方に向かって背面側に傾斜して形成されるので、突起５３２ｄ３が切欠部５３２ｂ１に挿入された状態で、さらに立設壁５３２ｃ１（摺動部材５３２）を背面側に押し込む力が作用した際に、突起５３２ｄ３と切欠部５３２ｂ１との当接面に作用する力の方向を、突起５３２ｄ３が切欠部５３２ｂ１の内側に入り込む方向とすることができる。従って、突起５３２ｄ３が、切欠部５３３ｂ１の内側に挿入された際に、突起５３２ｄ３が切欠部５３３ｂ１から抜け出にくくすることができる。その結果、第１電動役物５２０が遊技者の不正行為により第２状態とされた際に、遊技球が第２入賞口１４０に入球して、第１ケース部材５３４の立設部５３４ｂを転動して送球されることを確実に抑制できる。
【０２１７】
言い変えると、駆動手段（ソレノイド５３１）の駆動力を一対の羽部材５２０Ｌ，５２０Ｒへ伝達する伝達機構を備え、伝達機構は、駆動手段（ソレノイド５３１）の駆動力により開放スライド位置（図１７（ｂ）に示す位置）と閉鎖スライド位置（図１７（ａ）に示す位置）との間でスライド変位される摺動部材５３２と、その摺動部材５３２の開放スライド位置へのスライド変位により開放回転位置へ回転されて一対の羽部材５２０Ｌ，５２０Ｒを開放させると共に摺動部材５３２の閉鎖スライド位置へのスライド変位により閉鎖回転位置へ回転されて一対の羽部材５２０Ｌ，５２０Ｒを閉鎖させる回転部材５３３とを備え、立設壁５３２ｃ１が摺動部材５３２に配設され、摺動部材５３２が開放スライド位置へスライド変位されると立設壁５３２ｃ１が許容位置に配置されると共に、摺動部材５３２が閉鎖スライド位置へスライド変位されると立設壁５３２ｃ１が規制位置に配置され、摺動部材５３２が閉鎖スライド位置に配置された状態で、回転部材５３３が開放回転位置に配置されると、回転部材５３３と摺動部材５３２とが係合されることで、摺動部材５３２の開放スライド位置へのスライド変位が規制されるので、遊技球が第２入賞口１４０へ不正に入球されることを規制しやすくできる。
【０２１８】
即ち、閉鎖されている一対の羽部材５２０Ｌ，５２０Ｒが外部から不正に強制開放される場合には、摺動部材５３２が閉鎖スライド位置に配置された状態で、回転部材５３３が開放回転位置へ回転される。かかる状態では、回転部材５３３と摺動部材５３２とが係合されることで、摺動部材５３２の開放スライド位置へのスライド変位が規制されるので、規制手段を規制位置に維持できる（規制手段が許容位置へ外部から不正に強制変位されることを抑制できる）。その結果、一対の羽部材５２０Ｌ，５２０Ｒを外部から強制開放した上で、それら一対の羽部材５２０Ｌ，５２０Ｒの間から遊技球を通過させたとしても、かかる遊技球が第２入賞口１４０へ入球することを規制手段によって規制できる。
【０２１９】
さらに、摺動部材５３２および回転部材５３３の一方に係合孔５３２ｄが延設されると共に他方から突起５３３ｂが突設され、突起５３３ｂが係合孔５３２ｄに沿って摺動されることで摺動部材５３２のスライド変位が伝達されて回転部材５３３が回転されると共に、係合孔５３２ｄの内壁面に突起５３３ｂが係合されることで、摺動部材５３２の開放スライド位置へのスライド変位が規制されるので、小型化を図りつつ規制を解除され難くできる。
【０２２０】
即ち、摺動部材５３２のスライド変位を回転部材５３３へ伝達して回転させるための係合孔５３２ｄおよび突起５３３ｂを利用して、摺動部材５３２の開放スライド位置へのスライド変位を規制する手段を形成でき、かかる手段を別の箇所に別途設けることを不要とできるので、その分、小型化を図ることができる。また、係合孔５３２ｄの内壁面に突起５３３ｂを係合させる構造とすることで、かかる係合部分への外部からの不正なアクセスを困難とでき、その分、規制（係合）を解除され難くできる。
【０２２１】
次いで、図２３及び図２４を参照して、左右の羽部材５２０Ｌ，５２０Ｒの膨出部５２４Ｌ，５２４Ｒについて詳しく説明する。図２３（ａ）は、左羽部材５２０Ｌの正面斜視図であり、図２３（ｂ）は右羽部材５２０Ｒの正面斜視図である。図２４（ａ）は、入賞口ユニット５００の正面図であり、図２４（ｂ）は、図２４（ａ）のＸＸＩＶｂ−ＸＸＩＶｂ線における入賞口ユニット５００の断面図である。
【０２２２】
なお、図２３（ａ）及び図２３（ｂ）では、斜視した際の左右方向が図２３（ａ）と図２３（ｂ）とで逆転される。また、図２４（ａ）では、正面ベース５１１が透明視されて図示される。さらに、図２４（ｂ）では、図２４（ａ）において透明視された正面ベース５１１が不透明とされて図示される。また、図２４（ｂ）では、側面５２６Ｌ，５２６Ｒを転動する遊技球の転動方向が仮想線ＫＳ１の符号と共に、２点鎖線で図示される。更に、仮想線ＫＳ１の正面方向が矢印Ｆで図示され、背面方向が矢印Ｂで図示される。
【０２２３】
図２３及び図２４に示すように、左羽部材５２０Ｌの側面５２６Ｌに形成される膨出部５２４Ｌは、貫通孔５２１Ｌ側の端部に形成されると共に、正面側（図２４（ｂ）矢印Ｆ側）の端面に連なって形成される。一方、右羽部材５２０Ｒの側面５２６Ｒに形成される膨出部５２４Ｒは、貫通孔５２１Ｒ側の端部に形成されると共に、背面側（図２４（ｂ）矢印Ｂ側）の端面に連なって形成される。
【０２２４】
即ち、左羽部材５２０Ｌの膨出部５２４Ｌと右羽部材５２０Ｒの膨出部５２４Ｒとでは、前後方向に異なる位置に形成される（図２４（ｂ）参照）。
【０２２５】
さらに、側面５２６Ｌ，５２６Ｒには、羽部材５２０Ｌ，５２０Ｒの先端側から基端側まで連続する第１領域が形成され、第１領域を案内される遊技球には非当接となる大きさで膨出部５２４Ｌ，５２４Ｒが形成されると共に、一対の羽部材５２０Ｌ，５２０Ｒのうちの一方の羽部材（羽部材５２０Ｌ，５２０Ｒのうちの一方）における側面５２６Ｌ，５２６Ｒの第１領域と他方の羽部材（羽部材５２０Ｌ，５２０Ｒのうちの他方）における側面５２６Ｌ，５２６Ｒの第１領域とが、側面５２６Ｌ，５２６Ｒに沿って遊技球が案内される方向と直交する方向に位置を異ならせて配置される。
【０２２６】
また、膨出部５２４Ｌは、貫通孔５２１Ｌから遠方側の端部が、正面側（図２４（ｂ）下側）から背面側（図２４（ｂ）上側）に向かって貫通孔５２１Ｌ側に傾斜して形成される。一方、膨出部５２４Ｒは、貫通孔５２１Ｒから遠方側の端部が、背面側から正面側に向かって貫通孔５２１Ｒ側に傾斜して形成される。
【０２２７】
次いで、図２５及び図２６を参照して、左右の羽部材５２０Ｌ，５２０Ｒの側面５２６Ｌ，５２６Ｒに遊技球が送球された場合の説明をする。図２５（ａ）及び図２５（ｂ）は、入賞口ユニット５００の断面図である。図２６（ａ）及び図２６（ｂ）は、入賞口ユニット５００の断面図である。
【０２２８】
なお、図２５（ａ）、図２５（ｂ）、図２６（ａ）及び図２６（ｂ）は、図２４（ｂ）における入賞口ユニット５００の断面図と対応する。また、図２５（ａ）及び図２５（ｂ）では、第１電動役物５２０の両側から遊技球が送球された場合の遊技球の遷移状態が順に図示される。図２６（ａ）及び図２６（ｂ）では、左羽部材５２０Ｌのみに遊技球が送球された場合の遊技球の遷移状態が順に図示される。
【０２２９】
図２５（ａ）及び図２５（ｂ）に示すように、第１電動役物５２０の両側に遊技球が送球された場合には、左右の羽部材５２０Ｌ，５２０Ｒの側面５２６Ｌ，５２６Ｒを転動する遊技球を、膨出部５２４Ｌ，５２４Ｒにより前後方向に異なる位置に転動させることができる。
【０２３０】
詳しく説明すると、上述したように、左羽部材５２０Ｌの膨出部５２４Ｌは、正面側の端面に連結して形成される。よって、左羽部材５２０Ｌの側面５２６Ｌを転動する遊技球は、膨出部５２４Ｌに接触しながら側面５２６Ｌを転動することで、背面側に転動される。
【０２３１】
この場合、膨出部５２４Ｌは、貫通孔５２１Ｌから遠方側の端部が、正面側（図２５（ｂ）下側）から背面側（図２５（ｂ）上側）に向かって貫通孔５２１Ｌ側に傾斜して形成されるので、側面５２６Ｌを転動する遊技球が膨出部５２４Ｌと接触した際、転動方向への抵抗が大きくなって遊技球の転動が停止されることを抑制できる。
【０２３２】
一方、右羽部材５２０Ｒの膨出部５２４Ｒは、背面側の端面に連結して形成される。よって、右羽部材５２０Ｒの側面５２６Ｒを転動する遊技球は、膨出部５２４Ｒに接触しながら側面５２６Ｒを転動することで、正面側に転動される。
【０２３３】
この場合、膨出部５２４Ｒは、貫通孔５２１Ｒから遠方側の端部が、背面側（図２５（ｂ）上側）から正面側（図２５（ｂ）下側）に向かって貫通孔５２１Ｒ側に傾斜して形成されるので、側面５２６Ｒを転動する遊技球が膨出部５２４Ｒと接触した際、転動方向への抵抗が大きくなって遊技球の転動が停止されることを抑制できる。
【０２３４】
よって、左羽部材５２０Ｌ側を転動する遊技球を背面側に寄せることができる一方、右羽部材５２０Ｒ側を転動する遊技球を正面側に寄せることができる。その結果、左右両側から遊技球が送球された際に、左右から送球される遊技球が正面衝突することを抑制できる。
【０２３５】
ここで、従来より、遊技球が入球可能に形成される入球口（第２入賞口１４０）と、その入球口に遊技球を案内する案内面（側面５２６Ｌ，５２６Ｒ）を有すると共に変位可能に形成された案内部材（第１電動役物５２０）とを備えた遊技機が知られている。案内部材としては、例えば、入球口へ遊技球を案内する案内面を有すると共に入球口を挟んで配設され基端側が回転可能に軸支される一対の羽部材（羽部材５２０Ｌ，５２０Ｒ）が例示される。
【０２３６】
また、一方の羽部材（羽部材５２０Ｌ，５２０Ｒのどちらか一方）における案内面（側面５２６Ｌ，５２６Ｒ）の全面に第１の溝を設けると共に、他方の羽部材における案内面（側面５２６Ｌ，５２６Ｒ）の全面に第２の溝をそれぞれ設ける技術が開示される。かかる技術によれば、第１の溝と第２の溝とが互いに異なる方向へ傾斜されるため、一方の羽部材（羽部材５２０Ｌ，５２０Ｒのどちらか一方）における案内面（側面５２６Ｌ，５２６Ｒ）および一方の羽部材（羽部材５２０Ｌ，５２０Ｒのどちらか他方）における案内面（側面５２６Ｌ，５２６Ｒ）をそれぞれ遊技球が同時に案内（転動）される場合でも、それら各遊技球を互いに異なる方向（一方はガラス板側であって他方は遊技盤側）へ偏倚させることできる。よって、これら各遊技球を第２入賞口１４０へスムーズに入球させることができる。
【０２３７】
しかしながら、上述した従来の技術では、遊技球を十分に偏倚させることができないという問題点があった。また、案内部材の一側（羽部材５２０Ｌ，５２０Ｒのどちらか一方）から進入した遊技球が案内面（側面５２６Ｌ，５２６Ｒ）を通過して案内部材の他側（羽部材５２０Ｌ，５２０Ｒのどちらか他方）から通り抜けることがあり、この場合には、遊技球が入球口（第２入賞口１４０）へ入球されないため、遊技者の興趣が損なわれるという問題点があった。
【０２３８】
これに対し、本実施形態によれば、第１電動役物５２０は、側面５２６Ｌ，５２６Ｒから突設され側面５２６Ｌ，５２６Ｒを転動する遊技球に当接可能に形成される一対の膨出部５２４Ｌ，５２４Ｒを備え、それら一対の膨出部５２４Ｌ，５２４Ｒが、側面５２６Ｌ，５２６Ｒに沿って遊技球が案内される方向と直交する方向に位置を異ならせて配置されるので、側面５２６Ｌ，５２６Ｒを案内（転動）される遊技球を膨出部５２４Ｌ，５２４Ｒに当接させることで、かかる遊技球を確実に偏倚させることができる。その結果、入球口へスムーズに入球させることができる。
【０２３９】
また、一対の膨出部５２４Ｌ，５２４Ｒが、側面５２６Ｌ，５２６Ｒに沿って遊技球が案内される方向と直交する方向に位置を異ならせて配置されることで、一対の羽部材５２０Ｌ，５２０Ｒの一側から進入した遊技球を膨出部５２４Ｌ，５２４Ｒに当接させることができる。よって、一対の羽部材５２０Ｌ，５２０Ｒの一側（羽部材５２０Ｌ，５２０Ｒのどちらか一方）から進入した遊技球が一対の羽部材５２０Ｌ，５２０Ｒを（羽部材５２０Ｌ，５２０Ｒのどちらか他方に）通り抜けることを抑制できる。その結果、遊技球を入球口へ入球させて、遊技者の興趣を向上できる。
【０２４０】
さらに、第１電動役物５２０は、第２入賞口１４０を挟んで配設され基端側が回転可能に軸支される一対の羽部材５２０Ｌ，５２０Ｒとして形成され、一対の膨出部５２４Ｌ，５２４Ｒは、一対の羽部材５２０Ｌ，５２０Ｒのそれぞれの側面５２６Ｌ，５２６Ｒから突設され、一対の羽部材５２０Ｌ，５２０Ｒのうちの一方の羽部材５２０Ｌ，５２０Ｒにおける膨出部５２４Ｌ，５２４Ｒと他方の羽部材５２０Ｌ，５２０Ｒにおける膨出部５２４Ｌ，５２４Ｒとが、側面５２６Ｌ，５２６Ｒに沿って遊技球が案内される方向と直交する方向に位置を異ならせて配置されるので、側面５２６Ｌ，５２６Ｒを案内（転動）される遊技球を膨出部５２４Ｌ，５２４Ｒに当接させることで、かかる遊技球を確実に偏倚させることができる。その結果、第２入賞口１４０へスムーズに入球させることができると共に、球詰まりを抑制できる。
【０２４１】
また、一方の羽部材５２０Ｌ，５２０Ｒにおける膨出部５２４Ｌ，５２４Ｒと他方の羽部材５２０Ｌ，５２０Ｒにおける膨出部５２４Ｌ，５２４Ｒとが、側面５２６Ｌ，５２６Ｒに沿って遊技球が案内される方向（羽部材５２０Ｌ，５２０Ｒの先端側から基端側へ向かう方向）と直交する方向に位置を異ならせて配置されることで、一方の羽部材５２０Ｌ，５２０Ｒにおける側面５２６Ｌ，５２６Ｒへ進入した遊技球が他方の羽部材５２０Ｌ，５２０Ｒにおける側面５．２６Ｌ，５２６Ｒへ到達した場合には、かかる遊技球を他方の羽部材５２０Ｌ，５２０Ｒにおける膨出部５２４Ｌ，５２４Ｒに当接させることができる。よって、一方の羽部材５２０Ｌ，５２０Ｒにおける側面５２６Ｌ，５２６Ｒへ進入した遊技球が他方の羽部材における側面５２６Ｌ，５２６Ｒを通り抜けることを抑制できる。その結果、遊技球を第２入賞口１４０へ入球させて、遊技者の興趣を向上できる。
【０２４２】
言い変えると、左右の羽部材５２０Ｌ，５２０Ｒにぞれぞれ前後方向に異なる位置に膨出部５２４Ｌ，５２４Ｒが形成されるので、左右から転動される遊技球を前後方向に異なる位置に転動させることができる。よって、左右両側から遊技球が送球された際に、左右から送球される遊技球が正面衝突することを抑制できる。その結果、第２入賞口１４０への遊技球の入球に時間がかかることを抑制できる。
【０２４３】
即ち、遊技球の衝突する位置を左右で前後方向に異なる位置とすることで、図２５（ｂ）に示すように、背面側に寄せられた左側の遊技球は、その衝突により背面側（図２５（ｂ）上側）に跳ね返りやすくなる。一方、正面側に寄せられた右側の遊技球は、その衝突により正面側（図２５（ｂ）下側）に跳ね返りやすくなる。
【０２４４】
よって、一方の（本実施形態では、左羽部材５２０Ｌを転動する）遊技球を第２入賞口１４０に入球させやすくできると共に、他方の遊技球を正面側に跳ね返らせることで、衝突した際に、遊技球が第２入賞口１４０から離間しすぎることを抑制できる。従って、あとから第２入賞口１４０に入球する第２の遊技球の第２入賞口１４０への入球を早くすることができる。その結果、第１電動役物５２０左右両側に遊技球が送球された際に、両側の遊技球が第２入賞口１４０に入球されるまでにかかる時間を短くでき、遊技の進行をスムーズに進めることができる。
【０２４５】
また、膨出部５２４Ｌ，５２４Ｒは、羽部材５２０Ｌ，５２０Ｒの先端側よりも基端側（貫通孔５２１側）に近い位置において側面５２６Ｌ，５２６Ｒから突設されるので、側面５２６Ｌ，５２６Ｒに案内される遊技球が膨出部５２４Ｌ，５２４Ｒに当接するまでに転動可能な領域を確保できる。よって、その分、遊技球の転動速度の低下を抑制して、第２入賞口１４０へスムーズに入球させることができる。
【０２４６】
さらに、膨出部５２４Ｌ，５２４Ｒが羽部材５２０Ｌ，５２０Ｒの先端側よりも基端側に近い位置において側面５２６Ｌ，５２６Ｒから突設されることで、膨出部５２４Ｌ，５２４Ｒに当接して偏倚された遊技球の進路が、入球口の手前（案内面の終端）に到達するまでの間に偏倚前の進路に戻ることを抑制できる。即ち、偏倚された状態のままで遊技球を側面５２６Ｌ，５２６Ｒから入球口へ送球しやすくできる。
【０２４７】
また、上述したように、側面５２６Ｌ，５２６Ｒには、羽部材５２０Ｌ，５２０Ｒの先端側から基端側まで連続する第１領域が形成され、第１領域を案内される遊技球には非当接となる大きさで膨出部５２４Ｌ，５２４Ｒが形成されるので、側面５２６Ｌ，５２６Ｒに進入した遊技球が第１領域を転動する場合には、その遊技球の転動速度が低下することを回避でき、第２入賞口１４０へスムーズに入球させることができる。
【０２４８】
この場合、一対の羽部材５２０Ｌ，５２０Ｒのうちの一方の羽部材（羽部材５２０Ｌ，５２０Ｒのどちらか一方）における側面５２６Ｌ，５２６Ｒの第１領域と他方の羽部材（羽部材５２０Ｌ，５２０Ｒのどちらか他方）における側面５２６Ｌ，５２６Ｒの第１領域とが、側面５２６Ｌ，５２６Ｒに沿って遊技球が案内される方向と直交する方向に位置を異ならせて配置されるので、一方の羽部材（羽部材５２０Ｌ，５２０Ｒのどちらか一方）における側面５２６Ｌ，５２６Ｒの第１領域および他方の羽部材（羽部材５２０Ｌ，５２０Ｒのどちらか他方）における側面５２６Ｌ，５２６Ｒの第１領域をそれぞれ遊技球が同時に案内（転動）される場合でも、それら各遊技球を、互いに異なる方向へ偏倚させておくことができ、第２入賞口１４０へスムーズに入球させることができる。
【０２４９】
次に、図２６（ａ）及び図２６（ｂ）に示すように、左右の羽部材５２０Ｌ，５２０Ｒのどちらか一方に遊技球が送球された場合には、他方の左右の羽部材５２０Ｌ，５２０Ｒの膨出部５２４Ｌまたは膨出部５２４Ｒに遊技球を当接させることで、遊技球が他方の左右の羽部材５２０Ｌ，５２０Ｒの側面５２６Ｌ，５２６Ｒを転動してその先端から落下することを抑制できる。
【０２５０】
詳しく説明すると、上述したように、左羽部材５２０Ｌの膨出部５２４Ｌは、正面側の端面に連結して形成される。よって、左羽部材５２０Ｌの側面５２６Ｌを転動する遊技球は、膨出部５２４Ｌに接触しながら側面５２６Ｌを転動することで、背面側に転動される。これにより、左羽部材５２０Ｌの側面５２６Ｌを転動する遊技球を右羽部材５２０Ｒに形成される膨出部５２４Ｒ側に寄せることができる。
【０２５１】
言い変えると、左右の羽部材５２０Ｌ，５２０Ｒに形成される膨出部５２４Ｌ，５２４Ｒは、前後方向に異なる位置に形成されるので、左羽部材５２０Ｌまたは右羽部材５２０Ｒのどちらか一方を第２入賞口側に転動する遊技球を左羽部材５２０Ｌまたは右羽部材５２０Ｒのどちらか他方に形成される膨出部５２４Ｌ，５２４Ｒと前後方向に一致する位置に転動させる（寄せる）ことができる。
【０２５２】
よって、左羽部材５２０Ｌの側面５２６Ｌを遊技球が転動する場合は、遊技球を背面側に転動させて（寄せて）、右羽部材５２０Ｒの膨出部５２４Ｒと前後方向に略一致する位置とさせることができる。一方、右羽部材５２０Ｒの側面５２６Ｒを遊技球が転動する場合は、遊技球を正面側に転動させて（寄せて）、左羽部材５２０Ｌの膨出部５２４Ｌと前後方向に略一致する位置とさせることができる。
【０２５３】
これにより、側面５２６Ｌまたは側面５２６Ｒのどちらか一方を転動する遊技球の転動速度が速い場合に、遊技球が他方の左羽部材５２０Ｌまたは右羽部材５２０Ｒの側面５２６Ｌ，５２６Ｒに乗り上げることを抑制できる。
【０２５４】
ここで、従来の入賞口ユニット５００は、第１電動役物５２０の側面５２６Ｌ，５２６Ｒが平滑な面に形成されるので、第１電動役物５２０のうち一方から送球された遊技球が他方の羽部材５２０Ｌ，５２０Ｒに乗り上げて、他方の羽部材５２０Ｌ，５２０Ｒの先端から流下領域に送球されてしまうという問題点があった。
【０２５５】
これに対し、本実施形態では、第１電動役物５２０にぞれぞれ前後方向に異なる位置に膨出部５２４Ｌ，５２４Ｒが形成されるので、一方の羽部材から転動される遊技球を他方の羽部材に形成される膨出部５２４Ｌ，５２４Ｒと前後方向に略一致する位置に転動させることができる。よって、一方の羽部材５２０Ｌ，５２０Ｒを転動する遊技球を他方の羽部材５２０Ｌ，５２０Ｒの膨出部５２４Ｌ，５２４Ｒに衝突させることで、遊技球が他方の羽部材５２０Ｌ，５２０Ｒの側面５２６Ｌ，５２６Ｒに乗り上げて羽部材５２０Ｌ，５２０Ｒの先端から遊技領域に送球されることを抑制できる。
【０２５６】
次いで、図２７及び図２８を参照して、凹設部５２５Ｌ及び係合部５１１ｂ２について説明する。図２７（ａ）は、入賞口ユニット５００の上面図であり、図２７（ｂ）は、図２７（ａ）のＸＸＶＩＩｂ−ＸＸＶＩＩｂ線における入賞口ユニット５００の断面図である。図２８（ａ）及び図２８（ｂ）は、図２７（ｂ）の範囲ＸＸＶＩＩＩにおける入賞口ユニット５００の部分拡大断面図である。なお、図２８（ａ）では、第１電動役物５２０が第１状態とされ、図２８（ｂ）では、第１電動役物５２０が第２状態とされた状態がそれぞれ図示される。
【０２５７】
図２７及び図２８に示すように、正面ベース５１１の第２突出部５１１ｂに形成される係合部５１１ｂ２は、それぞれ左右の羽部材５２０Ｌ，５２０Ｒの凹設部５２５Ｌ，５２５Ｒの内側に配置される。
【０２５８】
また、第１状態では、係合部５１１ｂ２と凹設部５２５Ｌ，５２５Ｒの膨出部５２４Ｌ，５２４Ｒ（側面５２６Ｌ，５２６Ｒ）側の端部とが当接された状態（図２８（ａ）参照）とされ、第２状態では、係合部５１１ｂ２と凹設部５２５Ｌ，５２５Ｒの膨出部５２４Ｌ，５２４Ｒ（側面５２６Ｌ，５２６Ｒ）側と反対側の端部とが当接された状態とされる。
【０２５９】
即ち、第１電動役物５２０が第１状態から第２状態または、第２状態から第１状態に変位する際に、係合部５１１ｂ２が、凹設部５２５Ｌ，５２５Ｒの端部と当接されることで、その変位量を規制できる。
【０２６０】
さらに、第１状態では、貫通孔５２１Ｌ，５２１Ｒの軸周りに作用する回転力が、その自重により、羽部材５２０Ｌ，５２０Ｒの貫通孔５２１Ｌ，５２１Ｒから遠方の角部が第２入賞口１４０側に回転する方向とされる。よって、係合部５１１ｂ２と凹設部５２５Ｌ，５２５Ｒの膨出部５２４Ｌ，５２４Ｒ（側面５２６Ｌ，５２６Ｒ）側の端部とが当接されることで、羽部材５２０Ｌ，５２０Ｒが自重で回転することを抑制できると共に、羽部材５２０Ｌ，５２０Ｒを第１状態で保持できる。
【０２６１】
また、第１状態では、係合部５１１ｂ２に凹設部５２５Ｌ，５２５Ｒの膨出部５２４Ｌ，５２４Ｒ（側面５２６Ｌ，５２６Ｒ）側の端部を当接させるので、羽部材５２０Ｌ，５２０Ｒの膨出部５２４Ｌ，５２４Ｒの側面を係合部５１１ｂ２に当接させることができる。よって、膨出部５２４Ｌ，５２４Ｒが形成される分、当接部分の剛性を高くすることができるので、羽部材５２０Ｌ，５２０Ｒが、係合部５１１ｂ２と当接することで破損することを抑制できる。
【０２６２】
即ち、本実施形態では、羽部材５２０Ｌ、５２０Ｒを回転可能に軸支するベース部材５１０を備え、そのベース部材５１０は、羽部材５２０Ｌ、５２０Ｒに当接することでその羽部材５２０Ｌ、５２０Ｒの回転を規制する係合部５１１ｂ２を備え、そのベース部材５１０の係合部５１１ｂ２に羽部材５２０Ｌ、５２０Ｒの膨出部５２４Ｌ，５２４Ｒが当接されるので、羽部材５２０Ｌ、５２０Ｒの破損を抑制できる。即ち、膨出部５２４Ｌ，５２４Ｒは、羽部材５２０Ｌ、５２０Ｒ（側面５２６Ｌ，５２６Ｒ）から突設される部位であるので、羽部材５２０Ｌ、５２０Ｒの比較的剛性が高くされる部分を、ベース部材５１０の係合部５１１ｂ２に当接させるストッパとして利用できるので、その分、羽部材５２０Ｌ、５２０Ｒの破損を抑制できる。
【０２６３】
さらに、膨出部５２４Ｌ，５２４Ｒは、その側面が羽部材５２０Ｌ，５２０Ｒの基端側の側面に略面一に形成され、閉鎖状態において、羽部材５２０Ｌ，５２０Ｒの基端側の側面に略面一に形成される膨出部５２４Ｌ，５２４Ｒの側面が少なくともベース部材５１０の係合部５１１ｂ２に当接されるので、回転軸（貫通孔５２１Ｌ，５２１Ｒ）からの距離が遠い部位（膨出部５２４Ｌ，５２４Ｒの側面）をベース部材５１０の係合部５１１ｂ２に当接させることができる分、係合部５１１ｂ２から羽部材５２０Ｌ，５２０Ｒへ入力される反力を小さくできえる。よって、羽部材５２０Ｌ，５２０Ｒの破損を抑制できる。また、例えば、膨出部５２４Ｌ，５２４Ｒの突設先端面をベース部材５１０の係合部５１１ｂ２に当接させる場合と比較して、ベース部材５１０の係合部５１１ｂ２を第２入賞口１４０から離間させることができ、第２入賞口１４０への流路となるスペースを確保できる。なお、ベース部材５１０の係合部５１１ｂ２に、膨出部５２４Ｌ，５２４Ｒの側面に加え、羽部材５２０Ｌ，５２０Ｒの基端側の側面も当接されるものであっても良い。この場合には、面圧を低減して、羽部材５２０Ｌ，５２０Ｒの破損をより抑制できる。
【０２６４】
羽部材５２０Ｌ，５２０Ｒが閉鎖した状態では、膨出部５２４Ｌ，５２４Ｒが正面ベース５１１に形成される立設部５１１ｂ１よりも下方（図２８（ａ）下方）に配置される。言い変えると、立設部５１１ｂ１は、膨出部５２４Ｌ，５２４Ｒの対向間に配置される。
【０２６５】
ここで、一対の羽部材５２０Ｌ，５２０Ｒは、遊技球を挟み込まないように、閉鎖状態における側面５２６Ｌ，５２６Ｒの対向間隔が遊技球の直径よりも大きな対向間隔となる位置に配置される。この場合、側面５２６Ｌ，５２６Ｒから膨出部５２４Ｌ，５２４Ｒを突設すると、膨出部５２４Ｌ，５２４Ｒの間に遊技球を挟み込まないように、膨出部５２４Ｌ，５２４Ｒの突設高さの分だけ一対の羽部材５２０Ｌ，５２０Ｒを更に離間させて配置する必要が生じ、一対の羽部材５２０Ｌ，５２０Ｒの配設に必要なスペースが嵩む。
【０２６６】
これに対し、本実施形態では、閉鎖状態において膨出部５２４Ｌ，５２４Ｒの対向間に位置する立設部５１１ｂ１を備え、一対の羽部材５２０Ｌ，５２０Ｒは、回転軸方向視において、膨出部５２４Ｌ，５２４Ｒが非形成とされる領域での側面５２６Ｌ，５２６Ｒの対向間隔が遊技球の直径よりも大きくされと共に、膨出部５２４Ｌ，５２４Ｒの対向間隔が遊技球の直径よりも小さくされるので、一対の羽部材５２０Ｌ，５２０Ｒの配設に必要なスペースを抑制できる。
【０２６７】
即ち、遊技球が側面５２６Ｌ，５２６Ｒを案内（転動）されている状態で、一対の羽部材５２０Ｌ，５２０Ｒが閉じ始めても（閉鎖状態への移行を開始しても）、膨出部５２４Ｌ，５２４Ｒの対向間に立設部５１１ｂ１が位置することで、遊技球を膨出部５２４Ｌ，５２４Ｒの対向間から排出して、膨出部５２４Ｌ，５２４Ｒの間に遊技球が挟み込まれることを回避できる。立設部５１１ｂ１により膨出部５２４Ｌ，５２４Ｒの対向間から排出された遊技球は、膨出部５２４Ｌ，５２４Ｒが非形成とされる領域での側面５２６Ｌ，５２６Ｒの対向間に位置されるところ、かかる位置での対向間隔は、遊技球の直径よりも大きくされるので、遊技球が挟み込まれることはない（図２７（ａ）参照）。その結果、膨出部５２４Ｌ，５２４Ｒの対向間隔を遊技球の直径よりも小さくできる。これにより、一対の羽部材５２０Ｌ，５２０Ｒの配設に必要なスペースを抑制できる。言い換えると、側面５２６Ｌ，５２６Ｒに膨出部５２４Ｌ，５２４Ｒを突設しない従来品の配設に必要なスペースと同等のスペースに一対の羽部材５２０Ｌ，５２０Ｒを配設できる。
【０２６８】
一方、第２状態では、貫通孔５２１Ｌ５２１Ｒの軸周りに作用する回転力が、その自重により、羽部材５２０Ｌ，５２０Ｒの貫通孔５２１Ｌ，５２１Ｒから遠方の角部が重力方向下側に回転する方向とされる。よって、係合部５１１ｂ２と凹設部５２５Ｌ，５２５Ｒの膨出部５２４Ｌ，５２４Ｒ（側面５２６Ｌ，５２６Ｒ）側と反対側の端部とが当接されることで、羽部材５２０Ｌ，５２０Ｒが自重で回転することを抑制できると共に、羽部材５２０Ｌ，５２０Ｒを第２状態で保持できる。
【０２６９】
よって、羽部材５２０Ｌ，５２０Ｒの変位の規制を上述した駆動部５３３ｄ及び突起５２３Ｌ，５２３Ｒ以外の箇所で行うことができるので、駆動部５３３ｄ及び突起５２３Ｌ，５２３Ｒが破損することを抑制できる。よって、回転部材５３３の剛性を高くするために部品を大きく形成する必要がない分、回転部材５３３を小型化することができる。その結果、駆動ユニット５３０を小型化することができる。
【０２７０】
また、開放状態においては、立設部５１１ｂ１の上面が、側面５２６Ｌ，５２６Ｒの下端よりも重力方向下方に位置すると共に第２入賞口１４０の下端よりも重力方向上方に位置するので、側面５２６Ｌ，５２６Ｒに案内された遊技球を、立設部５１１ｂ１の上面に送球できると共に、立設部５１１ｂ１の上面を転動させることで、第２入賞口１４０へ入球させることができる（図２８（ｂ）参照）。
【０２７１】
さらに、上述したように第２突出部５１１ｂには、羽部材５２０Ｌ，５２０Ｒ側（第２入賞口１４０側）に光を照射するＬＥＤを備える基盤部材５１１ｆが配置される。図２８（ａ）に示すように、第１状態では、凹設部５２５Ｌ，５２５Ｒが重力方向下側に位置される。よって、基盤部材５１１ｆのＬＥＤから照射された光を羽部材５２０Ｌ，５２０Ｒの内部に入射させやすくできる。
【０２７２】
即ち、凹設部５２５Ｌ，５２５Ｒの凹設部分にＬＥＤの光を照射することで、羽部材５２０Ｌ，５２０Ｒの外面にＬＥＤの光が反射されることを抑制できる。その結果、羽部材５２０Ｌ，５２０Ｒの内部に光を入射させやすくできる。よって、羽部材５２０Ｌ，５２０Ｒの内部から遊技者側に出射される光の量を増やすことができる。その結果、透明材量から形成される正面ベース５１１を介した状態においても、羽部材５２０Ｌ，５２０Ｒを遊技者に視認させやすくできる。
【０２７３】
また、羽部材５２０Ｌ，５２０Ｒが、図２８（ｂ）に示す第２状態とされる際には、凹設部５２５Ｌ，５２５Ｒが、貫通孔５２１Ｌ，５２１Ｒの上下方向において略同一の位置とされる。よって、第２入賞口１４０の正面側に送球された遊技球を基盤部材５１１ｆのＬＥＤにより照射させやすくできる。
【０２７４】
即ち、凹設部５２５Ｌ，５２５Ｒの凹設部分が、貫通孔５２１Ｌ，５２１Ｒの上下方向において略同一の位置とされることで、第１電動役物５２０の対向間における隙間を大きくすることができる。よって、第２入賞口の正面側に送球された遊技球を基盤部材５１１ｆのＬＥＤにより照射させやすくできる。その結果、透明材料から形成される正面ベース５１１を介した状態であっても、第２入賞口１４０に入球される遊技球を遊技者が視認しやすくできる。
【０２７５】
次いで、図２９を参照して、入賞口ユニット５００の遊技盤１３への配設態様について説明する。図２９は、図２の範囲ＸＸＩＸにおける遊技盤１３の部分拡大図である。
【０２７６】
図２９に示すように、入賞口ユニット５００は、内レール７６の内縁と所定の隙間を隔てて配設される。
【０２７７】
内レール７６の下端部分の内側には、従来遊技領域を流下する遊技球を回収する第１アウト口７１が形成される。そのため、内レール７６の下端部分は、遊技球を集まり易くするために、内レール７６の全体における曲率よりも大きい曲率で湾曲形成される湾曲部７６ａが形成される。
【０２７８】
よって、入賞口ユニット５００と内レール７６とは、内リールの下端部分（湾曲部７６ａが形成される部分）において隙間が大きくされる。上述したように、入賞口ユニット５００の正面ベース５１１と背面ベース５１２との締結は、正面ベース５１１の下方から凹設部５１１ｂ３に斜めにドライバー等を差し込むことで行われる。
【０２７９】
貫通孔５１１ｂ４は、正面ベース５１１の左右方向略中央位置に形成される第２突出部５１１ｂに形成される。よって、貫通孔５１１ｂ４を湾曲部７６ａの上方（図２９上方）に位置させることができる。従って、正面ベース５１１の下方から凹設部５１１ｂ３に斜めにドライバー等を差し込む際に、湾曲部７６ａにより形成される入賞口ユニット５００との隙間を利用できるので、遊技盤１３の正面側から正面ベース５１１を背面ベース５１２から着脱しやすくできる。
【０２８０】
また、凹設部５１１ｂ３の内部を内レール７６により遊技者から視認しにくくできるので、遊技者が正面ベース５１１と背面ベース５１２とを締結するねじ等を視認することで、遊技者の興趣が低下することを抑制できる。
【０２８１】
次いで図３０から図３６を参照して、装飾図柄表示装置８００について説明する。
【０２８２】
初めに、図３０から図３３を参照して、装飾図柄表示装置８００の構成について説明する。図３０（ａ）は、装飾図柄表示装置８００の正面図であり、図３０（ｂ）は、図３０（ａ）のＸＸＸｂ−ＸＸＸｂ線における装飾図柄表示装置８００の断面図である。図３１は、装飾図柄表示装置８００の分解斜視正面図であり、図３２は、装飾図柄表示装置８００の分解斜視背面図である。図３３（ａ）は、内リール８１１を展開した正面図であり、図３３（ｂ）は、外リール８２１を展開した正面図である。
【０２８３】
図３０から図３３に示すように、装飾図柄表示装置８００は、回転可能に構成される内リールユニット８１０と、その内リールユニット８１０の一部を収容する外リールユニット８２０と、内リールユニット８１０及び外リールユニット８２０を内部に収容する収容ユニット８８０と、その収容ユニット８８０に取着され、内リールユニット８１０を回転駆動させる駆動モータＫＭ１と、収容ユニット８８０に取着され、外リールユニット８２０を回転駆動させる駆動モータＫＭ２と、内リールユニット８１０の内側に配設されるバックライトユニット８３０とを主に備えて形成される。
【０２８４】
内リールユニット８１０は、左右に貫通する略円筒状の内リール８１１と、その内リール８１１の開口の一端側（図３０（ａ）左側）に配設される回転部材８１２と、内リール８１１の開口の他端側（図３０（ａ）右側）に配設される円環部材８１３とを備えて形成される。
【０２８５】
内リール８１１は、透明な樹脂から形成される帯状のシートを周方向に沿って巻くことで形成される。内リール８１１は、図３３（ａ）に示すように、長手方向を縦向きとして、装飾図柄が等間隔に配列される。なお、３つ並設される装飾図柄表示装置８００のそれぞれの内リール８１１は、それぞれ装飾図柄の配置が異なる態様とされる。
【０２８６】
回転部材８１２は、略円盤状に形成されるハブ８１２ａと、そのハブ８１２ａよりも大径の略円環状に形成されるリム８１２ｂと、ハブ８１２ａの外周面とリム８１２ｂの内周面とを連結するスポーク８１２ｃとを主に備えて形成される。
【０２８７】
ハブ８１２ａとリム８１２ｂは、それぞれの軸が同一の直線状に形成されると共に、軸方向に異なる位置に配置される。よって、スポーク８１２ｃは、ハブ８１２ａの径方向外側に向けて軸方向に傾斜して形成される。
【０２８８】
リム８１２ｂは、その外周面に、内リール８１１の一端側が貼付される部位であり、内リール８１１の内径と略同一の外径に形成される。言い変えると、リム８１２ｂの外周部分における周方向の距離寸法は、展開した内リール８１１の長手方向の寸法と略同一に設定される。よって、内リール８１１をリム８１２ｂの外周面に隙間なく配設（貼付）できる。
【０２８９】
ハブ８１２ａは、内リール８１１の内側に配置される。即ち、ハブ８１２ａとリム８１２ｂとを連結するスポーク８１２ｃは、径方向内側に向かうに従って、内リール８１１の開口の他端（後述する円環部材８１３）側に向かって傾斜して形成される。これにより、ハブ８１２ａを内リール８１１の内側に配置することができる。また、スポーク８１２ｃは、リム８１２ｂからハブ８１２ａに延設される複数の棒状体から形成されており、周方向に隣り合うスポーク８１２ｃとの間に開口する内側開口部８１２ｃ１を備える。
【０２９０】
ハブ８１２ａは、軸方向における位置が、内リール８１１の左右方向中央位置と略同一の位置とされる。これにより、ハブ８１２ａよりも円環部材８１３側のスペースを確保できる。ハブ８１２ａには、内リールユニット８１０に回転の駆動力を付与する駆動モータＫＭ１が連結される。
【０２９１】
駆動モータＫＭ１は、内リール８１１の軸方向における厚み寸法が、内リール８１１の軸方向寸法の略半分とされる。上述したように、ハブ８１２ａは、軸方向における位置が、内リール８１１の左右方向中央位置と略同一の位置とされ、内リール８１１の開口の他端（円環部材８１３）側の内側部分にスペースが形成されるので、駆動モータＫＭ１のほとんどを内リール８１１の内側に配設する事ができる。その結果、内リールユニット８１０及び駆動モータＫＭ１の左右方向（内リール８１１の軸方向）における寸法を小さくすることができる。
【０２９２】
また、駆動モータＫＭ１は、ハブ８１２ａの軸と同軸の直線状に回転軸が配設される。即ち、駆動モータＫＭ１の回転軸に、ハブ８１２ａの軸が連結される。上述したように、ハブ８１２ａの軸とリム８１２ｂの軸とは同一の直線上に配置されるので、駆動モータＫＭ１の回転により、内リール８１１を内リール８１１の軸を中心として回転できる。これにより、内リール８１１に装飾した図柄を、遊技者に上下方向に変位する態様として視認させることができる。
【０２９３】
円環部材８１３は、リム８１２ｂの外径と略同一の外径の円環状に形成される。円環部材８１３は、内リール８１１の開口の他端側（図３０（ａ）右側）の内周面がその外周面に添付される。
【０２９４】
ここで、内リール８１１は、上述したように透明な樹脂のシートから形成されるので、比較的剛性が低い。その為、内リールユニット８１０が回転変位されると、その回転の遠心力や風圧等により変形し、遊技者にその周囲に装飾した図柄を正確に認識させることができなくなる恐れがあった。
【０２９５】
これに対し、本実施形態では、内リール８１１は、一端側に回転部材８１２のリム８１２ｂが連結されると共に、他端側に円環部材８１３が連結されるので、内リールユニット８１０が回転した際に、その遠心力や風圧により変位しにくくなる。その結果、内リールユニット８１０が回転変位した際に、内リール８１１の周囲に装飾した図柄を正確に遊技者に認識させることができる。
【０２９６】
また、内リール８１１をシートから形成することができるので、その分、内リール８１１の荷重を小さくすることができる。従って、内リールユニット８１０を回転駆動させる際に駆動モータＫＭ１にかかる負荷を小さくすることができる。その結果、内リールユニット８１０の回転始動をスムーズにすることができる。
【０２９７】
外リールユニット８２０は、円筒状に形成される外リール８２１と、その外リール８２１よりも、小さい直径の円盤状に形成されるハブ８２３と、外リール８２１の開口の一端側（図３０（ａ）左側）の内周面および外リール８２１の外周面を連結するスポーク８２２とを主に備えて形成される。
【０２９８】
外リール８２１は、内径が内リール８１１の外形よりも大きく形成されると共に、軸方向における幅寸法が内リール８１１の軸方向寸法よりも大きく形成される。また、内リール８１１は、透明な樹脂材料から形成され径方向に所定の厚みを備えて形成される。なお、内リール８１１の外周面には、図柄が装飾されており、その装飾態様についての説明は後述する。
【０２９９】
ハブ８２３は、その軸が外リール８２１と同軸上に配置されると共に、外リール８２１の軸方向略中央位置に配置される。また、ハブ８２３には、外リールユニット８２０に回転の駆動力を付与する駆動モータＫＭ２が連結される。
【０３００】
スポーク８２２は、ハブ８２３の径方向外側に向けて外リール８２１の軸方向に傾斜して形成されており、これにより、スポーク８２２と外リール８２１の開口の一端側（図３０（ａ）左側）との間に空間を形成することができる。また、スポーク８２２は、ハブ８２３から縁部８２４に延設される複数の棒状体から形成されており、周方向に隣り合うスポーク８２２との間に開口する開口部８２２ａを備える。
【０３０１】
駆動モータＫＭ２は、外リール８２１の軸方向における厚み寸法が、外リール８２１の軸方向寸法の略半分とされる。上述したように、ハブ８２３は、軸方向における位置が、外リール８２１の左右方向中央と略同一に位置とされ、外リール８２１の開口の一端（図３０（ａ）左右方向左）側に空間が形成されるので、駆動モータＫＭ２のほとんどを外リール８２１の内側に配設することができる。その結果、外リールユニット８２０及び駆動モータＫＭ２の左右方向（外リール８２１の軸方向）における寸法を小さくできる。
【０３０２】
収容ユニット８８０は、正面側が開口する箱状体に形成されており、その内部に内リールユニット８１０及び外リールユニット８２０を収容できる。収容ユニット８８０は、左右一対の側壁部８８１と、その一対の側壁部８８１の対向間の縁部に配設される上壁部８８２，下壁部８８３及び背面壁部８８４とを主に備えて形成される。
【０３０３】
側壁部８８１は、側面視略矩形の板状体から形成され、上下方向（図３０（ａ）上下方向）において外ドラムの外径よりも大きく形成されると共に、前後方向（図３０（ｂ）左右方向）において外ドラムの外径よりも小さく形成される。
【０３０４】
側壁部８８１には、正面視左側（図３０（ａ）左側）の側壁部８８１の右面（内面）に外リールユニット８２０を駆動する駆動モータＫＭ２が配設され、正面視右側（図３０（ａ）右側）の側壁部８８１の左面（内面）に内リールユニット８１０を駆動する駆動モータＫＭ１が配設される。即ち、内リールユニット８１０及び外リールユニット８２０は、側壁部８８１に対して回転変位される。
【０３０５】
また、側壁部８８１は、正面側の側面に内リール８１１の外周面と対応する湾曲状に膨出する膨出部８８１ａを備える。これにより、後述するバックライトユニット８３０から照射される光がその内リール８１１の左右外側から抜け出ることを抑制できる。
【０３０６】
また、側壁部８８１は、金属材料から形成される。これにより、収容ユニット８８０の剛性を高くすることができる。また、一般的に樹脂材料よりも熱伝導性が高い金属材料から形成されることで、収容ユニット８８０の内部に発生する熱を収容ユニット８８０の外側に排出することができる。その結果、収容ユニット８８０の内部に熱が溜まることで、部品が壊れることを抑制できる。
【０３０７】
上壁部８８２及び下壁部８８３は、収容ユニット８８０の上下の側面を形成する板部材であり、側壁部８８１の上部（図３０（ｂ）上部）の縁部と下部（図３０（ｂ）下部）の縁部とにそれぞれ沿って配設される。
【０３０８】
上壁部８８２及び下壁部の左右方向（図３０（ａ）左右方向）における幅寸法は、外リール８２１の左右方向（軸方向）の幅寸法よりも小さく形成される。これにより、側壁部８８１の対向間における距離寸法を確保でき、その対向間に内リールユニット８１０及び外リールユニット８２０を配置することができる。
【０３０９】
また、上壁部８８２及び下壁部８８３には、外リール８２１の軸に対して径方向に貫通する貫通孔が複数形成される。これにより、収容ユニット８８０の内部と外部との空気の流動性を高めることができる。その結果、収容ユニット８８０の内部に熱が溜まることを抑制でき、収容ユニット８８０の熱で部品が壊れることを抑制できる。
【０３１０】
背面壁部８８４は、収容ユニット８８０の背面側の側面を形成する板部材であり、側壁部８８１の背面側（図３０（ｂ）右側）の縁部沿って配設される。
【０３１１】
背面壁部８８４は、外リール８２１の軸と水平方向（図３０（ｂ）左右方向）に交わる位置に前後方向に貫通する開口８８４ａが形成されると共に、その開口８８４ａが形成される左右両端部に正面側に屈曲して立設される立設部８８４ｂとを備えて形成される。
【０３１２】
開口８８４ａは、左右方向（図３０（ａ）左右方向）の幅寸法が外リール８２１の軸方向の幅寸法よりも大きく形成される。これにより、外リール８２１が、回転動作の慣性力や振動等により前後方向に動作した（揺れ動いた）際に、背面壁部８８４と衝突することを抑制できる。
【０３１３】
即ち、外リール８２１が、回転動作の慣性力や振動等により前後方向に動作下（揺れ動いた）際には、外リール８２１の後方側（図３０（ｂ）右側）の一部を、開口８８４ａの内側に挿入することができる。その結果、外リール８２１が、背面壁部８８４と衝突することを抑制できる。
【０３１４】
また、開口８８４ａにより、収容ユニット８８０の内部と外部とを空気の流動性を高めることができる。その結果、収容ユニット８８０の内部に熱が留まることを抑制でき、収容ユニット８８０の熱で部品が壊れることを抑制できる。
【０３１５】
ここで、背面壁部８８４に外リール８２１の軸方向における幅よりも大きい開口８８４ａを形成すると、その開口８８４ａの左右両隣の背面壁部８８４の剛性が低くなる。そのために、背面壁部８８４が曲がる恐れがあった。
【０３１６】
また、この場合に、側壁部８８１の対向間を大きくすることで、開口８８４ａの左右両隣の背面壁部８８４の剛性を高くすることも考えられるが、対向間を大きくすることで、装飾図柄表示装置８００のユニットそのものが大きくなるという問題点があった。
【０３１７】
これに対し、本実施形態では、開口８８４ａが形成される位置の背面壁部８８４の左右両隣に立設部８８４ｂが形成される。これにより、背面壁部８８４の剛性を高くすることができる。その結果、背面壁部８８４が曲がることを抑制できる。
【０３１８】
また、本実施形態では、背面壁部８８４は、金属材料から形成され、開口８８４ａの左右両端部から背面壁部８８４の左右両端部までの距離寸法が十分に小さくされる。よって、背面壁部８８４の左右両端を形成する際の塑性変形の変形率を大きくできる。その結果、剛性を高くすることができる。
【０３１９】
バックライトユニット８３０は、内リール８１１の図柄を遊技者に認識させ易くするために、内リール８１１の内側から光を発光するユニットであり、内リール８１１の正面内側に配置される。
【０３２０】
バックライトユニット８３０は、側面視円弧状に形成され、その円弧の軸が内リール８１１の軸と同軸上に配置される。また、バックライトユニット８３０の軸方向における幅寸法は、内リール８１１の軸方向の幅寸法と略同一に設定される。
【０３２１】
また、内リール８１１側のバックライトユニット８３０の周方向の長さ寸法Ｌ４は、後述する内リール８１１に装飾される図柄の３つ分の長さに形成される。
【０３２２】
さらに、バックライトユニット８３０は、外周面に径方向内側に凹設される凹部８３１が周方向に３つ並設される。よって、各凹部８３１の間には、それぞれバックライトユニット８３０の径方向外側に立設される仕切板８３２が形成される。
【０３２３】
各凹部８３１の径方向内側の側面には、光を照射するＬＥＤを備える基盤部材８３３が配設され、そのＬＥＤによりバックライトユニット８３０の径方向外側に向かって光を照射することができる。
【０３２４】
各基盤部材８３３には、それぞれ独立して電力を供給可能とされ、内リール８１１を部分的に発光可能とされる。この場合、各基盤部材８３３は、それぞれ４方が囲まれた領域（凹部８３１）に配設されるので、基盤部材８３３のＬＥＤから照射した光が、他の基盤部材８３３の前面の領域に入射することを抑制できる。よって、内リール８１１を部分的に発光させやすくできる。
【０３２５】
次いで、図３３を参照して、内リール８１１及び外リール８２１に装飾される図柄について説明する。図３３（ａ）は、内リール８１１を展開した正面図であり、図３３（ｂ）は、外リール８２１を展開した正面図である。
【０３２６】
図３３（ａ）に示すように、内リール８１１には、周方向（図３３では上下方向）に複数の図柄が等間隔で描かれる。なお、１の図柄の周方向における寸法Ｌ５は、上述したように、バックライトユニット８３０の周方向の長さ寸法Ｌ４の３分の１の長さに設定される（Ｌ５×３＝Ｌ４）。
【０３２７】
また、内リール８１１は、全体的に光を透過することのできる素材で形成される。特に、図柄の部分（例えば「７」の表示）は、その周りの余白部分よりも光の透過率が高くされる。よって、内リール８１１の内側に配置されるバックライトユニット８３０のＬＥＤから光を照射することで、ＬＥＤの光が内リール８１１を透過して、図柄の部分を浮かび上がらせることができる。従って、バックライトユニット８３０のＬＥＤを発光状態としておけば、外側の光（店舗内の光やパチンコ機１０に配置する他のＬＥＤの光）が内リール８１１に照射されなくても内リール８１１の図柄を遊技者に視認させることができる。
【０３２８】
なお、本実施形態では、周方向に５種類１０個の図柄が連続して描かれており、後述するセグメント表示装置６００により、遊技者側から最多で３つの図柄を視認可能とされる。上述したように、各装飾図柄表示装置８００には、それぞれ異なる配列の図柄が装飾されており、遊技者に最多で９つの図柄を視認させることができる。
【０３２９】
また、パチンコ機１０は、内リール８１１により３×３個の図柄を表示することで、水平方向へ平行に３本、斜め方向へたすき掛けに２本、計５本の大当たりの有効ラインが設定される。そのいずれかの有効ライン上に「７」図柄が３つ揃うように内リール８１１を停止させることにより、大当たり状態の発生を遊技者に教示することができる。
【０３３０】
図３３（ｂ）に示すように、外リール８２１は、装飾が施されない非装飾面８２１ａと、光を透過させない装飾が施される非透過面８２１ｂとを備える。
【０３３１】
非装飾面８２１ａは、装飾が施されないことで、光を透過可能とされる。即ち、外リール８２１を、透明な材料（本実施形態では、透明な樹脂材料）から形成することで、光を透過可能とする非装飾面８２１ａが形成される。なお、非装飾面８２１ａは、光を透過可能に形成されていれば良く、例えば、光を透過可能な半透明の装飾が施されるものであっても良い。
【０３３２】
装飾図柄表示装置８００は、外リールユニット８２０を回転させて、非装飾面８２１ａを遊技者側に向けることで、外リール８２１の内側に配置した内リール８１１の図柄を遊技者に視認させることができる。即ち、遊技者は、外リール８２１の非装飾面８２１ａを介して内リール８１１の図柄を視認できる。
【０３３３】
非透過面８２１ｂは、外リール８２１の外周面（図３３（ｂ）では紙面手前側）に、黒色の装飾が施されることで、光を非透過とされる。また、非透過面８２１ｂは、その周方向における長さ（図３３（ｂ）では上下方向の長さ）が、内リール８１１に装飾される図柄３つ分以上に形成される。
【０３３４】
上述したように、本実施形態では、遊技者側に内リール８１１の図柄３つ分を表示可能とされる。よって、非透過面８２１ｂの周方向における長さが、内リール８１１に装飾される図柄３つ分以上とされることで、外リールユニット８２０を回転させて外リール８２１の非透過面を遊技者側に配置することで、遊技者側から内リール８１１を視認不能とすることができる。
【０３３５】
なお、非透過面８２１ｂの周方向における長さは、内リール８１１に装飾される図柄３つ分以上に限定されるものではなく、遊技者側から内リール８１１の装飾が視認不能とできる周方向長さが形成されれば良い。即ち、遊技者側から視認可能な内リール８１１の周方向長さ分、非透過面８２１ｂが形成されていれば良い。
【０３３６】
また、非透過面８２１ｂは、部分的に光を透過可能な透過領域８２１ｂ１と、図柄が装飾された図柄８２１ｂ２とを備える。
【０３３７】
透過領域８２１ｂ１は、正面視において左右方向（図３３左右方向）に長い矩形状に形成される。透過領域８２１ｂ１は、後述するセグメント表示装置６００と組み合わされることで、７セグメント表示をする部分であり、内リール８１１を透過する光を部分的に遊技者側に透過できる。これにより、後述する７セグメント表示の一部を形成することができる。
【０３３８】
図柄８２１ｂ２は、内リール８１１に装飾される図柄の３つ分の周方向長さで形成されており、各装飾図柄表示装置８００の各図柄８２１ｂ２を水平方向へ平行に３つ揃うように外リール８２１を停止させることにより、大当たり状態の発生を遊技者に教示することができる。
【０３３９】
また、上述したように、図柄８２１ｂ２の周囲は非透過とされるので、遊技者から内リール８１１を視認不能とできる。よって、図柄８２１ｂ２の図柄が３つ揃う演出をしつつ、内リール８１１の図柄を有効ライン上に停止させることができる。従って、外リール８２１の回転演出により、遊技者に外リール８２１を注視させた後に、外リール８２１の演出が終わるととほぼ同時に内リール８１１を注視させることができる。その結果、遊技者の興趣が損なわれることを抑制できる。
【０３４０】
次いで、図３４から図３６を参照して、内リールユニット８１０と外リールユニット８２０とについて説明する。図３４は、図３０（ａ）のＸＸＸＩＶ−ＸＸＸＩＶ線における装飾図柄表示装置８００の断面図である。図３５は、図３４の範囲ＸＸＸＶにおける装飾図柄表示装置８００の部分拡大図である。図３６（ａ）は、回転部材８１２の部分拡大図であり、図３６（ｂ）は、図３６（ａ）のＸＸＸＶＩｂ−ＸＸＸＶＩｂ線における回転部材８１２の断面図である。
【０３４１】
図３４から図３６に示すように、内リールユニット８１０の内リール８１１と外リールユニット８２０の外リール８２１との対向間には、所定の隙間が形成される。また、内リールユニット８１０のハブ８１２ａと外リールユニット８２０の外リール８２１の開口の一端側（図３４左側）に径方向に向かって突設される縁部８２４との対向間には、所定の隙間が形成される。
【０３４２】
回転部材８１２のハブ８１２ａには、外リールユニット８２０の縁部８２４側に突出する突起８１２ａ１が形成される。突起８１２ａ１は、ハブ８１２ａの周方向に所定の間隔で形成される（本実施形態では、スポーク８１２ｃの延長線上に形成される（図３６参照））。突起８１２ａ１は、ハブ８１２ａの周方向に両側が傾斜する山形に形成される。よって、内リールユニット８１０を回転させることで、突起８１２ａ１により風を発生させることができる。
【０３４３】
ここで、従来より、回転可能に形成される第１リール（外リールユニット８２０）と、その第１リール（外リールユニット８２０）の内側に略同心に配設されると共に回転可能に形成される第２リール（内リールユニット８１０）とを備えた（即ち、二重リール構造を備えた）遊技機が知られている。また、リールの外周面（表示面）に回転ブラシを当接させ、かかる回転部材をリールの回転に従動させることで、リールの表示面に付着する埃を除去して掃除する技術も知られている。
【０３４４】
しかしながら、二重リール構造では、掃除が困難であるという問題点があった。即ち、二重リール構造では、外側のリール（第１リール（外リールユニット８２０））と内側のリール（第２リール（内リールユニット８１０））との間に上述した回転ブラシを配設するスペースが確保できないため、外側のリールの内周面および内側のリール（第２リール）の外周面を掃除することができない。
【０３４５】
即ち、内リール８１１の外周面と外リール８２１の内周面との対向間は、狭く形成されるので、その対向間に侵入して張り付いた埃（ゴミ）を取り除くには、装飾図柄表示装置８００を分解する必要があるため、清掃することが難しい。
【０３４６】
これに対し、本実施形態では、突起８１２ａ１により、内リールユニット８１０を回転させた際に、空気を押し出して風を発生させることができる。押し出された空気（風）は、対向する外リール８２１の縁部８２４に衝突することで、内リール８１１の外周面と外リール８２１の内周面との対向間に流入される。
【０３４７】
この場合、内リール８１１の外周面と外リール８２１の内周面との対向間の空間の方が、縁部８２４及びハブ８１２ａの内周側の空間よりも狭くされるので、空気が縁部８２４及びハブ８１２ａの内周側の空間から内リール８１１の外周面と外リール８２１の内周面との対向間の空間に流れるようにできる。これにより、内リール８１１の外周面または外リール８２１の内周面に張り付いた埃（ゴミ）及び張り付こうとする埃を吹き飛ばすことができる。その結果、内リール８１１の外周面または外リール８２１の内周面に埃が張り付くことを抑制できる。
【０３４８】
即ち、本実施形態では、外リールユニット８２０が、円筒状に形成される外リール８２１と、その外リール８２１の軸方向一側から径方向内側へ張り出す縁部８２４とを備え、内リールユニット８１０が、円筒状に形成されると共にその外面が外リール８２１の内面に所定間隔を隔てて対面される内リール８１１と、その内リール８１１の軸方向一側から径方向内側へ張り出すと共にその外面が縁部８２４の内面に所定間隔を隔てて対面されるハブ８１２ａとを備え、ハブ８１２ａの外面から縁部８２４の内面へ向けて突起８１２ａ１が立設されるので、縁部８２４の内面とハブ８１２ａの外面との間を突起８１２ａ１が周方向へ変位されることで風圧を発生させ、かかる風圧を利用して、外リール８２１の内面と内リール８１１の外面との間の空気を流動させることができる。これにより、空気の流動により埃を除去することができ、外リール８２１の内面および第２外周面の外面を掃除することができる。
【０３４９】
ここで、縁部８２４またはハブ８１２ａの少なくとも一方に開口が形成されている場合や周方向の一部が部分的に分断されていると、縁部８２４の内面とハブ８１２ａの外面との間を突起８１２ａ１が周方向へ変位されることで発生した風圧が、開口部分や分断部分から逃げるため、風圧が弱まり、その分、外リール８２１の内面と内リール８１１の外面との間の空気を流動させ難くなる。
【０３５０】
これに対し、本実施形態では、縁部８２４およびハブ８１２ａが軸方向視円環状に形成され周方向に連続する面を有して形成されるので、縁部８２４の内面とハブ８１２ａの外面との間を突起８１２ａ１が周方向へ変位されることで発生する風圧を高めることができる。よって、その分、外リール８２１の内面と内リール８１１の外面との間の空気を流動させやすくできる。その結果、縁部８２４の内面とハブ８１２ａの外面との間を突起８１２ａ１が周方向へ変位されることで発生する風圧を利用して、外リール８２１の内面と内リール８１１の外面との間の空気を流動させやすくできる。
【０３５１】
また、突起８１２ａ１により、内リールユニット８１０のハブ８１２ａと外リールユニット８２０の縁部８２４との対向間は、内リール８１１の周方向において部分的に対向間が狭くされる。従って、突起８１２ａ１により内リールユニット８１０のハブ８１２ａと外リールユニット８２０の縁部８２４との対向間における大気圧を変化させやすくできる。よって、大気圧の変化を利用して風を発生させやすくすることができ、その風を内リール８１１の外周面と外リール８２１の内周面との対向間に流入させて、内リール８１１の外周面または外リール８２１の内周面に張り付いた埃（ゴミ）及び張り付こうとする埃を吹き飛ばすことができる。その結果、内リール８１１の外周面または外リール８２１の内周面に埃が張り付くことを抑制できる。
【０３５２】
詳しく説明すると、空気は高い気圧から低い気圧側に流れる性質があり、突起８１２ａ１の突出先端と外リールユニット８２０の縁部８２４との対向間が狭くされることで、部分的に気圧を高くすることができる。従って、気圧の変化が発生しにくい内リール８１１の外周面および外リール８２１の内周面の対向間の空間の気圧が、突起８１２ａ１の突出先端と外リールユニット８２０の縁部８２４との対向間の気圧よりも低くされる。その結果、内リール８１１の外周面および外リール８２１の内周面の対向間の空間に空気を送りやすくでき、内リール８１１の外周面または外リール８２１の内周面に埃が張り付くことを抑制できる。
【０３５３】
さらに、突起８１２ａ１の突出先端と縁部８２４との対向間の大気圧を高めることができるので、突起８１２ａ１が縁部８２４側に又は、縁部８２４が突起８１２ａ１側に変位する（ぐらつく）ことを抑制できる。
【０３５４】
また、縁部８２４を支持するスポーク８２２及びハブ８１２ａを支持するスポーク８１２ｃに外側開口部８２５及び内側開口部８１２ｃ１が開口形成されるので、その外側開口部８２５及び内側開口部８１２ｃ１を介して、縁部８２４の内面とハブ８１２ａの外面との間の空気を外部へ排気する（又は、縁部８２４の内面とハブ８１２ａの外面との間へ外部から空気を吸気する）ことができる。即ち、空気の流動抵抗を低減して、その分、縁部８２４の内面とハブ８１２ａの外面との間の空気を流動（流出または流入）させやすくできる。その結果、縁部８２４の内面とハブ８１２ａの外面との間を立設部が周方向へ変位されることで発生する風圧を利用して、外リール８２１の内面と内リール８１１の外面との間の空気を流動させやすくできる。
【０３５５】
さらに、内リールユニット８１０（又は外リールユニット８２０）のハブ８１２ａ（股は縁部８２４）に突起８１２ａ１が立設され、外リールユニット８２０（又は内リールユニット８１０）のスポーク８２２（又はスポーク８１２ｃ）に外側開口部８２５（又は内側開口部８１２ｃ１）が少なくとも形成されるので、外側開口部８２５を介して空気を吸気（又は排気）することによる流動抵抗の低減効果を発揮しやすくできる。即ち、外リールユニット８２０及び内リールユニット８１０のうちの突起８１２ａ１が立設される一方を回転させる際に、外側開口部８２５又は内側開口部８１２ｃ１が開口形成される他方を停止させておくことで、外側開口部８２５又は内側開口部８１２ｃ１を介した空気の流動（排気または吸気）の抵抗を低減できる。
【０３５６】
外リール８２１は、スポーク８２２が連結される縁部８２４（一端）側から他端側に向かって、少し径方向外側に傾斜して（拡径して）形成される。よって、内リール８１１の外周面および外リール８２１の内周面の対向間に一端側から流入した空気を他端側に送りやすくできる。その結果、内リール８１１の外周面および外リール８２１の内周面の対向間を流れる空気の流れが停止されることを抑制でき、内リール８１１の外周面または外リール８２１の内周面に埃が張り付くことを抑制できる。
【０３５７】
さらに、スポーク８１２ｃの内リール８１１の軸から径方向外側への傾斜角θ１は、スポーク８２２の外リール８２１の軸から径方向外側への傾斜角θ２よりも大きくされる（θ１＞θ２）。よって、スポーク８１２ｃとスポーク８２２とは、軸方向（図３４左右方向）に重なる位置（例えば、図３４に示す位置）に回転変位した際に、径方向（図３４上下方向）外側に向かって対向間における寸法が大きくされる。
【０３５８】
従って、内リールユニット８１０及び外リールユニット８２０のうちどちらか一方または両方を回転変位させることで、スポーク８１２ｃとスポーク８２２との対向間の距離の差により、内リール８１１の外周面と外リール８２１の内周面との対向間に向かう風を発生させやすくできる。
【０３５９】
詳しく説明すると、内リール８１１及び外リール８２１の径方向外側に向かって、スポーク８１２ｃとスポーク８２２との対向間における離間距離が大きくされる。よって、スポーク８１２ｃとスポーク８２２とが軸方向に重なる位置に回転変位した際には、内リール８１１及び外リール８２１の径方向内側部分のスポーク８１２ｃとスポーク８２２との対向間の方が大気圧が高くされる。
【０３６０】
上述したように、空気は高い気圧から低い気圧側に流れる性質がある。従って、径方向内側部分から、径方向外側部分に向かう空気の流れを形成することができる。即ち、内リール８１１及び外リール８２１の軸側からハブ８１２ａと縁部８２４との対向間側に向かう空気の流れを形成できる。従って、内リール８１１の外周面と外リール８２１の内周面との対向間の空間に空気を送りやくすできる。その結果、内リール８１１の外周面または外リール８２１の内周面に埃が張り付くことを抑制できる。
【０３６１】
また、外リールユニット８２０の外リール８２１の少なくとも一部が光透過性を有して形成されると共に、内リールユニット８１０の内リール８１１に複数の図柄が周方向に沿って配列されるので、外リールユニット８２０を介して内リールユニット８１０の回転に伴う図柄の変動を遊技者に視認させることができる。この場合、内リールユニット８１０のハブ８１２ａに突起８１２ａ１が立設される、即ち、外リールユニット８２０よりも回転回数が多くされる内リールユニット８１０のハブ８１２ａに突起８１２ａ１が立設されるので、外リールユニット８２０又は内リールユニット８１０の回転による演出において、外リール８２１の内面および内リール８１１の外面を掃除する機会を増加させることができる。即ち、２重リール構造において、掃除をしやすくできる。
【０３６２】
なお、内リールユニット８１０を回転させることで、内リール８１１の外周面および外リール８２１の内周面を清掃するタイミングとしては、遊技者の操作がなく（遊技球が遊技領域に打出されず）、パチンコ機１０が待機状態とされる際に行うことが好ましい。この場合、風を発生させるために、内リールユニット８１０を高速で回転されるので、内リール８１１の図柄の切り替わりにより遊技者の興趣を引き付けることができる。
【０３６３】
また、外リール８２１の非透過面８２１ｂを遊技者側に回転変位させる演出を行っている間に内リール８１１の外周面および外リール８２１の内周面を清掃してもよい。この場合、遊技者から内リール８１１が不可視とされるので、清掃状態を遊技者に視認させず清掃を行うことができる。その結果、遊技者の興趣が低下することを抑制できる。また、遊技状態の際に行うことができるので、遊技が所定時間継続して行われる場合にも、内リール８１１の外周面および外リール８２１の内周面を清掃をすることができる。従って、遊技中に内リール８１１の外周面および外リール８２１の内周面に埃等のゴミが溜まることを抑制できる。
【０３６４】
次いで、図３７から図６３を参照して、セグメント表示装置６００について説明する。初めに、図３７及び図３８を参照して、セグメント表示装置６００の構成について説明する。図３７は、セグメント表示装置６００の正面図であり、図３８は、セグメント表示装置６００の分解図である。
【０３６５】
図３７及び図３８に示すように、セグメント表示装置６００は、正面視左側に配設される上下変位ユニット６００Ｌと、正面視右側に配設される上下変位ユニット６００Ｒと、左右の上下変位ユニット６００Ｌ，６００Ｒの間に配置される上下変位ユニット６００Ｃとを水平方向に並設して、背面側から連結部材６０１を締結固定することで形成される。
【０３６６】
なお、各上下変位ユニット６００Ｌ，６００Ｃ，６００Ｒは構成がほぼ同一であるため、以下では、正面視左側に配設される上下変位ユニット６００Ｌのみについて説明することで、上下変位ユニット６００Ｃ，６００Ｒについての詳しい説明は省略する。
【０３６７】
次いで、図３９から図４１を参照して、上下変位ユニット６００Ｌについて説明する。図３９（ａ）は、上下変位ユニット６００Ｌの正面図であり、図３９（ｂ）は、上下変位ユニット６００Ｃの側面図である。図４０は、上下変位ユニット６００Ｌの分解斜視正面図であり、図４１は、上下変位ユニット６００Ｌの分解斜視背面図である。
【０３６８】
なお、図４０及び図４１では、第１セグユニット６１０及び第２セグユニット６２０と変位ユニット６５０とが分解された態様が図示される。
【０３６９】
図３９から図４１に示すように、上下変位ユニット６００Ｌは、変位可能に構成される変位ユニット６５０と、その変位ユニット６５０の左右に配設される第１セグユニット６１０及び第２セグユニット６２０とを備えて配設される。
【０３７０】
なお、第１セグユニット６１０は、左右方向に１本分のセグを表示可能とされるユニットであり、第２セグユニット６２０は、左右方向に２本分のセグを表示可能とされるユニットである。また、第１セグユニット６１０は、第２セグユニット６２０を左右方向に半分にして形成されるのみであるので、以下では、第２セグユニット６２０のみを説明し、第２セグユニット６２０の構成における符号を第１セグユニット６１０に同様に付与する。
【０３７１】
各上下変位ユニット６００Ｌ，６００Ｃ，６００Ｒは、第１セグユニット６１０及び第２セグユニット６２０の配置がそれぞれ異なって形成されており、上下変位ユニット６１０Ｃは、正面視右側のみに第２セグユニット６２０が配設され、上下変位ユニット６１０Ｒは、正面視右側の視に第２セグユニット６２０が配設される。
【０３７２】
よって、上下変位ユニット６００Ｌは、正面視左側に１本分のセグ表示を、正面視右側に２本分のセグ表示をそれぞれすることができる。また、上下変位ユニット６００Ｃは、正面視右側のみに２本分のセグ表示をすることができる。更に、上下変位ユニット６００Ｌは、正面視右側のみに１本分のセグ表示をすることができる。即ち、各上下変位ユニット６００Ｌ，６００Ｃ，６００Ｒの左右両側に１本分のセグが形成される態様とすることができる。
【０３７３】
次いで、図４２から図４４を参照して、第２セグユニット６２０に説明する。図４２（ａ）は、第２セグユニット６２０の正面図であり、図４２（ｂ）は、第２セグユニット６２０の背面図である。図４３は、第２セグユニット６２０の分解斜視正面図であり、図４４は、第２セグユニット６２０の分解斜視背面図である。
【０３７４】
図４２から図４４に示すように、第２セグユニット６２０は、正面側に配設される光透過部材６２１と、その光透過部材６２１の背面に配設される仕切部材６２２と、仕切部材６２２の背面に配設される複数の拡散部材６２３と、複数の拡散部材６２３の間に配設される基盤部材６２４と、その基盤部材６２４の両隣に配設される反射部材６２５とを主に備えて形成される。
【０３７５】
光透過部材６２１は、光が内部を通過可能な半透明の光透過性の樹脂材料から形成される。光透過部材６２１は、正面側に凸となる円弧の板状に形成される光透過部６２１ａと、その光透過部６２１ａの上下に連なって形成される平面部６２１ｂとを主に備えて形成される。
【０３７６】
光透過部６２１ａは、左右の端部から背面側に立設される立設壁６２１ａ１と、上下の端部から背面側に円環状に突出する締結部６２１ａ２と、正面側左右中央位置に上下方向に連続して背面側に凹設される装飾部６２１ａ３とを主に備えて形成される。
【０３７７】
立設壁６２１ａ１は、光透過部６２１ａの左右の端部から背面側に立設して形成される。立設壁６２１ａ１同士の対向間寸法は、後述する仕切部材６２２の左右方向における幅寸法と略同一に設定される。よって、光透過部６２１ａの背面側に仕切部材６２２を配設した際に、仕切部材６２２が、左右に動くことを規制できる。
【０３７８】
締結部６２１ａ２は、後述する反射部材６２５をねじで締結する孔を形成する突起であり、光透過部６２１ａの背面側から円環状に突出形成される。よって、締結部６２１ａ２の内縁部にねじの先端を螺合することで反射部材６２５を締結できる。
【０３７９】
装飾部６２１ａ３は、上述したように光透過部６２１ａの左右中央位置に上下方向に連続して凹設される。これにより、正面視左側を透過する光が装飾部６２１ａ３内部を反射して正面視右側から出射されることを抑制できる。なお、装飾部６２１ａ３を透過する光についての詳しい説明は後述する。
【０３８０】
平面部６２１ｂは、後述する変位ユニット６５０のベース部材６６０と締結するための板部材である。平面部６２１ｂは、ベース部材６６０と略同一の正面視形状の板状体に形成されており、平面部６２１ｂを介してねじを締結することで、変位ユニット６５０と第２セグユニット６２０とを締結することができる。
【０３８１】
また、平面部６２１ｂには、対向する側に突出する弾性片６２１ｂ１が突出形成される。弾性片６２１ｂ１は、上下一対に形成される平面部６２１ｂの対向する側面から突出形成されると共に、正面側に凸となる湾曲状に突出する。また、弾性片６２１ｂ１は、光透過部６２１ａよりも小さい半径の湾曲状に形成され、その突出先端が、変位ユニット６５０の内側に配設される装飾図柄表示装置８００の上壁部８８２又は下壁部８８３に当接する態様とされる。これにより、装飾図柄表示装置８００の内リールユニット８１０及び外リールユニット８２０が回転駆動された際に、装飾図柄表示装置８００が振動することを抑制できる。
【０３８２】
仕切部材６２２は、光を透過しにくい樹脂材料から形成されると共に、側面視において湾曲した板状態に形成される。仕切部材６２２は、湾曲した外周面の半径が、光透過部６２１ａの内周面の半径と略同一に設定され、上下方向（図４２上下方向）の幅が光透過部６２１ａの上下方向の幅よりも小さく設定される。よって、光透過部６２１ａの内周面に仕切部材６２２の外周面を接地した状態で配置することができる。
【０３８３】
また、仕切部材６２２は正面視において、左右（図４２左右）の両端面から中央に向かって凹設される第１凹設部６２２ａと、上下（図４２上下）の端面から中央に向かって凹設される第２凹設部６２２ｂと、背面側の左右中央位置から突出する突設部６２２ｃとを主に備えて形成される。
【０３８４】
第１凹設部６２２ａは、左右の両側に上下方向に２つ並んで形成される。即ち、第１凹設部６２２ａは、仕切部材６２２に４箇所形成される。
【０３８５】
第２凹設部６２２ｂは、上下の両端から凹設して形成される。第２凹設部６２２ｂの凹設先端における対向間の寸法は、光透過部材６２１に形成される締結部６２１ａ２の上下方向の離間距離と略同一に設定される。よって、仕切部材６２２を光透過部材６２１の背面側に配設した際に、第２凹設部６２２ｂの内側に締結部６２１ａ２を挿入することで、仕切部材６２２が上下方向に動くことを抑制できる。
【０３８６】
突設部６２２ｃは、仕切部材６２２の左右中央位置に、上下方向に延設して形成される。また、突設部６２２ｃは、その突設先端面に凹設される凹部６２２ｃ１を備える。凹部６２２ｃ１は、左右方向における幅寸法が、後述する基盤部材６２４の厚み寸法よりも大きく形成される。よって、基盤部材６２４を仕切部材６２２に配設する際には、凹部６２２ｃ１の内側に基盤部材６２４の先端側を挿入できる。その結果、基盤部材６２４を配置する際に、基盤部材６２４を位置決めできると共に、基盤部材６２４が、左右方向に動くことを抑制できる。
【０３８７】
拡散部材６２３は、白濁色の樹脂材料から形成され、内部に侵入する光を拡散することができる。拡散部材６２３は、側面視において湾曲した板状に形成され、その外周部分（正面側）の半径が、仕切部材６２２の内周部分（背面側）の半径と略同一に設定される。よって、拡散部材６２３を仕切部材６２２の背面側に接地した状態で配置できる。
【０３８８】
また、拡散部材６２３は、上下に２つ並んで並設されると共に、左右に所定の距離を離間して２つ配設される。即ち、拡散部材６２３は、仕切部材６２２の背面側に４つ配設される。
【０３８９】
拡散部材６２３の左右方向における幅寸法は、光透過部材６２１の立設壁６２１ａ１と仕切部材６２２の突設部６２２ｃとの対向間寸法と略同一に設定される。これにより、拡散部材６２３を仕切部材６２２の背面側に配設した際に、拡散部材６２３が左右に動くことを抑制できる。
【０３９０】
また、拡散部材６２３は、正面側に突出する突出部６２３ａと、その突出部６２３ａの背面側に凹設される凹設部６２３ｂとを備えて形成される。
【０３９１】
突出部６２３ａは、拡散部材６２３の正面側に配設される仕切部材６２２の第１凹設部６２２ａと対応する位置に突出形成され、第１凹設部６２２ａの内側に挿入された状態で配設される。これにより、拡散部材６２３を仕切部材６２２の背面側に配設した際に、仕切部材６２２が左右および上下方向にずれることを抑制できる。
【０３９２】
また、突出部６２３ａの突出距離は、仕切部材６２２の厚み寸法よりも小さく設定される。即ち、突出部６２３ａの突出先端面と光透過部材６２１の背面との間に所定の隙間を形成した状態で配設される（図４５参照）。
【０３９３】
凹設部６２３ｂは、突出部６２３ａと反対側（拡散部材６２３の背面側）に突出部６２３ａの正面視形状よりもやや小さい形状に凹設して形成される。が形成される。これにより、拡散部材６２３の板の厚みを略一定とすることができ、拡散部材６２３を型成形した際の歪みを抑制できる。また、凹設部６２３ｂは、突出部６２３ａよりもやや小さい形状に形成されることで、突出部６２３ａの端部の背面側の面積を大きくできる。従って、後述するＬＥＤ６２４ａから拡散部材６２３に入射される光を、突出部６２３ａの端部で多くすることができる。その結果、拡散部材６２３を介して遊技者に視認させる光の態様をはっきり（くっきり）させることができ、遊技者の興趣が低下することを抑制できる。
【０３９４】
基盤部材６２４は、正面側が湾曲する三日月形状の板状体から形成され、側面に光を照射するＬＥＤ６２４ａを備える。基盤部材６２４の円弧の半径は、仕切部材６２２に形成される凹部６２２ｃ１の凹設先端面の半径と略同一に設定される。よって、基盤部材６２４を仕切部材６２２の背面へ配設する際には、基盤部材６２４を仕切部材６２２の凹部６２２ｃ１の内側に挿入することで、基盤部材６２４が左右方向に位置ずれすることを抑制できる。
【０３９５】
ＬＥＤ６２４ａは、基盤部材６２４の左右両側面に複数個配設され、その照射方向が、基盤部材６２４の側面に対して垂直とされる。即ち、ＬＥＤ６２４ａの光の照射方向は、左右方向とされる。なお、ＬＥＤ６２４ａの光の照射について詳しい説明は後述する。
【０３９６】
反射部材６２５は、その基盤部材６２４の左右両側に１つずつ配設される。反射部材６２５は、白色の樹脂材料から形成され、正面側に凸の円弧形状に形成される。また、反射部材６２５の円弧の半径は、拡散部材６２３の内周面の半径と略同一に設定される。これにより、反射部材６２５を拡散部材６２３の背面側に配設した際に、反射部材６２５と拡散部材６２３とを接地した状態とできる。
【０３９７】
反射部材６２５は、背面側から正面側に向かって、基盤部材６２４と左右方向に離間する板状体に形成され、その背面側から正面側に向かって傾斜した傾斜部６２５ａと、その傾斜部６２５ａの正面側に上下方向に並んで複数個凹設形成される凹部６２５ｂと、その凹部６２５ｂの上端部，下端部および中間部に正面側に向かって突出形成される壁部６２５ｃとを主に備えて形成される。
【０３９８】
傾斜部６２５ａの正面側は、基盤部材６２４のＬＥＤ６２４ａの光を正面側に反射する反射面６２５ａ１であり、基盤部材６２４の側面に対して略６０度傾斜して形成される。上述したように、ＬＥＤ６２４ａの光の照射方向は、基盤部材６２４の側面に対して垂直とされるので、反射面６２５ａ１が、基盤部材６２４の側面に対して傾斜して形成されることで、ＬＥＤ６２４ａから照射される光を正面側に反射させることができる。なお、ＬＥＤ６２４ａの光の進む態様は後述する。
【０３９９】
凹部６２５ｂは、背面側に凸の湾曲形状に凹設して形成される。また、凹部６２５ｂは、基盤部材６２４のＬＥＤ６２４ａと対応する位置に形成されており、これにより、拡散部材６２３を介して遊技者に視認させるＬＥＤ６２４ａの光の量を均一にできる。その結果、遊技者の興趣が低下することを抑制できる。
【０４００】
次いで、図４５を参照して、第２セグユニット６２０のＬＥＤ６２４ａから照射される光の進行について詳しく説明する。図４５は、図４２（ａ）のＸＬＶ−ＸＬＶ線における第２セグユニット６２０の断面図である。なお、図４５では、ＬＥＤ６２４ａから照射される光の態様が一部が２点鎖線で図示される。また、第２セグユニット６２０の左右の背面側に配設される装飾図柄表示装置８００の外形が２点鎖線で図示される。
【０４０１】
図４５に示すように、反射面６２５ａ１は、基盤部材６２４の側面に対して鈍角に傾斜して形成される（即ち、ＬＥＤ６２４ａから照射された光と反射面６２５ａ１とが鋭角に交わる）ので、光の反射方向を外側にできる。この場合、反射部材６２５は、厚みが略一定の板部材から形成されるので、反射面６２５ａ１の反対側（反射部材６２５の背面側）のスペースを大きくできる。これにより、第２セグユニット６２０の背面側に装飾図柄表示装置８００の端部を配置することができる。
【０４０２】
ここで、回転可能に形成されると共に複数が所定間隔を隔てて並設される回動（装飾図柄表示装置８００）と、それら複数の回胴どうしの間に沿って配設されると共に少なくとも一部が光透過性を有する装飾部材（光透過部材６２１）と、装飾部材の背面側に配設されると共に複数の発光手段（ＬＥＤ６２４ａ）が搭載される基板（基盤部材６２４）とを備え、発光手段が搭載される面を装飾部材の背面に略直交させた姿勢で基板が配設される遊技機が知られている。この遊技機によれば、回胴どうしの間の空間を装飾部材により遊技者から遮蔽できるだけでなく、装飾部材を透過した発光手段の光により装飾部材の表面に図柄を形成（表示）して、かかる装飾部材の図柄を、回胴の外周面に表示される図柄と一体的に遊技者に視認させる演出を行うことができる。
【０４０３】
しかしながら、上述した従来の遊技機では、発光手段が搭載される面を装飾部材の背面に直交させた姿勢で基板が配設されるので、発光手段から発光された光を装飾部材の背面に十分に照射することができず、発光手段の光により形成（表示）される図柄を十分に大きくすることができない。そのため、演出効果が不十分であるという問題点があった。一方、発光手段の光により形成（表示）される図柄は小さいまま、装飾部材（図柄を除く領域）を大きくしたのでは、装飾部材と回胴との一体感が阻害される。
【０４０４】
これに対し、本実施形態によれば、ＬＥＤ６２４ａから発光された光を光透過部材６２１の背面へ反射させる反射部材６２５を備えるので、ＬＥＤ６２４ａが搭載される面を光透過部材６２１の背面に直交させた姿勢が基盤部材６２４が配設される場合であっても、ＬＥＤ６２４ａから発光された光による光透過部材６２１の背面への照射範囲を広くすることができる。よって、その分、ＬＥＤ６２４ａの光により形成（表示）される図柄を大きくでき、演出効果を高めることができる。また、ＬＥＤ６２４ａの光により形成（表示）される図柄を大きくできる分、図柄を除く領域を小さくできるので、光透過部材６２１と装飾図柄表示装置８００との一体感を形成できる。
【０４０５】
また、光透過部材６２１は、図４５に示すように、装飾図柄表示装置８００の外周面よりも正面側に位置すると共に、正面視において、装飾図柄表示装置８００の外周面に重なる位置まで外縁を延出させて形成されるので、装飾図柄表示装置８００の軸方向端面を遊技者から遮蔽しやすく（視認させ難く）できる。また、ＬＥＤ６２４ａから発光された光により形成（表示）される光透過部材６２１の図柄と、装飾図柄表示装置８００の外周面に表示される図柄とをより近接させることができるので、光透過部材６２１と装飾図柄表示装置８００との一体感を形成しやすくできる。
【０４０６】
さらに、反射部材６２５は、基盤部材６２４におけるＬＥＤ６２４ａが搭載される面と光透過部材６２１の背面とを連結することで、基盤部材６２４におけるＬＥＤ６２４ａが搭載される領域と光透過部材６２１における図柄が形成される領域とを取り囲み、反射部材６２５の背面が、光透過部材６２１から基盤部材６２４へ向かうに従って装飾図柄表示装置８００の軸方向端面から離間する方向へ傾斜されるので、ＬＥＤ６２４ａから発光された光により形成（表示）される図柄の大きさを確保しつつ、光透過部材６２１の背面を装飾図柄表示装置８００の外周面に近接させ、且つ、装飾図柄表示装置８００を光透過部材６２１の背面の奥側へ入り込ませる（装飾図柄表示装置８００を基盤部材６２４へ近接させる）ことができる。その結果、装飾図柄表示装置８００の軸方向端面を遊技者から遮蔽しやすく（視認させ難く）できると共に、光透過部材６２１と装飾図柄表示装置８００との一体感を形成しやすくできる。
【０４０７】
また、基盤部材６２４の一側の面および他側の面の両面に前記ＬＥＤ６２４ａが搭載されるので、一側の面に搭載されるＬＥＤ６２４ａから発光される光と、他側の面に搭載されるＬＥＤ６２４ａから発光される光とのそれぞれによって異なる図柄を光透過部材６２１に独立して形成（表示）することができる。
【０４０８】
この場合、並設される装飾図柄表示装置８００どうしの間に配設される基盤部材６２４の枚数を１枚とできる。よって、基盤部材６２４の配設に必要なスペースを抑制できるので、その分、装飾図柄表示装置８００を光透過部材６２１の背面の奥側へ入り込ませる（装飾図柄表示装置８００を基盤部材６２４へ近接させる）ことができる。その結果、装飾図柄表示装置８００の軸方向端面を遊技者から遮蔽しやすく（視認させ難く）できると共に、光透過部材６２１と装飾図柄表示装置８００との一体感を形成しやすくできる。
【０４０９】
さらに、上述したように、反射面６２５ａ１は、基盤部材６２４の側面に対して鈍角に傾斜して形成される（即ち、ＬＥＤ６２４ａから照射された光と反射面６２５ａ１とが鋭角に交わる）ので、光の反射方向を外側にできる。これにより、（反射面６２５ａ１を、基盤部材６２４の側面に対して鋭角に傾斜させた場合よりも）反射部材６２５を小さくすることができる。よって、その分、第２セグユニット６２０の背面側のスペースを確保することができる。その結果、第２セグユニット６２０と装飾図柄表示装置８００とを近くに配置することができるので、その分、光透過部材６２１と装飾図柄表示装置８００との一体感を形成しやすくできる。
【０４１０】
次いで、図４６及び図４７を参照して、ＬＥＤ６２４ａと凹部６２５ｂとの関係について説明する。図４６は、基盤部材６２４の側面図である。図４７は、図４２（ａ）のＸＬＶＩＩ−ＸＬＶＩＩ線における第２セグユニット６２０の断面図である。
【０４１１】
図４６に示すように、ＬＥＤ６２４ａは、側面視四角状に形成され、四角の全域から光を照射可能とされる。ＬＥＤ６２４ａは、基盤部材６２４の正面側の湾曲軸と略同一の軸を中心に周方向に傾斜角θ１の間隔で離間されて配置される。これにより、ＬＥＤ６２４ａの照射による基盤部材６２４に蓄熱される熱を分散することができる。その結果、基盤部材６２４が部分的に熱が高くなりＬＥＤ６２４ａが破損することを抑制できる。
【０４１２】
なお、本実施形態では、ＬＥＤ６２４ａは、周方向に８個分散配置される。また、ＬＥＤ６２４ａは、正方形に形成された発光面の一辺を基盤部材６２４の湾曲形状における接線方向に沿わせる向きで配設される。
【０４１３】
ここで、従来より複数の発光手段（ＬＥＤ６２４ａ）が搭載される基板（基盤部材６２４）と、発光手段から発光された光を透過させる透過部材（光透過部材６２１）とを備え、透過部材（光透過部材６２１の光透過部６２１ａ）が湾曲して形成されると共に、複数の発光手段が透過部材の湾曲に沿って配列される遊技機が知られている。この場合、複数の発光手段は、透過部材の正面視において等間隔となるように配列される。即ち、複数の発光手段がなす湾曲線（弧）の両端を結ぶ線分（弦）の方向に沿って等間隔とされる。しかしながら、上述した遊技機では、複数の発光手段のうちの一部で隣接する発光手段との間隔が狭くされるため、発光手段が発する熱の分布に偏りが生じるという問題点があった。そのため、一部の発光手段に熱が集中して、寿命の低下を招きやすい。
【０４１４】
これに対し、本実施形態によれば、ＬＥＤ６２４ａが周方向略等間隔に配列されるので、各ＬＥＤ６２４ａにおいて隣接するＬＥＤ６２４ａとの間隔を一定とでき、ＬＥＤ６２４ａが発する熱の分布を均一化できる。その結果、一部のＬＥＤ６２４ａに熱が集中することを抑制して、各ＬＥＤ６２４ａの寿命の向上を図ることができる。
【０４１５】
図４７に示すように、凹部６２５ｂは、各ＬＥＤ６２４ａの背面側（図４７の右側）にひとつずつ形成される。また、１の凹部６２５ｂの上下方向の一端側（下側端部）から他端側（上側端部）までの離間距離Ｘ１は、それぞれ同一に設定される。
【０４１６】
ここで、上述したように、ＬＥＤ６２４ａは、周方向に傾斜角θ１の角度で等間隔に配設される。その為、各ＬＥＤ６２４ａの上下方向間隔は、上下方向（図４６上下方向）中央側が、上下方向外側に比べて狭くされる。従って、反射部材６２５により反射されて遊技者側に照射される光の量が、上下方向中央側に多くなってしまい（上下方向中央側が濃くなってしまい）、光を遊技者に均一に視認させることができないという問題点があった。
【０４１７】
言い変えると、光透過部６２１ａの湾曲に沿って等間隔（即ち、周方向等間隔）に複数のＬＥＤ６２４ａが配列されると、それら複数のＬＥＤ６２４ａは、光透過部６２１ａの正面視において不等間隔に配列されることとなる。即ち、光透過部６２１ａの正面視において、ＬＥＤ６２４ａどうしの間隔が狭い領域と広い領域とが形成される。そのため、複数のＬＥＤ６２４ａの配列方向に沿って光量の分布が不均一になる。
【０４１８】
これに対し、本実施形態では、ＬＥＤ６２４ａから発光された光を光透過部６２１ａへ向けて反射させる反射部材６２５を備え、反射部材６２５は、複数のＬＥＤ６２４ａに対応して区画される複数の凹部６２５ｂを備え、それら複数の凹部６２５ｂの光透過部６２１ａの正面視における区画幅が略同一に設定されるので、光透過部６２１ａの正面視において視認される各凹部６２５ｂの光量を略同一とできる。その結果、複数のＬＥＤ６２４ａの配列方向に沿う光量の分布を均一化できる。
【０４１９】
即ち、１の凹部６２５ｂの上下方向の一端側（下側端部）から他端側（上側端部）までの離間距離Ｘ１は、それぞれ同一に設定されるので、１のＬＥＤ６２４ａの照射により遊技者側に出射する光の領域を上下方向に略同一とすることができる。従って、遊技者側に照射される光の量が、上下方向中央側に多くなることを抑制できる。その結果、光を遊技者に均一に視認させることができる。
【０４２０】
また、ＬＥＤ６２４ａの発光面が正面視矩形状（正方形）に形成されるので、例えば、発光面が円形状とされる場合と比較して、光の拡散性を確保できる（光をより広角に発光できる）ので、１の凹部６２５ｂにおいて光量の分布を均一化できる。
【０４２１】
なお、発光面とは、ＬＥＤチップを封入する封入樹脂の正面を意味する。よって、発光面が正面視矩形状とは、封入樹脂の正面視形状（封入樹脂を取り囲むリフレクターの内部空間の正面視形状）が矩形状であることを意味する。
【０４２２】
さらに、複数のＬＥＤ６２４ａの少なくとも一部は、発光面の一辺を光透過部６２１ａの湾曲形状における接線方向に沿わせる向きで配設されるので、そのＬＥＤ６２４ａから発光された光を、光透過部６２１ａの湾曲に沿って均一に拡散させやすくできる。その結果、光透過部６２１ａを透過して視認される光量の分布を均一化できる。
【０４２３】
また、凹部６２５ｂが光透過部６２１ａの背面に対面されると共に光透過部６２１ａの背面から離間する側に凹む湾曲面として形成され、ＬＥＤ６２４ａの発光面が光透過部６２１ａと凹部６２５ｂとの対向間を臨むので、光透過部６２１ａに対して基盤部材６２４を直交する姿勢で配設できる。即ち、光透過部６２１ａ、基盤部材６２４および反射部材６２５からなるユニットの配設の自由度を高めることができる。この場合、ＬＥＤ６２４ａの発光面から発光された光の周囲をその光の進行方向と直交する方向から取り囲む態様で凹部６２５ｂが配置されるので、凹部６２５ｂに反射された光を光透過部６２１ａの背面へ均一に入射させることができる。その結果、光透過部６２１ａを透過して視認される光量の分布を均一化できる。
【０４２４】
次いで、図４８を参照して、ＬＥＤ６２４ａにより照射される光の態様について説明する。図４８は、上下変位ユニット６００Ｌの正面図である。なお、図４８では、ＬＥＤ６２４ａにより照射された光が、２点鎖線で図示されると共に、照射領域ＳＲ１の符号を付して図示される。
【０４２５】
図４８に示すように、ＬＥＤ６２４ａから光を出射することで、第１セグユニット６１０には、上下方向（図４８上下方向）に並んだ２つの照射領域ＳＲ１から光が照射される。また、第２セグユニット６２０には、上下左右に２×２で並んだ照射領域ＳＲ１から光が照射される。なお、第２セグユニット６２０の照射領域ＳＲ１は、光透過部材６２１の装飾部６２１ａ３を挟んだ左右に形成される。
【０４２６】
よって、第１セグユニット６１０の照射領域ＳＲ１と第２セグユニット６２０の照射領域ＳＲ１の左側とにより、７セグメント表示による数字の左右両側を表示することができる。なお、７セグメント表示による数字の上下及び中央については、後述する。
【０４２７】
次いで、図４９及び図５０を参照して、変位ユニット６５０の構成について説明する。図４９は、上下変位ユニット６００Ｌの分解斜視正面図であり、図５０は、上下変位ユニット６００Ｌの分解斜視背面図である。なお、図４９及び図５０では、上下変位ユニット６００Ｌの変位ユニット６５０を分解した状態が図示される。
【０４２８】
図４９及び図５０に示すように、変位ユニット６５０は、左右一対に配設されるベース部材６６０と、そのベース部材６６０に軸支されて回転変位する変位部材６７０と、ベース部材６６０に配設される駆動モータＫＭ３の回転駆動を変位部材６７０に伝達する駆動手段６８０とを主に備えて形成される。
【０４２９】
ベース部材６６０は、中央に上述した装飾図柄表示装置８００よりも大きい空間を備える形状の左右で一対の板部材から形成される。また、正面視左側のベース部材６６０には、正面側に第１セグユニット６１０が配設され、正面視右側のベース部材６６０には、正面側に第２セグユニット６２０が配設される。なお、ベース部材６６０は、左右で上下左右反対に配置されており、本実施形態では、正面視左側のベース部材６６０のみを説明して、正面視左側のベース部材６６０についての説明を省略する。
【０４３０】
ベース部材６６０は、側面視上下方向に長い矩形状に形成されると共に、その正面側の側面から正面側に凸状に湾曲して突出する突出部６６１を備える。また、ベース部材６６０は、上下方向の一端（上側端部）に配設される駆動モータＫＭ３の軸を挿通する貫通孔６６２と、上下方向の両端（下側端部）に配設される連結棒６８１を挿通する挿通孔６６３と、後述する変位部材６７０が軸支される凹部６６４と、その凹部６６４の軸を中心とする円弧状に開口形成される摺動溝６６５と、凹部６６４の上下に会場に突出する係合部６６６とを主に備えて形成される。
【０４３１】
突出部６６１は、その突出先端の半径が上述した反射部材６２５の内周面における半径よりも小さく設定されると共に、その湾曲軸が反射部材６２５の湾曲軸と略同一直線上に設定される。よって、ベース部材６６０に、第１セグユニット６１０及び第２セグユニット６２０を配設した際に、突出部６６１と反射部材６２５とが当接することを抑制できると共に、基盤部材６２４の熱が、対向するベース部材６６０の対向間に侵入することを抑制できる。その結果、対向するベース部材６６０の内側に配設される装飾図柄表示装置８００の温度が上がり、内リールユニット８１０及び外リールユニット８２０を回転駆動させる駆動モータＫＭ１，ＫＭ２が壊れることを抑制できる。
【０４３２】
貫通孔６６２は、駆動モータＫＭ３の軸およびその軸に連結されるギヤ６８２を挿通する孔であり、その内径が、ギヤ６８２の外形よりも大きく形成されると共に、駆動モータＫＭ３の本体よりも小さく設定される。よって、駆動モータＫＭ３にギヤ６８２を連結した状態で、駆動モータＫＭ３をベース部材６６０に配設できる。なお、駆動モータＫＭ３は、対向配置されるベース部材６６０の対向間側からベース部材６６０に取着される。
【０４３３】
貫通孔６６２は、後述する駆動手段６８０のの連結棒６８１を挿入する孔であり、連結棒６８１の外形よりも大きく形成されると共に、ベース部材６６０の上下両端に形成される。
【０４３４】
凹部６６４は、ベース部材６６０の対向間側から外側に向かって円形状に凹設して形成される。凹部６６４は、後述する変位部材６７０の連結突起６７１ｂの外径よりもやや大きく形成される。これにより、連結突起６７１ｂを凹部６６４の内側に挿入して配設できる。
【０４３５】
摺動溝６６５は、変位部材６７０の連結突起６７１ｂを挿入することで、変位部材６７０と一対のベース部材６６０の外側に配設される駆動手段６８０とを連結できる。また、摺動溝６６５に連結突起６７１ｂが挿入された状態とされることで、変位部材６７０の変位を案内できる。よって、変位部材６７０の変位をスムーズに行うことができる。
【０４３６】
係合部６６６は、ベース部材６６０の対向側に、その先端がベース部材６６０の対向する側面と後述するねじりバネＳＰ１の一端の直径よりも大きい隙間を備えて形成される。これにより、ねじりバネＳＰ１の一端を係合部６６６と係合させることができる。
【０４３７】
変位部材６７０は、上下一対に反対向きで配設される。変位部材６７０は、一端がベース部材６６０に軸支される延設部材６７１と、その延設部材６７１の他端側に連結される装飾ユニット６７２とから形成される。
【０４３８】
延設部材６７１は、略Ｌ字状の板状に形成されると共に、左右反対向きで一対配設される。延設部材６７１は、長手側の一端に左右方向に貫通する軸支孔６７１ａと、長手側の長方向略中央位置に左右外側に突出する連結突起６７１ｂと、長手側の側面から軸支孔６７１ａの周方向に突出する突起６７１ｄと、弾性材料からなり延設部材６７１の側面に配設される弾性部材６７１ｆとを主に備えて形成される。
【０４３９】
軸支孔６７１ａは、内側にカラーＣを挿入する孔であり、その内径がカラーＣの外径よりも大きく形成される。よって、軸支孔６７１ａにカラーＣを挿入すると共に、カラーＣをベース部材６６０の凹部６６４の内側にねじで締結固定することで、変位部材６７０をベース部材６６０に対して回転可能な状態で連結できる。
【０４４０】
また、一対の変位部材６７０の軸支孔６７１ａを同軸上に配設して、カラーＣを一対の変位部材６７０の軸支孔６７１ａに挿通してベース部材６６０に締結固定することで、上下の変位部材６７０が同軸上を回転可能に配置される。
【０４４１】
さらに、左右の延設部材６７１は、一方の軸支孔６７１ａの周囲に左右方向外側に膨出する膨出部６７１ａ１が形成される。膨出部６７１ａ１は、その外径がベース部材６６０の凹部６６４の内径よりもやや小さく形成される。また、膨出部６７１ａ１は、一対の変位部材６７０の左右外側に配置される。
【０４４２】
即ち、本実施形態では、上側に配置される変位部材６７０の右側の軸支孔６７１ａに膨出部６７１ａ１が形成されるので、下側に配置される変位部材６７０の右側の軸支孔６７１ａが、膨出部６７１ａ１の内側に配置された状態とされる。一方、左側の軸支孔６７１ａは、下側に配置される変位部材６７０の左側の軸支孔６７１ａに膨出部６７１ａ１が形成されるので、上側に配置される変位部材６７０の左側の軸支孔６７１ａが、膨出部６７１ａ１の内側に配置された状態とされる（図４９参照）。
【０４４３】
これにより、カラーＣにより、変位部材６７０をベース部材６６０に配設する際に、凹部６６４の内部に膨出部６７１ａ１を挿入できる。その結果、変位部材６７０の軸支孔６７１ａの軸の径方向に力が作用した際に、膨出部６７１ａ１の外周面と凹部６６４の内周面とが当接することで、軸支孔６７１ａ又はカラーＣが破損することを抑制できる。
【０４４４】
即ち、本実施形態では、一対に配設される変位部材６７０は、ベース部材６６０に同軸上に配設されるので、その分、カラーＣの軸方向長さが長くされる。よって、変位部材６７０の回転軸に対して径方向に力が作用した際に、回転軸に力が大きく作用しやすくなる。その為、軸支孔６７１ａ又は、カラーＣが破損しやすくなるところ、かかる膨出部６７１ａ１と凹部６６４とが当接することにより、変位部材６７０の回転軸に対して径方向に作用する力を保持することができる。その結果、軸支孔６７１ａ又はカラーＣが破損することを抑制できる。
【０４４５】
突起６７１ｄには、延設部材６７１の長手側の長手方向に貫通する貫通孔６７１ｄ１が形成される。貫通孔６７１ｄ１は、後述するねじりバネＳＰ１，ＳＰ２を内部に挿通させる孔であり、ねじりバネＳＰ１，ＳＰ２の外径よりも大きく形成される。
【０４４６】
弾性部材６７１ｆは、後述する上下一対に配設される変位部材６７０の互いに近づく方向側の延設部材６７１の側面に配設される。また、上下の延設部材６７１が互いに近接する位置に配設された際に、互いの弾性部材６７１ｆの側面が当接する大きさに設定される。これにより、上下一対の変位部材６７０が近接する位置に変位された際の衝撃を吸収することができる。
【０４４７】
駆動手段６８０は、駆動モータＫＭ３の動力を変位部材６７０に伝達する手段である。駆動手段６８０は、駆動モータＫＭ３の軸に連結されるギヤ６８２と、そのギヤ６８２に歯合する大径ギヤ６８３と、棒状体に形成され一端が大径ギヤ６８３の側面に連結され、他端が変位部材６７０に連結される第１リンク部材６８４と、ベース部材６６０を間に介して反対側に動力を伝達する連結棒６８１と、その連結棒６８１に連結されて回転するカム部材６８５と、棒状体に形成され一端がカム部材６８５に回転可能に連結され、他端が変位部材６７０に連結される第２リンク部材６８６とを主に備えて形成される。
【０４４８】
ギヤ６８２は、上述したように駆動モータＫＭ３の軸に連結され、駆動モータＫＭ３の回転により回転される。
【０４４９】
大径ギヤ６８３は、側面視円形状に形成されると共に、ギヤ６８２と歯合する歯面に形成されるギヤ面６８３ａと、その回転軸方向の側面に円環状に突出する突起６８３ｂとを備えて形成される。大径ギヤ６８３は、ギヤ面６８３ａがギヤ６８２と歯合されるので、ギヤ６８２が回転されることで回転される。即ち、駆動モータＫＭ３が回転駆動されることで回転される。
【０４５０】
突起６８３ｂは、円環状に突出形成され、その軸が、大径ギヤ６８３の回転軸と異なる位置に配置される。よって、突起６８３ｂは、大径ギヤ６８３が回転変位されると、その回転軸を中心とする円上を回転変位する。
【０４５１】
第１リンク部材６８４は、棒状体に形成されると共に、その両端に左右方向に貫通形成される挿通孔６８４ａ，６８４ｂが形成される。
【０４５２】
挿通孔６８４ａは、大径ギヤ６８３の突起６８３ｂが挿入される孔であり、突起６８３ｂの外径よりも大きい内径に形成される。挿通孔６８４ａに突起６８３ｂが挿入され、突起６８３ｂの先端が挿通孔６８４ａの内径よりも頭の外径が大きいねじで締結されることで、第１リンク部材６８４を大径ギヤ６８３に回転可能な状態で連結できる。
【０４５３】
挿通孔６８４ｂは、変位部材６７０の連結突起６７１ｂが挿入される孔であり、連結突起６７１ｂの外径よりも大きい内径に形成される。挿通孔６８４ｂに連結突起６７１ｂが挿入され、連結突起６７１ｂの先端が挿通孔６８４ｂの内径よりも頭の外径が大きいねじで締結されることで、第１リンク部材６８４を変位部材６７０に回転可能な状態で連結できる。
【０４５４】
よって、ギヤ６８２を介して大径ギヤ６８３が回転されると、その大径ギヤ６８３の回転変位に伴って、突起６８３ｂが大径ギヤ６８３の回転軸を中心に回転変位され、その突起６８３ｂに一端が連結される第１リンク部材６８４が変位して、第１リンク部材６８４の他端に連結される変位部材６７０が変位される。
【０４５５】
連結棒６８１は、一端が正面視左側に配設されるベース部材６６０の挿通孔６６３に挿通されると共に、大径ギヤ６８３の回転軸部分に内嵌される。一方、連結棒６８１の他端は、カム部材６８５に連結される。よって、駆動モータＫＭ３の回転駆動により、連結棒６８１が回転してカム部材６８５が回転される。
【０４５６】
カム部材６８５は、側面視円形状に形成され、その軸部分に連結棒６８１が内嵌される。また、カム部材６８５は、その軸方向の側面から外側に円環状に突出する突起６８５ａを備える。突起６８５ａは、円環状に突出形成され、その軸が、カム部材６８５の回転軸と異なる位置に配置される。よって、突起６８５ａは、カム部材６８５が回転変位されると、その回転軸を中心とする円上を回転変位する。
【０４５７】
第２リンク部材６８６は、第１リンク部材６８４と左右反転した形状と同形状に形成される。第２リンク部材６８６は、その長手方向の両端に挿通孔６８６ａ，６８６ｂを備える。
【０４５８】
挿通孔６８６ａは、カム部材６８５の突起６８５ａが挿入される孔であり、突起６８５ａの外径よりも大きい内径に形成される。挿通孔６８６ａに突起６８５ａが挿入され、突起６８５ａの先端が挿通孔６８６ａの内径よりも頭の外径が大きいねじで締結されることで、第２リンク部材６８６をカム部材６８５に回転可能な状態で連結できる。
【０４５９】
挿通孔６８６ｂは、変位部材６７０の連結突起６７１ｂが挿入される孔であり、連結突起６７１ｂの外径よりも大きい内径に形成される。挿通孔６８６ｂに連結突起６７１ｂが挿入され、連結突起６７１ｂの先端が挿通孔６８４ｂの内径よりも頭の外径が大きいねじで締結されることで、第２リンク部材６８６を変位部材６７０に回転可能な状態で連結できる。
【０４６０】
よって、連結棒６８１を介してカム部材６８５が回転されると、そのカム部材６８５の回転変位に伴って、突起６８５ａがカム部材６８５の回転軸を中心に回転変位され、その突起６８５ａに一端が連結される第２リンク部材６８６が変位して、第２リンク部材６８６の他端に連結される変位部材６７０が変位される。
【０４６１】
即ち、変位部材６７０、第１リンク部材６８４及び第２リンク部材６８６が変位することにより行われる。ここで、第１リンク部材６８４の動作と第２リンク部材６８６の動作とは、連結棒６８１を介して同期されるので、変位部材６７０が変位する際に傾くことを抑制できる。その結果、変位部材６７０をスムーズに変位させることができる。
【０４６２】
次いで、図５１から図５３を参照して、変位部材６７０の詳細な説明をする。図５１（ａ）は、変位部材６７０の正面図であり、図５１（ｂ）は、変位部材６７０の側面図である。図５２は、変位部材６７０の分解斜視正面図である。図５３は、５１（ａ）のＬＩＩＩ−ＬＩＩＩ線における変位部材６７０の断面図である。
【０４６３】
変位部材６７０は、上述したように、ベース部材６６０に回転可能に軸支される延設部材６７１と、その延設部材６７１に連結される装飾ユニット６７２とを備えて形成される。
【０４６４】
図５１から図５３に示すように、延設部材６７１は、短手側（装飾ユニット６７２の連結側）に板状に形成される連結部６７１ｃを備える。左右一対に配設される延設部材６７１の互いの連結部６７１ｃが対向する面には、部分的に階段状に突出する段部６７１ｃ１が形成される。段部６７１ｃ１は、左右で互い違いに形成され、互いの段部６７１ｃ１が所定の隙間を隔てて噛み合った状態とされる。これにより、延設部材６７１を型成形した際に寸法誤差を吸収できる。
【０４６５】
装飾ユニット６７２は、内部に光を照射するＬＥＤを備え、遊技者側に光を照射するユニットである。装飾ユニット６７２は、背面側に配設される背面カバー６７３と、その背面カバー６７３を覆設して背面カバー６７３の正面側に配設される正面カバー６７６と、背面カバー６７３と正面カバー６７６との対向間に配設される基盤部材６７４と、基盤部材６７４と正面カバー６７６との間に配設される拡散部材６７５及びレンズ部材６７７とを主に備えて形成される。
【０４６６】
背面カバー６７３は、正面視横長矩形の板状体に形成され、背面側に延設部材６７１の連結部６７１ｃが締結される。これにより、装飾ユニット６７２と延設部材６７１とを締結できる。
【０４６７】
また、背面カバー６７３は、光を透過しにくい（不透過の）樹脂材料から形成される。背面カバー６７３は、後述する拡散部材６７５と対向する位置に背面側に凹設して形成される反射部６７３ａを備える。
【０４６８】
反射部６７３ａは、背面カバー６７３の下縁部に左右方向に亘って形成され、その内面には、光の反射率の高い白色の塗装が施される。これにより、反射部６７３ａの内側に照射された光を反射部６７３ａの内部で反射させて拡散部材６７５側に照射することができる。
【０４６９】
正面カバー６７６は、正面視形状が背面カバー６７３の形状と略同一に形成され、背面カバー６７３の正面側を覆う態様で配設される。また、正面カバー６７６は、光を透過可能な樹脂材料から形成され、後述する第１ＬＥＤ６７４ａ及び第２ＬＥＤから出射される光を正面側（遊技者側）に出射できる。
【０４７０】
基盤部材６７４は、正面視において背面カバー６７３よりも小さい横長矩形の板状体に形成される。基盤部材６７４の正面側には、下縁部に左右方向並んで配設され、拡散部材６７５側に光を照射する第１ＬＥＤ６７４ａと、その第１ＬＥＤ６７４ａよりも上方に配設され、レンズ部材６７７に光を照射する第２ＬＥＤ６７４ｂとを主に備えて形成される。
【０４７１】
第１ＬＥＤ６７４ａは、拡散部材６７５の上端部と対向する位置に配設されると共に、基盤部材６７４の下方向に光を照射可能に配設される。これにより、第１ＬＥＤ６７４ａから照射される光が、後述するレンズ部材６７７に入射することを抑制できる。その結果、遊技者が拡散部材６７５を介して正面側に出射される光と、レンズ部材６７７を介して正面側に出射される光とを区別しやすくなり、遊技者の興趣が損なわれることを抑制できる。
【０４７２】
第２ＬＥＤ６７４ｂは、第１ＬＥＤ６７４ａの上部に配設される。よって、拡散部材６７５の上部に配設されるレンズ部材６７７に第２ＬＥＤ６７４ｂの光を入射させることができる。
【０４７３】
拡散部材６７５は、正面視横長矩形の板状体から形成され、正面カバー６７６の背面側下端部に配設される。拡散部材６７５は、内部に入射された光を拡散可能な白濁色の樹脂材料で形成される。これにより、第１ＬＥＤ６７４ａから出射され、拡散部材６７５に入射された光を拡散して全体に光を均一化して正面側（遊技者側）に出射できる。
【０４７４】
レンズ部材６７７は、正面視横長矩形の板状体から形成され、正面カバー６７６の背面側上端部に配設される。レンズ部材６７７は、透明の樹脂材料から形成されると共に、背面側に複数の突起が形成される（図示せず）。これにより、第２ＬＥＤ６７４ｂから出射される光を背面側の突起により内部に入射させやすくできる。その結果、第２ＬＥＤ６７４ｂから出射される光の量を少なくしても、レンズ部材６７７に光を入射させることができ、正面カバー６７６の正面側（遊技者側）に光を出射させることができる。
【０４７５】
次いで、図５４を参照して、第１ＬＥＤ６７４ａにより正面カバー６７６の正面側（遊技者側）に出射される光の態様について説明する。図５４は、変位部材６７０の正面図である。なお、図５４では、第１ＬＥＤ６７４ａにより遊技者側に出射される光の領域が２点鎖線で図示されると共に、照射領域ＳＲ２の符号を付して図示される。
【０４７６】
図５４に示すように、第１ＬＥＤ６７４ａにより、遊技者側に出射される光の領域は、装飾ユニット６７２（正面カバー６７６）の下端部に左右方向に長い矩形状とされる。変位部材６７０は、上下変位ユニット６００Ｌの上下両端に配設されるので、変位部材６７０により、上下方向に所定の距離離間する位置に照射領域ＳＲ２が形成される。よって、上下一対の変位部材６７０の照射領域ＳＲ２により、７セグメント表示による数字の上下の表示をすることができる。
【０４７７】
次いで、図５５及び図５６を参照して、セグメント表示装置６００及び装飾図柄表示装置８００により表示される７セグメント表示について説明する。図５５は、セグメント表示装置６００及び装飾図柄表示装置８００の正面図である。図５６は、セグメント表示装置６００及び装飾図柄表示装置８００の模式図である。なお、図５５及び図５６では、外リール８２１の透過領域８２１ｂ１を遊技者側に回転させた状状態が図示されると共に、照射領域ＳＲ１、照射領域ＳＲ２及び透過領域８２１ｂ１が２点鎖線で図示される。
【０４７８】
図５５に示すように、セグメント表示装置６００の第１セグユニット６１０及び第２セグユニット６２０により形成される照射領域ＳＲ１は、上下方向に２つ並んで形成されると共に、左右方向に６本並んだ状態とされる。
【０４７９】
照射領域ＳＲ１は、装飾図柄表示装置８００を間に挟む態様の４本で１組として形成されされ、その組が左右方向に３組並設される。１組の照射領域ＳＲ１の間には、上下に照射領域ＳＲ２が配置され、上下中間位置に透過領域８２１ｂ１が配置される。よって、７本の照射領域ＳＲ１，ＳＲ２及び透過領域８２１ｂ１により、７セグメント表示による数字を表示できる。
【０４８０】
上述したように、照射領域ＳＲ１の４本１組は、左右方向に３組並設されるので、それぞれの組で７セグメント表示が形成される。即ち、７セグメント表示は、左右方向に３つ並設された状態とされる。
【０４８１】
よって、左右方向に並設される７セグメント表示を、パチンコ機１０の大当たりの抽選の有効ラインとして、数字を表示させることができる（例えば、全ての７セグメント表示に「７」のセグメント表示をさせる。）これにより、上述した装飾図柄表示装置８００による大当たり表示だけでなく、７セグメント表示による大当たりの表示をすることができる。その結果、遊技者に複数の表示形態を視認させることができるので、遊技者の興趣を向上することができる。
【０４８２】
ここで、セグメント表示装置６００の第１セグユニット６１０及び第２セグユニット６２０の光透過部６２１ａは、正面側に凸形状に湾曲して形成されるので、遊技者に７セグメントの表示を視認させた際に、遊技者に近い上下方向中央部の表示が大きくなり、遊技者から遠い上下方向両端部の表示が小さくなる。その為、７セグメントによる数字の表示を綺麗に遊技者に視認させることができないという問題点があった。
【０４８３】
これに対し、本実施形態では、図５６に示すように、７セグメント表示を上下中央位置から上下の端部に向かうに従って、その左右方向の幅寸法が順次大きく形成される。これにより、上下の端部と上下中央位置での７セグメントによる表示を、全体で均一化することができる。その結果、７セグメントによる数字の表示を綺麗に遊技者に視認させることができる。
【０４８４】
さらに、左右両側に形成される７セグメントの表示は、上下方向中央部分が左右方向中央側に傾斜して形成される。これにより、左右両側に形成される７セグメントの表示を遊技者に綺麗に視認させることができる。
【０４８５】
即ち、遊技者の視点は、通常パチンコ機１０の左右方向中央位置に位置される。また、セグメント表示装置６００は、パチンコ機１０の左右方向中央位置に配置される。その為、遊技者の視点は、中央に表示される７セグメントの正面に位置される。従って、遊技者の視点から左右に離間するほど、第１セグユニット６１０及び第２セグユニット６２０の光透過部６２１ａの湾曲形状により、７セグメント表示が湾曲する態様で遊技者に視認されるところ、７セグメント表示の上下方向中央部分が左右方向中央側に傾斜して形成されるので、遊技者の視点から７セグメント表示が湾曲する態様で視認されにくい。その結果、遊技者に７セグメントの表示を綺麗に視認させることができる。
【０４８６】
次いで、図５７から図６０を参照して、変位部材６７０の変位態様について説明する。図５７（ａ）からＧ０１（ｃ）は、上下変位ユニット６００Ｌの正面図である。図５８（ａ）、図５９（ａ）及び図６０（ａ）は、上下変位ユニット６００Ｌの側面図であり、図５８（ｂ）、図５９（ａ）及び図６０（ｂ）は、図５７（ａ）のＬＶＩＩＩｂ−ＬＶＩＩＩｂ線における上下変位ユニット６００Ｌの断面図である。
【０４８７】
なお、図５７（ａ）、図５８（ａ）、図５８（ｂ）では、変位部材６７０が退避状態に配置された状態が図示され、図５７（ｂ）、図５９（ａ）、図５９（ｂ）では、変位部材６７０が中間状態に配置された状態が図示され、図５７（ｃ）、図６０（ａ）、図６０（ｂ）では、変位部材６７０が張出状態に配置された状態が図示される。
【０４８８】
また、変位部材６７０の退避状態とは、上下一対に配設される変位部材６７０が互いに上下外側に離間した状態であり、変位部材６７０の張出状態とは、上下一対に配設される変位部材６７０が上下中間位置で当接した状態であり、変位部材６７０の中間状態とは、退避状態と張出状態との間に変位部材６７０が配置された状態である。
【０４８９】
図５７（ａ）及び図５８に示すように、変位部材６７０が退避状態とされる位置では、上下一対に配置されるうちの上方（図５７上方）に配置される変位部材６７０は、第１リンク部材６８４及び第２リンク部材６８６が上方に位置されることで、軸支孔６７１ａを回転軸として装飾ユニット６７２を上方に位置させた状態とされる。
【０４９０】
また、上方に配置される変位部材６７０の貫通孔６７１ｄ１に挿入されるねじりバネＳＰ１は、貫通孔６７１ｄ１との係合位置が、他端側（貫通孔６７１ｄ１に挿入される側）の基端部分とされる。よって、ねじりバネＳＰ１により作用される付勢力を大きくできる。その結果、変位部材６７０に装飾ユニット６７２を重力方向上側に配置した状態を維持させやすくできる。
【０４９１】
一方、上下一対に配置されるうちの下方（図５７下方）に配置される変位部材６７０は、第１リンク部材６８４及び第２リンク部材６８６が下方に位置されることで、軸支孔６７１ａを回転軸として装飾ユニット６７２を下方に位置させた状態とされる。
【０４９２】
また、下方に配置される変位部材６７０の貫通孔６７１ｄ１に挿入されるねじりバネＳＰ２は、貫通孔６７１ｄ１との係合位置が、他端側（貫通孔６７１ｄ１に挿入される側）の基端部分とされる。よって、ねじりバネＳＰ２により作用される付勢力を大きくできる。その結果、変位部材６７０に装飾ユニット６７２を重力方向上側に変位させやすくできる。
【０４９３】
退避状態では、上下一対の変位部材６７０の装飾ユニット７６２の対向間に開口が形成され、上下変位ユニット６００Ｌの内側に配置される装飾図柄表示装置８００を視認させることができる。なお、この場合、上述したように、装飾図柄表示装置８００の内リール８１１に装飾される図柄を上下方向に３つ遊技者側に表示させることができる。
【０４９４】
図５７（ａ）及び図５８に示す状態から、駆動モータＫＭ３に回転の駆動力が付与されると、大径ギヤ６８３及びカム部材６８５が回転される。これにより、第１リンク部材６８４及び第２リンク部材６８６が上下変位ユニット６００Ｌの上下方向略中央位置に変位される。従って、第１リンク部材６８４及び第２リンク部材６８６の挿通孔６８４ｂ，６８６ｂに連結される変位部材６７０が、軸支孔６７１ａを軸に回転変位され、図５７（ｂ）及び図５９に示す状態を介して、図５７（ｃ）及び図６０に示す状態まで変位される。
【０４９５】
図５７（ｂ）及び図５９に示すように、変位部材６７０を中間状態の位置に変位させた際には、上方に配置される変位部材６７０の貫通孔６７１ｄ１に挿入されるねじりバネＳＰ１の貫通孔６７１ｄ１との係合位置が、他端側（貫通孔６７１ｄ１に挿入される側）の中間位置とされる。よって、ねじりバネＳＰ１を変形させる分、ねじりバネＳＰ１の付勢力を増やすことができると共に、係合位置を変える分、ねじりバネＳＰ１の付勢力を退避状態の係合位置よりも小さくできる。
【０４９６】
また、下側に配置される変位部材６７０の貫通孔６７１ｄ１に挿入されるねじりバネＳＰ２ねじりバネＳＰ１と同様に、貫通孔６７１ｄ１との係合位置が、他端側（貫通孔６７１ｄ１に挿入される側）の中間位置とされる。よって、ねじりバネＳＰ２を変形させる分、ねじりバネＳＰ２の付勢力を小さくすることができると共に、係合位置を変える分、ねじりバネＳＰ１の付勢力を退避状態の係合位置よりも小さくできる。
【０４９７】
中間状態では、上下一対の変位部材６７０の装飾ユニット７６２の対向間に、退避状態よりも小さい開口が形成され、上下変位ユニット６００Ｌの内側に配置される装飾図柄表示装置８００を視認させることができる。なお、この場合、装飾図柄表示装置８００の内リール８１１に装飾される図柄を１つ遊技者側に表示させることができる。
【０４９８】
よって、内リール８１１に装飾される図柄を上下方向に３つ表示させる退避状態から、内リール８１１に装飾される図側を上下方向に１つ表示させる中間状態に変位部材６７０を変位させることで、その演出態様を複数形成でき遊技者の興趣を向上させることができる。また、内リール８１１に装飾される図側を上下方向に１つ表示させる態様とすることで、１つの図柄を遊技者に注目させることができる。よって、注目させたい部分を明確にすることができるので、遊技者に演出を視認させやすくできる。その結果、遊技者の興趣が低下することを抑制できる。
【０４９９】
図５７（ｃ）及び図６０に示すように、変位部材６７０を退避状態の位置に変位させた際には、上方に配置される変位部材６７０の貫通孔６７１ｄ１に挿入されるねじりバネＳＰ１の貫通孔６７１ｄ１との係合位置が、他端側（貫通孔６７１ｄ１に挿入される側）の先端位置とされる。よって、ねじりバネＳＰ１を変形させる分、ねじりバネＳＰ１の付勢力を増やすことができると共に、係合位置を変える分、ねじりバネＳＰ１の付勢を中間状態の係合位置よりも小さくできる。
【０５００】
また、下側に配置される変位部材６７０の貫通孔６７１ｄ１に挿入されるねじりバネＳＰ２もねじりバネＳＰ１と同様に、貫通孔６７１ｄ１との係合位置が、他端側（貫通孔６７１ｄ１に挿入される側）の先端位置とされる。よって、ねじりバネＳＰ２を変形させる分、ねじりバネＳＰ２の付勢力を増やすことができると共に、係合位置を変える分、ねじりバネＳＰ１の付勢力を中間状態の係合位置よりも小さくできる。
【０５０１】
即ち、ねじりバネＳＰ１，ＳＰ２の付勢力を変位部材６７０の変位に伴った非線形とできる。これにより、変位部材６７０の変位位置により、必要な付勢力をねじりバネＳＰ１，ＳＰ２から付与されやすくできる。その結果、駆動モータＫＭ３の駆動にかかるエネルギーを最小にすることができる。
【０５０２】
張出状態では、上下一対の変位部材６７０の装飾ユニット６７２が、上下変位ユニット６００Ｌの上下方向中間位置で当接される。この場合、装飾ユニット６７２は、装飾図柄表示装置８００の正面側に配置されており、遊技者側（正面側）から装飾図柄表示装置８００の表示を視認不能とできる。
【０５０３】
よって、変位部材６７０を張出状態として、内リールユニット８１０及び外リールユニット８２０を回転変位させ、その後に、変位部材６７０を中間状態または退避状態に変位させることで、遊技者に図柄が揃う（大当たりの抽選がされた）期待感を持たせやすくできる。その結果、遊技者の興趣を高めることができる。
【０５０４】
なお、上記実施形態では、上下一対に配置される変位部材６７０が、同じ量変位する場合を説明したが、これに限られるものではなく、２つ配設される駆動モータＫＭ３の一方を回転駆動させて、上下一対に配置される変位部材６７０を片側のみ、中間状態または張出状態の位置に変位させることもできる。
【０５０５】
また、上下一対に配設される変位部材６７０の最大変位量は、中間位置に設定されるものではなく、図６０に示す位置をこえて変位することができる。即ち、一対の変位部材６７０を当接した状態で上下に変位可能とされる。
【０５０６】
次いで、図６１から図６３を参照して、上下変位ユニット６００Ｌの動作について説明する。図６１から図６３は、上下変位ユニット６００Ｌの模式図である。なお、図６１から図６３では、変位部材６７０の遷移状態が順に図示される。
【０５０７】
なお、図６１から図６３では、上下変位ユニット６００Ｌの上側に配設される変位部材６７０及びその変位部材６７０を駆動する駆動手段の符号の末尾にＵを付与すると共に、上下変位ユニット６００Ｌの下側に配設され変位部材６７０及びその変位部材６７０を駆動する駆動手段の符号の末尾にＤの符号を付与して説明する。
【０５０８】
図６１に示すように、上下変位ユニット６００Ｌは、変位部材６７０の延設部材６７１が左右両側に配設される。一対の延設部材６７１は、駆動モータＫＭ３の駆動力が連結棒６８１を介して伝達される従動側と、駆動モータＫＭ３の駆動力が大径ギヤ６８３の突起６８３ｂにより伝達される駆動側とのどちらかにそれぞれ連結される。
【０５０９】
図６２に示すように、上下に配置される変位部材６７０が変位されると、互いの装飾ユニット６７２の側面を上下変位ユニット６００Ｌの上下中央位置で当接させた状態とされる。
【０５１０】
図６３に示すように、図６２に示す状態から変位部材６７０の両者を同方向に変位させることで、互いの装飾ユニット６７２の側面を当接させた状態で、上下方向に変位させることができる。
【０５１１】
ここで、対向配置され近接または離間する方向へそれぞれ変位可能に形成されると共に対向辺どうしを当接させた状態で同方向へ変位可能に形成された第１変位部材（装飾ユニット６７２Ｕ）および第２変位部材（装飾ユニット６７２Ｄ）を備えた遊技機が知られている。かかる遊技機によれば、第１変位部材および第２変位部材を対向辺どうしが当接する位置まで近接させることで、それら第１変位部材および第２変位部材の背面側に位置する対象物（例えば、液晶表示装置や演出部材）を遮蔽すると共に、第１変位部材および第２変位部材を互いに離間する方向へ変位させることで、その変位に伴って遮蔽を解除して、対象物を視認可能とする演出を行うことができる。また、対向辺どうしを当接させた状態で第１変位部材および第２変位部材を同方向へ変位（例えば、一方向および他方向へ往復変位）させることで、対象物の遮蔽を維持しつつ、その遮蔽の解除を行う前の演出（遮蔽の解除動作に着目させる演出）を行うこともできる。
【０５１２】
しかしながら、上述した従来の遊技機では、構成部材の寸法公差や組立公差に起因して、第１変位部材および第２変位部材の対向辺どうしを密着させることが困難であり、対向辺どうしの間に隙間が形成される恐れがあるという問題点があった。対向辺どうしの間に隙間が形成されると、その隙間を通して背面側の対象物を遊技者が視認可能となり、演出効果が阻害される。
【０５１３】
これに対し、本実施形態によれば、ベース部材６６０と、そのベース部材６６０に装飾ユニット６７２Ｕおよび装飾ユニット６７２Ｄをそれぞれ変位可能に支持する駆動手段６８０Ｕおよび駆動手段６８０Ｄを備え、駆動手段６８０Ｕの支持態様が装飾ユニット６７２Ｕの対向辺の一側へ偏倚され、装飾ユニット６７２Ｕの対向辺の一側に当接される装飾ユニット６７２Ｄの対向辺の他側とは反対側となる装飾ユニット６７２Ｄの対向辺の一側へ駆動手段６８０Ｄの支持態様が偏倚されるので、装飾ユニット６７２Ｕおよび装飾ユニット６７２Ｄの対向辺どうしを当接させた状態では、駆動手段６８０Ｕの支持態様と駆動手段６８０Ｄの支持態様とを互いに反対側（対向辺の一側および他側の中央を回転中心として１８０°回転させた側）へ偏倚させることができる。これにより、装飾ユニット６７２Ｕ及び装飾ユニット６７２Ｄの対向辺どうしを密着させやすくでき、対向辺どうしの間に隙間が形成されることを抑制できる（図６３参照）。
【０５１４】
本実施形態では、一側と他側（左右方向の両側）で、構成部材の配設数が異なるので、装飾ユニット６７２の左右に伝達される駆動力が異なり、駆動手段６８０Ｕ及び駆動手段６８０Ｄは、自分の剛性の高い側（低い側）を相手の剛性の低い側（高い側）に向か合せることができる。よって、装飾ユニット６７２Ｕおよび装飾ユニット６７２Ｄの対向辺どうしを当接させた状態では、駆動手段６８０Ｕおよび駆動手段６８０Ｄのそれぞれが、剛性の高い側では相手を押し込む（前進する）と共に、剛性の低い側では相手を受け入れる（後退する）状態を形成できる。その結果、装飾ユニット６７２Ｕおよび装飾ユニット６７２Ｄの対向辺どうしを密着させやすくでき、対向辺どうしの間に隙間が形成されることを抑制できる。
【０５１５】
駆動手段６８０Ｕは、駆動力を発生する駆動モータＫＭ３Ｕと、装飾ユニット６７２Ｕをベース部材に連結する一対の延設部材６７１Ｕと、それら一対の延設部材６７１Ｕへ駆動モータＫＭ３Ｕの駆動力をそれぞれ伝達すると共に互いに異なる構成とされる第１リンク部材６８４Ｕおよび第２リンク部材６８６Ｕとを備え、駆動手段６８０Ｄは、駆動力を発生する駆動モータＫＭ３Ｄと、装飾ユニット６７２Ｄをベース部材６６０に連結する一対の延設部材６７１Ｕと、それら一対の延設部材６７１Ｕへ駆動モータＫＭ３Ｕの駆動力をそれぞれ伝達すると共に互いに異なる構成とされる第２リンク部材６８６Ｄおよび第１リンク部材６８４Ｄとを備えるので、装飾ユニット６７２Ｕおよび装飾ユニット６７２Ｄの対向辺どうしを密着させやすくでき、対向辺どうしの間に隙間が形成されることを抑制できる。
【０５１６】
即ち、装飾ユニット６７２Ｕおよび装飾ユニット６７２Ｄの対向辺どうしを当接させた状態では、駆動手段６８０Ｕおよび駆動手段６８０Ｄのそれぞれが、例えば、駆動力の大きい側や駆動力の伝達タイミングが先の側では相手を押し込む（前進する）と共に、駆動力の小さい側や駆動力の伝達タイミングが後の側では相手を受け入れる（後退する）状態を形成できる。その結果、装飾ユニット６７２Ｕおよび装飾ユニット６７２Ｄの対向辺どうしを密着させやすくでき、対向辺どうしの間に隙間が形成されることを抑制できる。
【０５１７】
また、延設部材６７１Ｕおよび延設部材６７１Ｄは、互いに略同一の長さに形成されると共に、一端側が装飾ユニット６７２Ｕまたは装飾ユニット６７２Ｄに連結されると共に他端側がベース部材６６０に同軸上に回転可能に軸支されるので、装飾ユニット６７２Ｕおよび装飾ユニット６７２Ｄをそれらの対向辺どうしを当接させつつ同方向へ往復動作させる際に、支持態様の偏倚を利用する場合でも、対向辺どうしが当接された状態を維持しやすくできる。
【０５１８】
さらに、延設部材６７１Ｕまたは延設部材６７１Ｄには、ゴム状弾性材料から形成される弾性部材６７１ｆが配設され、装飾ユニット６７２Ｕおよび装飾ユニット６７２Ｄが対向辺どうしを当接させた状態では、弾性体が延設部材６７１Ｕおよび延設部材６７１Ｄの間に弾性的に圧縮された状態で介在されるので、装飾ユニット６７２Ｕおよび装飾ユニット６７２Ｄをそれらの対向辺どうしを当接させつつ同方向へ往復動作させる際に、支持態様の偏倚を利用する場合でも、対向辺どうしが当接された状態を維持しやすくできる。
【０５１９】
また、上述したように、駆動手段６８０Ｕは、駆動力を発生する駆動モータＫＭ３Ｕと、その駆動モータＫＭ３Ｕにより駆動されると共に装飾ユニット６７２Ｕをベース部材６６０に連結する一対の延設部材６７１Ｕと、それら一対の延設部材６７１Ｕへそれぞれ異なる付勢力を付与する２つのねじりバネＳＰ１とを備え、駆動手段６８０Ｄは、駆動力を発生する駆動モータＫＭ３Ｄと、その駆動モータＫＭ３Ｄにより駆動されると共に装飾ユニット６７２Ｄを前記ベース部材６６０に連結する一対の延設部材６７１Ｄと、それら一対の延設部材６７１Ｄへそれぞれ異なる付勢力を付与する２つのねじりバネＳＰ２とを備えるので、装飾ユニット６７２Ｕおよび装飾ユニット６７２Ｄの対向辺どうしを密着させやすくでき、対向辺どうしの間に隙間が形成されることを抑制できる。
【０５２０】
即ち、装飾ユニット６７２Ｕおよび装飾ユニット６７２Ｄの対向辺どうしを当接させた状態では、駆動手段６８０Ｕおよび駆動手段６８０Ｄのそれぞれが、例えば、付勢力の大きい側では相手を押し込む（前進する）と共に、付勢力の小さい側では相手を受け入れる（後退する）状態を形成できる。その結果、装飾ユニット６７２Ｕおよび装飾ユニット６７２Ｄの対向辺どうしを密着させやすくでき、対向辺どうしの間に隙間が形成されることを抑制できる。
【０５２１】
なお、２つのねじりバネＳＰ１とは、互いに同一の構成であっても良い。即ち、付勢力を作用させる位置が互いに異なる、或いは、弾性変形量が互いに異なることで、一対の延設部材６７１Ｕへそれぞれ付与する付勢力を異ならせるものであっても良い。２つのねじりバネＳＰ２とについても同様である。
【０５２２】
さらに、駆動手段６８０Ｕは、駆動力を発生する駆動モータＫＭ３Ｕと、その駆動モータＫＭ３Ｕにより駆動されると共に装飾ユニット６７２Ｕをベース部材６６０に連結する一対の延設部材６７１Ｕと、それら一対の延設部材６７１Ｕのうちの一方へ付勢力を付与する第１付勢部材とを備え、駆動手段６８０Ｄは、駆動力を発生する駆動モータＫＭ３Ｄと、その駆動モータＫＭ３Ｄにより駆動されると共に装飾ユニット６７２Ｄをベース部材６６０に連結する一対の延設部材６７１Ｄと、それら一対の延設部材６７１Ｄのうちの一方へ付勢力を付与する第２付勢部材とを備えるので、装飾ユニット６７２Ｕおよび装飾ユニット６７２Ｄの対向辺どうしを密着させやすくでき、対向辺どうしの間に隙間が形成されることを抑制できる。
【０５２３】
即ち、装飾ユニット６７２Ｕおよび装飾ユニット６７２Ｄの対向辺どうしを当接させた状態では、駆動手段６８０Ｕおよび駆動手段６８０Ｄのそれぞれが、例えば、付勢力が作用される側では相手を押し込む（前進する）と共に、付勢力が作用されない側では相手を受け入れる（後退する）状態を形成できる。その結果、装飾ユニット６７２Ｕおよび装飾ユニット６７２Ｄの対向辺どうしを密着させやすくでき、対向辺どうしの間に隙間が形成されることを抑制できる。
【０５２４】
上述したように、ねじりばねとして形成され一方の脚が延設部材６７１Ｕに連結されると共に他方の脚がベース部材６６０に連結され、装飾ユニット６７２Ｕを装飾ユニット６７２Ｄへ近接させる方向への付勢力を付与するねじりバネＳＰ１を備えるので、装飾ユニット６７２Ｕを装飾ユニット６７２Ｄへ近接する方向へ変位させる際には、延設部材６７１Ｕを回転させるのに必要な駆動モータＫＭ３Ｕの駆動力を、ねじりバネＳＰ１の付勢力によって補助することができる。よって、例えば、装飾ユニット６７２Ｕを、装飾ユニット６７２Ｄから離間する退避位置から装飾ユニット６７２Ｄと当接する当接位置へ停止状態から変位させる際には、その変位の開始をスムーズに行うことができる。
【０５２５】
この場合、装飾ユニット６７２Ｕを装飾ユニット６７２Ｄへ近接させる方向へ延設部材６７１Ｕが回転されるに従って、ねじりバネＳＰ１の一方の脚と延設部材６７１Ｕとの連結位置またはねじりバネＳＰ１の他方の脚とベース部材６６０との連結位置の少なくとも一方が巻回部から離間されるので、巻回部から力の作用位置までの距離が長くなる分、装飾ユニット６７２Ｕを装飾ユニット６７２Ｄへ近接させる方向への付勢力を弱めることができる。よって、例えば、装飾ユニット６７２Ｄへ近接させた装飾ユニット６７２Ｕを停止させる際には、その変位の停止を確実に行うことができるので、衝突に伴う破損を抑制できる。また、対向辺どうしを当接させた状態で装飾ユニット６７２Ｕおよび装飾ユニット６７２Ｄを同方向へ往復変位させる際には、その往復変位に必要な駆動力を抑制できるので、往復変位の変位速度を高めることができ、演出効果を向上できる。
【０５２６】
一方で、ねじりばねとして形成され一方の脚が延設部材６７１Ｄに連結されると共に他方の脚がベース部材に連結され、装飾ユニット６７２Ｄを装飾ユニット６７２Ｕへ近接させる方向への付勢力を付与するねじりバネＳＰ２を備え、装飾ユニット６７２Ｄを装飾ユニット６７２Ｕへ近接させる方向へ延設部材６７１Ｄが回転されるに従って、ねじりバネＳＰ２の一方の脚と延設部材６７１Ｄとの連結位置またはねじりバネＳＰ２の他方の脚とベース部材との連結位置の少なくとも一方が巻回部から離間されるので、ねじりバネＳＰ１と同様の効果をねじりバネＳＰ２が奏する。特に、対向辺どうしを当接させた状態で装飾ユニット６７２Ｕおよび装飾ユニット６７２Ｄを同方向へ往復変位させる際には、両者においてその往復変位に必要な駆動力を抑制できるので、特に有効となる。また、装飾ユニット６７２Ｕおよび装飾ユニット６７２Ｄが互いに同じ高さ（重力方向位置に配置される）され、両者の当接する位置が重力方向で最も高い位置（又は最も低い位置）となり且つ両者の離間する位置（退避位置）が重力方向で最も低い位置（又は最も高い位置）となる場合に、ねじりバネＳＰ１及びねじりバネＳＰ２の構成が特に有効となる。
【０５２７】
装飾ユニット６７２Ｕが重力方向上方への変位により装飾ユニット６７２Ｄへ近接されるものであるので、装飾ユニット６７２Ｕが重力方向下方に位置するほど装飾ユニット６７２Ｕを重力方向上方へ変位させる方向への付勢力を強くできる（即ち、装飾ユニット６７２Ｕが重力方向上方に位置するほど装飾ユニット６７２Ｕを重力方向上方へ変位させる方向への付勢力を弱くできる）。
【０５２８】
よって、重力方向上方へ向けて装飾ユニット６７２Ｕを停止状態から変位（上昇）させる際には、その変位（上昇）の開始をスムーズに行うことができると共に、上昇した装飾ユニット６７２Ｕを停止させる際には、その変位の停止を、重力の作用だけでなく、付勢力が弱まることで、確実に行うことができる。その結果、装飾ユニット６７２Ｄへの衝突に伴う破損を抑制できる。一方、重力方向下方へ向けて変位（下降）された装飾ユニット６７２Ｕを停止させる際には、付勢力が強まることで、かかる付勢力を、下降を継続させようとする重力の作用に対抗させることができる。その結果、装飾ユニット６７２Ｕの停止を確実に行わせることができる。
【０５２９】
ねじりばねとして形成され一方の脚が延設部材６７１Ｄに連結されると共に他方の脚がベース部材６６０に連結され、装飾ユニット６７２Ｄを装飾ユニット６７２Ｕから離間させる方向への付勢力を付与するねじりバネＳＰ２を備え、装飾ユニット６７２Ｄが重力方向上方への変位により装飾ユニット６７２Ｕから離間されるものであるので、装飾ユニット６７２Ｄを装飾ユニット６７２Ｕから離間する方向へ変位させる際、即ち、装飾ユニット６７２Ｄを重力方向に逆らって変位（上昇）させることが必要な際に、延設部材６７１Ｕを回転させるのに必要な駆動モータＫＭ３Ｄの駆動力を、ねじりバネＳＰ２の付勢力によって補助することができる。よって、その変位をスムーズに行うことができる。
【０５３０】
この場合、装飾ユニット６７２Ｄを装飾ユニット６７２Ｕへ近接させる方向へ延設部材６７１Ｄが回転されるに従って、ねじりバネＳＰ２の一方の脚と延設部材６７１Ｄとの連結位置またはねじりバネＳＰ２の他方の脚とベース部材６６０との連結位置の少なくとも一方が巻回部から離間されるので、巻回部から力の作用位置までの距離が長くなる分、装飾ユニット６７２Ｄを装飾ユニット６７２Ｕから離間させる方向（重力方向上方へ上昇させる方向）への付勢力を弱めることができる。よって、例えば、対向辺どうしを当接させた状態で装飾ユニット６７２Ｕおよび装飾ユニット６７２Ｄを同方向へ往復変位させる際には、その往復変位に必要な駆動力を抑制できるので、往復変位の変位速度を高めることができ、演出効果を向上できる。
【０５３１】
次いで、図６４を参照して、第２実施形態の回転部材２８１２について説明する。上記第１実施形態では、回転部材８１２に形成される突起８１２ａ１が、ハブ８１２ａの周方向に沿って両側に傾斜する山形に形成される場合を説明したが、第２実施形態の回転部材２８１２に形成される突起２８１２ａは、湾曲した半球状に形成される。なお、上述した第１実施形態と同一の部分には同一の符号を付して、その説明は省略する。
【０５３２】
図６４（ａ）は、第２実施形態における回転部材２８１２の部分拡大図であり、図６４（ｂ）は、図６４（ａ）のＬＸＩＶｂ−ＬＸＩＶｂ線における回転部材２８１２の断面図である。なお、図６４（ａ）は、図３６（ａ）と対応する。
【０５３３】
図６４に示すように、回転部材２８１２のハブ８１２ａには、外リールユニット８２０の縁部８２４側に突出する突起２８１２ａ１が形成される。突起２８１２ａ１は、ハブ８１２ａの周方向に所定の間隔で形成される。
【０５３４】
突起２８１２ａ１は、お椀型に湾曲して形成される。これにより、内リールユニット８１０を回転させた際に、空気を押し出して風を発生させることができる。また、押し出された空気（風）は、対向する外リール８２１の縁部８２４に衝突することでで、内リール８１１の外周面と外リールとの対向間に流入される。これにより、内リール８１１の外周面または外リール８２１の内周面に張り付いた埃（ゴミ）及び張り付こうとする埃を吹き飛ばすことができる。その結果、内リール８１１の外周面または外リール８２１の内周面に埃が張り付くことを抑制できる。
【０５３５】
また、第２実施形態の突起２８１２ａ１は、お椀型に湾曲して形成されるので、第１実施形態の突起８１２ａ１よりもその剛性を高くできる。その結果、内リールユニット８１０又は外リールユニット８２０が回転駆動された際にぐらついて突起２８１２ａ１の先端が外リールユニット８２０のスポーク８２２と当接した場合に、突起２８１２ａが破損することを抑制できる。
【０５３６】
次いで、図６５及び図６６を参照して、第３実施形態の外リールユニット８２０について説明する。上記第１実施形態では、回転部材８１２に突起８１２ａ１が形成される場合を説明したが、第２実施形態では、突起３８２４ａが、縁部８２４に形成される。なお、上述した各実施形態と同一の部分には同一の符号を付して、その説明は省略する。
【０５３７】
図６５は、第３実施形態における装飾図柄表示装置８００の断面図であり、図６６（ａ）は、外リールユニット８２０の部分拡大図であり、図６６（ｂ）は、図６６（ａ）のＬＸＶＩｂ−ＬＸＶＩｂ線における外リールユニット８２０の断面図である。
【０５３８】
図６５及び図６６に示すように、外リールユニット８２０のスポーク３８２２の延長線上の縁部８２４には、内リールユニット８１０の回転部材８１２側に突出する突起３８２４ａが形成される。突起３８２４ａは、各スポーク３８２２の外側（外リール８２１側）端部に形成される。
【０５３９】
突起３８２４ａは、外リール８２１の周方向に沿って両側が傾斜する形に形成される。よって、外リールユニット８２０を回転させることで、空気を押し出して風を発生させることができる。また、押し出された空気（風）は、対向する内リールユニット８１０のハブ８１２ａに衝突することで、内リール８１１の外周面と外リールとの対向間に流入される。これにより、内リール８１１の外周面または外リール８２１の内周面に張り付いた埃（ゴミ）及び張り付こうとする埃を吹き飛ばすことができる。その結果、内リール８１１の外周面または外リール８２１の内周面に埃が張り付くことを抑制できる。
【０５４０】
次いで、図６７及び図６８を参照して、第４実施形態の回転部材４８１２について説明する。上記第１実施形態では、回転部材８１２に形成される突起８１２ａ１が、ハブ８１２ａの周方向に沿って両側が傾斜する山型に形成される場合を説明したが、第４実施形態の回転部材４８１２に形成される突起４８１２ａは、ハブ８１２ａの径方向に対して傾斜して形成される。なお、上述した各実施形態と同一の部分には同一の符号を付して、その説明は省略する。
【０５４１】
図６７は、第４実施形態における装飾図柄表示装置８００の断面図であり、図６８（ａ）は、回転部材４８１２の部分拡大図であり、図６８（ｂ）は、図６８（ａ）のＬＸＶＩＩＩｂ−ＬＸＶＩＩＩｂ線における回転部材４８１２の断面図である。
【０５４２】
図６７及び図６８に示すように、回転部材４８１２のハブ８１２ａには、外リールユニットの縁部８２４側に突出する突起４８１２ａ１が形成される。突起４８１２ａ１は、ハブ８１２ａの周方向に所定の間隔で形成される。
【０５４３】
突起４８１２ａ１は、側面視において矩形状に形成され、その長手方向とハブ８１２ａの径方向とが交わる態様に形成される。即ち、突起４８１２ａ１は、ハブ８１２ａの径方向外側端部から径方向内側端部に向かうに従って、周方向に傾斜して形成される。また、その傾斜方向は、内リールユニット８１０の通常の回転方向側に傾斜して形成される。
【０５４４】
よって、内リールユニット８１０を回転させた際に、空気を押し出して風を発生させることができる。また、押し出された空気（風）は、対向する外リール８２１の縁部８２４に衝突することで、内リール８１１の外周面と外リール８２１との対向間に流入される。これにより、内リール８１１の外周面または外リール８２１の内周面に張り付いた埃（ゴミ）及び張り付こうとする埃を吹き飛ばすことができる。その結果、内リール８１１の外周面または外リール８２１の内周面に埃が張り付くことを抑制できる。
【０５４５】
また、第４実施形態の突起４８１２ａ１は、ハブ８１２ａの径方向外側端部から径方向内側端部に向かうに従って周方向に傾斜して形成され、その傾斜方向が、内リールユニット８１０の通常の回転方向側とされるので、内リールユニット８１０の回転で風を発生させやすくできる。その結果、内リール８１１の外周面または外リール８２１の内周面に埃が張り付くことを抑制できる。
【０５４６】
即ち、外リールユニット８２０の外リール８２１の少なくとも一部が光透過性を有して形成されると共に、内リールユニット８１０の内リール８１１に複数の図柄が周方向に沿って配列されるので、外リールユニット８２０を介して内リールユニット８１０の回転に伴う図柄の変動を遊技者に視認させることができる。この場合、内リールユニット８１０のハブ８１２ａに突起４８１２ａ１が立設される、即ち、外リールユニット８２０よりも回転回数が多くされる内リールユニット８１０のハブ８１２ａに突起４８１２ａ１が立設されるので、外リールユニット８２０又は内リールユニット８１０の回転による演出において、外リール８２１の内面および内リール８１１の外面を掃除する機会を増加させることができる。
【０５４７】
次いで、図６９及び図７０を参照して、第５実施形態の内リールユニット５８１０について説明する。上記第１実施形態では、内リールユニット８１０のスポーク８１２ｃが、径方向外側に向かうに従って、外リールユニット８２０の縁部８２４側に傾斜する態様に形成される場合を説明したが、第５実施形態では、内リールユニット５８１０のスポーク５８１２ｃが、径方向外側に向かうに従って、外リールユニット８２０の縁部８２４と反対側に傾斜する態様に形成される。なお、上述した各実施形態と同一の部分には同一の符号を付して、その説明は省略する。
【０５４８】
図６９は、第５実施形態における装飾図柄表示装置８００の断面図である。図７０（ａ）は、円環部材８１３の部分拡大図であり、図７０（ｂ）は、図７０（ａ）のＬＸＸｂ−ＬＸＸｂ線における円環部材８１３の断面図である。なお、第５実施形態における装飾図柄表示装置８００では、バックライトユニット８３０が取り外される。
【０５４９】
図６９及び図７０に示すように、第５実施形態における内リールユニット５８１０は、回転部材５８１２のスポーク８１２ｃが、径方向外側に向かうに従って、外リールユニット８２０の縁部８２４と反対側に傾斜して形成される。よって、外リールユニット８２０のスポーク８２２の傾斜方向と内リールユニット８１０のスポーク８１２ｃの傾斜方向とが、左右対称とされる。
【０５５０】
また、内リールユニット５８１０の円環部材８１３の外リールユニット８２０の縁部８２４と対向する面には、突起５８１３ａが突出形成される（図７０参照）。突起５８１３ａは、円環部材８１３の周方向に一定の間隔で複数個形成される。
【０５５１】
突起５８１３ａは、円環部材８１３の周方向に沿って両側に傾斜する山形に形成される。これにより、内リールユニット８１０を回転させた際に、空気を押し出して風を発生させることができる。また、押し出された空気（風）は、対向する外リール８２１の縁部８２４に衝突することでで、内リール８１１の外周面と外リールの内周面との対向間に流入される。これにより、内リール８１１の外周面または外リール８２１の内周面に張り付いた埃（ゴミ）及び張り付こうとする埃を吹き飛ばすことができる。その結果、内リール８１１の外周面または外リール８２１の内周面に埃が張り付くことを抑制できる。
【０５５２】
ここで、外リールユニット８２０のスポーク８２２と内リールユニット８１０のスポーク８１２ｃとが、装飾図柄表示装置８００の左右両側に配置されると、その対向間（内リールユニット８１０と外リールユニット８２０との間のスペース）に空気を十分に送れなくなるために、内リールユニット８１０と外リールユニット８２０とを駆動させる駆動モータＫＭ１，ＫＭ２を十分に冷却することができなくなり、駆動モータＫＭ１，ＫＭ２が故障する恐れがあった。
【０５５３】
これに対し、第５実施形態では、突起５８１３ａにより、内リール８１１の外周面と外リールの内周面との対向間に流入される空気の流れを発生させることができるので、この空気の流れにより、装飾図柄表示装置８００の左右両側からの吸気をさせやすくできる。従って、内リールユニット８１０と外リールユニット８２０との間のスペースに空気を送ることができる。その結果、駆動モータＫＭ１，ＫＭ２を冷却することができるので、駆動モータＫＭ１，ＫＭ２が故障することを抑制できる。
【０５５４】
次いで、図７１から図７３を参照して、第６実施形態の内リールユニット８１０及び外リールユニット８２０について説明する。上記第１実施形態では、突起８１２ａ１が内リールユニット８１０のみに形成される場合を説明したが、第６実施形態では、突起６８１２ａ１，６８２４ａが、内リールユニット８１０及び外リールユニット８２０に形成される。なお、上述した各実施形態と同一の部分には同一の符号を付して、その説明は省略する。
【０５５５】
図７１は、第６実施形態における装飾図柄表示装置８００の断面図である。図７２（ａ）は、回転部材６８１２の部分拡大図であり、図７２（ｂ）は、図７２（ａ）のＬＸＸＩＩｂ−ＬＸＸＩＩｂ線における回転部材６８１２の断面図である。図７３（ａ）は、外リールユニット８２０の部分拡大図であり、図７３（ｂ）は、図７３（ａ）のＬＸＸＩＩＩｂ−ＬＸＸＩＩＩｂ線における外リールユニット８２０の断面図である。
【０５５６】
図７１から図７３に示すように、回転部材６８１２のハブ８１２ａには、外リールユニット８２０の縁部８２４側に突出する突起６８１２ａ１が形成される。突起２８１２ａ１は、ハブ８１２ａの周方向に所定の間隔で形成される。また、突起６８１２ａ１は、ハブ８１２ａの周方向に沿って両側が傾斜した山形に形成される。
【０５５７】
外リールユニット８２０の縁部８２４には、回転部材６８１２のハブ８１２ａ側に突出する突起６８２４ａが形成される。突起６８２４ａは、外リール８２１の周方向に一定の間隔で形成される。また、突起６８２４ａは、外リール８２１の周方向に沿って両側が傾斜した山形に形成される。
【０５５８】
突起６８１２ａ１は、突起６８２４ａよりも回転部材６８１２の径方向内側に形成される。これにより、内リールユニット８１０又は外リールユニット８２０が回転された際に、突起６８１２ａ１が、突起６８２４ａと衝突することを抑制できる。
【０５５９】
よって、内リールユニット８１０又は外リールユニット８２０が回転された際に突起６８１２ａ１及び突起６８２４ａにより風を発生させることができる。即ち、内リールユニット８１０又は外リールユニット８２０のうちどちらか一方が回転されることで風を発生させることができる。
【０５６０】
また、この場合、突起６８１２ａ１又は突起６８２４ａのどちらか一方に押し出された空気を、突起６８１２ａ１又は突起６８２４ａのどちらか他方に衝突させることができるので、空気の流れをより規制することができる。よって、内リール８１１の外周面と外リールの内周面との対向間に流入される空気の流れを早くすることができる。これにより、内リール８１１の外周面または外リール８２１の内周面に張り付いた埃（ゴミ）及び張り付こうとする埃を吹き飛ばすことができる。その結果、内リール８１１の外周面または外リール８２１の内周面に埃が張り付くことを抑制できる。
【０５６１】
即ち、第６実施形態では、縁部８２４の内面とハブ８１２ａの外面とのそれぞれに径方向に位置を違えて突起８６２４ａ及び突起６８１２ａが立設されるので、外リールユニット８２０又は内リールユニット８１０のいずれが回転される場合であっても、縁部８２４の内面とハブ８１２ａの外面との間で突起８６２４ａ及び突起６８１２ａを周方向へ変位させて風圧を発生させることができる。よって、外リールユニット８２０又は内リールユニット８１０の回転による演出において、外リール８２１の内面および内リール８１１の外面を掃除する機会を増加させることができる。
【０５６２】
突起６８１２ａ１と突起６８２４ａとが径方向に対向する互いの面には、傾斜した面が形成される。これにより、径方向に空気が流れる際の空気抵抗を小さくすることができる。その結果、内リール８１１の外周面または外リール８２１の内周面に張り付いた埃（ゴミ）及び張り付こうとする埃を吹き飛ばしやすくできる。
【０５６３】
さらに、突起６８１２ａ１の周方向への配置間隔と突起６８２４ａの周方向への配置間隔とは、異なる間隔で形成される。これにより、突起６８１２ａ１と突起６８２４ａとが、径方向に重なる位置をずらすことができる。従って、突起６８１２ａ１と突起６８２４ａとが、径方向に重なることで空気が圧縮される位置を複数にばらけさせることができる。その結果、突起６８１２ａ１と突起６８２４ａとが径方向に重なって空気が圧縮されることで、内リールユニット８１０及び外リールユニット８２０の回転速度が遅くされることを抑制できる。
【０５６４】
次いで、図７４から図７７を参照して、第７実施形態の回転部材７５３３について説明する。上記第１実施形態では、第１電動役物５２０が左右対称に同じ態様で駆動される場合を説明したが、第７実施形態では、第１電動役物５２０の駆動が左右で異なって駆動される。なお、上述した各実施形態と同一の部分には同一の符号を付して、その説明は省略する。
【０５６５】
初めに、図７４を参照して、第７実施形態における回転部材７５３３の詳しい説明をする。図７４（ａ）は、第７実施形態における回転部材７５３３の正面図であり、図７４（ｂ）は、回転部材７５３３の側面図である。
【０５６６】
図７４に示すように、回転部材７５３３は、側面視略Ｌ字に形成される板状体を左右方向に所定の幅を隔てて２つ並設すると共に、一端側の対向間が連結部５３３ａにより連結されて形成される。また、左右両端に配設される板状体は、その側面視形状における略Ｌ字に屈曲した屈曲角度が左右でそれぞれ異なって配設される。第７実施形態では、正面視左側に形成される板状体のＬ字の屈曲角度は、正面視右側に形成される板状体のＬ字の屈曲角度よりも大きく設定される。
【０５６７】
よって、回転部材７５３３の他端側（図７４（ｂ）左側）に凹設して形成される駆動部７５３３ｄは、左右で上下方向に異なる位置に形成される。また、駆動部７５３３ｄは、その凹設幅（図７４（ｂ）左側の上下方向幅）が、第１電動役物５２０に形成される突起５２３の外形よりも大きく形成され、駆動部７５３３ｄの内部を突起５２３が摺動可能に形成される。
【０５６８】
また、回転部材７５３３の正面視左右方向における幅寸法（２つの板状体の外側面の対向間寸法）は、摺動部材５３２の２つの第１突起５３２ｂの内側の対向間寸法よりも、小さく設定される。これにより、回転部材５３３を、摺動部材５３２の第１突起５３２ｂの対向間に配置できる。
【０５６９】
また、正面視において回転部材７５３３は、左右の板部材の対向間の寸法が、遊技球の直径よりも大きく設定される。これにより、回転部材７５３３の内側（２つの板部材の対向間）に遊技球を通過させることができる。
【０５７０】
回転部材７５３３は、側面視略Ｌ字の屈曲部分から左右方向両側に突出する回転軸５３３ｃと、側面視略Ｌ字の一端側の端部から左右方向両側に突出する突起５３３ｂと、側面視略Ｌ字の他端側の先端に凹設して形成される駆動部７５３３ｄとを主に備えて形成される。
【０５７１】
次いで、図７５から図７６を参照して、第７実施形態の第１電動役物５２０の駆動態様について説明する。図７５（ａ）から図７５（ｃ）は、駆動ユニット５３０及び第１電動役物５２０の側面図である。図７６（ａ）から図７６（ｃ）は、駆動ユニット５３０及び第１電動役物５２０の正面図である。
【０５７２】
なお、図７５（ａ）及び図７６（ａ）は第１電動役物５２０の第１状態が、図７５（ｃ）及び図７６（ｃ）は第１電動役物５２０の第２状態が、図７５（ｂ）及び図７６（ｂ）は第１電動役物５２０が第１状態と第２状態との間に位置する状態が、それぞれ図示される。また、図７５及び図７６では、第１ケース部材５３４及び第２ケース部材５３５が透明視された状態が図示される。
【０５７３】
図７５（ａ）及び図７６（ａ）に示すように、ソレノイド５３１の可動体５３１ｂが、本体部５３１ａの内部から張り出した状態では、回転部材５３３の突起５３３ｂが正面側（図７５（ａ）左側）に押されて、駆動部７５３３ｄを下方に位置させた状態とされる。これにより、第１電動役物５２０は、突起５２３が下方に押し下げられて、第１状態とされる。
【０５７４】
なお、この場合、右側の駆動部７５３３ｄの内側と右羽部材５２０Ｒの突起５２３Ｒの上側（図７５（ａ）上側）との間に隙間ができる。これは、突起５２３Ｒを駆動部７５３３ｄにより一定位置まで押し下げて右羽部材５２０Ｒを第１状態とする途中で、右羽部材５２０Ｒの重心が回転軸（貫通孔５２１Ｒ）よりも正面視左側に切り替えて、右羽部材５２０Ｒを自重により第１状態まで回転させることで形成される。
【０５７５】
また、左側の駆動部７５３３ｄの内側と左羽部材５２０Ｌの突起５２３Ｌの下側（図７５（ａ）下側）との間に隙間が形成される。
【０５７６】
次いで、図７５（ｂ）及び図７６（ｂ）に示すように、ソレノイド５３１の可動体５３１ｂを本体部５３１ａの内部に引き込む際には、回転部材５３３の突起５３３ｂが背面側（図７５（ｂ）右側）に引き込まれて、駆動部７５３３ｄが上方へ持ち上げられる。これにより、第１電動役物５２０は、突起５２３を上方に押し上げられて回転される。
【０５７７】
この場合、上述したように、第１状態では、左側の駆動部７５３３ｄの内側と左羽部材５２０Ｌの突起５２３Ｌの下側（図７５（ａ）下側）との間に隙間が形成されるので、回転部材５３３が回転された（駆動部５３３ｄが持ち上げられた）際に、その隙間の分、左側の駆動部７５３３ｄと突起５２３Ｌの係合が遅くされる。よって、右側の羽部材５２０Ｒの第２状態への変位の始動の方が早くされる。
【０５７８】
次いで、図７５（ｂ）及び図７６（ｂ）に示す状態を経て、ソレノイド５３１の可動体５３１ｂが更に本体部５３１ａの内部に引き込まれると、回転部材５３３が回転終端位置まで回転される。よって、回転部材５３３の駆動部７５３３ｄが上方へ持ち上げられて、第１電動役物５２０が、図７６（ｃ）及び図７６（ｃ）に示す第２状態とされる。
【０５７９】
なお、この場合、左側の駆動部７５３３ｄの内側と右羽部材５２０Ｒの突起５２３Ｒの下側（図７５（ｃ）下側）との間に隙間が形成される。これは、突起５２３Ｌを駆動部７５３３ｄにより一定位置まで押し上げて左羽部材５２０Ｌを第２状態とする途中で、左羽部材５２０Ｌの重心が回転軸（貫通孔５２１Ｌ）よりも正面視左側に切り替えて、左羽部材５２０Ｌを自重により第１状態まで回転させることで形成される。
【０５８０】
また、右側の駆動部７５３３ｄの内側と右羽部材５２０Ｒの突起５２３Ｒの下側（図７５（ａ）下側）との間に隙間が形成される。
【０５８１】
よって、第１状態から第２状態へ第１電動役物５２０を変位させる際には、右羽部材５２０Ｒの始動を先にすることができると共に、左羽部材５２０Ｌの第２状態への変位を右羽部材５２０Ｒよりも後にすることができる。
【０５８２】
図７５（ｃ）及び図７６（ｃ）に示す第２状態から図７５（ａ）及び図７６（ｃ）に示す第１状態への変位は、上述した第１状態から第２状態への変位と反対となるのみであるのでその詳しい説明は省略する。
【０５８３】
よって、第２状態から第１状態へ第１電動役物５２０を変位させる際には、左羽部材５２０Ｌの始動を先にすることができると共に、右羽部材５２０Ｒの第１状態への変位を左羽部材５２０Ｌよりも先にすることができる。
【０５８４】
次いで、図７７を参照して、第７実施形態の入賞口ユニット５００に遊技球が入球する場合の説明をする。図７７（ａ）及び図７７（ｂ）は、入賞口ユニット５００の断面図である。
【０５８５】
なお、図７７（ａ）及び図７７（ｂ）は、図２４（ｂ）の入賞口ユニット５００の断面図と対応する。また、図７７（ａ）及び図７７（ｂ）では、第１電動役物５２０が第２状態から第１状態へ変位される途中の状態が図示される。
【０５８６】
図７７（ａ）及び図７７（ｂ）に示すように、第１電動役物５２０が第２状態から第１状態へ変位される際には、左羽部材５２０Ｌの始動が先に行われると共に、右羽部材５２０Ｒの第１状態への変位が左羽部材５２０Ｌよりも遅くされる。
【０５８７】
即ち、第１電動役物５２０の右羽部材５２０Ｒのみが開放された状態を瞬間的に形成できる。この際に、右羽部材５２０Ｒ側から遊技球が入球されると、右羽部材５２０Ｒの側面５２６Ｒを転動する遊技球は、膨出部５２４Ｒにより正面側（図７７（ａ）下側）に案内される。よって、左羽部材５２０Ｌの膨出部５２４Ｌに遊技球を衝突させやすくできる。
【０５８８】
左羽部材５２０Ｌの膨出部５２４Ｌは、正面側の端部に形成されるので、膨出部５２４Ｌに衝突させた遊技球を背面側に跳ね返らせやすい。従って、右羽部材５２０Ｒから入球される遊技球を第２入賞口１４０に入球させやすくできる。
【０５８９】
即ち、第７実施形態では、第１電動役物５２０を第１状態へ変位させる際に、膨出部５２４Ｌが正面側に形成される側の左羽部材５２０Ｌと反対側の右羽部材５２０Ｒの変位を、左羽部材５２０Ｌよりも後にすることで、第１状態への変位途中に入球される遊技球をスムーズに第２入賞口１４０に送球させることができる。
【０５９０】
また、第７実施形態では、一対の羽部材５２０Ｌ，５２０Ｒのうちの一方の羽部材（羽部材５２０Ｌ，５２０Ｒのうちの一方）が閉鎖状態を形成する位置に配置されるタイミングと他方の羽部材（羽部材５２０Ｌ，５２０Ｒのうちの他方）が閉鎖状態を形成する位置に配置されるタイミングとが異なるので、一対の羽部材５２０Ｌ，５２０Ｒ（側面５２６Ｌ，５２６Ｒ）の間に遊技球を挟み込み難くでき、その分、一対の羽部材５２０Ｌ，５２０Ｒの対向間隔を狭くできる。よって、一対の羽部材５２０Ｌ，５２０Ｒの配設に必要なスペースを抑制できる。
【０５９１】
次いで、図７８から図８２を参照して、第８実施形態の回転部材８５３３について説明する。上記第１実施形態では、摺動部材５３２に遊技球の入球を規制する第２突起５３２ｃが形成される場合を説明したが、第８実施形態では、回転部材８５３３に遊技球の入球を規制する第２突起８５３３ｅが形成される。なお、上述した各実施形態と同一の部分には同一の符号を付して、その説明は省略する。
【０５９２】
初めに、図７８を参照して、第８実施形態における駆動ユニット８５３０の構成について説明する。図７８は、第８実施形態における駆動ユニット８５３０の分解斜視正面図である。
【０５９３】
図７８に示すように、第８実施形態の駆動ユニット８５３０は、ソレノイド５３１と、そのソレノイド５３１に連結される摺動部材８５３２と、その摺動部材８５３２に連結される回転部材８５３３と、その回転部材８５３３及び摺動部材８５３２を内部に変位可能な状態で配設する第１ケース部材５３４と、その第１ケース部材５３４の背面側に取着される第２ケース部材５３６とを主に備えて形成される。
【０５９４】
摺動部材８５３２は、上面視略Ｅ字状に形成されており、左右方向に延設される連結部５３２ａと、その連結部５３２ａの左右両端から正面側に突設される２本の第１突起５３２ｂと、その２本の第１突起５３２ｂの中間に位置すると共に正面側に突設される第３突起５３２ｅとを主に備えて形成される。
【０５９５】
摺動部材８５３２は、連結部５３２ａの左右方向における寸法が、第１ケース部材５３４の内周面における左右方向の対向間寸法よりも小さく形成される。これにより、摺動部材８５３２を第１ケース部材５３４の内側に収容配置することができる。
【０５９６】
第３突起８５３２ｅは、後述する回転部材８５３３の連結部５３３ａの上部に位置されることで、第１電動役物５２０を第２状態へ変位させる際の回転部材８５３３の回転変位を規制できる。即ち、第３突起８５３２ｅは、その下端面が第１電動役物５２０が第１状態とされる場合の連結部５３３ａよりも上部に形成される。
【０５９７】
回転部材８５３３は、側面視略Ｌ字に形成される板状体を左右方向に所定の幅を隔てて２つ並設されると共に、一端側の対向間が連結部５３３ａにより連結して形成される。回転部材８５３３の２つの板状体の対向間における隙間は、遊技球の直径よりも大きく設定される。これにより、回転部材８５３３の内側（２つの板状体の対向間）に遊技球を通過させることができる。
【０５９８】
また、回転部材８５３３の左右方向における幅寸法（２つの板状体の外側面の対向間寸法）は、摺動部材８５３２の２つの第１突起５３２ｂの内側の対向間寸法よりも、小さく設定される。これにより、回転部材８５３３を、摺動部材８５３２の第１突起５３２ｂの対向間に配置できる。
【０５９９】
回転部材８５３３は、側面視略Ｌ字の屈曲部分から左右方向両側に突出する回転軸５３３ｃと、側面視略Ｌ字の一端側の端部から左右方向両側に突出する突起５３３ｂと、側面視略Ｌ字の他端側の先端に凹設して形成される駆動部５３３ｄと、連結部５３３ａの左右方向中央位置から正面側に突設される第２突起８５３３ｅとを主に備えて形成される。
【０６００】
第２突起８５３３ｅは、正面側に延設される棒状に形成されると共に、その突設先端部に下方に屈曲して立設される立設壁８５３３ｅ１を備える。立設壁８５３３ｅ１は、側面視において正面側に凸形状に湾曲して形成され、その湾曲軸が回転部材８５３３の軸と同軸上に設定される。
【０６０１】
次いで、図７９から図８１を参照して、駆動ユニット５３０の動作について説明する。図７９（ａ）及び図７９（ｂ）は、第１電動役物５２０及び駆動ユニット５３０の側面図である。図８０（ａ）及び図８０（ｂ）は、第１電動役物５２０及び駆動ユニット５３０の正面図である。図８１（ａ）及び図８１（ｂ）は、入賞口ユニット５００の断面図である。
【０６０２】
なお、図７９及び図８０では、第１ケース部材５３４及び第２ケース部材５３５が透明視された状態が図示される。また、図７９（ａ）、図８０（ａ）及び図８１（ａ）では第１電動役物５２０が第１状態とされた状態が、図７９（ｂ）、図８０（ｂ）及び図８１（ｂ）では第１電動役物５２０が第２状態とされた状態がそれぞれ図示される。更に、図８１（ａ）及び図８１（ｂ）は、図１７の断面図と対応する。
【０６０３】
図７９から図８１に示すように、ソレノイド５３１の可動体５３１ｂが、本体部５３１ａから張り出された状態では、回転部材８５３３の突起５３３ｂが正面側（図７９（ａ）左側）に押されて、駆動部５３３ｄを下方に位置させた状態とされる。これにより、第１電動役物５２０は、突起５２３が下方に押し下げられて第１状態とされる。
【０６０４】
また、ソレノイド５３１の可動体５３１ｂが、本体部５３１ａから張り出された状態では、第２突起８５３３ｅの立設壁８５３３ｅ１の先端が下方に位置される。この場合、立設壁８５３３ｅ１の先端から第１ケース部材５３４の立設部５３４ｂの上端面までの距離寸法Ｌ６（図８２（ａ）参照）は、遊技球の直径よりも小さくされる。よって、立設壁８５３３ｅ１により、遊技球が立設部５３４ｂの上端面を転動して第２ケース部材５３５に送球されることを抑制できる。
【０６０５】
さらに、ソレノイド５３１の可動体５３１ｂが、本体部５３１ａから張り出された状態では、摺動部材８５３２の第３突起８５３２ｅが回転部材８５３３の連結部５３３ａの上部に位置される。よって、第１電動役物５２０を操作して第２状態に変位させようとした際に、回転部材８５３３の回転が第３突起８５３２ｅにより規制される。
【０６０６】
言い変えると、駆動手段（ソレノイド５３１）の駆動力を一対の羽部材５２０Ｌ，５２０Ｒへ伝達する伝達機構を備え、伝達機構は、駆動手段（ソレノイド５３１）の駆動力により開放スライド位置（図７９（ｂ）に示す位置）と閉鎖スライド位置（図７９（ａ）に示す位置）との間でスライド変位される摺動部材８５３２と、その摺動部材８５３２の開放スライド位置へのスライド変位により開放回転位置へ回転されて一対の羽部材５２０Ｌ，５２０Ｒを開放させると共に摺動部材８５３２の閉鎖スライド位置へのスライド変位により閉鎖回転位置へ回転されて一対の羽部材５２０Ｌ，５２０Ｒを少なくとも閉鎖可能とする回転部材８５３３とを備え、立設壁８５３３ｅ１が回転部材８５３３に配設され、回転部材８５３３が開放回転位置へ回転されると立設壁８５３３ｅ１が許容位置に配置されると共に、回転部材８５３３が閉鎖回転位置へ回転されると立設壁８５３３ｅ１が規制位置に配置され、摺動部材８５３２が閉鎖スライド位置に配置されると共に回転部材８５３３が閉鎖回転位置に配置された状態では、回転部材８５３３と摺動部材８５３２とが係合されることで、回転部材８５３３の開放回転位置への回転が規制されるので、遊技球が第２入賞口へ不正に入球されることを規制しやすくできる。
【０６０７】
即ち、一対の羽部材５２０Ｌ，５２０Ｒが閉鎖されている状態から、例えば、一対の羽部材５２０Ｌ，５２０Ｒを外部から不正に強制開放する、又は、回転部材８５３３を直接操作することで、かかる回転部材８５３３を開放位置へ回転させようとしても、回転部材８５３３と摺動部材８５３２とが係合されることで、回転部材８５３３の開放回転位置への回転が規制されるので、立設壁８５３３ｅ１を規制位置に維持できる（即ち、立設壁８５３３ｅ１が許容位置へ外部から不正に強制変位されることを抑制できる）。その結果、遊技球が入球口へ不正に入球されることを立設壁８５３３ｅ１によって規制できる。
【０６０８】
また、摺動部材８５３２（または回転部材８５３３）から突出される第３突起８５３２ｅと、その第３突起８５３２ｅと係合可能に摺動部材８５３２（または回転部材８５３３）に形成される連結部５３３ａとを備え、第３突起８５３２ｅが摺動部材８５３２のスライド変位の方向に沿って突出されるので、摺動部材８５３２のスライド変位を利用して、第３突起８５３２ｅおよび連結部５３３ａにおける係合とその係合の解除とを切り替えることができ、構造の簡素化を図ることができる。
【０６０９】
なお、係合する部分は、第３突起８５３２ｅが当接可能な面（摺動部材８５３２または回転部材８５３３の他方の外面）であっても良く、第３突起８５３２ｅが挿入可能な孔または凹部（摺動部材８５３２または回転部材８５３３の一方に穿設される孔または凹設される凹部）であっても良い。即ち、第３突起８５３２ｅが連結部５３３ａに当接することで、回転部材８５３３の開放回転位置への回転を規制できるものであれば良い。この場合、連結部５３３ａを孔または凹部とすることが好ましい。第３突起８５３２ｅが連結部５３３ａに挿入される分、第３突起８５３２ｅの配設に必要なスペースを抑制して、小型化を図ることができると共に、連結部５３３ａに挿通されていることで、第３突起８５３２ｅを外部から遮蔽でき、かかる第３突起８５３２ｅへの外部からの不正なアクセスを困難とできるからである。
【０６１０】
一方、ソレノイド５３１の可動体５３１ｂが、本体部５３１ａの内部に引き込まれた状態では、回転部材８５３３の突起５３３ｂが背面側（図７９（ｂ）右側）に引き込まれて、駆動部５３３ｄが上方に変位される。これにより、第１電動役物５２０は、突起５３３ｂが上方に押し上げられた第２状態とされる。
【０６１１】
また、ソレノイド５３１の可動体５３１ｂが、本体部５３１ａの内部に引き込まれた状態では、摺動部材８５３２の第３突起８５３２ｅが回転部材８５３３の連結部５３３ａの背面側に位置される。よって、回転部材８５３３の回転の規制が解除される。その結果、回転部材８５３３を回転させて、第１電動役物５２０を変位させることができる。
【０６１２】
よって、回転部材８５３３の駆動部５３３ｄは、開放回転位置へ向けて回転される際に一対の羽部材５２０Ｌ，５２０Ｒに当接して開放させる開放側当接部８５３３ｄ１と、閉鎖回転位置へ向けて回転される際に一対の羽部材５２０Ｌ，５２０Ｒに当接して閉鎖させる閉鎖側当接部８５３３ｄ２とを備えるので、一対の羽部材５２０Ｌ，５２０Ｒが外部から不正に強制開放されることを抑制でき、回転部材８５３３または摺動部材８５３２への外部からの不正なアクセスを困難とできる。
【０６１３】
即ち、一対の羽部材５２０Ｌ，５２０Ｒを強制開放の方向へ外部から変位させると、回転部材８５３３の閉鎖側当接部８５３３ｄ２が羽部材５２０Ｌ，５２０Ｒにより押圧されて、回転部材８５３３を開放回転位置へ向けて回転させようとする。この場合、本発明によれば、回転部材８５３３と摺動部材８５３２との係合により、回転部材８５３３の開放回転位置への回転を規制できるので、羽部材の変位を回転部材８５３３の閉鎖側当接部８５３３ｄ２により規制できる。即ち、羽部材が強制開放の方向へ外部から変位されることを規制できる。その結果、一対の羽部材５２０Ｌ，５２０Ｒが外部から不正に強制開放されることを抑制でき、回転部材８５３３または摺動部材８５３２への外部からの不正なアクセスを困難とできる。
【０６１４】
ソレノイド５３１の可動体５３１ｂが、本体部５３１ａの内部に引き込まれた状態では、回転部材８５３３が回転されることで、立設壁８５３３ｅ１の先端から第１ケース部材５３４の立設部５３４ｂの上端面までの距離寸法Ｌ７（図８２（ｂ）参照）が遊技球の直径よりも大きくされる。その結果、第２入賞口１４０に入球された遊技球を立設部５３４ｂの上端面を転動させて第２ケース部材５３５に送球することができる。
【０６１５】
次いで、図８２を参照して、第１電動役物５２０が破損した場合の説明をする。図８２（ａ）及び図８２（ｂ）は、入賞口ユニット５００の断面図である。なお、図８２（ａ）及び図８２（ｂ）は、図１７の断面図と対応する。また、図１４（ａ）では第１電動役物５２０が第１状態とされた状態が、図１４（ｂ）では第１電動役物５２０が第２状態とされた状態が、それぞれ図示される。
【０６１６】
図８２（ａ）及び図８２（ｂ）に示すように、不正行為や経年劣化等により第１電動役物５２０の突起５３４Ｌ，５３４Ｒが基端から折れて、第１電動役物５２０が第１状態から第２状態とされた際には、ソレノイド５３１の可動体５３１ｂが、本体部５３１ａから張り出された状態とされるので、第２突起８５３３ｅの立設壁８５３３ｅ１の先端が下方に位置される。よって、立設壁８５３３ｅ１により、遊技球が立設部５３４ｂの上端面を転動して第２ケース部材５３５に送球されることを抑制できる。
【０６１７】
よって、一対の羽部材５２０Ｌ，５２０Ｒが閉鎖された状態または一対の羽部材５２０Ｌ，５２０Ｒが外部から開放された状態において立設壁８５３３ｅ１の配置が規制位置に維持可能に形成されるので、立設壁８５３３ｅ１が許容位置へ変位されることを抑制できる。よって、遊技球が第２入賞口１４０へ不正に入球されることを規制しやすくできる。
【０６１８】
即ち、一対の羽部材５２０Ｌ，５２０Ｒが閉鎖された状態または一対の羽部材５２０Ｌ，５２０Ｒが外部から開放された状態では、摺動部材８５３２を操作して、立設壁８５３３ｅ１の立設先端（重力方向下側（図２０（ｂ）下側）の端部）から第１ケース部材５３４に形成される立設部５３４ｂの上端面までの距離寸法Ｌ６は、遊技球の直径よりも小さく設定される。従って、第１電動役物５２０が遊技者の不正行為によって、第２入賞口１４０に遊技球を送球可能とされても、遊技球が第２入賞口１４０の内部に入球されて転動することを抑制できる。よって、第１ケース部材５３４の立設部５３４ｂを転動する遊技球を摺動部材８５３２の立設壁８５３３ｅ１に衝突させて、遊技球の転動を停止させることができる。その結果、第１電動役物５２０が遊技者の不正行為によって、第２状態（第２入賞口１４０に遊技球を送球可能）にされた際に、遊技球が第２入賞口１４０へ不正に入球されることを規制しやすくできる。
【０６１９】
また、この場合、遊技球を第２入賞口１４０へ入球不能にする立設壁８５３３ｅ１を一対の羽部材５２０Ｌ，５２０Ｒを変位させる摺動部材８５３２に連なって形成することができるので、第２入賞口１４０へ不正に入球されることを規制する部材を別途必要としない。よって、その分、部品点数を削減することができるので、製造コストが増加することを抑制できる。
【０６２０】
さらに、第８実施形態では、遊技球の入球を規制する第２突起８５３３ｅ及びその第２突起が変位されることを抑制する第３突起８５３２ｅが、回転部材８５３３及び摺動部材８５３２に一体に形成されるので、駆動ユニット８５３０の部品点数を少なくすることができる。その結果、駆動ユニット８５３０の製造コストを低下することができる。
【０６２１】
次いで、図８３から図８７を参照して、第９実施形態の駆動ユニット９５３０について説明する。上記第８実施形態では、ソレノイド５３１の可動体５３１ｂが、本体部５３１ａから張り出された状態時に第１電動役物５２０の可動が規制される場合を説明したが、第９実施形態では、ソレノイド５３１の可動体５３１ｂが、本体部５３１ａから張り出された状態時に第１電動役物５２０が可動可能とされる。なお、上述した各実施形態と同一の部分には同一の符号を付して、その説明は省略する。
【０６２２】
初めに、図８３を参照して、第９実施形態における駆動ユニット９５３０の構成について説明する。図８３は、第９実施形態における駆動ユニット９５３０の分解斜視正面図である。
【０６２３】
図８３に示すように、第９実施形態の駆動ユニット８５３０は、ソレノイド５３１と、そのソレノイド５３１に連結される摺動部材８５３２と、その摺動部材８５３２に連結される回転部材９５３３と、その回転部材９５３３及び摺動部材８５３２を内部に変位可能な状態で配設する第１ケース部材５３４と、その第１ケース部材５３４の背面側に取着される第２ケース部材５３６とを主に備えて形成される。
【０６２４】
回転部材９５３３は、側面視略Ｌ字に形成される板状体を左右方向に所定の幅を隔てて２つ並設されると共に、一端側の対向間が連結部５３３ａにより連結して形成される。回転部材９５３３の２つの板状体の対向間における隙間は、遊技球の直径よりも大きく設定される。これにより、回転部材９５３３の内側（２つの板状体の対向間）に遊技球を通過させることができる。
【０６２５】
また、回転部材９５３３の左右方向における幅寸法（２つの板状体の外側面の対向間寸法）は、摺動部材８５３２の２つの第１突起５３２ｂの内側の対向間寸法よりも、小さく設定される。これにより、回転部材９５３３を、摺動部材８５３２の第１突起５３２ｂの対向間に配置できる。
【０６２６】
回転部材９５３３は、側面視略Ｌ字の屈曲部分から左右方向両側に突出する回転軸５３３ｃと、側面視略Ｌ字の一端側の端部から左右方向両側に突出する突起５３３ｂと、側面視略Ｌ字の他端側の先端に正面側に突出する突設部９５３３ｄと、連結部５３３ａの左右方向中央位置から正面側に突設される第２突起８５３３ｅとを主に備えて形成される。
【０６２７】
突設部９５３３ｄは、正面側の端部から突設して形成されており、その上部（図８４（ａ）上部）側面に、羽部材５２０Ｌ，５２０Ｒの突起５２３Ｌ，５２３Ｒが当接可能な長さに設定される。
【０６２８】
次いで、図８４から図８６を参照して、駆動ユニット５３０の動作について説明する。図８４（ａ）及び図８４（ｂ）は、第１電動役物５２０及び駆動ユニット５３０の側面図である。図８５（ａ）及び図８５（ｂ）は、第１電動役物５２０及び駆動ユニット５３０の正面図である。図８６（ａ）及び図８６（ｂ）は、入賞口ユニット５００の断面図である。
【０６２９】
なお、図８４及び図８５では、第１ケース部材５３４及び第２ケース部材５３５が透明視された状態が図示される。また、図８４（ａ）、図８５（ａ）及び図８６（ａ）では第１電動役物５２０が第１状態とされた状態が、図８４（ｂ）、図８５（ｂ）及び図８６（ｂ）では第１電動役物５２０が第２状態とされた状態がそれぞれ図示される。更に、図８６（ａ）及び図８６（ｂ）は、図１７の断面図と対応する。
【０６３０】
図８４から図８６に示すように、ソレノイド５３１の可動体５３１ｂが、本体部５３１ａから張り出された状態では、回転部材８５３３の突起５３３ｂが正面側（図８４（ａ）左側）に押されて、突設部９５３３ｆを下方に位置させた状態とされる。これにより、第１電動役物５２０は、突起５２３が下方に押し下げられて第１状態とされる。
【０６３１】
なお、第９実施形態では、第１電動役物５２０の回転軸に図示しない付勢ばねが配設されており、その付勢ばねの付勢力により第１電動役物５２０に第１状態側へ回転変位する付勢力が常時作用される。これにより、第１電動役物５２０が、ソレノイド５３１の駆動以外の力（例えば、パチンコ機の揺れ）によって第２状態に変位された際に、第２状態に留まることを抑制できる。
【０６３２】
一方、ソレノイド５３１の可動体５３１ｂが、本体部５３１ａの内部に引き込まれた状態では、回転部材８５３３の突起５３３ｂが背面側（図７９（ｂ）右側）に引き込まれて、突設部９５３３ｆが上方に変位される。これにより、第１電動役物５２０は、突起５３３ｂが上方に押し上げられた第２状態とされる。
【０６３３】
この場合、突設部９５３３ｆと第１電動役物５２０の突起５２３Ｌ，５２３Ｒとが常に当接することで、第１電動役物５２０を第２状態に維持することができる。
【０６３４】
また、第２状態からソレノイド５３１の可動体５３１ｂを本体部５３１ａから張り出して、突設部９５３３ｆを下方に変位させることにより、第１電動役物５２０は付勢ばねの付勢力で回転されて第１状態へ変位される。
【０６３５】
次いで、図８７を参照して、第１電動役物５２０が不正に操作された場合の説明をする。図８７（ａ）及び図８７（ｂ）は、入賞口ユニット５００の断面図である。なお、図８７（ａ）及び図８７（ｂ）は、図１７の断面図と対応する。また、図８７（ａ）では第１電動役物５２０が第１状態とされた状態が、図８７（ｂ）では第１電動役物５２０が第２状態とされた状態が、それぞれ図示される。
【０６３６】
図８７（ａ）及び図８７（ｂ）に示すように、ソレノイド５３１の可動体５３１ｂが本体部５３１ａから張り出された状態で、遊技者の不正行為により第１電動役物５２０が操作されて第１状態から第２状態とされた際には、第１電動役物５２０のみが回転変位される。
【０６３７】
従って、第２突起８５３３ｅの立設壁８５３３ｅ１の先端が下方に位置された状態とされるので、立設壁８５３３ｅ１により、遊技球が立設部５３４ｂの上端面を転動して第２ケース部材５３５に送球されることを抑制できる。
【０６３８】
この（ソレノイド５３１の可動体５３１ｂが本体部５３１ａから張り出された状態の）場合、上述したように、摺動部材８５３２の第３突起８５３２ｅが回転部材８５３３の連結部５３３ａの上部に位置される。よって、回転部材８５３３の回転変位を規制することができる。従って、遊技者側から立設壁８５３３ｅ１を操作することを抑制できる。その結果、遊技者の不正行為により店舗側に不利益となることを抑制できる。
【０６３９】
また、第９実施形態では、遊技球の入球を規制する第２突起８５３３ｅ及びその第２突起が変位されることを抑制する第３突起８５３２ｅが、回転部材９５３３及び摺動部材８５３２に一体に形成されるので、駆動ユニット９５３０の部品点数を少なくすることができる。その結果、駆動ユニット９５３０の製造コストを低下することができる。
【０６４０】
さらに、第９実施形態では、遊技者の不正行為により第１電動役物５２０が壊されることを抑制できる。その結果、遊技者の不正行為による店舗側の損失を抑えることができる。
【０６４１】
即ち、第９実施形態では、一対の羽部材５２０Ｌ，５２０Ｒを閉鎖方向へ付勢する付勢ばねを備え、回転部材９５３３は、開放回転位置へ向けて回転される際に一対の羽部材５２０Ｌ，５２０Ｒに当接して開放させる突設部９５３３ｆを備え、回転部材９５３３が閉鎖回転位置へ向けて回転されると一対の羽部材５２０Ｌ，５２０Ｒが付勢ばねの付勢力により閉鎖されるので、一対の羽部材５２０Ｌ，５２０Ｒが外部から不正に強制開放された際に、一対の羽部材５２０Ｌ，５２０Ｒが回転部材９５３３に当接されず、かかる強制開放による外力が回転部材９５３３に作用されることを回避できる。その結果、一対の羽部材５２０Ｌ，５２０Ｒ、回転部材９５３３または摺動部材８５３２が破損されることを抑制できる。
【０６４２】
なお、第１電動役物５２０に第１状態側へ回転変位する付勢力を常時作用させる付勢手段としては、一対の羽部材５２０Ｌ，５２０Ｒを弾性回復力により閉鎖方向へ付勢するばね（ねじりばねやコイルスプリング）だけでなく、一対の羽部材５２０Ｌ，５２０Ｒを吸着力により閉鎖方向へ付勢する磁石などが例示される。
【０６４３】
次いで、図８８から図９１を参照して、第１０実施形態の変位部材１０６７０について説明する。上記第１実施形態では、変位部材６７０の変位に伴って、ねじりバネＳＰ２の付勢力を非線形状に小さく（又は大きく）変位させる場合を説明したが、第１０実施形態では、回転部材１０６７８を変位させることでねじりバネＳＰ２の付勢力を変化させる。なお、上述した各実施形態と同一の部分には同一の符号を付して、その説明は省略する。
【０６４４】
初めに、図８８及び図８９を参照して、第１０実施形態における変位部材１０６７０の構成について説明する。図８８（ａ）は、第１０実施形態における変位部材１０６７０の正面図であり、図８８（ｂ）は、変位部材１０６７０の側面図である。図８９は、変位部材１０６７０の分解斜視正面図である。
【０６４５】
図８８及び図８９に示すように、第１０実施形態の変位部材１０６７０は、延設部材６７１と、その延設部材６７１と対向して配設される延設部材１０６７１と、その延設部材１０６７１及び延設部材６７１に連結される装飾ユニット６７２と、延設部材に回転可能な状態で配設される回転部材１０６７８とを主に備えて形成される。
【０６４６】
延設部材１０６７１は、正面視略Ｌ字状に形成されており、長手側の端部に正面視左右方向に貫通する軸支孔６７１ａと、長手側の長手方向略中央位置に左右外側に突出する連結突起６７１ｂと、その連結突起６７１ｂよりも軸支孔６７１ａ側に円柱状に突出形成される回転軸１０６７１ｅとを主に備えて形成される。
【０６４７】
回転部材１０６７８は、側面視略矩形に形成されると共に、側面視においてその長手方向を延設部材１０６７１の長手側の長手方向と略直角に交わる状態で延設部材１０６７１に配設される。
【０６４８】
回転部材１０６７８は、左右方向に貫通する軸支孔１０６７８ａと、長手方向の一端側に延設部材１０６７１の軸支孔１０６７１ａの周方向に貫通形成される貫通孔１０６７８ｂと、長手方向の他端側の側面に切り欠いて形成される傾斜面１０６７８ｃとを主に備えて形成される。
【０６４９】
軸支孔１０６７８ａは、延設部材１０６７１の回転軸１０６７１ｅが挿入される孔であり、回転軸１０６７１ｅの外径よりも内径が大きく形成される。よって、回転軸１０６７１ｅを軸支孔１０６７７ａに挿入して、回転軸１０６７１ｅにねじ止めすることで、回転部材１０６７８を延設部材１０６７１に回転可能な状態で配設できる。
【０６５０】
貫通孔１０６７８ｂは、ねじりバネＳＰ２が挿入される孔であり、ねじりバネＳＰ２の外径よりも大きく形成される。
【０６５１】
次いで、図９０及び図９１を参照して、回転部材１０６７８の動作について説明する。図９０は、上下変位ユニット６００Ｌの断面図である。図９１（ａ）及び図９１（ｂ）は、図９０の範囲ＸＣＩにおける上下変位ユニット６００Ｌの部分拡大図である。
【０６５２】
なお、図９０は、図５８（ｂ）の断面図と対応する。また、図９１（ａ）及び図９１（ｂ）では、変位部材６７０，１０６７０が変位された際の状態が図示され、図９１（ｂ）では、互いの装飾ユニット６７２の側面が当接した状態の断面が図示される。
【０６５３】
図９０に示すように、第１０実施形態における上下変位ユニット６００Ｌには、上方側に変位部材６７０が配設されると共に、下方側に変位部材１０６７０が配設され、変位部材６７０，１０６７０の軸支孔６７１ａの軸が同軸上に配置される。即ち、第１実施形態では、上下反対向きに一対配置され変位部材６７０のうち、下側の変位部材６７０を変位部材１０６７０に変更した状態とされる。なお、変位部材１０６７０の駆動手段については、第１実施形態の変位部材６７０を駆動させる手段と同様であるため、その詳しい説明は省略する。
【０６５４】
次いで、図９１に示すように、上下に配設される変位部材６７０，１０６７０の装飾ユニット６７２が互いに近づく方向に変位されると、互いの延設部材６７１，１０６７１が近づけられる。
【０６５５】
図９１（ｂ）に示す、装飾ユニット６７２の側面同士が当接された状態では、回転部材１０６７８の傾斜面１０６７８ｃが、延設部材６７１の側面と当接される。これにより、傾斜面１０６７８ｃが、延設部材６７１の側面と略平行となる状態に、回転部材１０６７８が軸支孔１０６７８ａを軸に回転される（図９１（ｂ）では、回転部材１０６７８が軸支孔１０６７８ａを軸に反時計回りに回転される）。
【０６５６】
従って、傾斜面１０６７８ｃと軸支孔１０６７８ａを挟んだ反対側に形成される貫通孔１０６７８ｂも同様に回転される。貫通孔１０６７８ｂの位置が変位されることで、貫通孔１０６７８ｂがねじりバネＳＰ２と係合する位置が変化される。
【０６５７】
第９実施形態では、貫通孔１０６７８ｂの位置がねじりバネＳＰ２の端部側から基端側に変位される。よって、ねじりバネＳＰ２から変位部材１０６７０に作用する付勢力を大きくすることができる。
【０６５８】
従って、装飾ユニット６７２の側面同士が当接された状態とされる場合に、上下変位ユニット６００Ｌの下方に配設される変位部材１０６７０に作用するねじりバネＳＰ２の付勢力を大きくできる。その結果、装飾ユニット６７２の側面同士を当接させた状態で、変位部材６７０，１０６７０を変位させる際に、装飾ユニット６７２の側面同士の当接が離れることを抑制できる。
【０６５９】
また、回転部材１０６７８が配設される延設部材１０６７１は、変位部材１０６７０を駆動させる駆動手段６８０の従動側（連結棒６８１を介して動作される側）であるので、駆動モータＫＭ３からの駆動力の伝達が駆動側（大径ギヤ６８３の突起６８３ｂに連結される側）に比べて駆動力が小さくされるところ、かかる回転部材１０６７８の変位によりねじりバネＳＰ２の付勢力を大きくして、駆動力の不足分を補うことができる。その結果、装飾ユニット６７２の側面同士の当接が離れることを抑制できる。
【０６６０】
次いで、図９２から図９４を参照して、第１１実施形態の上下変位ユニット１１６００Ｌについて説明する。上記第１実施形態では、変位部材６７０が左右両側から駆動力が伝達される場合を説明したが、第１１実施形態では、変位部材１１６７０が一方側のみから駆動力が伝達される。なお、上述した各実施形態と同一の部分には同一の符号を付して、その説明は省略する。
【０６６１】
また、図９２から図９４では、図６１から図６３と同様に、上下変位ユニット６００Ｌの上側に配設される変位部材６７０及びその変位部材６７０を駆動する駆動手段の符号の末尾にＵを付与すると共に、上下変位ユニット６００Ｌの下側に配設され変位部材６７０及びその変位部材６７０を駆動する駆動手段の符号の末尾にＤの符号を付与して説明する。
【０６６２】
図９２から図９４を参照して、上下変位ユニット１１６００Ｌの動作について説明する。図９２から図９４は、第１１実施形態における上下変位ユニット１１６００Ｌの模式図である。なお、図９２から図９４では、変位部材１１６７０の遷移状態が順に図示される。
【０６６３】
図９２に示すように、第１１実施形態における上下変位ユニット１１６００Ｌは、変位部材１１６７０の延設部材６７１が片側のみに配設される。即ち、上記第１実施形態では、変位部材６７０に左右対称に一対配設される延設部材６７１が、第１１実施形態では、延設部材６７１がどちらか一方にのみ配設された状態とされる。
【０６６４】
また、第１１実施形態では、駆動手段６８０が駆動側（大径ギヤ６８３の突起６８３ｂに連結される側）のみ形成され、延設部材６７１は、駆動側の駆動手段に連結される。よって、上下変位ユニット１１６００Ｌに上下一対に配設される変位部材１１６７０の延設部材６７１は、上下で左右反対に配設される。
【０６６５】
図９３に示すように、上下に配置される変位部材１１６７０が変位されると、互いの装飾ユニット６７２の側面を上下変位ユニット１１６００Ｌの上下中央位置で当接させた状態とされる。
【０６６６】
図９４に示すように、図９３の状態から両者を同方向に変位させることで、互いの装飾ユニット６７２の側面を当接させた状態で、上下方向に変位させることができる。
【０６６７】
第１１実施形態の場合、変位部材１１６７０の延設部材６７１が片側に配置されるので、駆動側と反対側の装飾ユニット６７２の駆動が遅くなり、２つの装飾ユニット６７２の間に隙間ができる恐れがあるところ、かかる延設部材６７１は上下で左右反対側に配設されるので、一方の装飾ユニット６７２の駆動側と反対側の端部を他方の装飾ユニット６７２の駆動側の端部で押すことができる。その結果、２つの装飾ユニット６７２の間に隙間ができることを抑制できる。
【０６６８】
この場合、装飾ユニット６７２の変位方向側の変位部材１１６７０の駆動のタイミングを遅らせることが好ましい。装飾ユニット６７２の変位方向側の変位部材１１６７０の駆動のタイミングを遅らせることで、２つの装飾ユニット６７２の間に隙間ができることを抑制できる。
【０６６９】
詳しく説明すると、装飾ユニット６７２の変位方向側と反対側の変位部材１１６７０の駆動のタイミングが早くされることで、先に駆動された装飾ユニット６７２の駆動側の端部が後に駆動される装飾ユニット６７２の駆動側と反対側の端部を押し出すことができる。一方、先に駆動された装飾ユニット６７２の駆動側と反対側の端部は、後に駆動される装飾ユニット６７２の駆動側の端部とより強い力で当接される。その結果、２つの変位部材１１６７０を装飾ユニット６７２の側面を当接させた状態で変位させる際に、２つの装飾ユニット６７２の間に隙間ができることを抑制できる。
【０６７０】
また、第１１実施形態の場合、変位部材１１６７０の延設部材６７１が片側とされることで、変位部材１１６７０（延設部材６７１）を変形させやすくできる。従って、装飾ユニット６７２の変位方向側と反対側の変位部材１１６７０の駆動のタイミングが早くされることで、互いの変位部材１１６７０（延設部材６７１）を変形させて、変位が戻る際の弾性力を利用して、２つの装飾ユニット６７２の間に隙間ができることを抑制できる。
【０６７１】
次いで、図９５を参照して、第１２実施形態の入賞口ユニット５００について説明する。上記第１実施形態では、入賞口ユニット５００の正面ベース５１１及び背面ベース５１２の厚みが略一定に形成される場合を説明したが、第１１実施形態では、正面ベース５１１及び背面ベース５１２の厚みが部分的に変更される。なお、上述した各実施形態と同一の部分には同一の符号を付して、その説明は省略する。
【０６７２】
図９５（ａ）は、第１２実施形態における入賞口ユニット５００の上面図であり、図９５（ｂ）は、図９５（ａ）のＸＣＶｂ−ＸＣＶｂ線における入賞口ユニット５００の断面図である。なお、図９５（ａ）では、正面ベース５１１が透明視されて図示されると共に、図９５（ｂ）では、正面ベース５１１が不透明視されて図示される。また、図９５（ｂ）では、図２４（ｂ）と同様に側面５２６Ｌ，５２６Ｒを転動する遊技球の転動方向が仮想線ＫＳ１の符号と共に、２点鎖線で図示される。更に、仮想線ＫＳ１の正面方向が矢印Ｆで図示され、背面方向が矢印Ｂで図示される。
【０６７３】
図９５に示すように、正面ベース５１１は、第２入賞口１４０を間に介した左右において前後方向（図９５（ｂ）上下方向）の厚みが部分的に異なって形成される。即ち、第２入賞口１４０の右側上部において背面側に膨出する正面側膨出部１２５１１ｆを備える。
【０６７４】
また、背面ベース５１２は、第２入賞口１４０を間に介した左右において前後方向（図９５（ｂ）上下方向）の厚みが部分的に異なって形成される。即ち、第２入賞口１４０の左側上部において背面側に膨出する背面側膨出部１２５１２ｄを備える。
【０６７５】
正面側膨出部１２５１１ｆ及び背面側膨出部１２５１２ｄは、一対の羽部材５２０Ｌ，５２０Ｒの変位領域の外側に形成される。これにより、一対の羽部材５２０Ｌ，５２０Ｒと正面側膨出部１２５１１ｆ及び背面側膨出部１２５１２ｄとが衝突することが抑制される。
【０６７６】
また、正面側膨出部１２５１１ｆ及び背面側膨出部１２５１２ｄは、その端部が一対の羽部材５２０Ｌ，５２０Ｒの開放状態における側面５２６Ｌ，５２６Ｒの上面よりも、左右方向（図９５（ｂ）左右方向）外側に位置される。これにより、第１電動役物５２０の上流側から流下され、側面５２６Ｌ，５２６Ｒに送球される可能性がある遊技球を確実に正面側膨出部１２５１１ｆ及び背面側膨出部１２５１２ｄに衝突させることができる。
【０６７７】
正面側膨出部１２５１１ｆは、右羽部材５２０Ｒの膨出部５２４Ｒの前後方向の形成位置と対向する側面に形成される。言い変えると、膨出部５２４Ｒの前後方向の形成位置と反対側の前後方向に位置する側面に正面側膨出部１２５１１ｆが形成される。
【０６７８】
一方、背面側膨出部１２５１２ｄは、左羽部材５２０Ｌの膨出部５２４Ｌの前後方向の形成位置と対向する側面に形成される。言い変えると、膨出部５２４Ｌの前後方向の形成位置と反対側の前後方向に位置する側面に背面側膨出部１２５１２ｄが形成される。
【０６７９】
これにより、第１電動役物５２０の右側上方を流下する遊技球を正面側膨出部１２５１１ｆに衝突させて背面側に案内することができる。従って、第１電動役物５２０の右側上方を流下する遊技球が右羽部材５２０Ｒの側面５２６Ｒに送球された際に背面側に寄せておくことができる。その結果、側面５２６Ｒを転動する遊技球を膨出部５２４Ｒに衝突させやすくできる。
【０６８０】
一方、第１電動役物５２０の左側上方を流下する遊技球を背面側膨出部１２５１２ｄに衝突させて、正面側に案内することができる。従って、第１電動役物５２０の左側上方を流下する遊技球が左羽部材５２０Ｌの側面５２６Ｌに送球された際に正面側に寄せておくことができる。その結果、側面５２６Ｌを転動する遊技球を膨出部５２４Ｌに衝突させやすくできる。
【０６８１】
よって、案内面（側面５２６Ｌ，５２６Ｒ）を案内（転動）される遊技球を膨出部５２４Ｌ，５２４Ｒに当接させることで、かかる遊技球を確実に偏倚させることができる。その結果、第２入賞口１４０へスムーズに入球させることができると共に、球詰まりを抑制できる。
【０６８２】
また、一方の羽部材（羽部材５２０Ｌ，５２０Ｒのどちらか一方）における案内面へ進入した遊技球が一方の羽部材（羽部材５２０Ｌ，５２０Ｒのどちらか他方）における案内面へ到達した場合には、かかる遊技球を他方の羽部材における突設部に当接させることができる。よって、一方の羽部材（羽部材５２０Ｌ，５２０Ｒのどちらか一方）における案内面へ進入した遊技球が他方の羽部材における案内面を通り抜けることを抑制できる。その結果、遊技球を入球口へ入球させて、遊技者の興趣を向上できる。
【０６８３】
さらに、第１２実施形態では、羽部材５２０Ｌ，５２０Ｒに送球される遊技球を正面側膨出部１２５１１ｆ及び背面側膨出部１２５１２ｄに衝突させることで、送球速度を遅くすることができる。従って、羽部材５２０Ｌ，５２０Ｒの側面５２６Ｌ，５２６Ｒを転動する遊技球の転動速度を遅くすることができる。その結果、膨出部５２４Ｌ，５２４Ｒに衝突した際の衝撃を小さくすることができ、羽部材５２０Ｌ，５２０Ｒが破損することを抑制できる。
【０６８４】
次いで、図９６を参照して、第１３実施形態の入賞口ユニット５００について説明する。上記第１３実施形態の入賞口ユニット５００は、第１実施形態の正面ベース５１１及び背面ベース５１２の対向間に突出する突起を備えて形成される。なお、上述した各実施形態と同一の部分には同一の符号を付して、その説明は省略する。
【０６８５】
図９６（ａ）は、第１３実施形態における入賞口ユニット５００の上面図であり、図９６（ｂ）は、図９６（ａ）のＸＣＶＩｂ−ＸＣＶＩｂ線における入賞口ユニット５００の断面図である。なお、図９６（ａ）では、正面ベース５１１が透明視されて図示されると共に、図９６（ｂ）では、正面ベース５１１が不透明視されて図示される。また、図９６（ｂ）では、図２４（ｂ）と同様に側面５２６Ｌ，５２６Ｒを転動する遊技球の転動方向が仮想線ＫＳ１の符号と共に、２点鎖線で図示される。更に、仮想線ＫＳ１の正面方向が矢印Ｆで図示され、背面方向が矢印Ｂで図示される。
【０６８６】
図９６に示すように、正面ベース５１１は、第２入賞口１４０の左側に背面ベース５１２側に突出する突起１３５１１ｇが形成される。また、背面ベース５１２は、第２入賞口１４０の右側に正面ベース５１１側に突出する突起１３５１２ｅが形成される。
【０６８７】
突起１３５１１ｇ及び突起１３５１２ｅは、一対の羽部材５２０Ｌ，５２０Ｒの変位領域の外側に形成される。これにより、一対の羽部材５２０Ｌ，５２０Ｒと突起１３５１１ｇ及び突起１３５１２ｅとが衝突することが抑制される。
【０６８８】
突起１３５１１ｇは、右羽部材５２０Ｒの膨出部５２４Ｒの前後方向の形成位置と同じ側の側面に形成される。一方、突起１３５１２ｅは、左羽部材５２０Ｌの膨出部５２４Ｌの前後方向の形成位置と対向する側面に形成される。
【０６８９】
これにより、第１電動役物５２０の右側上方を流下する遊技球を突起１３５１１ｇに衝突させて、正面側に案内することができる。従って、第１電動役物５２０の右側上方を流下する遊技球が右羽部材５２０Ｒの側面５２６Ｒに送球された際には、その遊技球を正面側に寄せておくことができる。その結果、第１電動役物５２０の右側上方を流下する遊技球が側面５２６Ｒに送球された際に膨出部５２４Ｒに衝突しにくくできる。その結果、羽部材５２０Ｒが破損することを抑制できる。
【０６９０】
また、第１電動役物５２０の右側から羽部材５２０Ｒの側面５２６Ｒに送球される遊技球は、羽部材５２０Ｒの上方に形成される突起１３５１１ｇに衝突することなく側面５２６Ｒに送球されることとなる。この場合の遊技球は、側面５２６Ｒを転動させる際に膨出部５２４Ｒに衝突させることで、背面側に案内することができる。
【０６９１】
一方、第１電動役物５２０の左側上方を流下する遊技球は、突起１３５１２ｅに衝突させて、背面側に案内することができる。従って、第１電動役物５２０の左側上方を流下する遊技球が左羽部材５２０Ｌの側面５２６Ｌに送球された際には、その遊技球を背面側に寄せておくことができる。その結果、第１電動役物５２０の左側上方を流下する遊技球が側面５２６Ｌに送球された際に膨出部５２４Ｌに衝突しにくくできる。その結果、羽部材５２０Ｌが破損することを抑制できる。
【０６９２】
また、第１電動役物５２０の左側から羽部材５２０Ｌの側面５２６Ｌに送球される遊技球は、羽部材５２０Ｌの上方に形成される突起１３５１２ｅに衝突することなく側面５２６Ｌに送球されることとなる。この場合の遊技球は、側面５２６Ｌを転動させる際に、膨出部５２４Ｌに衝突させることで、正面側に案内することができる。
【０６９３】
よって、案内面（側面５２６Ｌ，５２６Ｒ）を案内（転動）される遊技球を膨出部５２４Ｌ，５２４Ｒに当接させることで、かかる遊技球を確実に偏倚させることができる。その結果、第２入賞口１４０へスムーズに入球させることができると共に、球詰まりを抑制できる。
【０６９４】
また、一方の羽部材（羽部材５２０Ｌ，５２０Ｒのどちらか一方）における案内面へ進入した遊技球が一方の羽部材（羽部材５２０Ｌ，５２０Ｒのどちらか他方）における案内面へ到達した場合には、かかる遊技球を他方の羽部材における突設部に当接させることができる。よって、一方の羽部材（羽部材５２０Ｌ，５２０Ｒのどちらか一方）における案内面へ進入した遊技球が他方の羽部材における案内面を通り抜けることを抑制できる。その結果、遊技球を入球口へ入球させて、遊技者の興趣を向上できる。
【０６９５】
さらに、突起１３５１１ｇ及び突起１３５１２ｅにより羽部材５２０Ｌ，５２０Ｒの膨出部５２４Ｌ，５２４Ｒに衝突する遊技球を少なくすることができるので、羽部材５２０Ｌ，５２０Ｒの耐久性を向上することができる。
【０６９６】
次いで、図９７及び図９８を参照して、第１４実施形態の羽部材１４５２０Ｌ，１４５２０Ｒ（第１可変装置１４５２０）について説明する。第１４実施形態の羽部材１４５２０Ｌ，１４５２０Ｒは、上記第１実施形態と膨出部５２４Ｌ，５２４Ｒの前後方向の幅寸法が異なって形成される。なお、上述した各実施形態と同一の部分には同一の符号を付して、その説明は省略する。
【０６９７】
図９７（ａ）は、第１４実施形態における左羽部材５２０Ｌの斜視正面図であり、図９７（ｂ）は、右羽部材５２０Ｒの斜視正面図である。図９８（ａ）は、入賞口ユニット５００の断面図であり、図９８（ｂ）は、図９８（ａ）のＸＣＶＩＩＩｂ−ＸＣＶＩＩＩｂ線における左羽部材５２０Ｌの断面模式図であり、図９８（ｃ）は、図９８（ｂ）のＸＣＶＩＩＩｃ−ＸＣＶＩＩＩｃ線における右羽部材５２０Ｒの断面模式図である。
【０６９８】
なお、図９７（ａ）及び図９７（ｂ）では、その左右方向における斜視方向が左右反対視されて図示される。また、図９８（ｂ）の断面図は、図２４（ｂ）の断面図と対応する。図９８（ａ）では、図２４（ｂ）と同様に側面１４５２６Ｌ，１４５２６Ｒを転動する遊技球の転動方向が仮想線ＫＳ１の符号と共に、２点鎖線で図示される。更に、仮想線ＫＳ１の正面方向が矢印Ｆで図示され、背面方向が矢印Ｂで図示される。
【０６９９】
図９７及び図９８に示すように、左羽部材１４５２０Ｌは、正面視略三角形に形成されると共に、前後方向に遊技球の直径よりも大きい寸法に形成される。左羽部材１４５２０Ｌは、重力方向下端部分に、前後方向に貫通する貫通孔５２１Ｌと、その貫通孔５２１Ｌの周囲に正面側から背面側に凹設される凹部５２２Ｌと、貫通孔５２１Ｌの近傍から背面側に突設される突起５２３Ｌと、貫通孔５２１Ｌ側の端面に貫通孔５２１Ｌの径方向に凹設される凹設部５２５Ｌと、閉鎖状態において一対の羽部材１４５２０Ｌ，１４５２０Ｒの対向する面の側面１４５２６Ｌと、その側面１４５２６Ｌに突出形成される膨出部１４５２４Ｌと、を主に備えて形成される。
【０７００】
側面１４５２６Ｌは、前後方向略中央位置から背面側に向かって上方傾斜して形成される傾斜面１４５２６Ｌ１と、前後方向略中央位置から正面側に形成される平滑面１４５２６Ｌ２とを備える。
【０７０１】
傾斜面１４５２６Ｌ１は、背面側（図９８（ｂ）左側）から平滑面１４５２６Ｌ２側に向かって下方傾斜して形成される。これにより、側面１４２５６Ｌに送球される遊技球のうち、傾斜面１４５２６Ｌ１に送球される遊技球を、その下方傾斜により、平滑面１４５２Ｌ２側に案内することができる。
【０７０２】
また、膨出部１４５２４Ｌは、傾斜面１４５２６Ｌ１の基端側（図９８（ｂ）紙面奥側）に形成される。膨出部１４５２４Ｌは、その前後方向における幅寸法が羽部材１４５２０Ｌの前後方向幅の半分よりも小さく形成される。即ち、膨出部１４５２４Ｌの前後方向幅よりも、膨出部１５２５４Ｌの前後方向幅の方が小さくされる。
【０７０３】
上述したように、左羽部材１４５２０Ｌの側面１４５２６Ｌを転動する遊技球のうちの傾斜面１４５２６Ｌ１を転動する遊技球は、平滑面１４５２６Ｌ２側に転動されるので、側面１４５２６Ｌを転動する遊技球が膨出部１４５２４Ｌに衝突する確率を小さくすることができる。
【０７０４】
一方、右羽部材１４５２０Ｒは、正面視略三角形に形成されると共に、前後方向に遊技球の直径よりも大きい寸法に形成される。右羽部材１４５２０Ｒは、重力方向下端部分に前後方向に貫通する貫通孔５２１Ｒと、その貫通孔５２１Ｒの周囲に正面側から背面側に凹設される凹部５２２Ｌと、貫通孔５２１Ｒの近傍から背面側に突設される突起５２３Ｒと、貫通孔５２１Ｒ側の端面に貫通孔５２１Ｒの軸方向に凹設される凹設部５２５Ｒと、閉鎖状態において一対の羽部材１４５２０Ｌ，１４５２０Ｒの対向する面の側面１４５２６Ｒと、その側面１４５２６Ｒに突出形成される膨出部１４５２４Ｒと、を主に備えて形成される。
【０７０５】
側面１４５２６Ｒは、前後方向略中央位置から背面側に向かって上方傾斜して形成される傾斜面１４５２６Ｒ１と、前後方向略中央位置から正面側に形成される平滑面１４５２６Ｒ２とを備える。
【０７０６】
傾斜面１４５２６Ｒ１は、背面側（図９８（ｃ）右側）から平滑面１４５２６Ｒ２側に向かって下方傾斜して形成される。これにより、側面１４２５６Ｒに送球される遊技球のうち、傾斜面１４５２６Ｒ１に送球される遊技球を、その下方傾斜により、平滑面１４５２Ｒ２側に案内することができる。
【０７０７】
また、膨出部１４５２４Ｒは、傾斜面１４５２６Ｒ１の基端側（図９８（ｂ）紙面奥側）に形成される。膨出部１４５２４Ｌは、その前後方向における幅寸法が羽部材１４５２０Ｌの前後方向幅の半分よりも大きく形成される。即ち、膨出部１４５２４Ｌの前後方向幅よりも、傾斜面１４５２６Ｒ１の前後方向幅の方が大きくされる。よって、左羽部材１４５２０Ｌの膨出部１４５２４Ｌの前後方向幅よりも、右羽部材１４５２０Ｒの膨出部１４５２４Ｒの前後方向幅の方が大きく形成される。
【０７０８】
上述したように、右羽部材１４５２０Ｒの側面１４５２６Ｒを転動する遊技球のうちの傾斜面１４５２６Ｒ１を転動する遊技球は、平滑面１４５２６Ｒ２側に転動されるので、側面１４５２６Ｒを転動する遊技球が膨出部１４５２４Ｒに衝突する確率を小さくすることができる。
【０７０９】
また、第１４実施形態のパチンコ機１０は、第１電動役物５２０の左側から遊技球が流下して、開放状状態の羽部材５２０Ｌ，５２０Ｒの側面５２６Ｌ，５２６Ｒに送球されやすい形態に形成される。詳しく説明すると、パチンコ機１０は、一対の羽部材５２０Ｌ，５２０Ｒを開放状態とする第１スルーゲート６６が、センタフレーム８６の左側に配置され、時短中や確変中に遊技球をセンタフレーム８６の左側に向けて打出しされるように構成される。これにより、遊技盤１３を流下する遊技球は、全体的に遊技盤１３の左側を流下して、第１可変装置１４５２０（一対の羽部材１４５２０Ｌ，１４５２０Ｒ）の左側から側面１４５２６Ｌ，１４５２６Ｒに送球されやすくなる。
【０７１０】
そのため、右羽部材１４５２０Ｒに比べて、左羽部材１４５２０Ｌの側面１４５２６Ｌに多く遊技球が送球され、左羽部材１４５２０Ｌの膨出部１４５２４Ｌの摩耗が早くなり、左羽部材１４５２０Ｌが壊れやすくなるという問題点があった。
【０７１１】
これに対し、第１４実施形態では、側面１４５２６Ｌ，１４５２６Ｒに傾斜面１４５２６Ｌ１，１４５２６Ｒ１を形成すると共に、その傾斜面１４５２６Ｌ１，１４５２６Ｒ１に膨出部１４５２４Ｌ，１４５２４Ｒを形成し、遊技球が多く送球される側の膨出部１４５２４Ｌ，１４５２４Ｒを前後方向に小さく形成するので、多く送球される側の羽部材１４５２０Ｌの膨出部１４５２４Ｌに遊技球が衝突する確率を小さくすることで、膨出部１４５２４Ｌの摩耗が早くされることを抑制することができる。その結果、遊技球が多く送球される側の羽部材１４５２０Ｌ，１４５２０Ｒが壊れやすくなることを抑制できる。
【０７１２】
次いで、図９９及び図１００を参照して、第１５実施形態における可変入賞装置１５０６５について説明する。上記第１実施形態では、一対の羽部材５２０Ｌ，５２０Ｒに膨出部５２４Ｌ，５２４Ｒが形成される場合を説明したが、第１５実施形態では、可変入賞装置６５に膨出部１５０６５ｂ，１５０６５ｃが形成される。なお、上述した各実施形態と同一の部分には同一の符号を付して、その説明は省略する。
【０７１３】
図９９（ａ）は、第１５実施形態における遊技盤１３の部分拡大図であり、図９９（ｂ）は、図９９のＸＣＩＸｂ−ＸＣＩＸｂ線における遊技盤１３の断面図である。図１００（ａ）は、遊技盤１３の部分拡大図であり、図１００（ｂ）は、図１００（ａ）におけるＣｂ−Ｃｂ線における遊技盤１３の断面図である。
【０７１４】
なお、図９９（ａ）及び図１００（ａ）は、図２９の部分拡大図と対応する。また、図９９では、可変入賞装置１５０６５の閉鎖状態が図示され、図１００では、可変入賞装置１５０６５の開放状態が図示される。また、図１００（ｂ）では、図２４（ｂ）と同様に側面１５０６５ａを転動する遊技球の転動方向が仮想線ＫＳ１の符号と共に、２点鎖線で図示される。更に、仮想線ＫＳ１の正面方向が矢印Ｆで図示され、背面方向が矢印Ｂで図示される。
【０７１５】
また、可変入賞装置１５０６５の閉鎖状態とは、板状態に形成される可変入賞装置１５０６５の平面が遊技盤１３の正面側の平面と略平行に位置され、遊技領域を流下する遊技球が特定入賞口（大開放口）６５ａに入球不能とされる状態である。一方、可変入賞装置１５０６５の開放状態とは、可変入賞装置１５０６５の平面が、遊技盤１３の正面側の平面と略直交に位置され、遊技領域を流下する遊技球が特定入賞口（大開放口）６５ａに入球可能とされる状態である。
【０７１６】
図９９及び図１００に示すように、可変入賞装置１５０６５は、左右に長い板状体に形成されると共に、背面側の一端を軸に遊技盤１３に対して回転可能に配設される。また、可変入賞装置１５０６５は、背面側に図示しない駆動装置に連結されており、駆動装置に駆動力が付与されることで、可変入賞装置１５０６５が閉鎖状態の位置と開放状態の位置とで変位可能とされる。
【０７１７】
また、可変入賞装置１５０６５は、開放状態において上面側の側面１５０６５ａに２つの膨出部１５０６５ｂ，１５０６５ｃが突出形成される。さらに、可変入賞装置１５０６５の側面１５０６５ａは、左右両側から中央側に向かって下降傾斜して形成される。これにより、側面１５０６５ａに送球された遊技球を特定入賞口（大開放口）６５ａ側に向かって転動させ、特定入賞口（大開放口）６５ａに入球することができる。
【０７１８】
膨出部１５０６５ｂは、特定入賞口（大開放口）６５ａの正面視左側に位置すると共に、開放状態（図１００（ｂ）の状態）において、正面側の端面に連結して形成される。膨出部１５０６５ｃは、特定入賞口（大開放口）６５ａの正面視右側に位置すると共に、肺胞状態（図１００（ｂ）の状態）において、背面側の端面に連結して形成される。
【０７１９】
即ち、膨出部１５０６５ｂ及び膨出部１５０６５ｃは、特定入賞口（大開放口）６５ａを間に挟んで左右両側に形成されると共に、前後方向に異なる位置に形成される。これにより、開放状態の可変入賞装置１５０６５の左右両側に遊技球が送球された際に、遊技球が、特定入賞口（大開放口）６５ａの前方で衝突して左右両側に跳ね返ることを抑制できる。
【０７２０】
詳しく説明すると、側面１５０６５ａの正面視左側に送球される遊技球は、特定入賞口（大開放口）６５ａ側に転動される際に、膨出部１５０６５ｂと衝突して、背面側に案内される。一方、側面１５０６５ａの正面視右側に送球される遊技球は、特定入賞口（大開放口）６５ａ側に転動される際に、膨出部１５０６５ｃと衝突して、正面側に案内される。
【０７２１】
よって、側面１５０６５ａの左右両側から送球される遊技球の前後方向位置を膨出部１５０６５ｂ及び膨出部１５０６５ｃにより、変位させることができる。従って、側面１５０６５ａの左右両側に遊技球が送球されて、特定入賞口（大開放口）６５ａの前方で左右の遊技球が衝突する際に、その跳ね返り（反発）方向を前後方向にすることができる。その結果、遊技球の特定入賞口（大開放口）６５ａへの入球をスムーズにできる。
【０７２２】
また、側面１５０６５ａの左右一方から遊技球が送球される際には、膨出部１５０６５ｂ又は膨出部１５０６５ｃの一方に遊技球を衝突させて前後方向位置を変位させることで、遊技球が側面１５０６５ａの正面側を左右方向に転動した際に、遊技球を膨出部１５０６５ｂ又は膨出部１５０６５ｃの他方に衝突させることができる。その結果、側面１５０６５ａの一方側から送球された遊技球が、特定入賞口（大開放口）６５ａの前方を転動して側面１５０６５ａの他方側に抜け出ることを抑制できる。
【０７２３】
可変入賞装置１５０６５の側面１５０６５ａは、特定入賞口（大開放口）６５ａの幅と同等または特定入賞口（大開放口）６５ａの幅よりも大きな幅を有して形成され、一対の膨出部１５０６５ｂ，１５０６５ｃは、正面視において入球口を挟んだ位置に配設されると共に、幅方向（側面１５０６５ａに沿って遊技球が案内される方向）と直交する方向に位置を異ならせて配置されるので、側面１５０６５ａを案内（転動）される遊技球を膨出部１５０６５ｂ，１５０６５ｃに当接させることで、かかる遊技球を確実に偏倚させることができる。その結果、特定入賞口（大開放口）６５ａへスムーズに入球させることができる。
【０７２４】
また、一方の膨出部１５０６５ｂ，１５０６５ｃと他方の膨出部１５０６５ｂ，１５０６５ｃとが、可変入賞装置１５０６５の幅方向（側面１５０６５ａに沿って遊技球が案内される方向）と直交する方向に位置を異ならせて配置されることで、可変入賞装置１５０６５の側面１５０６５ａへ幅方向一側（又は他側）から遊技球が進入した場合には、かかる遊技球を一対の膨出部１５０６５ｂ，１５０６５ｃのいずれか一方に当接させることができる。よって、可変入賞装置１５０６５の側面１５０６５ａへ幅方向一側（又は他側）から進入した遊技球が、可変入賞装置１５０６５の側面１５０６５ａを通り抜けて可変入賞装置１５０６５の側面１５０６５ａの幅方向他側から流出することを抑制できる。その結果、遊技球を特定入賞口（大開放口）６５ａへ入球させて、遊技者の興趣を向上できる。
【０７２５】
次いで、図１０１を参照して、第１６実施形態における、摺動部材８５３２と回転部材８５３３の係合について説明する。上記第８実施形態では、回転部材８５３３と摺動部材８５３２との係合は、連結部５３３ａの上面と第３突起８５３２ｅとが当接することにより可能とされたが、第１６実施形態では、連結部５３３ａの凹みに第３突起１６５３２ｅが挿入されることで行われる。なお、上述した各実施形態と同一の部分には同一の符号を付して、その説明は省略する。
【０７２６】
図１０１（ａ）は、第１６実施形態における第１電動役物５２０及び駆動ユニット８５３０の正面図であり、図１０１（ｂ）は、図１０１（ａ）ＣＩｂ−ＣＩｂ線における第１電動役物５２０及び駆動ユニット８５３０の断面図であり、図１０１（ｃ）は、図１０１（ｂ）のＣＩｃ−ＣＩｃ線における第１電動役物５２０及び駆動ユニット８５３０の断面図である。
【０７２７】
図１０１に示すように、第１６実施形態の回転部材８５３３の連結部５３３ａには、その左右方向略中央位置に背面側から正面側に向かって凹設される凹設部１６５３３ａ１が形成される。凹設部１６５３３ａ１は、背面視横長矩形に形成される。
【０７２８】
また、摺動部材８５３２の第３突起１６５３２ｅは、上述した凹設部１６５３３ａ１と前後方向に対向する位置に突出形成される。第３突起１６５３２ｅの正面視形状は、凹設部１６５３３ａ１よりもやや小さい横長矩形に形成され、先端が先細りの形状に形成される。
【０７２９】
これにより、一対の羽部材５２０Ｌ，５２０Ｒが閉鎖状態とされる際には、凹設部１６５３３ａ１の内側に第３突起１６５３２ｅを収容することができる。その結果、回転部材８５３３と摺動部材８５３２とを係合することができる。
【０７３０】
また、この場合、係合部が凹設部１６５３３ａ１とされるので、第３突起１６５３２ｅが凹設部１６５３３ａ１に挿入される分、第３突起１６５３２ｅの配設に必要なスペースを抑制して、小型化を図ることができると共に、凹設部１６５３３ａ１に挿通されていることで、第３突起１６５３２ｅを外部から遮蔽でき、かかる第３突起１６５３２ｅへの外部からの不正なアクセスを困難とできる。
【０７３１】
次いで、図１０２から図１０４を参照して、第１７実施形態における摺動部材１５７３２について説明する。上記第１実施形態では、立設壁５３２ｃ１が、第２入賞口１４０に入球した遊技球の流下経路上に配設されるセンサ装置ＳＥ１よりも上流側に位置される場合を説明したが、第１７実施形態では、立設壁１７５３２ｃ１が、センサ装置ＳＥ１よりも下流側に配置される場合を説明する。なお、上述した各実施形態と同一の部分には同一の符号を付して、その説明は省略する。
【０７３２】
初めに、図１０２及び図１０３を参照して、摺動部材１７５３２の構成を説明する。図１０２（ａ）及び図１０２（ｂ）は、第１７実施形態における第１電動役物５２０及び駆動ユニット１７５３０の側面図である。図１０３（ａ）及び図１０３（ｂ）は、入賞口ユニット５００の断面図である。
【０７３３】
なお、図１０２では、第１ケース部材５３４及び第２ケース部材５３５が透明視されて図示される。また、図１０２（ａ）及び図１０３（ａ）は、第１電動役物５２０が閉鎖状態とされ、図１０２（ｂ）及び図１０２（ｂ）では、第１電動役物５２０が開放状態とされた状態がそれぞれ図示される。また、図１０２（ａ）及び図１０２（ｂ）は、図１７（ａ）及び図１７（ｂ）の断面とそれぞれ対応する。
【０７３４】
図１０２及び図１０３に示すように、第１７実施形態における摺動部材１７５３２は、連結部５３２ａの下側（図１０２（ａ）下側）から立設壁１７５３２ｃ１が突出形成される。立設壁１７５３２ｃ１は、その先端が第２ケース部材５３５の下端面を超える位置に設定される共に、先端が正面側に屈曲して形成される立設壁１７５３２ｃ１を備える。
【０７３５】
立設壁１７５３２ｃ１の正面側への立設長さは、第１電動役物５２０が閉鎖状態とされる際に、上下の側面が第２ケース部材５３５に配設されるセンサ装置ＳＥ１の下方に位置する長さに設定される。
【０７３６】
また、第２ケース部材５３５には、上下方向に貫通成形される開口１７５３５ｂが形成される（図１０３（ａ）参照）。第２突起１７５３２ｃは、開口１７５３５ｂの内側に挿通された状態で配設される。
【０７３７】
さらに、開口１７５３５ｂの前後方向における開口幅が、前後方向にスライド変位する摺動部材１７５３２のスライド幅（ソレノイド５３１の駆動幅）よりも、大きく設定される。これにより、開口１７５３５ｂの内側に第２突起１７５３２ｃを挿通した状態で、摺動部材１７５３２を前後方向に摺動させることができる。
【０７３８】
よって、図１０３（ａ）及び図１０３（ｂ）に示すように、第１電動役物５２０が閉鎖状態とされる際には、立設壁１７５３２ｃ１がセンサ装置ＳＥ１の下流側に位置して遊技球の挿通を規制できる。一方、第１電動役物５２０が開放状態とされる際には、立設壁１７５３２ｃ１が、センサ装置ＳＥ１の開口（遊技球の通過を検知する孔）よりも背面側に配置される。これにより、第１電動役物５２０が開放状態とされる際には、遊技球を挿通可能とできる。
【０７３９】
次いで、図１０４を参照して、遊技者の不正により第１電動役物が無理やりに第２状態とされた場合を説明する。図１０４（ａ）及び図１０４（ｂ）は、入賞口ユニット５００の断面図である。なお、図１０４（ａ）及び図１０４（ｂ）は、図２０（ａ）及び図２０（ｂ）の断面とそれぞれ対応する。また、図１０４（ａ）は、第１電動役物５２０が閉鎖状態とされ、図１０４（ｂ）では、第１電動役物５２０が開放状態とされた状態がそれぞれ図示される。
【０７４０】
図１０４（ａ）及び図１０４（ｂ）に示すように、第１電動役物５２０が、閉鎖状態とされる際に、遊技者の不正行為により一対の羽部材５２０Ｌ，５２０Ｒが無理やり開放されて、第１電動役物５２０が開放状態とされた際には、上記第１実施形態と同様に、摺動部材１７５３２の前後方向位置が閉鎖状態と同じ位置とされる。
【０７４１】
よって、第１電動役物５２０を無理やり開放状態とした場合には、センサ装置ＳＥ１の下流側に立設壁１７５３２ｃ１が配置される。従って、第２入賞口１４０から遊技球が入球された遊技球は、立設壁１７５３２ｃ１の上面で停滞される。
【０７４２】
この場合、センサ装置ＳＥ１から立設壁１７５３２ｃ１の上面までの離間距離は、遊技球の半径と略一致する寸法に設定される。これにより、立設壁１７５３２ｃ１の上面に留めた遊技球は、センサ装置ＳＥ１により常時検出される状態とされる。従って、センサ装置ＳＥ１が所定時間遊技球を検知することで、不正により第１電動役物５２０が不正により開放されたことをパチンコ機１０が検知できる。その結果、遊技者の不正行為を防止すると共に、店舗運営者へ遊技者の不正行為を通知することができる。
【０７４３】
即ち、第１７実施形態におけるパチンコ機１０は、第２入賞口１４０に入球された遊技球を検出するセンサ装置ＳＥ１を備え、立設壁１７５３２ｃ１は、規制位置がセンサ装置ＳＥ１よりも下流とされると共に、センサ装置ＳＥ１による検出が可能な位置で遊技球を規制するので、例えば、羽部材５２０Ｌ，５２０Ｒが強制開放され、遊技球が入球口から不正に流入された場合には、センサ装置ＳＥ１が遊技球を検出した状態を継続させることができる。よって、センサ装置ＳＥ１による検出が所定時間を越えて継続されたかを判断することで、不正に遊技球が流入されたことを検出することができる。
【０７４４】
次いで、図１０５を参照して、第１８実施形態の回転部材１８８１２について説明する。上記第２実施形態では、回転部材２８１２に形成される突起２８１２ａ１がハブ８１２ａの軸から径方向に一定の離間距離で形成される場合を説明したが、第１８実施形態では、突起１８８１２ａ１が、ハブ８１２ａの軸から径方向に異なる離間距離で形成される。なお、上述した各実施形態と同一の部分には同一の符号を付して、その説明は省略する。
【０７４５】
図１０５（ａ）は、第１８実施形態における回転部材１８８１２の部分拡大図であり、図１０５（ｂ）は、図１０５（ａ）のＣＶｂ−ＣＶｂ線における回転部材１８８１２の断面図である。
【０７４６】
図１０５に示すように、第１８実施形態における回転部材１８８１２のハブ８１２ａには、対向して配置される外リールユニット８２０の縁部８２４側（図３５参照）へ半球状に突出する突起１８８１２ａ１を複数個備える。
【０７４７】
突起１８８１２ａ１は、隣合う突起１８８１２ａとハブ８１２ａの軸からの径方向距離がそれぞれ異なって形成される。これにより、内リールユニット８１０が回転された際に、第１（回転側に位置する先）の突起１８８１２ａ１により発生する気流を、第２（先の突起１８８１２ａ１よりも回転後方側）の突起１８８１２ａ１に衝突させやすくできる。従って、内リールユニット８１０を回転させた際に、気流を発生させやすくできる。その結果、内リール８１１と外リール８２１の対向間に空気を送って内リール８１１の外周面および外リール８２１の内周面を清掃することができる。
【０７４８】
次いで、図１０６を参照して、第１９実施形態における収容ユニット８８０と内リールユニット８１０と外リールユニット８２０との関係を説明する。上記第１実施形態では、収容ユニット８８０の側壁部８８１は板状体に形成される場合を説明したが、第１９実施形態における側壁部８８１は開口が複数個形成される。なお、上述した各実施形態と同一の部分には同一の符号を付して、その説明は省略する。
【０７４９】
図１０６（ａ）及び図１２（ｂ）は、第１９実施形態における装飾図柄表示装置８００の断面図である。なお、図１０６（ａ）及び図１０６（ｂ）では、外リールユニット８２０が遷移（回転変位）された状態がそれぞれ図示される。また、図１０６（ｂ）では、側壁部８８１に形成される開口１９８８１ｄが鎖線で図示される。
【０７５０】
図１０６（ａ）に示すように、装飾図柄表示装置８００の正面視左側に配置される側壁部８８１（図３０（ａ）参照）には、左右方向に貫通形成される開口１９８８１ｄが複数個形成される。
【０７５１】
開口１９８８１ｄは、内リールユニット８１０及び外リールユニット８２０の回転軸を中心に周方向に所定の間隔を隔てて形成される。隣合う開口１９８８１ｄの形成角度は、内リールユニット８１０のスポーク８１２ｃ及び外リールユニット８２０のスポーク８２２の形成角度と略同一に設定される。また、開口１９８８１ｄの周方向における開口寸法は、スポーク８１２ｃ及びスポーク８２２の周方向における幅寸法よりも小さく設定される。これにより、図１０６（ａ）に示すように、外リールユニット８２０（又は内リールユニット８１０）を所定位置に回転させることで、スポーク８２２（又はスポーク８１２ｃ）を開口１９８８１ｄの隣に配置することができる。即ち、開口１９８８１ｄをスポーク８２２（又はスポーク８１２ｃ）により側面視において覆うことができる。
【０７５２】
これにより、内リールユニット８１０（又は外リールユニット８２０）が回転される際に開口１９８１２ｃから空気が流入することを抑制することができる。
【０７５３】
一方、図１０６（ｂ）に示すように、外リールユニット８２０（又は内リールユニット８１０）を所定位置に回転させることで、スポーク８２２（又はスポーク８１２ｃ）を開口１９８８１ｄと異なる周方向位置に配置することができる。
【０７５４】
これにより、内リールユニット８１０（又は外リールユニット８２０）が回転される際に開口１９８１２ｃから空気が流入することを許容することができる。即ち、空気の流入経路を最短として、空気抵抗を減らすことで、空気を装飾図柄表示装置８００（収容ユニット８８０）の内側に流入しやすくできる。
【０７５５】
従って、内リールユニット８１０を回転させて、内リール８１１の外周面に装飾され他図柄を遊技者に視認させる演出を行う際には、開口１９８８１ｄからの空気の流入を規制して内リール８１１の表示を遊技者に視認させやすくできる。一方、内リール８１１の外周面および外リール８２１の内周面を清掃する際には、開口１９８８１ｄからの吸気の流入を許容して内リール８１１の外周面および外リール８２１の内周面を清掃しやすくできる。
【０７５６】
以上、上記各実施形態に基づき本発明を説明したが、本発明は上記各実施形態に何ら限定されるものではなく、本発明の趣旨を逸脱しない範囲内で種々の変形改良が可能であることは容易に推察できるものである。
【０７５７】
上記各実施形態において、１の実施形態の一部または全部を他の１又は複数の実施形態の一部または全部と入れ替えて又は組み合わせて、遊技機を構成しても良い。
【０７５８】
上記第１実施形態では、左右一対の羽部材５２０Ｌ，５２０Ｒの膨出部５２４Ｌ，５２４Ｒ以外を左右対称に形成する場合を説明したが、必ずしもこれに限られるものではない。例えば、羽部材５２０Ｌ，５２０Ｒの突起５２３Ｌ，５２３Ｒを回転部材５３３側に形成して、羽部材５２０Ｌ，５２０Ｒを同一形状としても良い。この場合、羽部材５２０Ｌ，５２０Ｒを同一の部品で形成できるので、部品を共通化することで、羽部材５２０Ｌ，５２０Ｒの製造コストを低減できる。
【０７５９】
上記第１実施形態では、反射部材６２５の傾斜部６２５ａが平滑な面に形成される場合を説明したが、必ずしもこれに限られるものではない。例えば、傾斜部６２５ａを、光透過部６２１ａ側に凸状態に湾曲形成してもよい。この場合、傾斜部６２５ａに反射された光を分散しやすくでき、光透過部６２１ａの背面へ均一に入射させることができる。その結果、光透過部６２１ａを透過して視認される光量の分布を均一化できる。
【０７６０】
上記第１及び第１１実施では、装飾部材７５２の支持状態が一側に偏倚される態様として、構成部品の配設数が異なる場合を説明したが、必ずしもこれに限られるものではない。例えば、一側と他側（装飾部材の両側）とで、構成される剛性（構成部材の寸法、材質など）が異なるもの、一側と他側とで、伝達される駆動力（大きさ、伝達時間、伝達タイミングなど）が異なるもの、一側と他側とで構成部材どうしの連結状態（例えば、連結部分の数、連結部分のがたつき量など）が異なるもの、一側と他側とで相手への変位のしやすさ（付勢手段から受ける付勢力、重力、変位（スライドや回転）の際の抵抗など）が異なるもの、これらを組み合わせたものなどであってもよい。
【０７６１】
これにより、支持状態を構成部材の剛性により一側へ偏倚させる場合には、駆動手段６８０Ｕ及び駆動手段６８０Ｄは、自分の剛性の高い側（低い側）を相手の剛性の低い側（高い側）に向か合せることができる。よって、装飾ユニット６７２Ｕおよび装飾ユニット６７２Ｄの対向辺どうしを当接させた状態では、駆動手段６８０Ｕおよび駆動手段６８０Ｄのそれぞれが、剛性の高い側では相手を押し込む（前進する）と共に、剛性の低い側では相手を受け入れる（後退する）状態を形成できる。その結果、装飾ユニット６７２Ｕおよび装飾ユニット６７２Ｄの対向辺どうしを密着させやすくでき、対向辺どうしの間に隙間が形成されることを抑制できる。
【０７６２】
上記第９実施形態では、付勢ばねにより第１電動役物５２０が閉鎖状態へ変位される場合を説明したが、必ずしもこれに限られるものではない。例えば、第１電動役物５２０の内側に磁性体を配設すると共に、正面ベース５１１又は背面ベース５１２に磁石を配置することで、その磁石の磁力により第１電動役物５２０を閉鎖状態へ変位させるものであっても良い。
【０７６３】
上記第１及び第１１実施形態では、装飾部材７５２の支持状態が一側に偏倚される態様として、構成部品の配設数が異なる場合を説明したが、必ずしもこれに限られるものではない。例えば、第１リンク部材６８４Ｕおよび第２リンク部材６８６Ｕ（第２リンク部材６８６Ｄおよび第１リンク部材６８４Ｄ）が互いに異なる構成とされる態様としては、構成部材の剛性（構成部材の寸法、配設数、材質など）が異なるもの、構成部材どうしの連結状態（例えば、連結部分の数、連結部分のがたつき量など）が異なるもの、これらを組み合わせたものなどであってもよい。これら構成の相異により、伝達する駆動力の大きさや伝達タイミングが異なることとなり、駆動手段６８０Ｕおよび駆動手段６８０Ｄの支持態様がそれぞれ一側に偏倚される。
【０７６４】
上記第１実施形態では、立設壁５３２ｃ１が、第１ケース部材５３４の内側をスライド可能に形成される場合を説明したが、必ずしもこれに限られるものではない。例えば、ソレノイド５３１の可動体５３１ｂが本体部５３１ａの内側から張り出された状態では、立設壁５３２ｃ１が第２入賞口１４０の内側から正面側に突出されていてもよい。この場合、遊技球が第２入賞口１４０の内側に入球されることを抑制できるので、不正により羽部材５２０Ｌ，５２０Ｒを開放した場合であっても、第２入賞口１４０の内側（立設壁５３２ｃ１の前方）に遊技球が停滞されることを抑制できる。その結果、遊技者の不正を防止できる。
【０７６５】
上記第１２及び１３実施形態では、正面ベース５１１及び背面ベース５１２の対向間における側面形状を変更することで、遊技球を前後方向に案内させる場合を説明したが、必ずしもこれに限られるものではない。
【０７６６】
例えば、正面ベース５１１及び背面ベース５１２の内側に磁石を配設し、その磁石の吸着力により遊技球を前後方向に案内してもよい。これにより、正面ベース５１１及び背面ベース５１２の対向間を狭くする必要がなくなるので、遊技球が、正面ベース５１１及び背面ベース５１２の対向間に挟持されることを抑制できる。なお、この場合、磁石の吸着力は、磁石の吸着面に遊技球を保持できない程度の吸着力にすることが好ましい。これにより、遊技球が正面ベース５１１及び背面ベース５１２の側面に吸着された状態とされることを抑制できる。
【０７６７】
上記第２及び第１８実施形態では、回転部材１８８１２のハブ８１２ａに複数の突起２８１２ａ１，１８８１２ａ１が形成される場合を説明したが、必ずしもこれに限られるものではない。例えば、ハブ８１２ａの縁部８２４と対向する側面に、凹設される溝が複数個形成されるものであってもよい。この場合も、第２及び第１８実施形態と同様に溝の凹凸形状により気流を発生させることができる。その結果、内リール８１１と外リール８２１の対向間に空気を送って内リール８１１の外周面および外リール８２１の内周面を清掃することができる。
【０７６８】
上記第１５実施形態では、可変入賞装置１５０６５が遊技盤１３に対して回転変位可能に配設される場合を説明したが、必ずしもこれに限られるものではない。例えば、可変入賞装置１５０６５を遊技盤１３に対して前後方向にスライド変位可能に配設して、閉鎖状態では、可変入賞装置１５０６５を遊技盤１３に没入された状態とし特定入賞口６５ａに遊技球を入球不能とし、開放状態では、可変入賞装置１５０６５を遊技盤１３の正面側に張り出して特定入賞口６５ａに遊技球を入球可能とする構成であっても良い。
【０７６９】
本発明を上記各実施形態とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される）として実施してもよい。また、大当たり図柄が表示された後に、所定の領域に球を入賞させることを必要条件として遊技者に所定の遊技価値を付与する特別遊技を発生させるパチンコ機として実施してもよい。また、Ｖゾーン等の特別領域を有する入賞装置を有し、その特別領域に球を入賞させることを必要条件として特別遊技状態となるパチンコ機に実施してもよい。更に、パチンコ機以外にも、アレパチ、雀球、スロットマシン、いわゆるパチンコ機とスロットマシンとが融合した遊技機などの各種遊技機として実施するようにしても良い。
【０７７０】
なお、スロットマシンは、例えばコインを投入して図柄有効ラインを決定させた状態で操作レバーを操作することにより図柄が変動され、ストップボタンを操作することにより図柄が停止されて確定される周知のものである。従って、スロットマシンの基本概念としては、「複数の識別情報からなる識別情報列を変動表示した後に識別情報を確定表示する表示装置を備え、始動用操作手段（例えば操作レバー）の操作に起因して識別情報の変動表示が開始され、停止用操作手段（例えばストップボタン）の操作に起因して、或いは、所定時間経過することにより、識別情報の変動表示が停止して確定表示され、その停止時の識別情報の組合せが特定のものであることを必要条件として、遊技者に所定の遊技価値を付与する特別遊技を発生させるスロットマシン」となり、この場合、遊技媒体はコイン、メダル等が代表例として挙げられる。
【０７７１】
また、パチンコ機とスロットマシンとが融合した遊技機の具体例としては、複数の図柄からなる図柄列を変動表示した後に図柄を確定表示する表示装置を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、或いは、所定時間経過することにより、図柄の変動が停止され、その停止時の確定図柄がいわゆる大当たり図柄であることを必要条件として遊技者に所定の遊技価値を付与する特別遊技が発生させられ、遊技者には、下部の受皿に多量の球が払い出されるものである。かかる遊技機をスロットマシンに代えて使用すれば、遊技ホールでは球のみを遊技価値として取り扱うことができるため、パチンコ機とスロットマシンとが混在している現在の遊技ホールにおいてみられる、遊技価値たるメダルと球との別個の取扱による設備上の負担や遊技機設置個所の制約といった問題を解消し得る。
【０７７２】
以下に、本発明の遊技機に加えて上述した実施形態に含まれる各種発明の概念を示す。
【０７７３】
＜入賞口ユニット５００を一例とする発明の概念について＞
遊技球が入球可能に形成される入球口と、その入球口に遊技球を案内する案内面を有すると共に変位可能に形成された案内部材とを備えた遊技機において、前記案内部材は、前記案内面から突設され前記案内面を転動する遊技球に当接可能に形成される一対の突設部を備え、それら一対の突設部が、前記案内面に沿って遊技球が案内される方向と直交する方向に位置を異ならせて配置されることを特徴とする遊技機Ａ１。
【０７７４】
ここで、遊技球が入球可能に形成される入球口と、その入球口に遊技球を案内する案内面を有すると共に変位可能に形成された案内部材とを備えた遊技機が知られている。案内部材としては、例えば、入球口へ遊技球を案内する案内面を有すると共に入球口を挟んで配設され基端側が回転可能に軸支される一対の羽部材が例示される。この場合、特開２００３−１６４５９８号公報には、一方の羽部材における案内面の全面に第１の溝を設けると共に、他方の羽部材における案内面の全面に第２の溝をそれぞれ設ける技術が開示される。かかる技術によれば、第１の溝と第２の溝とが互いに異なる方向へ傾斜されるため、一方の羽部材における案内面および他方の羽部材における案内面をそれぞれ遊技球が同時に案内（転動）される場合でも、それら各遊技球を互いに異なる方向（一方はガラス板側であって他方は遊技盤側）へ偏倚させることできる。よって、これら各遊技球を入球口へスムーズに入球させることができる。しかしながら、上述した従来の技術では、遊技球を十分に偏倚させることができないという問題点があった。また、案内部材の一側から進入した遊技球が案内面を通過して案内部材の他側から通り抜けることがあり、この場合には、遊技球が入球口へ入球されないため、遊技者の興趣が損なわれるという問題点があった。
【０７７５】
これに対し、遊技機Ａ１によれば、案内部材は、前記案内面から突設され案内面を転動する遊技球に当接可能に形成される一対の突設部を備え、それら一対の突設部が、案内面に沿って遊技球が案内される方向と直交する方向に位置を異ならせて配置されるので、案内面を案内（転動）される遊技球を突設部に当接させることで、かかる遊技球を確実に偏倚させることができる。その結果、入球口へスムーズに入球させることができる。
【０７７６】
また、一対の突設部が、案内面に沿って遊技球が案内される方向と直交する方向に位置を異ならせて配置されることで、案内部材の一側から進入した遊技球を突設部に当接させることができる。よって、案内部材の一側から進入した遊技球が案内部材を通り抜けることを抑制できる。その結果、遊技球を入球口へ入球させて、遊技者の興趣を向上できる。
【０７７７】
遊技機Ａ１において、前記案内部材は、前記入球口を挟んで配設され基端側が回転可能に軸支される一対の羽部材として形成され、前記一対の羽部材が先端側を近接または離間させる方向へ回転されることで、遊技球が通過不能な閉鎖状態または遊技球が通過可能な開放状態が形成され、前記一対の突設部は、前記一対の羽部材のそれぞれの案内面から突設され、前記一対の羽部材のうちの一方の羽部材における前記突設部と他方の羽部材における前記突設部とが、前記案内面に沿って遊技球が案内される方向と直交する方向に位置を異ならせて配置されることを特徴とする遊技機Ａ２。
【０７７８】
遊技機Ａ２によれば、遊技機Ａ１の奏する効果に加え、案内部材は、入球口を挟んで配設され基端側が回転可能に軸支される一対の羽部材として形成され、一対の突設部は、一対の羽部材のそれぞれの案内面から突設され、一対の羽部材のうちの一方の羽部材における突設部と他方の羽部材における突設部とが、案内面に沿って遊技球が案内される方向と直交する方向に位置を異ならせて配置されるので、案内面を案内（転動）される遊技球を突設部に当接させることで、かかる遊技球を確実に偏倚させることができる。その結果、入球口へスムーズに入球させることができると共に、球詰まりを抑制できる。
【０７７９】
また、一方の羽部材における突設部と他方の羽部材における突設部とが、案内面に沿って遊技球が案内される方向（羽部材の先端側から基端側へ向かう方向）と直交する方向に位置を異ならせて配置されることで、一方の羽部材における案内面へ進入した遊技球が他方の羽部材における案内面へ到達した場合には、かかる遊技球を他方の羽部材における突設部に当接させることができる。よって、一方の羽部材における案内面へ進入した遊技球が他方の羽部材における案内面を通り抜けることを抑制できる。その結果、遊技球を入球口へ入球させて、遊技者の興趣を向上できる。
【０７８０】
遊技機Ａ２において、前記突設部は、前記羽部材の先端側よりも基端側に近い位置において前記案内面から突設されることを特徴とする遊技機Ａ３。
【０７８１】
遊技機Ａ３によれば、遊技機Ａ２の奏する効果に加え、突設部は、羽部材の先端側よりも基端側に近い位置において案内面から突設されるので、案内面に案内される遊技球が突設部に当接するまでに転動可能な領域を確保できる。よって、その分、遊技球の転動速度の低下を抑制して、入球口へスムーズに入球させることができる。
【０７８２】
また、突設部が羽部材の先端側よりも基端側に近い位置において突設面から突設されることで、突設部に当接して偏倚された遊技球の進路が、入球口の手前（案内面の終端）に到達するまでの間に偏倚前の進路に戻ることを抑制できる。即ち、偏倚された状態のままで遊技球を案内面から入球口へ送球しやすくできる。
【０７８３】
遊技機Ａ２又はＡ３において、前記案内面には、前記羽部材の先端側から基端側まで連続する第１領域が形成され、前記第１領域を案内される遊技球には非当接となる大きさで前記突設部が形成されると共に、前記一対の羽部材のうちの一方の羽部材における前記案内面の第１領域と他方の羽部材における前記案内面の第１領域とが、前記案内面に沿って遊技球が案内される方向と直交する方向に位置を異ならせて配置されることを特徴とする遊技機Ａ４。
【０７８４】
遊技機Ａ４によれば、遊技機Ａ２又はＡ３において、案内面には、羽部材の先端側から基端側まで連続する第１領域が形成され、第１領域を案内される遊技球には非当接となる大きさで突設部が形成されるので、案内面に進入した遊技球が第１領域を転動する場合には、その遊技球の転動速度が低下することを回避でき、入球口へスムーズに入球させることができる。
【０７８５】
この場合、一対の羽部材のうちの一方の羽部材における案内面の第１領域と他方の羽部材における案内面の第１領域とが、案内面に沿って遊技球が案内される方向と直交する方向に位置を異ならせて配置されるので、一方の羽部材における案内面の第１領域および他方の羽部材における案内面の第１領域をそれぞれ遊技球が同時に案内（転動）される場合でも、それら各遊技球を、互いに異なる方向へ偏倚させておくことができ、入球口へスムーズに入球させることができる。
【０７８６】
遊技機Ａ２からＡ４のいずれかにおいて、前記羽部材を回転可能に軸支するベース部材を備え、前記ベース部材は、前記羽部材に当接してその羽部材の回転を規制する規制部を備え、そのベース部材の規制部に前記羽部材の突設部が当接されることを特徴とする遊技機Ａ５。
【０７８７】
遊技機Ａ５によれば、遊技機Ａ２からＡ４のいずれかにおいて、羽部材を回転可能に軸支するベース部材を備え、ベース部材は、羽部材に当接することでその羽部材の回転を規制する規制部を備え、そのベース部材の規制部に羽部材の突設部が当接されるので、羽部材の破損を抑制できる。即ち、突設部は、羽部材（案内面）から突設される部位であるので、羽部材の比較的剛性が高くされる部分を、ベース部材の規制部に当接させるストッパとして利用できるので、その分、羽部材の破損を抑制できる。
【０７８８】
遊技機Ａ５において、前記突設部は、その側面が前記羽部材の基端側の側面に略面一に形成され、前記閉鎖状態において、前記羽部材の基端側の側面に略面一に形成される前記突設部の側面が少なくとも前記ベース部材の規制部に当接されることを特徴とする遊技機Ａ６。
【０７８９】
遊技機Ａ６によれば、遊技機Ａ５の奏する効果に加え、突設部は、その側面が羽部材の基端側の側面に略面一に形成され、閉鎖状態において、羽部材の基端側の側面に略面一に形成される突設部の側面が少なくともベース部材の規制部に当接されるので、回転軸からの距離が遠い部位（突設部の側面）をベース部材の規制部に当接させることができる分、規制部から羽部材へ入力される反力を小さくできえる。よって、羽部材の破損を抑制できる。また、例えば、突設部の突設先端面をベース部材の規制部に当接させる場合と比較して、ベース部材の規制部を入球口から離間させることができ、入球口への流路となるスペースを確保できる。なお、ベース部材の規制部に、突設部の側面に加え、羽部材の基端側の側面も当接されるものであっても良い。この場合には、面圧を低減して、羽部材の破損をより抑制できる。
【０７９０】
遊技機Ａ２からＡ６のいずれかにおいて、前記閉鎖状態において前記突設部の対向間に位置する介在壁を備え、前記一対の羽部材は、回転軸方向視において、前記突設部が非形成とされる領域での前記案内面の対向間隔が遊技球の直径よりも大きくされと共に、前記突設部の対向間隔が遊技球の直径よりも小さくされることを特徴とする遊技機Ａ７。
【０７９１】
ここで、一対の羽部材は、遊技球を挟み込まないように、閉鎖状態における案内面の対向間隔が遊技球の直径よりも大きな対向間隔となる位置に配置される。この場合、案内面から突設部を突設すると、突設部の間に遊技球を挟み込まないように、突設部の突設高さの分だけ一対の羽部材を更に離間させて配置する必要が生じ、一対の羽部材の配設に必要なスペースが嵩む。
【０７９２】
これに対し、遊技機Ａ７によれば、遊技機Ａ２からＡ６のいずれかの奏する効果に加え、閉鎖状態において突設部の対向間に位置する介在壁を備え、一対の羽部材は、回転軸方向視において、突設部が非形成とされる領域での案内面の対向間隔が遊技球の直径よりも大きくされと共に、突設部の対向間隔が遊技球の直径よりも小さくされるので、一対の羽部材の配設に必要なスペースを抑制できる。
【０７９３】
即ち、遊技球が案内面を案内（転動）されている状態で、一対の羽部材が閉じ始めても（閉鎖状態への移行を開始しても）、突設部の対向間に介在壁が位置することで、遊技球を突設部の対向間から排出して、突設部の間に遊技球が挟み込まれることを回避できる。介在壁により突設部の対向間から排出された遊技球は、突設部が非形成とされる領域での案内面の対向間に位置されるところ、かかる位置での対向間隔は、遊技球の直径よりも大きくされるので、遊技球が挟み込まれることはない。その結果、突設部の対向間隔を遊技球の直径よりも小さくできる。これにより、一対の羽部材の配設に必要なスペースを抑制できる。言い換えると、案内面に突設部を突設しない従来品の配設に必要なスペースと同等のスペースに一対の羽部材を配設できる。
【０７９４】
遊技機Ａ７において、前記開放状態において、前記介在壁の上面が、前記案内面の下端よりも重力方向下方に位置すると共に前記入球口の下端よりも重力方向上方に位置することを特徴とする遊技機Ａ８。
【０７９５】
遊技機Ａ８によれば、遊技機Ａ７の奏する効果に加え、開放状態において、介在壁の上面が、案内面の下端よりも重力方向下方に位置すると共に入球口の下端よりも重力方向上方に位置するので、案内面に案内された遊技球を、介在壁の上面に送球できると共に、介在壁の上面を転動させることで、入球口へ入球させることができる。
【０７９６】
遊技機Ａ２からＡ８のいずれかにおいて、前記一対の羽部材のうちの一方の羽部材が前記閉鎖状態を形成する位置に配置されるタイミングと他方の羽部材が前記閉鎖状態を形成する位置に配置されるタイミングとが異なることを特徴とする遊技機Ａ９。
【０７９７】
遊技機Ａ９によれば、遊技機Ａ２からＡ８のいずれかの奏する効果に加え、一対の羽部材のうちの一方の羽部材が閉鎖状態を形成する位置に配置されるタイミングと他方の羽部材が閉鎖状態を形成する位置に配置されるタイミングとが異なるので、一対の羽部材（案内面）の間に遊技球を挟み込み難くでき、その分、一対の羽部材の対向間隔を狭くできる。よって、一対の羽部材の配設に必要なスペースを抑制できる。
【０７９８】
遊技機Ａ１において、前記案内部材は、前記案内面を前記入球口へ対面させる姿勢となり遊技球の入球口への入球を不能とする閉鎖位置と、前記案内面を上面とする姿勢で前記入球口の正面側へ張り出し前記案内面を転動する遊技球の入球口への入球を可能とする開放位置との間で回転可能に形成され、前記案内部材の案内面は、前記入球口の幅と同等または前記入球口の幅よりも大きな幅を有して形成され、前記一対の突設部は、正面視において前記入球口を挟んだ位置に配設されると共に、幅方向（前記案内面に沿って遊技球が案内される方向）と直交する方向に位置を異ならせて配置されることを特徴とする遊技機Ａ１０。
【０７９９】
遊技機Ａ１において、前記案内部材は、前記入球口の下方に没入する姿勢となり遊技球の入球口への入球を不能とする閉鎖位置と、前記案内面を上面とする姿勢で前記入球口の正面側へ張り出し前記案内面を転動する遊技球の入球口への入球を可能とする開放位置との間でスライド変位可能に形成され、前記案内部材の案内面は、前記入球口の幅と同等または前記入球口の幅よりも大きな幅を有して形成され、前記一対の突設部は、正面視において前記入球口を挟んだ位置に配設されると共に、幅方向（前記案内面に沿って遊技球が案内される方向）と直交する方向に位置を異ならせて配置されることを特徴とする遊技機Ａ１１。
【０８００】
遊技機Ａ１０又はＡ１１によれば、遊技機Ａ１の奏する効果に加え、案内部材は、案内部材の案内面は、入球口の幅と同等または入球口の幅よりも大きな幅を有して形成され、一対の突設部は、正面視において入球口を挟んだ位置に配設されると共に、幅方向（案内面に沿って遊技球が案内される方向）と直交する方向に位置を異ならせて配置されるので、案内面を案内（転動）される遊技球を突設部に当接させることで、かかる遊技球を確実に偏倚させることができる。その結果、入球口へスムーズに入球させることができる。
【０８０１】
また、一方の突設部と他方の突設部とが、案内部材の幅方向（案内面に沿って遊技球が案内される方向）と直交する方向に位置を異ならせて配置されることで、案内部材の案内面へ幅方向一側（又は他側）から遊技球が進入した場合には、かかる遊技球を一対の突設部のいずれか一方に当接させることができる。よって、案内部材の案内面へ幅方向一側（又は他側）から進入した遊技球が、案内部材の案内面を通り抜けて案内部材の案内面の幅方向他側から流出することを抑制できる。その結果、遊技球を入球口へ入球させて、遊技者の興趣を向上できる。
【０８０２】
＜入賞口ユニット５００を一例とする発明の概念について＞
遊技球が入球可能に形成される入球口と、その入球口を挟んで配設される一対の羽部材と、それら一対の羽部材に駆動力を付与して開放または閉鎖させる駆動手段と、その駆動手段の駆動力により前記一対の羽部材が開放されると前記入球口への遊技球の入球を許容する許容位置に配置されると共に前記駆動手段の駆動力により前記一対の羽部材が閉鎖されると前記入球口への遊技球の入球を規制する規制位置に配置される規制手段とを備えた遊技機において、前記一対の羽部材が閉鎖された状態または前記一対の羽部材が外部から開放された状態において前記規制手段が前記規制位置に維持可能に形成されることを特徴とする遊技機Ｂ１。
【０８０３】
ここで、遊技球が入球可能に形成される入球口と、その入球口を挟んで配設される一対の羽部材と、それら一対の羽部材に駆動力を付与して開放または閉鎖させる駆動手段と、その駆動手段の駆動力により一対の羽部材が開放されると入球口への遊技球の入球を許容する許容位置に配置されると共に駆動手段の駆動力により一対の羽部材が閉鎖されると入球口への遊技球の入球を規制する規制位置に配置される規制手段とを備えた遊技機が知られている（例えば、特開２０１１−１７２８３３号公報）。
【０８０４】
この遊技機によれば、駆動手段の駆動力により一対の羽部材が開放されると、規制手段が許容位置に配置されることで、一対の羽部材の間を通過した遊技球を入球口へ入球させることができる。一方、駆動手段の駆動力により一対の羽部材が閉鎖されると、規制手段が規制位置に配置されるので、一対の羽部材が外部から強制開放された場合に、遊技球が入球口へ入球されることを規制できる。
【０８０５】
しかしながら、上述した従来の遊技機では、規制手段の変位が規制されていないため、例えば、一対の羽部材を外部から強制開放した上で、規制手段を規制位置から許容位置へ変位させることができるため、遊技球が入球口へ不正に入球されることを規制する効果が不十分であるという問題点があった。
【０８０６】
これに対し、遊技機Ｂ１によれば、一対の羽部材が閉鎖された状態または一対の羽部材が外部から開放された状態において規制手段の配置が規制位置に維持可能に形成されるので、規制手段が許容位置へ変位されることを抑制できる。よって、遊技球が入球口へ不正に入球されることを規制しやすくできる。
【０８０７】
なお、入球口への遊技球の入球を規制する規制位置とは、遊技球を所定位置で停止させられれば足りる趣旨である。即ち、入球口と、その入球口に連なり入球口から流入した遊技球が通過する通路とを備える場合、規制手段による規制位置（遊技球を停止させる位置）は、入球口よりも上流であっても良く、入球口よりも下流（即ち、入球口から流入し通路を通過する経路の途中）であっても良い。後者の場合、規制手段による規制位置は、遊技球の通過を検出するために通路の途中に配設される検出手段（検出センサ）に対し、検出手段よりも上流であっても良く、検出手段よりも下流であっても良い。
【０８０８】
遊技機Ｂ１において、前記駆動手段の駆動力を前記一対の羽部材へ伝達する伝達機構を備え、前記伝達機構は、前記駆動手段の駆動力により開放スライド位置と閉鎖スライド位置との間でスライド変位されるスライド伝達部材と、そのスライド伝達部材の開放スライド位置へのスライド変位により開放回転位置へ回転されて前記一対の羽部材を開放させると共に前記スライド伝達部材の閉鎖スライド位置へのスライド変位により閉鎖回転位置へ回転されて前記一対の羽部材を閉鎖させる回転伝達部材とを備え、前記規制手段が前記スライド伝達部材に配設され、前記スライド伝達部材が開放スライド位置へスライド変位されると前記規制手段が許容位置に配置されると共に、前記スライド伝達部材が閉鎖スライド位置へスライド変位されると前記規制手段が規制位置に配置され、前記スライド伝達部材が閉鎖スライド位置に配置された状態で、前記回転伝達部材が開放回転位置に配置されると、前記回転伝達部材と前記スライド伝達部材とが係合されることで、前記スライド伝達部材の開放スライド位置へのスライド変位が規制されることを特徴とする遊技機Ｂ２。
【０８０９】
遊技機Ｂ２によれば、遊技機Ｂ１の奏する効果に加え、スライド伝達部材が閉鎖スライド位置に配置された状態で、回転伝達部材が開放回転位置に配置されると、回転伝達部材とスライド伝達部材とが係合されることで、スライド伝達部材の開放スライド位置へのスライド変位が規制されるので、遊技球が入球口へ不正に入球されることを規制しやすくできる。
【０８１０】
即ち、閉鎖されている一対の羽部材が外部から不正に強制開放される場合には、スライド伝達部材が閉鎖スライド位置に配置された状態で、回転伝達部材が開放回転位置へ回転される。かかる状態では、回転伝達部材とスライド伝達部材とが係合されることで、スライド伝達部材の開放スライド位置へのスライド変位が規制されるので、規制手段を規制位置に維持できる（規制手段が許容位置へ外部から不正に強制変位されることを抑制できる）。その結果、一対の羽部材を外部から強制開放した上で、それら一対の羽部材の間から遊技球を通過させたとしても、かかる遊技球が入球口へ入球することを規制手段によって規制できる。
【０８１１】
遊技機Ｂ２において、前記スライド伝達部材および回転伝達部材の一方に摺動溝が延設されると共に他方から摺動突起が突設され、前記摺動突起が前記摺動溝に沿って摺動されることで前記スライド伝達部材のスライド変位が伝達されて前記回転伝達部材が回転されると共に、前記摺動溝の内壁面に前記摺動突起が係合されることで、前記スライド伝達部材の開放スライド位置へのスライド変位が規制されることを特徴とする遊技機Ｂ３。
【０８１２】
遊技機Ｂ３によれば、遊技機Ｂ２の奏する効果に加え、スライド伝達部材および回転伝達部材の一方に摺動溝が延設されると共に他方から摺動突起が突設され、摺動突起が摺動溝に沿って摺動されることでスライド伝達部材のスライド変位が伝達されて回転伝達部材が回転されると共に、摺動溝の内壁面に摺動突起が係合されることで、スライド伝達部材の開放スライド位置へのスライド変位が規制されるので、小型化を図りつつ規制を解除され難くできる。
【０８１３】
即ち、スライド伝達部材のスライド変位を回転伝達部材へ伝達して回転させるための摺動溝および摺動突起を利用して、スライド伝達部材の開放スライド位置へのスライド変位を規制する手段を形成でき、かかる手段を別の箇所に別途設けることを不要とできるので、その分、小型化を図ることができる。また、摺動溝の内壁面に摺動突起を係合させる構造とすることで、かかる係合部分への外部からの不正なアクセスを困難とでき、その分、規制（係合）を解除され難くできる。
【０８１４】
遊技機Ｂ１において、前記駆動手段の駆動力を前記一対の羽部材へ伝達する伝達機構を備え、前記伝達機構は、前記駆動手段の駆動力により開放スライド位置と閉鎖スライド位置との間でスライド変位されるスライド伝達部材と、そのスライド伝達部材の開放スライド位置へのスライド変位により開放回転位置へ回転されて前記一対の羽部材を開放させると共に前記スライド伝達部材の閉鎖スライド位置へのスライド変位により閉鎖回転位置へ回転されて前記一対の羽部材を少なくとも閉鎖可能とする回転伝達部材とを備え、前記規制手段が前記回転伝達部材に配設され、前記回転伝達部材が開放回転位置へ回転されると前記規制手段が許容位置に配置されると共に、前記回転伝達部材が閉鎖回転位置へ回転されると前記規制手段が規制位置に配置され、前記スライド伝達部材が閉鎖スライド位置に配置されると共に前記回転伝達部材が閉鎖回転位置に配置された状態では、前記回転伝達部材と前記スライド伝達部材とが係合されることで、前記回転伝達部材の開放回転位置への回転が規制されることを特徴とする遊技機Ｂ４。
【０８１５】
遊技機Ｂ４によれば、遊技機Ｂ１の奏する効果に加え、スライド伝達部材が閉鎖スライド位置に配置されると共に回転伝達部材が閉鎖回転位置に配置された状態では、回転伝達部材とスライド伝達部材とが係合されることで、回転伝達部材の開放回転位置への回転が規制されるので、遊技球が入球口へ不正に入球されることを規制しやすくできる。
【０８１６】
即ち、一対の羽部材が閉鎖されている状態から、例えば、一対の羽部材を外部から不正に強制開放する、又は、回転伝達部材を直接操作することで、かかる回転伝達部材を開放位置へ回転させようとしても、回転伝達部材とスライド伝達部材とが係合されることで、回転伝達部材の開放回転位置への回転が規制されるので、規制手段を規制位置に維持できる（即ち、規制手段が許容位置へ外部から不正に強制変位されることを抑制できる）。その結果、遊技球が入球口へ不正に入球されることを規制手段によって規制できる。
【０８１７】
遊技機Ｂ４において、前記スライド伝達部材または回転伝達部材の一方から突出される突出部と、その突出部と係合可能に前記スライド伝達部材または回転伝達部材の他方に形成される係合部とを備え、前記突出部が前記スライド伝達部材のスライド変位の方向に沿って突出されることを特徴とする遊技機Ｂ５。
【０８１８】
遊技機Ｂ５によれば、遊技機Ｂ４の奏する効果に加え、スライド伝達部材または回転伝達部材の一方から突出される突出部と、その突出部と係合可能にスライド伝達部材または回転伝達部材の他方に形成される係合部とを備え、突出部がスライド伝達部材のスライド変位の方向に沿って突出されるので、スライド伝達部材のスライド変位を利用して、突出部および係合部における係合とその係合の解除とを切り替えることができ、構造の簡素化を図ることができる。
【０８１９】
なお、係合部は、突出部が当接可能な面（スライド伝達部材または回転伝達部材の他方の外面）であっても良く、突出部が挿入可能な孔または凹部（スライド伝達部材または回転伝達部材の一方に穿設される孔または凹設される凹部）であっても良い。即ち、突出部が係合部に当接することで、回転伝達部材の開放回転位置への回転を規制できるものであれば良い。この場合、係合部を孔または凹部とすることが好ましい。突出部が係合部に挿入される分、突出部の配設に必要なスペースを抑制して、小型化を図ることができると共に、係合部に挿通されていることで、突出部を外部から遮蔽でき、かかる突出部への外部からの不正なアクセスを困難とできるからである。
【０８２０】
遊技機Ｂ４又はＢ５において、前記回転伝達部材は、開放回転位置へ向けて回転される際に前記一対の羽部材に当接して開放させる開放側当接部と、閉鎖回転位置へ向けて回転される際に前記一対の羽部材に当接して閉鎖させる閉鎖側当接部とを備えることを特徴とする遊技機Ｂ６。
【０８２１】
遊技機Ｂ６によれば、遊技機Ｂ４又はＢ５の奏する効果に加え、回転伝達部材は、開放回転位置へ向けて回転される際に一対の羽部材に当接して開放させる開放側当接部と、閉鎖回転位置へ向けて回転される際に一対の羽部材に当接して閉鎖させる閉鎖側当接部とを備えるので、一対の羽部材が外部から不正に強制開放されることを抑制でき、回転伝達部材またはスライド伝達部材への外部からの不正なアクセスを困難とできる。
【０８２２】
即ち、羽部材を強制開放の方向へ外部から変位させると、回転伝達部材の閉鎖側当接部が羽部材により押圧されて、回転伝達部材を開放回転位置へ向けて回転させようとする。この場合、本発明によれば、回転伝達部材とスライド伝達部材との係合により、回転伝達部材の開放回転位置への回転を規制できるので、羽部材の変位を回転伝達部材の閉鎖側当接部により規制できる。即ち、羽部材が強制開放の方向へ外部から変位されることを規制できる。その結果、一対の羽部材が外部から不正に強制開放されることを抑制でき、回転伝達部材またはスライド伝達部材への外部からの不正なアクセスを困難とできる。
【０８２３】
遊技機Ｂ４又はＢ５において、前記一対の羽部材を閉鎖方向へ付勢する付勢手段を備え、前記回転伝達部材は、開放回転位置へ向けて回転される際に前記一対の羽部材に当接して開放させる開放側当接部を備え、前記回転伝達部材が閉鎖回転位置へ向けて回転されると前記一対の羽部材が前記付勢手段の付勢力により閉鎖されることを特徴とする遊技機Ｂ７。
【０８２４】
遊技機Ｂ７によれば、遊技機Ｂ４又はＢ５の奏する効果に加え、一対の羽部材を閉鎖方向へ付勢する付勢手段を備え、回転伝達部材は、開放回転位置へ向けて回転される際に一対の羽部材に当接して開放させる開放側当接部を備え、回転伝達部材が閉鎖回転位置へ向けて回転されると一対の羽部材が付勢手段の付勢力により閉鎖されるので、一対の羽部材が外部から不正に強制開放された際に、一対の羽部材が回転伝達部材に当接されず、かかる強制開放による外力が回転伝達部材に作用されることを回避できる。その結果、一対の羽部材、回転伝達部材またはスライド伝達部材が破損されることを抑制できる。
【０８２５】
なお、付勢手段としては、一対の羽部材を弾性回復力により閉鎖方向へ付勢するばね（ねじりばねやコイルスプリング）、一対の羽部材を吸着力により閉鎖方向へ付勢する磁石などが例示される。
【０８２６】
遊技機Ｂ１からＢ７のいずれかにおいて、前記入球口に入球された遊技球を検出する検出手段を備え、前記規制手段は、前記規制位置が前記検出手段よりも下流とされると共に、前記検出手段による検出が可能な位置で遊技球を規制することを特徴とする遊技機Ｂ８。
【０８２７】
遊技機Ｂ８によれば、遊技機Ｂ１からＢ７のいずれかにおいて、入球口に入球された遊技球を検出する検出手段を備え、規制手段は、規制位置が検出手段よりも下流とされると共に、検出手段による検出が可能な位置で遊技球を規制するので、例えば、羽部材が強制開放され、遊技球が入球口から不正に流入された場合には、検出手段が遊技球を検出した状態を継続させることができる。よって、検出手段による検出が所定時間を越えて継続されたかを判断することで、不正に遊技球が流入されたことを検出することができる。
【０８２８】
＜装飾図柄表示装置８００を一例とする発明の概念について＞
回転可能に形成される第１リールと、その第１リールの内側に略同心に配設されると共に回転可能に形成される第２リールとを備えた遊技機において、前記第１リールは、円筒状に形成される第１外周壁と、その第１外周壁の軸方向一側から径方向内側へ張り出す第１側壁とを備え、前記第２リールは、円筒状に形成されると共にその外面が前記第１外周壁の内面に所定間隔を隔てて対面される第２外周壁と、その第２外周壁の軸方向一側から径方向内側へ張り出すと共にその外面が前記第１側壁の内面に所定間隔を隔てて対面される第２側壁とを備え、前記第１側壁の内面または第２側壁の外面の少なくとも一方から他方へ向けて立設部が立設されることを特徴とする遊技機Ｃ１。
【０８２９】
ここで、回転可能に形成される第１リールと、その第１リールの内側に略同心に配設されると共に回転可能に形成される第２リールとを備えた（即ち、二重リール構造を備えた）遊技機が知られている（例えば、特開２００３−２３０６９３号公報）。また、リールの外周面（表示面）に回転ブラシを当接させ、かかる回転部材をリールの回転に従動させることで、リールの表示面に付着する埃を除去して掃除する技術も知られている（例えば、特開２００９−２８２４１号公報）。
【０８３０】
しかしながら、二重リール構造では、掃除が困難であるという問題点があった。即ち、二重リール構造では、外側のリール（第１リール）と内側のリール（第２リール）との間に上述した回転ブラシを配設するスペースが確保できないため、外側のリールの内周面および内側のリール（第２リール）の外周面を掃除することができない。
【０８３１】
これに対し、遊技機Ｃ１によれば、第１リールが、円筒状に形成される第１外周壁と、その第１外周壁の軸方向一側から径方向内側へ張り出す第１側壁とを備え、第２リールが、円筒状に形成されると共にその外面が第１外周壁の内面に所定間隔を隔てて対面される第２外周壁と、その第２外周壁の軸方向一側から径方向内側へ張り出すと共にその外面が第１側壁の内面に所定間隔を隔てて対面される第２側壁とを備え、第１側壁の内面または第２側壁の外面の少なくとも一方から他方へ向けて立設部が立設されるので、第１側壁の内面と第２側壁の外面との間を立設部が周方向へ変位されることで風圧を発生させ、かかる風圧を利用して、第１外周壁の内面と第２外周壁の外面との間の空気を流動させることができる。これにより、空気の流動により埃を除去することができ、第１外周壁の内面および第２外周壁の外面を掃除することができる。即ち、二重リール構造において、掃除をしやすくできる。
【０８３２】
遊技機Ｃ１において、前記第１側壁および第２側壁が軸方向視円環状に形成され周方向に連続する面を有して形成されることを特徴とする遊技機Ｃ２。
【０８３３】
ここで、第１側壁または第２側壁の少なくとも一方に開口が形成されている場合や周方向の一部が部分的に分断されていると、第１側壁の内面と第２側壁の外面との間を立設部が周方向へ変位されることで発生した風圧が、開口部分や分断部分から逃げるため、風圧が弱まり、その分、第１外周壁の内面と第２外周壁の外面との間の空気を流動させ難くなる。
【０８３４】
これに対し、遊技機Ｃ２によれば、遊技機Ｃ１の奏する効果に加え、第１側壁および第２側壁が軸方向視円環状に形成され周方向に連続する面を有して形成されるので、第１側壁の内面と第２側壁の外面との間を立設部が周方向へ変位されることで発生する風圧を高めることができる。よって、その分、第１外周壁の内面と第２外周壁の外面との間の空気を流動させやすくできる。その結果、第１側壁の内面と第２側壁の外面との間を立設部が周方向へ変位されることで発生する風圧を利用して、第１外周壁の内面と第２外周壁の外面との間の空気を流動させやすくできる。
【０８３５】
遊技機Ｃ１又はＣ２において、前記第１リールは、中央が回転可能に軸支されると共に前記第１側壁を支持する第１支持壁を備えると共に、前記第２リールは、中央が回転可能に軸支されると共に前記第２側壁を支持する第２支持壁を備え、前記第１支持壁または第２支持壁の少なくとも一方に開口部が開口形成されることを特徴とする遊技機Ｃ３。
【０８３６】
遊技機Ｃ３によれば、遊技機Ｃ１又はＣ２の奏する効果に加え、第１側壁を支持する支持壁または第２側壁を支持する第２支持壁の少なくとも一方に開口部が開口形成されるので、その開口部を介して、第１側壁の内面と第２側壁の外面との間の空気を外部へ排気する、又は、第１側壁の内面と第２側壁の外面との間へ外部から空気を吸気することができる。即ち、空気の流動抵抗を低減して、その分、第１側壁の内面と第２側壁の外面との間の空気を流動（流出または流入）させやすくできる。その結果、第１側壁の内面と第２側壁の外面との間を立設部が周方向へ変位されることで発生する風圧を利用して、第１外周壁の内面と第２外周壁の外面との間の空気を流動させやすくできる。
【０８３７】
遊技機Ｃ３において、前記第１リール又は第２リールのうちの一方の前記第１側壁または第２側壁に前記立設部が立設される場合、前記第１リール又は第２リールのうちの他方の前記第１支持壁または第２支持壁に前記開口部が少なくとも形成されることを特徴とする遊技機Ｃ４。
【０８３８】
遊技機Ｃ４によれば、遊技機Ｃ３の奏する効果に加え、第１リール又は第２リールのうちの一方の第１側壁または第２側壁に立設部が立設される場合、第１リール又は第２リールのうちの他方の第１支持壁または第２支持壁に開口部が少なくとも形成されるので、開口部を介して空気を排気または吸気することによる流動抵抗の低減効果を発揮しやすくできる。即ち、第１リール及び第２リールのうちの立設部が立設される一方を回転させる際に、開口部が開口形成される他方を停止させておくことで、開口部を介した空気の流動（排気または吸気）の抵抗を低減できる。
【０８３９】
遊技機Ｃ１からＣ４のいずれかにおいて、前記第１側壁の内面と前記第２側壁の外面とのそれぞれに径方向に位置を違えて前記立設部が立設されることを特徴とする遊技機Ｃ５。
【０８４０】
遊技機Ｃ５において、遊技機Ｃ１からＣ４のいずれかにおいて、第１側壁の内面と第２側壁の外面とのそれぞれに径方向に位置を違えて立設部が立設されるので、第１リール又は第２リールのいずれが回転される場合であっても、第１側壁の内面と第２側壁の外面との間で立設部を周方向へ変位させて風圧を発生させることができる。よって、第１リール又は第２リールの回転による演出において、第１外周壁の内面および第２外周壁の外面を掃除する機会を増加させることができる。
【０８４１】
遊技機Ｃ１からＣ５のいずれかにおいて、前記第１リールの第１外周壁の少なくとも一部が光透過性を有して形成されると共に、前記第２リールの第２外周壁に複数の図柄が周方向に沿って配列され、前記第２リールの第２側壁に前記立設部が立設されることを特徴とする遊技機Ｃ６。
【０８４２】
遊技機Ｃ６によれば、遊技機Ｃ１からＣ５のいずれかにおいて、第１リールの第１外周壁の少なくとも一部が光透過性を有して形成されると共に、第２リールの第２外周壁に複数の図柄が周方向に沿って配列されるので、第１リールを介して第２リールの回転に伴う図柄の変動を遊技者に視認させることができる。この場合、第２リールの第２側壁に立設部が立設される、即ち、第１リールよりも回転回数が多くされる第２リールの第２側壁に立設部が立設されるので、第１リール又は第２リールの回転による演出において、第１外周壁の内面および第２外周壁の外面を掃除する機会を増加させることができる。
【０８４３】
＜セグメント表示装置６００を一例とする発明の概念について＞
複数の発光手段が搭載される基板と、前記発光手段から発光された光を透過させる透過部材とを備え、前記透過部材が湾曲して形成されると共に、前記複数の発光手段が前記透過部材の湾曲に沿って配列される遊技機において、前記複数の発光手段が周方向略等間隔に配列されることを特徴とする遊技機Ｄ１。
【０８４４】
ここで、複数の発光手段が搭載される基板と、発光手段から発光された光を透過させる透過部材とを備え、透過部材が湾曲して形成されると共に、複数の発光手段が透過部材の湾曲に沿って配列される遊技機が知られている（例えば、特開２０１３−１０６６７２号公報）。この場合、複数の発光手段は、透過部材の正面視において等間隔となるように配列される。即ち、複数の発光手段がなす湾曲線（弧）の両端を結ぶ線分（弦）の方向に沿って等間隔とされる。しかしながら、上述した遊技機では、複数の発光手段のうちの一部で隣接する発光手段との間隔が狭くされるため、発光手段が発する熱の分布に偏りが生じるという問題点があった。そのため、一部の発光手段に熱が集中して、寿命の低下を招きやすい。
【０８４５】
これに対し、遊技機Ｄ１によれば、複数の発光手段が周方向略等間隔に配列されるので、各発光手段において隣接する発光手段との間隔を一定とでき、発光手段が発する熱の分布を均一化できる。その結果、一部の発光手段に熱が集中することを抑制して、各発光手段の寿命の向上を図ることができる。
【０８４６】
遊技機Ｄ１において、前記発光手段から発光された光を前記透過部材へ向けて反射させる反射部材を備え、前記反射部材は、前記複数の発光手段に対応して区画される複数の区画面を備え、それら複数の区画面の前記透過部材の正面視における区画幅が略同一に設定されることを特徴とする遊技機Ｄ２。
【０８４７】
ここで、透過部材の湾曲に沿って等間隔（即ち、周方向等間隔）に複数の発光手段が配列されると、それら複数の発光手段は、透過部材の正面視において不等間隔に配列されることとなる。即ち、透過部材の正面視において、発光手段どうしの間隔が狭い領域と広い領域とが形成される。そのため、複数の発光手段の配列方向に沿って光量の分布が不均一になる。
【０８４８】
これに対し、遊技機Ｄ２によれば、遊技機Ｄ１の奏する効果に加え、発光手段から発光された光を透過部材へ向けて反射させる反射部材を備え、反射部材は、複数の発光手段に対応して区画される複数の区画面を備え、それら複数の区画面の透過部材の正面視における区画幅が略同一に設定されるので、透過部材の正面視において視認される各区画面の光量を略同一とできる。その結果、複数の発光手段の配列方向に沿う光量の分布を均一化できる。
【０８４９】
遊技機Ｄ２において、前記発光手段の発光面が正面視矩形状に形成されることを特徴とする遊技機Ｄ３。
【０８５０】
遊技機Ｄ３によれば、遊技機Ｄ２の奏する効果に加え、発光手段の発光面が正面視矩形状に形成されるので、例えば、発光面が円形状とされる場合と比較して、光の拡散性を確保できる（光をより広角に発光できる）ので、１の区画面において光量の分布を均一化できる。
【０８５１】
なお、発光面とは、ＬＥＤチップを封入する封入樹脂の正面を意味する。よって、発光面が正面視矩形状とは、封入樹脂の正面視形状（封入樹脂を取り囲むリフレクターの内部空間の正面視形状）が矩形状であることを意味する。
【０８５２】
遊技機Ｄ３において、前記複数の発光手段の少なくとも一部は、前記発光面の一辺を前記透過部材の湾曲形状における接線方向に沿わせる向きで配設されることを特徴とする遊技機Ｄ４。
【０８５３】
遊技機Ｄ４によれば、遊技機Ｄ３の奏する効果に加え、複数の発光手段の少なくとも一部は、発光面の一辺を透過部材の湾曲形状における接線方向に沿わせる向きで配設されるので、その発光手段から発光された光を、透過部材の湾曲に沿って均一に拡散させやすくできる。その結果、透過部材を透過して視認される光量の分布を均一化できる。
【０８５４】
遊技機Ｄ２からＤ４のいずれかにおいて、前記区画面が前記透過部材の背面に対面されると共に前記透過部材の背面から離間する側に凹む湾曲面として形成され、前記発光手段の発光面が前記透過部材と前記区画面との対向間を臨むことを特徴とする遊技機Ｄ５。
【０８５５】
遊技機Ｄ５によれば、遊技機Ｄ２からＤ４のいずれかにおいて、区画面が透過部材の背面に対面されると共に透過部材の背面から離間する側に凹む湾曲面として形成され、発光手段の発光面が透過部材と区画面との対向間を臨むので、透過部材に対して基板を直交する姿勢で配設できる。即ち、透過部材、基板および反射部材からなるユニットの配設の自由度を高めることができる。この場合、発光手段の発光面から発光された光の周囲をその光の進行方向と直交する方向から取り囲む態様で区画面が配置されるので、区画面に反射された光を透過部材の背面へ均一に入射させることができる。その結果、透過部材を透過して視認される光量の分布を均一化できる。
【０８５６】
遊技機Ｄ５において、前記反射部材は、前記区画面に連設されると共に前記発光手段の発光面に対面される連設面を備え、その連設面が前記発光手段の発光面へ向けて凸となる湾曲面として形成されることを特徴とする遊技機Ｄ６。
【０８５７】
遊技機Ｄ６によれば、遊技機Ｄ５の奏する効果に加え、反射部材は、区画面に連設されると共に発光手段の発光面に対面される連設面を備え、その連設面が発光手段の発光面へ向けて凸となる湾曲面として形成されるので、連設面に反射された光を透過部材の背面へ均一に入射させることができる。その結果、透過部材を透過して視認される光量の分布を均一化できる。
【０８５８】
＜セグメント表示装置６００を一例とする発明の概念について＞
回転可能に形成されると共に複数が所定間隔を隔てて並設される回胴と、それら複数の回胴どうしの間に沿って配設されると共に少なくとも一部が光透過性を有する装飾部材と、装飾部材の背面側に配設されると共に複数の発光手段が搭載される基板とを備え、前記発光手段が搭載される面を前記装飾部材の背面に略直交させた姿勢で前記基板が配設される遊技機において、前記発光手段から発光された光を前記装飾部材の背面へ反射させる反射部材を備えることを特徴とする遊技機Ｅ１。
【０８５９】
ここで、回転可能に形成されると共に複数が所定間隔を隔てて並設される回胴と、それら複数の回胴どうしの間に沿って配設されると共に少なくとも一部が光透過性を有する装飾部材と、装飾部材の背面側に配設されると共に複数の発光手段が搭載される基板とを備え、発光手段が搭載される面を装飾部材の背面に略直交させた姿勢で基板が配設される遊技機が知られている（例えば、特開２０１３−５９２７号公報）。この遊技機によれば、回胴どうしの間の空間を装飾部材により遊技者から遮蔽できるだけでなく、装飾部材を透過した発光手段の光により装飾部材の表面に図柄を形成（表示）して、かかる装飾部材の図柄を、回胴の外周面に表示される図柄と一体的に遊技者に視認させる演出を行うことができる。
【０８６０】
しかしながら、上述した従来の遊技機では、発光手段が搭載される面を装飾部材の背面に直交させた姿勢で基板が配設されるので、発光手段から発光された光を装飾部材の背面に十分に照射することができず、発光手段の光により形成（表示）される図柄を十分に大きくすることができない。そのため、演出効果が不十分であるという問題点があった。一方、発光手段の光により形成（表示）される図柄は小さいまま、装飾部材（図柄を除く領域）を大きくしたのでは、装飾部材と回胴との一体感が阻害される。
【０８６１】
これに対し、遊技機Ｅ１によれば、発光手段から発光された光を装飾部材の背面へ反射させる反射部材を備えるので、発光手段が搭載される面を装飾部材の背面に直交させた姿勢が基板が配設される場合であっても、発光手段から発光された光による装飾部材の背面への照射範囲を広くすることができる。よって、その分、発光手段の光により形成（表示）される図柄を大きくでき、演出効果を高めることができる。また、発光手段の光により形成（表示）される図柄を大きくできる分、図柄を除く領域を小さくできるので、装飾部材と回胴との一体感を形成できる。
【０８６２】
遊技機Ｅ１において、前記装飾部材は、前記回胴の外周面よりも正面側に位置すると共に、正面視において、前記回胴の外周面に重なる位置まで外縁を延出させて形成されることを特徴とする遊技機Ｅ２。
【０８６３】
遊技機Ｅ２によれば、遊技機Ｅ１の奏する効果に加え、装飾部材は、回胴の外周面よりも正面側に位置すると共に、正面視において、回胴の外周面に重なる位置まで外縁を延出させて形成されるので、回胴の軸方向端面を遊技者から遮蔽しやすく（視認させ難く）できる。また、発光手段から発光された光により形成（表示）される装飾部材の図柄と、回胴の外周面に表示される図柄とをより近接させることができるので、装飾部材と回胴との一体感を形成しやすくできる。
【０８６４】
遊技機Ｅ２において、前記反射部材は、前記基板における発光手段が搭載される面と前記装飾部材の背面とを連結することで、前記基板における発光手段が搭載される領域と前記装飾部材における図柄が形成される領域とを取り囲み、前記反射部材の背面が、前記装飾部材から前記基板へ向かうに従って前記回胴の軸方向端面から離間する方向へ傾斜されることを特徴とする遊技機Ｅ３。
【０８６５】
遊技機Ｅ３によれば、遊技機Ｅ２の奏する効果に加え、反射部材は、基板における発光手段が搭載される面と装飾部材の背面とを連結することで、基板における発光手段が搭載される領域と装飾部材における図柄が形成される領域とを取り囲み、反射部材の背面が、装飾部材から基板へ向かうに従って回胴の軸方向端面から離間する方向へ傾斜されるので、発光手段から発光された光により形成（表示）される図柄の大きさを確保しつつ、装飾部材の背面を回胴の外周面に近接させ、且つ、回胴を装飾部材の背面の奥側へ入り込ませる（回胴を基板へ近接させる）ことができる。その結果、回胴の軸方向端面を遊技者から遮蔽しやすく（視認させ難く）できると共に、装飾部材と回胴との一体感を形成しやすくできる。
【０８６６】
遊技機Ｅ２又はＥ３において、前記基板の一側の面および他側の面の両面に前記発光手段が搭載されることを特徴とする遊技機Ｅ４。
【０８６７】
遊技機Ｅ４によれば、遊技機Ｅ２又はＥ３の奏する効果に加え、基板の一側の面および他側の面の両面に前記発光手段が搭載されるので、一側の面に搭載される発光手段から発光される光と、他側の面に搭載される発光手段から発光される光とのそれぞれによって異なる図柄を装飾部材に独立して形成（表示）することができる。
【０８６８】
この場合、並設される回胴どうしの間に配設される基板の枚数を１枚とできる。よって、基板の配設に必要なスペースを抑制できるので、その分、回胴を装飾部材の背面の奥側へ入り込ませる（回胴を基板へ近接させる）ことができる。その結果、回胴の軸方向端面を遊技者から遮蔽しやすく（視認させ難く）できると共に、装飾部材と回胴との一体感を形成しやすくできる。
【０８６９】
＜セグメント表示装置６００を一例とする発明の概念について＞
対向配置され近接または離間する方向へそれぞれ変位可能に形成されると共に対向辺どうしを当接させた状態で同方向へ変位可能に形成された第１変位部材および第２変位部材を備えた遊技機において、ベース部材と、そのベース部材に前記第１変位部材および第２変位部材をそれぞれ変位可能に支持する第１支持機構および第２支持機構を備え、前記第１支持機構の支持態様が前記第１変位部材の対向辺の一側へ偏倚され、前記第１変位部材の対向辺の一側に当接される前記第２変位部材の対向辺の他側とは反対側となる前記第２変位部材の対向辺の一側へ前記第２支持機構の支持態様が偏倚されることを特徴とする遊技機Ｆ１。
【０８７０】
ここで、対向配置され近接または離間する方向へそれぞれ変位可能に形成されると共に対向辺どうしを当接させた状態で同方向へ変位可能に形成された第１変位部材および第２変位部材を備えた遊技機が知られている（例えば、特開２０１３−１０６８４４号公報）。かかる遊技機によれば、第１変位部材および第２変位部材を対向辺どうしが当接する位置まで近接させることで、それら第１変位部材および第２変位部材の背面側に位置する対象物（例えば、液晶表示装置や演出部材）を遮蔽すると共に、第１変位部材および第２変位部材を互いに離間する方向へ変位させることで、その変位に伴って遮蔽を解除して、対象物を視認可能とする演出を行うことができる。また、対向辺どうしを当接させた状態で第１変位部材および第２変位部材を同方向へ変位（例えば、一方向および他方向へ往復変位）させることで、対象物の遮蔽を維持しつつ、その遮蔽の解除を行う前の演出（遮蔽の解除動作に着目させる演出）を行うこともできる。
【０８７１】
しかしながら、上述した従来の遊技機では、構成部材の寸法公差や組立公差に起因して、第１変位部材および第２変位部材の対向辺どうしを密着させることが困難であり、対向辺どうしの間に隙間が形成される恐れがあるという問題点があった。対向辺どうしの間に隙間が形成されると、その隙間を通して背面側の対象物を遊技者が視認可能となり、演出効果が阻害される。
【０８７２】
これに対し、遊技機Ｆ１によれば、ベース部材と、そのベース部材に第１変位部材および第２変位部材をそれぞれ変位可能に支持する第１支持機構および第２支持機構を備え、第１支持機構の支持態様が第１変位部材の対向辺の一側へ偏倚され、第１変位部材の対向辺の一側に当接される第２変位部材の対向辺の他側とは反対側となる第２変位部材の対向辺の一側へ第２支持機構の支持態様が偏倚されるので、第１変位部材および第２変位部材の対向辺どうしを当接させた状態では、第１支持機構の支持態様と第２支持機構の支持態様とを互いに反対側（対向辺の一側および他側の中央を回転中心として１８０°回転させた側）へ偏倚させることができる。これにより、第１変位部材および第２変位部材の対向辺どうしを密着させやすくでき、対向辺どうしの間に隙間が形成されることを抑制できる。
【０８７３】
ここで、支持状態が一側へ偏倚される態様としては、例えば、一側と他側とで構成部材の剛性（構成部材の寸法、配設数、材質など）が異なるもの、一側と他側とで伝達される駆動力（例えば、大きさ、伝達時間、伝達タイミングなど）が異なるもの、一側と他側とで構成部材どうしの連結状態（例えば、連結部分の数、連結部分のがたつき量など）が異なるもの、一側と他側とで相手への変位のしやすさ（付勢手段から受ける付勢力、重力、変位（スライドや回転）の際の抵抗など）が異なるもの、これらを組み合わせたものなどが例示される。
【０８７４】
よって、支持状態を構成部材の剛性により一側へ偏倚させる場合には、第１支持機構及び第２支持機構は、自分の剛性の高い側（低い側）を相手の剛性の低い側（高い側）に向か合せることができる。よって、第１変位部材および第２変位部材の対向辺どうしを当接させた状態では、第１支持機構および第２支持機構のそれぞれが、剛性の高い側では相手を押し込む（前進する）と共に、剛性の低い側では相手を受け入れる（後退する）状態を形成できる。その結果、第１変位部材および第２変位部材の対向辺どうしを密着させやすくでき、対向辺どうしの間に隙間が形成されることを抑制できる。
【０８７５】
遊技機Ｆ１において、前記第１支持機構は、駆動力を発生する第１駆動手段と、前記第１変位部材を前記ベース部材に連結する一対の第１連結部材と、それら一対の第１連結部材へ前記第１駆動手段の駆動力をそれぞれ伝達すると共に互いに異なる構成とされる第１一側伝達部材および第１他側伝達部材とを備え、前記第２支持機構は、駆動力を発生する第２駆動手段と、前記第２変位部材を前記ベース部材に連結する一対の第２連結部材と、それら一対の第２連結部材へ前記第２駆動手段の駆動力をそれぞれ伝達すると共に互いに異なる構成とされる第２一側伝達部材および第２他側伝達部材とを備えることを特徴とする遊技機Ｆ２。
【０８７６】
遊技機Ｆ２によれば、遊技機Ｆ１の奏する効果に加え、第１支持機構は、駆動力を発生する第１駆動手段と、第１変位部材をベース部材に連結する一対の第１連結部材と、それら一対の第１連結部材へ第１駆動手段の駆動力をそれぞれ伝達すると共に互いに異なる構成とされる第１一側伝達部材および第１他側伝達部材とを備え、第２支持機構は、駆動力を発生する第２駆動手段と、第２変位部材をベース部材に連結する一対の第２連結部材と、それら一対の第２連結部材へ第２駆動手段の駆動力をそれぞれ伝達すると共に互いに異なる構成とされる第２一側伝達部材および第２他側伝達部材とを備えるので、第１変位部材および第２変位部材の対向辺どうしを密着させやすくでき、対向辺どうしの間に隙間が形成されることを抑制できる。
【０８７７】
即ち、第１変位部材および第２変位部材の対向辺どうしを当接させた状態では、第１支持機構および第２支持機構のそれぞれが、例えば、駆動力の大きい側や駆動力の伝達タイミングが先の側では相手を押し込む（前進する）と共に、駆動力の小さい側や駆動力の伝達タイミングが後の側では相手を受け入れる（後退する）状態を形成できる。その結果、第１変位部材および第２変位部材の対向辺どうしを密着させやすくでき、対向辺どうしの間に隙間が形成されることを抑制できる。
【０８７８】
ここで、第１一側伝達部材および第１他側伝達手段（第２一側伝達部材および第２他側伝達手段）が互いに異なる構成とされる態様としては、例えば、構成部材の剛性（構成部材の寸法、配設数、材質など）が異なるもの、構成部材どうしの連結状態（例えば、連結部分の数、連結部分のがたつき量など）が異なるもの、これらを組み合わせたものなどが例示される。即ち、これら構成の相異により、伝達する駆動力の大きさや伝達タイミングが異なることとなり、第１支持機構および第２支持機構の支持態様がそれぞれ一側に偏倚される。
【０８７９】
遊技機Ｆ２において、前記第１連結部材および第２連結部材は、互いに略同一の長さに形成され、一端側が前記第１変位部材または第２変位部材に連結されると共に他端側が前記ベース部材に同軸上に回転可能に軸支されることを特徴とする遊技機Ｆ３。
【０８８０】
遊技機Ｆ３によれば、遊技機Ｆ２の奏する効果に加え、第１連結部材および第２連結部材は、互いに略同一の長さに形成されると共に、一端側が前記第１変位部材または第２変位部材に連結されると共に他端側がベース部材に同軸上に回転可能に軸支されるので、第１変位部材および第２変位部材をそれらの対向辺どうしを当接させつつ同方向へ往復動作させる際に、支持態様の偏倚を利用する場合でも、対向辺どうしが当接された状態を維持しやすくできる。
【０８８１】
遊技機Ｆ３において、前記第１連結部材または第２連結部材の少なくとも一方には、ゴム状弾性材料から形成される弾性体が配設され、前記第１変位部材および第２変位部材が対向辺どうしを当接させた状態では、前記弾性体が前記第１連結部材および第２連結部材の間に弾性的に圧縮された状態で介在されることを特徴とする遊技機Ｆ４。
【０８８２】
遊技機Ｆ４によれば、遊技機Ｆ３の奏する効果に加え、第１連結部材または第２連結部材の少なくとも一方には、ゴム状弾性材料から形成される弾性体が配設され、第１変位部材および第２変位部材が対向辺どうしを当接させた状態では、弾性体が第１連結部材および第２連結部材の間に弾性的に圧縮された状態で介在されるので、第１変位部材および第２変位部材をそれらの対向辺どうしを当接させつつ同方向へ往復動作させる際に、支持態様の偏倚を利用する場合でも、対向辺どうしが当接された状態を維持しやすくできる。
【０８８３】
遊技機Ｆ１からＦ４のいずれかにおいて、前記第１支持機構は、駆動力を発生する第１駆動手段と、その第１駆動手段により駆動されると共に前記第１変位部材を前記ベース部材に連結する一対の第１連結部材と、それら一対の第１連結部材へそれぞれ異なる付勢力を付与する第１一側付勢部材および第１他側付勢部材とを備え、前記第２支持機構は、駆動力を発生する第２駆動手段と、その第２駆動手段により駆動されると共に前記第２変位部材を前記ベース部材に連結する一対の第２連結部材と、それら一対の第２連結部材へそれぞれ異なる付勢力を付与する第２一側付勢部材および第２他側付勢部材とを備えることを特徴とする遊技機Ｆ５。
【０８８４】
遊技機Ｆ５によれば、遊技機Ｆ１からＦ４のいずれかの奏する効果に加え、第１支持機構は、駆動力を発生する第１駆動手段と、その第１駆動手段により駆動されると共に第１変位部材をベース部材に連結する一対の第１連結部材と、それら一対の第１連結部材へそれぞれ異なる付勢力を付与する第１一側付勢部材および第１他側付勢部材とを備え、第２支持機構は、駆動力を発生する第２駆動手段と、その第２駆動手段により駆動されると共に第２変位部材を前記ベース部材に連結する一対の第２連結部材と、それら一対の第２連結部材へそれぞれ異なる付勢力を付与する第２一側付勢部材および第２他側付勢部材とを備えるので、第１変位部材および第２変位部材の対向辺どうしを密着させやすくでき、対向辺どうしの間に隙間が形成されることを抑制できる。
【０８８５】
即ち、第１変位部材および第２変位部材の対向辺どうしを当接させた状態では、第１支持機構および第２支持機構のそれぞれが、例えば、付勢力の大きい側では相手を押し込む（前進する）と共に、付勢力の小さい側では相手を受け入れる（後退する）状態を形成できる。その結果、第１変位部材および第２変位部材の対向辺どうしを密着させやすくでき、対向辺どうしの間に隙間が形成されることを抑制できる。
【０８８６】
なお、第１一側付勢部材と第１他側付勢部材とは、互いに同一の構成であっても良い。即ち、付勢力を作用させる位置が互いに異なる、或いは、弾性変形量が互いに異なることで、一対の第１連結部材へそれぞれ付与する付勢力を異ならせるものであっても良い。第２一側付勢部材と第２他側付勢部材とについても同様である。
【０８８７】
遊技機Ｆ１からＦ４のいずれかにおいて、前記第１支持機構は、駆動力を発生する第１駆動手段と、その第１駆動手段により駆動されると共に前記第１変位部材を前記ベース部材に連結する一対の第１連結部材と、それら一対の第１連結部材のうちの一方へ付勢力を付与する第１付勢部材とを備え、前記第２支持機構は、駆動力を発生する第２駆動手段と、その第２駆動手段により駆動されると共に前記第２変位部材を前記ベース部材に連結する一対の第２連結部材と、それら一対の第２連結部材のうちの一方へ付勢力を付与する第２付勢部材とを備えることを特徴とする遊技機Ｆ６。
【０８８８】
遊技機Ｆ６によれば、遊技機Ｆ１からＦ４のいずれかの奏する効果に加え、第１支持機構は、駆動力を発生する第１駆動手段と、その第１駆動手段により駆動されると共に第１変位部材をベース部材に連結する一対の第１連結部材と、それら一対の第１連結部材のうちの一方へ付勢力を付与する第１付勢部材とを備え、第２支持機構は、駆動力を発生する第２駆動手段と、その第２駆動手段により駆動されると共に第２変位部材をベース部材に連結する一対の第２連結部材と、それら一対の第２連結部材のうちの一方へ付勢力を付与する第２付勢部材とを備えるので、第１変位部材および第２変位部材の対向辺どうしを密着させやすくでき、対向辺どうしの間に隙間が形成されることを抑制できる。
【０８８９】
即ち、第１変位部材および第２変位部材の対向辺どうしを当接させた状態では、第１支持機構および第２支持機構のそれぞれが、例えば、付勢力が作用される側では相手を押し込む（前進する）と共に、付勢力が作用されない側では相手を受け入れる（後退する）状態を形成できる。その結果、第１変位部材および第２変位部材の対向辺どうしを密着させやすくでき、対向辺どうしの間に隙間が形成されることを抑制できる。
【０８９０】
遊技機Ｆ３又はＦ４において、ねじりばねとして形成され一方の脚が前記第１連結部材に連結されると共に他方の脚が前記ベース部材に連結され、前記第１変位部材を前記第２変位部材へ近接させる方向への付勢力を付与する第１ねじりばねを備え、前記第１変位部材を前記第２変位部材へ近接させる方向へ前記第１連結部材が回転されるに従って、前記第１ねじりばねの一方の脚と前記第１連結部材との連結位置または前記第１ねじりばねの他方の脚と前記ベース部材との連結位置の少なくとも一方が巻回部から離間されることを特徴とする遊技機Ｆ７。
【０８９１】
遊技機Ｆ７によれば、遊技機Ｆ３又はＦ４の奏する効果に加え、ねじりばねとして形成され一方の脚が第１連結部材に連結されると共に他方の脚がベース部材に連結され、第１変位部材を第２変位部材へ近接させる方向への付勢力を付与する第１ねじりばねを備えるので、第１変位部材を第２変位部材へ近接する方向へ変位させる際には、第１連結部材を回転させるのに必要な第１駆動手段の駆動力を、第１ねじりばねの付勢力によって補助することができる。よって、例えば、第１変位部材を、第２変位部材から離間する退避位置から第２変位部材と当接する当接位置へ停止状態から変位させる際には、その変位の開始をスムーズに行うことができる。
【０８９２】
この場合、第１変位部材を第２変位部材へ近接させる方向へ第１連結部材が回転されるに従って、第１ねじりばねの一方の脚と第１連結部材との連結位置または第１ねじりばねの他方の脚とベース部材との連結位置の少なくとも一方が巻回部から離間されるので、巻回部から力の作用位置までの距離が長くなる分、第１変位部材を第２変位部材へ近接させる方向への付勢力を弱めることができる。よって、例えば、第２変位部材へ近接させた第１変位部材を停止させる際には、その変位の停止を確実に行うことができるので、衝突に伴う破損を抑制できる。また、対向辺どうしを当接させた状態で第１変位部材および第２変位部材を同方向へ往復変位させる際には、その往復変位に必要な駆動力を抑制できるので、往復変位の変位速度を高めることができ、演出効果を向上できる。
【０８９３】
遊技機Ｆ７において、ねじりばねとして形成され一方の脚が前記第２連結部材に連結されると共に他方の脚が前記ベース部材に連結され、前記第２変位部材を前記第１変位部材へ近接させる方向への付勢力を付与する第２ねじりばねを備え、前記第２変位部材を前記第１変位部材へ近接させる方向へ前記第２連結部材が回転されるに従って、前記第２ねじりばねの一方の脚と前記第２連結部材との連結位置または前記第２ねじりばねの他方の脚と前記ベース部材との連結位置の少なくとも一方が巻回部から離間されることを特徴とする遊技機Ｆ８。
【０８９４】
遊技機Ｆ８によれば、遊技機Ｆ７における第１ねじりばねと同様の効果を第２ねじりばねが奏する。特に、対向辺どうしを当接させた状態で第１変位部材および第２変位部材を同方向へ往復変位させる際には、両者においてその往復変位に必要な駆動力を抑制できるので、特に有効となる。また、第１変位部材および第２変位部材が互いに同じ高さ（重力方向位置に配置される）され、両者の当接する位置が重力方向で最も高い位置（又は最も低い位置）となり且つ両者の離間する位置（退避位置）が重力方向で最も低い位置（又は最も高い位置）となる場合に、遊技機Ｆ８の構成が特に有効となる。
【０８９５】
遊技機Ｆ７において、前記第１変位部材が重力方向上方への変位により前記第２変位部材へ近接されるものであることを特徴とする遊技機Ｆ９。
【０８９６】
遊技機Ｆ９によれば、遊技機Ｆ７の奏する効果に加え、第１変位部材が重力方向上方への変位により第２変位部材へ近接されるものであるので、第１変位部材が重力方向下方に位置するほど第１変位部材を重力方向上方へ変位させる方向への付勢力を強くできる（即ち、第１変位部材が重力方向上方に位置するほど第１変位部材を重力方向上方へ変位させる方向への付勢力を弱くできる）。
【０８９７】
よって、重力方向上方へ向けて第１変位部材を停止状態から変位（上昇）させる際には、その変位（上昇）の開始をスムーズに行うことができると共に、上昇した第１変位部材を停止させる際には、その変位の停止を、重力の作用だけでなく、付勢力が弱まることで、確実に行うことができる。その結果、第２変位部材への衝突に伴う破損を抑制できる。一方、重力方向下方へ向けて変位（下降）された第１変位部材を停止させる際には、付勢力が強まることで、かかる付勢力を、下降を継続させようとする重力の作用に対抗させることができる。その結果、第１変位部材の停止を確実に行わせることができる。
【０８９８】
遊技機Ｆ９において、ねじりばねとして形成され一方の脚が前記第２連結部材に連結されると共に他方の脚が前記ベース部材に連結され、前記第２変位部材を前記第１変位部材から離間させる方向への付勢力を付与する第２ねじりばねを備え、前記第２変位部材が重力方向上方への変位により第１変位部材から離間されるものであり、前記第２変位部材を前記第１変位部材へ近接させる方向へ前記第２連結部材が回転されるに従って、前記第２ねじりばねの一方の脚と前記第２連結部材との連結位置または前記第２ねじりばねの他方の脚と前記ベース部材との連結位置の少なくとも一方が巻回部から離間されることを特徴とする遊技機Ｆ１０。
【０８９９】
遊技機Ｆ１０によれば、遊技機Ｆ９の奏する効果に加え、ねじりばねとして形成され一方の脚が第２連結部材に連結されると共に他方の脚がベース部材に連結され、第２変位部材を第１変位部材から離間させる方向への付勢力を付与する第２ねじりばねを備え、第２変位部材が重力方向上方への変位により第１変位部材から離間されるものであるので、第２変位部材を第１変位部材から離間する方向へ変位させる際、即ち、第２変位部材を重力方向に逆らって変位（上昇）させることが必要な際に、第１連結部材を回転させるのに必要な第２駆動手段の駆動力を、第２ねじりばねの付勢力によって補助することができる。よって、その変位をスムーズに行うことができる。
【０９００】
この場合、第２変位部材を第１変位部材へ近接させる方向へ第２連結部材が回転されるに従って、第２ねじりばねの一方の脚と第２連結部材との連結位置または第２ねじりばねの他方の脚とベース部材との連結位置の少なくとも一方が巻回部から離間されるので、巻回部から力の作用位置までの距離が長くなる分、第２変位部材を第１変位部材から離間させる方向（重力方向上方へ上昇させる方向）への付勢力を弱めることができる。よって、例えば、対向辺どうしを当接させた状態で第１変位部材および第２変位部材を同方向へ往復変位させる際には、その往復変位に必要な駆動力を抑制できるので、往復変位の変位速度を高めることができ、演出効果を向上できる。
【０９０１】
遊技機Ａ１からＡ１０，Ｂ１からＢ８，Ｃ１からＣ６，Ｄ１からＤ６，Ｅ１からＥ４及びＦ１からＦ１０のいずれかにおいて、前記遊技機はスロットマシンであることを特徴とする遊技機Ｋ１。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０９０２】
遊技機Ａ１からＡ１０，Ｂ１からＢ８，Ｃ１からＣ６，Ｄ１からＤ６，Ｅ１からＥ４及びＦ１からＦ１０のいずれかにおいて、前記遊技機はパチンコ遊技機であることを特徴とする遊技機Ｋ２。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示手段において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
遊技機Ａ１からＡ１０，Ｂ１からＢ８，Ｃ１からＣ６，Ｄ１からＤ６，Ｅ１からＥ４及びＦ１からＦ１０のいずれかにおいて、前記遊技機はパチンコ遊技機とスロットマシンとを融合させたものであることを特徴とする遊技機Ｋ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
パチンコ機等の遊技機において、対向配置され近接または離間する方向へそれぞれ変位可能に形成されると共に対向辺どうしを当接させた状態で同方向へ変位可能に形成された第１変位部材および第２変位部材を備えた遊技機が知られている（例えば、特許文献１：特開２０１３−１０６８４４号公報）。
しかしながら、上述した遊技機では、対向辺どうしの間に隙間が形成される恐れがあるという問題点があった。
本技術的思想は、上記例示した問題点を解決するためになされたものであり、対向辺どうしの間に隙間が形成されることを抑制できる遊技機を提供することを目的とする。
＜手段＞
この目的を達成するために技術的思想１の遊技機は、対向配置され近接または離間する方向へそれぞれ変位可能に形成されると共に対向辺どうしを当接させた状態で同方向へ変位可能に形成された第１変位部材および第２変位部材を備えたものであり、ベース部材と、そのベース部材に前記第１変位部材および第２変位部材をそれぞれ変位可能に支持する第１支持機構および第２支持機構を備え、前記第１支持機構の支持態様が前記第１変位部材の対向辺の一側へ偏倚され、前記第１変位部材の対向辺の一側に当接される前記第２変位部材の対向辺の他側とは反対側となる前記第２変位部材の対向辺の一側へ前記第２支持機構の支持態様が偏倚される。
技術的思想２の遊技機は、技術的思想１記載の遊技機において、前記第１支持機構は、駆動力を発生する第１駆動手段と、前記第１変位部材を前記ベース部材に連結する一対の第１連結部材と、それら一対の第１連結部材へ前記第１駆動手段の駆動力をそれぞれ伝達すると共に互いに異なる構成とされる第１一側伝達部材および第１他側伝達部材とを備え、前記第２支持機構は、駆動力を発生する第２駆動手段と、前記第２変位部材を前記ベース部材に連結する一対の第２連結部材と、それら一対の第２連結部材へ前記第２駆動手段の駆動力をそれぞれ伝達すると共に互いに異なる構成とされる第２一側伝達部材および第２他側伝達部材とを備える。
技術的思想３の遊技機は、技術的思想２記載の遊技機において、前記第１連結部材および第２連結部材は、互いに略同一の長さに形成され、一端側が前記第１変位部材または第２変位部材に連結されると共に他端側が前記ベース部材に同軸上に回転可能に軸支される。
＜効果＞
技術的思想１記載の遊技機によれば、対向辺どうしの間に隙間が形成されることを抑制できる。
技術的思想２記載の遊技機によれば、技術的思想１記載の遊技機の奏する効果に加え、対向辺どうしの間に隙間が形成されることを抑制できる。
技術的思想３記載の遊技機によれば、技術的思想２記載の遊技機の奏する効果に加え、対向辺どうしが当接された状態を維持しやすくできる。
＜符号の説明＞
１０ パチンコ機（遊技機）
１３ 遊技盤
１４０ 第２入賞口（入球口）
１５０６５ 可変入賞装置（案内部材）
１５０６５ａ 側面（案内面）
１５０６５ｂ 膨出部（突設部）
１５０６５ｃ 膨出部（突設部）
６５ａ 特定入賞口
５１０ ベース部材
５１１ｂ２ 係合部（規制部）
５１１ｂ１ 立設部（介在壁）
５２０ 第１電動役物（案内部材）
５２０Ｌ 羽部材
５２０Ｒ 羽部材
５２４Ｌ 膨出部（突設部）
５２４Ｒ 膨出部（突設部）
５２６Ｌ 側面（案内面）
５２６Ｒ 側面（案内面）
５３１ ソレノイド（駆動手段）
５３２ 第２突起（規制手段）
５３２，８５３２ 摺動部材（スライド伝達部材）
５３２ｄ 係合溝（摺動溝）
８５３２ｅ 第３突起（突出部）
５３３，７５３３，８５３３，９５３３ 回転部材（回転伝達部材）
５３３ａ 連結部（係合部）
５３３ｂ 突起（摺動突起）
８５３３ｅ 第２突起（規制手段）
６２１ 光透過部材（透過部材、装飾部材）
６２４ 基盤部材（基盤）
６２４ａ ＬＥＤ（発光手段）
６２５ 反射部材
６２５ａ１ 反射面（連設面）
６２５ｂ 凹部（区画面）
６６０ ベース部材
６７２Ｕ 変位部材（第１変位部材）
６７２Ｄ 変位部材（第２変位部材）
６８０Ｕ 駆動手段（第１支持機構）
６８０Ｄ 駆動手段（第２支持機構）
６８４Ｕ 第１リンク部材（第１一側伝達部材）
６８４Ｄ 第１リンク部材（第２一側伝達部材）
６８６Ｕ 第２リンク部材（第１他側伝達部材）
６８６Ｕ 第２リンク部材（第２他側伝達部材）
８００ 装飾図柄表示装置（回動）
８１０ 内リールユニット（第２リール）
８１１ 内リール（第２外周壁）
８１２ ハブ（第２側壁）
８１２ａ１ 突起（立設部）
８１２ｃ スポーク（第２支持壁）
８１２ｃ１ 内側開口部（開口部）
５８１３ａ 突起（立設部）
８２０ 外リールユニット（第１リール）
８２１ 外リール（第１外周壁）
８２２ スポーク（第１支持壁）
８２４ 縁部（第１側壁）
３８２４ａ 突起（立設部）
８２５ 外側開口部（開口部）
ＳＰ１ ねじりバネ（付勢部材、第１ねじりばね）
ＳＰ２ ねじりバネ（付勢部材、第２ねじりばね）
【符号の説明】
【０９０３】
１０                          パチンコ機（遊技機）
６６０                        ベース部材
６７１ｆ 弾性部材（弾性体）
６７１Ｕ 延設部材（第１連結部材、第１支持機構の一部）
６７１Ｄ 延設部材（第２連結部材、第２支持機構の一部）
６７２Ｕ                      変位部材（第１変位部材）
６７２Ｄ                      変位部材（第２変位部材）
６８０Ｕ                      駆動手段（第１駆動手段、第１支持機構の一部）
６８０Ｄ                      駆動手段（第２駆動手段、第２支持機構の一部）
６８４Ｕ                      第１リンク部材（第１一側伝達部材、第１支持機構の一部）
６８４Ｄ                      第１リンク部材（第２一側伝達部材、第２支持機構の一部）
６８６Ｕ                      第２リンク部材（第１他側伝達部材、第１支持機構の一部）
６８６Ｄ                      第２リンク部材（第２他側伝達部材、第２支持機構の一部）